(57)【要約】【課題】複数の動画像を同時にしかも途中で途切れることなく表示できるようにし、表示における表現力の飛躍的な向上を可能にする。【解決手段】情報記録媒体(DISC)には、データキャッシュ(DTCCH)に記憶可能なデータユニットであるリソースが元々記憶されている場所をＵＲＩ（Uniform Resource Identifier）で示す情報と、前記リソースのローディングをいつ開始すべきかを示す情報と、前記リソースに相当するネットワークコンテンツのソースを記述した情報と、前記リソースに相当する前記ネットワークコンテンツを使用する際のネットワークスループットの最小値を記述した情報とを有するプレイリスト(PLLST)が記録されている。【選択図】      図３
2008171401.tif 000002
【特許請求の範囲】
【請求項１】
データキャッシュに記憶可能なデータユニットであるリソースが元々記憶されている場所をＵＲＩ（Uniform Resource Identifier）で示す情報と、
前記リソースのローディングをいつ開始すべきかを示す情報と、
前記リソースに相当するネットワークコンテンツのソースを記述した情報と、
前記リソースに相当する前記ネットワークコンテンツを使用する際のネットワークスループットの最小値を記述した情報と
を有するプレイリストが記録されていることを特徴とする情報記録媒体。
【請求項２】
ＸＭＬで記述されているプレイリストであって、データキャッシュに記憶可能なデータユニットであるリソースが元々記憶されている場所をＵＲＩ（Uniform Resource Identifier）で示す情報と、前記リソースのローディングをいつ開始すべきかを示す情報と、前記リソースに相当するネットワークコンテンツのソースを記述した情報と、前記リソースに相当する前記ネットワークコンテンツを使用する際のネットワークスループットの最小値を記述した情報と、を有するプレイリストを読み出す機能と、
前記プレイリストの内容を解析する機能と
をコンピュータに実現させることを特徴とするプログラム。
【請求項３】
ＸＭＬで記述されているプレイリストであって、データキャッシュに記憶可能なデータユニットであるリソースが元々記憶されている場所をＵＲＩ（Uniform Resource Identifier）で示す情報と、前記リソースのローディングをいつ開始すべきかを示す情報と、前記リソースに相当するネットワークコンテンツのソースを記述した情報と、前記リソースに相当する前記ネットワークコンテンツを使用する際のネットワークスループットの最小値を記述した情報と、を有するプレイリストをパーサーにより読み出し、
前記プレイリストの内容をパーサーにより解析する
ことを特徴とする情報再生方法。
【請求項４】
データキャッシュに記憶可能なデータユニットであるリソースが元々記憶されている場所をＵＲＩ（Uniform Resource Identifier）で示す情報と、前記リソースのローディングをいつ開始すべきかを示す情報と、前記リソースに相当するネットワークコンテンツのソースを記述した情報と、前記リソースに相当する前記ネットワークコンテンツを使用する際のネットワークスループットの最小値を記述した情報と、を有するプレイリストを情報機器がデータキャッシュもしくは記憶部にダウンロードすることを可能にする手段と、
前記情報機器におけるネットワークスループットの設定に応じて選択されるリソースを前記情報機器がダウンロードすることを可能にする手段と
を具備することを特徴とする情報転送装置。
【発明の詳細な説明】
【技術分野】
【０００１】
本発明は、光ディスクなどの情報記憶媒体、並びに記録や再生などに使用する情報を扱う情報記憶媒体、プログラム、情報再生方法、及び情報転送装置に関する。
【背景技術】
【０００２】
近年、高画質・高機能を有するＤＶＤビデオ・ディスク及びそのディスクを再生するビデオ・プレーヤの普及が進み、そのマルチチャネル・オーディオを再生する周辺機器等も選択の幅が広がってきている。そして、コンテンツ利用者（ユーザ）にとっては、ホームシアターを身近に実現でき、高画質・高音質の映画やアニメーション等を家庭で自在に視聴し得る環境が整えられつつある。
【０００３】
また、ネットワークを利用することにより、ネットワーク上のサーバから画像情報を取得してそれをユーザ側の機器にて再生・表示するも容易に行われるようになってきた。例えば、特許文献１には、インターネットのホームページを介して広告受給を希望するユーザの機器に情報を供給し、ユーザの機器にて情報の表示を行うことが開示されている。
【特許文献１】特許第３６７３１６６号公報（図２〜図５、図１１〜図１４等）
【発明の開示】
【発明が解決しようとする課題】
【０００４】
しかしながら、上記文献にも示されているように現行のインターネット上のホームページは“静的な画面”がほとんどで、アニメーションや一部動画がホームページ上で表示できるとしても、前記アニメーションや動画の表示開始／表示終了のタイミングや動画／アニメーションの切り替わりタイミングが複雑にプログラミングされた多彩な表現の実現が非常に難しい。
【０００５】
また、動画をホームページ上に表現できたとしてもユーザのネットワーク環境（ネットワークスループット値）に依っては表示される動画が途中で途切れる（再生が停止する）場合が多い。
【０００６】
本発明は上記実情に鑑みてなされたものであり、複数の動画像を同時にしかも途中で途切れることなく表示できるようにし、表示における表現力の飛躍的な向上を可能とする情報記憶媒体、プログラム、情報再生方法、及び情報転送装置を提供することを目的とする。
【課題を解決するための手段】
【０００７】
本発明に係る情報記憶媒体は、データキャッシュに記憶可能なデータユニットであるリソースが元々記憶されている場所をＵＲＩ（Uniform Resource Identifier）で示す情報と、前記リソースのローディングをいつ開始すべきかを示す情報と、前記リソースに相当するネットワークコンテンツのソースを記述した情報と、前記リソースに相当する前記ネットワークコンテンツを使用する際のネットワークスループットの最小値を記述した情報とを有するプレイリストが記録されていることを特徴とする。
【０００８】
本発明に係るプログラムは、ＸＭＬで記述されているプレイリストであって、データキャッシュに記憶可能なデータユニットであるリソースが元々記憶されている場所をＵＲＩ（Uniform Resource Identifier）で示す情報と、前記リソースのローディングをいつ開始すべきかを示す情報と、前記リソースに相当するネットワークコンテンツのソースを記述した情報と、前記リソースに相当する前記ネットワークコンテンツを使用する際のネットワークスループットの最小値を記述した情報と、を有するプレイリストを読み出す機能と、前記プレイリストの内容を解析する機能とをコンピュータに実現させることを特徴とする。
【０００９】
本発明に係る情報再生方法は、ＸＭＬで記述されているプレイリストであって、データキャッシュに記憶可能なデータユニットであるリソースが元々記憶されている場所をＵＲＩ（Uniform Resource Identifier）で示す情報と、前記リソースのローディングをいつ開始すべきかを示す情報と、前記リソースに相当するネットワークコンテンツのソースを記述した情報と、前記リソースに相当する前記ネットワークコンテンツを使用する際のネットワークスループットの最小値を記述した情報と、を有するプレイリストをパーサーにより読み出し、前記プレイリストの内容をパーサーにより解析することを特徴とする。
【００１０】
本発明に係る情報転送装置は、データキャッシュに記憶可能なデータユニットであるリソースが元々記憶されている場所をＵＲＩ（Uniform Resource Identifier）で示す情報と、前記リソースのローディングをいつ開始すべきかを示す情報と、前記リソースに相当するネットワークコンテンツのソースを記述した情報と、前記リソースに相当する前記ネットワークコンテンツを使用する際のネットワークスループットの最小値を記述した情報と、を有するプレイリストを情報機器がデータキャッシュもしくは記憶部にダウンロードすることを可能にする手段と、前記情報機器におけるネットワークスループットの設定に応じて選択されるリソースを前記情報機器がダウンロードすることを可能にする手段とを具備することを特徴とする。
【発明の効果】
【００１１】
本発明によれば、複数の動画像を同時にしかも途中で途切れることなく表示でき、表示における表現力の飛躍的な向上が可能となる。
【発明を実施するための最良の形態】
【００１２】
まず、本発明の実施形態を詳細に説明する前に、当該実施形態の技術的特徴を以下に示す。これらの技術的特徴は、図３などに示した内容に基づいている。
【００１３】
＊  再生・表示手順を示す管理情報を読み込み、前記管理情報の内容に基づき所定のタイミングに合わせて所定の保存場所から必要なコンテンツを事前にデータ転送し、さらに前記管理情報の内容に基づき指定されたタイミングで前記コンテンツの再生・表示を行うことを特徴とするデータ処理方法またはデータ転送方法、プログラム構造、情報再生方法、情報再生装置あるいは前記管理情報が記録されている情報記憶媒体
＊  再生・表示手順を示す管理情報を読み込み、前記管理情報内で指定されたコンテンツを元々の保存場所から別の保存場所へデータ転送し、さらに前記データ転送後の保存場所情報に基づき前記管理情報の内容を更新し、更新後の前記管理情報の記録処理を行うことを特徴とする記録方法または情報記録再生装置
＊  所定の保存場所から必要なコンテンツを事前にデータ転送するために必要な情報と、さらに前記情報に基付いて行われるデータ転送の後に前記コンテンツを再生・表示するための再生・表示手順の情報とを含む管理情報を編集し、編集後の前記管理情報の記録処理を行うことを特徴とする記録方法または情報記録再生装置
＊  管理情報の解読とそれに基づく処理を行うナビゲーションマネージャとリソースの再生・表示前に前記リソースを一時保存するデータキャッシュと前記リソースを再生・表示するプレゼンテーションエンジンとを具備した情報再生装置により再生が可能であり、
前記データキャッシュ内に一時保存する前記リソースの元々の保存場所とリソース名情報と
前記データキャッシュへの一時保存を開始するタイミング情報と
前記データキャッシュ内に一時保存された前記リソースを用いた表示タイミング情報と
前記データキャッシュ内に一時保存された前記リソースを表示する場合の画面上の表示場所情報と表示サイズ情報が含まれると共に、
前記データキャッシュ内に一時保存する前記リソースの元々の保存場所がネットワークサーバ上に有る場合には、前記情報再生装置のネットワーク環境に対応したネットワークスループットに対応して前記データキャッシュ内に一時保存する前記リソースを選択するために利用可能な情報が含まれた管理情報が記録されていることを特徴とする情報記憶媒体
に有る。
【００１４】
以下に本実施形態の詳細な説明を行う。
【００１５】
＜システム構成＞
図１は、本発明の一実施形態に係るシステムの構成を示す図である。  
本システムは、パーソナルコンピュータ（ＰＣ）又はレコーダ又はプレーヤとして実現される情報記録再生装置（又は情報再生装置）１と、情報記録再生装置１に対して挿脱可能な光ディスクとして実現される情報記憶媒体DISCと、情報記憶媒体DISCに記憶された情報やパーシステントストレージPRSTRに記憶された情報やネットワークサーバNTSRVからルータ１１を経由して得られた情報などを表示するディスプレイ１３と、情報記録再生装置１に対して入力操作を行うためのキーボード１４と、ネットワークを通じて情報を提供するネットワークサーバNTSRVと、光ケーブル１２を通じてネットワークサーバNTSRVから提供される情報を無線データ１７の形で情報記録再生装置１へ送信するルータ１１と、情報記録再生装置１から無線データとして送信される画像情報を表示する大画面テレビモニタ１５と、情報記録再生装置１から無線データとして送信される音声情報を出力するスピーカ１６−１，１６−２とを備えている。
【００１６】
前記情報記録再生装置１は、情報記憶媒体DISCに対する情報の記録／再生を行う情報記録再生部２と、固定形ストレージ（フラッシュメモリなど）やリムーバブルストレージ（ＳＤ(Secure Digital)カード、ＵＳＢ(Universal Serial Bus)メモリ、可搬形ＨＤＤ(Hard Disk Drive)など）を含むパーシステントストレージPRSTRを駆動するパーシステントストレージドライブ３と、ハードディスク装置６に対する情報の録画／再生を行う録画再生処理部４と、情報記録再生装置１全体の制御を司るメインＣＰＵ(Central Processing Unit)５と、情報を記憶するためのハードディスクを有するハードディスク装置６と、無線ＬＡＮ(Local Area Network)に基づく無線通信を行う無線ＬＡＮ制御部７−１と、後述するスタンダードコンテンツSTDCTの再生を行うスタンダードコンテンツ再生部STDPLと、後述するアドバンストコンテンツADVCTの再生を行うアドバンストコンテンツ再生部ADVPLとを備えている。
【００１７】
前記ルータ１１は、情報記録再生装置１との間で無線ＬＡＮに基づく無線通信を行う無線ＬＡＮ制御部７−２と、ネットワークサーバNTSRVとの間の光通信を制御するネットワーク制御部８と、データの転送処理を制御するデータマネージャ９とを備えている。
【００１８】
前記大画面テレビモニタ１５は、情報記録再生装置１との間で無線ＬＡＮに基づく無線通信を行う無線ＬＡＮ制御部７−３と、無線ＬＡＮ制御部７−３により受信される情報から映像を生成する映像処理部２４と、映像処理部２４により生成された映像を大画面テレビモニタ１５へ表示する映像表示部２１とを備えている。  
なお、図１に示されるシステムに関する詳細な機能や動作については後で説明する。
【００１９】
＜解決方法と効果＞
現行DVD-Videoに対する次世代規格へのユーザ要求とそれに関係した現行DVD-Video規格を拡張した場合の問題点、及び本実施形態における解決方法とその結果得られる新たな効果について図２を用いて説明を行う。現世代DVD-Video規格に対して、ユーザが求める要求機能は大きく分けて下記の３種類存在する。
【００２０】
１．柔軟かつ多様な表現力（現行パーソナルコンピュータの画面表示に近い表現力を確保する）
２．ネットワークアクション
３．映像関連情報の加工容易性と加工後情報の送信容易性
前記最初に示した“１．柔軟かつ多様な表現力”の要求機能を現行DVD-Video規格の小変更で実現しようとした場合、余りにもユーザ要求が多種多様なためカスタムメイド的な現行DVD-Video規格内のデータ構造の小変更だけでは対応しきれない。という問題点が生じる。前記問題点を解決するための技術的工夫内容として、本実施形態では汎用性を持ったＰＣ世界での表現形式を採用するとともに新たにタイムラインの概念を導入する。その結果、本実施形態により下記の新たな効果を実現することができる。
【００２１】
１〕  ユーザアクションに対する柔軟かつ印象的なリアクションを行う
1.1）ボタン選択や実行指示した時にアニメーションやイメージが変化して応答する
1.2）ボタン選択や実行指示した時に音声応答する
1.3）ユーザの実行指示に対してわざと遅れたタイミングで実行操作に入る
1.4）（ＰＣのような）ヘルプの回答を音声で対応する
1.5）メニューなどの使い方ガイドを音声表示する
２〕  映像自体やその再生方法に対する柔軟な切り替え処理を可能にする
2.1）オーディオの切り替え表示
2.2）サブタイトル（テロップ、字幕、静止画アイコンなど）の切り替え表示
2.3）ユーザ好みに合わせたサブタイトルの拡大表示が可能
2.4）ユーザがサブタイトルをマーキングしたり、サブタイトル実行命令を出す
2.5）映画監督がコメントしている間、コメントに合わせて特定映像部分をマーキング
３〕  再生中の映像にかぶせて別情報を同時に表示する
3.1）マルチウインドウによる複数映像を同時に表示する
3.2）マルチウインドウの各ウィンドサイズを自由に切り替えられる
3.3）事前の オーディオ・メッセージやユーザによる アフレコ・オーディオ・メッセージを同時表示
3.4）スクロールするテキストを映像にかぶせて同時表示する
3.5）（選択ボタンなどの）グラフィックメニューや図形を柔軟な形で同時表示する
４〕  見たい映像箇所への検索を容易にする
4.1）見たい場所をプルダウンメニューを使ってキーワード（テキスト）検索する
次に示した“２．ネットワークアクション”を必須とする要求機能に対しては、現行DVD-Video規格で規定されたデータ構造とネットワーク対応画面との間の帰りが大きすぎる。という問題点が生じる。前記問題点を解決するための技術的工夫内容としては、本実施形態ではネットワークの画面表現に実績のあるＷｅｂのホームページ表示形式（ＸＭＬとスクリプト）をデータの管理構造の基本部分に採用し、映像の再生管理形式をそれに合わせている。その結果、本実施形態により下記の新たな効果を実現することができる。
【００２２】
５〕  ネットワークを用いたディスク上の情報更新機能を持たせる
5.1）オブジェクト情報の自動更新やディスク内管理情報の自動更新
5.2）メニューの使い方ガイドをネットワークダウンロード
5.3）ユーザへの情報の自動更新告知
5.4）更新情報表示可否のユーザへの告知
5.5）ユーザによるマニュアル更新機能
６〕  リアルタイムなオンライン処理
6.1）映像再生時にネットワークダウンロードされた音声情報に切り替え／ミキシング処理（映画監督の音声によるコメンタリ表示など）
6.2）ネットワークショッピング
6.3）インタラクティブなリアルタイム映像変化
７〕  ネットワークを通じた別ユーザとの間のリアルタイムでの情報共有
7.1）離れた所に居る別ユーザに対しても特定画面を同時に表示する
7.2）離れた所に居る別ユーザと対戦ゲーム／対話ゲームをする
7.3）映像再生中にチャットに参加する
7.4）映像を再生しながら同時にファンクラブへのメッセージ送受信
最後に示した “３．映像関連情報の加工容易性と加工後情報の送信容易性”の要求機能を実現するためには、現行DVD-Video規格の小変更では複雑な編集処理を柔軟かつ容易に対応できない。また、複雑な編集処理を柔軟かつ容易に対応するためには、新たな管理データ構造が必要となる。という問題点が発生する。そのため本実施形態における前記問題点を解決するための技術的工夫内容として、ＸＭＬの採用と後述するタイムラインの概念を導入する。その結果、本実施形態により下記の新たな効果を実現することができる。
【００２３】
８〕  ユーザによるプレイリストの選択・作成とその送信を行う
8.1）ユーザによるプレイリストの選択または作成を行う
8.2）ユーザが選択・作成したプレイリストを友人に送信する
8.3）ユーザが選択・作成したプレイリストは特定ディスクのみで再生可能とする
8.4）映像のハイライトシーン集もユーザが選択可能にする
8.5）映像中のお気に入り画面を取り込んだスクラップブックをＷｅｂ上で公開
8.6）ユーザが選択したマルチアングル／マルチシーン中のアングル／シーンを記憶して再生
９〕  映像に関する特定情報をユーザが付加し、その結果をネットワーク送信する
9.1）映像に対するコメントをユーザが付加し、ネットワーク上で別ユーザと共有
9.2）映像中のキャラクターの顔に入力画像を貼り込む
9.3）ユーザ情報や映像を見た時の経験情報を映像情報上に貼り付ける
9.4）ユーザ情報をパレンタルロックに利用し、表示映像の自動制限を掛ける
１０〕  再生履歴情報の自動保存を行う
10.1）レジューム（再生中断）情報の自動保存機能を持つ
10.2）前回までのゲーム進行の途中情報の自動保存を行う
10.3）前回の再生環境（複数ユーザとの対戦ゲーム環境など）の自動保存を行う
図３を用い、本実施形態におけるデータ処理方法又はデータ転送方法、プログラム構造に関する基本概念の説明を行う。図３における右側の横実線は本実施形態の情報記録再生装置１内におけるコンテンツのデータ転送６７を表し、横破線は図２８に示すナビゲーションマネージャNVMNG内のプレイリストマネージャPLMNGからアドバンストコンテンツ再生部ADVPL内の各パートに対して転送されるコマンド６８を意味している。図１に示す情報記録再生装置１内にはアドバンストコンテンツ再生部ADVPLが存在する。前記アドバンストコンテンツ再生部ADVPL内の構造は図１４に示した構造を有する。図３の右側の縦の列に示したパーシステントストレージPRSTRは図１４のパーシステントストレージPRSTRに対応し、図３の縦の列に示したネットワークサーバNTSRVは図１４のネットワークサーバNTSRVに対応する。また図３の縦の列に示した情報記憶媒体DISCは図１４に示す情報記憶媒体DISCに対応する。また図３右側の縦の列に示したプレゼンテーションエンジンPRSENは図１４に示したプレゼンテーションエンジンPRSENを意味し、コンテンツの再生処理に利用される。また図３の右側の縦の列に示したデータキャッシュDTCCHは図１４のデータキャッシュDTCCHに対応し、各アドバンストコンテンツの保存場所から必要に応じて前記データキャッシュDTCCHへアドバンストコンテンツADVCTが一時保存される。図１４に示すナビゲーションマネージャNVMNGの内部構造を図２８に示す。ナビゲーションマネージャNVMNG内にはプレイリストマネージャPLMNGが存在し、プレイリストマネージャPLMNGが本実施形態におけるコンテンツの再生・表示手順を示す管理情報が記述されたプレイリストPLLSTの内容を解読する。図３の右側の縦の線に示すナビゲーションマネージャNVMNGから発行されるコマンドは主に前記ナビゲーションマネージャNVMNG内のプレイリストマネージャPLMNGから発行されている。図１４に示すデータアクセスマネージャDAMNGの内部構造は図２６に示すようにネットワークマネージャNTMNG、パーシステントストレージマネージャPRMNG、ディスクマネージャDKMNGから構成される。データアクセスマネージャDAMNG内のネットワークマネージャNTMNGは各ネットワークサーバNTSRVと通信処理を行い、ネットワークサーバNTSRVからのコンテンツのデータ転送６７の処理の仲介を行う。実際に、ネットワークサーバNTSRVからデータをデータキャッシュDTCCHに転送する時にはナビゲーションマネージャNVMNG内のプレイリストマネージャPLMNGから前記ネットワークマネージャNTMNGにコマンド６８が転送され、前記コマンド６８に基づきネットワークマネージャNTMNGが対応するネットワークサーバNTSRVからのコンテンツのデータ転送６７処理を行う。前記図２６に示すネットワークマネージャNTMNGが図３右側の縦の列に示すネットワークマネージャNTMNGを表す。また、図２６に示すパーシステントストレージマネージャPRMNGが図３右側の縦の列に示すパーシステントストレージマネージャPRMNGを表す。図２６に示すようにパーシステントストレージPRSTRに対してはデータアクセスマネージャDAMNG内のパーシステントストレージマネージャPRMNGが処理を行い、パーシステントストレージPRSTRから必要なデータの転送処理を行う。前記パーシステントストレージマネージャPRMNGに対してもナビゲーションマネージャNVMNG内のプレイリストマネージャPLMNGからコマンド６８が発行される。図３の右側において各縦の列の上に横線（または破線）が明記されている場合には、各縦の列に示した部分を経由してコンテンツのデータ転送６７またはコマンド６８の伝達が行われる。また各縦の列の後ろに隠れて線が引かれている場合には、各縦の列に示したパーツを経由せずにコンテンツのデータ転送６７もしくはコマンド６８の伝達が行われる。また、図３では右側の各横線に示したコンテンツのデータ転送６７に同期して図３左側に示す各処理ステップが記述されている。
【００２４】
図３の左側に示したフローチャートにおけるステップＳ１１からステップＳ１４に示すフローが、コンテンツのデータ転送を行った結果得られたコンテンツの保存場所変更に対応してプレイリストPLLSTの内容が変更され、保存される事を示す。また図３左側に示したフローチャート内のステップＳ１５からステップＳ１７までが本実施形態におけるデータ処理方法またはデータ転送方法、プログラム構造に関する基本概念の中核部分を示している。すなわち、プレイリストPLLSTに基づいて表示すべきコンテンツのデータをデータキャッシュDTCCH内に事前に保存し、必要なタイミングでデータキャッシュDTCCHからのデータをユーザに表示するためのフローを示している。図３においてユーザへの再生・表示手順を示す管理情報であるプレイリストPLLSTのファイルはパーシステントストレージPRSTR、ネットワークサーバNTSRV、又は情報記憶媒体DISC内に存在する。以下に図３の左側に示したフローチャートの内容を詳細に説明する。ステップＳ１１においてα線で示すようにパーシステントストレージPRSTRに保存されているプレイリストPLLSTを、パーシステントストレージマネージャPRMNGを経由しプレイリストマネージャPLMNG内に転送する。またβ線に示すようにネットワークサーバNTSRVに保存されているプレイリストマネージャPLMNGファイルをネットワークサーバNTSRVからネットワークマネージャNTMNGを介し、プレイリストマネージャPLMNGに転送する。さらに情報記憶媒体DISCに保存されているプレイリストマネージャPLMNGは情報記憶媒体DISCから図示していないが、ディスクマネージャDKMNGを経由しプレイリストマネージャPLMNG内に転送される。前記ステップＳ１１に示すデータ処理方法又はデータ転送方法は図５０のステップＳ４４からステップＳ４６までの処理又は図５１に示すステップＳ６１の処理と一致する。すなわち複数の記憶媒体に類似したプレイリストPLLSTが複数存在する場合には、図５０のステップＳ４６もしくは図５１のステップＳ６１に示すようにプレイリストPLLSTに設定されている番号の中で最も高い番号が設定されるプレイリストファイルPLLSTを最新のファイルとして利用する。次にステップＳ１１で選択した最新のプレイリストPLLST情報を元にネットワークダウンロードに時間のかかる特定のコンテンツ（セカンダリービデオセットSCDVSのコンテンツなど）をネットワークサーバNTSRVからパーシステントストレージPRSTRへ向けてデータ転送処理を行う（ステップＳ１２）。この時には事前にプレイリストマネージャPLMNGからネットワークマネージャNTMNGとパーシステントストレージマネージャPRMNGへコマンド６８が転送され（δ線）、その前記コマンド６８に基づきネットワークマネージャNTMNGが処理を行い、対応するネットワークサーバNTSRVからコンテンツをデータの取込みを行い、パーシステントストレージマネージャPRMNGを経由し、指定されたパーシステントストレージPRSTRへデータ転送する（ε線）。本実施形態においてステップＳ１２のステップでは、セカンダリービデオセットSCDVSをデータ転送する場合は、セカンダリーエンハンストビデオオブジェクトデータS-EVOBと同時にセカンダリービデオセットのタイムマップSTMAPも転送する必要がある。またアドバンストアプリケーションADAPLをデータ転送する場合は、アドバンスト���ビゲーションADVNV（マニフェストMNFST、マークアップMRKUP、スクリプトSCRPT）と一緒にアドバンストエレメントである静止画IMAGE、イフェクトオーディオEFTAD、フォントFONT等も転送する。更にアドバンストサブタイトルADSBTをデータ転送する場合は、アドバンストナビケーションADVNVであるアドバンストサブタイトルのマニフェストMNFSTS、アドバンストサブタイトルのマークアップMRKUPSと一緒にアドバンストエレメントADVELであるアドバンストサブタイトルのフォントFONTも転送する。（図１２及び図２５及び図１１参照）。次のステップ(ステップＳ１３）として、前記ステップＳ１２に示したデータ転送により生じたコンテンツ（ソースデータ）の保存場所変更に合わせてプレイリストPLLST保存場所情報（src属性情報）をステップＳ１２で行う前のネットワークサーバNTSRVからパーシステントストレージPRSTRに変更する。この時、情報記憶媒体DISC、ネットワークサーバNTSRV及びパーシステントストレージPRSTR内に変更前の既に保存されているプレイリストPLLSTの設定番号よりも大きな番号を保存予定のプレイリストファイルPLLSTに設定する必要がある。また将来、コンテンツプロバイダがネットワークサーバNTSRV内に保存されているプレイリストPLLSTの変更を行う可能性がある。その場合にはネットワークサーバNTSRV上で既に設定されている番号よりも“１”だけ値の大きい値がプレイリストファイルPLLST上に設定される。従って、更新されたネットワークサーバNTSRV上のプレイリストPLLSTと、今回保存するプレイリストPLLSTとの識別が行えるように、設定番号が重複しない充分大きな番号を今回更新するプレイリストPLLSTに設定し、パーシステントストレージPRSTRに保存する必要がある。本実施形態におけるデータ処理方法、又はデータ転送方法、プログラム構造に関する基本概念の中核部分はステップＳ１５からステップＳ１７に示すように大きく３ステップから構成されている。すなわち最初のステップ（ステップＳ１５）においてはユーザへの再生・表示手順を示す管理情報（プログラム）であるプレイリストPLLSTをナビゲーションマネージャNVMNG内のプレイリストマネージャPLMNGが読み込む。図３に示す実施形態では更新したプレイリストファイルPLLSTをパーシステントストレージPRSTR内に保存している（ステップＳ１４）ので、η線で示すようにパーシステントストレージPRSTRから最新のプレイリストPLLSTをプレイリストマネージャPLMNGが読み込む。本実施形態におけるデータ処理方法又はデータ転送方法においてはステップＳ１６に示すように管理情報であるプレイリストPLLST（プログラム）の記述内容に応じ、所定のタイミング（LoadingBegin属性情報/PRLOAD又はpreload属性情報/PRLOAD）に合わせ、所定の保存場所（src属性情報）から必要なコンテンツである再生表示オブジェクト、インデックスインフォメーション、ナビゲーションデータ、リソースデータまたはソースデータ等をデータ転送処理する。本実施形態において上記必要なコンテンツ（リソース）を事前にデータキャッシュDTCCH内に転送するところに大きな特徴がある。管理情報（プレイリストPLLST、プログラム）に従い、所定のタイミングで指定された保存場所から必要なコンテンツをデータキャッシュDTCCH内に全保存する事でユーザへの再生表示を中断させずに複数の再生オブジ��クトの同時再生・表示が可能となる。データ転送すべきコンテンツ（リソース）の保存場所又はファイル名（データ名）の検索方法は対応するコンテンツの種類により異なり、以下のような手順で行う。
【００２５】
＊  セカンダリービデオセットSCDVSに関しては、プレイリストPLLST→セカンダリービデオセットのタイムマップSTMAPの順に検索を行う
本実施形態ではセカンダリービデオセットのタイムマップSTMAPの中にセカンダリーエンハンストビデオオブジェクトS-EVOBファイル名が記述されており、前記セカンダリービデオセットのタイムマップSTMAPの情報からセカンダリーエンハンストビデオオブジェクトデータS-EVOBを検索する事が出来る。
【００２６】
＊  アドバンストサブタイトルADSBT又はアドバンストアプリケーションADAPL（プレイリストアソシエーティドアドバンストアプリケーションPLAPL、タイトルアソシエーティドアドバンストアプリケーションTTAPL含む）に関しては、アプリケーションリソースエレメントAPRELE又はタイトルリソースエレメント、アプリケーションリソースエレメントAPRELE内のsrc属性情報（ソース属性情報）を参照する（図５４、図５５、図６３、図６６、図６７、図６９、図７０、図７１参照）。
【００２７】
すなわちプレイリストPLLST内でリソース（コンテンツ）の保存場所がパーシステントストレージPRSTR内と指定されたものに対しては、対応するパーシステントストレージPRSTRからパーシステントストレージマネージャPRMNGを経由して対応するリソース（コンテンツ）がデータキャッシュDTCCHへ転送される（λ線）。また情報記憶媒体DISC内に保存された情報はκ線に示すように情報記憶媒体DISCからデータキャッシュDTCCHへデータ転送される。更にプレイリストPLLST上で指定されたリソース（コンテンツ）がネットワークサーバNTSRV内に保存されていると記述されている場合には対応するネットワークサーバNTSRVからμ線に示すようにネットワークマネージャNTMNGを経由し、データキャッシュDTCCHへデータ転送される。この場合、前記コンテンツ（リソース）のデータ転送６７に先立ち、プレイリストマネージャPLMNGからパーシステントストレージマネージャPRMNGとネットワークマネージャNTMNG及び図示していないがディスクマネージャDKMNGに対し、データ転送要求のコマンド６８が発行される（θ線）。最後のステップとしてステップＳ１７に示すように管理情報（プレイリスト・プログラム）の情報内容に基づき、管理情報内で指定されたタイミング（titleTimeBegin/TTSTTM又はtitleTimeEnd/TTEDTM）に合わせ、指定された画面上の場所に複数の再生・表示オブジェクトを同時に表示する（図１１、図１２、図２５参照）。この時はナビゲーションマネージャNVMNG内のプレイリストマネージャPLMNGからデータキャッシュDTCCHに対してコマンド６８（ν線）が送られ、またプレイリストマネージャPLMNGからξ線に示すようにプレゼンテーションエンジンPRSENに対し事前準備のコマンド６８が送られる。それに基づき、データキャッシュDTCCH内から事前に保存されていたコンテンツ（リソース）の情報がプレゼンテーションエンジンPRSENに向けて転送され、再生・表示オブジェクトをユーザに表示する事になる（ο線）。また前記の処理と同時に平行して、図２５に示すようにプライマリービデオセットPRMVSと一部のセカンダリービデオセットSCDVSはデータキャッシュDTCCHを介さず、情報記憶媒体DISCからプレゼンテーションエンジンPRSENに直接転送する事が出来る。このデータ転送が図３におけるρ線に対応する。また、セカンダリービデオセットSCDVSの一部はパーシステントストレージマネージャPRMNGからデータキャッシュDTCCHを介さず、直接プレゼンテーションエンジンPRSEN（内のセカンダリービデオプレーヤSCDVP）へ転送する事が出来る。このデータ転送が図３のπ線に対応し、前記データ転送67に先立ち、プレイリストマネージャPLMNGからパーシステントストレージマネージャPRMNGへ向けてデータ転送の指示コマンド68が発行される（ν線）。このようにしてデータ転送が行われ、複数の再生・表示オブジェクトを同時に再生する事が可能となる。管理情報（プレイリストPLLST・プログラム）内に再生表示タイミング制御情報を持たせる事により、動画（エンハンストビデオオブジェクトデータEVOB）を含む複数の再生・表示オブジェクト（アドバンストアプリケーションADAPLやアドバンストサブタイトルADSBT含む）を同時にしかも中断させる事無く、再生・表示させる事が可能となる。図３においては主にデータ処理方法とデータ転送方法について説明してあるが本実施形態���これに限らず、それを可能となる必要のタイミングやリソースの保存場所を記述し、前記データ処理方法又はデータ転送方法の実現を可能とするプログラム記述内容についても本実施形態の特徴の範囲内に含まれる。
【００２８】
図４に示すように、ユーザ要求として、
１．柔軟かつ多様な表現力（ＰＣ画面に近付く柔軟性を持つ）
２．ネットワークアクション
３．映像関連情報の加工容易性と加工後情報の送信容易性
というユーザ要求に答える為、本実施形態ではＰＣ世界での表現形式に合わせたＸＭＬ、スクリプトとタイムラインの概念を導入し、前記のユーザ要求に対応する。
【００２９】
しかしこの機能を持ったデータ構造の場合、従来のDVD-Videoとの互換性が損なわれるという問題点がある。
【００３０】
また、図４の構造のユーザ要求を満たすためにはネットワーク接続が前提条件となり、非常に安価な情報再生装置をユーザに提供することが難しくなる。その為本実施形態では、図４に対応したデータ構造を持つアドバンストコンテンツADVCTと、図４の構造のユーザ要求は満足できないが、従来のDVD-Videoとの互換性を確保し、非常に安い（インターネット接続を前提としない）情報再生装置で再生できるコンテンツとして、スタンダードコンテンツSTDCTをサポートしたところに大きな特徴がある。
【００３１】
＜コンテンツの種類（Content Type）＞
本実施形態では、スタンダードコンテンツSTDCTともう一方のコンテンツであるアドバンストコンテンツADVCTの２種類のタイプを定義できるようにしているところに本実施形態の特徴がある。
【００３２】
本実施形態におけるスタンダードコンテンツSTDCTには、映像情報自体が記録されているエンハンストビデオオブジェクトデータEVOBと、そのエンハンストビデオオブジェクトデータの管理情報が記録されているナビゲーションデータIFOから成り立っている。前記スタンダードコンテンツSTDCTは、従来のDVD-Videoのデータ構造を純粋に拡張したデータ構造を持っている。
【００３３】
それに対してアドバンストコンテンツADVCTは、後述するような各種情報が記録される。
【００３４】
＜スタンダードコンテンツ（Standard Content）＞
図４を用いてスタンダードコンテンツSTDCTのデータ内容を説明する。
【００３５】
スタンダードコンテンツSTDCTはメニュー画面を表すビデオマネージャVMGと、映像データが記録されているスタンダードビデオタイトルセットSVTSが存在する。
【００３６】
メニュー画面が記録されているビデオマネージャVMGには、映像情報自体が記録されているエンハンストビデオオブジェクトデータEVOBとその管理情報が記録されているナビゲーションデータIFOが存在し、スタンダードビデオタイトルセットSVTS内には映像情報自体が記録されているエンハンストビデオオブジェクトデータEVOBと、その管理情報が記録されているナビゲーションデータIFOの組合せから成り立っている。
【００３７】
スタンダードコンテンツSTDCTは従来のDVD-Videoで規定されているコンテンツの拡張構造を表している。特に従来のDVD-Videoに比べ映像に対する高解像度と音声に対する高音質と新たな機能が追加されている。スタンダードコンテンツSTDCTは、図４に示すように１個のビデオマネージャVMGが記録されている領域と１以上のビデオタイトルセットVTSから記録されている領域からなっている。このビデオタイトルセットVTSが記録されている領域をスタンダードビデオタイトルセットSVTS又はVTSと呼ぶ。
【００３８】
従来のDVD-Videoと比べて本実施形態では以下の新たな機能が盛込まれている。
【００３９】
・映像情報に対する高解像度を保証するとともに、高解像度であり、かつ圧縮効率のよい圧縮方式を新たに採用する
・音声情報に対するチャネル数を上げるとともに高いサンプル周波数まで対応させる。又高音質を保証させ、高い圧縮効率を可能とする音声情報の圧縮方法を採用する
・副映像情報に対する機能拡張を行うとともに、新たにハイライト情報のストリームを定義する
・ナビコマンドの機能拡張を行う
・起動時に処理を行うファーストプレイドメイン、及びメニュー画像を管理するビデオマネージャドメイン、映像情報の再生時に処理を行うビデオタイトルセットドメインにおける従来存在していた特殊ないくつかの制限情報に対して制限情報を除去し、よりフレキシブルな表現を可能とする
・各ドメイン間の遷移制限に対していくつかの制限を除去し、よりフレキシブルな表現環境定義する
・途中で再生を中断した時の処理を表すレジウムシーケンス機能を新たに加え、中断後のユーザの利便性を高める
＜スタンダードVTS（Standard VTS）＞
本実施形態においてスタンダードビデオタイトルセットSVTSは、基本的には上述したスタンダードコンテンツSTDCT上で使用される。しかし、このスタンダードビデオタイトルセットSVTSは後述するタイムマップTMAPを返して、アドバンストコンテンツADVCT内でも使うことが可能である。
【００４０】
上記スタンダードビデオタイトルセットSVTS内で使用されるオブジェクト情報であるエンハンストビデオオブジェクトデータEVOBはスタンダードコンテンツSTDCTに対する幾つかの特定の情報を持っている。その特定の情報は、例えばスタンダードコンテンツSTDCTで使用されるハイライトインフォメーションHLIやプレゼンテーションコントロールインフォメーションPCIは、本実施形態においてアドバンストコンテンツADVCT上では無視される。
【００４１】
＜HDDVD_TS ディレクトリ（HDDVD_TS Directory）＞
図４に示すスタンダードコンテンツSTDCTが情報記憶媒体内に記録される時のディレクトリ構造について説明を行う。本実施形態ではスタンダードコンテンツSTDCT及び後述するアドバンストコンテンツADVCTが共にHDDVD_TSディレクトリの中にまとめて記録される。上記HDDVD-TSディレクトリは情報記憶媒体のルートディレクトリの直下に配置される。例えばビデオマネージャVMGやスタンダードビデオタイトルセットSVTSなどの後述するプライマリービデオセットPRMVSに関係する全てのファイルはこのディレクトリの中に含まれる。
【００４２】
＜ビデオマネージャ（Video Manager）＞
図４に示すビデオマネージャVMGの中身について説明を行う。上記ビデオマネージャVMGは基本的に従来のDVD-Videoのメニュー画面及び制御情報が含まれる。上記説明したHDDVD_TSディレクトリの下にそれぞれコンポーネントファイルとして、ビデオマネージャインフォメーションVMGI、情報記憶媒体挿入直後の最初に表示するメニューFP_PGCM_EVOBに関するエンハンストビデオオブジェクトデータEVOB、ビデオマネージャVMGのナビゲーションデータIFOのバックアップデータであるビデオマネージャインフォメーションVMGI_BUPなどが別々に記録される。
【００４３】
上記HDDVD_TSディレクトリ化において、ビデオマネージャメニューに関するエンハンストビデオオブジェクトセットVMGM_EVOBSのサイズが１ＧＢ以上あるが、それらのデータは９８以下のファイルにそれぞれ分割され記録される。
【００４４】
本実施形態において再生専用の情報記録媒体では、再生の利便性の為ビデオマネージャメニューのエンハンストビデオオブジェクトセットVMGM_EVOBSのそれぞれの全てのファイルは、連続した位置に配置される必要がある。それによりビデオマネージャメニューに関するエンハンストビデオオブジェクトセットVMGM_EVOBSの情報が１箇所にまとまって記録されている為データのアクセス利便性、データの収集の利便性、表示速度の高速化を確保することができる。
【００４５】
＜スタンダードビデオタイトルセット（Standard Video Title Set）＞
本実施形態において、上記HDDVD_TSディレクトリの中にビデオタイトルセットインフォメーションVTSIとビデオタイトルセットインフォメーションのバックアップデータVTSI_BUPは、それぞれコンポーネントファイルとして前記HDDVD_TSディレクトリ化に記録される。ビデオタイトルセットメニューのエンハンストビデオオブジェクトセットVTSM_EVOBS及び、各タイトルのエンハンストビデオオブジェクトセットVTSTT_EVOBSのサイズは１ＧＢを超えることを許容されるがそのデータは９９以内のファイルに分割、記録される必要がある。その結果、各ファイルサイズは１ＧＢ以下に設定できる。これらのファイルはHDDVD_TSディレクトリ化に個々のコンポーネントファイルとして記録される。ビデオタイトルセットメニューのエンハンストビデオオブジェクトセットVTSM_EVOBS及び各タイトルのエンハンストビデオオブジェクトセットVTSTT_EVOBSのファイルは、全てそれぞれ連続な位置に配置される必要がある。その結果上述したのと同様に１箇所にデータが記録されている為、データのアクセス利便性及び高速性とデータ処理の管理化が図れ、高速でユーザに対するこれらの情報を表示することができる。
【００４６】
＜スタンダードビデオタイトルセットの構造（Structure of Standard Video Title Set）＞
ビデオタイトルセットVTSは映像タイトルの集合体を意味している。このビデオタイトルセットは、上記ビデオタイトルセットに関する制御情報であるビデオタイトルセットインフォメーションVTSI、ビデオタイトルセットメニューのエンハンストビデオオブジェクトセットVTSM_EVOBS、各タイトルのエンハンストビデオオブジェクトセット（映像情報そのもの）VTSTT_EVOBSおよびビデオタイトルセットインフォメーションのバックアップデータVTSI_BUPから構成される。
【００４７】
本実施形態においてビデオタイトルセットVTSに関して、以下のルールを適用させる。
【００４８】
１）  制御情報が記録されているビデオタイトルセットインフォメーションVTSIとビデオタイトルセットインフォメーションのバックアップデータVTSI_BUPは、１ＧＢ以下のそれぞれ１個のファイル内に記録しなければいけない。
【００４９】
２）  ビデオタイトルセットメニューのエンハンストビデオオブジェクトセットVTSM_EVOBSとビデオタイトルセットVTS内における各タイトルのエンハンストビデオオブジェクトセット（映像情報そのもの）VTSTT_EVOBSトはそれぞれ１個が１ＧＢ以下のサイズのファイルに分割して記録しなければいけない。その分割されたファイル数が１個の情報記憶媒体内には９９ファイル以下にしなければならない。
【００５０】
３）  ビデオタイトルセットインフォメーションVTSIと、ビデオタイトルセットメニューのエンハンストビデオオブジェクトセットVTSM_EVOBSと、各タイトルのエンハンストビデオオブジェクトセット（映像情報そのもの）VTSTT_EVOBSと、ビデオタイトルセットインフォメーションのバックアップデータVTSI_BUPは、上記記載した順番で配置されなければならない。
【００５１】
４）  ビデオタイトルセットインフォメーションVTSIとビデオタイトルセットインフォメーションのバックアップデータVTSI_BUPは１個の同一のECCブロック内に共存して記録してはいけない。すなわちビデオタイトルセットインフォメーションVTSIとビデオタイトルセットインフォメーションのバックアップデータVTSI_BUP は連続して記録されるが両者間の境界位置が同一のECCブロック内の中央に配置されることを禁止している。すなわち両者の境界部分が同一のECCブロック内に配置された場合、そのECCブロックが欠陥により再生できない場合、両方の情報が共に再生できないという問題が発生する。従ってビデオタイトルセットインフォメーションVTSI の終了位置でのECCブロック内での余った場所には、パディング情報を記録し、次のビデオタイトルセットインフォメーションのバックアップデータVTSI_BUP の先頭が次のECCブロックの先頭位置に来るようにし、互いに同一のECCブロック内に両方のデータが入ることを避けるところに本実施形態の特徴がある。それによりデータ再生の信頼性を大幅に向上させるだけでなくデータ再生時の再生処理を容易にする効果がある。
【００５２】
５）  ビデオタイトルセットメニューのエンハンストビデオオブジェクトセットVTSM_EVOBSを構成している複数のファイルが情報記憶媒体上で連続した位置に配置されなければいけない。更に各タイトルのエンハンストビデオオブジェクトセット（映像情報そのもの）VTSTT_EVOBSを構成する複数のファイルも同様に連続した位置に配置されなければいけない。そのように連続した位置に配置されることにより再生時の光学ヘッドの１回の連続した再生により各情報を一度に再生することができる（光学ヘッドのジャンピング処理を不要とする）。それにより上記各種情報のデータ再生時の処理の容易性を確保できるとともに、データ再生から表示するまでの時間の短縮化を図ることができる。
【００５３】
６）  ビデオタイトルセットインフォメーションのバックアップデータVTSI_BUPは、ビデオタイトルセットインフォメーションVTSIと完全に一致しなければならない。上記情報は完全に一致することにより万一管理情報であるビデオタイトルセットインフォメーションVTSIがエラーによる再生不可能になったとしても、前記のビデオタイトルセットインフォメーションのバックアップデータVTSI_BUPの再生により、安定した映像情報の再生が可能となる。
【００５４】
７）  ボリューム空間上に記録されたビデオタイトルセットVTSに付与するビデオタイトルセットVTS番号は連続した番号が付与されなければならない。情報記憶媒体上に記録されたビデオタイトルセットVTSの配置位置を表す論理空間上のアドレスである論理ブロックナンバーLBNの若い順番にそれぞれのビデオタイトルセットVTSの番号が設定され、番号としては１〜５１１までの番号がつけられる。
【００５５】
８）  各ビデオタイトルセットVTSにおいて、ビデオタイトルセットインフォメーションVTSIとビデオタイトルセットメニューのエンハンストビデオオブジェクトセットVTSM_EVOBSと、ビデオタイトルセットVTS内における各タイトルのエンハンストビデオオブジェクトセット（映像情報そのもの）VTSTT_EVOBSおよびビデオタイトルセットインフォメーションのバックアップデータVTSI_BUPのそれぞれの情報の境界領域にはギャップ領域を持つことができる。すなわち前記説明した４種類の情報はそれぞれ異なるECCブロックに配置されることにより再生時のデータの信頼性と再生処理の容易性、処理の高速性が図られる。そのため各情報の最後のデータの記録位置が１個のECCブロックの中間で終わった場合には、余りの領域にパディング情報を入れ次の情報の先頭位置が次のECCブロックの先頭位置に一致するように本実施形態では工夫されている。前記ECCブロック内のパディング情報の部分を本実施形態ではギャップと表現する。
【００５６】
９）  各それぞれビデオタイトルセットメニューのエンハンストビデオオブジェクトセットVTSM_EVOBSにおいて、エンハンストビデオオブジェクトEVOBは連続して情報記憶媒体上に記憶されなければならない。それにより再生処理の利便性が向上する。
【００５７】
１０）  ビデオタイトルセットVTS内における各タイトルのエンハンストビデオオブジェクトセット（映像情報そのもの）VTSTT_EVOBSにおいて、各エンハンストビデオオブジェクトも情報記憶媒体上の連続した位置に記録されなければならない。それにより、情報再生の利便性と表示までに要する時間の短縮化を図ることができる。
【００５８】
１１）  ビデオタイトルセットインフォメーションVTSIとビデオタイトルセットインフォメーションのバックアップデータVTSI_BUPは情報記憶媒体上のアドレス位置を表すロジカルブロックナンバーLSNの連続した番号で構成される連続した論理的な連続領域内にそれぞれ記録されなければならない。それにより、１回の連続再生（ジャンピング処理を含まない）により前記情報を読取ることができ再生処理の利便性、処理の高速化を図ることができる。
【００５９】
＜ビデオマネージャの構造（Structure of Video Manager）＞
ビデオマネージャVMGはスタンダードビデオタイトルセットSVTSのコンテンツテーブルを表し、それは後述するHDDVD-Videoゾーンに記録されている。ビデオマネージャVMGの構成要件は、ビデオマネージャインフォメーションVMGIである制御情報、情報記憶媒体挿入直後の最初に表示するメニューFP_PGCM_EVOB、ビデオマネージャメニューのエンハンストビデオオブジェクトセットVMGM_EVOBS、ビデオマネージャインフォメーションVMGIである制御情報のバックアップデータVMGI_BUPとなっている。VMGIである制御情報は、各タイトルを再生する為に必要な正的な情報とユーザオペレーションをサポートするための情報が記録されている。情報記憶媒体挿入直後の最初に表示するメニューFP_PGCM_EVOBは、メニューで表示される言語を選択する為に使用される。すなわち情報記憶媒体装着直後にユーザ自身で最適なメニュー言語を選択してもらうことにより、最も理解しやすい言語で各種のメニュー画面を表示することができる。ビデオマネージャのメニューに関するエンハンストビデオオブジェクトVMGM_EVOBSは、ボリュームアクセスをサポートするメニューに使用されるエンハンストビデオオブジェクトの集まりになっている。すなわち、前記ユーザが選定した各言語で表示されるメニュー画面（個々の言語毎に別々の情報として持っている画面）の情報がエンハンストビデオオブジェクトセットとして記録されている。
【００６０】
＜ビデオマネージャに適用されるルール（Rules Applied to Video Manager(VMG)）＞
本実施形態において、ビデオマネージャVMGに関しては以下のルールを適用する。
【００６１】
１）  １個のビデオマネージャインフォメーションVMGIとビデオマネージャインフォメーションのバックアップファイルVMGI_BUPに関しては、１個のファイルが１GB以下になるように分割して情報記憶媒体内に記録する
２）  情報記憶媒体挿入直後の最初に表示するメニューFP_PGCM_EVOBのエンハンストビデオオブジェクトEVOBに関しては、１個のファイルが１ＧＢ以下になるように分割して情報記憶媒体内に記録する。また、ビデオマネージャメニューのエンハンストビデオオブジェクトセットVMGM_EVOBSも１個のファイルが１ＧＢ以下になるように分割して記録するとともに、前記ビデオマネージャメニューのエンハンストビデオオブジェクトセットVMGM_EVOBSの１枚の情報記憶媒体内に記録されるファイル数は９８ファイル以下に設定する。上記のように１ファイルのデータサイズを１ＧＢ以下に設定することによりバッファメモリの管理が容易になるとともに、データのアクセス性が向上する。
【００６２】
３）  ビデオマネージャインフォメーションVMGIと情報記憶媒体挿入直後の最初に表示するメニューFP_PGCM_EVOBとビデオマネージャメニューのエンハンストビデオオブジェクトセットVMGM_EVOBSとビデオマネージャインフォメーションのバックアップファイルVMGI_ BUPはこの順番で情報記憶媒体に記録する。
【００６３】
４）  ビデオマネージャインフォメーションVMGIとビデオマネージャインフォメーションのバックアップファイルVMGI_BUPは同一のECCブロック内に記録してはならない。
【００６４】
…ビデオマネージャインフォメーションVMGIと情報記憶媒体挿入直後の最初に表示するメニューFP_PGCM_EVOBとビデオマネージャメニューのエンハンストビデオオブジェクトセットVMGM_EVOBSはオプショナルな情報な為、情報記憶媒体に記録されないことがある。その場合にはビデオマネージャインフォメーションVMGIとビデオマネージャインフォメーションのバックアップVMGI_BUPが連続されて順番に配列されることがある。この場合にビデオマネージャインフォメーションVMGIとビデオマネージャインフォメーションのバックアップVMGI_BUPの境界位置が１個のECCブロックの中間に境界位置が来ないようにすることを上記の内容は意味している。基本的に情報記録媒体から情報を再生する場合には、ECCブロック単位に情報を再生する。そのため両者の境界位置が同一ECCブロック内に入っている場合に、再生情報のデータ処理の利便性が損なわれるだけでなく、境界部分のECCブロック内にエラー発生時に再生できない場合にはビデオマネージャインフォメーションVMGIとビデオマネージャインフォメーションのバックアップVMGI_BUPが両方とも再生されないことがある。従って両者の境界部分をECCブロックの境界部分に合わせることにより再生時の処理の優位性を確保するとともに、どちらか一方のECCブロックのエラーが多くなり再生できない場合でも、残りのデータで情報を復活させ再生することができる。従って両者の境界面をECCブロック内の境界面に合わせることにより、ビデオマネージャインフォメーションVMGIのデータ再生信頼性を向上することができる。
【００６５】
５）  メニュー情報を表すビデオマネージャメニューのエンハンストビデオオブジェクトセットVMGM_EVOBSのデータは連続して記録しなければならない。前述したようにビデオマネージャメニューのエンハンストビデオオブジェクトセットVMGM_EVOBSのデータサイズは１ＧＢ以上超えることが許容されているが、１個のファイルサイズが１ＧＢ以下になるようにそのデータが複数のファイル内に分割記録するように本実施形態では規定されている。このそれぞれの分割された各ファイルが情報記憶媒体上に連続して記録されることを要求している。それにより１回の連続再生により、上記ビデオマネージャメニューのエンハンストビデオオブジェクトセットを全て取込むことができ、再生制御の高信頼性とユーザ表示に向けての高速化を確保することができる。
【００６６】
６）  ビデオマネージャインフォメーションのバックアップファイルVMGI_BUPの内容は、ビデオマネージャインフォメーションVMGIの内容と完全に一致させる必要がある。
【００６７】
７）  ビデオマネージャインフォメーションVMGIと情報記憶媒体挿入直後の最初に表示するメニューFP_PGCM_EVOBと、ビデオマネージャメニューのエンハンストビデオオブジェクトセットVMGM_EVOBSとビデオマネージャインフォメーションのバックアップファイルVMGI_ BUP間の境界位置にギャップがあることを許容する。上記４）で説明したように、各データ間の情報をECCブロック単位にまとめて記録する場合、各データの最後の部分の位置とECCブロックの境界位置にズレが生じECCブロック内に余りの領域が発生することがある。この、余りの領域をギャップと呼び、このようにギャップ領域の存在を許容することにより上記各情報がECCブロック単位に記録することができる。それにより上述したように再生時の利便性とデータ再生時の信頼性を確保することができる。
【００６８】
８）  ビデオマネージャメニューのエンハンストビデオオブジェクトセットVMGM_EVOBSにおいて各エンハンストビデオオブジェクトは連続して記録する必要がある。上述したようにビデオマネージャメニューのエンハンストビデオオブジェクトセットVMGM_EVOBSは、１ＧＢ以上超えることができそれぞれ１ＧＢ以下の情報を分割記録することができることを上述した。この場合、各分割されたファイルが情報記憶媒体上に連続して記録されることを上記内容は意味している。その結果ビデオマネージャメニューのエンハンストビデオオブジェクトセットVMGM_EVOBSを１度の再生でまとめて全部読取ることができ、再生処理の利便性とユーザに表示するまでの時間の短縮化が図れる。
【００６９】
９）  情報記憶媒体挿入直後の最初に表示するメニューFP_PGCM_EVOBとビデオマネージャメニューのエンハンストビデオオブジェクトセットVMGM_EVOBSが存在しない場合、ビデオマネージャインフォメーションVMGIとビデオマネージャインフォメーションのバックアップファイルVMGI_ BUPは、互いに連続した論理セクタ番号で構成される連続領域内に配置される必要がある。それにより、ビデオマネージャインフォメーションVMGIとビデオマネージャインフォメーションのバックアップファイルVMGI_ BUPの再生・利便性が向上する。
【００７０】
＜エンハンストビデオオブジェクトセットの構造（Structure of Enhanced Video Object Set）＞
エンハンストビデオオブジェクトセットEVOBSは、エンハンストビデオオブジェクトデータEVOBの集合体で構成され、それらはビデオデータ、オーディオデータ、サブピクチャーデータなどのデータから構成される。本実施形態において、エンハンストビデオオブジェクトセットEVOBSに対して以下のルールが適用される。
【００７１】
１）  各エンハンストビデオオブジェクトデータEVOB、エンハンストビデオオブジェクトセットEVOBSは、連続ブロック又はインターリーブドブロック内に記録される。
【００７２】
２）  １個のエンハンストビデオオブジェクトセットEVOBSは１以上のエンハンストビデオオブジェクトデータEVOBから構成される。
【００７３】
３）  各エンハンストビデオオブジェクトデータEVOBに割り付けられるＩＤ番号EVOB_IDは、各エンハンストビデオオブジェクトデータEVOBが情報記憶媒体上に記録されているアドレスを示す論理セクタ番号LSNが小さい順にID番号が割り振られる。そして、最初の番号が１となり、順次インクリメントされる。
【００７４】
１個のエンハンストビデオオブジェクトデータEVOBは１以上のセルから構成される。各セルに設定されたID番号C_IDは１個のエンハンストビデオオブジェクトデータEVOB内において、各セルが情報記憶媒体に記録された場所を表す論理セクタ番号LSNの小さい順に最小１として順次インクリメントされた数字が前記ID番号として設定される。
【００７５】
４）  エンハンストビデオオブジェクトセットEVOBS内における各セルは、エンハンストビデオオブジェクトデータEVOBに割り付けられるＩＤ番号EVOB_IDと、各セルに設定されたID番号C_IDにより個々に識別することができる。
【００７６】
本実施形態において情報記憶媒体に記録する映像情報及びその管理情報として、アドバンストコンテンツADVCTとスタンダードコンテンツSTDCTの２種類のコンテンツを設定する。アドバンストコンテンツADVCTを持たせることにより柔軟かつ多様な表現力と、ネットワークアクションの映像関連情報の加工容易性と加工後情報の送信容易性を確保したいというユーザ要求に応えるともに、同時にスタンダードコンテンツSTDCTを持たせることにより、従来のDVD-Videoとのデータの互換性を確保するとともにネットワーク接続を前提としない安形情報再生装置でも本実施形態の映像情報が再生できるようにしているところに大きな特徴がある。
【００７７】
図５に示すように各コンテンツが記録された情報記憶媒体として、図５に示すように３種類のカテゴリーを持つ情報記憶媒体を設定する。すなわち、図５（ａ）に示すように、カテゴリー１に対応した情報記憶媒体内に記録されるデータとしては、スタンダードコンテンツSTDCTの情報のみが記録された媒体を設定する。このカテゴリー１に対応した情報記憶媒体は、ネットワーク接続を前提としない安形情報再生装置とネットワーク接続を前提とした高級情報再生装置のいずれでも再生することができる。
【００７８】
カテゴリー２に対応した情報記録媒体内に記録されるデータとして、図５（ｂ）に示すようにアドバンストコンテンツADVCTのみが記録されている情報記憶媒体も設定することが可能となる。この場合にはネットワーク接続を前提とした高機能な情報再生装置のみに再生が可能となる。更に図５（ｃ）のように、同じ映像情報をアドバンストコンテンツADVCTとスタンダードコンテンツとSTDCTの両方の形態でそれぞれ記録するカテゴリー３に対応した情報記憶媒体を認めるところに本実施形態の大きな特徴がある。これによりカテゴリー３に対応した情報記憶媒体を用いると、ネットワーク接続機能を持つ高級な情報再生装置ではアドバンストコンテンツADVCTを再生することができるとともにネットワーク接続を前提としない安形情報再生装置では、スタンダードコンテンツSTDCTを再生することができるため、どのような機種にも最適なコンテンツをユーザに表示（提供）することが可能となる。
【００７９】
＜カテゴリ１のディスク（Category1 Disc）＞
図５（ａ）に示すカテゴリー１に対応した情報記憶媒体においては、メニュー画面を構成する１個のビデオマネージャVMGと映像情報が管理される１以上のスタンダードビデオタイトルセットSVTSとから構成されるスタンダードコンテンツSTDCTが記録されている。
【００８０】
上記情報記憶媒体には、アドバンストコンテンツADVCTの情報は記録されていない。
【００８１】
＜カテゴリ２のディスク（Category2 Disc）＞
図５（ｂ）に示すカテゴリー２に対応した情報記憶媒体においては、アドバンストコンテンツADVCTのみが記録され、スタンダードコンテンツSTDCTは記録されない。
【００８２】
＜カテゴリ３のディスク（Category3 Disc）＞
図５（ｃ）に示すカテゴリー３に対応した情報記憶媒体においては、アドバンストコンテンツADVCTとスタンダードコンテンツSTDCTが記録される。カテゴリー３に対応した情報記憶媒体内には、後述するプライマリービデオセットPRMVSが定義される。前記プライマリービデオセットPRMVS内において、情報記憶媒体挿入直後に表示する画面に対応したファーストプレイドメインFP_DOMもメニューが表示されるビデオマネージャメニュードメインVMGM_DOMも両方のドメインは、前記プライマリービデオセットPRMVS内には定義されない。しかし、前記プライマリービデオセットPRMVS以外の領域において、ファーストプレイドメインFP_DOMとビデオマネージャメニュードメインVMGM_DOMは、前記カテゴリー３に対応した情報記憶媒体内に存在してもよい。更に情報再生装置において、前記ファーストプレイドメインFP_DOMあるいはビデオマネージャドメインVMGM_DOMへの遷移を支持するナビゲーションコマンドは無視しなければならない。情報記憶媒体挿入直後に表示する画面に対応したファーストプレイドメインFP_DOMとビデオマネージャドメインVMGM_DOMは基本的にスタンダードコンテンツSTDCTにおけるメニュー操作の時に必要となる。しかし本実施形態では、図９もしくは、図６に示すようにアドバンスドコンテンツADVCTでメニュー処理を行い、必要に応じてスタンダードコンテンツSTDCT内の映像情報が記録されているスタンダードビデオタイトルセットSVTSを参照している。このように、情報記憶媒体挿入直後に表示されているメニューのファーストプレイドメインFP_DOMとビデオマネージャドメインVMGM_DOMへの遷移を禁止することで、常にアドバンストコンテンツADVCT上でのメニュー処理を確保でき、ユーザへの混乱を避けることができる。という効果を持っている。前期カテゴリー３に対応した情報記憶媒体はスタンダードコンテンツSTDCTを含むが、この情報記憶媒体は図５（ｂ）で示したカテゴリー２に対応した情報記憶媒体のルールに従う。
【００８３】
＜プライマリビデオセット（Primary Video Set）＞
図５（ｃ）に示した、プライマリービデオセットPRMVSの内容について以下に示す。アドバンストコンテンツADVCT内におけるプライマリービデオセットPRMVSは、アドバンストビデオタイトルセットADVTSとスタンダードビデオタイトルセットSVTSと、ビデオマネージャVMGにより構成される。これらのビデオタイトルセットは主にスタンダードコンテンツSTDCTに使われるが、基本的にはアドバンストビデオタイトルセットADVTSはアドバンストコンテンツADVCTにおいてのみ使われ、スタンダードビデオタイトルセットSVTSはアドバンストコンテンツADVCT内において使うこともできる。アドバンストコンテンツADVCT内において、プライマリービデオセットPRMVS内でのビデオマネージャVMGにおいては存在してもよい。しかし、アドバンストコンテンツADVCTを使用している最中に、前述したビデオマネージャメニュードメインVMGM_DOMやファーストプレイドメインFP_DOMへの遷移することは禁止されている。情報記憶媒体挿入直後に表示する画面に対応したファーストプレイドメインFP_DOMとビデオマネージャドメインVMGM_DOMは基本的にスタンダードコンテンツSTDCTにおけるメニュー操作の時に必要となる。しかし本実施形態では、図９もしくは、図６に示すようにアドバンスドコンテンツADVCTでメニュー処理を行い、必要に応じてスタンダードコンテンツSTDCT内の映像情報が記録されているスタンダードビデオタイトルセットSVTSを参照している。このように、情報記憶媒体挿入直後に表示されているメニューのファーストプレイドメインFP_DOMとビデオマネージャドメインVMGM_DOMへの遷移を禁止することで、常にアドバンストコンテンツADVCT上でのメニュー処理を確保でき、ユーザへの混乱を避けることができる。という効果を持っている。前記プライマリービデオセットPRMVSのデータは、カテゴリー３に対応した情報記憶媒体内に記録される。記録されるデータ構造として前述したHVDVD_TSディレクトリ内に配置されるが、それに限らず前記プライマリービデオセットPRMVSはパーシステントストレージ内に記録されてもよい。
【００８４】
＜コンテンツの種類（Content Type）＞
少なくとも、前記プライマリービデオセットPRMVSと少なくとも１個のプレイリストPLLST（詳細は後述する）は、前記カテゴリー２又はカテゴリー３に対応した情報記憶媒体内に記録されなければならない。図５（ｂ）及び図５（ｃ）に記載されたアドバンストコンテンツADVCTに関係する他の情報は、前記情報記憶媒体に記録することもできるが他にネットワークを経由してサーバから配信を受けることもできる。
【００８５】
＜ボリュームスペースの構造（Structure of Volume Space）＞
図５（ｃ）を用い、情報記憶媒体内に記録されるアドバンストコンテンツADVCTとスタンダードコンテンツSTDCTの記録場所について説明を行う。以下に説明する部分において、アドバンストコンテンツADVCTのみの記録場所が設定されているものが図５（ｂ）に対応し、スタンダードコンテンツSTDCTのみの記録場所が設定されているものが図５（ａ）に示すカテゴリー１に対応した情報記憶媒体になる。図５（ｃ）に示すように情報記憶媒体上に各コンテンツを記録する空間をボリュームスペースとして定義し前記ボリュームスペース内では全ての場所に論理セクタ番号LSNが付与されている。本実施形態において、ボリュームスペース内は以下の３つの領域から構成されている。
【００８６】
１）  ボリュームとファイル構造が記載されている場所（ファイルシステム管理情報記録領域）
…この領域は図５（ｃ）には記載されていないがファイルシステムの管理情報を記録する領域が定義されている。本実施形態では、ＵＤＦ（Uniform Disc Format）に準拠しファイルシステムが構築されている。上記領域はそのファイルシステムの管理情報が記録される領域を示している。
【００８７】
２）  １個のHD_DVD-Videoゾーン
…上記の領域に図５（ｃ）に記載された本実施形態におけるデータが記録されている。この領域はアドバンストコンテンツADVCTを記録する領域とスタンダードコンテンツSTDCTが記録される領域から構成されている。
【００８８】
３）  他のDVD関連情報記録領域
…本実施形態のHD_DVD-Videoで使用する以外のDVD関連の情報が記録される領域であり、例えばHD_DVDのビデオレコーディング規格に関係した情報や、現行DVD-Videoや現行DVD-Audioに関する情報をこの領域に記録することができる。
【００８９】
＜HD_DVD-Video領域に適用されるルール（Rules Applied for HDDVD-Video Zone）＞
上記２番目に記載し、図５（ｃ）に記載されたHD_DVD-Video領域において、本実施形態では以下の規則を設定する。
【００９０】
１）  カテゴリー１とカテゴリー３に準拠した情報記録媒体では、スタンダードコンテンツSTDCTの記録領域内には１個のビデオマネージャVMGの情報と１から１以上５１１以下のビデオタイトルセットVTSを記録することができる。カテゴリー２に対応した情報記憶媒体では前記スタンダードコンテンツSTDCTの記録領域を設定することはできない。
【００９１】
２）  ビデオマネージャVMGはカテゴリー１に対応した情報記憶媒体においてビデオマネージャVMGは、HD_DVD-Video記録領域の中で最初の場所に記録しなければならない。
【００９２】
３）  ビデオマネージャVMGは２以上最大１０２個のファイルから構成されなければならない。
【００９３】
４）  アドバンストビデオタイトルセットADVTSを除く各ビデオタイトルセットVTSは、少なくとも３以上２００以下のファイルから構成されなければならない。
【００９４】
５）  アドバンストコンテンツADVCT記録領域は、アドバンストビデオタイトルセットADVTSからなるアドバンストコンテンツADVCTの情報が記録されたファイルから構成される。アドバンストコンテンツADVCT記録領域内で記録されるファイル数の最大数は５１２×２０４７個とする。
【００９５】
６）  アドバンストビデオタイトルセットADVTSは、３以上２９９９以下のファイルから構成されなければならない。
【００９６】
図６を用いアドバンストコンテンツADVCTの再生時とスタンダードコンテンツSTDCTの再生時における遷移関係の説明を行う。図５（ｃ）に示すカテゴリー３に対応した情報記憶媒体において、アドバンストコンテンツADVCTとスタンダードコンテンツSTDCTはそれぞれ独立に再生することが可能な構造になっている。インターネット接続を持った高級な情報再生装置にカテゴリー３に対応した情報記憶媒体を挿入すると、前記再生装置は初期状態INSTTの段階でアドバンストコンテンツADVCTの中に含まれるアドバンストナビゲーションADVNVを読みに行く。その後、アドバンストコンテンツ再生状態ADVPSへ遷移する。この処理状況は図５（ｂ）に示したカテゴリー２に対応した情報記憶媒体が挿入された場合にも同じ処理がなされる。図６のアドバンストコンテンツ再生状態ADVPSにおいて、マークアップMRKUPやスクリプトSCRPTに対応したコマンドMSCMDが実行されることにより再生状況がスタンダードコンテンツ再生状態STDPSへ遷移することができる。またスタンダードコンテンツ再生状態STDPSにおいては、スタンダードコンテンツSTDCT内に設定されたナビゲーションコマンド内のコマンドNCCMDが実行されることによりアドバンストコンテンツ再生状態ADVPSへ戻ることが可能となる。
【００９７】
スタンダードコンテンツSTDCTにおいて現行のDVD-Videoと同様、例えば表示アングル番号や再生音声番号などシステム的に設定された情報が記録されているシステムパラメータが定義されているが、本実施形態においては、アドバンストコンテンツ再生状態ADVPSにおいてもアドバンストコンテンツADVCTから前記のシステムパラメータに設定するデータを再生、あるいは前記システムパラメータの値を変更することが可能となっている。それにより従来のDVD-Videoの再生との互換性を確保できる。アドバンストコンテンツ再生状態ADVPSとスタンダードコンテンツ再生状態STDPS間のどちらの方向の遷移が行われていても、本実施形態においては前記システムパラメータの設定値は遷移をされてもシステムパラメータの値の継続性が保たれる。
【００９８】
図５（ｃ）に示したカテゴリー３に対応した情報記憶媒体に対し、ユーザの好みでアドバンストコンテンツADVCTとスタンダードコンテンツSTDCT間で任意の遷移を行った場合、このようにシステムパラメータの値に継続性を持つことにより、例えば表示言語が遷移間でも同じに保たれユーザの再生時の利便性を確保することができる。
【００９９】
図５に示した３種類の情報記憶媒体を装着した時の本実施形態における再生装置の媒体識別処理方法について図７に示す。
【０１００】
ネットワーク接続機能を持った高級な情報再生装置に情報記憶媒体を装着すると、情報再生装置はHD_DVDに対応した情報記憶媒体か否かを示す（ステップＳ２１）。HD_DVDに対応した情報記憶媒体の場合には図１１に示すルートディレクトリの直下にあるアドバンストコンテンツディレクトリADVCTの中に記録されているプレイリストファイルPLLSTを探しに行く。プレイリストファイルPLLSTが存在した場合には、前記情報記憶媒体はカテゴリー２もしくはカテゴリー３に対応していると判断する（ステップＳ２２、Ｓ２３）。もしプレイリストファイルPLLSTが存在しない場合には、スタンダードコンテンツSTDCT内のビデオマネージャインフォメーションVMGI内に記録されているビデオマネージャＩＤ番号VMGM_IDのチェックを行う（ステップＳ２４）。もし、カテゴリー１に対応した情報記憶媒体の場合にはビデオマネージャＩＤ番号VMGM_IDが特定なデータとして記録されており、ビデオマネージャカテゴリーVMG_CAT内の情報からカテゴリー１に対応したスタンダードコンテンツSTDCTのみが記録されていることを識別することができる（ステップＳ２４、Ｓ２５）。もし、装着された情報記憶媒体が図５に記載されたいずれのカテゴリーにも属さない情報記憶媒体の場合には各再生装置の対応処理に任せる（ステップＳ２６）。
【０１０１】
本実施形態では、映像の表示機能を持たず音声情報（オーディオ）のみを再生する再生装置も対応する。前記オーディオのみの情報再生装置におけるスタートアップシーケンスを図８に示す。
【０１０２】
前記情報再生装置に情報記憶媒体を装着すると、まずHD_DVDに対応した情報記憶媒体か否かを判定する（ステップＳ３１）。本実施形態におけるHD_DVDに対応した情報記憶媒体でない場合には、ステップＳ３４に示すように情報再生装置に依存した処理方法に任せる。装着した情報記憶媒体が本実施形態のHD_DVDに対応した情報記憶媒体の場合には、再生装置はルートディレクトリの直下にあるアドバンストコンテンツディレクトリADVCTに記録されたプレイリストファイルPLLSTの有無を確認する。もし、プレイリストファイルPLLSTが存在した場合には音声のみの情報再生を行う再生装置として音声情報の再生を行う（ステップＳ３２）。この時にも前記情報再生装置は必ずプレイリストファイルPLLSTを経由し情報の再生を行う（ステップＳ３３）。
【０１０３】
図９を用い本実施形態におけるスタンダードコンテンツSTDCT内のエンハンストビデオオブジェクトデータEVOBとアドバンストコンテンツADVCTのエンハンストビデオオブジェクトデータEVOBに対する管理方法の違い（コンテンツへのデータアクセスの違いなど）について説明を行う。
【０１０４】
本実施形態においてスタンダードコンテンツSTDCTでの管理情報であるスタンダードビデオタイトルセットインフォメーションSTVTSI上では、各エンハンストビデオオブジェクトデータEVOBへのアクセス情報として論理空間上のアドレス情報である論理セクタ番号LSNで指定されている。このように、アドレス情報で管理することにより、現行のDVD-Video規格との間の互換性を確保している。それに対し、アドバンストコンテンツADVCTにおけるエンハンストビデオオブジェクトデータEVOBの管理方法がアドレス情報ではなく、時間情報により管理しているところに大きな特徴がある。それにより、現行の録画再生が可能なビデオレコーディング規格との互換性を確保できるだけでなく編集の容易性を確保できる。すなわち、アドバンストコンテンツADVCT上での再生管理情報を表すプレイリストPLLSTでは、再生位置アドバンストビデオオブジェクトデータEVOB上の再生範囲を時間情報で設定している。本実施形態におけるアドバンストコンテンツADVCTにおいては、プレイリストPLLSTで指定された時間情報をタイムマップインフォメーションTMAPIによりアドレス情報に変換することができる。前記タイムマップインフォメーションTMAPIは指定された時間情報から情報記憶媒体上の論理アドレス位置を示す論理セクタ番号LSNに変換するための情報である。前記タイムマップインフォメーションTMAPIは前記プレイリストPLLSTとは別位置に記録されている。更にスタンダードコンテンツSTDCTのスタンダードビデオタイトルセットインフォメーションSTVTSIに対応するものとして、アドバンストコンテンツADVCTではアドバンストビデオタイトルセットインフォメーションADVTSIが存在する。このアドバンストビデオタイトルセットインフォメーションADVTSI内には各エンハンストビデオオブジェクトデータEVOBの個々の属性情報が記録されているエンハンストビデオオブジェクトインフォメーションEVOBI情報が記録されている。このエンハンストビデオオブジェクトインフォメーションEVOBI情報が属性情報の管理として個々のエンハンストビデオオブジェクトデータEVOBを参照かつ管理している。このアドバンストビデオオブジェクトインフォメーションEVOBI#3がスタンダードコンテーツSTDCT内のエンハンストビデオオブジェクトデータEVOBの属性を管理及び参照することによりアドバンストコンテンツADVCTの再生を管理するプレイリストPLLST内でスタンダードコンテンツSTDCT内のエンハンストビデオオブジェクトデータEVOBの再生をも指定することができる。
【０１０５】
＜アドバンストコンテンツによるスタンダードコンテンツの利用（Utilization of Standard Content by Advanced Content）＞
上述したようにアドバンストコンテンツADVCTから、スタンダードコンテンツSTDCTの一部を利用できるようになっていることに本実施形態の特徴がある。
【０１０６】
例えば図９に示すように、アドバンストコンテンツADVCT内のタイムマップインフォメーションTMAPI#3を利用し、アドバンストビデオタイトルセットインフォメーションADVTSI内のエンハンストビデオオブジェクトインフォメーションEVOBI#3が、スタンダードコンテンツSTDCT内のエンハンストビデオオブジェクデータEVOB#3を参照し、前記エンハンストビデオオブジェクトデータEVOB#3を再生できるようになっている。また図９に示すようにアドバンストコンテンツ内のエンハンストビデオオブジェクトインフォメーションEVOBI#3から参照されたエンハンストビデオオブジェクトデータEVOB#3は、スタンダードビデオタイトルセットインフォメーションSTVTSIからも参照可能である。このように本実施形態において同一のスタンダードコンテンツSTDCT内のエンハンストビデオオブジェクトデータEVOB#3が複数のところから参照可能とすることにより、兼用して利用でき情報記憶媒体上に記録するデータの効率・向上が行える。
【０１０７】
しかしながら、このエンハンストビデオオブジェクトデータEVOB#3の中にはハイライトインフォメーションHLIや、プレゼンテーションコントロールインフォメーションPCIなどの情報が含まれているが、これらの情報に対しては、アドバンストコンテンツADVCTはサポートせず、これらハイライトインフォメーションHLIやプレゼンテーションコントロールインフォメーションPCIで規定された情報はプレイリストPLLSTに基づくアドバンストコンテンツADVCT再生時には無視される。
【０１０８】
＜アドバンストビデオタイトルセット（Advanced VTS）＞
図９に示すアドバンストビデオタイトルセットADVTSについて説明を行う。前記アドバンストビデオタイトルセットADVTSは、アドバンストコンテンツADVCTに対するビデオタイトルセットとして利用される。図９に示したアドバンストビデオタイトルセットADVTSとスタンダードビデオタイトルセットSVTSの違いを以下に示す。
【０１０９】
１）  アドバンストコンテンツADVCT内エンハンストビデオオブジェクトデータEVOBサポート情報
１個のメインビデオストリームMANVDを持つことができ、最大８個までのメインオーディオストリームMANADと１個のサブビデオストリームSUBVDと最大８個までのサブオーディオストリームSUBADと最大３２個までのサブピクチャーストリーム（副映像）SUBPTと１個のアドバンストストリーム（後述するアドバンストアプリケーションADAPLが記録されるストリームデータ）を持つことができる。
【０１１０】
２）  エンハンストビデオオブジェクトセットEVOBSのインテグレーション
図４に示すようにスタンダードコンテンツSTDTCにおいてはメニュー画面を表すビデオマネージャVMG内のエンハンストビデオオブジェクトデータEVOBと再生する映像そのものを表すスタンダードビデオタイトルセットSVTS内のエンハンストビデオオブジェクトデータEVOBが完全に分離され、同時に動画とメニュー画面を同時に表示することはできなかった。それに対して本実施形態におけるアドバンストビデオタイトルセットADVCTでは、メニュー画面と動画を表す映像画面と混合して管理/表示することができる。
【０１１１】
３）  映像に対する管理情報の階層化の廃止
現行のDVD-VideoおよびスタンダードコンテンツSTDCTにおいては、映像の管理単位としてプログラムチェーンPGC/パートオブタイトルPTT/セルの階層構造を取っていたが、本実施形態におけるアドバンストコンテンツADVCTの管理方法としてはこのような階層構造を取らない。また、現行DVD-VideoとおよびスタンダードコンテンツSTDCTでは、ジャンプ処理など特殊処理を行うためのナビゲーションコマンドや、ユーザオペレーション処理を行っていたが、本実施形態におけるアドバンストコンテンツADVCTでは、それらの処理も行わない。
【０１１２】
４）  新たなタイムマップインフォメーションTMAPIの導入
後述するコンティギュアスブロックにおいて１個のタイムマップインフォメーションTMAPIは、１個のエンハンストビデオオブジェクトデータEVOBに対応して各タイムマップインフォメーションTMAPIはそれぞれ１ファイルとして情報記憶媒体上に記録される。インターリーブドブロックの場合には、そのインターリーブドブロック内のそれぞれのストリームに対応した複数のエンハンストビデオオブジェクトデータEVOBが含まれるが、個々のエンハンストビデオオブジェクトデータEVOBに対応してタイムマップインフォメーションTMAPIが設定され、１個のインターリーブドブロック単位でそれら複数のタイムマップインフォメーションTMAPIが１個のファイル内に記録される。さらに、従来のDVD-Video及びスタンダードコンテンツSTDCTで定義されるナビゲーションパックNV_PCK内の情報は簡素化され、記録される。
【０１１３】
＜アドバンストビデオタイトルセットの構造（Structure of Advanced Video Title Set (Advanced VTS)）＞
図９に示したアドバンストコンテンツADVCTにおけるアドバンストビデオタイトルセットADVTSの中のデータ構造について以下に説明を行う。
【０１１４】
本実施形態においてアドバンストビデオタイトルセットADVTSは、映像情報そのものを表す１個のタイトルから１個のアドバンストビデオタイトルセットADVTSが成り立っている。本実施形態においてアドバンストビデオタイトルセットADVTSは、制御情報が記録されているアドバンストビデオタイトルセットインフォメーションADVTSIと、映像そのものを表す映像のタイトルが入っているエンハンストビデオオブジェクトセットVTSTT_EVOBSと、図９に示すようなタイムマップインフォメーションTMAPIが記録されるビデオタイトルセットタイムマップインフォメーションVTS_TMAPと、前記アドバンストビデオタイトルセットADVTSのバックアップ情報ADVTSI_BUPと前記タイムマップインフォメーションのバックアップVTS_TMAP_BUPから構成される。それらは、前記記載した順番に従い情報記憶媒体上に連続して記録されなければならない。本実施形態におけるアドバンストビデオタイトルセットADVTSが従うべきルールを以下に説明する。
【０１１５】
１）  制御情報であるアドバンストビデオタイトルセットインフォメーションADVTSIとそのバックアップ情報ADVTSI_BUPは、それぞれ１個ずつのファイルとして情報記憶媒体に記録される。
【０１１６】
２）  アドバンストビデオタイトルセットインフォメーションADVTSIとそのバックアップ情報ADVTSI_BUPは同じ１個のＥＣＣブロック内に共存してはならない。アドバンストビデオタイトルセットインフォメーションADVTSIとそのバックアップ情報ADVTSI_BUPが連続記録される場合、アドバンストビデオタイトルセットインフォメーションADVTSI内の最後の情報が１個のＥＣＣブロックの途中に来た場合に、同一ＥＣＣブロック内の残りの部分にパディング情報を入れ、次に来るバックアップ情報ADVTSI_BUPとは別のＥＣＣブロック内に配置されるように工夫する必要がある。それにより、アドバンストビデオタイトルセットインフォメーションADVTSIと次に来るバックアップ情報ADVTSI_BUPとの間の境界部分でのＥＣＣブロックがエラーにより読めなくてもどちらか一方が再生でき、再生時の信頼性が向上する。
【０１１７】
３）  各ビデオタイトルセットタイムマップインフォメーションVTS_TMAPとそのバックアップ情報VTS_TMAP_BUPは、それぞれ１個以上最大９９９以下のファイル内にそれぞれ記録されなければならない。
【０１１８】
４）  各ビデオタイトルセットタイムマップインフォメーションVTS_TMAPとそのバックアップ情報VTS_TMAP_BUPは、１個の同一ＥＣＣブロック内に共存記録されてはならない。すなわち、２）と同様、両者の境界部分が１個のＥＣＣブロック内に配置されそうになった場合には、ビデオタイトルセットタイムマップインフォメーションVTS_TMAPの最後の部分が１ＥＣＣブロックの途中で終わった場合には、パディングデータを記録し、次のバックアップVTS_TMAP_BUPが次のＥＣＣブロックの先頭位置から記録されるように配置する。それにより再生時の信頼性を確保することができる。
【０１１９】
５）  各ビデオタイトルセットタイムマップインフォメーションVTS_TMAPを構成する複数のファイルは、情報記憶媒体上において連続した場所に記録されなければならない。それにより、光学ヘッドの不必要なジャンプアクセス処理を不要とし、１回の連続再生で前記ビデオタイトルセットタイムマップインフォメーションVTS_TMAPを再生することができ、再生処理の容易性と高速性が図られる。
【０１２０】
６）  各ビデオタイトルセットタイムマップインフォメーションVTS_TMAPのバックアップVTS_TMAP_BUPを構成する複数のファイルは、情報記憶媒体上の連続した位置に記録されなければならない。それにより、上記５）と同様、再生処理の簡素化と高速化が図れる。
【０１２１】
７）  タイトルが記録されたアドバンストビデオタイトルセットのエンハンストビデオオブジェクトセットVTSTT_EVOBSは、１個以上最大９９９個以下のファイルとして情報記憶媒体上に記録されなければならない。
【０１２２】
８）  アドバンストビデオタイトルセットのタイトルが記録されたエンハンストビデオオブジェクトセットVTSTT_EVOBSが記録された複数のファイルは、情報記憶媒体上で連続した位置に記録されなければならない。それにより、エンハンストビデオタイトルセットのタイトルが記録されたエンハンストビデオオブジェクトセットVTSTT_EVOBSを１度の連続再生で再生することができ、再生時の連続性を保証することができる。
【０１２３】
９）  アドバンストビデオタイトルセットインフォメーションADVTSIのバックアップADVTSI_BUPは、アドバンストビデオタイトルセットインフォメーションADVTSIと完全に一致した内容を持たなければならない。
【０１２４】
＜エンハンストビデオオブジェクトセットの構造（Structure of Enhanced Video Object Set）＞
以下に図９に示したアドバンストコンテンツADVCT内のエンハンストビデオオブジェクトデータEVOBのデータ構造について説明を行う。本実施形態では、前記エンハンストビデオオブジェクトデータEVOBの集合体をエンハンストビデオオブジェクトセットEVOBSと呼び、それらのデータはビデオデータ、オーディオデータ、サブピクチャーデータなどから構成される。アドバンストコンテンツADVCT内でのエンハンストビデオオブジェクトセットEVOBSに関しては、本実施形態では以下のルールが適用される。
【０１２５】
１）  各エンハンストビデオオブジェクトデータEVOBは後述するコンティギュアスブロック又はインターリーブドブロック内に記録される。
【０１２６】
２）  １個のエンハンストビデオオブジェクトセットEVOBSは、１以上のエンハンストビデオオブジェクトデータEVOBから構成される。前記、エンハンストビデオオブジェクトデータのID番号EVOB_IDは、情報記憶媒体上に記録された各エンハンストビデオオブジェクトデータEVOBの配置順に設定される。すなわち、各論理空間上でのエンハンストビデオオブジェクトデータEVOBが記録されたアドレスを表すロジカルセクタ番号LSNの若い順に前記ID番号EVOB_IDが付けられ、最初の番号は１として設定される。又、前記エンハンストビデオオブジェクトデータのID番号EVOB_IDは、アドバンストタイトルセットインフォメーションADVTSIで記述されるエンハンストビデオオブジェクトインフォメーションEVOBIの番号と一致する。すなわち図９示すように、エンハンストビデオオブジェクトデータEVOB#1はID番号EVOB_IDが“１”と設定され、エンハンストビデオオブジェクトデータEVOB#2のID番号EVOB_IDは“２”として設定され、それらを制御するエンハンストビデオオブジェクトインフォメーションEVOBI#1の番号が“１”、またエンハンストビデオオブジェクトデータEVOB#2を管理するエンハンストビデオオブジェクトインフォメーションEVOBI#2の番号も“２”と設定される。
【０１２７】
３）  もし、エンハンストビデオオブジェクトデータEVOBがコンティギュアスブロック内に記録された場合には、各エンハンストビデオオブジェクトデータEVOBは、それぞれ対応した１個のタイムマップファイルを持つ。すなわち図９に示すように、エンハンストビデオオブジェクトデータ#1の時間を管理する部分としてタイムマップインフォメーションTMAPI#1が存在し、このタイムマップインフォメーションTMAPI#1が１個のタイムマップファイルとして情報記憶媒体上に記録される。複数のエンハンストビデオオブジェクトデータEVOBがインターリーブドブロックを構成する場合には、１個のインターリーブドブロックに対応して１個のタイムマップファイルが情報記憶媒体上に記録される。
【０１２８】
＜表示オブジェクト間の関係（Relation among Presentation Objects）＞
本実施形態におけるアドバンストコンテンツADVCTでは、図１０に示すオブジェクト情報を使用する。各オブジェクト情報のデータタイプ及びオブジェクト記録場所、デコーダー再生処理部の対応は図１０に示すような状況になっている。まず始めにオブジェクトの記録場所としてネットワーク経由と、パーシステントストレージPRSTRについて説明を行う。
【０１２９】
＜ネットワークサーバ（Network Server）＞
図１０オブジェクトの記録場所に関するネットワーク経由について説明を行う。
【０１３０】
本実施形態において、アドバンストコンテンツADVCTを再生するためのオブジェクトの記録場所としてネットワークサーバNTSRVからネットワークを経由して転送されたオブジェクトデータの再生を前提としている。従って本実施形態における高機能なプレーヤは、ネットワークアクセスを前提としている。ネットワーク経由でデータを転送する場合のオブジェクトが記録されている場所を表すネットワークサーバNTSRVは、通常再生時の情報記憶媒体DISCのアドバンストコンテンツADVCT内でアクセスすべきサーバが指定されており、そのサーバ設定はアドバンストコンテンツADVCTを作成したコンテンツプロバイダにより設定される。前記ネットワークサーバNTSRVは通常インターネット上にネットワークサーバNTSRVが設定されている。
【０１３１】
＜ネットワークサーバ上のデータカテゴリー（Data Categories on Network Server）＞
本実施形態におけるアドバンストコンテンツADVCTが記録されたファイルが、前記ネットワークサーバNTSRV内に事前に記録されている。事前に設定されたアプリケーション処理コマンドAPIにより、アドバンストナビゲーションADVNVがファイルキャッシュFLCCH（データキャッシュDTCCH）又は後述するパーシステントストレージPRSTR上にダウンロードされる。本実施形態においては、前記ネットワークサーバNTSRVからプライマリービデオセットPRMVSをプライマリービデオセットプレーヤにより、直接再生はできないようになっている。前記プライマリービデオセットPRMVSは、パーシステントストレージPRSTRに１度記録され、後述するパーシステントストレージPRSTR経由でデータ再生が行われる。セカンダリーエンハンストビデオオブジェクトデータS-EVOBは、ストリーミングバッファを利用しネットワークサーバNTSRVから直接セカンダリービデオプレーヤSCDVPにより再生することができる。図１０に示したパーシステントストレージPRSTRについて以下に説明を行う。
【０１３２】
＜パーシステントストレージ／パーシステントストレージ上のデータカテゴリー（Persistent Storage/Data Categories on Persistent Storage）＞
本実施形態において、パーシステントストレージPRSTRについては２種類定義する。１つ目としては、固定されたパーシステントストレージPRSTRと呼ばれ、本実施形態における情報記録再生装置1（プレーヤ）においては、前記パーシステントストレージPRSTRを必須で持つことを義務づけられている。前記固定されたパーシステントストレージPRSTRとして最も多く使われる具体的な記録媒体として本実施形態ではフラッシュメモリを想定している。本実施形態において前記固定されたパーシステントストレージPRSTRの容量は６４MB以上あることを前提とする。前記のようにパーシステントストレージPRSTRの最低許容されるメモリ容量を設定することにより、情報記録再生装置1の具体的な詳細構成に依らずアドバンストコンテンツADVCTの再生安定性を保証できる。図１０で示すようにオブジェクトの記録場所としてファイルキャッシュFLCCH（データキャッシュDTCCH）が指定されている。前記ファイルキャッシュFLCCH（データキャッシュDTCCH）は、例えばDRAMやSRAMのような比較的容量の少ないキャッシュメモリを表している。また本実施形態における固定されたパーシステントストレージPRSTRはフラッシュメモリを内蔵し、そのメモリ自身は情報再生装置からの取出しが不可能な形として設定する。しかし本実施形態はそれに限らず、例えば前記固定型パーシステントストレージPRSTRに可搬形のフラッシュメモリを使用することもできる。
【０１３３】
本実施形態における他のパーシステントストレージPRSTRのタイプは付加的なパーシステントストレージPRSTRと呼ぶ。前記付加的なパーシステントストレージPRSTRはリムーバブルなストレージデバイスであり、例えばUSBメモリや可搬形HDD、またはメモリカードなどで実現することができる。
【０１３４】
本実施形態では固定的なパーシステムテントストレージPRSTRとしての例としてフラッシュメモリ、また付加的なパーシステントストレージPRSTRとして、USBメモリ、可搬形HDD、メモリカードなどを挙げたが、本実施形態はそれに限らず他の記録媒体を使うことも可能である。
【０１３５】
本実施形態においては、それらのパーシステントストレージPRSTRに対してはデータ処理コマンドAPI（アプリケーションインタフェース）を利用してデータ出し入れなどの処理を行う。特定のアドバンストコンテンツADVCTが記録されたファイルは、前記パーシステントストレージPRSTR内に記録することができる。アドバンストナビゲーションADVNVはデータソースからアドバンストナビゲーションADVNVが記録されたファイルを、前記パーシステントストレージPRSTRやファイルキャッシュFLCCH（データキャッシュDTCCH）などにコピーすることができる。プライマリービデオプレーヤPRMVPはプライマリービデオセットPRMVSを前記パーシステントストレージPRSTRから直接読取り、表示することができる。またセカンダリービデオプレーヤSCDVPは、セカンダリービデオセットSCDVSを前記パーシステントストレージPRSTRから直接読取り、表示することができる。
【０１３６】
＜表示オブジェクトに関する事項（Notes concerning Presentation Objects）＞
本実施形態において情報記憶媒体や前記パーシステントストレージPRSTR、またはネットワークサーバNTSRVに記録されたアドバンストアプリケーションADAPLやアドバンストサブタイトルADSBTの情報は必ず一度ファイルキャッシュ内に記録された後データ処理される。本実施形態のようにアドバンストアプリケーションADAPLや、アドバンストサブタイトルADSBTをファイルキャッシュFLCCH（データキャッシュDTCCH）に一度取込むことにより表示処理や制御処理の高速化を保証することができる。
【０１３７】
図１０に示す再生処理部であるプライマリービデオプレーヤPRMVPとセカンダリービデオプレーヤSCDVPについては後述するが、プライマリービデオプレーヤPRMVP内にはメインビデオデコーダーMVDEC、メインオーディオデコーダーMADEC、サブビデオデコーダーSVDEC、サブオーディオデコーダーとSADECとサブピクチャーデコーダーSPDECを持ち、セカンダリービデオプレーヤSCDVPは、メインビデオデコーダーMADEC、メインオーディオデコーダーMADEC、サブビデオデコーダーSVDECとサブオーディオデコーダーSADECを前記のプライマリービデオプレーヤPRMVP内の各種デコーダーと兼用する。またアドバンストアプリケーションプレゼンテーションエンジンAAPENとアドバンストサブタイトルプレーヤASBPLについても後述する。
【０１３８】
＜プライマリービデオセット（Primary Video Set）＞
本実施形態において１枚の情報記憶媒体DISC内に、唯一１個のプライマリービデオセットPRMVSが存在する。このプライマリービデオセットPRMVSは、その管理情報と１以上のエンハンストビデオオブジェクトEVOBファイルと、タイムマップTMAPファイルから構成され、それぞれの組で一致したファイル名が使われる。
【０１３９】
＜プライマリービデオセット（Primary Video Set）＞（続き）
プライマリービデオセットPRMVSは、プライマリーオーディオビデオPRMAVのフォーマットを含む。プライマリービデオセットPRMVSのデータ構造は、アドバンストビデオタイトルセットインフォメーションADVTSI、タイムマップTMAP及びプライマリーエンハンストビデオオブジェクトデータP-EVOBなどから構成されている。プライマリービデオセットPRMVSはプライマリービデオプレーヤPRMVPにより再生される。
【０１４０】
図１０に示すプライマリービデオセットPRMVSのデータ中身について説明を行う。
【０１４１】
本実施形態においてプライマリービデオセットPRMVSは主に情報記憶媒体に記録されたメインの映像データを意味する。このプライマリービデオセットPRMVSのデータタイプとしてプライマリーオーディオPRMAVがあり、メインビデオMANVDとメインオーディオMANADと副映像SUBPTは従来のDVD-Videoや、本実施形態におけるスタンダードコンテンツSTDCTのビデオ情報、オーディオ情報、副映像と同じものを意味する。本実施形態におけるアドバンストコンテンツADVCTでは新たに同時に二つまでの画面を表示することが可能となっている。すなわち、メインビデオMANVDと同時に再生が可能な映像としてサブビデオSUBVDが定義され、また同様、メインオーディオMANADと同時に出力が可能なサブオーディオSUBADが新たに定義されている。
【０１４２】
本実施形態において、サブオーディオSUBADの使い方として以下の２種類を考えることができる。
【０１４３】
１）  同時にメインビデオMANVDとサブビデオSUBVDが表示される場合、前記サブビデオSUBVDの音声情報をサブオーディオSUBADで出力する方法
２）  画面にはメインビデオMANVDのみが再生・表示され、それに対応したメインビデオMANVDの映像に対応した音声であるメインオーディオMANADが出力されている時に、例えば監督のコメントを音声で重ねて表示をする場合、前記サブオーディオSUBADを監督のコメントとしてメインオーディオMANADに重ねて表示する
＜セカンダリービデオセット（Secondary Video Set）＞
セカンダリービデオセットSCDVSは、プライマリービデオセットPRMVS内のメインオーディオMANADに対する置換えとして使用される場合と、プライマリービデオセットPRMVSの付加情報もしくは、代替情報として使われる使い方がある。また本実施形態ではそれに限らず、セカンダリービデオセットSCDVSをサブスティテュートオーディオSBTADのメインオーディオMANADの置換えあるいは、セカンダリーオーディオビデオSCDAVの追加（重ねた状態での表示）あるいは、置換えとして使うこともできる。本実施形態においてセカンダリービデオセットSCDVSのコンテンツは、前述したようなネットワークサーバNTSRVからネットワーク経由でダウンロードすることもできるし、前述したパーシステントストレージPRSTRに記録され、利用されるか、あるいは、本発明の情報記憶媒体DISCに事前に記録されることもできる。もし、前記セカンダリービデオセットSCDVSの情報が本発明情報記憶媒体DISC内に記録されている場合には、前記セカンダリービデオセットSCDVSのファイルがファイルキャッシュFLCCH（データキャッシュDTCCH）又はパーシステントストレージPRSTRに一度記録され、その後ファイルキャッシュ又はパーシステントストレージPRSTRから再生される形態を取る。また前記セカンダリービデオセットSCDVSの情報は、プライマリービデオセットPRMVSの一部のデータと同時に再生することもできる。本実施形態において、情報記憶媒体DISCに記録されたプライマリービデオセットPRMVSを直接アクセスし表示することができるが、本実施形態における情報記憶媒体DISCに記録されたセカンダリービデオセットSCDVSは直接再生することはできない。また本実施形態において、プライマリービデオセットPRMVS内の情報は、前述したパーシステントストレージPRSTRに記録され、パーシステントストレージPRSTRから直接プライマリービデオセットPRMVSを再生することができる。すなわち、前記セカンダリービデオセットSCDVSがネットワークサーバNTSRV上に記録されている場合には、前記セカンダリービデオセットSCDVSの内容を全てファイルキャッシュFLCCH（データキャッシュDTCCH）かパーシステントストレージPRSTRに１度転送した後、再生するようになっている。また本実施形態においてはそれに限らず、ネットワークサーバNTSRV上に記録されたセカンダリービデオセットSCDVSをストリーミングバッファがオーバーフローさせない範囲で適宜部分的にセカンダリービデオセットSCDVSの一部をストリーミングバッファに格納し、そこから再生することもできる。
【０１４４】
＜セカンダリービデオセット（Secondary Video Set）＞（続き）
セカンダリービデオセットSCDVSは、サブスティテュートオーディオSBTADとセカンダリーオーディオビデオSCDAVの２種類のタイプのオブジェクトが含まれる。セカンダリービデオセットSCDVSは、情報記憶媒体DISC、ネットワークサーバNTSRV、パーシステントストレージPRSTRやファイルキャッシュから情報を読取ることが可能である。セカンダリービデオセットSCDVSのデータ構造は、アドバンストビデオタイトルセットADVTSを簡素化し、一部修正したものである。セカンダリービデオセットSCDVSはタイムマップTMAPとセカンダリーエンハンストビデオオブジェクトデータS-EVOBからなる。セカンダリービデオセットSCDVSは、セカンダリービデオプレーヤSCDVPにより再生される。
【０１４５】
図１０に示すセカンダリービデオセットSCDVSのデータ中身について説明を行う。
【０１４６】
基本的にはセカンダリービデオセットSCDVSはパーシステントストレージPRSTRやネットワークを経由し、本実施形態に示す情報記憶媒体以外から情報を取込み、前記説明したプライマリービデオセットPRMVSと一部置換えて表示するデータのことを示している。すなわち、図１０に示すメインオーディオデコーダーMADECはプライマリービデオプレーヤPRMVPとセカンダリービデオプレーヤSCDVPのメインオーディオデコーダーMADECは共通のものを示し、セカンダリービデオプレーヤSCDVPでのメインオーディオデコーダーMADECを使い、セカンダリービデオセットSCDVSのコンテンツを再生する時には、プライマリービデオプレーヤPRMVPによるプライマリービデオセットPRMVSのサブオーディオSUBADは再生されず、セカンダリービデオセットSCDVSのデータで置換えられて表示される。セカンダリービデオセットSCDVSにはサブスティテュートオーディオビデオSBTAV、サブスティテュートオーディオSBTADとセカンダリーオーディオビデオSCDAVの３種類が存在する。サブスティテュートオーディオSBTAD内のメインオーディオMANADは基本的にプライマリービデオセットPRMVS内のメインオーディオMANADと置換えられる時に利用される。前記サブスティテュートオーディオSBTADは、１個のメインオーディオストリームMANADから構成される。例えば、プライマリービデオセットPRMVSとして予め情報記憶媒体DISCに記録されたメインオーディオMANADが、メインビデオMANVDのビデオ映像に対し日本語と英語が記録されている場合、メインオーディオMANADではユーザ表示する時に日本語か英語の音声しか表示することができない。それに対して、例えば中国語を母国語としているユーザでは、ネットワーク経由でネットワークサーバNTSRV内に記録されている中国語の音声情報をネットワークダウンロードし、前記日本語又は英語で表示する代わりに、プライマリービデオセットPRMVSのメインビデオMANVD再生時の音声をセカンダリービデオセットSCDVSのメインオーディオMANADとして中国語に置き換えて音声出力することが本実施形態により可能となる。
【０１４７】
同様にサブスティテュートオーディオビデオSBTAV内のメインビデオMANVDとメインオーディオMANADは基本的にプライマリービデオセットPRMVS内のメインビデオMANVDとメインオーディオMANADとを同時に置換えられる時に利用される。前記サブスティテュートオーディオビデオSBTAVは、１個のメインビデオストリームMANVDと１個のメインオーディオストリームMANADから構成される。例えば、プライマリービデオセットPRMVSとして図１５に示す上映予告41がメインビデオストリームMANVDとメインオーディオストリームMANADの形で予め情報記憶媒体DISCに記録された場合、前記情報記憶媒体DISC発売日から大幅に日付が経過し前記上映予告41の内容を変更したい時にネットワークサーバNTSRVから前記サブスティテュートオーディオビデオSBTAV内のメインビデオMANVDとメインオーディオMANADを同時に置き換えてユーザに表示する時に利用できる。それに対して、セカンダリービデオセットSCDVSのサブオーディオSUBADは、例えば前述したようなプライマリービデオセットPRMVSのメインビデオMANVDと同期して出力されるメインオーディオMANADにかぶせて、例えば監督のコメント情報を同時に表示させるなど、２画面で表示する時のセカンダリーオーディオビデオのSCDAVのサブビデオSUBVDの画面に同期した音声を表示する時にセカンダリービデオセットSCDVSのサブオーディオSUBADを使用することができる。
【０１４８】
＜セカンダリーオーディオセット（Secondary Audio Video）＞
本実施形態においてセカンダリーオーディオビデオSCDAVは、１個以下（０を含む）のサブビデオUBVDと１個以下の（０を含む）サブオーディオSUBADを含む。本実施形態において、セカンダリーオーディオビデオSCDAVはプライマリービデオセットPRMAVに重ねて（追加して）表示するために使われている。また、本実施形態において前記セカンダリーオーディオビデオSCDAVはプライマリービデオセットPRMVS内のサブビデオSUBVDとサブオーディオSUBADとの置換えとして使うこともできる。
【０１４９】
＜セカンダリーオーディオセット（Secondary Audio Video）＞（続き）
セカンダリーオーディオビデオSCDAVは、プライマリーオーディオビデオPRMAVのサブビデオSUBVDとサブオーディオSUBADの置換えとして使用される。セカンダリーオーディオビデオSCDAVは、次のような条件が含まれている。
【０１５０】
１）  サブビデオSUBVDストリームのみを持つ
２）  サブビデオSUBVDとサブオーディオSUBADが共に含まれる場合
３）  サブオーディオSUBADが単独で存在する
前記、セカンダリーオーディオビデオSCDAV内のストリーム再生時において、プライマリーオーディオビデオPRMAV内のサブビデオSUBVDやサブオーディオSUBADを再生することはできない。前記セカンダリーオーディオビデオSCDAVはセカンダリービデオセットSCDVSに含まれる。
【０１５１】
＜アドバンストアプリケーション（Advanced Application）＞
図１０におけるアドバンストアプリケーションADAPL内の情報には、マークアップMRKUP、スクリプトSCRPT、静止画IMAGE、イフェクトオーディオEFTAD、フォントFONTなどが含まれる。前述したようにこれらのアドバンストアプリケーションADAPLの情報は、一度ファイルキャッシュに蓄えられ使用される。ファイルキャッシュFLCCH（データキャッシュDTCCH）へのダウンロードに関する情報は後述するマニュフェストファイルMNFSTの中に記録される。また前記アドバンストアプリケーションADAPLのダウンロードタイミングなどの情報は、プレイリストPLLST内のリソースインフォメーションRESRCI内に記述されている。また本実施形態では前記マニュフェストファイル内MNFSTには、初期に実行されるマークアップMRKUP情報に関するローディングに関する情報や、スクリプトファイルSCRPTに記録された情報をファイルキャッシュFLCCH（データキャッシュDTCCH）にローディングする時に必要な情報なども記録されている。
【０１５２】
＜アドバンストアプリケーション（Advanced Application）＞（続き）
アドバンストアプリケーションADAPLは、以下に述べる３つの機能を持っている。
【０１５３】
最初の機能はアドバンストコンテンツADVCTの再生遷移に対する制御機能（例えば異なる画面間のジャンプ制御など）であり、２番目の機能としてメニューボタンなどのグラフィカルな表示を実現することである。そして３番目の機能としては音声再生時のイフェクト制御機能である。アドバンストナビゲーションADVNVのファイルは、アドバンストアプリケーションADAPLの実現において、マニュフェストMNFST、スクリプトSCRPT及びマークアップMRKUPなどからなる。アドバンストエレメントADVELファイル内の情報は静止画IMAGEやフォントFONTなどに関する情報であり、前記２番目の機能のグラフィカル表示やオーディオ表示の時の表示アイコンや表示オーディオとして使用される。
【０１５４】
＜アドバンストサブタイトル（Advanced Subtitle）＞
アドバンストサブタイトルADSBTもアドバンストアプリケーションADAPLと同様、一度ファイルキャッシュFLCCH（データキャッシュDTCCH）に保存された後使用される。アドバンストサブタイトルADSBTの情報は情報記憶媒体DISCやパーシステントストレージPRSTR、あるいはネットワークから取込むことができる。本実施形態におけるアドバンストサブタイトルADSBTは基本的に、従来の映像に対する置換えされた字幕やテロップもしくは絵文字や静止画などのイメージが記録される。字幕の置換えとしては基本的には前記イメージ以外にはテキストがベースとなっているが、フォントFONTが変わって表示することもできる。これらアドバンストサブタイトルADSBTはネットワークサーバNTSRVからダウンロードして追加でき、例えば情報記憶媒体DISCに入っているプライマリービデオセットPRMVS内のメインビデオMANVDを再生しながら新しい字幕や、その映像に対する説明文を流す為に使うこともできる。前述したように例えばプライマリービデオセットPRMVS内の字幕として日本語と英語のみの字幕が副映像SUBPTに入っていた場合、中国語を母国語としているユーザがネットワークダウンロードにより、中国語の字幕をアドバンストサブタイトルADSBTとしてネットワークサーバNTSRVから読取り、表示するなどの使用方法がある。この場合のデータタイプはアドバンストサブタイトルADSBTやフォントFONTに対するマークアップMRKUPSのタイプとして設定される。
【０１５５】
＜アドバンストサブタイトル（Advanced Subtitle）＞（続き）
本実施形態において前記アドバンストサブタイトルADSBTは、プライマリービデオセットPRMVSのメインビデオMANVDと同期して表示されるサブタイトル（字幕など）として使用することができる。前記アドバンストサブタイトルADSBTは、プライマリービデオセットPRMVS内の副映像SUBPTに対する同時表示（追加表示処理）として使うこともできるし、前記プライマリービデオセットPRMVSの副映像SUBPTの置換えとして利用することもできる。前記アドバンストサブタイトルADSBTは、アドバンストサブタイトルADSBTに対する１個のマニュフェストファイルMNFSTSと、アドバンストサブタイトルADSBTの１個のマークアップファイルMRKUPSとそして１個のフォントファイルFONTSから構成される。前記アドバンストサブタイトルADSBTのマークアップファイルMRKUPSは、アドバンストアプリケーションADAPLのマークアップMRKUPのサブセットとして存在している。
【０１５６】
＜アドバンストサブタイトル（Advanced Subtitle）＞（続き）
アドバンストコンテンツADVCTでは、サブタイトルに関し２つの意味を持つ。
【０１５７】
１つ目としてスタンダードコンテンツSTDCTの副映像機能と同様、プライマリーオーディオビデオPRMAVにおける副映像ストリームとして使われる。また、もう一つの意味としてアドバンストサブタイトルADSBTとして使用される。両方のそれぞれの意味は同時に両方の目的で使ってはならない。前記アドバンストサブタイトルADSBTはアドバンストアプリケーションADAPLのサブセットとして位置付けられる。
【０１５８】
＜アドバンストストリーム（Advanced Stream）＞
アドバンストストリームはプライマリービデオセットPRMVSを除く、１以上のアドバンストコンテンツファイルADVCTから構成されるパッケージファイルを意味している。前記アドバンストストリームはプライマリーエンハンストビデオオブジェクトセットP-EVOBSの中にマルチプレクスされて記録され、一旦ファイルキャッシュFLCCH（データキャッシュDTCCH）に転送される。このプライマリーエンハンストビデオオブジェクトセットP-EVOBSは、プライマリービデオプレーヤPRMVPにより再生処理が行われる。これら、プライマリーエンハンストビデオオブジェクトセットP-EVOBS内にマルチプレクスされて記録されたファイルは、アドバンストコンテンツADVCTの再生時には必須なファイルであり、本実施形態の情報記憶媒体DISC上にファイル構造で記録されている。
【０１５９】
＜アドバンストナビゲーション（Advanced Navigation）＞
アドバンストナビゲーションADVNVに関するファイルは、アドバンストコンテンツADVCTの再生時、割込み処理に利用される。
【０１６０】
＜プライマリーオーディオビデオ（Primary Audio Video）＞
プライマリーオーディオビデオPRMAVは、メインビデオMANVD、メインオーディオMANAD、サブビデオSUBVD、サブオーディオSUBADと副映像SUBPTなどが含まれるストリームから構成される。情報再生装置は、メインビデオMANVDとメインオーディオMANVD再生時に、付加的にサブビデオSUBVDとサブオーディオSUBADを同時に再生することができる。プライマリーオーディオビデオPRMAVは情報記憶媒体DISC、もしくはパーシステントストレージPRSTRに記録することができる。プライマリーオーディオビデオPRMAVは、プライマリービデオセットPRMVSの一部として含まれる。ビデオとオーディオの組合せ再生は、プライマリーオーディオビデオPRMAVとセカンダリービデオセットSCDVS内のオブジェクト条件により制限される。プライマリーオーディオビデオPRMAVはアドバンストアプリケーションADAPLや、アドバンストサブタイトルADSBTなどに使われる各種データファイルを一緒に持つことができる。これらのファイルに含まれるストリームはアドバンストストリームと呼ばれている。
【０１６１】
＜サブスティテュートオーディオ（Substitute Audio）＞
サブスティテュートオーディオSBTADは、プライマリーオーディオビデオPRMAVのメインオーディオMANADの置換えとして使用される。それは、メインオーディオMANADストリームのみから構成されている。サブスティテュートオーディオSBTAD再生時において、プライマリービデオセットPRMVS内のメインオーディオMANADを再生することはできない。前記サブスティテュートオーディオSBTADは、セカンダリービデオセットSCDVSに含まれる。
【０１６２】
＜サブスティテュートオーディオビデオ（Substitute Audio Video）＞
サブスティテュートオーディオビデオSBTAVは、プライマリービデオセットPRMVSのメインビデオMANVDとメインオーディオMANADの両方を同時に交換して表示する時に利用される。前記サブスティテュートオーディオビデオSBTAVはメインビデオストリームMANVDを含むことが必須となる。また前記サブスティテュートオーディオビデオSBTAVは、メインオーディオストリームMANADを含んでもよい。前記プライマリービデオセットPRMVSと前記サブスティテュートオーディオビデオSBTAVを同時に再生表示することはできない。前記サブスティテュートオーディオビデオSBTAVはセカンダリービデオセットSCDVSの一種として含まれる。
【０１６３】
＜アドバンストコンテンツのプライマリーエンハンストビデオオブジェクト（Primary Enhanced Video Object for Advanced Content）＞
アドバンストコンテンツADVCTのプライマリーエンハンストビデオオブジェクトP-EVOBはプライマリービデオセットPRMVSの再生データを表すデータストリームを意味している。プライマリービデオセットPRMVSの再生データのタイプとしては、メインビデオMANVD、メインオーディオMANAD、サブビデオSUBVD、サブオーディオSUBADと副映像SUBPTが含まれる。本実施形態においてプライマリーエンハンストビデオオブジェクトP-EVOB内に含まれるパックとしては、現行DVD及びスタンダードコンテンツSTDCTと同様ナビゲーションパックNV_PCKを持つと共に、アドバンストストリームが記録されるアドバンストストリームパックが存在する。本実施形態においてメインオーディオMANADと副映像SUBPTと同様、サブビデオSUBVDとサブオーディオSUBADに対するオフセット情報がシンクロナスインフォメーションSYNCI内に記録されている。
【０１６４】
図１０に示した各種オブジェクトストリームが、情報記憶媒体上に記録される時のファイル構造を図１１に示す。本実施形態においてアドバンストコンテンツADVCTに関しては情報記憶媒体のルートディレクトリ直下にアドバンストコンテンツディレクトリADVCTを配置し、全ファイルをその中に記録している。アドバンストコンテンツディレクトリADVCTの下には再生に関する情報が記録されているプレイリストファイルPLLSTが存在し、それと同時にアドバンストアプリケーションに関する情報を記録するアドバンストアプリケーションディレクトリADAPLとプライマリービデオセットに関する情報を記録するプライマリービデオセットディレクトリPRMVSとセカンダリービデオセットに関する情報を記録するセカンダリービデオセットディレクトリSCDVSと、アドバンストサブタイトルに関する情報を記録するアドバンストサブタイトルディレクトリADSBTが記録されている。
【０１６５】
アドバンストアプリケーションディレクトリADAPLの下には、アドバンストアプリケーションに関する管理情報が記録されているアドバンストナビゲーションディレクトリADVNVとアドバンストアプリケーションで使われる各種アドバンストエレメント（オブジェクト情報など）に関する情報が記録されているアドバンストエレメントディレクトリADVELが存在している。前記アドバンストナビゲーションディレクトリADVNVには、アドバンストアプリケーション内で使用される各種管理情報間の関係や、ネットワークダウンロードに必要な情報リストがまとめて記録されているマニュフェストに関するマニュフェストファイルMNFST、ページレイアウトなどに関するマークアップが記録されているマークアップファイルMRKUP、スクリプトコマンドが記録されているスクリプトファイルSCRPTが存在する。また、アドバンストエレメントディレクトリADVELには、静止画像を記録する静止画ファイルIMAGE、イフェクトオーディオを記録するイフェクトオーディオファイルEFTAD、フォント情報を記録するフォントファイルFONTとその他ファイルOTHERが存在する。
【０１６６】
プライマリービデオセットディレクトリPRMVSの下には、プライマリーオーディオビデオディレクトリPRMAVが存在し、プライマリーオーディオビデオのエンハンストビデオオブジェクトに関する属性情報や管理情報が記録されているビデオタイトルセットインフォメーションに関する情報を記録するビデオタイトルセットインフォメーションファイルADVTSI、プライマリービデオセットの時間情報からアドレス情報に変換するタイムマップを記録するプライマリービデオセットのタイムマップファイルPTMAPとプライマリーエンハンストビデオオブジェクトを記録するプライマリーエンハンストビデオオブジェクトファイルP-EVOBが存在する。
【０１６７】
セカンダリービデオセットディレクトリSCDVSの下には、サブスティテュートオーディオビデオディレクトリSBTAV、サブステュートオーディオディレクトリSBTADとセカンダリーオーディオビデオディレクトリSCDAVが存在し、セカンダリーオーディオビデオディレクトリSCDAVの下にはセカンダリービデオセットの時間情報からアドレス情報に変換するタイムマップを記録するセカンダリービデオセットのタイムマップファイルSTMAPとセカンダリーエンハンストビデオオブジェクトを記録するセカンダリーエンハンストビデオオブジェクトファイルS-EVOBが存在する。また、サブスティテュートオーディオディレクトリSBTAD及びサブスティテュートオーディオビデオディレクトリSBTAVの下にもセカンダリービデオセットの時間情報からアドレス情報に変換するタイムマップファイルSTMAPとセカンダリーエンハンストビデオオブジェクトファイルS-EVOBを格納することができる。
【０１６８】
アドバンストサブタイトルディレクトリADSBTの下には、アドバンストサブタイトルに関する管理情報が記録されるアドバンストナビゲーションディレクトリADVNVとアドバンストサブタイトルのエレメント情報であるアドバンストエレメントディレクトリADVELが存在する。前記アドバンストナビゲーションディレクトリADVNVには、アドバンストサブタイトルのマニュフェストファイルMNFSTSとアドバンストサブタイトルのマークアップファイルMRKUPSが存在する。前記アドバンストサブタイトルのマニュフェストファイルMNFSTSには、アドバンストサブタイトルに関係する各種管理情報間の関係や、ネットワークダウンロードに必要な情報が記録されている。また前記アドバンストサブタイトルのマークアップファイルMRKUPS内にはアドバンストサブタイトルの画面上の表示位置などを指定するマークアップ情報が記録されている。また、アドバンストエレメントディレクトリADVELには、アドバンストサブタイトルのフォント情報を記録するアドバンストサブタイトルのフォントファイルFONTSが存在する。
【０１６９】
＜アドバンストコンテンツディレクトリ（Directories for Advanced Content）＞
アドバンストコンテンツディレクトリADVCTの名前及びそれに含まれる各ディレクトリとファイル名は、DキャラクターズまたはD1キャラクターズで記載される。また、このアドバンストコンテンツディレクトリADVCTの下にサブディレクトリを配置するが、このサブディレクトリの階層の深さは８階層以下とし、トータルサブディレクトリの数は本実施形態では５１２以下に設定する。仮に余りにディレクトリが深い場合、またはトータルサブディレクトリの数が多い場合はアクセス性が低下する。従って本実施形態では、階層の数や、ディレクトリの数を制限することでアクセスの高速性を確保することができる。
【０１７０】
＜アドバンストコンテンツのファイル群（Files for Advanced Content）＞
図１１に示すアドバンストコンテンツディレクトリADVCT以下に記録することのできるトータルファイル数は５１２×２０４７個以下とし、各ディレクトリ内に記録できるファイル数は２０４８ファイル以下に設定する。また、ファイル名としては各ファイル名の後ろにピリオド“．”を配置し、ピリオド“．”の後ろに拡張子を配置する構造にする。前記アドバンストコンテンツディレクトリADVCTは、情報記録媒体のルートディレクトリ直下に記録され、このアドバンストコンテンツディレクトリADVCTの直下にプレイリストファイルPLLSTが記録される。
【０１７１】
＜プレイリスト（Playlist）の設定＞
このプレイリストファイルPLLSTは情報記憶媒体上に複数個記録することができる。プレイリストファイルPLLSTは２種類のプレイリストファイルPLLSTを設定可能であり、情報再生装置が直接再生時にアクセスするプレイリストファイルPLLSTに対してはファイル名として “VPLIST%%.XML”の名前にし、情報再生装置が直接アクセスしないプレイリストPLLSTのファイル名を “APLIST&&.XML”という名前に設定する。ここにおいて“%%”と“&&”は００から９９までの数字が入る。
【０１７２】
＜ファイル名（File name）＞
図１１に示したアドバンストビデオタイトルセットインフォメーションファイルADVTSIのファイル名は、“AVI00001.IFO”という名前にする。また、プライマリーエンハンストビデオオブジェクトファイルP-EVOBおよびセカンダリーエンハンストビデオオブジェクトファイルS-EVOBの拡張子はEVOと設定する。また、プライマリービデオセットのタイムマップファイルPTMAPとセカンダリービデオセットのタイムマップファイルSTMAPの拡張子は、“IFO”に設定する。
【０１７３】
前記プライマリービデオセットタイムマップファイルPTMAPとセカンダリービデオセットのタイムマップファイルSTMAPファイルは、９９９以下のファイル数にしなければならない。このようにタイムマップファイルの数の上限を規定することにより、エンハンストオブジェクトデータEVOBへのアクセス制御の高速化を保証することができる。
【０１７４】
アドバンストコンテンツ内のデータ構造例を図１２に示す。
【０１７５】
＜アドバンストコンテンツ（Advanced Content）内のデータ構造例＞
スタンダードコンテンツSTDCTが実現するオーディオビデオの表現形式をさらに拡張し、かつインタラクティブな操作が可能にするためアドバンストコンテンツADVCTが本実施形態では設定されている。
【０１７６】
アドバンストコンテンツADVCTはプレイリストPLLSTと図１０に示すプライマリービデオセットPRMVS、セカンダリービデオセットSCDVS、アドバンストアプリケーションADAPLとアドバンストサブタイトルADSBTから構成されている。図１２に示すプレイリストPLLSTは、各種オブジェクト情報の再生方法に関する情報が記録されており、それらの情報は図１１に示すようにアドバンストコンテンツディレクトリADVCTの下に１個のプレイリストファイルPLLSTとして記録されている。
【０１７７】
＜プレイリスト（Playlist）に含まれる情報＞
プレイリストPLLSTもしくはそれが記録されているプレイリストファイルPLLSTはXMLにより記述され、情報記憶媒体内に１以上のプレイリストファイルPLLSTとして記録されている。本実施形態におけるカテゴリー２もしくはカテゴリー３に属するアドバンストコンテンツADVCTが記録されている情報記憶媒体においては、情報記憶媒体挿入直後に情報再生装置は前記プレイリストファイルPLLSTの検索を行うようになっている。本実施形態において、プレイリストファイルPLLSTは以下の情報を含んでいる。
【０１７８】
１）  オブジェクトマッピングインフォメーションOBMAPI
オブジェクトマッピングインフォメーションOBMAPIは、プライマリービデオセットPRMVS、セカンダリービデオセットSCDVS、アドバンストアプリケーションADAPLやアドバンストサブタイトルADSBTなどのオブジェクトに関する再生情報として設定される。本実施形態においては前記各オブジェクトデータの再生タイミングは、後述するタイトルタイムライン上にマッピングされる形で記載される。前記オブジェクトマッピングインフォメーションOBMAPIにおいてプライマリービデオセットPRMVSや、セカンダリービデオセットSCDVSの配置場所はそれらのタイムマップファイルPTMAPまたはSTMAPが存在する場所（ディレクトリあるいはURL）を参照することにより指定される。また、前記オブジェクトマッピングインフォメーションOBMAPIにおいて、アドバンストアプリケーションADAPLや、アドバンストサブタイトルADSBTは、それらに対応したマニュフェストファイルMNFSTあるいはMNFSTSが配置されている場所（ディレクトリまたはURL）を指定することにより決定される。
【０１７９】
２）  トラックナンバーアサイメントインフォメーション
本実施形態においては、オーディオストリームや副映像ストリームを複数持つことが許されているが、プレイリストPLLST上に何番目のストリームデータを表示するかを表す情報が記載される。これら何番目のストリームが使用されるかという情報は、トラック番号として記述される。この対象となるトラック番号としては、ビデオストリームに対するビデオトラック番号、サブビデオストリームに対するサブビデオトラック番号、オーディオストリームに対するオーディオトラック番号、サブオーディオストリームに対するサブオーディオトラック番号、サブタイトルストリームに対応するサブタイトルトラック番号と、アプリケーションストリームに対応するアプリケーショントラック番号が設定される。
【０１８０】
３）  トラックナビゲーションインフォメーションTRNAVI
このトラックナビゲーションインフォメーションTRNAVIは、前記アサインされたトラックナンバーに対する関連情報を記載しているものであり、トラック番号毎の属性情報がリストとして記録されユーザの選択への便宜を図っている。例えばトラック番号毎に言語コードなどが前記ナビゲーションインフォメーションに記録され、トラック番号１番が日本語、トラック番号２番が英語、トラック番号３番が中国語など前記トラックナビゲーションインフォメーションTRNAVIを利用することにより、ユーザが好みの言語を即座に判定しやすくしている。
【０１８１】
４）  リソースインフォメーションRESRCI
このリソースインフォメーションRESRCIは、ファイルキャッシュ内にいつまでにリソースファイルを転送しなければいけないかなどのタイミング情報を示している。また、このリソース内インフォメーションにはアドバンストアプリケーションADAPL内においていつ各リソースファイルを参照するかのタイミングなども記載されている。
【０１８２】
５）  プレイバックシーケンスインフォメーションPLSQI
前記プレイバックシーケンスインフォメーションPLSQIは、例えば１個のタイトル内のチャプター情報など、ユーザがチャプター位置へのジャンプ処理がしやすいような情報が記録されている。このプレイバックシーケンスインフォメーションPLSQIは、タイトルタイムラインTMLEにおける時刻指定ポイントとして表示されている。
【０１８３】
６）  システムコンフィギュレーションインフォメーション
システムコンフィギュレーションインフォメーションは、例えばインターネット経由でファイルキャッシュにデータを格納する時に必要なデータサイズを表すストリーミングバッファサイズなどのシステムを構成するために必要な構造的な情報が記録されている。
【０１８４】
＜プレイリストからのデータ参照方法＞
図１２では、各オブジェクトへのプレイリストPLLSTでのデータ参照方法を示している。例えばプレイリストPLLST上で特定のプライマリーエンハンストオブジェクトP-EVOBを再生したい場合には、その属性情報が記録されているエンハンストビデオオブジェクトインフォメーションEVOBIを参照した後、プライマリーエンハンストビデオオブジェクトP-EVOBにアクセスする必要がある。またプレイリストPLLSTでは、プライマリーエンハンストビデオオブジェクトP-EVOBの再生範囲をタイムライン上で時間情報として規定している。そのため指定された時間に対する情報記憶媒体上のアドレス位置に変換するツールとして、プライマリービデオセットのタイムマップPTMAPが最初に参照される必要がある。同様にセカンダリーエンハンストビデオオブジェクトS-EVOBの再生範囲もプレイリストPLLST上では時間情報で記載されており、その範囲の情報記憶媒体上でのセカンダリーエンハンストビデオオブジェクトS-EVOBの記録場所を探すために、最初にセカンダリービデオセットSCDVSのタイムマップSTMAPが参照される。また、アドバンストアプリケーションADAPLのデータは図１０に示すように、情報再生装置で使われる前に必ずファイルキャッシュ上に格納される必要がある。そのため、アドバンストアプリケーションADAPLの各種データを使用する場合には、プレイリストPLLSTからマニュフェストファイルMNFSTを参照し、マニュフェストファイルMNFST内に記載された各種リソースファイル（前記リソースファイルの保存場所とリソースファイル名も前記マニュフェストファイルMNFST内に記載されている）をファイルキャッシュFLCCH（データキャッシュDTCCH）上に転送する必要がある。同様にアドバンストサブタイトルADSBTの各種データを使用する場合も、事前にファイルキャッシュFLCCH（データキャッシュDTCCH）上での格納が必要となるため、アドバンストサブタイトルADSBTのマニュフェストMNFSTSを利用してファイルキャッシュFLCCH（データキャッシュDTCCH）へのデータ転送が可能となる。アドバンストサブタイトルADSBT内のマークアップMRKUPSにより、画面上でのアドバンストサブタイトルADSBTの表示場所と表示タイミングを知ることができるとともに、アドバンストサブタイトルADSBT情報を画面上に表示する時にアドバンストサブタイトルADSBTのフォントFONTSの情報を利用できる。
【０１８５】
＜タイムマップの参照＞
プライマリービデオセットPRMVSを表示するにはタイムマップPTMAPを参照し、エンハンストビデオオブジェクトインフォメーションEVOBIで定義されたプライマリーエンハンストビデオオブジェクトP-EVOBにアクセス処理をする必要がある。
【０１８６】
本実施形態のアドバンストコンテンツADVCT内のデータ構造における、ポイント内容と効果について図１３を用いて説明を行う。ポイント内容と効果については下記の通り８点挙げられる。
【０１８７】
本実施形態における特徴・ポイント内容を以下に示す。
【０１８８】
(1) 時間軸上レイアウトとユーザ表示画面上の２次元的レイアウトに関する設定管理情報として、プレイリストPLLSTとマークアップMRKUPの階層構造を持ち、両者が同一の記述形式（XML）で記述される。
【０１８９】
(2) プレイリストPLLST上ではタイトルタイムラインTMLEに合わせたメディアクロックを持ち、マークアップMRKUPではタイミングエレメントによる設定に合わせたページクロック/アプリケーションクロックを持つ。また、両クロック間は互いに独自に設定できる（同期する必要がない）。
【０１９０】
(3) 動画（エンハンストビデオオブジェクトEVOB）における初期時の画面上レイアウトは、プレイリストPLLST（ビデオアトリビュートアイテムエレメントVABITM）上で指定され、スクリプトSCRPTの実行に合わせて変更が可能である。
【０１９１】
(4) 画面上でのアドバンストアプリケーションADAPLの表示領域（アプリケーション領域APPRGN）のレイアウトをマニフェストMNFST内で指定し、その中の各エレメント毎のレイアウトをマークアップMRKUP上で指定する。
【０１９２】
(5) １個のプレイリストPLLSTに対し複数のマークアップMRKUPの設定が可能である。
【０１９３】
(6) マークアップページ内で設定されたスクリプトSCRPTの実行により、同一プレイリストPLLST内での複数のマークアップページMRKUP間の遷移が行われる。
【０１９４】
(7) 同一プレイリストPLLST内で遷移対象となる複数のマークアップページMRKUPが複数のマニフェストMNFSTにより指定可能である。また、前記複数のマークアップページMRKUPの内、最初に表示されるマークアップページMRKUPが各対応したマニフェストMNFST内に記述される。指定されたマークアップファイルMRKUPは事前にファイルキャッシュFLCCH内に一時保存され、前記ファイルキャッシュFLCCH内に一時保存されるべきマークアップファイルMRKUP及び静止画IMAGEやイフェクトオーディオEFTADなどのエレメントファイルの元々の保存場所がアプリケーションリソースエレメントAPRELEの一覧表としてプレイリストPLLST内に記述されている（図６３参照）。
【０１９５】
(8) プレイリストPLLSTからアドバンストアプリケーションセグメントADAPLのSRC属性情報（リソース属性情報）、マニフェストMNFST内のマークアップエレメントMRKUPのSRC属性情報（リソース属性情報）を経由し、初期に表示するマークアップページMRKUPを指定する。
【０１９６】
次に上記特徴・ポイント内容(1)〜(8)に対する効果について説明を行う。
【０１９７】
(1) レイアウトに関する設定管理情報の拡張性と柔軟性が向上する。また、同一の記述形式により管理情報の解読処理の容易化と共有化が図れる。
【０１９８】
(2) タイトルタイムラインTMLEに同期した動画情報を高速再生/巻戻し再生している最中に、アプリケーションクロック上にて標準速度で再生したアプリケーション画面（アドバンストアプリケーションADAPLとアドバンストサブタイトルADSBTに関係した画面）を同時に表示することができ、ユーザに対する表現力が大幅に向上する。
【０１９９】
(3) ユーザ画面上での動画の表示領域が任意に設定できるため、ユーザに対する表現力が大幅に向上する。
【０２００】
(4) アドバンストアプリケーションADAPLの各エレメントの配置場所が（アプリケーション領域APPRGNにより）グルーピングされているため、アドバンストアプリケーションマネージャADAMNGによる管理が容易となる。また、動画の表示領域との間のレイアウト管理（重なり防止など）が容易となる。
【０２０１】
(5) 同一の動画を表示している途中で複数のマークアップページMRKUP間の遷移表示が可能となり、ユーザに対する表現力が大幅に向上する。
【０２０２】
(6) 複数のマークアップページMRKUP間の遷移方法が大幅にフレキシブルになる。（例として、ユーザがアクションを指定した直後にマークアップページMRKUP間の遷移が起きず、動画の表示画面に合わせてディレイを持たせた遷移をスクリプトSCRPTで設定できる（図２の技術的工夫を行った結果得られる新たな効果（1.3）参照））。前記ディレイを持たせた遷移は、図７５の（f）に示すイベントエレメントEVNTELにより設定する事ができる。
【０２０３】
(7) マニフェストMNFSTにより指定されたマークアップページMRKUP情報を事前にファイルキャッシュFLCCH内に保存できるため、複数のマークアップページMRKUP間の遷移が高速で行え、ユーザが使用し易い（ユーザに好印象を与える事ができる）。また、ファイルキャッシュFLCCH内に一時保存されるべきマークアップファイルMRKUP及び静止画IMAGEやイフェクトオーディオEFTADなどのエレメントファイルの元々の保存場所がアプリケーションリソースエレメントAPRELEの一覧表としてプレイリストPLLST内に記述されているので、ファイルキャッシュFLCCH内に一時保存されるべきリソース一覧を事前に知る事ができ、ファイルキャッシュFLCCHへのリソースのダウンロード処理の効率化を図る事ができる。
【０２０４】
(8) プレイリストPLLSTからのマークアップページMRKUP指定に対する拡張性が向上すると共に編集容易性も向上する。
【０２０５】
図１ではネットワークサーバNTSRVから情報記録再生装置1までのネットワーク経路が光ケーブル12を介して家庭内のルータ11を経由し、家庭内で無線LANによりデータ接続されている例で示してあるが、これに限らず本実施形態において別経由でのネットワーク経路を有してもよい。また図１では情報記録再生装置1としてパーソナルコンピュータの図面を書いているが、これに限らず本実施形態においては情報記録再生装置として家庭用レコーダ単体または家庭用プレーヤ単体として設定することが可能である。また、無線を使わず直接有線でモニタに表示してもよい。
【０２０６】
本実施形態において、図１０に示すセカンダリービデオセットSCDVSとアドバンストアプリケーションADAPL及びアドバンストサブタイトルADSBTの情報は、事前に図１に示すネットワークサーバNTSRVに保存されており、それらの情報が光ケーブル12を返して家庭内に配信されることが可能となっている。光ケーブル12から送られた前期各種データは家庭内でルータ11を経由して情報記録再生装置1へ無線データ17の形で転送される。ルータ11は無線LAN制御部7-2とデータマネージャ9及びネットワーク制御部8から構成され、ネットワーク制御部8によりネットワークサーバNTSRVとの間のデータ更新を制御し、無線LAN制御部7-2により家庭内無線LANへデータ転送する。それらのデータの転送処理をデータマネージャ9が制御している。ルータ11から無線データ17に乗せられて送られてきたセカンダリービデオセットSCDVS、アドバンストアプリケーションADAPL、及びアドバンストサブタイトルADSBTの各種コンテンツは、無線LAN制御部7-1でデータを受けた後アドバンストコンテンツ再生部ADVPL内に送られ、一部は図１４に示すデータキャッシュDTCCHに保存される。本実施形態の情報再生装置は、アドバンストコンテンツADVCTを再生するアドバンストコンテンツ再生部ADVPLとスタンダードコンテンツSTDCTを再生するスタンダードコンテンツ再生部STDPLと録画可能な情報記憶媒体DISCもしくはハードディスク装置6に映像録画を行い、そこから再生が可能な録画再生処理部4が内蔵されている。それらの再生部及び録画再生処理部はメインCPU5により有機的に制御される。図１に示すように、情報記憶媒体DISCは情報記録再生部2の中で再生もしくは情報の記録が行われる。本実施形態において、アドバンストコンテンツ再生部ADVPLが再生対象とするメディアは前記情報記録再生部2やパーシステントストレージドライブ3（固定形あるいは携帯形フラッシュメモリのドライブ）からの情報の再生を前提としている。また本実施形態では前述したように、ネットワークサーバNTSRVに記録されたデータの再生も可能となっている。この場合には前述したようにネットワークサーバNTSRVに保存されているデータが光ケーブル12を経由し、ルータ11内のネットワーク制御からルータ11内の無線LAN制御部7-2を経由し、無線データ17の形で転送され無線LAN制御部7-1を経由してアドバンストコンテンツ再生部ADVPLへ情報が転送される。アドバンストコンテンツ再生部ADVPLで再生される映像情報は、ディスプレイ13に表示することが可能であるか、より大画面で表示したいというユーザ要求に合わせ無線LAN制御部7-1から無線データ18の形で大画面テレビモニタ15に映し出されることが可能となる。大画面モニタ15には映像処理部24、映像表示部21、無線LAN制御部7-3が内蔵されており無線データ18は、前記無線LAN制御部7-3で受信した後映像処理部24で映像処理し、映像表示部21を返して大画面テレビモニタ15に表示されるとともにスピーカ16-1、16-2で音声出力される。
【０２０７】
図１に示したシステム説明図におけるアドバンストコンテンツ再生部ADVPLの内部構造について図１４を用い以下に説明を行う。本実施形態において、アドバンスコンテンツ再生部ADVPLは下記の５つの論理的な機能モジュールから構成されている。
【０２０８】
＜データアクセスマネージャ（Data Access Manager）＞
データアクセスマネージャDAMNGは、アドバンストコンテンツADVCTが記録された外部の情報記録場所とアドバンストコンテンツ再生部ADVPL内の各モジュールとの間のデータのやりとりの管理に利用される。本実施形態ではアドバンストコンテンツADVCTの記録場所としてパーシステントストレージPRSTR、ネットワークサーバNTSRVと情報記憶媒体DISCを前提としており、それらの情報がデータアクセスマネージャDAMNGとやりとりされる。また各種アドバンストコンテンツADVCTの情報は、データアクセスマネージャDAMNGを介して後述するナビゲーションマネージャNVMNG、データキャッシュDTCCH、プレゼンテーションエンジンPRSENとの間のデータのやりとりを行う。
【０２０９】
＜データキャッシュ（Data Cache）＞
データキャッシュDTCCHは、アドバンストコンテンツ再生部ADVPLにおけるテンポラルなデータ保存場所（一時保存場所）として利用される。
【０２１０】
＜ナビゲーションマネージャ（Navigation Manager）＞
ナビゲーションマネージャNVMNGは、アドバンストコンテンツ再生部ADVPLの全機能モジュールの制御を行い、それらはアドバンストアプリケーションADAPLの記載内容に応じて制御される。前記ナビゲーションマネージャNVMNGは、ユーザオペレーションUOPEとの制御も行う。前記ユーザオペレーションUOPEは、例えば情報再生装置におけるフロントパネルのキーインとか、リモコンによるキーインなどによりユーザオペレーションが発生する。これらの処理により発生するユーザオペレーションUOPEから受け取った情報は、前記ナビゲーションマネージャNVMNGにより処理される。
【０２１１】
＜プレゼンテーションエンジン（Presentation Engine）＞
プレゼンテーションエンジンPRSENは、アドバンストコンテンツADVCTの表示再生を行う。
【０２１２】
＜ＡＶレンダラ（AV Renderer）＞
ＡＶレンダラーAVRNDは他のモジュールから入力されたビデオ情報と音声情報の合成処理を行い、スピーカ16や大画面テレビモニタ15などに対する外部への出力を行う。このとき利用される音声情報は単独ストリーム情報でもサブオーディオSUBADとメインオーディオMANADを混合されたオーディオ情報でもよい。
【０２１３】
＜オブジェクト情報などの自動更新の実現＞
図２に示すように、本実施形態による技術的工夫を行った結果得られる新たな効果に対する具体的な例を図１５に表す。図２の効果において、“５〕ネットワークを用いたディスク上の情報更新機能を持たせる”内の“５．１）オブジェクト情報の自動更新やディスク内管理情報の自動更新”という新たな効果を発揮する方法として本実施形態では図１５に示すように、コマーシャルCM44やコマーシャル用の別画面32およびテロップCM43、上映予告41を常に最新の映像としてユーザに供給することができるところに本実施形態の大きな特徴がある。
【０２１４】
上映予告41を常に最新の情報に変更させることにより、タイムリーな映画の上映予告PRがユーザに対して可能となりユーザを映画館に呼ぶきっかけをつくることができる。また本実施形態ではコマーシャルCM44、コマーシャル用の別画面32およびテロップCM43を本編31の再生にリンクして表示することにより、通常のテレビの放送のようにコマーシャルのスポンサーからスポンサー料を取り、それにより情報記憶媒体DISCのユーザに対する販売価格を低く抑えるということが可能となる。映像情報にコマーシャルを入れるという概念は従来から多く提案されているが、本実施形態のようにネットワークサーバNTSRVから適宜最新のコマーシャル情報を読み取り、情報記憶媒体DISCに記録されている本編31の上映とリンクして、コマーシャル情報を最新のコマーシャルを表示することに本実施形態の大きな技術的な特徴がある。最新の上映予告41やコマーシャル情報は図１に示すネットワークサーバNTSRVに逐次更新保存され、情報記憶媒体DISC内に記録されている本編31の再生タイミングに合わせてネットワークダウンロードを行う。図１５に示した各オブジェクトと図１０に示す各オブジェクトとの間の関係を以下に示す。
【０２１５】
図１５においていずれも本編31はプライマリービデオセットPRMVSの中のプライマリーオーディオビデオPRMAVのメインビデオMANVDとメインオーディオMANADから構成されている。上映予告41とコマーシャルCM44及びコマーシャル用の別画面32も情報記憶媒体DISC内のプライマリービデオセットPRMVS内のプライマリーオーディオビデオPRMAVのサブビデオSUBVDとサブオーディオSUBADとして記録されているが、情報記憶媒体DISC作成後特定の時間が経過した後はそれらの情報が表示するに当たらないほど古くなってしまう。その場合にはネットワークサーバNTSRV内に保存されたセカンダリービデオセットSCDVSのセカンダリーオーディオビデオSCDAVにおけるサブビデオSUBVDとサブオーディオSUBADに置き換えられてコマーシャルCM44または、コマーシャル用の別画面32で表示される。本実施形態では予め情報記憶媒体DISCに記録されたコマーシャルCM44は、他の実施形態としてプライマリービデオセットPRMVSのプライマリーオーディオビデオPRMAVのメインビデオMANVDとメインオーディオMANADとして記録することも可能である。同様に上映予告41の情報も情報記憶媒体DISC内に記録する場合には、プライマリービデオセットPRMVS内のプライマリーオーディオビデオPRMAVのサブビデオSUBVDとサブオーディオSUBADに記録するか、あるいはプライマリーオーディオビデオPRMAVのメインビデオMANVDとメインオーディオMANADに記録し、再生時に情報記憶媒体DISC作成から特定の時間を経過した後はセカンダリービデオセットSCDVSのセカンダリーオーディオビデオSCDAV内のサブビデオSUBVDとサブオーディオSUBADの情報としてネットワークサーバNTSRVからダウンロードし、そのダウンロードした情報を表示するようにしている。それにより、本実施形態ではコマーシャルCM44、コマーシャル用の別画面32またはテロップCM43と上映予告41の情報を常に最新の形でユーザに表示することができ、ＰＲ効果も向上させることができる。
【０２１６】
＜映像コンテンツの具体的な再生方法＞
次に図１５（ａ）（ｂ）（ｃ）を用い、本実施形態における映像コンテンツの表示例の説明を行う。
【０２１７】
図１５（ａ）においては情報記憶媒体DISCを情報記録再生装置1に挿入すると、最初に詳細ナビの必要性説明映像42が表示される。詳細ナビゲーションの必要をユーザが感じない場合にはそのままやり過ごすが、もしユーザがこの情報記憶媒体DISCのアドバンストコンテンツADVCTを再生する方法の説明を知りたい場合には、詳細ナビの必要を入力することで図示していないが詳細ナビの使用説明を表示することができる。また、図１５（ｃ）の場合には、詳細ナビの必要性説明映像42内に後述するヘルプキーの使い方を説明し、ヘルプアイコンを常に出すことでユーザが必要な時にヘルプアイコンを指定し、使い方の説明を問い合わせることができる。
【０２１８】
図１５（ａ）では、放送テレビ画面のように本編31の表示の途中で前述したコマーシャルCM44を挿入する形となっており、このコマーシャルCM44の表示方法及び表示タイミングは通常放送受信テレビで表示するコマーシャルの表示タイミング、表示方法と同じものを示している。また、図１５（ａ）では情報記憶媒体DISCのコンテンツプロバイダが上映する映画の近日の上映予告41を本編31の表示終了後に表示するようになっている。
【０２１９】
図１５（ｂ）では、テロップの形で最新のコマーシャル情報CM43が本編31の表示に重ね合わせて表示される。また、上記テロップCM43の表示情報を常に最新の情報にする方法として、本実施形態ではアドバンストサブタイトルADSBTを利用しネットワークダウンロードを活用しているところに大きな特徴がある。すなわち情報記憶媒体DISC内には初期の時点ではプライマリービデオセットPRMVS内のプライマリーオーディオビデオPRMAVの副映像SUBPT内にテロップ（流れるテキスト情報）の形でテロップCM43を表示している。次に情報記憶媒体DISC製造後、特定の時間経過後は最新のテロップCM43の情報をネットワークサーバNTSRV内のアドバンストサブタイトルADSBTとして記録しておりネットワーク経由でデータを取込み、テロップＣＭ43として表示している。
【０２２０】
図１５（ｃ）における映像コンテンツ表示例の説明を行う。図１５（ｃ）では、詳細ナビの必要性説明映像42の直後に映画館で上映される上映予告41が表示され、上映予告41の表示後に始めて本編31が表示される形となっている。この場合、本編31とは別のコマーシャル用の別画面32が表示され、それと同時にヘルプアイコン33が表示されている。本実施形態において、本編31の内容はプライマリービデオセットPRMVS内のプライマリーオーディオビデオPRMAVのメインビデオMANVDとメインオーディオMANADとして情報記憶媒体DISC内に予め記録されている。別のコマーシャル用の別画面32は、情報記憶媒体内DISCではプライマリービデオセットPRMVSのプライマリーオーディオビデオPRMAVのサブビデオSUBVDとサブオーディオSUBADとして記録され、この情報が初期の時点ではユーザに表示される。情報記憶媒体DISCの製造後特定の時間が経過した後では、本実施形態では別のコマーシャル用の別画面32は、更新された映像を表示することができる。その方法として、最新のコマーシャル用の別画面32の情報をネットワークサーバNTSRV内にセカンダリービデオセットSCDVS内のセカンダリーオーディオビデオSCDAVのサブビデオSUBVDとサブオーディオSUBADとして保存しておきネットワークを経由して適宜ダウンロードし、ユーザに表示する。また図１５（ｃ）の実施形態では、ヘルプアイコン33はアドバンストアプリケーションADAPLの静止画IMAGEとスクリプトSCRPTで構成される。
【０２２１】
図１５（ｃ）における本編31とコマーシャル用の別画面32とヘルプアイコン33が同時に表示されているα点における表示画面の例を図１６に示す。
【０２２２】
図１６の左上が本編３１を表示し右上にコマーシャル用の別画面32が表示され、下側にヘルプアイコン33が表示されている。図１６の画面と図２に示した本実施形態による技術的工夫を行った結果得られる新たな効果について以下に説明を行う。
【０２２３】
図２に示すように本実施形態による技術的工夫を行った結果得られる新たな効果の“１〕ユーザアクションに対する柔軟かつ印象的なリアクションを行う”については本実施形態を利用することにより、インターネットのホームページに近い柔軟な印象的な画面を作ることが可能となる。具体的な本実施形態による新たな効果の“１．４）ＰＣのようなヘルプ”や“１．５）メニューなどの使い方ガイド”に対応したものが図１６のヘルプアイコン33に対応する。この画面上でのヘルプアイコン33の画像はアドバンストアプリケーションADAPLの静止画IMAGEとしてデータが存在し、その情報は図１１に示す情報記憶媒体DISC内のアドバンストコンテンツディレクトリADVCTの下のアドバンストアプリケーションディレクトリADAPL内のアドバンストエレメントディレクトリADVEL内に格納されている。ヘルプアイコン33をユーザがクリックすると、ヘルプ対応画像が動き出すがそれに関するコマンド処理はアドバンストアプリケーションADAPL内のスクリプトSCRPTとして記録され、図１１のアドバンストコンテンツディレクトリADVCTの下のアドバンストアプリケーションディレクトリADAPLの中にあるアドバンストナビゲーションディレクトリADVNVの下にスクリプトファイルSCRPTとして表示される。またこれらのヘルプアイコン33の静止画像やスクリプトの定義する領域の指定する情報が図１１に示すマークアップファイルMRKUP内に記録され、これらの一連の情報間の関連付け情報（データダウンロードに必要な関連情報）が、マニュフェストファイルMNFST内に記録されている。図１６に示すようなストップボタン34、プレイボタン35、ＦＲ（巻戻し）ボタン36、ポーズボタン37、ＦＦ（早送り）ボタン38などの情報もアドバンストアプリケーションADAPLとして分類され、それぞれのアイコンに対応した静止画像が図１１の静止画ファイルIMAGE内に格納され、それぞれのボタンを指定した時の実行コマンドが図１１のスクリプトファイル内に記録され、それらの領域指定がマークアップファイルMRKUP内に記録されている。
【０２２４】
図２に示した本実施形態による技術的工夫を行った結果新たな効果の中での“３〕再生中の映像にかぶせて別情報を同時に表示する”の中のとりわけ“３．１）マルチウインドウによる複数映像を同時に表示する”や“３．４）スクロールするテキストを映像にかぶせて同時表示する”に対応した図１６上の画面の説明を行う。
【０２２５】
現行DVDにおいては、１画面に１種類の映像しか表示することができない。それに対し本実施形態ではメインビデオMANVDとメインオーディオMANADと同時にサブビデオSUBVDとサブオーディオSUBADを表示することが可能となっている。すなわち図１６における本編31は、プライマリービデオセットPRMVS内のメインビデオMANVDとメインオーディオMANADに対応し、右側のコマーシャル用の別画面32はサブビデオSUBVDとサブオーディオSUBADに対応し、２画面が同時に表示できる格好となっている。更に本実施形態では図１６の右側に示すコマーシャル用の別画面32をセカンダリービデオセットSCDVSのサブビデオSUBVDとサブオーディオSUBADに置き換えて表示できるところに大きな特徴がある。すなわち、プライマリービデオセットPRMVSのプライマリーオーディオビデオ内のサブビデオSUBVDとサブオーディオSUBADは予め情報記憶媒体DISC内に記録されており、更新すべきセカンダリービデオセットSCDVSのサブビデオSUBVDとサブオーディオSUBADがネットワークサーバNTSRV内に記録され、情報記憶媒体DISC作成直後に作成される場合には情報記憶媒体DISC内に事前に記録されたコマーシャル用の別画面32を表示し、情報記憶媒体DISC作成後特定の時間経過後には、コマーシャル用の別画面32を最新の映像と取り替えるために、ネットワークサーバNTSRV内に記録されたセカンダリービデオセットSCDVS内のサブビデオSUBVDとサブオーディオSUBADをネットワーク経由でダウンロードし、取り替えて表示をする。これにより、常に最新のコマーシャル用の別画面32をユーザに表示することができスポンサーのコマーシャル効果を上げることをできるため、スポンサーからの多額のコマーシャル量を徴収することにより、販売する情報記憶媒体DISCの価格を安く抑え、本実施形態における情報記憶媒体DISCの普及を促進することができる。また、それとは別に図１６に示すテロップ文字39を本編31に重ねて表示することも可能となる。テロップ文字として、例えばニュースや天気予報など最新の情報をアドバンストサブタイトルADSBTの形でネットワークサーバNTSRV上に保存しておき、適宜ネットワーク経由でダウンロードしつつ表示することでユーザの利便性を大幅に向上させることが可能となる。なお、この時のテロップ文字の文字フォント情報は、図１１に示すようにアドバンストサブタイトルディレクトリADSBT内のアドバンストエレメントディレクトリADVPL内のフォントファイルFONTSに記憶することができる。また、このテロップ文字39の大きさや本編31上での表示場所の情報は、図１１のアドバンストサブタイトルディレクトリADSBTの下のアドバンストナビゲーションディレクトリADVNVの中のアドバンストサブタイトルADSBTのマークアップファイルMRKUPSに記録することができる。
【０２２６】
＜プレイリスト内の情報の概要＞
本実施形態におけるプレイリストPLLST内情報の概要について図１７を用いて説明する。本実施形態におけるプレイリストPLLSTは、図１１に示すように情報記憶媒体DISC内もしくはパーシステントストレージPRSTR内のアドバンストコンテンツディレクトリADVCTの直下に存在するプレイリストファイルPLLST内に記録され、アドバンストコンテンツADVCTの再生に関する管理情報が記録されている。プレイリストPLLST内にはプレイバックシーケンスインフォメーションPLSQIとオブジェクトマッピングインフォメーションOBMAPIおよびリソースインフォメーションRESRCIなどの情報が記録されている。プレイバックシーケンスインフォメーションPLSQIは、情報記憶媒体DISC内もしくはパーシステントストレージPRSTR内、ネットワークサーバNTSRV内に存在するアドバンストコンテンツADVCTにおける各タイトルの情報とタイトル内で映像情報を細かく分割する各チャプターの切れ目位置情報が記録されている。オブジェクトマッピングインフォメーションOBMAPI内では各タイトル毎のそれぞれのオブジェクトの表示タイミングと、画面上の表示位置が管理されている。各タイトル毎にはタイトルタイムラインTMLEが設定されており、そのタイトルタイムラインTMLE上の時間情報を利用して、各オブジェクトの表示開始/終了タイミングが設定可能となっている。リソースインフォメーションRESRCIでは、各タイトル毎に画面に表示する前にデータキャッシュDTCCH（ファイルキャッシュFLCCH）内に格納する各オブジェクト情報の事前格納タイミングの情報が記録されており、例えばデータキャッシュDTCCH（ファイルキャッシュFLCCH）にローディングを開始するローディング開始時間LDSTTMやそれぞれのデータキャッシュDTCCH（ファイルキャッシュFLCCH）内での使用有効期間VALPRDなどの情報が記録されている。
【０２２７】
プレイリストPLLST上ではユーザに表示する１つの映像のまとまり（１番組など）をタイトルとして管理する。プレイリストPLLSTに基づきアドバンストコンテンツADVCTを再生・表示する時に最初に表示するタイトルをファーストプレイタイトルFRPLTTとして定義することが可能である。前記ファーストプレイタイトルFRPLTT再生中に図７０に示すようにプレイリストアプリケーションリソースPLAPRSをファイルキャッシュFLCCH内に転送し、タイトル＃１以降の再生時に必要なリソースのダウンロード時間を短縮する事ができる。コンテンツプロバイダの判断により、前記ファーストプレイタイトルFRPLTTの設定を行わないようにプレイリストPLLSTを設定する事もできる。
【０２２８】
＜タイトルタイムラインに基づく表示制御＞
図１７に示すように本実施形態において表示対象となるオブジェクトの指定やその画面上の表示場所を指定する管理情報がプレイリストPLLSTと（マニュフェストファイルMNFST及びアドバンストサブタイトルADSBTのマニュファストMNFSTSを経由して）マークアップファイルMRKUP及びアドバンストサブタイトルのマークアップファイルMRKUPSの２段階に階層化され、プレイリストPLLST内において表示対象となるオブジェクトの表示タイミングをタイトルタイムラインTMLEに同期して設定されているところに大きな特徴がある。さらに、前記マークアップファイルMRKUPまたはアドバンストサブタイトルADSBTのマークアップファイルMRKUPSでも同様にタイトルタイムラインTMLEに同期して対象とするオブジェクトの表示タイミングが設定されるところに次の大きな特徴がある。更に本実施形態では前記表示するオブジェクトや表示場所を指定する管理情報であるプレイリストPLLSTとマークアップファイルMRKUP及びアドバンストサブタイトルADSBTのマークアップファイルMRKUPSの情報内容が同一の記載言語（XML）で記述されていることが次の特徴となっている。それによりアドバンストコンテンツADVCTの作成者の編集や変更の容易性が従来のDVD-Videoに比べて大幅に向上する。また他の効果としては再生場所のスキップ処理など、特殊再生時の表示処理を行うアドバンストコンテンツ再生部ADVPL内での処理の簡素化を図ることができる。
【０２２９】
＜画面上の各種情報とプレイリストとの関係＞
図１６を用いて上記本実施形態の特徴についての説明を行う。図１６では本編31とコマーシャル用の別画面32と下側に記載されている各種アイコンボタンが画面上に表示されているが、プライマリービデオセットPRMVS内のメインビデオMANVDを本編31として画面の左上に表示し、及びその表示タイミングが前記プレイリストPLLSTに記載されている。またこの本編31の表示タイミングは、タイトルタイムラインTMLEに同期して設定されている。また例えばサブビデオSUBVDとして記録されているコマーシャル用の別画面32の表示場所と表示タイミングも、前述した同一のプレイリストPLLSTに記載されている。このコマーシャル用の別画面32の表示タイミングも同様のタイトルタイムラインTMLE上に同期して指定されている。現行DVD-Videoにおいては、例えば図１６のヘルプアイコン33からFFボタン38までの画面に関しては、映像オブジェクト内に副映像SUBPTとして記録されており、ヘルプアイコン33からFFボタン38までの各ボタンを押した時のコマンド情報が同様に映像オブジェクト内のナビゲーションパックの中のハイライトインフォメーションHLIとして記録されている。その結果、コンテンツ作成者の編集や変更の容易性が損なわれるという問題があった。それに対して、本実施形態では図１６のヘルプアイコン33からFFボタン38までの画面情報と対応したコマンド情報に対しては、アドバンストアプリケーションADAPLとして一括して見なされ、プレイリストPLLST上は前記一括されたアドバンストアプリケーションADAPLの表示タイミングと画面上の表示場所のみが指定される。前記一括されたアドバンストアプリケーションADAPLに関する情報は、画面上に表示する前に必ずファイルキャッシュFLCCH（データキャッシュDTCCH）にダウンロードしておく必要がある。プレイリストPLLST上では前記アドバンストアプリケーションADAPLやアドバンストサブタイトルADSBTに関するデータをダウンロードする時に必要な情報が記録されているマニュフェストファイルMNFST（MNFSTS）のファイル名とファイル保存場所のみが記述されている。図１６のヘルプアイコン33からFFボタン38までの画面情報自体は、静止画ファイルIMAGEとしてアドバンストエレメントディレクトリADVEL内に保存されている（図１１）。図１６に示すヘルプアイコン33からFFボタン38までの各静止画像IMAGEの画面上の配置場所と表示タイミングを管理している情報がマークアップMRKUP内に記録されており、前記情報は図１１において、アドバンストナビゲーションディレクトリADVNV内のマークアップMRKUPファイル内に記録されている。また、ヘルプアイコン33からFFボタン38までの各ボタンを押した時の制御情報（コマンド情報）は、図６.６-１のアドバンストナビゲーションディレクトリADVNV内のスクリプトファイルSCRPT内に保存されており、それらのスクリプトファイルSCRPTのファイル名とそのファイルの保存場所がマークアップファイルMRKUP（及びマニュフェストファイルMNFST内）に記載されている。図１１では、各マークアップファイルMRKUP 、スクリプトファイルSCRPT、静止画ファイルIMAGEが情報記憶媒体DISC内に記録されているようになっているが、本実施形態にはそれに限らずそれらのファイルがネットワークサーバNTSRV内やパーシステントストレージPRSTR内に保存されていてもよい。このように画面上の全体の配��と表示タイミングがプレイリストPLLSTで管理されているとともに、各種ボタンやアイコンの配置位置と表示タイミングがマークアップファイルMRKUPで管理されており、プレイリストPLLSTから前記マークアップMRKUPに対してはマニュフェストMNFSTを経由して指定する構造となっている。各種アイコンやボタン及びコマンド情報が映像オブジェクト内に入っている従来のDVD-Videoと比べそれぞれの映像とコマンド（スクリプト）が別ファイル化され、マークアップMRKUPで中間管理される構造にすることによりコンテンツ作成者の編集、変更容易性が大幅に向上する。また同様に図１６に示すテロップ文字39に対しても、プレイリストPLLSTからはアドバンストサブタイトルのマニュフェストファイルMNFSTSを経由して、アドバンストサブタイトルのマークアップファイルMRKUPSのファイル名とファイル保存場所が指定される構造となっている（図１１参照）。前記アドバンストサブタイトルのマークアップファイルMRKUPSは、情報記憶媒体DISC内に記録されているだけでなく、ネットワークサーバNTSRV内やパーシステントストレージPRSTRに保存されることも本実施形態では可能となっている。
【０２３０】
＜プレイリスト（Playlist）の使用目的とデータ構造＞
本実施形態ではアドバンストコンテンツADVCTの再生時において、プレイリストPLLSTの使用目的は以下に述べるように２個存在する。第一の使用目的は情報再生装置１における初期時のシステム構造（データキャッシュDTCCH内の必要なメモリ領域の事前設定など）を定義するところにある。また他の目的は、アドバンストコンテンツADVCTにおける各種オブジェクトの再生方法を明示するところにある。プレイリストPLLSTのデータ構造は下記に示すような構造を持っている。
【０２３１】
＊  各タイトル毎のオブジェクトマッピングインフォメーションOBMAPI
・トラックナンバーアサイメント
・リソースインフォメーションRESRCI
＊  各タイトル毎のプレイバックシーケンスインフォメーションPLSQI
＊  アドバンストコンテンツADVCTの再生に関するシステムコンフィギュレーション
＜リソースインフォメーション（Resource Information）＞
図１７に示すリソースインフォメーションRESRCIの概要を以下に説明する。プレイリストPLLST内のオブジェクトマッピングインフォメーションOBMAPIにおいて、アドバンストアプリケーションADAPLやアドバンストサブタイトルADSBTの再生に必要な各情報が記録されているリソースファイルを、いつどのタイミングでデータキャッシュDTCCH（ファイルキャッシュFLCCH）に取り込むかの情報がリソースインフォメーションRESRCI内に記録されている。本実施形態においてリソースインフォメーションRESRCIには、下記の２種類のタイプが存在する。リソースインフォメーションRESRCIの第一のタイプはアドバンストアプリケーションADAPLに関するリソースインフォメーションRESRCIであり、他のタイプはアドバンストサブタイトルADSBTに関連したリソースインフォメーションRESRCIである。
【０２３２】
＜トラックとオブジェクトマッピングとの関係(Relationship between Track and Object Mapping)＞
図１７に示したタイトルタイムラインTMLE上で表示する各種オブジェクトに対応したオブジェクトマッピングインフォメーションOBMAPIの中に、プレイリストPLLST内で定義されたトラックナンバーアサイメントインフォメーションを含む。
【０２３３】
本実施形態のアドバンストコンテンツADVCTにおいて、異なるオブジェクトに対応した各種ストリームの選別用にトラック番号が定義される。例として、複数の音声情報（オーディオストリーム）の中からユーザに対して表示する音声情報を前記トラック番号の指定により選択することができる。例えば図１０に示すようにサブスティテュートオーディオSBTAD内にメインオーディオMANADが存在するが、このメインオーディオMANAD内に互いに異なる内容の複数のオーディオストリームが存在する場合がある。オブジェクトマッピングインフォメーションOBMAPI（トラックナンバーアサイメント）内で事前に定義されたオーディオトラック番号を指定することにより、複数のオーディオストリームの中でユーザに表示するオーディオストリームを選択することができる。また前記サブスティテュートオーディオSBTAD内のメインオーディオMANADとして記録されている音声情報を、プライマリーオーディオビデオPRMAVの中のメインオーディオMANADに重畳して音声出力することができる。このように重畳されて出力されるプライマリーオーディオビデオPRMAV内のメインオーディオMANADが内容の異なる複数の音声情報（オーディオストリーム）を持っている場合がある。この場合にオブジェクトマッピングインフォメーションOBMAPI（トラックナンバーアサイメント）内で事前に定義されたオーディオトラック番号を指定することにより、複数のオーディオストリームの中でユーザに表示するオーディオストリームを選択することができる。
【０２３４】
前記説明したトラックの中には５種類のタイプが存在し、メインビデオMANVD、メインオーディオMANAD、サブタイトルADSBT、サブビデオSUBVDとサブオーディオSUBADの５種類のタイプにはそれぞれ内容の異なる複数のストリームを同時に記録することが可能となっている。そのため前記５種類のオブジェクトタイプに対してはそれぞれのストリームに対応してトラック番号を割り振り、トラック番号選択によりユーザに表示するストリームの選択が可能になる。
【０２３５】
＜字幕やテロップなどの情報＞
本実施形態において字幕やテロップなどの情報は、プライマリーオーディオビデオPRMAV内の副映像SUBPTで表示する方法とアドバンストサブタイトルADSBTで表示する方法の２通りが存在する。本実施形態では前記アドバンストサブタイトルADSBTのタイムラインTMLE上でのマッピングは、例えばプライマリーオーディオビデオPRMAVなどのマッピング状況と関わりなく単独にオブジェクトマッピングインフォメーションOBMAPI上でマッピング定義することができる。その結果、字幕やテロップなどの情報をプライマリーオーディオビデオPRMAV内の副映像SUBPTとアドバンストサブタイトルADSBTを同時に表示できるばかりでなく表示開始/終了のタイミングをそれぞれ独自に設定できる。またどちらか一方のみを選別して表示することも可能となりそれによる字幕やテロップの表示能力を大幅に向上させることができる。
【０２３６】
図１７において、プライマリーオーディオビデオPRMAVに対応した部分はP-EVOBという形で一本の帯で表示されているが、実はこの中にはメインビデオトラックMANVD、メインオーディオトラックMANAD、サブビデオトラックSUBVD、サブオーディオトラックSUBAD、副映像トラックSUBPTが含まれ、それぞれが複数のトラックから構成されるとともに表示の時にはそれぞれ１つずつのトラック（ストリーム）が選別されて表示されている。また同様にセカンダリービデオセットSCDVSではS-EVOBでの帯として記載されているが、それはサブビデオトラックSUBVDやサブオーディオトラックSUBADが含まれ、それぞれ１トラック（１ストリーム）ずつ選択されて表示される構造となっている。もしタイトルタイムラインTMLE上で唯一プライマリーオーディオビデオPRMAVのみがオブジェクトマッピングインフォメーションOBMAPI上にマッピングされている場合には本実施形態では以下のルールを規定し再生制御処理の容易性を確保している。
【０２３７】
＊  メインビデオストリームMANVDは、必ずオブジェクトマッピングインフォメーションOBMAPI上にマッピングされ、再生されなければならない。
【０２３８】
＊  メインオーディオストリームMANADのうち１トラック（１ストリーム）もオブジェクトマッピングインフォメーションOBMAPI上にマッピングされ再生される（ただし再生しなくてもよい）。本実施形態はそれに関わらず、メインオーディオストリームMANADがオブジェクトマッピングインフォメーションOBMAPI上にマッピングされないことも許容する。
【０２３９】
＊  タイトルタイムラインTMLE上にマッピングされたサブビデオストリームSUBVDはユーザへの表示が前提とされるが、（ユーザ選択などにより）必ずしも表示しなくても良い。
【０２４０】
＊  タイトルタイムラインTMLE上にマッピングされたサブオーディオストリームSUBADのうちの１トラック（１ストリーム）はユーザへの表示が前提とされるが、（ユーザ選択などにより）必ずしも表示しなくても良い。
【０２４１】
また、タイトルタイムラインTMLE上でプライマリーオーディオビデオPRMAVとサブスティテュートオーディオビデオSBTAVがオブジェクトマッピングインフォメーションOBMAPI上に同時にマッピングされ両者が有効（アクティブ）な状態にある場合には、本実施形態では以下のルールを規定し再生制御処理の容易性と信頼性を確保している。
【０２４２】
＊  プライマリーオーディオビデオPRMAVのメインビデオストリームMANVDの代わりにセカンダリーオーディオビデオSCDAV内のメインビデオストリームMANVDを再生表示することができる。
【０２４３】
＊  プライマリーオーディオビデオPRMAVのメインオーディオストリームMANADに代わってサブスティテュートオーディオビデオSBTAD内のメインオーディオストリームMANADを再生表示することができる。
【０２４４】
＊  サブビデオストリームSUBVDを上記メインビデオストリームMANVDと同時に再生することができるが、必ずしも同時に再生する必要はない。
【０２４５】
＊  サブオーディオストリームSUBADの内の１個を上記メインオーディオストリームMANADと同時に再生出力できるが、必ずしも再生出力する必要はない。
【０２４６】
もし、プライマリーオーディオビデオPRMAVとサブスティテュートオーディオSBTADがタイトルタイムラインTMLE上に同時にマッピングされ同時に表示される場合には、本実施形態では以下のルールを規定し、アドバンストコンテンツ再生部内ADVPLの制御処理の容易性と信頼性を確保している。
【０２４７】
＊  プライマリーオーディオビデオPRMAV内におけるメインビデオMANVDは、オブジェクトマッピングインフォメーションOBMAPI内にマッピングされ、必ず再生されなければならない。
【０２４８】
＊  プライマリーオーディオビデオPRMAV内におけるメインオーディオストリームMANADに代わって、サブスティテュートオーディオSBTAD内のメインオーディオストリームMANADを再生することができる。
【０２４９】
＊  サブビデオストリームSUBVDは、同時に表示することを前提としているが、（ユーザ選択などにより）必ずしも表示しなくても良い。
【０２５０】
＊  サブオーディオSUBADにおいては、（複数トラックのうち）１トラック（１ストリーム）を表示することが前提となっているが、（ユーザ選択などにより）必ずしも表示しなくても良い。
【０２５１】
プライマリーオーディオビデオPRMAVとセカンダリーオーディオビデオSCDAVが、オブジェクトマッピングインフォメーションOBMAPI内でタイトルタイムラインTMLE上に同時にマッピングされていた場合には、本実施形態では以下のルールを規定しアドバンストコンテンツ再生部ADVPLの処理の簡素化と信頼性向上を確保している。
【０２５２】
＊  プライマリーオーディオビデオPRMAV内のメインビデオストリームMANVDは、必ず再生されなければならない。
【０２５３】
＊  メインオーディオストリームMANADのうちの１トラック（１ストリーム）は表示することが前提とされるが、（ユーザ選択などにより）必ずしも表示しなくても良い。
【０２５４】
＊  プライマリーオーディオビデオPRMAV内におけるサブビデオストリームSUBVDとサブオーディオストリームSUBADに代わって、セカンダリーオーディオビデオSCDAV内におけるサブビデオストリームSUBVDとサブオーディオストリームSUBADを再生することができる。セカンダリーオーディオビデオSCDAV内でのセカンダリーエンハンストビデオオブジェクトデータS-EVOBの中にサブオーディオストリームSUBADとサブビデオストリームSUBVDが多重化されて記録されている場合には、サブオーディオストリームSUBADのみが再生することを禁止している。
【０２５５】
＜オブジェクトマッピング位置（Object Mapping Position）＞
本実施形態におけるタイトルタイムラインTMLEの単位の取り方について以下に説明を行う。
【０２５６】
本実施形態におけるタイトルタイムラインTMLEは、映像（ビデオ）情報のフレームやフィールドの表示タイミングに同期した時間刻みを持ち、この時間刻みのカウント数でタイトルタイムラインTMLE上の時刻を設定するところに大きな特徴がある。例えばNTSC系ではインターレース表示の場合には１秒間に60フィールドと30フレームを持っている。従って、本実施形態におけるタイトルタイムラインTMLEの最小時間刻みの長さを１秒間に60分割し、その時間刻み（ユニット）のカウント数でタイトルタイムラインTMLE上の時刻を設定する。またNTSC系のプログレッシブ表示では１秒間に60フィールド＝60フレームが存在し、前記の時間刻みに合致している。またPAL系は50Ｈｚ系となっており、インターレース表示では１秒間に50フィールド/25フレーム存在し、プログレッシブ表示では１秒間に50フィールド＝50フレーム存在している。この50Ｈｚ系の映像の場合には、１秒間にタイトルタイムラインTMLEを50等分し、各等分された１個の間隔（1/50秒）を基準としたカウント数でタイトルタイムラインTMLE上の時刻/タイミングを設定する。このようにタイトルタイムラインTMLEの基準長さ（最小時間単位）を映像のフィールドやフレームの表示タイミングに同期して設定することにより、各映像間の同期合わせタイミング表示制御が容易となるばかりでなく、現実的に意味のある範囲内での最高精度の時間設定が可能となる。
【０２５７】
本実施形態において基本的には上記カウント数でタイトルタイムラインTMLE上の時刻/タイミングを設定するが、同一タイトル内の表示時間が長時間に亘る場合に時間換算が容易なようにプレイリストPLLST内でのタイトルタイムラインTMLE上の時間情報を“時間、分、秒とカウント値（HH:MM:SS:FF）”を用いて表現する。上記の表現形式において、“HH”は時間単位を表し“00”〜“23”の値を入れることができる。また“MM”は分単位を表し、“00”〜“59”の値を入れることができる。さらに“SS”は秒単位を表し“00”〜“59”の値を入れることができる。最後に“FF”は上記カウント数（プログレッシブ表示の場合にはフレーム数、インターレース表示の場合にはフィールド数）を表し、50Ｈｚ系の映像（例えばＰＡＬ系）の場合には“00”〜“49”の値が入り、60Ｈｚ系の映像（例えばＮＴＳＣ系）の場合には“00”〜“59”の値が入る。上記表現方法を採用することにより、タイトルタイムラインTMLE上の経過時間を容易に把握することができる。
【０２５８】
上述したように本実施形態では映像（ビデオ）のフィールドやフレームに合わせて時間刻みを設定しており、60Ｈｚ系での1個の時間単位は1/60秒であり、50Ｈｚ系での1個の時間刻みの単位は1/50秒となっているが、この各時間刻み位置（時刻）で全ての表示オブジェクトの切替わり（表示開始、または表示終了、または別画面への切替わり）のタイミングを行うように制御がなされる。すなわち本実施形態ではあらゆる表示オブジェクトの表示期間が前記タイトルタイムラインTMLE上の時間刻み（1/60秒または1/50秒）に合わせて設定される。音声情報のフレーム間隔は、前記映像（ビデオ）のフレーム/フィールド間隔とは異なる場合が多い。この場合にはオーディオ情報の再生/終了タイミングは、タイトルタイムラインTMLE上での各刻み間隔に合わせて切り上げしたタイミングで表示期間（表示開始/終了時刻）が設定される。それにより、タイトルタイムラインTMLE上での複数の音声オブジェクトの表示間での出力の重なり（オーバーラップ）を回避することが可能となる。
【０２５９】
また、アドバンストアプリケーションADAPL情報の表示タイミングがタイトルタイムラインTMLEの刻み間隔と異なる場合、（例としてアドバンストアプリケーションADAPLが1秒間に24フレーム持ち、それを60Ｈｚ系のタイトルタイムラインTMLE上で表示期間を表す場合には）アドバンストアプリケーションADPALの表示タイミングをそれぞれ切り上げ処理し、60Ｈｚ系の（時間刻みが1/60秒）のタイトルタイムラインTMLEに表示タイミング（表示開始/終了時刻）を合わせる。
【０２６０】
＜アドバンストアプリケーションのタイミングモデル（Timing Model for Advanced Application）＞
本実施形態において、アドバンストアプリケーションADAPLのタイトルタイムラインTMLE上の有効期間は、プリスクリプト期間、マークアップ表示期間とポストスクリプト期間の３つの期間に分けることができる。前記マークアップ表示期間は、アドバンストアプリケーションADAPLのマークアップMRKUPの情報に基づきタイトルタイムラインTMLEの各時間刻みに対応して表示する期間を表す。前述したプリスクリプト期間は前記マークアップ表示期間に先行し、アドバンストアプリケーションADAPLの画面を表示する準備期間として利用される。前記ポストスクリプト期間は前記マークアップ表示期間の直後に設定され、アドバンストアプリケーションADAPLの各表示オブジェクトの表示直後の終了期間（例えばメモリリソースの解放処理に使用される期間）として利用される。また本実施形態ではそれに限らず、プリスクリプト期間はアドバンストアプリケーションADAPL表示に先立つ事前の制御処理時間（例えばゲームのユーザに与えられた持ち点をクリアする）として使用することもできる。またポストスクリプト期間では、前記アドバンストアプリケーションADAPLの再生直後のコマンド処理（例えばゲームのユーザの持ち点のポイントアップ処理）などに使用することもできる。
【０２６１】
＜遷移タイミングモデル（Jump Timing Model）＞
次に前述したマークアップ表示期間内での画面について説明を行う。例えば、図１６の表示画面を例とした場合、本実施形態では例えば映像表示中にストップボタン34を押すと映像が静止すると共に、ストップボタン34の形状や色が変化するなどの画面表示を変更することができる。それは、図２の“技術的工夫を行った結果得られる新たな効果”欄に記載の“１〕ユーザアクションに対する柔軟かつ印象的なリアクションを行う”内の“1.1）ボタン選択や実行指示した時にアニメーションやイメージが変化して応答する”の効果を意味している。上記の例のように図１６の表示画面自身が大きく変更される場合には、アドバンストアプリケーションADAPL内での対応するマークアップMRKUPが別のマークアップMRKUPに遷移する。このようにアドバンストアプリケーションADAPLの表示画面内容を設定するマークアップMRKUPを別のマークアップMRKUPに遷移させることにより、見た目の画面表示を大幅に変更させることができる。すなわち、本実施形態においてマークアップ表示期間中に異なる画面に合わせて複数のマークアップMRKUPを設定し、画面の切り替えに合わせて対応するマークアップを切替える（その切り替え処理はスクリプトSCRPTで記述された方法で切替えられる）。従って本実施形態において、マークアップMRKUP表示期間中でのタイトルタイムラインTMLE上でのマークアップページの開始タイミングは、前記複数存在するマークアップ内での最初に表示するマークアップMRKUP情報の表示開始タイミングと一致し、タイトルタイムラインTMLE上でのマークアップページの終了タイミングは、前記複数存在するマークアップMRKUP内での最後のマークアップMRKUPの表示終了タイミングと一致する。このようなマークアップページの遷移（表示画面内でのアドバンストアプリケーションADAPL部分での表示画面の変化）の方法として、本実施形態では以下の２つの遷移モデルを規定している。
【０２６２】
＜ソフトシンク遷移（Soft Synch Jump）＞
最初に上げる遷移方法はマークアップページのソフトシンク遷移（ジャンプモデル）であり、この遷移タイミングではユーザに表示する画面上においてタイトルタイムラインTMLEの時間の流れが停止することがない。すなわち、前記マークアップページの切替えタイミングは前述したタイトルタイムラインTMLEの刻み位置（時刻）とタイミングが一致し、前のマークアップページの終了タイミングと次のマークアップページ（アドバンストアプリケーションADAPLの表示画面）の開始タイミングとが、タイトルタイムラインTMLE上で一致する。これらを可能とするために、本実施形態において前のマークアップページを終了させるために必要な時間（例えばデータキャッシュDTCCH内での割当てられたメモリ空間の開放に使われる時間など）と次のマークアップページを表示している時間をオーバーラップさせる。さらに前のマークアップページの表示期間中にオーバーラップして次のマークアップページの表示準備期間が設定される。前記マークアップページのソフトシンク遷移（ジャンプ）は、タイトルタイムラインTMLEに同期したアドバンストアプリケーションADAPLまたは、アドバンストサブタイトルADSBTに対して使用することができる。
【０２６３】
＜ハードシンク遷移（Hard Synch Jump）＞
次に他の遷移方法として本実施形態では、マークアップページのハードシンク遷移（ジャンプ）も規定している。一般的にはユーザに表示する画面上ではタイトルタイムラインTMLE上での時間変化が生じ（タイトルタイムラインTMLE上でのカウントアップが行われ）、それに同期して例えばプライマリーオーディオビデオPRMAVの画面が変化する。例えばタイトルタイムラインTMLE上での時間が止まった（タイトルタイムラインTMLE上でのカウント値が固定された）場合には、対応してプライマリーオーディオビデオPRMAVの画面が止まり静止画面としてユーザに表示される。本実施形態におけるマークアップページのハードシンク遷移（ジャンプ）が起きた時には上記のタイトルタイムラインTMLE上での時間が止まった（タイトルタイムラインTMLE上でのカウント値が固定された）期間が生じる。前記、マークアップページのハードシンク遷移（ジャンプ）においては、タイトルタイムライン(TMLE)上での見かけ上の切替え前のマークアップページの終了タイミング時刻と、次のマークアップページのタイトルタイムラインTMLE上での再生開始タイミングは一致する。前記遷移の場合には、前に表示したマークアップページの終了期間と次のマークアップページを表示するために必要な準備期間とが、オーバーラップすることはない。そのため、前記遷移期間中ではタイトルタイムラインTMLE上の時間の流れが一時的に止まり、例えばプライマリーオーディオビデオPRMAVなどのオブジェクトの表示が一時的に停止される。前記、マークアップページのハードシンク遷移（ジャンプ）処理は、本実施形態においてはアドバンストアプリケーションADAPLのみ使用される。それにより例えばアドバンストサブタイトルADSBTの表示画面の切替え時には、タイトルタイムラインTMLEの時間上の時間変化が止まることなく（例えばプライマリーオーディオビデオPRMAVが停止することなく）アドバンストサブタイトルADSBTの画面変化を行うことが可能となる。
【０２６４】
前記、マークアップページで指定されるアドバンストアプリケーションADAPLや、アドバンストサブタイトルADSBTなどの画面の切替えは、本実施形態においてはフレーム単位での画面の切替えを行う。例えばインターレース表示において１秒間のフレーム数とフィールド数が異なるが、常にフレーム単位でアドバンストアプリケーションADAPLやアドバンストサブタイトルADSBTの画面の切替えを行うように制御することにより、インターレース/プログレッシブに関わらず同じタイミングで切替え処理が行えるため制御が容易となる。すなわち直前のフレーム表示タイミングで次のフレームに必要な画面の準備を開始させる。そして次のフレームの表示タイミングまでに準備を完了させるとともに、次のフレームの表示タイミングに合わせて画面を表示する。例えばNTSCのインターレース表示の場合、60Ｈｚ系なのでタイトルタイムラインTMLEの時間刻みの間隔は1/60秒になっている。また、この場合には１秒間に30フレーム表示されるため、タイトルタイムラインTMLEの2単位（2個の刻みの境界位置）の間隔でフレームの表示タイミングが設定される。従って、例えば、n番目のタイトルタイムラインTMLE上のカウント値に画面を表示しようと思えばその2カウント前のn−2のタイミングで次のフレームの表示準備の開始を行い、タイトルタイムラインTMLEのカウントnの段階で準備したグラフィックフレーム（アドバンストアプリケーションADAPLに関係した各種画面をまとめて表示する画面を本実施形態ではグラフィックフレームと呼ぶ）を表示する。本実施形態ではそのようにフレーム単位でのグラフィックフレームの準備と表示を設定することで、ユーザに対して連続的にグラフィカルフレームの切替えを表示することができ、ユーザに違和間を与えないというメリットがある。
【０２６５】
＜プレゼンテーションクリップエレメント及びオブジェクトマッピングインフォメーション（Presentation Clip element and Object Mapping Information）＞
図１７に示したプレイリストPLLST内に記述されるオブジェクトマッピングインフォメーションOBMAPI内にプレゼンテーションクリップエレメントと呼ばれるエレメントのリスト情報が記載される。前記、各種プレゼンテーションクリップエレメントと、それに対応した表示・使用対象となるオブジェクト名との関係を図１８に示す。
【０２６６】
図１８に示すように、オブジェクトマッピングインフォメーションOBMAPI内で記述されるプライマリーオーディオビデオクリップエレメントPRAVCPは、プライマリーオーディオビデオPRMAVに関するオブジェクトマッピングインフォメーションOBMAPIを説明している。また、サブスティテュートオーディオビデオクリップSBAVCPは、サブスティテュートオーディオビデオSBTAVのオブジェクトマッピングインフォメーションOBMAPIの説明をしている。また、セカンダリーオーディオビデオクリップエレメントSCAVCPは、セカンダリーオーディオビデオSCDAVのオブジェクトマッピングインフォメーションOBMAPIの説明をしている。またサブスティテュートオーディオクリップエレメントSBADCPは、サブスティテュートオーディオSBTADのオブジェクトマッピングインフォメーションOBMAPIを説明している。オブジェクトマッピングインフォメーションOBMAPI内におけるアドバンストサブタイトルセグメントエレメントADSTSGは、アドバンストサブタイトルADSBTに関するマークアップMRKUPSに関する情報が記載されている。また、オブジェクトマッピングインフォメーションOBMAPI内におけるアプリケーションセグメントエレメントAPPLSGは、アドバンストアプリケーションADAPLのマークアップMRKUPとスクリプトSCRPTに関する情報が記載されている。前記再生・使用対象となる各オブジェクトに関するオブジェクトマッピングインフォメーションOBMAPIの中には、タイトルタイムラインTMLE上の各オブジェクトの有効な期間（表示期間もしくは、その準備期間や終了処理期間も含む）に関する情報が記載されている。タイトルタイムラインTMLE上での前記有効期間は、タイトルタイムラインTMLE上での開始時間（時刻）と終了時間（時刻）により規定される。各クリップエレメントにおいて、タイトルタイムラインTMLE上における開始時間（時刻）と終了時間（時刻）は、titleTimeBegin属性とtitleTimeEnd属性により規定されている。すなわち各クリップエレメント内で個々に前記titleTimeBegin属性情報とtitleTimeEnd属性情報が記録され、タイトルタイムラインTMLE上においてtitleTimeBegin属性で記述された時刻から対応したオブジェクトの表示が開始され、titleTimeEnd属性で記述された時刻で表示が終了される。アドバンストサブタイトルセグメントエレメントADSTSGとアプリケーションセグメントエレメントAPPLSGを除くプライマリーオーディオビデオクリップエレメントPRAVCPとセカンダリーオーディオビデオクリップエレメントSCAVCP、サブスティテュートオーディオビデオクリップエレメントSBAVCP及びサブスティテュートオーディオクリップエレメントSBADCPにおいては各オブジェクトが記録されている開始位置から算出した表示経過時間を意味するclipTimeBeginにより、プライマリーオーディオビデオPRMAVやセカンダリーオーディオビデオSCDAV、サブスティテュートオーディオビデオSBATAV、サブスティテュートオーディオSBTADの表示が開始される。すなわち前述したtitleTimeBegin属性とtitleTimeEnd属性は、タイトルタイムラインTMLE上での時刻情報を意味し、前述したclipTimeBeginは各オブジェクト内での単独の時間経過を意味し、前記titleTimeBegin属性と前記clipTimeBeginの各時刻間での同期合わせをすることにより異なる複数のオブジェクトを同一のタイトルタイムラインTMLE上で同期して表示させることができる。
【０２６７】
本実施形態では各種表示オブジェクトの表示期間と、前述したtitleTimeBegin、titleTimeEnd、clipTimeBeginとの間には以下の関係を設定することで、表示タイミングの矛盾を発生せず表示処理の精度を向上させることができる。
【０２６８】
・  titleTimeBegin ＜ titleTimeEnd  
・  titleTimeEnd ≦ [タイトルの表示期間]
・  clipTimeBegin ＋ titleTimeEnd − titleTimeBegin ≦ [表示オブジェクトの表示期間]
更に本実施形態において下記の条件を設定することにより、表示精度を向上させている。
【０２６９】
・  各プライマリーオーディオビデオクリップエレメントPRAVCPの有効期間が互いにタイトルタイムラインTMLE上でオーバーラップしてはならない。
【０２７０】
・  各セカンダリーオーディオビデオクリップエレメントSCAVCPの有効期間が互いにタイトルタイムラインTMLE上でオーバーラップしてはならない。
【０２７１】
・  各サブスティテュートオーディオクリップエレメントSBADCPの有効期間が互いにタイトルタイムラインTMLE上でオーバーラップしてはならない。
【０２７２】
・  セカンダリーオーディオビデオクリップエレメントSCAVCPの有効期間とサブスティテュートオーディオクリップエレメントSBADCPの有効期間が互いにタイトルタイムラインTMLE上でオーバーラップしてはならない。
【０２７３】
図１２で示したように、プレイリストPLLSTからはプライマリービデオセットPRMVSのタイムマップPTMAP、セカンダリービデオセットSCDVSのタイムマップSTMAP、マニュフェストMNFSTとアドバンストサブタイトルADSBTのマニュフェストMNFSTSを参照する。
【０２７４】
具体的には図１８に示すように、プライマリーオーディオビデオクリップエレメントPRAVCP内で参照するファイル名としてプライマリービデオセットPRMVSのタイムマップファイルPTMAPのファイル名とその保存場所がプライマリーオーディオビデオクリップエレメントPRAVCP内に記述されている。同様にセカンダリービデオセットSCDVSのタイムマップファイルSTMAPのファイル名とその保存場所は、セカンダリーオーディオビデオクリップエレメントSCAVCP内に記述されている。さらにセカンダリービデオセットSCDVSのタイムマップファイルSTMAPのファイル名と保存場所はサブスティテュートオーディオクリップエレメントSBADCP内、又はサブスティテュートオーディオビデオクリップエレメントSBAVCP内に記述されている。またアドバンストサブタイトルADSBTのマニュフェストファイルMNFSTSのファイル名とその保存場所がアドバンストサブタイトルセグメントエレメントADSTSG内に記述されており、アドバンストアプリケーションADAPLのマニュフェストファイルMNFSTのファイル名とその保存場所はアプリケーションセグメントエレメントAPPLSG内に記述されている。
【０２７５】
また、図１８に示したオブジェクトの再生・使用時にインデックスとして参照されるファイルが保存している場所は図１０に記載されているが、再度確認のため図１８の前記オブジェクトが元々記録されている欄に記述した。
【０２７６】
なお本実施形態において情報記憶媒体DISC内にプレイリストPLLSTのみ記録させ、前記プレイリストPLLSTからネットワークサーバNTSRVまたはパーシステントストレージPRSTR内に記録された再生・使用対象となる各種オブジェクトを指定できる。
【０２７７】
各クリップエレメント内に記述され、オブジェクトの再生・使用時にインデックスとして参照されるファイルは図１８に示すように、各種記録媒体（ネットワークサーバNTSRVを含む）内に記録することができる。前記、各クリップエレメント内に記述されるファイルの保存場所指定方法を図１９に示す。すなわち、ネットワークサーバNTSRV内にファイルが保存されている場合には、図１９に示すようにHTTPサーバまたはHTTPSサーバのアドレスを、“ http：… ”または“ https：… ”により記述する。本実施形態において、各クリップエレメント内で記述されるファイル保存場所指定情報（URI：Uniform Resource Identifier）の記述範囲は1024バイト以下で記述しなければならない。また情報記憶媒体DISCや、ファイルキャッシュFLCCH（データキャッシュDTCCH）やパーシステントストレージPRSTR内にこれらが記録されている場合には、データファイルとしてファイル保存場所を指定する。
【０２７８】
図１９で示した、情報記憶媒体DISCや、ファイルキャッシュFLCCH（データキャッシュDTCCH）や、パーシステントストレージPRSTR内に各ファイルが保存されている場合、媒体メディアを識別する必要がある。本実施形態では各種クリップエレメント内で図２０に示すようなパス指定記述方法を採用することにより媒体メディアを識別できるようにしているところに特徴がある。
【０２７９】
＜コンテンツの参照（Content Referencing）＞
本実施形態において、パーシステントストレージPRSTRに対して２種類の記録メディアを視野に入れている。最初のものは固定形パーシステントストレージPRSTRであり、本実施形態においては情報記録再生装置1内について１台のパーシステントストレージドライブ3のみを規定する。また、他のものは携帯形パーシステントストレージPRSTRであり、本実施形態においては情報記録再生装置1内では、１以上（複数可）を装備することが可能としている。ファイルへのパス指定記述においては、図２０に示すような記述方法を規定し、この内容がプレイリストPLLST内の各種クリップエレメント内に記述される。すなわち、情報記憶媒体DISC内にファイルが記録されている場合には、File:///dvddisc/と記述し、ファイルキャッシュFLCCH（データキャッシュDTCCH）内にファイルが記載されている場合には、パス指定記述方法としてFile:///filecache/とする。また、必須形パーシステントストレージPRSTR内にファイルが記録されている場合には、パス指定記述方法としてFile:///required/とする。また、追加形パーシステントストレージPRSTR 内にファイルが記録されている場合にはパス指定記述方法として、File:///additional/とする。また必須形パーシステントストレージPRSTR内の共通領域に記載されている場合には、パス指定記述方法としてFile:///common/required/とする。また、追加形パーシステントストレージPRSTR（複数可）内の共通領域に記載されている場合には、File:///commom/additional/とする。また情報記憶媒体DISCやファイルキャッシュFLCCH（データキャッシュDTCCH）またはパーシステントストレージPRSTR内に各種ファイルが記録される場合には、各記録メディア内で図１１に示すファイル構造を形成し、それぞれの対応したディレクトリの下に各ファイルが記録される。
【０２８０】
＜プレイリストファイル内のデータ構造＞
図１７に示したプレイリストPLLSTに関する情報が記録されているプレイリストファイルPLLSTの中でのデータ構造を図２１に記載する。このプレイリストファイルPLLSTは、図１１に示すようにアドバンストコンテンツディレクトリADVCTの下に直接プレイリストファイルPLLSTの形で記録される。前記プレイリストファイルPLLST内は、管理情報と各表示オブジェクト間の同期合わせ情報及び初期時のシステム構造に関する情報（データキャッシュDTCCH内で使用するメモリ空間の事前割付など）に関する情報が記載されている。前記プレイリストファイルPLLSTは、XMLに基づく記述方法により記載される。前記プレイリストファイルPLLST内の概略データ構造を図２１に示す。
【０２８１】
図２１における＜Playlist[プレイリスト]…＞と＜/Playlist＞で囲まれた領域をプレイリストエレメントと呼ぶ。前記プレイリストエレメント内の情報としては、構造情報CONFGIとメディア属性情報MDATRIとタイトル情報TTINFOが前記の順番で記載される。本実施形態において、プレイリストエレメント内の各種エレメントの配置順番は、図１に示す情報記録再生装置1内のアドバンストコンテンツ再生部ADVPLにおける映像表示開始前の動作手順に対応して設定されている。すなわち、図１４に示すアドバンストコンテンツ再生部ADVPL内のデータキャッシュDTCCH内での使用するメモリ空間の割付作業が再生準備の段階で最も必要となる。そのため、プレイリストエレメント内で構造情報エレメントCONFGIが最初に記述される。次に各表示オブジェクト内の情報の属性に応じて図１４内のプレゼンテーションエンジンPRSENの準備がなされる必要がある。そのため、構造情報エレメントCONFGIの後ろかつタイトル情報エレメントTTINFOの前に前記メディア属性情報エレメントMDATRIが記述される必要がある。このようにデータキャッシュDTCCHとプレゼンテーションエンジンPRSENの準備が整った後、タイトル情報エレメントTTINFOに記載された情報に従いアドバンストコンテンツ再生部ADVPLが表示処理を開始する。そのため、各準備に必要な情報の後に（最後の位置に）タイトル情報エレメントTTINFOが配置される。
【０２８２】
本実施形態においてプレイリストエレメントPLLST内のデータ構造として、プレイリストエレメントPLLST内の最初の位置に構造情報CONFGIが記載されているところに大きな特徴がある。それにより、プレイリストPLLSTで共通に使用するシステム内の条件（各パラメータ）設定が先行でき、起動時の再生開始までの時間を短縮化できる。また更に、メディア属性情報MDATRIとタイトル情報TTINFOを分離記述したところにも特徴がある。それにより、異なるタイトル間で同一の属性情報を共有化でき、記述文章量の節約とデコーダー内パラメータ設定等の処理の簡素化が図れるという効果が生じる。また、メディア属性情報MDATRIがタイトル情報TTINFOより先行した場所に記述されているところに次なる特徴がある。その結果、デコーダー内パラメータ設定等の処理を先行させる事で起動時の再生開始までの時間の短縮化が図れる。
【０２８３】
図２１における最初の行は“以下の文がXML記述方式により記載される”ということを宣言する定義文章であり、“＜ ?xml”と“? ＞”の間にxml属性情報XMATRIの情報が記載される構造となっている。
【０２８４】
前記xml属性情報XMATRI内の情報内容を図２２（ａ）に示す。
【０２８５】
前記xml属性情報XMATRIの情報はXMLの対応バージョン情報と子関係にある別のXMLを参照しているか否かを示す情報が記載されている。前記子関係にある別のXMLを参照しているか否かを示す情報は“yes”と“no”で記述され、子関係にある別のXMLをこの対象とする記載文章の中に直接参照している場合は“no”、別のXMLをこのXML文章内で直接参照せず単独XMLとして存在する場合は“yes”を記述する。XMLの宣言文として、例えばXMLの対応バージョン番号が1.0で別のXMLを参照せず単独のXMLとして存在する場合には図２２（ａ）の記載例として、“＜ ?xml version = ‘1.0’ standalone =‘yes’ ? ＞”を記述する。
【０２８６】
プレイリストエレメントの範囲を規定するプレイリストエレメントタグ内の記載文章は、“＜ Playlist”に続き、プレイリストタグの名前空間定義情報PLTGNMとプレイリスト属性情報PLATRIを記述し、最後に“＞”で閉じてプレイリストエレメントタグを形成する。前記プレイリストエレメントタグ内の記載情報を図２２（ｂ）に記載する。本実施形態においてプレイリストファイルPLLST内に存在するプレイリストエレメントの数は１個を原則としているが、特殊な場合には複数のプレイリストエレメントが記載可能なようになっている。その場合、プレイリストファイルPLLST内に複数のプレイリストエレメントタグが記載される可能性があるので、各プレイリストエレメント毎の識別が可能なように、プレイリストタグの名前空間定義情報PLTGNMを“＜ Playlist”の直後に記述する。また、プレイリスト属性情報PLATRI内の情報はアドバンストコンテンツバージョン番号の整数部の値MJVERNと、アドバンストコンテンツバージョン番号情報の小数点以下の値MNVERN及び、前記プレイリストエレメント内における前記プレイリストに関する付加情報（名前など）PLDSCIの情報がこの順番に記載される。例えば、記載例としてアドバンストコンテンツバージョン番号が“1.0”の場合にはアドバンストコンテンツバージョン番号の整数部の値MJVERNは“1”、アドバンストコンテンツバージョン番号の小数点以下の値MNVERNは“0”の値が入り、プレイリストPLLSTに関する付加情報をstringとし、プレイリストタグの名前空間定義情報PLTGNMをhttp://www.dvdforum.org/HDDVDVideo/Playlist  とした場合には、プレイリストエレメントタグ内の記述文章は、
“＜ Playlist xmlns = ‘http://www.dvdforum.org/HDDVDVideo/Playlist’
majorVersion = ‘1’ 
minorVersion = ‘0’ 
description = string ＞”となる。
【０２８７】
更に図２２（ｂ）に示すように、プレイリスト属性情報PLATRI内には一般的によく使われるテキストフォーマットで記述されるプレイリスト名PLDPNMが、displayName属性情報として記述される。本実施形態におけるアドバンストコンテンツ再生部ADVPLは、情報記憶媒体DISCのディスク名として前記プレイリスト名PLDPNMをユーザに表示することができる。また、前記プレイリスト名PLDPNMはプレイリストタグ内での記述を省くことができる。更にプレイリストコンテンツのタイプ情報PLTYPEとして、“Advanced”又は“Interoperable”のいずれかの値を記述することができる。本実施形態において、録画再生が可能なアドバンストビデオレコーディング規格に基づいてユーザが録画・編集した映像コンテンツをアドバンストコンテンツADVCTの一部として再生することができる。その場合には、前記ユーザが録画・編集した映像コンテンツを“インターオペラブルコンテンツ”として設定することで、前記プレイリストPLLST内での再生が可能となる。この場合には、前記プレイリストコンテンツのタイプ情報PLTYPEの値として“Interoperable”の値が記載される。それ以外の一般的なアドバンストコンテンツADVCTの映像情報の場合には、前記プレイリストコンテンツのタイプ情報PLTYPEの値として“Advanced”の値が記述される。本実施形態において、プレイリストタグ内の情報として前記プレイリストコンテンツのタイプ情報PLTYPEの記載を省くことが可能である。この場合には、デフォルト値である“Advanced”の値がプレイリストコンテンツのタイプ情報PLTYPEの値として自動設定される。
【０２８８】
図１に示す情報記録再生装置1内のアドバンストコンテンツ再生部ADVPL内では、前記プレイリストエレメントタグ内に記述されたアドバンストコンテンツバージョン番号を最初に再生し、アドバンストコンテンツ再生部ADVPLがサポートしているバージョン番号の範囲内にあるか否かを判断する。
【０２８９】
もし、アドバンストコンテンツバージョン番号が、サポート範囲を超えた場合にはアドバンストコンテンツ再生部ADVPLは、ただちに再生処理を停止する必要がある。そのため、本実施形態ではプレイリスト属性情報PLATRI内では最も先行した位置にアドバンストコンテンツバージョン番号の情報が記載されている。
【０２９０】
本実施形態におけるプレイリストPLLST内に記載される各種情報は、図２３と図２４に示すような階層構造を有している。
【０２９１】
＜タイトルインフォメーション（Title Information）＞
前述したプレイリストファイルPLLST内に記録されている情報においてプレイリストエレメント内に含まれるタイトル情報TTINFOは、図２３（ｂ）に示すように ＜ TitleSet ＞ と ＜ /TitleSet ＞に挟まれたタイトルセットエレメントにより記述される。この前記タイトルセットエレメントはプレイリストPLLST内で定義されたアドバンストコンテンツADVCTのタイトルセットに関係した情報が記述される。前記タイトルセットエレメントタグ内に記述されるタイトルセット属性情報TTSTATは、図２３（ｄ）に示すようにフレームレート（１秒間のフレーム数）情報FRAMRT（timeBase属性情報）及びマークアップページ内で使われるチッククロックの周波数情報TKBASE（tickBase属性情報）、タイトルセットでのデフォルト状態におけるメニュー言語情報DEFLNG（defaultLanguage属性情報）が存在する。
【０２９２】
＜データタイプとタイトルセットエレメント（Datatype and TitleSet Element）＞
前記タイトルセットエレメントはプレイリストPLLST内におけるアドバンストコンテンツADVCTに関するタイトルのセットの情報が記述されている。前記タイトルセットエレメント内に記述されるタイトルエレメント情報TTELEMの配置順に従い、各タイトル番号が設定される。すなわち、前記タイトルセットエレメント内の最初に記述されるタイトルエレメント情報TTELEMで管理されるタイトルのタイトル番号が１番となり、順次連続した番号が各タイトルエレメント情報TTELEMで管理されるタイトルのタイトル番号として設定される。
【０２９３】
図２３（ｄ）に示すフレームレート（１秒間のフレーム数）情報FRAMRT（timeBase属性情報）はフレームレート値を表している。各タイトル内における時間管理はタイトルタイムラインTMLE上でのカウント値（“HH:MM:SS:FF”のFFの値）で行われている。この時のタイトルタイムラインTMLEのカウント周波数が50Hz系か60Hz系かのいずれを採用するかが前記フレームレート情報FRAMRT（timeBase属性情報）の値により設定される。前記フレームレートは“fps”（フレームパーセック）を単位としたレート値で表し、前記レート値は“50”又は“60”のいずれかの値が選択的に設定される。次に、マークアップページ内で使われるチッククロックの周波数情報TKBASE（tickBase属性情報）についての説明を行う。マークアップページMRKUP毎に設定されるページクロックの周波数とアドバンストアプリケーションADAPL毎に設定されるアプリケーションクロックの周波数は前記チッククロックの周波数TKBASEと一致する。また、前記チッククロックの周波数TKBASEはタイトルタイムラインTMLE上のメディアクロックの周波数とは別に独自に設定できる。タイトル毎のタイトルタイムラインTMLEの基準周波数を表すフレームレート（１秒間のフレーム数）情報FRAMRT（timeBase属性情報）のクロックをメディアクロックと呼ぶ。また、チッククロックの周波数情報TKBASE（tickBase属性情報）に対応し、マークアップページMRKUP毎に設定されるクロックであるページクロックとアプリケーション毎に設定されるアプリケーションクロックが前記メディアクロックとは独自に設定できるところに本実施形態の大きな特徴がある。それによりアドバンストアプリケーションADAPLを標準速度で再生しながらタイトルタイムラインTMLE上でのFF、FR、ポーズ再生が可能となる効果が生まれる。また更に、timeBase/FRAMRTに対してTickBase/TKBASEを大幅に遅くすることでアドバンスト再生部ADVPLの負担を軽減できるという効果も生まれる。前記チッククロックの周波数情報TKBASE（tickBase属性情報）は、“fps”を単位としたチック値の値で表示され、前記チック値は“24”、“50”、“60”のいずれかの値が設定される。もし、前記フレームレート（１秒間のフレーム数）情報FRAMRT（timeBase属性情報）の値が“50”の場合には前記チッククロックの周波数情報TKBASE（tickBase属性情報）の値として“50”か“24”の値が設定され、前記フレームレート（１秒間のフレーム数）情報FRAMRT（timeBase属性情報）の値が“60”の場合には、前記チッククロックの周波数情報TKBASE（tickBase属性情報）の値として“60”か“24”の値が設定される。このように、前記チッククロックの周波数情報TKBASE（tickBase属性情報）の値が前記フレームレート（１秒間のフレーム数）情報FRAMRT（timeBase属性情報）の値の整数分の１に設定することにより、前記チッククロックと前記メディアクロック間のクロック設定が容易となる（例えば前記メディアクロックを分周することで容易に前記チッククロックを生成することができる）。前記タイトルセット属性情報TTSTAT内で前記チッククロックの周波数情報TKBASE（tickBase属性情報）の記述を省くことができる。この場合には、前記チッククロック周波数は前記フレームレート値と一致する。本実施形態において、timeBase/FRAMRTとtickBase/TKBASEをタイトルセットエレメント内で設定するところに大きな特徴がある。��れにより同一タイトルセット内で共通化する事でアドバンストコンテンツ再生部ADVPL内部での処理簡素化が図れる。
【０２９４】
タイトルセットでのデフォルト状態におけるメニュー言語情報DEFLNG（defaultLanguage属性情報）について説明を行う。図４７に示すようにプロファイルパラメータとしてメニュー言語が設定される。前記メニュー言語に合致したタイトル内のアプリケーションセグメントAPPLSG（図５６（ｄ）参照）が存在しない場合には、タイトルセットでのデフォルト状態におけるメニュー言語情報DEFLNG（defaultLanguage属性情報）で設定された言語に対応したアプリケーションセグメントAPPLSGが実行・表示可能な状態となる。タイトルセット属性情報TTSTAT内で前記タイトルセットでのデフォルト状態におけるメニュー言語情報DEFLNG（defaultLanguage属性情報）の記載を省くことができる。
【０２９５】
＜タイトルインフォメーション（Title Information）＞
前記タイトルセットエレメント内には１番最初にファーストプレイタイトルエレメント情報FPTELEが記述可能であり、次に１以上のタイトルエレメント情報TTELEMが順番に記載され、各タイトルに関する管理情報がそれぞれ対応したタイトルエレメント情報TTELEM内に記録されている。図１７の例ではタイトル＃１〜＃３までの３個のタイトルを持っており、それに対応させて図２３（ｂ）でもタイトル＃１に関するタイトルエレメント情報TTELEMからタイトル＃３に関するタイトルエレメント情報TTELEMまでを記述しているが、それに限らず１以上任意数まで各タイトルに関するタイトルエレメント情報TTELEMを記述することができる。また、前記タイトルセットエレメント内には前記タイトルエレメント情報TTELEMの後ろにプレイリストアプリケーションエレメント情報PLAELEの記述が可能になっている。各タイトルエレメント情報TTELEMに対応したタイトル毎にそれぞれ独自にタイトルタイムラインTMLEが設定される。各タイトル毎のタイトルタイムラインTMLEの表示期間は、前記タイトルエレメント情報TTELEM内のtitleDulation属性情報（タイトルタイムラインTMLE上でのタイトル全体の時間的な長さ情報TTDUR）内に記載される。前記タイトルセットエレメント内で記述される各タイトルエレメント情報TTELEMの記載順番に従い、各対応するタイトルの番号が設定される。図２３（ｂ）に示すように、タイトルセットエレメント内に最初に記述するタイトルエレメント情報TTELEMに対応したタイトルのタイトル番号を１と設定する。本実施形態において、前記タイトルセットエレメント内に記述可能なタイトルエレメント情報TTELEMの数（１個のプレイリストPLLST内で定義できるタイトル数）は、512以下にしている。そのようにタイトル数の上限値を設定することにより、アドバンストコンテンツ再生部ADVPLでの処理が発散するのを防止している。各タイトルエレメント情報TTELEM内に記載される情報は、オブジェクトマッピングインフォメーションOBMAPI、リソースインフォメーションRESRCI、プレイバックシーケンスインフォメーションPLSQIとトラックナビゲーションインフォメーションTRNAVIが前記記載した順番に記録される。またオブジェクトマッピングインフォメーションOBMAPI内には、各表示オブジェクト内のストリーム(トラック)の番号を設定したトラックナンバーアサイメントインフォメーションの情報が含まれている。前記オブジェクトマッピングインフォーメーションOBMAPI内には、図２４で説明するように各種クリップエレメントのリストが記述されている。また前述した表示クリップエレメント内での各トラック番号の設定情報を表すトラックナンバーアサイメントインフォメーションに関するリストが前記オブジェクトマッピングインフォーメーションOBMAPI内に記述されている。本実施形態ではビデオ情報や、オーディオ情報や副映像情報などの各再生オブジェクトが複数のストリームを持つことが可能となっており、各ストリーム毎に別々のトラックを対応づけ、それと共にトラック番号を設定することにより表示オブジェクト内での再生ストリームの識別が可能となっている。このようにトラックナンバーアサイメントエレメントのリストを設定することで、各表示オブジェクト内で含まれるストリーム数と個々のストリーム間の識別が可能とな���。リソースインフォメーションRESRCI内ではタイトルエレメント情報TTELEM内におけるリソースエレメントのリストが説明されている。トラックナビゲーションインフォメーションTRNAVI内では、トラックナビゲーションリストエレメントに関する情報が記述されている。また、プレイバックシーケンスインフォメーションPLSQI内では、同一タイトル内での映像内容の分割に対応したチャプターの先頭位置を表すチャプターリストエレメントの情報が記載されている。
【０２９６】
図２３（ｃ）に示すようにタイトルエレメント情報TTELEM内でのオブジェクトマッピングインフォメーションOBMAPIと、リソースインフォメーションRESRCI、プレイバックシーケンスインフォメーションPLSQI、トラックナビゲーションインフォメーションTRNAVI、スケジュールドコントロールインフォメーションSCHECIの配列順は、情報記録再生装置1内のアドバンストコンテンツ再生部ADVPL（図１参照）の処理手順に対応している。すなわち、タイトルエレメント情報TTELEM内の最初の場所に同一タイトル内で使用されるアドバンストアプリケーションADAPLとアドバンストサブタイトルADSBTの情報が記載されたオブジェクトマッピングインフォメーションOBMAPIの情報が記載される。アドバンストコンテンツ再生部ADVPLは最初に記録されているオブジェクトマッピングインフォメーションOBMAPIの中から同一タイトル内で使用されるアドバンストアプリケーションADAPLとアドバンストサブタイトルADSBTの内容を最初に把握する。図１０の説明のところで説明したようにアドバンストアプリケーションADAPLとアドバンストサブタイトルADSBTの情報は、ユーザへの表示に先立ちファイルキャッシュFLCCH（データキャッシュDTCCH）内に事前に保存されている必要がある。そのため、情報記録再生装置1内でのアドバンストコンテンツ再生部ADVPLでは、再生に先立ってどのようなアドバンストアプリケーションADAPLとアドバンストサブタイトルADSBTがタイトル内で設定され、それぞれがどのタイミングでファイルキャッシュFLCCH（データキャッシュDTCCH）内に事前格納しておくかについての情報が必要となる。アドバンストコンテンツ再生部ADVPLは次にリソースインフォメーションRESRCIを読み取り、アドバンストアプリケーションADAPLやアドバンストサブタイトルADSBTのファイルキャッシュFLCCH（データキャッシュDTCCH）内の格納タイミングを知ることができる。従ってリソースインフォメーションRESRCIがオブジェクトマッピングインフォメーションOBMAPIの後ろに記述されることでアドバンストコンテンツ再生部ADVPLが処理しやすくなる。また、ユーザがアドバンストコンテンツADVCTを再生する時に見たい映像を即座に移動できやすいようにプレイバックシーケンスインフォメーションPLSQIが重要となるため、リソースインフォメーションRESRCIの後ろにプレイバックシーケンスインフォメーションPLSQIが配置されている。トラックナビゲーションインフォメーションTRNAVIはユーザへの表示直前に必要な情報なので、タイトルエレメント情報TTELEM内で最後の場所に記述される。前記各種インフォメーションに合わせた条件設定後に初めてスケジュールドコントロールインフォメーションSCHECIに基づく条件設定を行うので、タイトルエレメント情報TTELEM内の最後にスケジュールドコントロールインフォメーションSCHECIが配置される。
【０２９７】
図２３（ｃ）に示すようにタイトルエレメント情報TTELEM内タイトルエレメントタグ内の最初にタイトルのＩＤ情報TTIDIを記述する事で
１）  タイトル情報TTINFO内に複数のタイトルエレメント情報TTELEMが記述でき、（異なるタイトル毎に対応した再生管理情報としてタイトルエレメント情報TTELEMがそれぞれ設定される）。
【０２９８】
さらに、
２）  タイトルエレメントタグ内の最初に記述されたタイトルのＩＤ情報TTIDIの内容を解読する事でタイトル情報TTINFO内の各タイトルエレメント情報TTELEMを即座に識別でき、プレイリストPLLST内の内容判別処理の高速化が図れる。
【０２９９】
また、本実施形態においてタイトルエレメント情報TTELEM内で記述する内容の関連する情報同士をそれぞれまとめてグルーピングして互いに近い位置に記述した。各グループ名としてオブジェクトマッピングインフォメーションOBMAPI、リソースインフォメーションRESRCI、プレイバックシーケンスインフォメーションPLSQI、トラックナビゲーションインフォメーションTRNAVIと名付ける。それによりプレイリストマネージャPLMNG（図２８参照）内でのプレイリストPLLSTの内容解読処理の簡素化と高速化が図れる。
【０３００】
＜タイトルエレメント（Title Element）＞
本実施形態において、各タイトルエレメント情報TTELEMの開始を表すタイトルエレメントタグ内に記載されている情報を図２４に示す。前記タイトルエレメントタグ内には、各タイトルの識別を行うためのタイトルのＩＤ情報TTIDが最初に記載される。次にタイトル番号情報TTNUMが記述される。本実施形態においてタイトル情報TTINFOの中に図２４（ｂ）に示すように複数のタイトルエレメント情報TTELEMを記述することができる。前記タイトル情報TTINFO内の最初から記述されるタイトルエレメント情報TTELEMに対し、記述順に従ってタイトル番号が設定され、このタイトル番号が前記タイトル番号情報TTNUM内に記述される。また、タイトルエレメント情報TTELEMで管理されるタイトルのタイプ（種類）に関してタイトルタイプ情報TTTYPEが記述される。本実施形態において、前記タイトルタイプ情報TTTYPEとして“Advanced”、“Original”及び“UserDefined”の３種類のタイプ情報の値を設定することができる。本実施形態において、ユーザが録画・編集・再生が可能なアドバンストビデオレコーディングフォーマットで記録された映像情報をアドバンストコンテンツADVCTの一部として活用することができる。前記アドバンストビデオレコーディングフォーマットで記録された映像情報をインターオペーラブルコンテンツと呼ぶ。前記インターオペーラブルコンテンツに関するオリジナルタイトル（録画直後で編集を行う前の状態のインターオペーラブルコンテンツ）に対するタイトルタイプ情報TTTYPEを“Original”と設定する。また、前記インターオペーラブルコンテンツに関してユーザが編集した後の（ユーザにより定義された（Defineded））タイトルに対するタイトルタイプ情報TTTYPEを“UserDefined”と設定する。また、それ以外のアドバンストコンテンツADVCTに関しては“Advanced”と設定する。本実施形態においては、タイトル属性情報TTATRI内に前記タイトルタイプ情報TTTYPEの記述を省略することができる。この場合には、デフォルト値である“Advanced”の値が自動的に設定される。次に選択属性情報が記述される。この選択属性情報は、指定されたタイトルがユーザオペレーションによる対応が可能か否かの選択情報を表す。例えば図１に示すシステムの場合、ユーザが大画面テレビモニタ15に向かい、（図示していないが）リモコンによる画面操作（例えば早送りFFや巻戻しFR）を行う場合がある。このようにユーザが指示する処理をユーザオペレーションと言い、そのユーザオペレーションに対応してタイトルが処理されるか否かを表すのが前記選択属性情報（セレクタブルアトリビューション）に対応する。この情報は“true”か“false”どちらかの単語を記入する。例えば対応したタイトルの映像内容がコマーシャルCM44や上映予告41などユーザに早送りされては困る場合には、対応したタイトル全体がユーザオペレーション禁止にすることができる。この場合には前記選択属性情報を“false”とし、対応したタイトルをユーザオペレーション禁止とし、ユーザによる早送りや巻戻しなどの要求を拒否できる。またこの値が“true”の場合にはユーザのオペレーションに対応し、ユーザのリクエストに応じ巻戻しや早送りなどの処理（ユーザオペレーション）を行うことができる。本実施形態において、前記選択属性（セレクタブルアトリビューション）の���報としてデフォルト値を“true”（ユーザオペレーションの対応可能）に設定している。アドバンストコンテンツ再生部ADVPL（図１参照）は前記選択属性情報に基づきタイトルの再生処理方法が大きく変わる。従って前記選択属性情報をタイトルのＩＤ情報TTIDの直後で他の情報よりも先行した位置に配置することにより、アドバンストコンテンツ再生部ADVPL処理の利便性を向上させることができる。本実施形態においてはタイトルエレメントタグ内で、前記選択属性情報の記述を省くことが可能である。記載が省かれた場合には、デフォルト値の“true”として設定される。
【０３０１】
図２３（ｄ）に示すタイトルセットエレメント内のフレームレート情報FRAMRT（timeBase属性情報）は画面表示する映像の１秒間のフレーム数を表し、タイトルタイムラインTMLEの基準時間間隔に対応する。図１７で説明したように、本実施形態ではタイトルタイムラインTMLEとして、50Ｈｚ系（１秒間にタイトルタイムラインTMLE上で50カウント分だけカウントアップされる）と、60Ｈｚ系（１秒間にタイトルタイムラインTMLE上で60カウント分だけカウントアップされる）の２方式が設定可能としている。例えばNTSCにおけるインターレース表示の場合には、１秒間に30フレーム（60フィールド）が表示される。この場合には60Ｈｚ系に対応し、タイトルタイムラインの１刻みの間隔（１カウントの時間間隔）が１/60秒となる。本実施形態において、タイトルタイムラインTMLEに準拠したクロックをメディアクロックと呼び、マークアップMRKUP毎に設定されるクロックであるページクロックと区別される。更に本実施形態では、マークアップMRKUP内で指定されるアドバンストアプリケーションADAPL実行時に定義されるアプリケーションクロックが存在する。前記ページクロックと前記アプリケーションクロックの基準周波数は互いに等しくチッククロックの周波数と呼ぶ。本実施形態では前記タイトルタイムラインTMLEに対応したメディアクロックと前記チッククロックが独自に設定可能にした所に大きな特徴がある。それにより例えば、プライマリーオーディオビデオPRMAVの映像情報に対する高速再生や巻戻し再生などの特殊再生を行っている最中にアドバンストアプリケーションADAPLで定義されたアニメーションに対して上記チッククロック（アプリケーションクロック）に基づく標準速度再生を行うことができ、ユーザに対する表現形式を大幅に向上させることができる。前記マークアップページ内で使われるチッククロックの周波数情報TKBASEを図２３（ｄ）の“tickBase = ”の直後に記述する。前記マークアップMRKUP内で使われるチッククロックの周波数情報TKBASEの値は上記フレームレート（１秒間のフレーム数）情報として記述された値以下の値として設定されなければならない。それにより、チッククロックに基づくアドバンストアプリケーションADAPLの実行（アニメーションの表示など）をタイトルタイムラインTMLEに合わせて（メディアクロックと矛盾が起きないように）スムーズに表示することが可能となるばかりでなく、アドバンストコンテンツ再生部ADVPL内の回路構造の簡素化を図ることができる。図２４（ｂ）に示すtimeBaseDivisor属性情報は、アドバンストアプリケーションマネージャ内での処理クロックのアプリケーションチッククロックに対する減衰比TICKBDを表している。すなわち前記情報は、図２８内に示すアドバンストアプリケーションマネージャADAMNGが処理を行う時の前記アプリケーションチック（チッククロックの周波数情報TKBASE）に対する減衰比を意味している。例えば前記timeBaseDivisor属性情報の値を“３”と設定した場合には、前記アプリケーションチックのクロック（アプリケーションクロック）が３カウントインクリメントされる毎に前記アドバンストアプリケーションマネージャADAMNGの処理が１ステップ進む。このように前記アドバンストアプリケーションマネージャADAMNGの処理クロックをチッククロック（アプリケーションクロック）より遅くすることにより、動きの遅いアドバンストアプリケーションADAPLに対してCPUパワーを掛けずに処理ができるため、アドバンストコンテンツ再生部ADVPL内での発熱量を低く抑えることが可能となる。
【０３０２】
タイトルタイムラインTMLE上でのタイトル全体の時間的な長さ情報TTDURは、対応したタイトル上でのタイトルタイムラインTMLEの全体の長さを表している。タイトルタイムラインTMLE上でのタイトル全体の時間的な長さ情報TTDURは、フレームレート（１秒間のフレーム数）情報に対応した50Ｈｚ系もしくは60Ｈｚ系のトータルカウント数で記述される。例えば該当するタイトルの全体の表示時間がn秒の場合にはタイトルタイムラインTMLE上でのタイトル全体の時間的な長さ情報TTDURとしてはトータルカウント数として60nまたは50nの値が入る。本実施形態において全ての再生オブジェクトの終了時間は、前記タイトルタイムラインTMLE上でのタイトル全体の時間的な長さ情報TTDURより小さくならなければならない。このようにタイトルタイムラインTMLE上でのタイトル全体の時間的な長さ情報TTDURはタイトルタイムラインTMLE上の時間刻み間隔に依存するため、この情報をフレームレート情報の後ろに配置することでアドバンストコンテンツ再生部ADVPLのデータ処理のし易さを向上させている。
【０３０３】
次のパレンタルレベル情報は再生対応したタイトルのパレンタルレベルを示している。
【０３０４】
前記パレンタルレベルの値は８以下の数字を記入する。本実施形態において、前記タイトルエレメントタグ内でこの情報を省くことも可能である。デフォルト値としての値は“１”として設定される。
【０３０５】
このタイトル終了後に表示されるべきタイトルの番号情報を表すonEnd情報は、現在のタイトルが終了した後、次に再生すべきタイトルに関するタイトル番号の情報が記載される。前記タイトル番号に記入される値が“０”の時は、タイトル終了後にポーズ（終了画面を表示したまま）となる。デフォルト値としてはこの値は“０”に設定される。またタイトルエレメントタグ内でこの情報の記載を省くことも可能であり、その場合にはデフォルト値の“０”に設定される。
【０３０６】
前記情報記録再生装置１が表示するタイトル名情報であるdisplayNameは、対応するタイトルの名前がテキストフォーマットで記述される。ここに記載された情報が情報記録再生装置１のタイトル名として表示することができる。また、この情報はタイトルエレメントタグ内で省くことも可能である。
【０３０７】
4:3 TVモニタ上への許容表示モード情報SDDISPを表すalternativeSDDisplayMode属性情報は、対応するタイトル再生時において4:3 TVモニタに出力する時に許容される表示モードを表している。前記の値が“panscanOrLetterbox”と設定された場合には、4:3 TVモニタに出力する場合にはパンスキャンモードとレターボックスモードのいずれの表示モードで出力することも許容される。また、“panscan”と設定された場合には、4:3 TVモニタに出力する場合にはパンスキャンモードでの出力しか許容されない。更に前記の値が“letterbox”と設定された場合には、4:3 TVモニタに出力する場合にはレターボックスの表示モードしか許容されない。情報記録再生装置1は4:3 TVモニタに出力する場合には許容された表示モードにより強制的に表示・出力しなければならない。前記4:3 TVモニタ上への許容表示モード情報SDDISPの記述を省くことができるが、その場合にはデフォルト値である“panscanOrLetterbox”に自動設定される。
【０３０８】
更にタイトルに関する付加情報（description）の欄には、前記タイトルに関する付加情報がテキストフォーマットで記載される。前記情報はタイトルエレメントタグ内で記載を省略することが可能となる。前記情報記録再生装置1が表示するタイトル名情報（displayName）とタイトルに関する付加情報（description）は、アドバンストコンテンツ再生部ADVPLの再生用処理を行う上での本質的な情報ではないので、タイトルの属性情報TTATRI内で後ろの場所に記録される。最後にタイトルエレメントに対応したファイル保存場所URI記述形式XMBASEは、XMLに準拠したURI（ユニフォームリソースアイデンティファイヤー）に関する記述形式フォーマット（XML_BASE）を示している。
【０３０９】
タイトルエレメントタグの具体的な情報例として例えばタイトルの識別用ＩＤ情報を“Ando”とし、60Ｈｚ系でのタイトル全体の時間的な長さが80000の場合には、
記述例：＜ Title = ‘Ando’titleDuration = ‘80000’＞と記載される。
【０３１０】
60Ｈｚ系においては、１秒間にタイトルタイムラインTMLEのカウント数が60カウントアップされるので前記80000の値は80000÷60÷60 ≒ 22分に対応する。
【０３１１】
タイトルエレメント情報TTELEM内の情報は、図２３（ｃ）に示す各表示クリップエレメントのリストで記述されるオブジェクトマッピングインフォメーションOBMAPIと、タイトルリソースエレメントが記録されているリソースインフォメーションRESRCIと、チャプターリストエレメントが記載されているプレイバックシーケンスインフォメーションPLSQIとトラックリストナビゲーションリストエレメントで記載されるトラックナビゲーションインフォメーションTRNAVIとタイトルタイムラインTMLE上での一時停止（ポーズ）場所（時間）とイベント開始場所（時間）のスケジュールが予め記述されたスケジュールドコントロールインフォメーションSCHECIから構成されている。前記表示クリップエレメントは、図２４（ｃ）に示すようにプライマリーオーディオビデオクリップPRAVCPとサブスティテュートオーディオビデオクリップSBAVCP、サブスティテュートオーディオクリップSBADCP、セカンダリーオーディオビデオクリップSCAVCP、アドバンストサブタイトルセグメントADSTSGとアプリケーションセグメントAPPLSGで記述される。前記表示クリップエレメントは、タイトル内のオブジェクトマッピングインフォメーションOBMAPI内に記述される。また、前記表示クリップエレメントは各エレメンタリーストリームに対応してトラックナンバーアサイメントインフォメーションの一部として記述される。
【０３１２】
プレイバックシーケンスインフォメーションPLSQIは図２４（ｄ）に示すようにチャプターリストエレメントのリストとして記載される。
【０３１３】
＜チャプターリストエレメント及びプレイバックシーケンスインフォメーション（Chapter elements and Playback Sequence Information）＞
プレイバックシーケンスインフォメーションPLSQI内でのチャプターリストエレメントは、タイトル内のチャプター構造を記述している。チャプターリストエレメントはチャプターエレメント（図２４（ｄ）に示すように＜Chapter title Time Begin ＞タグから始まる各行）のリストとして記述されている。チャプターリスト内で最初に記述されたチャプターエレメントの番号を“１”とし、それぞれ各チャプターエレメントの記述順番に応じて各チャプター番号が設定される。１個のチャプターリスト（タイトル）内でのチャプター数は512以下と設定し、アドバンストコンテンツ再生部ADVPLでの処理時の発散を防いでいる。各チャプターエレメント内でのtitleTimeBegin属性（“＜Chapter title Time Begin ＞ ＝ ”以降に記載される情報）は、タイトルタイムライン上での各チャプターの開始位置を示す時刻情報（タイトルタイムラインTMLE上でのカウント数）を表している。前記各チャプターの開始位置を示す時刻情報は、時・分・秒・フレーム数を表した“HH：MM：SS：FF”により表示される。このチャプターの終了位置は次のチャプターの開始位置で表される。また、最後のチャプターの終了位置に関してはタイトルタイムラインTMLE上の最後の値（カウント値）として解釈される。各チャプターのタイトルタイムラインTMLE上での開始位置を表す時刻情報（カウント値）は、各チャプター番号の増加（インクリメント）に対応して単調に増加するように設定されなければならない。このように設定することにより各チャプターの再生順に従った順次ジャンプアクセス制御が容易となる。チャプターエレメント毎の付加情報は、人が理解し易いようにテキストフォーマットで記述される。また前記チャプターエレメント毎の付加情報は、チャプターエレメントタグ内での記述を省くことができる。更に、“displayName = ”の直後に対応チャプター名を人が理解し易いテキストフォーマットで記述することができる。アドバンストコンテンツ再生部ADVPL（図１参照）は、前記対応チャプター名情報を各チャプター毎の名前として、大画面ＴＶモニタ15上に表示することができる。また、前記対応チャプター名情報は、前記チャプターエレメントタグ内での記述を省くことができる。
【０３１４】
前述した図１０で定義された各種再生表示オブジェクトのアドバンストコンテンツ再生部ADVPL内でのデータの流れを図２５に示す。
【０３１５】
図１に示す情報記録再生装置1内のアドバンストコンテンツ再生部ADVPL内の構造を図１４に示した。図２５における情報記憶媒体DISC、パーシステントストレージPRSTR、ネットワークサーバNTSRVはそれぞれ図１４の対応するものに一致する。図２５におけるストリーミングバッファSTRBUFとファイルキャッシュFLCCHを総称してデータキャッシュDTCCHと呼び、図１４のデータキャッシュDTCCHに対応する。図２５におけるプライマリービデオプレーヤPRMVP、セカンダリービデオプレーヤSCDVP、メインビデオデコーダーMVDEC、メインオーディオデコーダーMADEC、サブピクチャーデコーダーSPDEC、サブビデオデコーダーSVBEC、サブオーディオデコーダーSADEC、アドバンストアプリケーションプレゼンテーションエンジンAAPEN及びアドバンストサブタイトルプレーヤASBPLは、図１４におけるプレゼンテーションエンジンPRESENに含まれる。また、アドバンストコンテンツ再生部ADVPL内での各種再生表示オブジェクトデータの流れを管理する部分が図１４におけるナビゲーションマネージャNVMNGであり、各種アドバンストコンテンツADVCTの保存場所とアドバンストコンテンツ再生部ADVPL間のデータの仲介をする部分が図１４におけるデータアクセスマネージャDAMNGになる。
【０３１６】
図１０に示すように再生オブジェクトの再生時にはプライマリービデオセットPRMVSのデータは情報記憶媒体DISCに記録されている必要がある。
【０３１７】
本実施形態においてプライマリービデオセットPRMVSは、高解像度の映像情報をも取り扱うことができる。従って、プライマリービデオセットPRMVSのデータ転送レートが非常に高くなる危険性がある。ネットワークサーバNTSRVから直接再生を試みた場合もしくはネットワークライン上での一時的なデータ転送レートの低下が生じた場合に、ユーザに対する連続的な映像表現が中断される危険がある。また図４３に示すようにパーシステントストレージPRSTRとしてSDカードSDCDやUSBメモリUSBM、USBHDD、NASなど多様な情報記憶媒体を想定しており、パーシステントストレージPRSTRとして使用される情報記憶媒体によってはデータ転送レートの低い場合も想定される。従って、本実施形態において高解像度の映像情報をも取り扱うことのできるプライマリービデオセットPRMVSが前記情報記憶媒体DISCのみに記録可能にすることにより高解像度のプライマリービデオセットPRMVSのデータに対しても中断することなく、ユーザへの連続表示を保証することができる。このように情報記憶媒体DISCから読み出されたプライマリービデオセットPRMVSは、プライマリービデオプレーヤPRMVP内へ転送される。プライマリービデオセットPRMVS内ではメインビデオMANVD、メインオーディオMANAD、サブビデオSUBVD、サブオーディオSUBADと副映像SUBPTが2048単位のパックとして多重化されて記録されている。それぞれのパックは再生時に分割され、メインビデオデコーダーMVDEC、メインオーディオデコーダーMADEC、サブビデオデコーダーSVDEC、サブオーディオデコーダーSADECとサブピクチャーデコーダーSPDEC内でデコード処理される。セカンダリービデオセットSCDVSのオブジェクトは情報記憶媒体DISCかパーシステントストレージPRSTRから直接再生されるルートと、一時データキャッシュDTCCHに保存された後データキャッシュDTCCHから再生される方法との２種類の方法を本実施形態では認めている。前述した最初の方法においては、情報記憶媒体DISCまたはパーシステントストレージPRSTRに記録されたセカンダリービデオセットSCDVSが直接セカンダリービデオプレーヤSCDVPに転送され、メインオーディオデコーダーMADEC、サブビデオデコーダーSVDECまたはサブオーディオデコーダーSADECによりデコード処理される。また前述した２番目の方法としてセカンダリービデオセットSCDVSは情報記憶媒体DISC、パーシステントストレージPRSTR、ネットワークサーバNTSRVのいずれに記録されている場合もデータキャッシュDTCCH内に一度記録され、データキャッシュDTCCHからセカンダリービデオプレーヤSCDVPへ送られる。この時情報記憶媒体DISCまたはパーシステントストレージPRSTR内に記録されているセカンダリービデオセットSCDVSは、データキャッシュDTCCH内のファイルキャッシュFLCCHに記録されるが、ネットワークサーバNTSRVに記録されているセカンダリービデオセットSCDVSはストリーミングバッファSTRBUFに一時保存される。情報記憶媒体DISCまたはパーシステントストレージPRSTRからのデータ転送に対しては大幅にデータ転送レートが低下することはない。しかし、ネットワークサーバNTSRVから送られてくるオブジェクトデータのデータ転送レートはネットワーク事情で一時的に大幅に低下する危険性がある。従ってネットワークサーバNTSRVから送られてくるセカンダリービデオセットSCDVSに対しては、ストリーミング���ッファSTRBUFに記録することでシステム的なネットワーク上のデータ転送レートの低下をバックアップすると共にユーザ表示時の連続再生を保証できるようにしている。また、本実施形態ではそれに限らずネットワークサーバNTSRV内に記録されたセカンダリービデオセットSCDVSのデータをパーシステントストレージPRSTRに保存することもできる。その後、パーシステントストレージPRSTRからセカンダリービデオプレーヤSCDVPにセカンダリービデオセットSCDVSの情報を転送し、再生表示することも可能である。
【０３１８】
図１０に示すように、アドバンストアプリケーションADAPLとアドバンストサブタイトルADSBTの情報はオブジェクトの記録場所によらず、全て一時的にデータキャッシュDTCCH内のファイルキャッシュFLCCH内に保存するようにしている。それによりプライマリービデオセットPRMVSや、セカンダリービデオセットSCDVSとの同時再生時の図１に示す情報記録再生部内における光学ヘッドのアクセス回数を減らし、ユーザへの連続表示を保証することができる。このようにファイルキャッシュFLCCH内に一時保存されたアドバンストアプリケーションADAPLは、アドバンストアプリケーションプレゼンテーションエンジンAAPENに送られ、ユーザへの表示処理がなされる。また、ファイルキャッシュFLCCH内に保存されたアドバンストサブタイトルADSBTの情報はアドバンストサブタイトルプレーヤASBPLに転送され、ユーザに表示される。
【０３１９】
＜データアクセスマネージャ（Data Access Manager）＞
図１４に示したアドバンストコンテンツ再生部ADVPL内のデータアクセスマネージャDAMNG内の構造を図２６に示す。
【０３２０】
本実施形態におけるデータアクセスマネージャDAMNGは、パーシステントストレージPRSTR、ネットワークサーバNTSRVおよび情報記憶媒体DISC内に記録された各種再生オブジェクトのアドバンストコンテンツ再生部ADVPL内へのやりとりを制御する場所である。データアクセスマネージャDAMNGはディスクマネージャDKMNG、パーシステントストレージマネージャPRMNGとネットワークマネージャNTMNGから構成される。始めにディスクマネージャDKMNGの動作説明を行う。本実施形態においてディスクマネージャDKMNGは情報記憶媒体DISCから情報を読取り、アドバンストコンテンツ再生部ADVPL内の各種内部モジュールへデータを転送する時のデータ制御を行う。ディスクマネージャDKMNGは本実施形態における情報記憶媒体DISCに対し、API（アプリケーションインタフェース）のコマンドに従い情報記憶媒体DISC内に記録された各種ファイルの再生を行う。本実施形態において、情報記憶媒体DISCへの情報の書込み機能は前提としていない。
【０３２１】
パーシステントストレージマネージャPRMNGは、パーシステントストレージPRSTRとアドバンストコンテンツ再生部ADVPL内の各種内部モジュールとの間のデータ転送を制御している。パーシステントストレージマネージャPRMNGも前述したディスクマネージャDKMNGと同様、APIのコマンドセットに対応して、パーシステントストレージPRSTR内のファイルアクセス制御（ファイルの読取り制御）を行う。本実施形態におけるパーシステントストレージPRSTRは、記録と再生機能を前提としている。
【０３２２】
ネットワークマネージャNTMNGは、ネットワークサーバNTSRVとアドバンストコンテンツ再生部ADVPL内における内部モジュールとの間のデータ転送制御を行う。ネットワークマネージャNTMNGはネットワークサーバNTSRVに対するAPIセットのコマンドに基づきファイルアクセス制御（ファイルの読取り制御）を行う。本実施形態において、ネットワークサーバNTSRVはネットワークサーバNTSRVからのファイルダウンロードを通常サポートするだけでなく、ネットワークサーバNTSRVへのファイルアップロードもサポートできる。
【０３２３】
さらに、本実施形態においては、ネットワークマネージャNTMNGが、プレゼンテーションエンジンPRSENへ送る各種再生オブジェクトのプロトコルレベルでのアクセス制御機能まで管理している。また、図２５に示すようにセカンダリービデオセットSCDVSがネットワークサーバNTSRVからストリーミングバッファSTRBUFを返してセカンダリービデオプレーヤSCDVPへのデータ転送制御を行うことができる。これらの制御もネットワークマネージャNTMNGが制御・管理している。
【０３２４】
＜データキャッシュ（Data Cache）＞
図１４に示したアドバンストコンテンツ再生部ADVPL内のデータキャッシュDTCCH内の構造を図２７に示す。
【０３２５】
本実施形態においてデータキャッシュDTCCHは、テンポラルなデータの一時保存場所として下記に述べる２種類の領域に分割される。最初の領域はファイルキャッシュFLCCHであり、ファイルデータに対する一時保管場所（テンポラルバッファ）として使われる。また、次の領域として本実施形態ではストリーミングデータに対する一時保管場所として使用されるストリーミングバッファSTRBUFを定義することができる。図２５に示すように本実施形態においては、ストリーミングバッファSTRBUFにはネットワークサーバNTSRVから転送されたセカンダリービデオセットSCDVSが一時保存可能な形となっている。また前記ストリーミングバッファSTRBUF内にはセカンダリービデオセットSCDVSに含まれるサブスティテュートオーディオSBTAD、サブスティテュートオーディオビデオSBTAV、またはセカンダリーオーディオビデオSCDAVが一時的に記録される。プレイリストPLLST内のリソースインフォメーションRESRCIの中のストリーミングバッファSTRBUFに関する情報記述欄の中にデータキャッシュDTCCH内に割当てられるストリーミングバッファSTRBUF領域に関する情報（ストリーミングバッファSTRBUF領域のサイズやストリーミングバッファSTRBUF領域として割り付けられるメモリ空間上のアドレス範囲など）が記載される。
【０３２６】
また、アドバンストコンテンツADVCTの再生起動処理（スタートアップシーケンス）中に前記データキャッシュDTCCHの割当て作業（ファイルキャッシュFLCCHに割当てるデータサイズとストリーミングバッファSTRBUFに割当てるデータサイズの割付処理）がなされる。本実施形態において前記データキャッシュDTCCH内のデータサイズは、64ＭＢ以上あることを前提としている。64ＭＢ以上を前提とすることによりアドバンストアプリケーションADAPLやアドバンストサブタイトルADSBTのユーザへの表示処理をスムーズに行うことを保証している。
【０３２７】
＜データキャッシュの初期化（Data Cache Initialization）＞
本実施形態においてアドバンストコンテンツADVCT再生時の再生における起動処理時（スタートアップシーケンス）に、前述したデータキャッシュDTCCH内の割付作業（ファイルキャッシュFLCCHとストリーミングバッファSTRBUFの割当てメモリサイズの設定など）の変更が行われる。プレイリストファイルPLLST内に前記ストリーミングバッファSTRBUFに割当てるべきメモリサイズ情報が記述されている。もし、ストリーミングバッファSTRBUFのサイズがプレイリストPLLST内に表示されていない場合には、ストリーミングバッファSTRBUFに割当てられるメモリサイズは“0”とみなされる。図２３に示すプレイリストファイルPLLST内の構造情報CONFGI内で記述されるストリーミングバッファSTRBUFのサイズ情報はパックサイズ（論理ブロックサイズまたは論理セクタサイズ）を単位として記述される。本実施形態において1パックサイズと1論理ブロックサイズと1論理セクタサイズは全て一致し、2048バイト（約2キロバイト）となる。例えば前述した構造情報CONFGI内で記述されるストリーミングバッファサイズが1024と記述された場合には、実際にデータキャッシュDTCCH内で割当てられるストリーミングバッファSTRBUFのメモリ空間上のサイズは、1024 × 2 = 2048キロバイトとなる。また、ストリーミングバッファSTRBUFの最小サイズは0バイトと規定してある。本実施形態においてプライマリービデオセットPRMVS内に含まれるプライマリーエンハンストビデオオブジェクトP-EVOBやセカンダリービデオセットSCDVS内に含まれるセカンダリーエンハンストビデオオブジェクトS-EVOBは、それぞれパック単位のストリームが論理ブロック（論理セクタ）毎に記録されている。従って本実施形態においてストリーミングバッファSTRBUFのサイズ情報をパックサイズ（論理ブロックサイズまたは論理セクタサイズ）を単位として記述することにより、各ストリームパックへのアクセス制御を容易にするという効果がある。
【０３２８】
＜ファイルキャッシュ（File Cache）＞
ファイルキャッシュFLCCHは、データアクセスマネージャDAMNGを経由して外部から取込まれたアドバンストコンテンツADVCTのデータを一時保存する場所として利用され、図２７に示すようにナビゲーションマネージャNVMNGとプレゼンテーションエンジンPRSENの両方が使用することができる。
【０３２９】
＜ストリーミングバッファ（Streaming Buffer）＞
図２７に示すように本実施形態では、ストリーミングバッファSTRBUFはプレゼンテーションエンジンPRSENのみが使用するメモリ空間になっている。図２５に示すように本実施形態では、ストリーミングバッファSTRBUFはセカンダリービデオセットSCDVSのデータが記録され、セカンダリービデオプレーヤSCDVPにおけるセカンダリービデオプレイバックエンジンSVPBENにより使用することができる。セカンダリービデオプレーヤSCDVPは、ネットワークマネージャNTMNG（図２６に示すデータアクセスマネージャDAMNG内に存在する）に要求を出し、セカンダリービデオセットSCDVS内のセカンダリーエンハンストビデオオブジェクトデータS-EVOBの少なくとも一部をネットワークサーバNTSRVから読取り、前記ストリーミングバッファSTRBUFに一時保存する。その後、ストリーミングバッファSTRBUF内に一時保存されたセカンダリーエンハンストビデオオブジェクトデータS-EVOBをセカンダリービデオプレーヤSCDVPが読取り、図３５に示すセカンダリービデオプレーヤSCDVP内のデマルチプレクサDEMUXへデータ転送しデコーダーエンジンDCDEN内でデコーダー処理が施される。
【０３３０】
図１４に示したアドバンストコンテンツ再生部ADVPL内のナビゲーションマネージャMVMNGの内部構造を図２８に示す。本実施形態においてナビゲーションマネージャNVMNGは、パーサーPARSER、プレイリストマネージャPLMNG、アドバンストアプリケーションマネージャADAMNG、ファイルキャッシュマネージャFLCMNGとユーザインタフェースエンジンUIENGの５つの主要な機能モジュールから構成される。
【０３３１】
＜パーサー（Parser）＞
本実施形態においては、プレイリストマネージャPLMNGまたはアドバンストアプリケーションマネージャADAMNGからのリクエストに応じ、アドバンストナビゲーションファイル（図１１に示すアドバンストナビゲーションディレクトリADVNV内のマニュフェストファイルMNFST、マークアップファイルMRKUPとスクリプトファイルSCRPT）を図２８に示すパーサーPARSERが解読し内容の分析処理を行う。パーサーPARSERは前記分析結果に基づき、各種必要な情報を各機能モジュールへ送る。
【０３３２】
＜プレイリストマネージャ（Playlist Manager）＞
図２８に示したプレイリストマネージャPLMNG内では以下に示す処理を行う。
【０３３３】
＊  図１４に示すアドバンストコンテンツ再生部ADVPL内のプレゼンテーションエンジンPRSENとAVレンダラーAVRNDを始めとする全ての再生制御モジュールの初期化
＊  タイトルタイムラインTMLE制御（タイトルタイムラインTMLEに同期した各表示オブジェクトの同期化処理やユーザ表示時でのタイトルタイムラインTMLEの一時停止や早送り制御など）
＊  ファイルキャッシュFLCCH（データキャッシュDTCCH）内でのリソースマネージメント
＊  アドバンストコンテンツ再生部ADVPL内のプレゼンテーションエンジンPRSENとAVレンダラーAVRNDを始めとした再生表示制御モジュールの管理
＊  プレーヤシステムのインタフェース処理
＜全プレイバックコントロールモジュールの初期化（Initialization of All Playback Control Modules）＞
本実施形態において、図２８に示したプレイリストマネージャPLMNGがプレイリストファイルPLLST内に記述された内容に基づき初期処理を行う。具体的な内容として、図２７に示したデータキャッシュDTCCH内のファイルキャッシュFLCCHに割当てられるメモリ空間サイズとストリーミングバッファSTRBUFとして割当てられるメモリ空間内のデータサイズをプレイリストマネージャPLMNGが変更する。アドバンストコンテンツADVCTの再生表示時には前記プレイリストマネージャPLMNGが各再生制御モジュールに対して必要な再生表示情報を転送処理している。例として、プライマリービデオマネージャPRMVPに対しては、プライマリーエンハンストビデオオブジェクトデータP-EVOBの再生期間中にプライマリービデオセットPRMVSのタイムマップファイルPTMAPを送信する。また、アドバンストアプリケーションマネージャADAMNGに対し、マニュフェストファイルMNFSTをプレイリストマネージャPLMNGからデータ転送する。
【０３３４】
＜タイトルタイムコントロール（Title Time Control）＞
プレイリストマネージャPLMNGは以下の３つの制御を行う。
【０３３５】
１）  アドバンストアプリケーションADAPLからの要求に応じ、タイトルタイムラインTMLEの進行処理を行う。図１７の説明の所で、アドバンストアプリケーションADAPL再生時のハードシンクジャンプによりマークアップページ遷移が生じる場合の説明を行った。例えば図１６の例を用いて説明する。本編31とコマーシャル用の別画面32を同時に表示している最中にユーザがアドバンストアプリケーションADAPLに含まれるヘルプアイコン33を押した場合に対応して、画面の下側に表示されているアドバンストアプリケーションADAPLにより構成される画面内容の変更（マークアップページの遷移）が生じる場合がある。この時、次に表示される画面の下側に表示されている内容（次に表示されるマークアップページ）の準備に所定の時間が必要なことがある。このような場合には次のマークアップページの準備が完了するまでの間にプレイリストマネージャPLMNGがタイトルタイムラインTMLEの進行を止め、映像や音声を静止状態にすることがある。これらの処理をプレイリストマネージャPLMNGが行う。
【０３３６】
２）  各種再生表示制御モジュールからの再生状況の再生表示処理状況（ステータス）の制御、その具体的な例として、本実施形態においてはプレイリストマネージャPLMNGが各部署の進行状況を把握し、異常が生じた時の対応処理を行う。
【０３３７】
３）  現行のプレイリストPLLSTにおけるデフォルト状態での再生表示スケジュール管理
タイトルタイムラインTMLEに同期して表示される各種表示オブジェクトが連続した（シームレスな）再生の必要性に限らず、本実施形態においてプレイリストマネージャPLMNGは、プライマリービデオプレーヤPRMVPやセカンダリービデオプレーヤSCDVPなどの再生表示モジュールの監視を行っている。また、タイトルタイムラインTMLEに同期して再生表示される各種表示オブジェクトが連続した（シームレスな）再生表示が不可能になった場合には、前記同期して表示・再生されるオブジェクトとタイトルタイムラインTMLE上での時刻（時間）との間の再生タイミングの調整をプレイリストマネージャPLMNGが行いユーザに対して違和感を与えない表示制御を行うことができる。
【０３３８】
＜ファイルキャッシュリソース管理（File Cache Resource Management）＞
ナビゲーションマネージャNVMNG内のプレイリストマネージャPLMNGは、プレイリストPLLST内のオブジェクトマッピングインフォメーションOBMAPI内にあるリソースインフォメーションRESRCIの読み出しと解析を行う。プレイリストマネージャPLMNGは、読出したリソースインフォメーションRESRCIをファイルキャッシュFLCCHに転送する。タイトルタイムラインTMLEの進行に合わせて、リソースマネージメントテーブルに基づきファイルキャッシュマネージャFLCMNGがリソースファイルをロードまたは消去処理をするように前記プレイリストマネージャPLMNGからファイルキャッシュマネージャFLCMNGに指示する。
【０３３９】
＜プレイバックコントロールモジュール管理（Playback Control Module Management）＞
ナビゲーションマネージャNVMNGにおけるプレイリストマネージャPLMNGは、アドバンストアプリケーションマネージャADAMNG内のプログラミングエンジンPRGENに対し、再生表示制御に関係する各種のコマンド（API）を発生させ、プレイリストマネージャPLMNGが前記プログラミングエンジンPRGENの制御を行う。前記プレイリストマネージャPLMNGから発生する各種コマンド（API）の例として、セカンダリービデオプレーヤSCDVP（図３４）に対して制御を行うコマンドや、オーディオミキシングエンジンADMXEN（図３８）に対する制御コマンド及びイフェクトオーディオEFTADの処理に関するAPIコマンドなどを発行する。
【０３４０】
＜プレーヤシステムのインタフェース（Interface of Player System）＞
また、プレイリストマネージャPLMNGは、アドバンストアプリケーションマネージャADAMNG内のプログラミングエンジンPRGENに対するプレーヤシステムAPIコマンドも発行する。これらのプレーヤシステムAPIコマンドは、システムインフォメーションにアクセスするコマンドなどが挙げられる。
【０３４１】
＜アドバンストアプリケーションマネージャ（Advanced Application Manager）＞
本実施形態において、図２８に示すアドバンストアプリケーションマネージャADAMNGの機能について説明を行う。前記アドバンストアプリケーションマネージャADAMNGは、アドバンストコンテンツADVCTの全ての再生表示処理に関する制御を行う。また更に前記アドバンストアプリケーションマネージャADAMNGは、アドバンストアプリケーションADAPLのマークアップMRKUPやスクリプトSCRPTの情報に関連して、連携作業として図３０に示すアドバンストアプリケーションプレゼンテーションエンジンAAPENの制御も行う。図２８に示すようにアドバンストアプリケーションマネージャADAMNGはディクレラティブエンジンDECENとプログラミングエンジンPRGENから構成される。
【０３４２】
＜ディクレラティブエンジン（Declarative Engine）＞
前記ディクレラティブエンジンDECENは、アドバンストアプリケーションADAPLにおけるマークアップMRKUPに対応して、アドバンストコンテンツADVCTの宣言処理の管理及び制御を行う。前記ディクレラティブエンジンDECENは、以下の項目に対し対応する。
【０３４３】
＊  アドバンストアプリケーションプレゼンテーションエンジンAAPEN（図３０）の制御
・  グラフィックオブジェクト（アドバンストアプリケーションADAPL）とアドバンストテキスト（アドバンストサブタイトルADSBT）のレイアウト処理
・  グラフィックオブジェクト（アドバンストアプリケーションADAPL）とアドバンストテキスト（アドバンストサブタイトルADSBT）の表示スタイル制御
・  グラフィックプレイン（アドバンストアプリケーションADAPLに関係した表示）の表示予定に合わせた表示タイミング制御とイフェクトオーディオEFTADの再生時のタイミング制御
＊  メインビデオMANVDの制御処理
・  プライマリーオーディオビデオPRMAVにおけるメインビデオMANVDの属性制御
…図３９に示すようにメインビデオプレインMNVDPL内でのメインビデオMANVDの画面サイズは、アドバンストアプリケーションADAPL内のAPIコマンドにより設定される。この場合、ディクレラティブエンジンDECENがアドバンストアプリケーションADAPL内に記述されたメインビデオMANVDの画面サイズと画面配置場所情報に対応して前記メインビデオMANVDの表示制御を行う。
【０３４４】
＊  サブビデオSUBVDの制御
・  プライマリーオーディオビデオPRMAV内またはセカンダリーオーディオビデオSCDAV内のサブビデオSUBVDの属性制御
…図３９に示すようにサブビデオプレインSBVDPL内でのサブビデオSUBVDの画面サイズは、アドバンストアプリケーションADAPL内のAPIコマンドにより設定される。この場合、ディクレラティブエンジンDECENがアドバンストアプリケーションADAPL内に記述されたサブビデオSUBVDの画面サイズと画面配置場所情報に対応して前記サブビデオSUBVDの表示制御を行う。
【０３４５】
＊  スケジュール管理されたスクリプトコール
・  アドバンストアプリケーションADAPL内で記述されたタイミングエレメントの実行に対応してスクリプトコールのタイミングを制御する。
【０３４６】
＜プログラミングエンジン（Programming Engine）＞
本実施形態においてプログラミングエンジンPRGENは、APIセットコールや、アドバンストコンテンツADVCTのある種の制御などの各種イベントに対応した処理を管理する。また前記プログラミングエンジンPRGENにより、標準的にはリモコン操作処理などのユーザインタフェースイベントが取り扱われる。前記ユーザインタフェースイベントUIEVTなどにより、ディクレラティブエンジンDECEN内で定義されたアドバンストアプリケーションADAPLの処理変更や、アドバンストコンテンツADVCTの処理変更などをすることができる。
【０３４７】
＜ファイルキャッシュマネージャ（Flie Cache Manager）＞
ファイルキャッシュマネージャFLCMNGは、以下の事柄に対応して処理する。
【０３４８】
＊  プライマリーエンハンストビデオオブジェクトセットP-EVOBS内に多重化されているアドバンストアプリケーションADAPLに関するパックやアドバンストとサブタイトルADSBTに関するパックを抜き出し、ソースファイルとしてまとめてファイルキャッシュFLCCH内にリソースファイルとして保存する。前記、プライマリーエンハンストビデオオブジェクトセットP-EVOBS内に多重化されたアドバンストアプリケーションADAPLに対応したパックやアドバンストサブタイトルADSBTに対応したパックは図３５に示すデマルチプレクサDEMUXにより、抽出される。
【０３４９】
＊  情報記憶媒体DISC、ネットワークサーバNTSRVまたはパーシステントストレージPRSTR内に記録されている各種ファイルを、ファイルキャッシュFLCCH内にリソースファイルとして保存する。
【０３５０】
＊  プレイリストマネージャPLMNGやアドバンストアプリケーションマネージャADAMNGのリクエストに応じ過去に前記各種データソースからファイルキャッシュFLCCHに転送したソースファイルの再生を行う。
【０３５１】
＊  ファイルキャッシュFLCCH内におけるファイルシステム管理処理を行う。
【０３５２】
前述したように、プライマリーエンハンストビデオオブジェクトセットP-EVOBS内に多重化され、プライマリービデオプレーヤPRMVP内のデマルチプレクサDEMUXで抜き出されたアドバンストアプリケーションADAPLに関係したパックの処理を前記ファイルキャッシュマネージャFRCMNGで行うが、
この時にプライマリーエンハンストビデオオブジェクトセットP-EVOBS内に含まれているアドバンストストリームパック内のプレゼンテーションストリームヘッダは外され、アドバンストストリームデータとしてファイルキャッシュFLCCH内に記録される。また、プレイリストマネージャPLMNGやアドバンストアプリケーションマネージャADAMNGの要請に応じて情報記憶媒体DISC、ネットワークサーバNTSRVやパーシステントストレージPRSTR内に保存されていたリソースファイルの獲得もファイルキャッシュマネージャFLCMNGが行う。
【０３５３】
＜ユーザインタフェースエンジン（User Interface Engine）＞
ユーザインタフェースエンジンUIENGには、図２８に示すようにリモートコントロールコントローラーRMCCTR、フロントパネルコントローラーFRPCTR、ゲームパッドコントローラーGMPCTR、キーボードコントローラーKBDCTR、マウスコントローラーMUSCTRやカーソルマネージャCRSMNGが含まれる。本実施形態において、フロントパネルコントローラーFRPCTRとリモートコントロールコントローラーRMCCTRのうちいずれか一方はサポートされなければならない。また、本実施形態において、カーソルマネージャCRSMNGは必須となり、画面上でのユーザ処理としてはパーソナルコンピュータと同様のカーソル利用が前提となる。それ以外の各種コントローラーについては本実施形態ではオプション扱いとする。図２８に示したユーザインタフェースエンジンUIENG内の各種コントローラーは、実際の対応したデバイス（マウスやキーボードなど）が使用可能かどうかを検出するとともにユーザオペレーションのイベントを監視している。前記のユーザ入力処理が行われると、その情報がユーザインタフェースイベントUIEVTとアドバンストアプリケーションマネージャADAMNG内のプログラミングエンジンPRGENへ情報が伝わる。また、カーソルマネージャCRSMNGはカーソルの形状と画面上のカーソル位置の制御を行う。また、前記カーソルマネージャCRSMNGはユーザインタフェースエンジンUIENG内で検出された動き情報に対応し、図３９に示すカーソルプレインCRSRPLのアップデートを行う。
【０３５４】
＜Player State Machine for Advanced Content Player＞
図１に示す情報記録再生装置1内のアドバンストコンテンツ再生部ADVPLが処理する状態は、サスペンドステートSPDST、ポーズステートPSEST、ファストステートFASTST/スロウステートSLOWST/フォワードステートFWDST/リバースステートRVCST、スタートアップステートSTUPST/アップデートステートUPDTST、ストップステートSTOPST、プレイバックステートPBKST、プレジャンプステートPRJSTとポストジャンプステートPOJSTの８つの状態が存在する。前記アドバンストコンテンツ再生部ADVPLが持つ状態間の状態遷移図を図２９に示す。これらの状態遷移図に示された各状態の制御は図１４に示すようにアドバンストコンテンツ再生部ADAPL内でのナビゲーションマネージャNVMNGが制御する。例えば図１に示したシステム例の場合、ユーザがリモコンにより大画面テレビモニタ15へ向かい、リモコンを操作すると無線データ18が情報記録再生装置1内の無線ＬＡＮ制御部7-1を介しアドバンストコンテンツ再生部ADVPL内に入力される。アドバンストコンテンツ再生部ADVPL内のナビゲーションマネージャNVMNGに上記ユーザオペレーションUOPEの情報が入力されると、図２８に示すようにリモートコントロールコントローラーRMCCTRが作動し、ユーザインタフェースイベントUIEVTとしてアドバンストアプリケーションマネージャADAMNGに入力される。アドバンストアプリケーションマネージャADAMNG内ではユーザが指定した画面上の位置に対応して、ユーザ指定内容を解読しパーサーPARSERに通知する。パーサーPARSERはアドバンストアプリケーションマネージャADAMNGからの通知に対応し、図２９に示す各ステートへの遷移を行う。図２９に示すように各状態遷移が起きると、パーサーPARSERはプレイリストマネージャPLMNGで解析されたプレイリストPLLSTの情報に対応し、最適な処理の制御を行う。以下に各状態（ステート）の動作内容について説明を行う。
【０３５５】
Ａ）  スタートアップステートSTUPST/アップデートステートUPDTST
アドバンストコンテンツ再生部ADVPLが起動処理またはアップデート処理を開始すると、アドバンストコンテンツ再生部ADVPLはスタートアップステートSTUPST/アップデートステートUPDTSTに遷移される。スタートアップステートSTUPST/アップデートステートUPDTSTが通常に完了すると、アドバンストコンテンツ再生部ADVPLはプレイバックステートPBKSTへ遷移する。
【０３５６】
Ｂ）  プレイバックステートPBKST
プレイバックステートPBKSTはアドバンストコンテンツADVCTの通常速度での再生状態を意味する。すなわち、前記アドバンストコンテンツ再生部ADVPLがプレイバックステートPBKSTにある時には、通常の再生速度でタイトルタイムラインTMLEに沿った処理がなされる。
【０３５７】
Ｃ）  ストップステートSTOPST
ストップステートSTOPSTは、アドバンストコンテンツ再生部ADVPLが終了状態になったことを意味し、この時にはタイトルタイムラインTMLEの時間軸に合わせた処理は行われず、またあらゆるアプリケーション処理も停止状態にある。
【０３５８】
Ｄ）  ポーズステートPSEST
ポーズステートPSESTは一時停止の状態を表す。この時には一時的にタイトルタイムラインTMLEの時間進行（タイトルタイムラインTMLE上のカウントアップ）は一時的に停止された状態にある。
【０３５９】
Ｅ）  ファストFASTST /スロウSLOWST /フォワードFWDST /リバースRVCSTステート
ファストステートFASTSTは動画の高速再生モードを意味し、スロウステートSLOWSTは動画のゆっくりした再生モードを表し、フォワードステートFWDSTは通常の再生方向に沿った再生情報で、同一タイトル内への全方向へのジャンプ（特定の時間経過後の再生位置にアクセスする）の処理も含まれる。リバースステートRVCSTは通常の再生方向に対する逆方向の再生（巻戻し）を意味し特定時間前へのジャンプ再生なども含まれる。アドバンストコンテンツ再生部ADVPLが前記ステート上にある時には、タイトルタイムラインTMLE上の時間進み（カウント変化状況）は、それぞれの再生ステートに合わせてタイトルタイムラインTMLE上の時刻変化（カウントアップ/カウントダウン）の処理が行われる
Ｆ）  プレジャンプステートPRJST
プレジャンプステートPRJSTは、再生中コンテンツ（タイトル）の終了処理を意味している。本実施形態において、アドバンストアプリケーションADAPLにより画面上に各種制御用ボタンを表示するがユーザがその中でジャンプをクリックするとアドバンストコンテンツ再生部ADVPLはプレジャンプステートPRJSTへ遷移する。アドバンストアプリケーションADAPLにより表示された“ジャンプボタン”で指定されたジャンプ先は異なるタイトル先にジャンプする場合や、同一タイトル内においてもタイトルタイムラインTMLEで指定された時刻（カウント値）と大きく異なる場合が有る。現在画面上に表示されているアドバンストアプリケーションADVPLが、移動先に対応したタイトルタイムラインTMLE時刻（カウント値）上では使用されない（有効期限が切れている）場合が有る。この場合には現在画面上に表示されているアドバンストアプリケーションADAPLの終了処理が必要となる。従って本実施形態においてはプレジャンプステートPRJST内において、移動先のタイトルタイムラインTMLEの時刻（カウント値）を調べ、有効期間の切れているアドバンストアプリケーションADAPLの終了処理や、新たに（ジャンプ前の画面には無かった）有効期間となるアドバンストアプリケーションADAPLの表示準備処理を行う。その後アドバンストコンテンツ再生部ADVPLは、ポストジャンプステートPOJSTへ遷移される。
【０３６０】
Ｇ）  ポストジャンプステートPOJST
ポストジャンプステートPOJSTは次のコンテンツ（タイトル）のローディング処理モードを表す。図１７に示すように各タイトル毎にそれぞれ独自のタイトルタイムラインTMLEが設定されている。プレジャンプステートPRJSTにおいて、例えばタイトル＃２の再生途中にプレジャンプステートPRJSTに遷移するとタイトル＃２のタイトルタイムラインTMLEの時間進行が停止され、例えばポストジャンプステートにおいてPOJST次のタイトル＃３の再生準備がなされる場合にはタイトルタイムラインTMLEが＃２のものからタイトル＃３に対応したタイトルタイムラインTMLEに移動する。ポストジャンプステートPOJSTにおいては、例えばデータキャッシュDTCCHのメモリ空間の設定や前記設定されたデータキャッシュDTCCH内へのアドバンストアプリケーションADAPLのローディング処理などの準備が行われる。これら一連の準備が終了するとアドバンストコンテンツ再生部ADVPLはプレイバックステートPBKSTへ遷移する。
【０３６１】
Ｈ）  サスペンドステートSPDST
サスペンドステートSPDSTは、アドバンストコンテンツ再生部ADVPLが待機状態にあることを意味する。この状態においてはタイトルタイムラインTMLEの時間進行は一時停止されると共に、各種再生表示オブジェクトも表示待機の状態にある。この状態の例として、例えば図１において、大画面テレビモニタ15上にはスタンダードコンテンツSTDCTのみが表示され、アドバンストコンテンツADVCTが非表示の状態などの時、この状態になる。
【０３６２】
ユーザが情報記憶媒体DISCを情報記録再生装置1内の情報記録再生部2内に挿入するとアドバンストコンテンツ再生部ADVPLはスタートアップステートSTUPSTになり、それと共にイニシャル状態としてのアップデートステートUPDTSTに入る。その後通常の場合にはすぐにプレイバックステートPBKSTに遷移し、アドバンストコンテンツADVCTの表示モードに入る。この時例えばユーザがスタンダードコンテンツSTDCTに切替えた場合、アドバンストコンテンツ再生部ADVPLはサスペンドステートSPDSTに遷移される。また再びユーザが、アドバンストコンテンツADVCTの再生を開始するとプレイバックステートPBKSTに遷移する。次にユーザが別の画面（タイトル）への画面遷移を支持するとプレジャンプステートPRJSTを経てポストジャンプステートPOJSTに遷移した後、ユーザが指定したタイトルのプレイバックステートPBKSTに遷移される。ここで、ユーザが再生時にポーズボタンを押すとポーズステートPSESTに遷移され、その後高速送りをユーザが指定するとファストステートへ遷移される。その後ユーザが情報記録再生装置1を終了させるとストップステートSTOPSTに遷移する。このような形でユーザオペレーションUOPEに対応してアドバンストコンテンツ再生部ADVPLの状態遷移が起こる。
【０３６３】
＜プレゼンテーションエンジン（Presentation Engine）＞
図１４に示すアドバンストコンテンツ再生部ADVPL内のプレゼンテーションエンジンPRSENの内部構造を図３０に示す。
【０３６４】
まず初めにプレゼンテーションエンジンPRSENの位置づけを説明する。各種記録媒体に記録されたアドバンストコンテンツADVCTは、図１４に示すようにデータアクセスマネージャDAMNGを通過した後、プレゼンテーションエンジンPRSENを経てAVレンダラーAVRNDへデータ転送される。この時の制御をナビゲーションマネージャNVMNGが行う。すなわち前記プレゼンテーションエンジンPRSENは、ナビゲーションマネージャNVMNGから発生される制御コマンドに対応し各種表示オブジェクトに対応した再生表示データをデコード処理し、その結果をAVレンダラーAVRNDへ転送する。図３０に示すようにプレゼンテーションエンジンPRSENは、６種類の主な処理機能モジュールと１種類のグラフィックバッファメモリで構成される。前記６個の主な機能モジュールは、アドバンストアプリケーションプレゼンテーションエンジンAAPEN、フォントレンダリングシステムFRDSTM、アドバンストサブタイトルプレーヤASBPL、セカンダリービデオプレーヤSCDVP、プライマリービデオプレーヤPRMVPとデコーダーエンジンDCDENから構成される。また、前記グラフィックバッファメモリはピクセルバッファPIXBUFが対応する。例えばテキストイメージや、ＰＮＧイメージなどのようなピクセルイメージを保存するグラフィックメモリとして前記ピクセルバッファPIXBUFが共有利用される。図３０に示すように前記ピクセルバッファPIXBUFはアドバンストアプリケーションプレゼンテーションエンジンAAPEN、フォントレンダリングシステムFRDSTM及びアドバンストサブタイトルプレーヤASBPLで共用される。すなわち、後述するようにアドバンストアプリケーションプレゼンテーションエンジンAAPENでは、アドバンストアプリケーションADAPLに関するイメージ画像（例えば図１６に示すヘルプアイコン33からFFボタン38に至る一連の画面イメージ）を作成するが、その時に前記イメージ画像の一時保存場所として前記ピクセルバッファPIXBUFを利用する。同様、フォントレンダリングシステムFRDSTMでフォントに合わせたテキスト情報を作成するが、その特定指定されたフォント形状のテキスト情報であるイメージ画像も一時的に前記ピクセルバッファPIXBUFを一時保存場所として共有利用される。またアドバンストサブタイトルプレーヤASBPLで、例えばアドバンストサブタイトルADSBTの字幕情報を作った場合、そのイメージ画像も同様に前記ピクセルバッファPIXBUFに一時格納できる。
【０３６５】
図１０に示すように本実施形態において、再生表示オブジェクトは４種類存在し、それらの再生表示オブジェクトのアドバンストコンテンツ再生部ADVPL内でのデータの流れを図２５に記述されている。図３０と前述した図２５の関係を以下に説明する。
【０３６６】
まず初めにプライマリービデオセットPRMVSについて説明する。図２５に示すように、情報記憶媒体DISCに記録されたプライマリービデオセットPRMVSは直接プライマリービデオプレーヤPRMVPに転送され、各種デコーダーでデコード処理される。これに対応して図３０を用いて説明すると、情報記憶媒体DISCに記録されたプライマリービデオセットPRMVSはデータアクセスマネージャDAMNGを経由し、プライマリービデオプレーヤPRMBVPを経た後デコーダーエンジンDCDENでデコードされAVレンダラーAVRNDで画像合成される。
【０３６７】
次にセカンダリービデオセットSCDVSについて説明する。図２５に示すように、情報記憶媒体DISCまたはパーシステントストレージPRSTRに記録されたセカンダリービデオセットSCDVSは、セカンダリービデオプレーヤSCDVPを経由し各種デコーダーでデコード処理される。これに対応して図３０を用いて説明すると、セカンダリービデオセットSCDVSはデータアクセスマネージャDAMNGを経由し、セカンダリービデオプレーヤSCDVPで処理された後デコーダーエンジンDCDENでデコード処理され、AVレンダラーAVRNDで画像合成される。また、図２５に示すようにネットワークサーバNTSRV内に記録されているセカンダリービデオセットSCDVSはストリーミングバッファSTRBUFを経由し、セカンダリービデオプレーヤSCDVPへ到達するようになっている。これに対応して図３０を用いて説明すると、ネットワークサーバNTSRVに記録されたセカンダリービデオセットSCDVSは、データキャッシュDTCCH内のストリーミングバッファSTRBUF（図示していないが）で一時保存された後、データキャッシュDTCCH内のストリーミングバッファSTRBUFからデータがセカンダリービデオプレーヤSCDVPへ送られデコーダーエンジンDCDENでデコードされた後AVレンダラーAVRNDで画像構成される。
【０３６８】
次にアドバンストアプリケーションADAPLについて説明する。図２５に示すように、アドバンストアプリケーションADAPLは一時的にファイルキャッシュFLCCHに一時保存された後、アドバンストエレメントプレゼンテーションエンジンAEPENへ転送される。これに対応して図３０を用いて説明すると、アドバンストアプリケーションADAPLは、一時保存されたファイルキャッシュFLCCHからアドバンストアプリケーションプレゼンテーションエンジンAAPEN転送され、前記アドバンストアプリケーションプレゼンテーションエンジンAAPEN内でイメージ画像として構成された後、AVレンダラーAVRNDで画像合成される。
【０３６９】
最後にアドバンストサブタイトルADSBTについて説明する。図２５に示すように、アドバンストサブタイトルADSBTは必ずファイルキャッシュFLCCH内に一時保存された後、アドバンストサブタイトルプレーヤASBPLへ転送される。これに対応して図３０を用いて説明すると、ファイルキャッシュFLCCH内に保存されたアドバンストサブタイトルADSBTは、アドバンストサブタイトルプレーヤASBPLでテキスト内容を表現したイメージ画像に変換され、AVレンダラーAVRND上で画像合成される。特に指定されたフォント形式で画面に表示したい場合には図１１に示すようにアドバンストエレメントディレクトリADVEL内に保存されたフォントファイルFONTを利用し、そのデータを使いファイルキャッシュFLCCH内に保存されたアドバンストサブタイトルADSBTがフォントレンダリングシステムFRDSTM内で指定されたフォント形式での文字画像（イメージ画像）に変換された後、AVレンダラーAVRNDで画像合成される。本実施形態においては、フォントレンダリングシステムFRDSTMで作成した独自のフォント形式の文字画像（イメージ画像）がピクセルバッファPIXBUFに一時保存され、そのイメージ画像はアドバンストサブタイトルプレーヤASBPLを経由してAVレンダラーAVRNDへ転送される。
【０３７０】
＜アドバンストアプリケーションプレゼンテーションエンジン（Advanced Application Presentation Engine）＞
図１４に示すように本実施形態において、アドバンストコンテンツ再生部ADVPL内にはプレゼンテーションエンジンPRSENが存在する。図３０に示すプレゼンテーションエンジンPRSEN内のアドバンストアプリケーションプレゼンテーションエンジンAAPENの内部構造を図３１に示す。
【０３７１】
本実施形態においてアドバンストアプリケーションプレゼンテーションエンジンAAPENは、以下に述べる２種類の再生表示ストリーム（再生表示オブジェクト）をAVレンダラーAVRNDへ転送する。AVレンダラーAVRNDへ転送する再生表示ストリームの１つは、図３９に示すグラフィックプレインGRPHPL上で表示されるフレームイメージである。また、次の再生表示ストリームはイフェクトオーディオストリームEFTADが対応する。図３１に示すように、アドバンストアプリケーションプレゼンテーションエンジンAAPENは、サウンドデコーダーSNDDEC、グラフィックスデコーダーGHCDECとレイアウトマネージャLOMNGから構成される。
【０３７２】
アドバンストアプリケーションADAPL内におけるイフェクトオーディオEFTAD（図１０参照）情報は、事前に一時保管されたファイルキャッシュFLCCH内からサウンドデコーダーSNDDECに転送され、前記サウンドデコーダーSNDDEC内でデコードされた後AVレンダラーAVRND内でオーディオミキシングされる。また、アドバンストアプリケーションADAPL内のイメージ画像を構成する個々の静止画IMAGE（図１０参照）は、一時保管されたファイルキャッシュFLCCHからグラフィックデコーダーGHCDEC内でビットマップ上のイメージ画像（の構成要素）に変換される。さらにレイアウトマネージャLOMNGでサイズ変換（スケーラーの処理）を行い、静止画IMAGE毎にレイアウト上の合成をされてイメージ画像が形成された後、AVレンダラーAVRNDで画像構成される。
【０３７３】
図１６に示した例を用いて上記の処理の説明を行う。図１６に示すように、アドバンストアプリケーションADAPLに対応してヘルプアイコン33、ストップボタン34、プレイボタン35、FRボタン36、ポーズボタン37およびFFボタン38に対応した個々の静止画像情報がファイルキャッシュFLCCH内に保存されている。グラフィックレコーダGHCDEC内では前記個々の静止画像をデコーダー処理によりビットマップ上のイメージ画像（の構成要素）に変換する。次にレイアウトマネージャLOMNGにより前記ヘルプアイコン33の位置やストップボタン34の位置などが設定され、ヘルプアイコン33からFFボタン38までの画像の並びとして構成されるイメージ画像がレイアウトマネージャLOMNG内で作成される。このレイアウトマネージャLOMNGで作成されたヘルプアイコン33からFFボタン38までの一連のイメージ画像がAVレンダラーAVRNDで他の画像と合成される。
【０３７４】
＜サウンドデコーダー（Sound Decoder）＞
サウンドデコーダーSNDDECはファイルキャッシュFLCCHからWAVファイルを読取り、連続的にAVレンダラーAVRNDへリニアPCMの形で連続的に出力を行う。図２８に示すように、ナビゲーションマネージャNVMNG内にプログラミングエンジンPRGENが存在する。この前記プログラムエンジンPRGENからプレゼンテーションエンジンPRSENに対してAPIコマンドが発行されるが、そのAPIコマンドをトリガーとして前記データ処理が行われる。
【０３７５】
＜グラフィックデコーダー（Graphics Decoder）＞
グラフィックデコーダーGHCDECは、ファイルキャッシュFLCCH内に保存されたグラフィックデータのデコード処理を行う。本実施形態において取り扱うイメージ画像（の構成要素）は、MNGイメージ、PNGイメージ、またはMPEGイメージなどを取り扱う。これらイメージ画像に関する情報が記録されたイメージファイルは前記グラフィックデコーダーGHCDEC内でデコードされると共に前記デコードされたイメージ画像（の構成要素）は、図３０に示すピクセルバッファPIXBUF内に一時保存される。その後一時保存されたイメージ画像（の構成要素）は、レイアウトマネージャLOMNGからリクエストを受けて前記レイアウトマネージャLOMNGへ転送される。
【０３７６】
＜レイアウトマネージャ（Layout Manager）＞
本実施形態において、前記アドバンストアプリケーションプレゼンテーションエンジンAAPENで扱うイメージ画像は図３９に示すグラフィックプレインGRPHPL上の表示画面を構成する。これらグラフィックプレインGRPHPL上のイメージ画像を作成し、AVレンダラーAVRNDへ合成のため転送する処理を行うのがレイアウトマネージャLOMNGである。図３９に示すグラフィックプレインGRPHPL内の表示画面（イメージ画像の構成要素）毎にそれぞれ対応したレイアウト情報が存在しており、グラフィックプレインGRPHPL内の画面内容が変化する毎に対応した異なるレイアウトインフォメーションが存在し、そのレイアウトインフォメーションに基づきレイアウトマネージャLOMNG内でレイアウト設定される。このレイアウト情報は図２８に示すように、ナビゲーションマネージャNVMNG内のアドバンストアプリケーションマネージャADAMNGに含まれるディクレラティブエンジンDECENから発行される前記レイアウトインフォメーションがレイアウトマネージャLOMNGに転送される。前記レイアウトマネージャLOMNG内には、グラフィックスサーフェスGRPHSFと呼ばれるメモリを内蔵しており、グラフィックプレインGRPHPL上のイメージ画像を作成する時に利用される。グラフィックプレインGRPHPL内に複数の画像（イメージ画像の構成要素）を配置する場合には、前記レイアウトマネージャLOMNGが個々にグラフィックデコーダーGHCDECを起動させ、それぞれのイメージ画像の構成要素毎のデコードをさせた後フレームイメージ（イメージ画像）としてそれぞれのイメージ画像の構成要素毎の配置設定を行う。図３０に示すようにプレゼンテーションエンジンPRSEN内にフォントレンダリングシステムFRDSTMが存在し、指定されたフォント形式による文字情報をイメージ画像に変換するということを説明したが、この特定のフォントによる表示を行う場合には、前記レイアウトマネージャLOMNGから前記フォントレンダリングシステムFRDSTMを動かし、テキスト情報をフレームイメージ（イメージ画像）に変換しグラフィックプレインGRPHPL上に配置することもできる。本実施形態では図３９に示すようにグラフィックプレインGRPHPL上のイメージ画像全体または個々のイメージ画像の構成要素を半透明とし、その下側に存在するサブピクチャープレインSBPCPLやサブビデオプレインSBVDPLまたはメインビデオプレインMNVDPLの映像が透けて見えるように設定することができる。上記グラフィックプレインGRPHPL内の各イメージ画像の構成要素（またはイメージ画像全体）の下側の面に対する透明度をアルファ値で定義される。もしこのようにアルファ値が設定された場合には、そのアルファ値に応じて半透明な形としてグラフィックプレインGRPHPL上の指定された場所に配置するように前記レイアウトマネージャLOMNGが設定する。
【０３７７】
＜グラフィックプロセスモデル＞
本実施形態におけるプレゼンテーションエンジンPRSENにおけるグラフィックプロセスモデルを図３２に示す。
【０３７８】
グラフィックプロセスを行う前にアドバンストアプリケーションADAPLの情報は、本実施形態では予めファイルキャッシュFLCCH内に圧縮された形で（コンプレッションフォームCMPFRM）記録されている。また、前記グラフィックプロセスにより作成されたグラフィックイメージ（イメージ画像）は、後述するように図３９のグラフィックプレインGRPHPL上に表示される。また前記グラフィックプレインGRPHPL上においては図４０に示すようにカンバス座標CNVCRDが定義され、前記カンバス座標CNVCRD上に各デコード後のグラフィックイメージ（アニメーションを含むイメージ画像）が配置される。
【０３７９】
１）  図３２の実施形態では、ファイルキャッシュFLCCH内に（ａ）（ｂ）（ｃ）の３種類のグラフィックオブジェクトがコンプレッションフォームCMPFRM（圧縮された形）で事前に記録されている。また、ファイルキャッシュFLCCH内に“ＡＢＣ”の例に示すようにアドバンストアプリケーションADAPLのテキスト情報も記録することができる。
【０３８０】
２）  図３１に示すグラフィックデコーダーGHCDECにより図３２（１）に示す圧縮された（ａ）（ｂ）（ｃ）の情報がデコード処理されてイメージ画像（ピクセルイメージPIXIMG）に変換され、その結果がピクセルバッファPIXBUF内に保存される（図３２（２））。また同様にファイルキャッシュFLCCH内に記録されたテキスト情報“ＡＢＣ”は、フォントレンダリングシステムFRDSTMによりイメージ画像（ピクセルイメージPIXIMG）に変換され、ピクセルバッファPIXBUF内に記録される。図２８に示すように本実施形態では、ナビゲーションマネージャNVMNG内にマウスコントローラーMUSCTRもサポートしている。前記マウスコントローラーMUSCTRを経由し、ユーザがマウスにより図形を描画する場合、各線の始点と終点位置の座標としてラインオブジェクトの形で図形入力されるが、前記ラインオブジェクトはマウスコントローラーMUSCTRを経由しAPIコマンドの形で前述したカンバス座標CNVCRD上にイメージ画像（ピクセルイメージPIXIMG）として描かれる。前記ラインオブジェクトとして描かれたイメージ画像（ピクセルイメージPIXIMG）も同様にピクセルバッファPIXBUF内に記録される。
【０３８１】
３）  前記一時保存されたデコード後の各種イメージ画像（ピクセルイメージPIXIMG）は、図３１のレイアウトマネージャLOMNG内によりグラフィックサーフェスGRPHSF上（グラフィックプレインGRPHPL上）での配置位置と表示サイズが設定される。図３２（３）に示すように同一グラフィックサーフェスGRPHSF上（グラフィックプレインGRPHPL上）に（ａ）（ｂ）（ｃ）の図面とテキストイメージ“ＡＢＣ”及びAPIコマンドにより描かれた図形が重なって表示されている。本実施形態においては、各イメージ画像（ピクセルイメージPIXIMG）に対し透明度を規定することで重なった部分の裏側の図形が透けて見えるようになっている。前記各イメージ画像（ピクセルイメージPIXIMG）毎の半透明度をアルファ値（アルファインフォメーション）で定義する。前記レイアウトマネージャLOMNGでは、各イメージ画像（ピクセルイメージPIXIMG）毎にアルファ値を計算し、重なっている部分において裏側が透けて見えるように設定することができる。図３２（３）の例においては（ａ）（ｂ）のアルファ値を40％（40％透過する）にしている。
【０３８２】
４）  このように合成したグラフィックサーフェスGRPHSF上（グラフィックプレインGRPHPL上）のイメージ画像（フレームイメージ）は、レイアウトマネージャLOMNGからAVレンダラーAVRNDへ送られる。
【０３８３】
＜アドバンストアプリケーションプレゼンテーションエンジン（Advanced Application Presentation Engine）＞
図１に示すように情報記録再生装置1内にアドバンストコンテンツ再生部ADVPLが存在する。前記アドバンストコンテンツ再生部ADVPL内には、図１４に示すようにプレゼンテーションエンジンPRSENが存在する。またその中に図３０に示すようにアドバンストサブタイトルプレーヤASBPLが存在している。以下に前記アドバンストサブタイトルプレーヤASBPL内の構造を説明する。
【０３８４】
図３９に示すように、表示画面上にサブピクチャーやアドバンストサブタイトルADSBTを表示するサブピクチャープレインSBPCPLが存在するが、前記アドバンストサブタイトルプレーヤASBPLは、前記サブピクチャープレインSBPCPLに表示するサブタイトルイメージを出力する。前記アドバンストサブタイトルプレーヤASBPLは図３３に示すように、パーサーPARSER、ディクレラティブエンジンDECENとレイアウトマネージャLOMNGから構成されている。また、アドバンストサブタイトルADSBTはアドバンストアプリケーションADAPLのサブセットとして位置づけられる。従って、アドバンストアプリケーションマネージャADAMNG（図２８参照）とアドバンストアプリケーションプレゼンテーションエンジンAAPEN（図３０参照）のサブセットモジュールを前記アドバンストサブタイトルプレーヤASBPL内に持っている。すなわち図３０に示すようにアドバンストサブタイトルプレーヤASBPLとアドバンストアプリケーションプレゼンテーションエンジンAAPENが同一のピクセルバッファPIXBUFを共有している。また図３３に示すようにアドバンストサブタイトルプレーヤASBPL内のレイアウトマネージャLOMNGが図３１に示すようにアドバンストアプリケーションプレゼンテーションエンジンAAPEN内のレイアウトマネージャLOMNGと共用し、またアドバンストサブタイトルプレーヤASBPL内のディクレラティブエンジンDECENが図２８に示すようにアドバンストアプリケーションマネージャADAMNG内のディクレラティブエンジンDECENを共有している。
【０３８５】
まず初めにアドバンストサブタイトルプレーヤASBPL内のパーサーPARSERはデータキャッシュDTCCH内のファイルキャッシュFLCCH内に格納されているアドバンストサブタイトルのマークアップファイルMRKUPSを読取り、その内容の解析を行う。その解析結果をディクレラティブエンジンDECENへ転送する。前記ディクレラティブエンジンDECENは、アドバンストサブタイトルADSBTのレイアウトや表示形式（スタイル）、表示タイミングに関するプレゼンテーションインフォメーションを管理する。タイトルタイムラインTMLE上の時間進行に合わせてサブタイトルイメージ（テロップ文字のイメージなど）を作成するため、ディクレラティブエンジンDECENは各種コマンドをレイアウトマネージャLOMNGに転送する。前記ディクレラティブエンジンDEDENから送られるコマンド情報に合わせて、前記レイアウトマネージャLOMNGはプレゼンテーションエンジンPRSEN内のフロントレンダリングシステムFRDSTMを動かしてテキストイメージ（イメージ画像）を作成する。その後サブピクチャーフレームイメージ（サブピクチャープレインSBPCPL）内における適切な位置に、前記作成したテキストイメージ（イメージ画像）を配置する。その時、前記作成されたテキストイメージ（イメージ画像）はピクセルバッファPIXBUF上に記録されると共に、レイアウトマネージャLOMNGによりサブピクチャープレインSBPCPL上にレイアウト処理される。そして、その結果のイメージ画像（フレームイメージ）をサブピクチャープレインSBPCPL上に出力する。
【０３８６】
＜フォントレンダリングシステム（Font Rendering System）＞
図３０に示すようにフォントレンダリングシステムFRDSTMはプレゼンテーションエンジンPRSEN内に存在し、アドバンストアプリケーションプレゼンテーションエンジンAAPENや、アドバンストサブタイトルプレーヤASBPLからのリクエストに応じテキストイメージ（イメージ画像）を作成する。前記フォントレンダリングシステムFRDSTM内の構造を図３４に示す。
【０３８７】
フォントレンダリングシステムFRDSTMは、フォントエンジンFONTENを内蔵したデコーダーDECDERとラステライザーRSTRZとフォントキャッシュFONTCCから構成される。ファイルキャッシュFLCCHから読み出されたアドバンストサブタイトルADSBT情報あるいはアドバンストアプリケーションADAPL情報がフォントエンジンFONTENを利用してデコーダーDECDER内によりテキストのイメージ（イメージ画像）が作られる。作成されたテキストイメージ（イメージ画像）のサブピクチャープレインSBPCPL（図３９参照）内での表示サイズがラステライザーRSTRZ内のスケーラーSCALERにより設定される。その後、前記作成されたテキストイメージ（イメージ画像）の透明度がアルファマップジェネレーションAMGRTにより指定される。前記作成されたテキストイメージ（イメージ画像）は、必要に応じてフォントキャッシュFONTCC内に一時保存され、必要なタイミングでフォントキャッシュFONTCCからテキストイメージ（イメージ画像）が読み出されて画像表示される。前記アルファマップジェネレーションAMGRTにより作成されたテキストイメージ（イメージ画像）の透明度が規定される。その結果、テキストイメージの重なった部分の下にあるサブビデオプレインSBVDPLまたはメインビデオプレインMNVDPLの（図３９参照）の映像を透けて見ることができる。
【０３８８】
本実施形態において前記アルファマップジェネレーションAMGRTでは、その前段にあるデコーダーDECDERで作成されたテキストイメージ（イメージ画像）全体の透明度を均一に設定できるばかりでなく、前記テキストイメージ（イメージ画像）内の透明度を部分的に変化させることもできる。本実施形態においては、デコーダーDECDERによりテキストキャラクターからテキストイメージ（イメージ画像）に変換する段階でピクセルバッファPIXBUFを使うこともできる。本実施形態において前記フォントレンダリングシステムFRDSTMがサポートするフォントタイプは、基本的にオープンタイプ（従来一般的に使われるフォントタイプ）である。しかし、それに限らず図１１に示したアドバンストエレメントディレクトリADVELの下にあるフォントファイルFONTを利用して、前記フォントファイルFONTに対応したフォントタイプの形でテキストイメージを作成することもできる。
【０３８９】
＜セカンダリービデオプレーヤ（Secondary Video Player）＞
図１４に示すようにアドバンストコンテンツ再生部ADVPL内にプレゼンテーションエンジンPRSENが存在し、前記プレゼンテーションエンジンPRSEN内にセカンダリービデオプレーヤSCDVPが存在する（図３０参照）。図３５を用い本実施形態におけるセカンダリービデオプレーヤSCDVP内構造説明を行う。
【０３９０】
図１０に示すようにセカンダリービデオセットSCDVSにはサブスティテュートオーディオビデオSBTAV、サブスティテュートオーディオSBTAD、とセカンダリーオーディオビデオSCDAVが含まれるが、これらの再生処理を行う部分が前記セカンダリービデオプレーヤSCDVPである。前記セカンダリービデオセットSCDVSの再生表示オブジェクトは、情報記憶媒体DISC、ネットワークサーバNTSRVおよびパーシステントストレージPRSTRのいずれ内に保存しておくことができる。図１６に示す表示画面例のようにプライマリービデオセットPRMVSとセカンダリービデオセットSCDVSとを同時に同一画面上に表示する場合には、前記セカンダリービデオセットSCDVSの表示再生オブジェクトを事前にファイルキャッシュFLCCH内に保存し、セカンダリービデオセットSCDVSからは前記ファイルキャッシュFLCCHから再生する必要がある。例えば同一の情報記憶媒体DISC内にプライマリービデオセットPRMVSとセカンダリービデオセットSCDVSが異なる場所に記録されている場合、両者を同時に再生しようとすると図１に示す情報記録再生装置1内の情報記録再生部2の中に存在する光学ヘッド（図示していないが）がプライマリービデオセットPRMVSの記録場所とセカンダリービデオセットSCDVSの記録場所間を交互のアクセス制御の繰返しが必要となり、光学ヘッドのアクセス時間の影響で両者を同時に連続再生することが難しくなる。それを回避するため本実施形態ではセカンダリービデオセットSCDVSをファイルキャッシュFLCCH内に保存しておき、情報記録再生部2内の光学ヘッドはプライマリービデオセットPRMVSのみを再生できるようにする。その結果、光学ヘッドのアクセス回数が大幅に低減しプライマリービデオセットPRMVSとセカンダリービデオセットSCDVSとを連続に同一画面上に表示することが可能となる。また、ネットワークサーバNTSRV内に記録されたセカンダリービデオセットSCDVSをセカンダリービデオプレーヤSCDVPで再生処理する場合には、セカンダリービデオプレーヤSCDVP内のデマルチプレクサDEMUXにデータを転送する前に、事前にデータキャッシュDTCCH内のストリーミングバッファSTRBUF内にセカンダリービデオセットSCDVSを保存しておく必要がある（図２５参照）。それにより、ネットワーク経路の転送レートの変動が生じても転送するデータの枯渇を防止することができる。基本的にはネットワークサーバNTSRV内に保存されたセカンダリービデオセットSCDVSは、データキャッシュDTCCH内のストリーミングバッファSTRBUF内に事前に保存されるが、本実施形態ではそれに限らずセカンダリービデオセットSCDVSのデータサイズが小さい場合には、データキャッシュDTCCH内のファイルキャッシュFLCCH内に保存することもできる。この場合には、データキャッシュDTCCH内のファイルキャッシュFLCCHからセカンダリービデオセットSCDVSがデマルチプレクサDEMUXへ転送される。図３５に示すようにセカンダリービデオプレーヤSCDVPは、セカンダリービデオプレイバックエンジンSVPBENとデマルチプレクサDEMUXから構成される。図１０に示すようにセカンダリービデオセットSCDVS内にはメインオーディオMANADとメインビデオMANVDがパック単位で多重化され、データが記録される（サブビデオSUBVDとサブオーディオSUBADについてもパック単位で多重化され記録されている）。デマルチプレクサDEMUXで、それらのデータ���パック毎に分割しデコーダーエンジンDCDENに転送する。すなわちデマルチプレクサDEMUXで抽出されたサブピクチャーパックSP_PCKはサブピクチャーデコーダーSPDECに転送され、サブオーディオパックAS_PCKはサブオーディオデコーダーSADECに転送され、サブビデオパックVS_PCKはサブビデオデコーダーSVDECに転送され、メインオーディオパックAM_PCKはメインオーディオデコーダーMADECに転送されるとともにメインビデオVM_PCKにはメインビデオデコーダーMVDEDに転送される。
【０３９１】
＜セカンダリービデオプレイバックエンジン（Secondary Video Playback Engine）＞
図３５に示すセカンダリービデオプレイバックエンジンSVPBENは、セカンダリービデオプレーヤSCDVPにおける全ての機能モジュールの制御処理を行う。このセカンダリービデオプレイバックエンジンSVPBENの制御は図２８に示すナビゲーションマネージャNVMNG内のプレイリストマネージャPLMNGからのリクエストに応じて処理を行う。セカンダリービデオセットSCDVSの再生表示を行う場合には、図１２に示すようにプレイリストPLLSTがセカンダリービデオセットSCDVSのタイムマップSTMAPを参照することを既に説明した。前記セカンダリービデオプレイバックエンジンSVPBENは、前記セカンダリービデオセットSCDVSのタイムマップSTMAPファイルを再生すると共に内容解析を行い、セカンダリーエンハンストビデオオブジェクトデータS-EVOBの最適な再生開始位置を算出し、情報記録再生部2（図１参照）内の光学ヘッドに対するアクセス指示を行う。
【０３９２】
＜デマルチプレクサ（Demux）＞
セカンダリービデオプレーヤSCDVP内のデマルチプレクサDEMUXは、セカンダリーエンハンストビデオオブジェクトデータS-EVOBストリームを再生し、各パック毎に分割し、前述したようにデコーダーエンジンDCDEN内の各種デコーダーにパック単位でデータを転送する。デマルチプレクサDEMUXがデコーダーエンジンDCDENに各パックを転送する時には、デコーダーエンジンDCDEN内に含まれる標準クロックのシステムクロックタイミング（SCRタイミング）に合わせ、各パック内に記述されたDTS（デコーディングタイムスタンプ）のタイミングで各種デコーダーへ転送される。
【０３９３】
＜プライマリービデオプレーヤ（Primary Video Player）＞
図１に示すアドバンストコンテンツ再生部ADVPL内には、図１４に示すようにプレゼンテーションエンジンPRSENが存在する。図３０に示すように前記プレゼンテーションエンジンPRSEN内にプライマリービデオプレーヤPRMVPが存在するが、その内部構造を図３６に示す。
【０３９４】
本実施形態においてプライマリービデオプレーヤPRMVPは、プライマリービデオセットPRMVSの再生に対応している。前記プライマリービデオセットPRMVSは情報記憶媒体DISC内にのみ保存される。図３６に示すようにプライマリービデオプレーヤPRMVPは、DVDプレイバックエンジンDPBKENとデマルチプレクサDEMUXから構成される。図１０に示すようにプライマリービデオセットPRMVSの各種のデータタイプには、メインビデオMANVDから副映像SUBPTに至る各種のデータタイプが存在する。デマルチプレクサDEMUXはそれらの各種のデータタイプに応じてデコーダーエンジンDCDEN内の対応したデコーダーに接続されている。すなわち、プライマリーエンハンストビデオオブジェクトデータP-EVOB内に存在するサブピクチャーパックSP_PCKは、サブピクチャーデコーダーSPDEC内へ転送され、サブオーディオパックAS_PCKはサブオーディオデコーダーSADECに転送され、サブビデオパックVS_PCKはサブビデオデコーダーSVDECに転送され、メインビデオパックAM_PCKはメインオーディオデコーダーMADECに転送されるとともに、メインビデオパックVM_PCKは、メインビデオデコーダーMADECへ転送される。
【０３９５】
＜DVDプレイバックエンジン（DVD Playback Engine）＞
図２８に示すように、ナビゲーションマネージャNVMNG内にはプレイリストファイルPLLSTの内容を解析するプレイリストマネージャPLMNGが存在する。前記プレイリストマネージャPLMNGからの要求に対応して、プライマリービデオプレーヤPRMVP内のあらゆる機能モジュールの制御に対応する部分が図３６に示すDVDプレイバックエンジンDPBKENである。まず、前記DVDプレイバックエンジンDPBKENはプレイバックに関する管理情報（図１１に示すプレイリストファイルPLLSTとビデオタイトルセットインフォメーションファイルADVTSI）の内容を解析し、プライマリービデオセットディレクトリPRMAVの下にあるタイムマップファイルPTMAPを利用し、プライマリーエンハンストビデオオブジェクトデータP-EVOB内の再生開始位置へアクセス制御する。また、それのみならず前記DVDプレイバックエンジンDPBKENは例えばマルチアングル、オーディオ、サブピクチャーのトラック（ストリーム）切替え、サブビデオSUBVDやサブオーディオSUBADを用いた２画面同時再生などプライマリービデオセットPRMVSの特殊な再生機能の制御も行う。
【０３９６】
＜デマルチプレクサ（Demux）＞
デマルチプレクサDEMUXは、プライマリーエンハンストビデオオブジェクトデータP-EVOB内に分散配置されている各種ストリーム（パック）データを、プライマリービデオプレーヤPRMVPに接続されているデコーダーエンジンDCDEN内の対応したデコーダーへ転送しデコード処理をさせる。図示していないが、プライマリーエンハンストビデオオブジェクトデータP-EVOB内の各パックPCK内にはDTS（デコーディングタイムスタンプ）の情報が含まれており、システムクロック（SCR）のタイミングに合わせ、指定されたDTSの時刻に各パック情報を各種デコーダーへ送り込んでいる。マルチアングルストリームに対しては、プライマリービデオセットのタイムマップファイルPTMAP内の情報またはナビゲーションパックNV_PCKの情報に対応して、情報記憶媒体DISC内に記録されたプライマリーエンハンストビデオオブジェクトデータP-EVOBのインターリーブドブロック内の適正なデータを再生する処理をデマルチプレクサDEMUXが対応している。
【０３９７】
＜デコーダー（Decoder）＞
図１４に示すように本実施形態におけるアドバンストコンテンツ再生部ADVPL内にプレゼンテーションエンジンPRSENが存在し、図３０に示すようにプレゼンテーションエンジンPRSEN内にデコーダーエンジンDCDENが存在する。前記デコーダーエンジンDCDEN内は図３７に示すようにサブオーディオデコーダーSADEC、サブビデオデコーダーSVDEC、メインオーディオデコーダーMADEC、メインビデオデコーダーMVDECとサブピクチャーデコーダーSPDECの５種類のデコーダーから構成されている。また、各デコーダーにはそれぞれサブオーディオバッファSABUF、サブビデオバッファSVBUF、メインオーディオバッファMABUF、メインビデオバッファMVBUFとサブピクチャーバッファSPBUFが存在する。また、サブビデオデコーダーSVDECとメインビデオデコーダーMVDEC及びサブピクチャーデコーダーSPDECには、画面上の表示サイズと表示場所を設定するスケーラーSCALERが付属されている。各デコーダーはプライマリービデオプレーヤPRMVP内のDVDプレイバックエンジンDPBKENと接続されるとともにその制御を受けるばかりでなく、またセカンダリービデオプレーヤSCDVP内のセカンダリービデオプレイバックエンジンSVPBENと接続されるとともにその制御を受ける。
【０３９８】
プライマリービデオセットPRMVSとセカンダリービデオセットSCDVSは図１０内のデータタイプ欄に記載された各種のデータを持っている。
【０３９９】
プライマリービデオセットPRMVSに含まれる各データは、プライマリービデオプレーヤPRMVP内のデマルチプレクサDEMUXからそれぞれ５種類のストリームに分離されて出力される。各ストリームの処理方法について以下に説明する。メインビデオMANVDのデータが記録されているメインビデオパックVM_PCKは、メインビデオバッファMVBUFを経由しメインビデオデコーダーMVDEC内でデコード処理される。また、メインオーディオMANADのデータが記録されたメインオーディオパックAM_PCKは、メインオーディオバッファMABUFを経由し、メインオーディオデコーダーMADEC内でデコード処理される。また、サブビデオSUBVDのデータが記録されたサブビデオパックVS_PCKは、サブビデオバッファSVBUFを経由し、サブビデオデコーダーSVDEC内でデコード処理される。また、サブオーディオSUBADのデータが記録されたサブオーディオパックAS_PCKは、サブオーディオバッファSABUFを経由し、サブオーディオデコーダーMADEC内でデコード処理される。最後に副映像SUBPTのデータが記録された副映像パックSP_PCKは、サブビデオバッファSVBUFを経由し、サブピクチャーデコーダーSPDEC内でデコード処理される。
【０４００】
同様にセカンダリービデオセットSCDVSに含まれる各データは、セカンダリービデオプレーヤSCDVP内のデマルチプレクサDEMUXからそれぞれ４種類のストリームに分離され出力される。各ストリームの処理方法について以下に説明する。サブスティテュートオーディオSBTADまたはサブスティテュートオーディオビデオSBTAV内に含まれるメインオーディオMANADのデータが記録されたメインオーディオパックAM_PCKは、メインオーディオバッファMABUFを経由し、メインオーディオデコーダーMADEC内でデコード処理される。また、サブスティテュートオーディオビデオSBTAV内のメインビデオMANVDのデータが記録されたメインビデオパックVM_PCKは、メインビデオバッファMVBUFを経由し、メインビデオデコーダーMVDEC内でデコード処理される。また、セカンダリーオーディオビデオSCDAV内のサブビデオSUBVDのデータが記録されたサブビデオパックVS_PCKは、サブビデオバッファSVBUFを経由し、サブビデオデコーダーSVDEC内でデコード処理される。最後にセカンダリーオーディオビデオSCDAV内のサブオーディオSUBADのデータが記録されたサブオーディオパックAS_PCKはサブオーディオバッファSABUFを経由し、サブオーディオデコーダーSADEC内でデコード処理される。
【０４０１】
＜サブピクチャーデコーダー（Subpicture Decoder）＞
図３７に示すプライマリービデオプレーヤPRMVP内のDVDプレイバックエンジンDPBKEN、またはセカンダリービデオプレーヤSCDVP内のセカンダリービデオプレイバックエンジンSVPBENからのリクエストに対応して、サブピクチャーデコーダーSPDECはサブピクチャーストリームのデコード処理を行う。図３９の所で表示画面上の各画面レイヤーについて説明してあるが、前記サブピクチャーデコーダーSPDECの出力はサブピクチャープレインSBPCPL上に表示される。また、本実施形態においては前記サブピクチャープレインSBPCPL内では副映像SUBPTと、アドバンストサブタイトルADSBTのデコード結果を共通に（２者択一的に）表示する。前記アドバンストサブタイトルADSBTは、図３０に示すアドバンストサブタイトルプレーヤASBPL内でデコード処理され出力される。
【０４０２】
＜Sub Audio Decoder＞
サブオーディオデコーダーSADECは、サブオーディオSUBADと呼ばれるオーディオストリームのデコーディングを処理する。本実施形態においてサブビデオデコーダーSVDECは、最大２チャンネルまでの対応を可能とすると共にサンプルレートを48kHz以下にしている。このようにサブオーディオデコーダーSADECの性能を低く抑えることにより、デコーダーエンジンDCDEN内の製造コストを安く抑えることができる。また、前記サブオーディオデコーダーSADECから出力されるオーディオストリームは、サブオーディオストリームSUBADと呼ばれている。
【０４０３】
＜サブビデオデコーダー（Sub Video Decoder）＞
サブビデオデコーダーSVDECは、サブビデオSUBVDと呼ばれるビデオストリームのデコード処理をサポートする。前記サブビデオデコーダーSVDECは、SD（スタンダードデフィニション）の解像度のサポートを必須とし、オプションとしてHD（ハイデフィニション）の解像度もサポート可能にしている。前記サブビデオデコーダーSVDECから出力されるデータは、サブビデオプレインSBVDPL（図３９参照）上に表示される。
【０４０４】
＜サブビデオデコーダーのスケーリング機能（Scaling Function in Sub Video Decorder）＞
サブビデオデコーダーSVDECの出力側に存在するスケーラーSCALERは以下の３種類の機能を持っている。
【０４０５】
１）  出力に必要なディスプレイ解像度に合わせて、サブビデオSUBVDの解像度を変化させる。
【０４０６】
図１に示す大画面テレビモニタ15に出力される時の理想的なサブビデオSUBVDの解像度が決まっている場合、どのような大画面テレビモニタ15の解像度にも対応するように前記スケーラーSCALERによりデコードされたサブビデオSUBVDの解像度変化を行う。
【０４０７】
２）  表示するアスペクト比に合わせたスケーリング機能
大画面テレビモニタ15に表示される画面のアスペクト比が元々サブビデオSUBVDで表示すべきアスペクト比と異なっていた場合には、アスペクト比変換を行い大画面テレビモニタ15に最適な形で表示するような処理を行う。
【０４０８】
３）  APIコマンドに基づくスケーリング処理
図３９に示した例のように、サブビデオSUBVDとしてコマーシャル用の別画面32を同一画面上の一部に表示する場合、アドバンストアプリケーションADAPLに基づくAPIコマンドにより、前記コマーシャル用の別画面32（サブビデオSUBVD）のサイズを設定することができる。このように本実施形態ではAPIコマンドに基づき、前記スケーラーSCALER内で最適な表示画面サイズを設定する。この場合には元々設定されていたサブビデオSUBVDのアスペクト比は、変わらず全体のサイズのみが変化される形となる。
【０４０９】
＜メインオーディオデコーダー（Main Audio Decoder）＞
本実施形態においてメインオーディオデコーダーMADEC内は、7.1チャンネルまでのマルチチャンネルオーディオとサンプリングレート192kHzまでの音声に対してデコードをサポートする。前記、メインオーディオデコーダーMADECでデコードされたデータをメインオーディオMANADと呼ぶ。
【０４１０】
＜メインビデオデコーダー（Main Video Decoder）＞
メインビデオデコーダーMVDECは、HD（ハイデフィニション）の解像度をサポートすることができ、デコードされた映像情報はメインビデオMANVDと呼ばれている。このようにメインビデオデコーダーMVDECで高解像度のデコードを可能とすることによりユーザ要求に応じた高画質を可能とする。さらにそれと平行してサブビデオデコーダーSVDECを持つことで、同時に２画面表示が可能になるばかりでなく、サブビデオデコーダーSVDECのデコード能力を制限することにより、デコーダーエンジンDCDENの価格を抑えることができる。前記メインビデオデコーダーMVDECでデコードされた画面は、メインビデオプレインMNVDPL（図３９参照）上に表示される。メインビデオデコーダーMVDECはメインビデオMANVDをデコードするが、本実施形態においてデコード後の映像の表示サイズは、アパーチャーAPTR（図４０参照）と呼ばれるグラフィックプレインGRPHPL(図３９参照）上のサイズと一致しなければならない。また、本実施形態ではナビゲーションマネージャNVMNGから与えられるポジションインフォメーションPOSITIとスケールインフォメーションSCALEIに対応し（図４１参照）、デコード後のメインビデオMANVDはスケーラーSCALERにより、前記アパーチャーAPTR上の適正なサイズにスケーリングされるとともに前記アパーチャーAPTR上の適正な位置に配置される。また、前記ナビゲーションマネージャNVMNGから転送されるスケール情報の中には、メインビデオプレインMNVDPLの画面の枠を表示する枠部分の色に対する情報も含まれる。本実施形態においては、前記枠組みの色はデフォルト状態において、“0,0,0”（黒色）として設定されている。
【０４１１】
＜メインビデオデコーダーのスケーリング機能（Scaling Function in Main Video Decoder）＞
メインビデオデコーダーMVDECの出力側に存在するスケーラーSCALERは、以下に述べる３種類の機能を持っている。
【０４１２】
１）  出力に必要なディスプレイ解像度に合わせて、メインビデオMANVDの解像度を変化させる。
【０４１３】
図１に示す大画面テレビモニタ15に出力される時の理想的なメインビデオMANVDの解像度が決まっている場合、どのような大画面テレビモニタ15（図１参照）にも対応するように前記スケーラーSCALERによりデコードされたサブビデオSUBVDメインビデオMANVDを行う。
【０４１４】
２）  表示するアスペクト比に合わせたスケーリング機能
大画面テレビモニタ15に表示される画面のアスペクト比が元々メインビデオMANVDで表示すべきアスペクト比と異なった場合、大画面テレビモニタ15に最適な形で表示するようにアスペクト比の変換処理を行う。
【０４１５】
３）  ＡＰＩコマンドに基づくスケーリング処理
図３９に示すようにメインビデオMANVD（本編31）を表示する場合、アドバンストアプリケーションADAPLに対応したAPIコマンドによりメインビデオMANVD（本編31）のサイズを指定することができる。このようにAPIコマンドに基づき、前記スケーラーSCALER内で最適な画面サイズを設定する場合には、元々設定されていたメインビデオMANVDのアスペクト比は、元のまま変わらずに全体のサイズのみが変化される（APIコマンドによっては特定のアスペクト比への変換は許されない）ことになる。この場合デフォルト状態において、メインビデオMANVDはフルスクリーンに表示されるように設定されている。例えばアスペクト比が４：３の場合にはワイド画面に表示すると幅が狭くなるので、ワイド画面上の中央部に幅の狭い表示画面が表示される。また、特にアパーチャーAPTRのサイズを「1920×1080」もしくは「1280×720」と設定した場合（ワイド画面対応）には、ワイド画面全体に表示される。  
＜AVレンダラー（AV Renderer）＞
図１に示すように情報記録再生装置1内にはアドバンストコンテンツ再生部ADVPLが存在するが、図１４に示すように前記アドバンストコンテンツ再生部ADVPL内には、AVレンダラーAVRNDが存在する。前記AVレンダラーAVRNDは図３８に示すように、グラフィックレンダリングエンジンGHRNENとオーディオミキシングエンジンADMXENから構成されている。グラフィックレンダリングエンジンGHRNENは、図１４に示すナビゲーションマネージャNVMNGとプレゼンテーションエンジンPRSENから来る情報を元にグラフィックプレインGRPHPL（図３９参照）上での画像の合成処理を行う。また、前記オーディオミキシングエンジンADMXENでは、プレゼンテーションエンジンPRSENから来る音声情報（PCMストリーム）を合成し、合成された音声情報を出力する。
【０４１６】
＜グラフィックレンダリングエンジン（Graphic Rendering Engine）＞
ユーザに表示する画面は図３９で詳しく説明するように、カーソルプレインCRSRPL、グラフィックプレインGHRHPL、サブピクチャープレインSBPCPL、サブビデオプレインSBVDPLとメインビデオプレインMDVDPLの５プレインから構成されており、前記グラフィックレンンダリングエンジンGHRNEN上で前記５プレインを合成処理する。図３８に示すプレゼンテーションエンジンPRSENは、グラフィックプレインGHRHPL、サブピクチャープレインSBPCPL、サブビデオプレインSBVDPLとメインビデオプレインMNVDPLの各プレイン上の画像を作成し、グラフィックレンダリングエンジンGHRNENへ転送する。前記グラフィックレンダリングエンジンGHRNEN内では新たにカーソルプレインCRSRPLを作成する。前記グラフィックレンダリングエンジンGHRNEN内でカーソルイメージCRSIMGを作成するとともにナビゲーションマネージャNVMNGから送られてくるカーソルのカーソルイメージCRSIMGの位置情報に基づいてカーソルプレインCRSRPL上にカーソルイメージCRSIMGを配置する。その結果、前記グラフィックレンダリングエンジンGHRNENは、ナビゲーションマネージャNVMNGからの制御情報に基づき前記５プレインを合成処理した後、合成した画像をビデオ信号として出力する。
【０４１７】
＜オーディオミキシングエンジン（Audio Mixing Engine）＞
オーディオミキシングエンジンADMXENは、プレゼンテーションエンジンPRSENから送られてくる最大３種類までのリニアPCMストリームを同時に受取り、音声合成することができる。その時、前記オーディオミキシングエンジンADMXENは、ナビゲーションマネージャNVMNGから与えられるミキシングレベル情報に基づき前記リニアPCMストリーム毎の音量設定をした後出力する。
【０４１８】
＜ビデオ合成モデル（Video Compositing Model）＞
図３９に示すように本実施形態において表示画面上では画面がカーソルプレインCRSRPL、グラフィックプレインGRPHPL、サブピクチャープレインSBPCPL、サブビデオプレインSBVDPLとメインビデオプレインMNVDPLの５画面レイヤーから構成されている。本実施形態において、カーソルプレインCRSRPLである１画面レイヤーは、AVレンダラーAVRND内のグラフィックレンダリングエンジンGHRNEN（図４１参照）内で作成される。また、図３９におけるグラフィックプレインGRPHPL、サブピクチャープレインSBPCPL、サブビデオプレインSBVDPLとメインビデオプレインMNVDPLの４画面レイヤーはプレゼンテーションエンジンPRSEN（図４１参照）内で作成される。前記グラフィックレンダリングエンジンGHRNENに入力されるプレゼンテーションエンジンPRSEN内で作成されるグラフィックプレインGRPHPL、サブピクチャープレインSBPCPL、サブビデオプレインSBVDPLとメインビデオプレインMNVDPLの４画面レイヤーのフレームレートはそれぞれ独自に設定することが可能となっている。すなわち、プレゼンテーションエンジンPRSEN内のアドバンストアプリケーションプレゼンテーションエンジンAAPENから出力される映像のフレームレートとアドバンストサブタイトルプレーヤASBPLから出力される映像のフレームレートとセカンダリービデオプレーヤSCDVPから出力される映像のフレームレート及び、プライマリービデオプレーヤPRMVPから出力される映像のフレームレートがそれぞれ独自のフレームレートを持つことが可能となっている。図３９に示すメインビデオプレインMNVDPLは、図４１または図３０に示すプライマリービデオプレーヤPRMVPからデコーダーエンジンDCDENを経由しスケーラーSCALERを経た後の出力として得られる。また、サブビデオプレインSBVDPLの画面レイヤーはセカンダリービデオプレーヤSCDVPからデコーダーエンジンDCDENを経た後スケーラーSCALERの出力として作成される。また、サブビデオプレインSBVDPLは、図４１または図３０に示すアドバンストサブタイトルプレーヤASBPLの出力またはサブピクチャーデコーダーSPDECからスケーラーSCALERを経た画面のいずれかが選択されて作成される。グラフィックプレインGRPHPLとアドバンストアプリケーションプレゼンテーションエンジンAAPENの出力として得られる。
【０４１９】
以下に図３９の例を用いてグラフィックプレインGRPHPL内の領域定義について説明する。図３９の下側に示す合成画面はユーザが見る画面のフルサイズ画面を現している。テレビの画面に対するワイド画面や標準画面などにより最適に表示すべき画面寸法サイズ（解像度）が異なる。本実施形態ではこのユーザに表示すべき最適な画面サイズをグラフィックプレインGRPHPLで定義する。すなわち、グラフィックプレインGRPHPL上でユーザに表示する最適な画面サイズ（走査線の数とドット数で設定されるが、このユーザに表示される最適な画面サイズ（画素数）をグラフィックプレインGRPHPL上のアパーチャーAPTR(グラフィック領域)サイズとして定義する。従って、ユーザに表示する画面が高解像度の画面の場合には、グラフィックプレインGRPHPL上でのアパーチャーAPTR（グラフィック領域）のサイズが大きくなり、ユーザに表示すべき画面サイズ（解像度）が従来の標準サイズの場合には、アパーチャーAPTR（グラフィック領域）のサイズが解像度（トータル画素数）に比例して小さくなる。もし、図３９に示した例と異なり、ユーザ画面上前面に亘りプライマリーオーディオビデオPRMAVのメインビデオMANVDをフル画面で表示した場合には、このメインビデオプレインMNVDPL上の画面サイズがグラフィックプレインGRPHPL上でのアパーチャーAPTR（グラフィック領域）のサイズに完全に一致する。図３９に示すように、合成画面の下側領域にヘルプアイコン33からFFボタン38までに至るアドバンストアプリケーションADAPLをまとめて表示する場合には、アパーチャーAPTR（グラフィック領域）内で前記アドバンストアプリケーションADAPLをまとめて表示する領域（アプリケーション領域APPRGN）を定義したほうが表示制御し易くなる。このため本実施形態ではアドバンストアプリケーションADAPLに含まれる複数のエレメントをまとめて表示する領域としてアプリケーション領域APPRGNを定義することができる。本実施形態においては、グラフィックプレインGRPHPL上のアパーチャーAPTR（グラフィック領域）内に複数のアプリケーション領域APPRGNを設定することができる。以下の内容の詳細については図４０を用いて詳細に説明する。
【０４２０】
＜グラフィックプレイン（Graphic Plane）＞
図３９に合成画面の画面サイズに合わせてグラフィックプレインGRPHPL上にアパーチャーAPTR（グラフィック領域）が設定できることを説明した。また前記アパーチャーAPTR（グラフィック領域）内に１以上のアドバンストアプリケーションADAPLをまとめて表示する領域として、１以上のアプリケーション領域APPRGNが設定できることを説明した。図４０を用いて、より詳細な説明を行う。
【０４２１】
グラフィックプレインGRPHPLは、カンバスと呼ばれる座標系（カンバス座標CNVCRD）を定義することができる。本実施形態において、グラフィックプレインGRPHPL上に画面合成することができる四角い領域が、前記カンバス座標CNVCRD内に定義することができる。この四角い領域をアパーチャーAPTR（グラフィック領域）と呼ぶ。前記カンバス座標CNVCRDにおけるグラフィック領域の原点位置（0,0）と前記アパーチャーAPTR（グラフィック領域）の端点（原点）の位置が本実施形態では一致させている。従ってカンバス座標CNVCRDにおいて、アパーチャーAPTR（グラフィック領域）の端点（原点）の位置は（0,0）となる。アパーチャーAPTR（グラフィック領域）のX軸とY軸の単位はそれぞれ画素数単位で識別される。例えばユーザに表示する画面の画素数が1920×1080の場合には、それに対応したアパーチャーAPTR（グラフィック領域）のもう一方の端の位置の（1920,1080）を定義することができる。前記アパーチャーAPTR（グラフィック領域）のサイズは、プレイリストPLLST内で定義される。本実施形態においてアドバンストアプリケーションADSBTは、独自の座標系を設定することができる。前記独自の座標系は、四角い領域で前記カンバス座標CNVCRD内に設定することができ、前記四角い領域はアプリケーション領域APPRGNと呼ぶ。各アドバンストアプリケーションADAPLは、それぞれ少なくとも１個のアプリケーション領域APPRGNを持つことができる。また、前記アプリケーション領域APPRGNの設定場所は前記カンバス座標CNVCRD上のX、Y座標値により指定することができる。すなわち図４０に示すようにアプリケーション領域APPRGN#1のアパーチャーAPTRグラフィック領域）の配置場所はアプリケーション領域APPRGN#1の端点（原点）のカンバス座標CNVCRD内でのカンバス座標CNVCRD座標値で設定される。
【０４２２】
本実施形態では前記アプリケーション領域APPRGN内にアドバンストアプリケーションADAPL内の複数のエレメント(アプリケーションエレメント又はチャイルドエレメント)として特定の静止画IMAGEなどを配置することができる。前記アプリケーション領域内の各エレメントの配置場所を示す方法として、前記アプリケーション領域APPRGN内の独立した座標系のX、Y値を定義することができる。すなわち図４０に示すように、アプリケーション領域APPRGN#1内に独自のアプリケーション領域内座標系を持ち、前記アプリケーション領域内座標値として前記エレメントの配置場所を指定することができる。例えば図４０に示すように、アプリケーション領域APPRGN#1のサイズが原点（0,0）から（x2,y2）まで規定されていた場合、エレメント例として白抜き四角の部分を配置する時に（x1,y1）の座標により、前記白抜き四角のアプリケーション領域APPRGN内の位置を指定することができる。このように複数の前記エレメントは、独自な座標系（アプリケーション領域内座標）により配置することができ、前記エレメントの一部が前記アプリケーション領域APPRGNからはみ出してもよい。この場合にはアパーチャーAPTR（グラフィック領域）内に配置されたアプリケーション領域APPRGN内の中に含まれるエレメント部分のみがユーザに対して表示される。
【０４２３】
図３８に示したAVレンダラーAVRND内のグラフィックレンダリングエンジンGHRNEN内の詳細構造と図３０に示したプレゼンテーションエンジンPRSEN内の各種エンジンとプレーヤとの関係を図４１に示す。
【０４２４】
本実施形態において図３９に示すようにユーザに表示する画面は、５つの画面レイヤーから構成され、それらの各画面レイヤーの画像はオーバーレイコントローラーOVLCTRで合成される。また本実施形態においては、オーバーレイコントローラーOVLCTRへ入力される各画面レイヤーにおけるフレームレート（１秒間に表示される画面の数）を、それぞれ各画面レイヤー毎に独自に設定できるところに本実施形態の大きな特徴がある。それによりフレームレートの制約を受けることなく、各画面レイヤー毎の最適なフレームレートが設定でき、ユーザに対してより効果的な画面を表示することができる。
【０４２５】
図３９に示すメインビデオプレインMNVDPLに関しては、プライマリービデオプレーヤPRMVPの出力動画とセカンダリービデオプレーヤSCDVPの出力動画の中のサブスティテュートオーディオビデオSBTAVのうち、いずれか一方が選択されクロマインフォメーションCRMIを考慮された後、デコーダーエンジンDCDEN内のメインビデオデコーダーMVDEC内でデコード処理される。その後、スケーラーSCALERにより画面サイズと表示画面位置が設定され、オーバーレイコントローラーOVLCTRに入力される。
【０４２６】
サブビデオプレインSBVDPLにおいては、プライマリービデオプレーヤPRMVPから出力されたサブビデオSUBVDかセカンダリープレーヤSCDVPから出力されたサブビデオSUBVDを、クロマインフォメーションCRMIを考慮した上でデコーダーエンジンDCDEN内のサブビデオデコーダーSVDECに入力される。そこでデコードされた出力動画は、スケーラーSCALERにより表示サイズと画面上の表示位置が設定された後クロマイフェクトCRMEFTの処理を行い、オーバーレイコントローラーOVLCTRに入力される。この時サブビデオプレインSBVDPLは、下側のメインビデオプレインMNVDPLを表示できるようにする透明度を表すアルファインフォメーションに対応して、半透明な形でオーバーレイコントローラーOVLCTRに入力することができる。
【０４２７】
サブピクチャープレインSBPCPLに表示される映像は、アドバンストサブタイトルADSBTかプライマリーオーディオビデオPRMAVの副映像SUBPTのいずれかが表示される。すなわちアドバンストサブタイトルADSBTはアドバンストサブタイトルプレーヤASBPL内のレイアウトマネージャLOMNGで表示画面サイズと表示位置が設定された後、スイッチSWITCHへ入力される。また、プライマリーオーディオビデオPRMAVの副映像SUBPTはプライマリービデオプレーヤPRMVPからデコーダーエンジンDCDEN内のサブピクチャーデコーダーSPDEC内に副映像SUBPTが入力され、そこでデコードされた後スケーラーSCALERにより表示画面サイズと表示位置画面サイズが設定される。その後同様にスイッチSWITCHに入力される。本実施形態では、図４１に示すようにスイッチSWITCHによる選択処理によりアドバンストサブタイトルADSBTかプライマリーオーディオビデオPRMAV内の副映像SUBPTのいずれか一方が選択され、オーバーレイコントローラーOVLCTRへ入力される。
【０４２８】
グラフィックプレインGRPHPLについては、アドバンストアプリケーションプレゼンテーションエンジンAAPEN内のレイアウトマネージャLOMNGで表示サイズと表示位置が設定された後、直接オーバーレイコントローラーOVLCTRに入力される。
【０４２９】
カーソルプレインCRSRPLに対してはナビゲーションマネージャNVMNG内のカーソルマネージャCRSMNGによりカーソルイメージCRSIMGとカーソルの表示位置を示すポジションインフォメーションPOSITIが出力され、オーバーレイコントローラーOVLCTR内でカーソルの画面レイヤーが作成される。以下に各画面レイヤー毎の詳細な説明を行う。
【０４３０】
＜カーソルプレイン（Cursor Plane）＞
カーソルプレインCRSRPLは、本実施形態の映像合成モデルにおいては、５画面レイヤー存在する中で最も上側に存在する画面レイヤーを表し、グラフィックレンダリングエンジンGHRNEN内で画面が作成される。カーソルプレインCRSRPLの解像度はグラフィックプレインGRPHPL上のアパーチャーAPTR（グラフィック領域）の解像度と一致する（図３９の説明文章を参照のこと）。前述したように、前記カーソルプレインCRSRPLはグラフィックレンダリングエンジンGHRNEN内のオーバーレイコントローラーOVLCTR内で作成・管理される。ナビゲーションマネージャNVMNG内に存在するカーソルマネージャCRSMNGは、カーソルイメージCRSIMGを作成し前記オーバーレイコントローラーOVLCTRへ転送する。また、前記カーソルマネージャCRSMNGは画面上のカーソル位置を表すポジションインフォメーションPOSITIの情報を管理作成し、前記オーバーレイコントローラーOVLCTRに転送するとともに、ユーザ入力に対応し常に前記カーソルのポジションインフォメーションPOSITIをタイムリーにアップデートし、オーバーレイコントローラーOVLCTRに転送する。デフォルト（初期状態）におけるカーソルイメージCRSIMGとその位置を表すX,Y座標（hotspotXY）は、各アドバンストコンテンツ再生部ADVPLに依存する。本実施形態においてデフォルト（初期状態）におけるカーソル位置（X,Y）は、（0,0）（原点位置）に設定される。前記カーソルイメージCRSIMGとその位置を示すポジションインフォメーションPOSITIはアドバンストアプリケーションマネージャADAMNG内のプログラミングエンジンPRGEN（図２８参照）からのAPIコマンドによりアップデートされる。本実施形態において、前記カーソルイメージCRSIMGの最大解像度を256×256ピクセル（画素）に設定する。この数値を設定することにより、ある程度表現力のあるカーソルイメージCRSIMGを表現できるとともに、無駄な解像度設定を防ぐことでカーソル表示処理速度を早くすることができる。また、前記カーソルイメージCRSIMGのファイルフォーマットはＰＭＧ（8ビットカラー表現）により設定される。また、本実施形態において前記カーソルイメージCRSIMGは、APIコマンドにより完全に画面上に表示される状態かまたは完全に透明で画面上には見えない状態かのいずれかに切替えることができる。カーソルマネージャCRSMNGから送られるポジションインフォメーションPOSITIに応じて、前記オーバーレイコントローラーOVLCTR内でカーソルプレインCRSRPL上にカーソルイメージCRSIMGが配置される。それとともにオーバーレイコントローラーOVLCTRによりカーソルプレインCRSRPLよりも下側の画面レイヤーの画面に対する半透明の状態を示すアルファミックスの設定（アルファインフォメーションに基づく透明度の設定）を行うことができる。
【０４３１】
＜グラフィックプレイン（Graphic Plane）＞
本実施形態の映像合成モデルにおいてグラフィックプレインGRPHPLにおいては、グラフィックレンダリングエンジンGHRNEN内で作成する上から２番目の画面レイヤーに相当する。図２８に示すナビゲーションマネージャNVMNG内のアドバンストアプリケーションマネージャADAMNGからの制御を受けて、図４１に示すアドバンストアプリケーションプレゼンテーションエンジンAAPENによりグラフィックプレインGRPHPLの画面が作成される。図２８に示すナビゲーションマネージャNVMNG内のアドバンストアプリケーションマネージャADAMNGが、図３１に示すアドバンストアプリケーションプレゼンテーションエンジンAAPEN内のグラフィックデコーダーGHCDECとフォントレンダリングシステムFRDSTMを動かしてグラフィックプレインGRPHPLの画面の一部を作成する。最終的にはアドバンストアプリケーションプレゼンテーションエンジンAAPEN内のレイアウトマネージャLOMNGによりグラフィックプレインGRPHPLの合成画面を作成する。前記レイアウトマネージャLOMNGによりそこから出力される画面（フレーム）の出力ビデオサイズとその表示場所が設定される。前記レイアウトマネージャLOMNGから出力されるフレームレート（１秒間に変化する画面数）は、例えばメインビデオMANVDやサブビデオSUBVDなどの映像のフレームレートに関わりなく独自に設定することができる。また本実施形態では、アニメーションなどグラフィックイメージの連続としてアニメーションイフェクトを表示することもできる。
【０４３２】
図３１に示すレイアウトマネージャLOMNGでグラフィックプレインGRPHPL上の画面設定をする時には個々の構成画面に対してアルファインフォメーション（アルファ値）の条件を設定することはできない。本実施形態においては、グラフィックプレインGRPHPL内の各グラフィックイメージ（個々の構成画面）単位でアルファ値を設定することはできず、グラフィックプレインGRPHPL全体でのアルファ値を設定することができる。従って下の画面に対する透明度（アルファ値）はグラフィックプレインGRPHPL上至るところで一定に設定される。
【０４３３】
＜サブピクチャープレイン（Subpicture Plane）＞
本実施形態における映像合成モデルにおいてサブピクチャープレインSBPCPLは、グラフィックレンダリングエンジンGHRNENで作成される上から３番目の画面レイヤーに対応している。前記サブピクチャープレインSBPCPLは、アドバンストサブタイトルプレーヤASBPLまたはデコーダーエンジンDCDEN内のサブピクチャーデコーダーSPDECにより作成される（図４１参照）。プライマリービデオセットPRMVSは指定された表示フレームサイズを持った副映像SUBPTイメージを含んでいる。前記副映像SUBPTのイメージの表示サイズが指定された場合には、サブピクチャーデコーダーSPDECは前記副映像SUBPTイメージを直接スケーラーSCALERによるサイズ変更をせずに直接グラフィックレンダリングエンジンGHRNENへ転送される。例えば図３９の説明で示したように、合成画面の表示サイズがグラフィックプレインGRPHPL上のアパーチャーAPTR（グラフィック領域）のサイズで規定されており、メインビデオプレインMNVDPL上のメインビデオMANVDが合成画面上にフル画面で表示された場合には、メインビデオMANVDの表示サイズは前記アパーチャーAPTR（グラフィック領域）のサイズと一致する。この場合、副映像SUBPTの表示サイズは前記アパーチャーAPTR（グラフィック領域）のサイズにより自動的に副映像SUBPTの表示サイズが決まる。このような場合には、前述したようにサブピクチャーデコーダーSPDECの出力画面（フレーム）がスケーラーSCALERの処理をせずに直接グラフィックレンダリングエンジンGHRNENへ転送される。逆に図３９に示すように、メインビデオプレインMAVDPL上の本編31の表示サイズがアパーチャーAPTR（グラフィック領域）のサイズよりも大幅に小さい場合には、対応して副映像SUBPTのフレームサイズも変える必要がある。このように副映像SUBPTイメージの適正な表示サイズが設定されない場合には、サブピクチャーデコーダーSPDECの後ろに存在するスケーラーSCALERが前記アパーチャーAPTR（グラフィック領域）の最適な表示サイズと表示位置が設定され、その後グラフィックレンダリングエンジンGHRLENへ転送される。しかし本実施形態では上記に限らず、前期副映像の表示適正サイズがわからない（存在しない）場合には、前記副映像SUBPTを前記アパーチャーAPTR（グラフィック領域）における左上に詰めて表示することもできる。本実施形態においては、図４１に示すようにサブピクチャープレインSBPCPLのグラフィックレンダリングエンジンGHRNENに転送する画面のフレームレートは、ビデオ出力のフレームレートとは関わりなく独自に設定することができる。このように副映像SUBPTやアドバンストサブタイトルADSBT、あるいはアドバンストアプリケーションADAPLを表示する前記サブピクチャープレインSBPCPLやグラフィックプレインGRPHPLのフレームレートをメインビデオプレインMNVDPLやサブビデオプレインSBVDPLのフレームレートと関わりなく独自に設定することで、プレゼンテーションエンジンPRSENの処理の効率化を図ることができる。何故ならメインビデオプレインMNVDPLやサブビデオプレインSBVDPLは１秒間に50ないしは60フィールド変化するが、サブピクチャープレインSBPCPLやグラフィックプレインGRPHPLで表示される画面は比較的画面変化の速度が遅く、例えばグラフィックプレインGRPHPLで表示される画面は10秒間同じ画面が表示されることがある。この時に前記ビデオプ���インに合わせて１秒間に50ないしは60フィールドに合わせたフレームレートで画像をAVレンダラーAVRNDに転送する場合にはアドバンストアプリケーションプレゼンテーションエンジンAAPENやアドバンストサブタイトルプレーヤASBPLの付加が重くなりすぎるため、フレーム転送レートを独自に設定することで両者の負担を大幅に低減することができる。また、アドバンストサブタイトルプレーヤASBPLは、アドバンストアプリケーションADAPLのサブセットに対応したサブピクチャープレインSBPCPLの画面を提供することができる。前述したように各画面レイヤーを合成した合成画面を作成するオーバーレイコントローラーOVLCTRに転送するサブピクチャープレインSBPCPLは、アドバンストサブタイトルプレーヤASBPLかサブピクチャーデコーダーSPDECの出力のうち、どちらか一方のみが使われる。本実施形態ではナビゲーションマネージャNVMNGから転送されるオーバーレイインフォメーションOVLYIに基づき、プレゼンテーションエンジンPRSENから供給されるサブピクチャープレインSBPCPLに表示される画面がグラフィックレンダリングエンジンGHRNEN内のスイッチモジュールSWITCHにより選択される。本実施形態においてサブピクチャープレインSBPCPLに表示される画面も透明度を設定することができ、その下に存在するサブピクチャープレインSBPCPLやメインビデオプレインMNVDPLの画面が透けて見えるように設定することができる。本実施形態ではサブピクチャープレインSBPCPLに対し、透明度を表すアルファ値（アルファインフォメーション）を設定することができ、サブピクチャープレインSBPCPL内の至るところで同一のアルファ値（アルファインフォメーション）が設定される。
【０４３４】
＜サブビデオプレイン（Sub Video Plane）＞
本実施形態の映像合成モデルについて、サブビデオプレインSBVDPLはグラフィックレンダリングエンジンGHRNENから合成される上から４番目の画面レイヤーに相当する（図３９参照）。前記サブビデオプレインSBVDPLは、デコーダーエンジンDCDEN内のサブビデオデコーダーSVDEC内でデコードされた映像が表示される。ナビゲーションマネージャNVMNGから送られるスケールインフォメーションSCALEIとポジションインフォメーションPOSITIに基づき、サブビデオデコーダーSVDECの出力側に存在するスケーラーSCALERによりサブビデオプレインSBVDPL上の副映像SUBPT画面のサイズと表示位置が設定され、最終的な表示ビデオサイズとしてスケーラーSCALERから出力される（図４１参照）。デフォルト（初期値）において、前記スケールインフォメーションSCALEIで示されるスケーリングレーシオは１（縮小されずアパーチャーAPTR（グラフィック領域）サイズ全体に表示される）と設定される。また、デフォルト（初期値）においては前記ポジションインフォメーションPOSITIの情報としてはX方向のポジションは“0”、Y方向のポジションも“0”（アパーチャーAPTR（グラフィック領域）の原点位置）に設定される。また、アルファ値は100％透過するように設定される。また、本実施形態においてはそれに限らずアルファ値としては、100％表示される（透明度0％）と設定することもできる。前記のアルファ値及びスケールインフォメーションSCALEI、ポジションインフォメーションPOSITIの値は、APIコマンドにより変更することができる。もし、新しいタイトルを表示する場合には、前記の値はデフォルト値（初期値）に設定される。本実施形態において、サブビデオプレインSBVDPLの出力フレームレートはアドバンストコンテンツ再生部ADVPLの映像出力のフレームレート（メインビデオプレインMNVDPLにおけるフレームレート）とは関係なく独自に設定することができる。それにより、例えばサブビデオプレインSBVDPLのフレームレートを落とすことでネットワークサーバNTSRVから転送される時のローディング時の連続性を保証することができる。前記サブビデオSUBVDストリームにおいてクロマインフォメーションCRMIが設定された場合には、グラフィックレンダリングエンジンGHRNEN内においてクロマイフェクトCRMEFTによりサブビデオSUBVD内の映像オブジェクトの輪郭抽出をすることができる。映像において例えば青い背景上に移った人の映像があった場合、クロマキーの処理をすることにより青色部分を透明にし、青以外の色で構成された人物などを不透明にし、青色部分に別の画面を重ねる処理が可能となる。例えば、図３９の各画面レイヤー説明図を用いた例の場合、例えばメインビデオプレインMNVDPLの画面をアパーチャーAPTR（グラフィック領域）のサイズにフル画面表示し、その１部に重ねてサブビデオプレインSBVDPL上の画面を重ねて表示した場合を考える。この時、サブビデオプレインSBVDPL上の画面が青色背景上に特定の人物が移されている映像があった場合、クロマカラーを青色に設定して、青色の部分だけを透明とすることによりサブビデオプレインSBVDPL上の人物のみを後ろ側のメインビデオプレインMNVDPL上の映像と重ねて表示することができる。このようにクロマキー（クロマイフェクトCRMEFT）の技術を利用することにより、サブビデオプレインSBVDPL上の特定オブジェクトに対し輪郭抽出し、背景色を透明にして後ろ側のメインビデオプレインMNVDPLと重ねる処理などができる。このように本実施形態においては、セカンダリービデオプレーヤSCDVPまたはプライマリービデオプレーヤPRMVPに対応したサブビデオプレーヤモジュールに対し、前記クロマインフォメーションCRMIを適用することができる。前記クロマイフェクトCRMEFTからの出力映像に対しては、２つのアルファ値（アルファインフォメーション）が設定される。すなわち、一方のアルファ値は100％可視の状態であり、裏側に存在するサブビデオプレインSBVDPLの映像は見えない。前記の例では青色の背景の中に存在する青とは異なる色を持ったオブジェクト（人物）などがそれに対応する。また、もう一方のアルファ値は100％透過するように設定され、前記の例では青色の背景部分がそれに対応する。その部分は100％透過となり、下側に存在するメインビデオプレインMNVDPLの画面が透けて見える。本実施形態においてはそれに限らずアルファ値として100％と0％の中間の値を設定することができる。最も下側に存在するメインビデオプレインMNVDPLと重なるサブビデオプレインSBVDPL内の映像の各位置のアルファ値（アルファインフォメーション）の中間の値は、ナビゲーションマネージャNVMNGから転送されるオーバーレイインフォメーションOVLYIにより設定され、その値に基づきグラフィックレンダリングエンジンGHRNEN内のオーバーレイコントローラーOVLCTRにより設定される。
【０４３５】
＜メインビデオプレイン（Main Video Plane）＞
本実施形態の映像合成モデルにおいて、メインビデオプレインMNVDPLはグラフィックレンダリングエンジンGHRNEN内で合成される最も下側に存在する画面レイヤーに対応する。前記メインビデオプレインMNVDPLの映像は、デコーダーエンジンDCDEN内のメインビデオデコーダーMVDECによりデコードされた映像で構成される。ナビゲーションマネージャNVMNGから転送されるスケールインフォメーションSCALEIとポジションインフォメーションPOSITIに基づき、メインビデオデコーダーMVDECの出力段に配置されたスケーラーSCALERにより、メインビデオプレインMNVDPL上の表示画面サイズと表示位置が設定される。メインビデオプレインMNVDPL上のメインビデオ画面のデフォルト（初期値）におけるサイズと表示場所はアパーチャーAPTR（グラフィック領域）のサイズと一致する。本実施形態におけるアパーチャーAPTR（グラフィック領域）のサイズ情報は、図２１に示すようにプレイリストPLLSTファイル内の構造情報CONFGI内に規定され、画面のアスペクト比が元の状態で保持された形で指定される。例えばメインビデオプレインMNVDPL上に表示される映像のアスペクト比が４：３であり、グラフィックプレインGRPHPL上で規定されるアパーチャーAPTR（グラフィック領域）のアスペクト比が１６：９で指定された場合、メインビデオプレインMNVDPLの映像の前記アパーチャーAPTR（グラフィック領域）内での表示位置は、表示画面の高さが前記アパーチャーAPTR（グラフィック領域）と一致し、画面の横方向においてはアパーチャーAPTR（グラフィック領域）の中央位置にフル画面に対して幅の狭い画面が表示される。前記プレイリストファイルPLLST内の構造情報CONFGIで指定されたビデオの表現色とメインビデオプレインMNVDPLで設定された表現色が異なった場合には、前記メインビデオプレインMNBDPLにおけるデフォルト（初期値）における表示色条件を前記構造情報CONFGIに変換処理を行わず、元々のデフォルト時の色を使用する。メインビデオプレインMNVDPL内における映像の表示サイズ、表示位置、および表示色、アスペクト比などの値はAPIコマンドにより変更することが可能である。プレイリストPLLST内の新たな別のタイトルに移動する場合には、移動前において前記映像サイズ、映像表示位置、表示色やアスペクト比などの情報はデフォルト（初期値）に設定される。その後、次のタイトルの再生開始時に前記映像サイズ、表示位置、表現色とアスペクトレシオなどの値がプレイリストPLLSTで設定された指定値に変更される。
【０４３６】
＜オーディオミキシングモデル（Audio Mixing Model）＞
本実施形態において情報記録再生装置1内にアドバンストコンテンツ再生部ADVPLが存在する（図１参照）が、図１４に示すように前記アドバンストコンテンツ再生部ADVPL内にAVレンダラーAVRNDが存在し、図３８に示すように前記AVレンダラーAVRND内にオーディオミキシングエンジンADMXENが存在する。前記オーディオミキシングエンジンADMXENとその前段に存在するプレゼンテーションエンジンPRSEN間の関係を示す音声ミキシングモデルを図４２に示す。
【０４３７】
本実施形態において、オーディオミキシングエンジンADMXENに入力されるオーディオストリームは、イフェクトオーディオEFTADとサブオーディオSUBADとメインオーディオMANADの３種類のオーディオストリーム（図１０参照）が存在する。前記３種類のオーディオストリームにおいて、イフェクトオーディオEFTADは図４２におけるアドバンストアプリケーションプレゼンテーションエンジンAAPEN内のサウンドデコーダーSNDDECの出力として与えられる。また、前記サブオーディオストリームSUBADはデコーダーエンジンDCDEN内のサブオーディオデコーダーSADECの出力として与えられ、メインオーディオストリームMANADは前記デコーダーエンジンDCDEN内のメインオーディオデコーダーMADECの出力として与えられる。本実施形態において、前記各種オーディオストリーム間のサンプル周波数は一致している必要はなく、それぞれのオーディオストリーム毎に異なるサンプリング周波数（サンプルレート）を持つことが許容される。これら３種類の異なるサンプリング周波数を持ったオーディオストリームを合成するにあたって、オーディオミキシングエンジンADMXEN内にはそれぞれのオーディオストリームに対応したサンプリングレートコンバーターSPRTCVが存在している。すなわち、前記サンプリングレートコンバーターSPRTCVは各種オーディオデコーダー（SNDDEC、SADEC、MADEC）の出力時のサンプル周波数（サンプリングレート）を最終的な音声出力のサンプリング周波数（サンプルレート）に統一する働きを持っている。本実施形態において図４２に示すように、ナビゲーションマネージャNVMNGからミキシングレベルインフォメーションMXLVIの情報がオーディオミキシングエンジンADMXEN内のサウンドミキサーSNDMIXへ向けて転送され、その転送された情報に基づき前記サウンドミキサーSNDMIX内で前記３種類のオーディオストリームの合成時のミキシングレベルが設定される。その後の最終的なオーディオ出力AOUTの出力ダイナミックレンジは各種アドバンストコンテンツ再生部ADVPLによりそれぞれ独自に設定が可能となる。
【０４３８】
＜イフェクトオーディオストリーム（Effect Audio Stream）＞
本実施形態の音声ミキシングモデルにおける３種類のオーディオストリームの対応方法及び内容について以下に説明を行う。
【０４３９】
イフェクトオーディオストリームEFTAD（図１０参照）は、基本的にユーザがグラフィカルボタンをクリックした時に使われるオーディオストリームである。図１６を用いて使用例を説明する。図１６に示すように、アドバンストアプリケーションADAPLが画面上に表示され、その中にヘルプアイコン33が表示されているが、例えばユーザがヘルプアイコン33をクリック（指定）した時にユーザに対してヘルプアイコン33をクリックしたことを示す一つの手段として、ヘルプアイコン33を押した直後に特定の音声が出力され、ユーザにヘルプアイコン33をクリックしたことを明示することが可能となる。このようにクリックしたことを知らせる効果音が前記イフェクトオーディオEFTADに対応する。本実施形態において前記イフェクトオーディオEFTADはシングルチャンネル（モノラル）又はステレオチャンネル（２チャンネル）のWAVフォーマットをサポートしている。本実施形態においてナビゲーションマネージャNVMNGから送られるコントロールインフォメーションCTRLIの情報内容に応じて、アドバンストアプリケーションプレゼンテーションエンジンAAPEN内のサウンドデコーダーSNDDECでイフェクトオーディオストリームEFTADを発生した後、オーディオミキシングエンジンADMXEN内に転送される。また、このイフェクトオーディオストリームEFTADの音源はファイルキャッシュFLCCH内にWAVファイルとして事前に保存されており、アプリケーションプレゼンテーションエンジンAAPEN内のサウンドデコーダーSNDDECが前記WAVファイルを読取り、リニアＰＣＭの形に変換し、オーディオミキシングエンジンADMXENへ転送する。本実施形態において、イフェクトオーディオEFTADは２以上のストリームを同時に表示することはできない。本実施形態において例えば１個のイフェクトオーディオストリームEFTADを表示している間に次のイフェクトオーディオストリームEFTADの表示出力を要求された場合、次に指定されたイフェクトオーディオEFTADストリームが優先されて出力される。図１６を用い、具体的な例として説明を行うと例えばユーザがFFボタン38を押していた場合を考える。イフェクトボタン38を押した時にはユーザに表示するためにそれに対応したイフェクトオーディオEFTADが例えば数秒間鳴り続ける場合を考える。ユーザがFFボタン38を押した直後にイフェクトオーディオEFTADが鳴り終わる前にプレイボタン35を押した場合、FFボタン38のイフェクトオーディオEFTADが鳴り終らない段階でプレイボタン35を押したことを示すイフェクトオーディオEFTADが変わって出力されるようになる。そうすることによって、ユーザが画面上に表示されたアドバンストアプリケーションADAPLの複数のイメージオブジェクトを続けて押した時にユーザに対するクイックなレスポンスを表示することができユーザの使いやすさを大幅に向上させることができる。
【０４４０】
＜サブオーディオストリーム（Sub Audio Stream）＞
本実施形態においてサブオーディオストリームSUBADは、セカンダリーオーディオビデオSCDAVにおけるサブオーディオストリームSUBADとプライマリーオーディオビデオPRMAVにおけるサブオーディオストリームSUBADの２つのサブオーディオストリームSUBADをサポートする。
【０４４１】
セカンダリーオーディオビデオSCDAVは、タイトルタイムラインTMLEに対して同期して表示することも、非同期な形で表示することもできる。もし、前記セカンダリーオーディオビデオSCDAVがサブビデオSUBVDとサブオーディオSUBADの両方を含む場合には、セカンダリーオーディオビデオSCDAVがタイトルタイムラインTMLEに同期していようがいまいが、前記サブビデオSUBVDと前記サブオーディオSUBADは互いに同期していなければならない。プライマリーオーディオビデオPRMAVにおけるサブオーディオSUBADに対してはタイトルタイムラインTMLEと同期していなければならない。また、本実施形態においてはサブオーディオストリームSUBADのエレメンタリーストリーム内のメタデータ制御情報も前記サブオーディオデコーダーSADECで処理される。
【０４４２】
＜メインオーディオストリーム（Main Audio Stream）＞
本実施形態においてメインオーディオストリームMANADは、サブスティテュートオーディオビデオSBTAV内のメインオーディオビデオMANAD、サブスティテュートオーディオ内SBTADのメインオーディオストリームMANADとプライマリーオーディオビデオPRMAV内のメインオーディオストリームMANADの３種類のメインオーディオストリームMANADが存在する。前記各異なる再生表示オブジェクト内に含まれる全てのメインオーディオストリームMANADは、タイトルタイムラインTMLEに同期していなければならない。
【０４４３】
＜ネットワークサーバとパーシステントストレージメモリからのデータ供給モデル（Network and Persistent Storage Data Supply Model）＞
本実施形態におけるネットワークサーバNTSRVとパーシステントストレージPRSTRメモリからのデータ供給モデルを図４３に示す。
【０４４４】
本実施形態においてはパーシステントストレージPRSTR内にアドバンストコンテンツファイルADVCTを保存することができる。また、ネットワークサーバNTSRV内にはプライマリービデオセットPRMVSを除くアドバンストコンテンツADVCTを保存しておくことができる。本実施形態において、図４３のデータアクセスマネージャDAMNG内のネットワークマネージャNTMNGとパーシステントストレージマネージャPRMNGは、前記アドバンストコンテンツADVCTに関する各種ファイルへのアクセス処理を行う。更に前記ネットワークマネージャNTMNGは、プロトコルレベルでのアクセス機能を持っている。ネットワークサーバNTSRVやパーシステントストレージPRSTRからネットワークマネージャNTMNG、パーシステントストレージマネージャPRMNGを介して、アドバンストアプリケーションADAPLに関するアドバンストストリームファイルを直接入手する時の制御をナビゲーションマネージャNVMNG内のファイルキャッシュマネージャFLCMNGが行う。前記パーサーPARSERはアドバンストコンテンツ再生部ADVPLの起動時において、プレイリストファイルPLLSTの中身を直接読取ることはできる。前記プレイリストファイルPLLSTは、情報記憶媒体DISCに入っていることが前提とされるが、本実施形態においてそれに限らず前記プレイリストファイルPLLSTがパーシステントストレージPRSTRやネットワークサーバNTSRVなどに保存され、そこから直接プレイリストファイルPLLSTを読取ることも可能である（図５０及び図５１参照）。本実施形態においてはアドバンストナビゲーションファイル（図１１参照）に示すアドバンストナビゲーションディレクトリADVNVの下に存在し、ネットワークサーバNTSRVやパーシステントストレージPRSTRから得られるマニュフェストファイルMNFST、マークアップファイルMRKUPおよびスクリプトファイルSCRPTなどのファイルをナビゲーションマネージャNVMNG内のパーサーPARSERが直接再生することはできない。
【０４４５】
つまり、本実施形態においてはアドバンストナビゲーションADVNV （内のマニュフェストファイルMNFST、マークアップファイルMRKUPおよびスクリプトファイルSCRPTなどのファイル）をパーサーPARSERが再生する場合には事前にファイルキャッシュFLCCH内に１度記録され、その後ファイルキャッシュFLCCHから前記アドバンストナビゲーションADVNVを前記パーサーPARSERが再生することを前提としている。プレゼンテーションエンジンPRSEN内のアドバンストアプリケーションプレゼンテーションエンジンAAPENが使用するアドバンストエレメントADVEL（図１１に示す静止画ファイルIMAGE、イフェクトオーディオファイルEFTAD、フォントファイルFONT及びその他のファイルOTHERなどのファイル）は、事前にファイルキャッシュFLCCHに保存されていることを前提としている。すなわち前記アドバンストエレメントADVELは、事前にネットワークサーバNTSRVやパーシステントストレージマネージャPRMNGからアドバンストコンテンツADVCTをアクセスマネージャDAMNGに介してアドバンストコンテンツADVCTをファイルキャッシュFLCCH内に事前保存し、アドバンストアプリケーションプレゼンテーションエンジンAAPENは前記ファイルキャッシュFLCCH内に保存されたアドバンストエレメントADVELを読取る。またプレゼンテーションエンジンPRSEN内にあるアドバンストアプリケーションプレゼンテーションエンジンAAPENは、ネットワークサーバNTSRVやパーシステントストレージPRSTR内にある各種ファイルをファイルキャッシュFLCCHにコピーする制御を行う。前記アドバンストアプリケーションプレゼンテーションエンジンAAPENはナビゲーションマネージャNVMNG内のファイルキャッシュマネージャFLCMNGを動かして、ファイルキャッシュFLCCH内に必要なファイル（や必要な情報の中で足りないファイル）を保存させる。それに応じファイルキャッシュマネージャFLCMNGは、ファイルキャッシュFLCCH内に保存されているリストを表すファイルキャッシュテーブルの内容を確認し、アドバンストアプリケーションプレゼンテーションエンジンAAPENから要求されたファイルが前記ファイルキャッシュFLCCH内に一時保存されているかどうかの確認を行う。本実施形態において、前記説明したようにプレゼンテーションエンジンPRSEN内のアドバンストアプリケーションプレゼンテーションエンジンAAPENがナビゲーションマネージャNVMNG内のファイルキャッシュマネージャFLCMNGを動かして必要なアドバンストコンテンツADVCTをファイルキャッシュFLCCH内に事前保存するように説明を行った。しかし、本実施形態はそれに限らず例えばナビゲーションマネージャNVMNG内のプレイリストマネージャPLMNGがプレイリストPLLST内のリソースインフォメーションRESRCIの内容を解読し、その結果をパーサーPASERに報告して、パーサーPARSERが前記リソースインフォメーションRESRCIに基づきファイルキャッシュマネージャFLCMNGを動かして事前に必要なアドバンストコンテンツADVCTをファイルキャッシュFLCCH内に保存することもできる。その結果、ファイルキャッシュFLCCH内に必要なファイルが全て一時保存されている場合にはファイルキャッシュマネージャFLCMNGは、必要なファイルデータをファイルキャッシュFLCCHから直接アドバンストアプリケーションプレゼンテーションエンジンAAPENに転送処理を行う。また逆に前記ファイルキャッシュFLCCH内に必要な全てのファイルが存在していない場合には、ファイルキャッシュマネージャFLCMNGは元々あった場所（ネットワークサーバNTSRVまたはパーシステントストレージPRSTR内）から必要なファイルを読取り、前記ファイルキャッシュFLCCHに転送する。その後、必要なファイルデータを前記アドバンストアプリケーションプレゼンテーションエンジンAAPENへ転送する。セカンダリービデオプレーヤSCDVPは、例えばセカンダリービデオセットのタイムマップファイルSTMAP（図１１参照）やセカンダリーエンハンストビデオオブジェクトファイルS-EVOBのセカンダリービデオセットファイルSCDVSをネットワークサーバNTSRVやパーシステントストレージPRSTRからネットワークマネージャNTMNGやパーシステントストレージマネージャPRMNGを介してファイルキャッシュFLCCHへ転送させる。ネットワークサーバNTSRVから読み取ったセカンダリーエンハンストビデオオブジェクトS-EVOBデータは、一時的にストリーミングバッファ内に保存される。その後ストリーミングバッファSTRBUFから前記保存したセカンダリーエンハンストビデオオブジェクトS-EVOBをセカンダリービデオプレーヤSCDVP内のセカンダリービデオプレイバックエンジンSVPBENが再生する。また、ストリーミングバッファSTRBUF内に保存されたセカンダリーエンハンストビデオオブジェクトS-EVOBの一部はセカンダリービデオプレーヤSCDVP内のデマルチプレクサDEMUX内に転送され、デマルチプレクス処理される。
【０４４６】
＜ユーザ入力モデル（User Input Model）＞
本実施形態においてアドバンストコンテンツADVCTの再生時には、あらゆるユーザ入力イベントがアドバンストアプリケーションマネージャADAMNG内のプログラミングエンジンPRGENにより最初に処理される。本実施形態におけるユーザ入力ハンドリングモデルを図４４に示す。
【０４４７】
例えばキーボードやマウスあるいはリモコンなどの各種ユーザインタフェースドライブで発生されるユーザオペレーションUOPEの信号は図２８に示すようにユーザインタフェースエンジンUIENG内の各種デバイスコントローラーモジュール（例えばリモートコントロールコントローラーRMCCTR、キーボードコントローラーKBDCTRやマウスコントローラーMUSCTRなど）によりユーザインタフェースイベントUIEVTとして入力される。すなわち、ユーザオペレーションUOPEの信号は、図４４に示すようにユーザインタフェースエンジンUIENGを介し、ユーザインタフェースイベントUIEVTとしてアドバンストアプリケーションマネージャADAMNG内のプログラミングエンジンPRGEN内に入力される。各種スクリプトSCRPTの実行を対応するECMA（エクマ）スクリプトプロセッサECMASPがアドバンストアプリケーションマネージャADAMNG内のプログラミングエンジンPRGEN内に存在する。本実施形態においてアドバンストアプリケーションマネージャADAMNG内のプログラミングエンジンPRGEN内には図４４に示すようにアドバンストアプリケーションのスクリプトADAPLSの保存場所とデフォルトイベントハンドラースクリプトDEVHSPの保存場所がある。本実施形態におけるユーザ入力イベントの一覧表を図４５に示す。前記図４５に示すように、例えば画面上でカーソルを移動させるなどの簡単な操作またはそれらの簡単な操作の組合せをユーザ入力イベントと呼び、早送り再生を行うなどの一連の操作の組合せ処理をインプットハンドラーと呼ぶ。また前記ユーザ入力イベントやインプットハンドラーに対応してバーチャルキーコード（インプットハンドラーコード）が設定されている。本実施形態においてプログラミングエンジンPRGEN内に図４５に示したデフォルトインプットハンドラーコードやユーザ入力イベントに対応したバーチャルキーコードの情報がデフォルトイベントハンドラースクリプトDEVHSP内に予め記録されている。またネットワークサーバNTSRVや情報記憶媒体DISC、パーシステントストレージPRSTRから取り込んだアドバンストアプリケーションADAPLのスクリプトファイルSCRPT（図１１参照）内に記録された情報が図４４に示すようにプログラミングエンジンPRGEN内のアドバンストアプリケーションのスクリプト記録領域ADAPLS内に記録される。
【０４４８】
ECMA（エクマ）スクリプトプロセッサECMASPがユーザインタフェースイベントUIEVTを受取るとそのユーザインタフェースイベントUIEVT内に含まれるイベントハンドラーコード（デフォルトインプットハンドラーコードまたはユーザ入力イベントに対応したバーチャルキーコード）を解析し、ユーザインタフェースイベントUIEVT内に記述されたイベントハンドラーコードがアドバンストアプリケーションのスクリプト記録領域ADAPLS内に全て登録されているイベントハンドラーコードに対応しているかどうかの検索を行う。もしユーザインタフェースイベントUIEVT内に記述された全てのイベントハンドラーコードがアドバンストアプリケーションのスクリプト記録領域ADAPLS内に登録されたイベントハンドラーコードに該当していた場合にはECMA（エクマ）スクリプトプロセッサECMASPは直ちにその内容に応じた実行処理を開始する。もし、前記ユーザインタフェースイベントUIEVT内に記述されたイベントハンドラーコードがアドバンストアプリケーションのスクリプト記録領域ADAPLS内に登録されていないイベントハンドラーコードが存在した場合には、ECMA（エクマ）スクリプトプロセッサECMASPは、デフォルトイベントハンドラースクリプトDEVHSP内を検索し、対応したイベントハンドラーコードが存在するか否かを調べる。デフォルトイベントハンドラースクリプトDEVHSP内に不足したイベントハンドラーコードに対する情報が全て存在していた場合には、ECMA（エクマ）スクリプトプロセッサECMASPはアドバンストアプリケーションのスクリプト記録領域ADAPLSとデフォルトイベントハンドラースクリプトDEVHSP内に登録されているイベントハンドラーコードを利用し、ユーザインタフェースイベントUIEVTの内容に従い実行処理を行う。もし、前記デフォルトイベントハンドラースクリプトDEVHSP内にもユーザインタフェースイベントUIEVT内に含まれるイベントハンドラーコードが登録されていない場合にはECMA（エクマ）スクリプトプロセッサECMASPは、前記ユーザインタフェースイベントUIEVTの内容を無視し、ユーザインタフェースイベントUIEVTの実行を無効とする。
【０４４９】
＜デフォルトインプットハンドラー（Default Input Handler）＞
図４４の説明文内で記述したイベントハンドラーとイベントハンドラーコードの内容を図４５に示す。図４５の内容は図４４のデフォルトイベントハンドラースクリプトDEVHSP内に事前に登録されたイベントハンドラーやバーチャルキーコードの内容を表し、図４４で説明したユーザイベントハンドラーが図４５のデフォルトインプットハンドラーに対応し、図４４で説明したデフォルトイベントハンドラーコードが図４５のバーチャルキーコードに対応する。図４５におけるインストラクションとは前記バーチャルキーコードに対応した実行内容を表し、具体的な内容は機能概要により説明する。
【０４５０】
図４５に示すようにデフォルトインプットハンドラーを持っているイベントは、１５種類のバーチャルキーコードに対応している。バーチャルキーコードが“VK_PLAY”の場合、デフォルトインプットハンドラーは“playHandler”、値は“0xFA”であり、標準速度再生時に設定する。次にバーチャルキーコードが“VK_PAUSE”の場合、デフォルトインプットハンドラーは“pauseHandler”、値は“0xB3”であり、一時停止/再生時に設定する。次にバーチャルキーコードが“VK_FF”の場合、デフォルトインプットハンドラーは“fastForwardHandler”、値は“0xC1”であり、早送り再生時に設定する。次にバーチャルキーコードが“VK_FR”の場合、デフォルトインプットハンドラーは“fastReverseHandler”、値は“0xC2”であり、高速巻戻し再生時に設定する。次にバーチャルキーコードが“VK_SF”の場合、デフォルトインプットハンドラーは“slowForwardHandler”、値は“0xC3”であり、ゆっくり再生の時に設定する。次にバーチャルキーコードが“VK_SR”の場合、デフォルトインプットハンドラーは“slowReverseHandler”、値は“0xC4”であり、ゆっくり巻戻しの時に設定する。次にバーチャルキーコードが“VK_STEP_PREV”の場合、デフォルトインプットハンドラーは“stepPreviousHandler”、値は“0xC5”であり、前のステップに戻る時に設定する。次にバーチャルキーコードが“VK_STEP_NEXT”の場合、デフォルトインプットハンドラーは“stepNextHandler”、値は“0xC6”であり、次のステップへ飛ぶ時に設定する。次にバーチャルキーコードが“VK_SKIP_PREV”の場合、デフォルトインプットハンドラーは“skipPreviousHandler”、値は“0xC7”であり、前のチャプターを再生する時に設定する。次にバーチャルキーコードが“VK_SKIP_NEXT”の場合、デフォルトインプットハンドラーは“skipNextHandler”、値は“0xC8”であり、次のチャプターを再生する時に設定する。次にバーチャルキーコードが“VK_SUBTITLE_SWITCH”の場合、デフォルトイン
プットハンドラーは“switchSubtitleHandler”、値は“0xC9”であり、サブタイトルの表示有無の設定を行う。次にバーチャルキーコードが“VK_SUBTITLE”の場合、デフォルトインプットハンドラーは“changeSubtitleHandler”、値は“0xCA”であり、サブタイトルトラックの変更時に設定する。次にバーチャルキーコードが“VK_CC”の場合、デフォルトインプットハンドラーは“showClosedCaptionHandler”、値は“0xCB”であり、クローズドキャプションの表示をする時に設定する。次にバーチャルキーコードが“VK_ANGLE”の場合、デフォルトインプットハンドラーは“changeAngleHandler”、値は“0xCC”であり、アングルの切替え時に設定する。次にバーチャルキーコードが“VK_AUDIO”の場合、デフォルトインプットハンドラーは“changeAudioHandler”、値は“0xCD”でありオーディオトラックの切替えをする時に設定する。
【０４５１】
また、デフォルトインプットハンドラーを持っていないイベントについても、バーチャルキーコードに対しての値、インストラクションを設定することができる。バーチャルキーコードが“VK_MENU”の場合、値は“0xCE”であり、メニュー表示時に設定する。次にバーチャルキーコードが“VK_TOP_MENU”の場合、値は“0xCF”であり、トップメニューの表示をする時に設定する。次にバーチャルキーコードが“VK_BACK”の場合、値は“0xD0”であり、前の画面に戻る又は再生開始位置に戻る時に設定する。次にバーチャルキーコードが“VK_RESUME”の場合、値は“0xD1”であり、メニューからの戻り時に設定する。次にバーチャルキーコードが“VK_LEFT”の場合、値は“0x25”であり、カーソルを左にずらす時に設定する。次にバーチャルキーコードが“VK_UP”の場合、値は“0x26”であり、カーソルを上に上げる時に設定する。次にバーチャルキーコードが“VK_RIGHT”の場合、値は“0x27”であり、カーソルを右にずらす時に設定する。次にバーチャルキーコードが“VK_DOWN”の場合、値は“0x28”であり、カーソルを下に下げる時に設定する。次にバーチャルキーコードが“VK_UPLEFT”の場合、値は“0x29”であり、カーソルを左上に上げる時に設定する。次にバーチャルキーコードが“VK_UPRIGHT”の場合、値は“0x30”であり、カーソルを右上に上げる時に設定する。次にバーチャルキーコードが“VK_DOWNLEFT”の場合、値は“0x31”であり、カーソルを左下に下げる時に設定する。次にバーチャルキーコードが“VK_DOWNRIGHT”の場合、値は“0x32”であり、カーソルを右下に下げる時に設定する。次にバーチャルキーコードが“VK_TAB”の場合、値は“0x09”であり、タブ使用時に設定する。次にバーチャルキーコードが“VK_A_BUTTON”の場合、値は“0x70”であり、Aボタン押下時に設定する。次にバーチャルキーコードが“VK_B_BUTTON”の場合、値は“0x71”であり、Bボタン押下時に設定する。次にバーチャルキーコードが“VK_C_BUTTON”の場合、値は“0x72”であり、Cボタン押下時に設定する。次にバーチャルキーコードが“VK_D_BUTTON”の場合、値は“0x73”であり、Dボタン押下時に設定する。次にバーチャルキーコードが“VK_ENTER”の場合、値は“0x0D”であり、OKボタン押下時に設定する。次にバーチャルキーコードが“VK_ESC”の場合、値は“0x1B”であり、キャンセル時に設定する。次にバーチャルキーコードが“VK_0”の場合、値は“0x30”であり“0”と設定する。次にバーチャルキーコードが“VK_1”の場合、値は“0x31”であり、“1”と設定する。次にバーチャルキーコードが“VK_2”の場合、値は“0x32”であり、“2”と設定する。次にバーチャルキーコードが“VK_3”の場合、値は“0x33”であり、“3”と設定する。次にバーチャルキーコードが“VK_4”の場合、値は“0x34”であり、“4”と設定する。次にバーチャルキーコードが“VK_5”の場合、値は“0x35”であり、“5”と設定する。次にバーチャルキーコードが“VK_6”の場合、値は“0x36”であり、“6”と設定する。次にバーチャルキーコードが“VK_7”の場合、値は“0x37”であり、“7”と設定する。次にバーチャルキーコードが“VK_8”の場合、値は“0x38”であり、“8”と設定する。次にバーチャルキーコードが“VK_9”の場合、値は“0x39”であり、“9”と設定する。次にバーチャルキーコードが“VK_MOUSEDOWN”の場合、値は“0x01”であり、指定エレメントを入力不可能とする（非最前面に移す）時に設定する。次にバーチャルキーコードが“VK_MOUSEUP”の場合、値は“0x02”であり、指定エレメントを入力可能とする（最前面に移す）時に設定する。
【０４５２】
＜スタンダードコンテンツのシステムパラメータ（System Parameters for Advanced Content）＞
現行DVD-Videoまたは本実施形態におけるスタンダードコンテンツSTDCTにおいて、システム的に利用するパラメータを設定するものとしてSPRM（システムパラメータ）が定義されている。しかし、本実施形態においてアドバンストコンテンツナビゲーションでは前記SPRM（システムパラメータ）は使用されず、前記SPRM（システムパラメータ）に変わるものとして図４６〜図４９に至るシステムパラメータが設定される。アドバンストコンテンツADVCT再生時においてはAPIコマンド処理により前記SPRM（システムパラメータ）の値を知ることができる。本実施形態におけるシステムパラメータは、下記の４種類のパラメータを設定することができる。前記システムパラメータは情報記録再生装置1内のアドバンストコンテンツ再生部ADVPL毎にそれぞれ設定される。図４６に示すプレーヤパラメータは、各情報記録再生装置1毎に共通して設定することができる。図４７に示すプロファイルパラメータは、ユーザプロファイルのデータを示している。図４８に示すプレゼンテーションパラメータは、画面上の表示状態を示している。また、図４９に示すレイアウトパラメータは、映像表示時のレイアウト（図３９参照）に関するパラメータを意味している。
【０４５３】
本実施形態において前記システムパラメータは、図１４におけるデータキャッシュDTCCH内にテンポラリーに設定するが、それに限らず図２８に示すナビゲーションマネージャNVMNG内のパーサーPARSER内に設定されているテンポラリーメモリ（図示していないが）内に設定することもできる。以下に各図面毎の説明を行う。
【０４５４】
＜プレーヤパラメータ＞
図４６に本実施形態におけるプレーヤパラメータの一覧表を示す。
【０４５５】
本実施形態においてプレーヤパラメータは、プレーヤパラメータオブジェクトと、データキャッシュオブジェクトの２個のオブジェクトからなる。前記プレーヤパラメータとは、図１に示す情報記録再生装置1内のアドバンストコンテンツ再生部ADVPLが映像再生処理を行う上で必要とされる一般的なパラメータ情報を意味する。前記プレーヤパラメータの中でネットワークダウンロードやパーシステントストレージPRSTRからデータキャッシュDTCCHへのデータ転送に関わらない一般的なパラメータ情報がプレーヤパラメータに属する。本実施形態における前記アドバンストコンテンツ再生部ADVPL内での処理は、前記データキャッシュDTCCHへのデータ転送処理を前提としている。前記アドバンストコンテンツ再生部ADVPLが必要とされるパラメータ情報として、前記データキャッシュへのデータ転送処理に必要なパラメータがデータキャッシュに対応したプレーヤパラメータとして定義される。プレーヤパラメータオブジェクト内には、１３個のプレーヤパラメータが設定されている。プレーヤパラメータの内容として“majorVersion”については、対応規格書のバージョン番号の正数値を意味する。“minorVersion”については、対応規格書のバージョン番号の小数点以下の数字を意味する。“videoCapabilitySub”については、サブビデオの表示可能を意味する。“audioCapabilityMain”については、メインオーディオの表示可能を意味する。“audioCapabilitySub”については、サブオーディオの表示可能を意味する。“audioCapabilityAnalog”については、アナログオーディオの表示可能を意味する。“audioCapabilityPCM”については、PCMオーディオの表示可能を意味する。“audioCapabilitySPDIF”については、S/PDIFオーディオの表示可能を意味する。“regionCode”については、リージョンコードを意味する。前記リージョンコードとは地球上を６つの地域に分け、各地域毎にリージョンコード番号を設定したものを意味する。映像再生時には前記リージョンコード番号に合致した地域でのみ再生表示を許可することができる。“countryCode”については、国コードを意味する。“displayAspectRatio”については、アスペクト比を意味する。前記アスペクト比とは、ユーザに表示する映像画面の縦横比のことである。“currentDisplayMode”については、表示モードを意味する。“networkThroughput”については、ネットワークスループットを意味する。前記ネットワークスループットとは、ネットワークを経由しネットワークサーバNTSRVから転送されるデータの転送レートのことである。
【０４５６】
また、データキャッシュオブジェクト内には“dataCacheSize”が設定され、その内容としてデータキャッシュサイズを意味する。
【０４５７】
＜プロファイルパラメータ＞
図４７に本実施形態におけるプロファイルパラメータの一覧表を示す。
【０４５８】
本実施形態においてプロファイルパラメータは、プロファイルパラメータオブジェクトからなる。前記プロファイルパラメータとは、図１に示す情報記録再生装置1内のアドバンストコンテンツ再生部ADVPLにより処理される画面の表示形式に関するパラメータを意味する。プロファイルパラメータオブジェクト内には４個のプロファイルパラメータが設定されている。プロファイルパラメータの内容として“parentalLevel”とは、例えばアダルトビデオや暴力／残虐シーンが盛込まれた映像など子供に見せられない映像に対し、子供に見せられるレベルを規定したパラメータを意味している。上記パラメータを利用することにより例えばパレンタルレベルが高い映像を子供に見せる場合には、子供が見れる部分だけ編集した映像を表示することが可能となる。“menuLanguage”については、メニュー言語を意味する。“initialAudioLanguage”については、初期時のオーディオ言語を意味する。“initialSubtitleLanguage”については、初期時のサブタイトル言語を意味する。
【０４５９】
＜プレゼンテーションパラメータ＞
図４８に本実施形態におけるプレゼンテーションパラメータの一覧表を示す。
【０４６０】
本実施形態においてプレゼンテーションパラメータは、図１に示す情報記録再生装置1内のアドバンストコンテンツ再生部ADVPLで処理される表示画面や表示音声に関するパラメータを意味し、プレイリストマネージャPLMNGオブジェクトと、オーディオミキシングエンジンADMXENオブジェクトとデータキャッシュDTCCHオブジェクトの３個のオブジェクトからなる。前記プレイリストマネージャPLMNGオブジェクトとは、図２８に示すナビゲーションマネージャNVMNG内のプレイリストマネージャPLMNG内での処理に必要なパラメータである。また、オーディオミキシングエンジンADMXENオブジェクトは図３８に示すAVレンダラーAVRND内のオーディオミキシングエンジンADMXEN内での処理に必要なパラメータであり、データキャッシュDTCCHオブジェクトは図２７に示すデータキャッシュDTCCH内のストリーミングバッファSTRBUF内での処理に必要なパラメータ（データキャッシュ）に分類することができる。
【０４６１】
プレイリストマネージャPLMNGオブジェクト内には１１個のプレイリストマネージャPLMNGが設定されている。プレイリストマネージャPLMNGの内容として、“playlist”についての説明を以下に行う。プレイリストファイルPLLSTには、ファイル名に番号が付加できるようになっており、プレイリストファイルPLLSTを編集または更新した場合には、過去の付加番号のうち最も値の高い番号より“１”値の高い番号を付加して保存することで最新のプレイリストファイルPLLSTができる構造になっている。アドバンストコンテンツ再生部ADVPLが再生すべきプレイリストファイルPLLSTの付加番号を前記パラメータに設定することでユーザが望む最適なプレイリストPLLSTに基づき映像再生することが可能となる。本実施形態はそれに限らず他の実施形態としてタイトルＩＤ（titleId）とタイトルタイムライン上の経過時間（titleElapsedTime）と組み合せることにより、ユーザが最後に再生中断した場所（最後に再生を終了させた場所）の記録に利用することもできる。“titleId”については、再生中断した時の（最後に再生した）タイトルの識別情報（タイトルＩＤ）を記録することにより、ユーザが再び再生開始した時に前回再生中断したタイトルから再生を開始できるようにする。“titleElapsedTime”については、タイトルタイム上の経過時間を意味する。 “currentVideoTrack”については、メインビデオのトラック番号を意味する。“currentAudioTrack”については、メインオーディオのトラック番号を意味する。“currentSubtitleTrack”についてはサブタイトルのトラック番号を意味する。“selectedAudioLanguage”とはユーザが選択し、再生時に音声出力される言語（日本語JA、英語ENなど）を意味する。“selectedAudioLanguageExtension”については、選択されたオーディオ言語の拡張領域を意味する。“selectedSubtitleLanguage” とはユーザが選択し、再生時に出力されるサブタイトルの言語（日本語JP、英語ENなど）を意味する。“selectedSubtitleLanguageExtension”については、選択されたサブタイトル言語の拡張領域を意味する。“selectedApplicationGroup”とはユーザが選択し、再生時に出力されるアプリケーショングループの言語（日本語JP、英語ENなど）を意味する。例えば図１６に示したヘルプアイコン33に表示される文字が“ヘルプ”と表示するか“Help”と表示するかの表示言語識別を表している。
【０４６２】
また、オーディオミキシングエンジンADMXENオブジェクト内には１０個のオーディオミキシングエンジンADMXENが設定されている。オーディオミキシングエンジンADMXENの内容として、“volumeL”については、左側チャンネルの音量を意味する。“volumeR”については、右側チャンネルの音量を意味する。“volumeC”については、中央チャンネルの音量を意味する。“volumeLS”については、左側サラウンドチャンネルの音量を意味する。“volumeRS”については、右側サラウンドチャンネルの音量を意味する。“volumeLB”については、左後ろ側のチャンネルの音量を意味する。“volumeRB”については、右後ろ側のチャンネルの音量を意味する。“volumeLFE”については、サブウーハーチャンネルの音量を意味する。“mixSubXtoX”については、サブオーディオのダウンミックス係数（パーセンテージ）を意味する。例えば図１６に示すようにメインビデオMANVDにより表示された本編31とサブビデオSUBVDにより表示されたコマーシャル用の別画面32を同時に表示する場合、本編31に対応したメインオーディオMANADとコマーシャル用の別画面32に対応したサブオーディオSUBADを同時に音声出力する必要が発生する。その時のメインオーディオMANAD音量に対するサブオーディオSUBVDの出力音量比をサブオーディオのダウンミックス係数と言う。“mixEffectXtoX”については、サブイフェクトオーディオのダウンミックス係数（パーセンテージ）を意味する。例えば図１６に示すようにメインビデオMANVD表示中にユーザがアドバンストアプリケーションADAPLで構成される各種アイコン33〜38を押すことがある。ユーザが前記アドバンストアプリケーションADAPL内の各エレメント（アイコン）の実行を指示したことを表す効果音がサブイフェクトオーディオの一例を意味する。この場合、本編31に対応したメインオーディオMANADと同時に前記サブイフェクトオーディオを音声出力する必要が起きる。この時のメインオーディオMANAD音量に対するサブイフェクトオーディオの出力音量比をサブイフェクトオーディオのダウンミックス係数と言う。
【０４６３】
また、データキャッシュDTCCHオブジェクト内には“streamingBufferSize”が設定され、その内容としてストリーミングバッファサイズを意味する。ネットワークサーバNTSRVから転送されたセカンダリービデオセットSCDVSのデータは一時的にストリーミングバッファSTRBUF内に格納される。これを可能にするには予めデータキャッシュDTCCH内のストリーミングバッファSTRBUFのサイズを割当てておく必要があるが、この時必要なストリーミングバッファSTRBUFサイズはプレイリストファイルPLLST内の構造情報CONFGI内に規定されている。
【０４６４】
＜レイアウトパラメータ＞
図４９に本実施形態におけるレイアウトパラメータの一覧表を示す。
【０４６５】
本実施形態においてレイアウトパラメータは、プレゼンテーションエンジンPRSENオブジェクトからなる。前記レイアウトパラメータとは、図１に示す情報記録再生装置1内のアドバンストコンテンツ再生部ADVPLにより処理され、ユーザに表示される画面上のレイアウトに関係するパラメータを意味する。
【０４６６】
プレゼンテーションエンジンPRSENオブジェクト内には１６個のプレゼンテーションエンジンPRSENが設定されている。プレゼンテーションエンジンPRSENの内容として、“mainVideo.x”については、メインビデオの原点位置のＸ座標値を意味する。“mainVideo.y”については、メインビデオの原点位置のＹ座標値を意味する。“mainVideoScaleNumerator”については、メインビデオのスケーリング値の分子の値を意味する。“mainVideoScaleDenominator”については、メインビデオのスケーリング値の分母の値を意味する。“mainVideoCrop.x”については、サブビデオ表示領域のＸ座標値を意味する。“mainVideoCrop.y”については、サブビデオ表示領域のＹ座標値を意味する。“mainVideoCrop.width”については、サブビデオ表示領域の幅を意味する。“mainVideoCrop.height”については、サブビデオ表示領域の高さを意味する。“subVideo.x”については、サブビデオの原点位置のＸ座標値を意味する。“subVideo.y”については、サブビデオの原点位置のＹ座標値を意味する。“subVideoScaleNumerator”については、サブビデオスケーリング値の分子を意味する。“subVideoScaleDenominator”については、サブビデオスケーリング値の分母を意味する。“subVideoCrop.x”については、サブビデオ表示領域のＸ座標値を意味する。“subVideoCrop.y”については、サブビデオ表示領域のＹ座標値を意味する。“subVideoCrop.width”については、サブビデオ表示領域の幅を意味する。“subVideoCrop.height”については、サブビデオ表示領域の高さを意味する。
【０４６７】
本実施形態におけるアドバンストコンテンツADVCTの再生に使用するプレイリストファイルPLLSTの設定方法について図５０と図５１を用いて説明を行う。本実施形態において、基本的にはプレイリストファイルPLLSTが情報記憶媒体DISC内に存在することを前提としている。初期時においては前記情報記憶媒体DISC内に保存されたプレイリストファイルPLLSTを用いてアドバンストコンテンツADVCTの再生処理を行う。しかし、本実施形態においては以下に述べる方法によりアドバンストコンテンツADVCTの再生用のプレイリストファイルPLLSTの内容を更新する事が出来る。
【０４６８】
１．  ネットワークサーバNTSRVを利用して、プレイリストファイルPLLSTの内容を更新する。
【０４６９】
２  ユーザがアドバンストコンテンツADVCTの再生手順を独自に編集または作成したプレイリストファイルを用いてアドバンストコンテンツADVCTの再生処理を行う。
【０４７０】
前記１．に示したネットワークサーバNTSRVを用いてダウンロードした新しいプレイリストファイルPLLSTをパーシステントストレージPRSTR内に保存することができる。その後、前記パーシステントストレージPRSTR内のプレイリストファイルPLLSTを用いて前記アドバンストコンテンツADVCTの再生を行う。前記１．と２．いずれの方法においても、古いプレイリストファイルPLLSTと更新後又は編集・作成された新しいプレイリストファイルPLLSTとの識別を可能にする為、本実施形態ではプレイリストファイルPLLST（のファイル名内）に連番の番号を設定し、最も新しいプレイリストファイルPLLSTに最も高い番号を設定する。それにより、同一のアドバンストコンテンツADVCTに対し複数のプレイリストファイルPLLSTが存在したとしても、最も高い番号が付加されたプレイリストファイルPLLSTを利用する事で最新のアドバンストコンテンツADVCTに対する再生方法を知る事が出来る。
【０４７１】
上記２．の方法について説明を行う。
【０４７２】
コンテンツプロバイダが供給するアドバンストコンテンツADVCTをユーザに編集を禁止する場合にはアドバンストコンテンツADVCT内の再生表示オブジェクトにコピープロテクション処理（スクランブル処理）をかける事でユーザによる編集を禁止する事が出来る。また、コンテンツプロバイダがユーザによる編集を許可する再生表示オブジェクトを供給する場合には前記再生表示オブジェクトに対し、コピーコントロール制御（スクランブル処理）を行わない事によりユーザによる編集処理を許可する。前記コンテンツプロバイダが編集の許可（コピー制御／スクランブル処理）を施していない再生表示オブジェクトに対して、ユーザが編集処理を行う事で作成するプレイリストファイルPLLSTは本実施形態ではパーシステントストレージPRSTR内に保存出来るようにしている。このように、パーシステントストレージPRSTR内に所定のプレイリストファイルPLLSTを記録出来るようにする事により、
Ａ）  ネットワークサーバNTSRVに保存されているアップデートされたプレイリストファイルPLLSTのダウンロード時間が不要になる為、アップデートされたプレイリストファイルPLLSTに基づく再生開始時間の短縮化が図れる
Ｂ）  編集・作成が許可されたアドバンストコンテンツADVCTに対し、ユーザが自由に編集・作成処理をする事で、ユーザの好みに応じたアドバンストコンテンツADVCTの再生が可能になる
という効果が発生する。
【０４７３】
上記２．の方法と図２に示す本実施形態における効果の関係を、以下に説明する。
【０４７４】
図２に示すように画像関連情報の加工容易性と加工後情報の送信容易性を確保したいというユーザ要求に対し、従来のDVD-Videoの規格では管理データ構造自身が比較的カスタマイズされた構造になっているため、複雑な編集処理を柔軟かつ容易に対応出来ない。それに対し、本実施形態ではプレイリストファイルPLLSTの記述内容にＸＭＬを用いると共に前記プレイリストファイルPLLSTの記述コンセプトにタイトルタイムラインTMLEの概念を導入した。更に、本実施形態ではこれによって作成されたプレイリストファイルPLLSTの更新処理を可能にする事により、図２〔8〕に示すユーザによるプレイリストファイルPLLSTの選択作成や、その送信が容易になる。すなわち、上記２．の方法に対応して図２（8.1）ユーザによるプレイリストファイルPLLSTの選択または作成・編集が行えるだけでなく、図２（8.2）に示すようにユーザが選択・作成したプレイリストファイルPLLSTを友人に送信し、受信した友人がプレイリストファイルPLLSTの設定番号の最適化処理をする事により、受信側でも送信されたプレイリストファイルPLLSTを利用する事が出来る。
【０４７５】
本実施形態においては、更新された、又は編集・作成された新しいプレイリストファイルPLLSTは設定番号をインクリメントした形でパーシステントストレージPRSTR内に保存される。従って、アドバンストコンテンツADVCT再生の起動時には、図５０に示すように情報記憶媒体DISCとパーシステントストレージPRSTR内に存在するあらゆるプレイリストファイルPLLSTを検索し、そこに設定されている番号の最も高いプレイリストファイルPLLSTを抽出する事により最新のプレイリストファイルPLLSTに基づいた再生制御を行う事が出来る。
【０４７６】
またネットワークサーバNTSRV上にあるアップデートされたプレイリストファイルPLLSTをダウンロードする場合には、図５１に示すようにネットワークサーバNTSRVから最新のプレイリストファイルPLLSTをダウンロードすると共に、そこに設定されている番号を既存のプレイリストファイルPLLSTよりも大きな値に設定した後、パーシステントストレージPRSTR内に保存する事でネットワークサーバNTSRV上に保存されていたプレイリストファイルPLLSTのアップデート後のプレイリストファイルPLLSTに基づく再生が可能となる。
【０４７７】
＜アドバンストコンテンツに対する起動時のシーケンス（Startup Sequence of Advanced Content）＞
図５０を用いて本実施形態におけるアドバンストコンテンツADVCTに対する起動時のシーケンス説明を行う。基本的には情報記憶媒体DISC内と接続されているあらゆるパーシステントストレージPRSTR内におけるプレイリストファイルPLLSTを検索し、最も高い番号が設定されているプレイリストファイルPLLSTを抽出し、それに基づく再生処理を行う。
【０４７８】
図５に示すように、本実施形態としてはカテゴリー1〜カテゴリー３に至る三種類の情報記憶媒体DISCを設定している。その中で、図５（ｂ）と図５（ｃ）に示すカテゴリー２とカテゴリー３に対応した情報記憶媒体DISC内にアドバンストコンテンツADVCTの情報が記録出来る。まず始めに情報記憶媒体DISCのカテゴリーを判別し、アドバンストコンテンツADVCTが記録されているカテゴリー２またはカテゴリー３に対応した情報記憶媒体DISCを検出する。
【０４７９】
本実施形態における情報記録再生装置１内のアドバンストコンテンツ再生部ADVPL内には図１４に示すようにナビゲーションマネージャNVMNGが存在し、前記ナビゲーションマネージャNVMNGの中にプレイリストマネージャPLMNGが存在する（図２８参照）。前記プレイリストマネージャPLMNGは情報記憶媒体DISCからシステムパラメータに関するディスプレイモードインフォメーションを再生する（ステップＳ４１）。前記ディスプレイモードインフォメーションを利用し、プレイリストマネージャPLMNGは“VPLIST$$.XML”ファイルを再生する。また、本実施ではそれに限らず前記プレイリストマネージャPLMNGは“VPLIST$$.XML”ファイルも再生することが出来る（“$$と“##”は、“00”から“99”までの数字を意味している）。
【０４８０】
本実施形態においては情報記憶媒体DISCを再生するにあたり、そこに必要なプロバイダID・コンテンツID及びサーチフラグがパーシステントストレージPRSTR内のDISCID.DATファイル中に記録されている。前記プレイリストマネージャPLMNGは前記パーシステントストレージPRSTR内にあるDISCID.DATファイルを再生し、その中からプロバイダID・コンテンツID及びサーチフラブを再生する（ステップＳ４２）。プレイリストマネージャPLMNGは前記サーチフラグの内容を解釈し、そのサーチフラグが“1b”か否かを判定する（ステップＳ４３）。前記サーチフラグが“0b”の場合には接続されているあらゆるパーシステントストレージPRSTR内をサーチし、前記プロバイダIDと前記コンテンツIDに対応したプレイリストファイルPLLSTを検索する（ステップＳ４４）。また、前記サーチフラグが“1b”の場合には、前記ステップＳ４４のステップをスキップ処理する。次に前記プレイリストマネージャPLMNGは、情報記憶媒体DISC内の“ADV_OBJ”のディレトリの下にあるプレイリストファイルPLLSTを探す（ステップＳ４５）。その後、前記情報記憶媒体DISC内及びパーシステントストレージPRSTR内に保存されたプレイリストファイルPLLSTに設定されている番号の中で最も高い番号が設定されているプレイリストファイルPLLSTを抽出し、その内容を前記プレイリストマネージャPLMNGが再生する（ステップＳ４６）。次に、前記ステップＳ４６で抽出したプレイリストファイルPLLSTの内容に基づき、前記アドバンストコンテンツ再生部ADVPLはシステムコンフィグレーションの変更・処理を行う（ステップＳ４７）。また、この時に前記プレイリストファイルPLLST内に記述されているストリーミングバッファサイズに基づき、ストリーミングバッファSTRBUFのサイズを変更する。また、図２７に示すファイルキャッシュFLCCHとストリーミングバッファSTRBUFの中に既に記録されているあらゆるファイルと全てのデータ内容の消去処理を行う。次に、タイトルタイムラインTMLEに沿ったオブジェクトマッピングとプレイバックシーケンスの初期化を行う（ステップＳ４８）。図２４に示すように、プレイリストファイルPLLST内にオブジェクトマッピングインフォメーションOBMAPIとプレイバックシーケンスインフォメーションPLSQIの情報が記録されており、前記プレイリストマネージャPLMNGはそれらの情報を利用し、最初に表示するタイトルに対応したタイトルタイムラインTMLE上での各再生表示オブジェクトの再生タイミングを計算すると共に、プレイバックシーケンスに基づく各キャプチャーエントリーポイントのタイトルタイムラインTMLE上の位置を計算する。次に、最初に再生を行うタイトルの再生準備を行う（ステップＳ４９）。ステップＳ４９の具体的な処理内容を以下に説明する。図２８に示すように前記ナビゲーションマネージャNVMNG内にはファイルキャッシュマネージャFLCMNGが存在する。前記ファイルキャッシュマネージャFLCMNGは、最初に再生するタイトルの開始に先立って必要な各種ファイルの再生制御を行うと共に、ファイルキャッシュFLCCH内にそれらのファイルを一時保管する。ファイルキャッシュFLCCH内に一時保管する対象となるファイルは、アドバンストアプリケーションマネージャ（図２８参照）で使われる。具体的なファイル名としては、図１１に示すアドバンストナ���ゲーションディレクトリADVNV内に存在するマニュフェストファイルMNFST、マークアップファイルMRKUP及びスクリプトファイルSCRPTなどが挙げられる。またそれ以外にセカンダリービデオプレーヤSCDVP（図３５参照）で使われるセカンダリービデオセットSCDVSのタイムマップファイルSTMAPとセカンダリーエンハンストビデオオブジェクトファイルS-EVOB（図１１参照）、及びアドバンストアプリケーションプレゼンテーションエンジンAAPEN（図３０参照）で使うアドバンストエレメントディレクトリADVEL内の下にある静止画ファイルIMAGE、イフェクトオーディオファイルEFTAD、フォントファイルFONT及びその他のファイルOTHERがファイルキャッシュ内に保存される。また、このタイミングに前記プレイリストマネージャPLMNGは図３０に示すプレゼンテーションエンジンPRSEN内のアドバンストアプリケーションプレゼンテーションエンジンAAPEN、セカンダリービデオプレーヤSCDVPやプライマリービデオプレーヤPRMVPなどの各種再生モジュールの初期化処理を行う。またステップＳ４９に示したタイトルの再生準備の一環としてプライマリーオーディオビデオPRMAVに関する再生準備の方法について以下に説明する。図２４に示すように、プレイリストファイルPLLST内にはオブジェクトマッピングインフォメーションOBMAPIが存在し、前記オブジェクトマッピングインフォメーションOBMAPI内にプライマリーオーディオビデオクリップエレメントPRAVCPが存在している。前記プレイリストマネージャPLMNGは、前記オブジェクトマッピングインフォメーションOBMAPI内の前記プライマリーオーディオビデオクリップエレメントPRAVCPの情報を解析し、その情報をプレゼンテーションエンジンPRSEN内のプライマリービデオプレーヤPRMVP（図３０参照）に送信する。また、図１１に示すようにプライマリービデオセットPRMAVに関する管理ファイルは、プライマリーオーディオビデオディレクトリPRMAVの下にあるビデオタイトルセットインフォメーションファイルADVTSIやプライマリービデオセットのタイムマップファイルPTMAPなどが存在し、それらのファイルの保存場所の情報に関して前記プレイリストマネージャPLMNGから前記プライマリービデオプレーヤPRMVPへ転送される。前記プライマリービデオプレーヤPRMVPは前記ビデオタイトルセットインフォメーションファイルADVTSIやプライマリービデオセットPRMVSのタイムマップファイルPTMAPを情報記憶媒体DISCからの再生制御を行った後、前記オブジェクトマッピングインフォメーションOBMAPIに基づき、プライマリービデオセットPRMVSの再生制御に必要な初期パラメータの準備を行う。更に、図３６に示すようにプライマリービデオプレーヤPRMVPは、対応したデコーダーエンジンDCDEN内のビデオレコーダとの接続準備も行う。また、セカンダリービデオプレーヤSCDVPにより再生されるサブスティテュートオーディオビデオSBTAV、サブスティテュートオーディオSBTADやセカンダリーオーディオビデオSCDAVを再生する場合には、同様に前記プレイリストマネージャPLMNGがオブジェクトマッピングインフォメーションOBMAPIの関連するクリップエレメントの情報をセカンダリービデオプレーヤSCDVPに転送すると共に、セカンダリービデオセットのタイムマップファイルSTMAP（図１１参照）の保存場所をセカンダリービデオプレーヤSCDVPに転送する。セカンダ���ービデオプレーヤSCDVPは、前記セカンダリービデオセットのタイムマップファイルSTMAPの情報に関する再生制御を行い、またオブジェクトマッピングインフォメーションOBMAPIの情報に基づき、再生制御に関する初期のパラメータ設定をすると共に図３５に示すデコーダーエンジンDCDEN内の関連レコーダとの接続準備を行う。前記タイトルの再生準備が終了すると、最初に再生を行うトラックの再生を開始する（ステップＳ５０）。その時に、アドバンストコンテンツ再生部ADVPLはタイトルタイムラインTMLEのカウントアップを開始し、前記オブジェクトマッピングインフォメーションOBMAPIに記述されたスケジュールに従い、タイトルタイムラインTMLEの進行に従って各再生表示オブジェクトの再生表示処理を行う。再生が開始されると常に再生終了のタイミングを検出し（ステップＳ５１）、再生終了時期に達すると再生終了処理を行う。
【０４８１】
図５１を用いて本実施形態におけるアドバンストコンテンツ再生時におけるアップデートシーケンス方法の説明を行う。主にネットワークサーバNTSRV上でプレイリストファイルPLLST内容の更新（アップデート）がなされた場合、ユーザ側に設置された情報記録再生装置１内のアドバンストコンテンツ再生部ADVPL（図１参照）も対応してプレイリストファイルPLLST内容の更新（アップデート）を行う事ができる。前記アドバンストコンテンツ再生部ADVPLが行うプレイリストファイルPLLST内容の更新（アップデート）処理方法を図５１が示している。
【０４８２】
図５に示すように、本実施形態としてはカテゴリー1〜カテゴリー３に至る三種類の情報記憶媒体DISCを設定している。その中で、図５(b)と図５(c)に示すカテゴリー２とカテゴリー３に対応した情報記憶媒体DISC内にアドバンストコンテンツADVCTの情報が含まれている。まず始めに情報記憶媒体DISCのカテゴリーを判別し、アドバンストコンテンツADVCTが記録されているカテゴリー２またはカテゴリー３に対応した情報記憶媒体DISCを検出する。次に図５１でも図５０のステップＳ４１からステップＳ４５までの処理は同様に行い、情報記憶媒体DISCに記憶されているプレイリストファイルPLLSTとパーシステントストレージPRSTR内に記録されたプレイリストファイルPLLSTを検索する。次に、前記情報記憶媒体DISC内及びパーシステントストレージPRSTR内に保存されたプレイリストファイルPLLSTを比較し、プレイリストファイルPLLSTに設定されている番号の中で最も高い番号が設定されているプレイリストファイルPLLSTを抽出し、その内容を前記プレイリストマネージャPLMNGが再生する（ステップＳ６１）。次に、前記ステップＳ６１で抽出したプレイリストファイルPLLSTの内容に基づき、システムコンフィグレーションの変更処理を行う（ステップＳ６２）。前記システムコンフィグレーションの変更処理の具体的な内容としては本実施形態では
１．  システムリソースコンフィグレーションの変更処理
２．  データキャッシュDACCH内のストリーミングバッファSTRBUF（図２７参照）のサイズ変更
…  図８０(c)に記載されているプレイリストPLLST内の構造情報CONFGIの中に配置されているストリーミングバッファエレメントSTRBUFの“予め設定が必要なストリーミングバッファサイズSTBFSZ（size属性情報）”に合わせてサイズ変更を行う
３．  図２７に示すファイルキャッシュFLCCHとストリーミングバッファSTRBUFの中に既に記録されているあらゆるファイルと全てのデータ内容の消去処理などを前記アドバンストコンテンツ再生部ADVPLの中に存在するナビゲーションマネージャNVMNG内のプレイリストマネージャPLMNG（図２８）が中心に行う。
【０４８３】
次にステップＳ６３によりタイトルタイムラインTMLEに沿ったオブジェクトマッピングとプレイバックシーケンスの初期化を行う。図２４に示すように、プレイリストファイルPLLST内にオブジェクトマッピングインフォメーションOBMAPIとプレイバックシーケンスインフォメーションPLSQIの情報が記録されており、前記プレイリストマネージャPLMNGはそれらの情報を利用し、最初に表示するタイトルに対応したタイトルタイムラインTMLE上での各再生表示オブジェクトの再生タイミングを計算すると共に、プレイバックシーケンスに基づく各キャプチャーエントリーポイントのタイトルタイムラインTMLE上の位置を計算する。その後、ステップＳ６４で最初に再生を行うタイトルの再生準備を行う。ステップＳ６４の具体的な処理内容を以下に説明する。図１４に示すようにアドバンストコンテンツ再生部ADVPL内にはナビゲーションマネージャNVMNGが存在し、前記ナビゲーションマネージャNVMNG内にはファイルキャッシュマネージャFLCMNGが存在する（図２８参照）。最初に再生するタイトルの再生開始に先立ち、前記ファイルキャッシュマネージャFLCMNGは再生に必要な各種ファイルをファイルキャッシュFLCCH内に一時保管する。前記ファイルキャッシュFLCCH内に一時保管されるファイルとしては図１１に示すように、アドバンストナビゲーションディレクトリADVNV内に存在するマニュフェストファイルMNFST、マークアップファイルMRKUP及びスクリプトファイルSCRPTやアドバンストエレメントディレクトリADVEL内の下にある静止画ファイルIMAGE、イフェクトオーディオファイルEFTAD、フォントファイルFONT及びその他のファイルOTHERが上げられる。また、前記ファイルキャッシュFLCCHに保存するファイルとしてはそれ以外にもセカンダリービデオプレーヤSCDVPで使われるセカンダリービデオセットのタイムマップファイルSTMAPと、セカンダリーエンハンストビデオオブジェクトファイルS-EVOBが存在する。またステップＳ６４に示す“最初に再生を行うタイトルの再生準備”のタイミングと同時に、前記プレイリストマネージャPLMNGは図３０に示すプレゼンテーションエンジンPRSEN内のアドバンストアプリケーションプレゼンテーションエンジンAAPEN、セカンダリービデオプレーヤSCDVPやプライマリービデオプレーヤPRMVPなどの各種再生モジュールの初期化処理を行う。前記プレイリストマネージャPLMNGが行う各種再生モジュールの初期化処理に付いての具体的内容の説明を以下に示す。
【０４８４】
１．  プライマリービデオプレーヤPRMVPの初期化処理
（再生対象のタイトル内でプライマリーオーディオビデオPRMAVの再生・表示が必要な場合）
＊プレイリストマネージャPLMNGからプライマリービデオプレーヤPRMVPへ下記の情報が転送される
・タイトルタイムラインTMLE上のプライマリーオーディオビデオPRMAVの再生タイミングなど、プライマリーオーディオビデオクリップエレメントPRAVCP（図５４参照）内に記述された情報
・プライマリービデオセットのタイムマップ情報PTMAPやエンハンストビデオオブジェクトインフォメーションEVOBI（図１２参照）等のプライマリービデオセットPRMVSに関する管理情報
＊プライマリービデオプレーヤPRMVPは上記の情報に基づき初期パラメータの設定を行う
＊プライマリービデオプレーヤPRMVPは、デコーダーエンジンDCDEN内の必要なデコーダーモジュールと前記プライマリービデオプレーヤPRMVP間の接続準備（図３６参照）を行う
２．  セカンダリービデオプレーヤSCDVPの初期化処理
（再生対象のタイトル内でセカンダリービデオセットSCDVSの再生・表示が必要な場合）
＊ナビゲーションマネージャNVMNGからセカンダリービデオプレーヤSCDVPへ下記の情報が転送される
・セカンダリービデオセットSCDVS内の各種再生表示オブジェクトに関するタイトルタイムラインTMLE上での再生タイミングなど、セカンダリーオーディオビデオクリップエレメントSCAVCP（図５４参照）やサブスティテュートオーディオビデオクリップエレメントSBAVCP、サブスティテュートオーディオクリップエレメントSBADCP内に記述された情報
・セカンダリービデオセットのタイムマップ情報STMAP（図１２参照）等のセカンダリービデオセットSCDVSに関する管理情報
＊セカンダリービデオプレーヤSCDVPは上記の情報に基づき初期パラメータの設定を行う
＊プライマリービデオプレーヤSCDVPは、デコーダーエンジンDCDEN内の必要なデコーダーモジュールと前記セカンダリービデオプレーヤSCDVP間の接続準備（図３７参照）を行う
前記タイトルの再生準備が終了すると、再生を行う予定トラックの再生を開始する（ステップＳ６５）。その時に、アドバンストコンテンツ再生部ADVPLはタイトルタイムラインTMLEのカウントアップを開始し、前記オブジェクトマッピングインフォメーションOBMAPIに記述されたスケジュールに従い、タイトルタイムラインTMLEの進行に従って各再生表示オブジェクトの再生表示処理を行う。前記ステップＳ６５によりタイトルを再生した時、ユーザがより新しいアップデートされたタイトルを用いて再生したいと願った場合、プレイリストファイルPLLSTのアップデート処理の実行が開始される（ステップＳ６６）。
【０４８５】
＜アドバンストコンテンツ再生のアップデートシーケンス（Update Sequence of Advanced Content Playback）＞
上述したようにステップＳ６６においてプレイリストファイルPLLSTのアップデート処理の実行が開始されると、次のステップとして新しいプレイリストファイルPLLSTが存在するか否かの検索処理が開始される。アドバンストコンテンツADVCTの再生方法に関するアップデートをする為には、アドバンストアプリケーションADAPLによるアップデート処理が実行される必要がある。前記アドバンストアプリケーションADAPLにより前記再生方法に関するアップデート処理をさせるためには、「最新のプレイリストPLLSTを探してアップデート処理を行う」機能が設定されたスクリプトシーケンス（スクリプトSCRPTにより設定された処理プログラム）を元々情報記憶媒体DISC内に記録されていたアドバンストアプリケーションADAPLが持っている必要が有る。前記スクリプトシーケンスは、更新された最新のプレイリストファイルPLLSTの保存されている場所を検索する。更新された最新のプレイリストファイルPLLSTは一般的にはネットワークサーバNTSRV内に保存されている場合が多い。ここでネットワークサーバNTSRV上に新しいプレイリストファイルPLLSTが存在する場合には、プレイリストファイルPLLSTのダウンロード処理を行い（ステップＳ６９）、もし、新しいプレイリストファイルPLLSTが存在しない場合には、タイトルの再生を終了するか否かを判定し（ステップＳ６８）、ユーザ要求に応じてタイトルの再生を終了したい場合は終了処理を行う。もし、ユーザが古いプレイリストファイルPLLSTに基づく再生を容認する場合にはステップＳ６５のタイトルの継続再生へ戻る。次に、プレイリストファイルPLLSTのダウンロード処理（ステップＳ６９）についての説明を行う。図１に示すように本実施形態における情報記録再生装置１内にはアドバンストコンテンツ再生部ADVPLが存在し、図１４に示すように前記アドバンストコンテンツ再生部ADVPL内にはナビゲーションマネージャNVMNGが存在する。前記ナビゲーションマネージャNVMNG内にはアドバンストアプリケーションマネージャADAMNGが存在し（図２８参照）、前記アドバンストアプリケーションマネージャADAMNG内にはプログラミングエンジンPRGENが存在する。もし、ネットワークサーバNTSRV内に新しいプレイリストファイルPLLSTが存在する場合には、アドバンストアプリケーションADAPL内のスクリプトファイルSCRPT（前記スクリプトシーケンス）が、前記プログラミングエンジンPRGEN内で起動し、ネットワークサーバNTSRVから最新のプレイリストファイルPLLSTをファイルキャッシュFLCCHまたはパーシステントストレージPRSTRへダウンロード処理する。前記最新のプレイリストファイルPLLSTのダウンロード処理が完了すると、次にそのプレイリストファイルPLLSTが再生時に使用されるか否かが判断される。もしユーザがステップＳ７０において、ユーザが更新されたプレイリストファイルPLLSTを次の再生時に使用せず前記更新されたプレイリストファイルPLLSTが一時的に使用される場合には、前記プレイリストファイルPLLSTはファイルキャッシュFLCCH内に一時的に記録される。その場合、次回再生する時には現状の（更新される前の）プレイリストファイルPLLSTが読み込まれる。また前記ステップＳ７０においてユーザが最新のプレイリストファイルPLLSTを次回の再生時に使用するように要求した場合には、ステップＳ７１��示すように前記更新されたプレイリストファイルPLLSTをファイルキャッシュFLCCH内に保存すると共にパーシステントストレージPRSTR内のプロバイダIDとコンテントIDにより指定された特定領域内にも保存されなければならない。それにより、次回の再生時に前記更新されたプレイリストファイルPLLSTがアドバンストコンテンツ再生部ADVPLで再生される準備が整う。また、ユーザ要求に応じて更新されたプレイリストファイルPLLSTをパーシステントストレージPRSTR内に保存するしないに関わらず、ステップＳ７２においてソフトリセット処理を行う必要が有る。アドバンストコンテンツADVCTの再生開始時（起動時）のシーケンスを再起動（リスタート）するために、アドバンストアプリケーションADAPLはソフトリセットＡＰＩ（コマンド）の発行をする必要が有る。前記ソフトリセットＡＰＩ（コマンド）は図２８に示すアドバンストアプリケーションマネージャADAMNG（と図３０に示すアドバンストアプリケーションプレゼンテーションエンジンAAPEN）に対して前記更新されたプレイリストファイルPLLSTの内容を登録し、現行の各種パラメータとプレイバックコンフィグレーション（再生に必要な各種構造情報）のリセットを行う。その後、前記更新されたプレイリストファイルPLLSTの内容に基付いてシステムコンフィグレーションの変更（ステップＳ６２と類似した内容の処理）と下記の処理を実行する。
【０４８６】
＊  前記アドバンストコンテンツ再生部ADVPLは前記一時保存された最新のプレイリストファイルPLLSTをファイルキャッシュFLCCHに再度、保存する
＊  ファイルキャッシュFLCCHに再保存した前記最新のプレイリストファイルPLLST内容に合わせてアドバンストコンテンツ再生部ADVPLはアサイメントインフォメーションファイルを再度、保存する
上記のソフトリセット処理（ステップＳ７２）を行った後、ステップＳ６３のタイトルタイムラインTMLEに沿ったオブジェクトマッピングとプレイバックシーケンスの初期化処理に繋がる。
【０４８７】
図６において、アドバンストコンテンツ再生とスタンダードコンテンツ再生による遷移関係の説明を行った。実際の遷移時の図６に対応したアドバンストコンテンツADVCT再生とスタンダードコンテンツSTDCT再生における遷移関係を図５２のフローチャートで示す。
【０４８８】
下記シーケンスの開始直後の初期状態では、ステップＳ８１に示すようにアドバンストコンテンツADVCTの再生処理が行われる。次にスタンダードコンテンツSTDCTの生成処理に遭遇しない場合には（ステップＳ８２）、アドバンストコンテンツADVCTの再生処理を終了する（ステップＳ８５）まで、アドバンストコンテンツADVCTの再生が繰り返され、アドバンストコンテンツADVCTの再生終了時に終了処理に到達する。アドバンストコンテンツADVCTの再生途中でスタンダードコンテンツSTDCTの再生処理に遭遇した場合には（ステップＳ８２）、スタンダードコンテンツSTDCTの再生（ステップＳ８３）に移る。その後、アドバンストコンテンツADVCTの再生コマンドを受信するまで（ステップＳ８４）スタンダードコンテンツSTDCTの再生が繰り返される。必ず終了時にはアドバンストコンテンツADVCTの再生コマンドを受信（ステップＳ８４）し、アドバンストコンテンツADVCTの再生（ステップＳ８１）に戻った後、終了処理する。このようにアドバンストコンテンツADVCT再生モードで始まり、アドバンストコンテンツADVCT再生モードで終わることにより情報記録再生装置１内のアドバンストコンテンツ再生部ADVPL（図１参照）が全体のシーケンスを統合管理でき、各種コンテンツ再生の切り替え制御と管理の煩雑さを回避できる。
【０４８９】
＜アドバンストコンテンツとスタンダードコンテンツの遷移シーケンス（Transition Sequence between Advanced VTS and Standard VTS）＞
図５（ｃ）に示すカテゴリー３に対応した情報記憶媒体DISCを再生する場合には、アドバンストコンテンツADVCTとスタンダードコンテンツSTDCT間の混在再生を行う場合が存在し、図５２に示す両者間の遷移が発生する。
【０４９０】
以下に各ステップについての詳細な説明を行う。
【０４９１】
＜ステップＳ８１：アドバンストコンテンツADVCTの再生処理＞
前記カテゴリー３に対応した情報記憶媒体DISCの再生時には、アドバンストコンテンツADVCTの再生から開始しなければならない。図１に示すように、情報記録再生装置１内のアドバンストコンテンツ再生部ADVPLの中には図１４に示すようにナビゲーションマネージャNVMNGが存在する。前記アドバンストコンテンツADVCT再生時の再生進行上の管理は、前記ナビゲーションマネージャNVMNGが行う。前記アドバンストコンテンツ再生部ADVPL内のプレゼンテーションエンジンPRSEN（図１４参照）内には図３０に示すようにプライマリービデオプレーヤPRMVPが存在する。また、前記ナビゲーションマネージャNVMNG内には図２８に示すように、プレイリストマネージャPLMNGが存在する。もし、前記プライマリービデオプレーヤPRMVPで処理すべきユーザ要求が存在した場合には、前記プレイリストマネージャPLMNGは情報記憶媒体DISC内に記録されたプライマリーエンハンストビデオオブジェクトP-EVOBを間断なくデータ転送するように保証しなければならない。
【０４９２】
＜ステップＳ８２：スタンダードコンテンツSTDCT（スタンダードビデオタイトルセット）の再生処理に遭遇する場合＞
前記アドバンストコンテンツADVCTはアドバンストナビゲーション内におけるコールスタンダードコンテンツプレーヤという名のAPIコマンドによりアドバンストコンテンツADVCTの再生からスタンダードコンテンツSTDCTの再生への遷移が行われなければならない。前記コールスタンダードコンテンツプレーヤというAPIコマンドは、スタンダードコンテンツSTDCTにおける再生開始位置情報（スタンダードコンテンツSTDCT内のどこから再生を開始するかを示す情報）も指定する。前記アドバンストコンテンツ再生部ADVPLの中には、図１４に示すようにナビゲーションマネージャNVMNGとプレゼンテーションエンジンPRSENが存在する。また、図２８に示すように前記ナビゲーションマネージャNVMNG内にはアドバンストアプリケーションマネージャADAMNGとプレイリストマネージャPLMNGが存在し、図３０に示すように前記プレゼンテーションエンジンPRSEN内にはプライマリービデオプレーヤPRMVPが存在する。ステップＳ８１に示すように、アドバンストコンテンツADVCTの再生処理中にはステップＳ８２に示すようにスタンダードコンテンツSTDCT（スタンダードビデオタイトルセット）の再生処理に遭遇するか否かをいつも判定している。ここでスタンダードコンテンツSTDCTの再生処理に遭遇した場合には、前記アドバンストアプリケーションマネージャADAMNGは前記のコールスタンダードコマンドプレーヤAPIコマンドの発行の必要性を判定する。前記コールスタンダードコンテンツプレーヤAPIコマンドの発行が必要な場面に遭遇すると、前記アドバンストアプリケーションマネージャADAMNGは前記プレイリストマネージャPLMNGに対しアドバンストコンテンツADVCT再生中止の要求を出す。前記要求に合わせて前記プライマリービデオプレーヤPRMVPはアドバンストコンテンツADVCTの再生を中止させる。それと同時に、前記アドバンストアプリケーションマネージャADAMNGは、前記プレイリストマネージャPLMNGに対し、コールスタンダードコンテンツプレーヤAPIコマンドをコールする。
【０４９３】
＜ステップＳ８３：スタンダードコンテンツSTDCT（スタンダードビデオタイトルセット）の再生＞
前記プレイリストマネージャPLMNGがコールスタンダードコンテンツプレーヤAPIコマンドを発行すると、前記プライマリービデオプレーヤPRMVPはアドバンストコンテンツADVCTの再生中断場所からスタンダードコンテンツSTDCTの再生開始場所へジャンプする。図１に示すように、情報記録再生装置１の中にはスタンダードコンテンツ再生部STDPLとアドバンストコンテンツ再生部ADVPLが存在する。本実施形態においては、図３０に示すアドバンストコンテンツ再生部ADVPL内にはプライマリービデオプレーヤPRMVPが存在するが、本実施形態では前記プライマリービデオプレーヤPRMVPをスタンダードコンテンツ再生部STDPL内でも共用する事を特徴としている。従って、ステップＳ８３におけるスタンダードコンテンツSTDCTの再生時において、スタンダードコンテンツ再生部STDPL内のプライマリービデオプレーヤPRMVPが処理を行い、スタンダードコンテンツSTDCTの再生表示を行っている。このフェーズの間中、前記ナビゲーションマネージャNVMNGは中止状態が保持される。その結果、ユーザが指定するイベントは前記プライマリービデオプレーヤPRMVPに直接インプットされる。このフェーズの間中、前記プライマリービデオプレーヤPRMVPはナビゲーションコマンドに基づくコマンドに対応し、スタンダードコンテンツSTDCT内での再生時の遷移（再生場所のジャンプ処理）の対応を行う。
【０４９４】
＜ステップＳ８４：アドバンストコンテンツADVCTの再生コマンド受信確認＞
前記ナビゲーションコマンドの一種である“コールアドバンストコンテンツプレーヤ”というコマンドによって、スタンダードコンテンツSTDCTからアドバンストコンテンツADVCTへの再生処理への遷移が指定される。前記プライマリービデオプレーヤPRMVPがコールスタンダードコンテンツプレーヤAPIコマンドを受けると、前記スタンダードコンテンツSTDCTの再生を中止する。その後、アドバンストコンテンツADVCTの再生処理途中で前記コールスタンダードコンテンツプレーヤAPIコマンドを受けて再生中断した丁度その場所から、再生を再開するようにプレイリストマネージャPLMNGが処理を行う。
【０４９５】
図５４に示すプライマリーオーディオビデオクリップエレメントPRAVCPタグ内のデータと、セカンダリーオーディオビデオクリップエレメントSCAVCP内のタグ内データ、及び図５５に示すサブスティテュートオーディオビデオクリップエレメントSBAVCPのタグ内データと、サブスティテュートオーディオクリップエレメントSBADCPのタグ内データ、図５６内アドバンストサブタイトルセグメントエレメントADSTSGのタグ内データと、アプリケーションセグメントエレメントAPPLSGのタグ内データに用いられる時間関連情報間の説明について図５３を用いて行う。
【０４９６】
本実施形態において、各再生表示オブジェクトのユーザへの表示タイミングをタイトルタイムラインTMLE上の表示開始時間TTSTTMと終了時間TTEDTMを用いてプレイリストファイルPLLST内に記述する。プレイリストファイルPLLST内のオブジェクトマッピングインフォメーションOBMAPI上では、この時のタイトルタイムラインTMLE上の開始時間TTSTTMを、titleTimeBegin属性情報で記述する。また同様、タイトルタイムラインTMLE上の終了時間TTEDTMはtitleTimeEnd属性情報に記述する。本実施形態における前記タイトルタイムラインTMLE上の開始時間TTSTTMと終了時間TTEDTMは、タイトルタイムラインTMLE上のカウント数で表される。前記タイトルタイムラインTMLE上の時間表示方法としてはタイトルタイムラインTMLEの開始時間からの経過時間を“HH:MM:SS:FF”で記述される。すなわち、前記時間表示方法における“HH”は時間単位を意味し、“00”から“23”までの値が入る。また、“MM”は分単位を表し、“00”から“59”までの数字が入る。また、“SS”は秒単位を意味し、“00”から“59”までの値が入る。さらに“ＦF”はフレームレートを意味し、1秒間に50フレーム（50fps：PAL系）の場合には“ＦF”の値として“00”から“49”までのカウント数が入り、“ＦF”が“50”になった時に1秒として繰り上がる。またフレームレートが60ヘルツ系（60fps：NTSC系）の場合には、カウント値として“ＦF”の値が“00”から“59”までの値が入る。この場合には、“ＦF”の値が60になった段階で1秒経過したとみなし、秒の値に繰り上がる。タイトルタイムラインTMLE上の開始時間TTSTTM（titleTimeBegin）で再生を開始する再生・表示オブジェクト（プライマリーエンハンストビデオオブジェクトデータP-EVOBまたはセカンダリーエンハンストビデオオブジェクトデータS-EVOBなど）内の開始場所をエンハンストビデオオブジェクトデータEVOB上の開始位置VBSTTM（clipTimeBegin属性情報）で表す。前記エンハンストビデオオブジェクトデータEVOB上の開始位置VBSTTM（clipTimeBegin属性情報）の値はプライマリーエンハンストビデオオブジェクトデータP-EVOB（またはセカンダリーエンハンストビデオオブジェクトデータS-EVOB）内におけるビデオストリームのコードフレームのプレゼンテーションスタートタイム（プレゼンテーションタイムスタンプ値）PTSにより記述される。図１２に示すようにプレイリストPLLSTからはプライマリービデオセットのタイムマップPTMAPまたはセカンダリービデオセットのタイムマップSTMAPを参照し、前記タイムマップPTMAP、STMAPを経由してエンハンストビデオオブジェクトEVOBへアクセスする。前記タイムマップPTMAP、STMAPは、指定された時間情報からエンハンストビデオオブジェクトEVOB内の相対的なアドレス情報への変換に用いられる。従ってエンハンストビデオオブジェクトデータEVOB上の開始位置VBSTTM（clipTimeBegin属性情報）の値として時間情報であるプレゼンテーションスタートタイム（プレゼンテーションタイムスタンプ値）PTSにより指定することにより上記のアクセス制御が容易になるという効果が生まれる。
【０４９７】
また、再生表示オブジェクトであるプライマリービデオセットPRMVSのエンハンストビデオオブジェクトデータP-EVOBまたはセカンダリービデオセットSCDVSのエンハンストビデオオブジェクトデータS-EVOBの全再生期間OBTPTを定義する。上記4種類の時間情報に対し、本実施形態では以下の条件を定義している。
【０４９８】
titleTimeBegin ＜ titleTimeEnd
titleTimeEnd ≦ titleDuration
上記条件を課する事により表示時間のオーバーフローを防止すると共に時間管理制御の容易性を確保している。上記関係式におけるtitleDurationに関する属性情報は、図２４に示すタイトルエレメント情報TTELEMのタグ内（タイトルの属性情報TTATRI）に存在し、タイトルタイムラインTMLE上でのタイトル全体の時間的な長さ情報TTDURを意味している。更に本実施形態においては、
clipTimeBegin ＋ titleTimeEnd − titleTimeBegin ≦ オブジェクトデータの全再生期間OBTPT
の条件も設定している。上記条件を設定することによりタイトルタイムラインTMLE上で指定する再生時間範囲がエンハンストビデオオブジェクトデータEVOBの全再生期間OBTPTをはみ出すことなく、安定な再生・管理を保証している。再生表示オブジェクトであるプライマリービデオセットPRMVSのエンハンストビデオオブジェクトデータP-EVOBまたはセカンダリービデオセットSCDVSのエンハンストビデオオブジェクトデータS-EVOBに関しては、前述したようにプライマリービデオセットPRMVSのタイムマップファイルPTMAPまたはセカンダリービデオセットSCDVSのタイムマップファイルSTMAPを参照することになっている（図１２参照）。前記エンハンストビデオオブジェクトデータEVOB上の開始位置VBSTTMの情報（clipTimeBegin属性情報）は、前記プライマリービデオセットPRMVSのタイムマップファイルPTMAPまたはセカンダリービデオセットSCDVSのタイムマップファイルSTMAPを参照する事により、情報記憶媒体DISC上の再生開始する場所を表す物理的なアドレス情報に変換される。それにより、図１に示す情報記録再生装置1内の情報記録再生部2の中に存在する光学ヘッド（図示していない）が指定された情報記憶媒体DISC上のアドレス位置に直接アクセスし、それにより前記エンハンストビデオオブジェクトデータEVOB上の開始位置VBSTTM（clipTimeBegin属性情報）のところから再生開始する事が出来る。また再生表示する事にあたり、アドバンストコンテンツADVCTのビデオタイトルセットインフォメーションファイルADVTSIの情報を利用し、アドバンストコンテンツ再生部ADVPL内のデコーダーエンジンDCDENの各種条件設定を行う事が出来る。
【０４９９】
＜Presentation Clip element and Object Mapping Information ＞
オブジェクトマッピングインフォメーションOBMAPIは、タイトルタイムラインTMLE上で各種再生表示オブジェクトの表示有効期間を持つ。前記表示有効期間は、タイトルタイムラインTMLE上の開始時間TTSTTM（titleTimeBegin）からタイトルタイムラインTMLE上の終了時間TTEDTM（titleTimeEnd）までの期間を意味している。タイトルタイムラインTMLE上において、オブジェクトマッピングインフォメーションOBMAPI上に複数のプライマリーオーディオビデオクリップエレメントPRAVCPが記述されている場合には、タイトルタイムラインTMLE上において、互いのプライマリーオーディオビデオクリップエレメントPRAVCP間でオーバーラップしてはならない。すなわち、本実施形態において、図３７に示すようにプライマリーオーディオビデオPRMAVに対応したメインビデオデコーダーMVDECは1個しか存在しない。その為、複数のプライマリーオーディオビデオクリップエレメントPRAVCP間でタイトルタイムラインTMLE上の表示期間が重なると、前記メインビデオデコーダーMVDEC上でデコードすべきオブジェクトが衝突してしまい、安定に再生する事が出来なくなる。その為、上記条件を設定することにより、ユーザへの表示画面の安定化を確保する事が出来る。同様にタイトルタイムラインTMLE上において、オブジェクトマッピングインフォメーションOBMAPIの中に複数のセカンダリーオーディオビデオクリップエレメントSCAVCPを記述する場合には、各セカンダリーオーディオビデオクリップエレメントSCAVCP間で、お互いにタイトルタイムラインTMLE上でのオーバーラップがあってはならない。セカンダリーオーディオビデオクリップエレメントSCAVCPで管理されるセカンダリーオーディオビデオSCDAVには、図１０に示すようにサブビデオSUBVDとサブオーディオSUBADが含まれる。図３７に示すように、セカンダリーオーディオビデオをデコードするサブビデオデコーダーSVDECも1個しか存在しない為、互いにオーバーラップするとサブビデオデコーダーSVDEC上で混乱が起きる。その為、安定に動画を表示する為に同様に上記の制限が加わっている。オブジェクトマッピングインフォメーションOBMAPI上に、複数のサブスティテュートオーディオクリップエレメントSBADCPが存在する場合には、タイトルタイムラインTMLE上で各サブスティテュートオーディオクリップエレメントSBADCPの有効期間が互いに重なってはならない。前記オブジェクトマッピングインフォメーションOBMAPI内に複数のサブスティテュートオーディオビデオクリップエレメントSBAVCPが存在する場合にも、タイトルタイムラインTMLE上の各サブスティテュートオーディオビデオクリップエレメントSBAVCPの有効期間が互いに重なってはならない。また、本実施形態としてはプライマリーオーディオビデオクリップエレメントPRAVCPのタイトルタイムラインTMLE上の有効期間とサブスティテュートオーディオビデオクリップエレメントSBAVCPのタイトルタイムラインTMLE上での有効期間が互いに重なってはならない。更に、本実施形態においてはサブスティテュートオーディオビデオクリップエレメントSBAVCP、セカンダリーオーディオビデオクリップエレメントSCAVCP、及びサブスティテュートオーディオクリップエレメントSBADCPのタイトルタイムラインTMLE上の有効期間も互いに重なってはならない。これらの条件を設定する事により、各種デコーダー上で表示すべき再生表示オブジェクトの重なりを防止し、ユーザに表示する画面の安定性を確保する事が出来る。
【０５００】
ユーザに表示する画面の安定性を確保する他の方法として、本実施形態においては図１内に記述された情報記録再生部2内に存在する光学ヘッド（図示していないが）のアクセス頻度を低下させるための以下の工夫を行っている。図５４と図５５  において、各種クリップエレメントタグ内に再生表示オブジェクトの保存場所SRCTMPがsrc属性情報（ソース属性情報）として記録されている。タイトルタイムラインTMLE上の有効期間が互いに重なる複数のクリップエレメント内に記載されているsrc属性情報の値が重複して情報記憶媒体DISCに設定されないように本実施形態では規定されている。すなわち、複数のクリップエレメントで指定された再生表示オブジェクトのタイトルタイムラインTMLE上の有効期間が重なると、同一情報記憶媒体DISC上のアクセス頻度が増し、前記再生表示オブジェクトの再生時の連続性が確保されなくなる。その為、本実施形態において上記条件を設定するだけでなく、さらに下記に説明する工夫を行っている。すなわち上記条件を設定してもやむを得ず同一の情報記憶媒体DISCに保存された複数の再生表示オブジェクトのタイトルタイムラインTMLE上での表示期間が重複した場合にはプライマリーオーディオビデオクリップエレメントPRAVCP以外のクリップエレメントで管理される再生表示オブジェクトに対してはデータキャッシュDTCCH内に事前に一時保存し、前記データキャッシュDTCCHからデータを再生する事で情報記憶媒体DISCへのアクセス頻度を減らし、再生の連続性を確保する事が出来る。
【０５０１】
本実施形態において、プレイリストファイルPLLSTに記載される情報の中身は図２３(a)に示すように構造情報CONFGI、メディア属性情報MDATRI及びタイトル情報TTINFOが存在する。前述したタイトル情報TTINFOの中には、図２３(b)に示すようにファーストプレイタイトルエレメントFPTELE、各タイトル毎に関するタイトルエレメント情報TTELEMとプレイリストアプリケーションエレメントPLAELEが存在し、前記タイトルエレメント情報TTELEMの中には図２３(c)に示すようにオブジェクトマッピングインフォメーションOBMAPI、リソースインフォメーションRESRCI、プレイバックシーケンスインフォメーションPLSQI及びトラックナビゲーションインフォメーションTRNAVIとスケジュールドコントロールインフォメーションSCHECIが存在する。前記オブジェクトマッピングインフォメーションOBMAPIの中は、図２４(c)に示すようにプライマリーオーディオビデオクリップエレメントPRAVCP、サブスティテュートオーディオビデオクリップエレメントSBAVCP、サブスティテュートオーディオクリップエレメントSBADCP、セカンダリーオーディオビデオクリップエレメントSCAVCP、アドバンストサブタイトルセグメントエレメントADSTSG及びアプリケーションセグメントエレメントAPPLSGが記録可能になっている。前記プライマリーオーディオビデオクリップエレメントPRAVCPの詳細なデータ構造を図５４(c)に示す。図５４(b)に示すように、プライマリーオーディオビデオクリップエレメントPRAVCPのタグ内のデータ構造はプライマリーオーディオビデオクリップエレメントPRAVCPのID情報PRAVIDとプライマリーオーディオビデオクリップエレメントPRAVCPの属性情報PRATRIから構成されている。前記プライマリーオーディオビデオクリップエレメントPRAVCPのID情報PRAVIDは、図５４(c)に示すように“id=”と記述した後、プライマリーオーディオビデオクリップエレメントPRAVCPのID情報PRAVIDが記述される。同様に、前記セカンダリーオーディオビデオクリップエレメントSCAVCPの具体的なデータ構造を図５４(d)に示す。セカンダリーオーディオビデオクリップエレメントSCAVCPタグ内のデータ構造はセカンダリーオーディオビデオクリップエレメントSCAVCPのID情報SCAVIDとセカンダリーオーディオビデオクリップエレメントSCAVCPの属性情報SCATRIから構成されている。
【０５０２】
＜プライマリーオーディオビデオクリップエレメント（PrimaryAudioVideoClip element）＞
前記プライマリーオーディオビデオクリップエレメントPRAVCPは、図１８に示すようにプライマリーオーディオビデオPRMAVに関する再生表示クリップエレメントを意味する。前記プライマリーオーディオビデオクリップエレメントPRAVCP内には、プライマリーオーディオビデオPRMAVのオブジェクトマッピングインフォメーションOBMAPIの内容と、プライマリーオーディオビデオPRMAVのトラックナンバーアサイメントインフォメーションが記述されている。前記プライマリーオーディオビデオクリップエレメントPRAVCPは、再生表示オブジェクトとしてプライマリーエンハンストビデオオブジェクトP-EVOBまたはプライマリーエンハンストビデオオブジェクトP-EVOBのインターリーブドブロックに関する再生表示管理情報が記述されている。また、オブジェクトマッピングインフォメーションOBMAPI内にはタイトルタイムラインTMLE上の再生表示オブジェクト(プライマリーエンハンストビデオオブジェクトP-EVOB)のタイトルタイムラインTMLE上のマッピング状況(図１７内のオブジェクトマッピングインフォメーションOBMAPI部分を参照)と、前記プライマリーエンハンストビデオオブジェクトP-EVOB内の各種エレメンタリーストリームに関するトラックナンバーアサイメント情報が記述されている。図５４(c)及び(d)における“src属性情報（ソース属性情報）”とは、プライマリーオーディオビデオクリップPRAVCPが管理する再生表示オブジェクト（プライマリーオーディオビデオPRMAVのプライマリーエンハンストビデオオブジェクトデータP-EVOB）に対するインデックスインフォメーションファイル（プライマリービデオセットのタイムマップファイルPTMAP）の保存場所SRCTMP又はセカンダリーオーディオビデオクリップSCAVCPが管理する再生表示オブジェクト（セカンダリーオーディオビデオSCDAVのセカンダリーエンハンストビデオオブジェクトデータS-EVOB）に対するインデックスインフォメーションファイル（セカンダリービデオセットのタイムマップファイルSTMAP）の保存場所SRCTMPを意味している。前記インデックスインフォメーションファイルの保存場所SRCTMPは、URI(ユニフォーム・リソース・アイデンティファイヤー)の形式に従って記述される。
【０５０３】
図５４(c)に示すプライマリーオーディオビデオクリップエレメントPRAVCPタグ内の参照すべき再生表示オブジェクトのインデックスインフォメーション保存場所SRCTMPとして本実施形態は上記記載内容に限らず、プライマリーエンハンストビデオオブジェクトデータP-EVOBまたはプライマリービデオエンハンストビデオオブジェクトデータP-EVOBのインターリーブドブロックに対応したインデックスインフォメーションファイル（プライマリービデオセットのタイムマップPTMAPまたはセカンダリービデオセットのタイムマップSTMAP）の保存場所を設定することもできる。すなわち、図１８に示すようにプライマリーオーディオビデオクリップエレメントPRAVCPで再生・使用時にインデックスとして表示されるファイル名はプライマリービデオセットのタイムマップファイルPTMAPであり、前記プライマリービデオセットのタイムマップファイルPTMAPが記録されている場所が“SRC属性情報”内に記述される。タイトルタイムラインTMLE上の開始時間TTSTTM（titleTimeBegin属性情報）とタイトルタイムラインTMLE上の終了時間TTEDTM（titleTimeEnd属性情報）は、図５３に示すように前記プライマリーエンハンストビデオオブジェクトデータP-EVOBまたはプライマリーエンハンストビデオオブジェクトデータP-EVOBの（インターリーブドブロックの）有効期間の開始時間と終了時間をそれぞれ表している。また、エンハンストビデオオブジェクトデータEVOB上の開始位置VBSTTM（clipTimeBegin属性情報）は、プライマリービデオセットPRMVSのプライマリーエンハンストビデオオブジェクトデータP-EVOBの開始位置VBSTTMを意味しており、プライマリーエンハンストビデオオブジェクトデータP-EVOB内に存在するビデオストリームのプレゼンテーションスタートタイム（プレゼンテーションタイムスタンプ値）PTSにより表現する（図５３参照）。前記３種類の時間情報はプライマリーオーディオビデオクリップエレメントPRAVCP内において“HH:MM:SS:FF”で表示され、“時間:分:秒:フィールド（フレーム数）”により記述される。図１０に示すようにプライマリーオーディオビデオPRMAV内には、メインビデオMAMVD、メインオーディオMANAD、サブビデオSUBVD、サブオーディオSUBAD、および副映像SUBPTが含まれる。それに対応して、プライマリーオーディオビデオクリップエレメントPRAVCPの中身はメインビデオエレメントMANVD、メインオーディオエレメントMANAD、サブタイトルエレメントSBTELE、サブビデオエレメントSUBVDとサブオーディオエレメントSUBADのリストから構成されている。また前記リストはプライマリーエンハンストビデオオブジェクトデータP-EVOBSの内における各エレメンタリーストリームのトラックナンバーアサイメントインフォメーション（各エレメンタリーストリーム毎のトラック番号設定情報）をも含んでいる。本実施形態において、マルチアングル等に対応した各アングル毎の映像情報が混在されて情報記憶媒体DISCに記録されている場合には、前記プライマリーエンハンストビデオオブジェクトデータP-EVOBがインターリーブドブロックの形で情報が記憶されている事になる。このように、インターリーブドブロックを構成しているプライマリーエンハンストビデオオブジェクトデータP-EVOBに対して、前記プライマリーオーディオビデオクリップエレメントPRAVCPにより管理情報が記録��れている場合には、前記メインビデオエレメントMANVDはインターリーブドブロック内の表示可能なアングル番号情報についてトラックナンバーアサイメント（トラック番号）の設定方法が記述されている。すなわち、後述するようにメインビデオエレメントMANVDに対応したタグ情報内にアングル番号（図５９（ｃ）インターリーブドブロック内で選択されるアングル番号情報ANGLNM（angleNumber属性情報））が規定されており、前記メインビデオエレメントMANVDのタグ情報内で表示されるべきアングル番号を対応させる事が出来る。メインオーディオエレメントMANADは、プライマリーエンハンストビデオオブジェクトデータP-EVOB内におけるどのオーディオストリーム（AM_PCK）が再生可能になっているかを表し、それらはオーディオトラック番号により設定される。また、サブタイトルエレメントSBTELEはエンハンストビデオオブジェクトデータP-EVOBにおけるどの副映像ストリーム（SP_PCK）が再生可能かを表し、サブタイトルトラック番号により設定される。また、サブオーディオエレメントSUBADは、プライマリーエンハンストビデオオブジェクトデータP-EVOBにおけるどの副映像ストリーム（SP_PCK）が再生可能かを表し、サブオーディオトラック番号により設定される。更にサブビデオエレメントSUBVDは、プライマリーエンハンストビデオオブジェクトデータP-EVOBの中でのサブビデオストリーム（VS_PCK）の表示可能性を記述している。もし、上記プレイリストファイルPLLST内のオブジェクトマッピングインフォメーションOBMAPI内に前記サブビデオエレメントSUBVDの記述がある場合には、プライマリービデオセットPRMVSのエンハンストビデオオブジェクトデータP-EVOB内におけるサブビデオストリームが再生可能であり、その場合にはサブビデオ番号が“１”に設定される。
【０５０４】
以下にプライマリーオーディオビデオクリップエレメントの属性情報PRATRI内のデータについて説明を行う。各情報は図５４(c)に示すように、“dataSource=”、“titleTimeBegin=”、“clipTimeBegin=”、“titleTimeEnd=”、“src=”、“seamless=”および“description=”のそれぞれの直後に情報が記載される形になっている。図１８に示すように、プライマリーオーディオビデオPRMAVは情報記憶媒体DISC内に記録されている。それに対応して再生表示オブジェクトが記録されているデータソースDTSORCの値は、“Disc”を記入しなければならない。前記再生表示オブジェクトが記録されているデータソースDTSORCの値として“Disc”が記録されている場合には、対応するプライマリーオーディオビデオPRMAVのプライマリーエンハンストビデオオブジェクトデータP-EVOBは情報記憶媒体DISC内に記録されている事を示している。前記再生表示オブジェクトが記録されているデータソースDTSORCは、前記プライマリーオーディオビデオクリップエレメントPRAVCP内での記載を省く事が出来るが、もし前記再生表示オブジェクトが記録されているデータソースDTSORCの情報が記述されない場合には、これに対応した前記再生表示オブジェクトが記録されているデータソースDTSORCは“Disc”の情報が入るものとみなされる。また図５３に示すように前記タイトルタイムラインTMLE上の開始時間TTSTTM（titleTimeBegin）と前記エンハンストビデオオブジェクトデータEVOB上の開始位置VBSTTM（clipTimeBegin）は、互いに時間軸上で同期した時間を表している。すなわち“HH:MM:SS:FF”の標記方法に基づくフレームカウント数で表示されるタイトルタイムラインTMLE上の開始時間TTSTTM（titleTimeBegin）とビデオストリーム内でのプレゼンテーションスタートタイム（プレゼンテーションタイムスタンプ値）PTSで表示されるエンハンストビデオオブジェクトデータEVOB上の開始位置VBSTTMとの間の対応関係を上記の情報により得ることが可能となる。従って上記の関係を利用し、タイトルタイムライン上の開始時間TTSTTM（titleTimeBegin）から終了時間TTEDTM（titleTimeEnd）に至る有効期間内におけるタイトルタイムラインTMLE上の任意の時間からエンハンストビデオオブジェクトデータEVOB上でのビデオストリーム内のプレゼンテーションスタートタイム（プレゼンテーションタイムスタンプ値）PTSに換算することが可能となる。前記プライマリーオーディオビデオクリップエレメントPRAVCP上では、前記エンハンストビデオオブジェクトデータEVOB上の開始位置VBSTTM（clipTimeBegin）の情報の記載を省く事が出来る。もし、前記エンハンストビデオオブジェクトデータEVOB上の開始位置VBSTTM（clipTimeBegin）の記載を省いた場合には、プライマリービデオセットPRMVSのプライマリーエンハンストビデオオブジェクトデータファイルP-EVOBの先頭位置から再生を開始することになる。本実施形態において、前記プライマリーオーディオビデオクリップに関する付加情報の前記プライマリーオーディオビデオクリップエレメントタグ内での記述を省く事が出来る。また、シームレスフラグ情報SEAMLS（seamless属性情報）は、前記プライマリーオーディオビデオクリップエレメントPRAVCPが管理するプライマリーオーディオビデオPRMAVのつなぎ目をシームレスに（途中で途切れる事なく連続して）再生できることを保証するか否かの情報を示している。前��値が“true”の場合には、タイトルタイムラインTMLE上で直前にマッピングされた別のプライマリーオーディオビデオPRMAVから前記プライマリーオーディオビデオクリップエレメントPRAVCPが管理するプライマリーオーディオビデオPRMAVへの再生の切替を直接行う場合にその間のつなぎ目で映像が途切れる事なく連続してスムーズにつながる事を保証している。また、前記の値が“false”の場合には前記のつなぎ目での連続再生（シームレス条件）が満足されない事を示している。前記シームレスフラグ情報SEAMLS（seamless属性情報）の記載を省く事が可能であり、その場合にはデフォルト値である“false”の値が自動的に設定される。
【０５０５】
本実施形態において、オブジェクトマッピングインフォメーションOBMAPI内の各クリップエレメントタグ内に記述される情報は、全て共通して“ID = ID情報”が最初の位置に記述される（図５５/図５６を参照）事を特徴としている。それにより、同一オブジェクトマッピングインフォメーションOBMAPI内に同じ種類のクリップエレメントを複数設定出来る（同じ種類のクリップエレメント間は上記“ID情報”により互いの識別は可能）だけで無く、プレイリストマネージャPLMNG（図２８参照）による各クリップエレメントの識別が容易となり、起動時の再生開始までの時間の短縮化が図れるという効果がある。更に図８２に示すように前記の“ID情報”を用いてAPIコマンドにより必要なクリップエレメントを指定することが可能となり、APIコマンド処理が容易となる。同時に、オブジェクトマッピングインフォメーションOBMAPI内の各クリップエレメントタグ内に記述される情報は全て共通して“description=付加情報”が最後の位置に記述される（図５５/図５６を参照）という特徴もある。それにより、プレイリストマネージャPLMNG（図２８参照）による各クリップエレメント毎の“付加情報”の検索が容易になるという効果が存在する。また、本実施形態においてオブジェクトマッピングインフォメーションOBMAPI内の各クリップエレメントタグ内に記述される情報は、クリップエレメントタグの種類に依らず全て共通して“titleTimeBegin=[タイトルタイムライン上の開始時間TTSTTM]”が最初に記述され、その後ろに“titleTimeEnd=[タイトルタイムライン上の終了時間TTEDTM]”が配置されており、クリップエレメントタグによってはその間に“clipTimeBegin=[エンハンストビデオオブジェクトデータ上の先頭位置からの開始時間VBSTTM]”を挿入配置する事が出来る。このように３種類の時間情報に対する記述順序が全てのクリップエレメントタグ内で共通する事により、プレイリストマネージャPLMNG（図２８参照）による各クリップエレメント内での関連情報検索の容易化と高速化を図る事が出来る。
【０５０６】
＜セカンダリーオーディオビデオクリップエレメント（SecondaryVideoClip element）＞
以下に図５４(d)に示すセカンダリーオーディオビデオクリップエレメントSCAVCPタグ内のデータ構造について説明をする。図１８に示すように前記セカンダリーオーディオビデオクリップエレメントSCAVCPは、セカンダリーオーディオビデオSCDAVに対する再生表示クリップエレメントを表している。前記セカンダリーオーディオビデオSCDAVは、セカンダリービデオセットSCDVSのセカンダリーエンハンストビデオオブジェクトデータS-EVOBの中に存在しており、その中にサブビデオストリームSUBVDとサブオーディオストリームSUBADを含んでいる。前記セカンダリーオーディオビデオクリップエレメントSCAVCPは、タイトル内におけるセカンダリーオーディオビデオSCDAVのオブジェクトマッピングインフォメーションOBMAPIを示している。また同時に、前記セカンダリーオーディオビデオクリップエレメントSCAVCPはセカンダリーオーディオビデオSCDAVのセカンダリーエンハンストビデオオブジェクトデータS-EVOB内における各エレメンタリーストリームのトラックナンバーアサイメントインフォメーションの情報も表している。図１８に示すようにセカンダリーオーディオビデオSCDAVは情報記憶媒体DISK、パーシステントストレージPRSTR、ネットワークサーバNTSRVおよびファイルキャッシュFLCCH内に記録する事が出来る。従って、前記セカンダリーオーディオビデオSCDAVは、情報記憶媒体DISCやネットワークサーバNTSRVに記録されているだけで無く、事前にパーシステントストレージPRSTRやファイルキャッシュFLCCH内にダウンロードしても良い。図５４(d)に示すSRC属性情報（ソース属性情報）は、再生表示オブジェクトであるセカンダリーオーディオビデオSCDAVのセカンダリーエンハンストビデオオブジェクトデータS-EVOBに関するインデックスインフォメーションファイルの保存場所SRCTMPを表している。図１８に示すように、セカンダリーオーディオビデオSCDAVの再生・使用時にインデックスとして参照されるファイル（インデックスインフォメーションファイル）はセカンダリービデオセットのタイムマップファイルSTMAPを意味している。また、タイトルタイムライン上の開始時間TTSTTM（titleTimeBegin）とタイトルタイムライン上の終了時間TTEDTM（titleTimeEnd）の情報は、それぞれセカンダリーエンハンストビデオオブジェクトデータS-EVOBの有効期間における開始と終了時間を表している。また図５３に示すように、エンハンストビデオオブジェクトデータ上の開始位置VBSTTM（clipTimeBegin）はセカンダリーエンハンストビデオオブジェクトデータS-EVOBの開始位置を時間情報で表している。前記セカンダリーオーディオビデオクリップエレメントSCAVCP内においても、前記３種類の時間情報は“HH:MM:SS:FF”の“時間:分:秒:フィールド（フレーム数）”により表される。プライマリーオーディオビデオセットPRMVS内のサブビデオSUBVDとサブオーディオSUBADに対して、前記セカンダリーオーディオビデオSCDAV内のサブビデオSUBVDとサブオーディオSUBADは二者択一の状態で使用され、同時に再生する事が出来ず、どちらか一方のみがそれぞれ再生可能な形となっている。従って、オブジェクトマッピングインフォメーションOBMAPI内においてはプライマリービデオセットPRMVS内のサブビデオSUBVDとサブオーディオSUBADのタイトルタイムラインTMLE上での有効期間と前記セカンダリーオーディオビ���オクリップエレメントSCAVCPに記載された有効期間とは互いにタイトルタイムラインTMLE上で重ならないように配置されなければならない。このようにオブジェクトマッピングインフォメーションOBMAPI上で制約をつけることにより、アドバンストコンテンツ再生部ADVPL内での再生表示処理の衝突を防止し、ユーザに対して安定に表示させる事が出来るという効果がある。前記セカンダリーオーディオビデオクリップエレメントSCAVCP内には、サブビデオエレメントSUBVDとサブオーディオエレメントSUBADが含まれる。また、前記セカンダリーオーディオビデオクリップエレメントSCAVCP内のサブビデオエレメントSUBVDとサブオーディオエレメントSUBADが、セカンダリービデオセットエンハンストビデオオブジェクトデータS-EVOB内における各エレメンタリーストリームに対するトラックナンバーアサイメントインフォメーションを表している。図１０に示すようにセカンダリーオーディオビデオSECDAV内には、サブビデオSUBVDとサブオーディオSUBADを含むことができる。それに対応し、本実施形態においてはセカンダリーオーディオビデオクリップエレメントSCAVCP内では少なくともサブビデオエレメントSUBVDの1個またはサブオーディオエレメントSUBADの1個のみを記述する事が出来る。また本実施形態においては、サブビデオトラック番号とサブオーディオトラック番号は共に“１”を設定しなくてはならない。前記セカンダリーオーディオビデオクリップエレメントSCAVCP内にサブビデオエレメントSUBVDが記述されている場合には、セカンダリーエンハンストビデオオブジェクトデータS-EVOB内のVS_PCK（セカンダリービデオパック）内にサブビデオストリームが存在している事を意味し、前記サブビデオストリームはセカンダリービデオレコーダ（図３７参照）によりレコード処理されなければならない。また同様に、前記セカンダリーオーディオビデオクリップエレメントSCAVCP内にサブオーディオエレメントSUBADが記述されている場合には、セカンダリーエンハンストビデオオブジェクトデータS-EVOBのAS_PCK（セカンダリーオーディオパック）内にサブオーディオストリームが含まれている事を意味し、そのサブオーディオストリームはセカンダリービデオプレーヤSCDVPに対応したデコーダー（図３７参照）によりレコード処理されなければならない。再生表示オブジェクトが記録されているデータソースDTSORCを示すデータソース属性情報の内容がネットワークサーバNTSRVを意味し、“dataSource=Network”と記述された場合には、前記セカンダリーオーディオビデオクリップエレメントSCAVCP内にネットワークソースエレメントNTSELEを記述しなければならない。また、その時に参照すべき表示再生オブジェクトのインデックスインフォメーションファイル保存場所SRCTMPを記述するsrc属性情報の値としては“http”または“https”から始まるアドレス情報の値が記述されなければならない。前記ネットワークソースエレメントNTSELE内にはネットワークのスループット（データ転送レート）に応じて選択すべきストリーミングソースの内容が記述されている。それにより、ユーザのネットワーク環境（ネットワーク転送速度）に応じて最適な映像情報をユーザに提供する事が出来るという効果が存在する。再生表示オブジェクトが記録されているデータソースDTSORCの内容が��述されるデータソース属性情報の中には“dataSource=”の後ろに“Disc”、“P-Storage”、“Network”または“FileCache”のいずれかの情報が入る。もし、この値として“Disc”を記述された場合にはセカンダリーエンハンストビデオオブジェクトデータS-EVOBは、情報記憶媒体DISC内に記録されてなければならない。もし、この値が“P-Storage”と記述された場合には、セカンダリーエンハンストビデオオブジェクトデータS-EVOBはパーシステントストレージPRSTR内に記録されている事を示している。もし、前記データソース属性情報の値が“Network”と記述された場合には、セカンダリーエンハンストビデオオブジェクトデータS-EVOBはネットワークサーバNTSRVから供給されたストリーミングを意味している。また、前記データソース属性情報の値が“FileCache”と記述されている場合には、セカンダリーエンハンストビデオオブジェクトデータS-EVOBの情報はファイルキャッシュFLCCH内に保存されている事を意味している。本実施形態において前記src（ソース）属性情報の記述を省く事が出来るが、その場合にはデフォルト値である“P-Storage”の値が自動設定される（再生表示オブジェクトが記録されているデータソースDTSORCはパーシステントストレージPRSTR内に保存されている事を意味している）。
【０５０７】
本実施形態において、エンハンストビデオオブジェクトデータ上の開始位置VBSTTM（clipTimeBegin）の情報の記載を省く事が出来る。もし、前記エンハンストビデオオブジェクトデータ上の開始位置VBSTTM（clipTimeBegin）の情報記載が省かれた場合には、セカンダリーエンハンストビデオオブジェクトデータS-EVOBの先頭位置から再生を開始することを意味する。参照すべき再生表示オブジェクトのインデックスインフォメーションファイル保存場所SRCTMPが記録されるsrc属性情報にはURI（ユニフォーム・リソース・アイデンティファイヤー）の形で情報が記述される。図１２又は図１８に示すようにセカンダリーエンハンストビデオオブジェクトデータS-EVOBに対しては、プレイリストファイルPLLSTからはセカンダリービデオセットのタイムマップファイルSTMAPを参照する事になっている。従って、本実施形態において前記参照すべき再生表示オブジェクトのインデックスインフォメーションファイルの保存場所SRCTMPは、前記セカンダリービデオセットのタイムマップファイルSTMAPの保存場所を意味している。次に再生表示オブジェクトの取り込みを開始するタイトルタイムライン上の時間PRLOADの情報（preload属性情報）は、前記再生表示オブジェクトの取り込みをアドバンストコンテンツ再生部ADVPLが開始する時のタイトルタイムラインTMLE上の時間を表している。（図６５（a）参照。）また、本実施形態において前記情報の記述を省く事が出来る。更に再生表示オブジェクトの同期属性情報SYNCATを表すsync（シンク）属性情報の値として、セカンダリーオーディオビデオクリップエレメントタグSCAVCP内では“hard”“soft”“none”の３種類を選ぶことが出来る。もし、この値として“hard”を選択した場合には、前記セカンダリーオーディオビデオSCDAVはハード同期オブジェクトを意味する。この値が設定されると、対応するセカンダリーオーディオビデオSCDAVのタイトルタイムライン上の開始時間TTSTTM（titleTimeBegin）になってもデータキャッシュDTCCH内に前記セカンダリーオーディオビデオSCDAVのローディングが完了しない場合には、一時的にタイトルタイムラインTMLE上での時間進行を止め（ユーザに対して画面の静止状態を表示する期間となり）、ローディング終了後にタイトルタイムラインTMLE上での時間進行を再開する形となる。また前記同期属性情報（src属性情報）の値が“soft”の場合には、ソフト同期オブジェクトを意味する。この値が設定されると、対応するセカンダリーオーディオビデオSCDAVのタイトルタイムライン上の開始時間TTSTTM（titleTimeBegin）になってもデータキャッシュDTCCH内に前記セカンダリーオーディオビデオSCDAVのローディングが完了しない場合には、前記セカンダリーオーディオビデオSCDAVを表示させる事なくタイトルタイムラインTMLE上の時間進行を進め、前記ローディングが完了した時点で始めて（タイトルタイムライン上の開始時間TTSTTMより遅れた時間で）前記サカンダリーオーディオビデオSCDAVの再生を開始する。もし、前記シンク属性情報が“none”の場合には、セカンダリーエンハンストビデオオブジェクトデータS-EVOBがタイトルタイムラインTMLEと同期せず、非同期の状態で再生する事を意味している。セカンダリーオーディオビデオクリップエレメントSCAVCPタグ内では前記シンク属性情報SYNCATの記述を省く事が出��、もし記述が省かれた場合にはシンク属性情報値はデフォルト値である“soft”と設定される。ノーキャッシュ属性情報NOCACHを表すノーキャッシュ属性情報は、“true”または “false”のどちらかの値が記述される。前記ノーキャッシュ属性情報NOCACHはHTTPの通信プロトコルに関係した情報であり、もしこの値が“true”の場合にはHTTPのGETリクエストメッセージ内にCash-ControlヘッダーとPragmaヘッダーが含まれる必要がある事を意味している。セカンダリーオーディオビデオクリップエレメントSCAVCPに関する付加情報を表すディスクリプション属性情報内にはユーザが良く使うテキストフォーマットで記述される。前記付加情報はセカンダリーオーディオビデオクリップエレメントSCAVCPタグ内で記述を省く事が出来る。
【０５０８】
図２３(a)に示すように、プレイリストファイルPLLST内には構造情報CONFGI、メディア属性情報MDATRI、タイトル情報TTINFOが存在する。図２３(b)に示すように、前記タイトル情報TTINFO内には１以上のタイトルそれぞれにタイトルエレメント情報TTELEMが存在し、図２３(c)に示すように前記1個に対するタイトルエレメント情報TTELEM内はオブジェクトマッピングインフォメーションOBMAPI、リソースインフォメーションRESRCI、プレイバックシーケンスインフォメーションPLSQI、トラックナビゲーションインフォメーションTRNAVI、スケジュールドコントロールインフォメーションSCHECIが存在する。図５５に示すように、前記オブジェクトマッピングインフォメーションOBMAPI内にサブスティテュートオーディオビデオクリップエレメントSBAVCPとサブスティテュートオーディオクリップエレメントSBADCPが存在する。以下に図５５(c)に示すサブスティテュートオーディオビデオクリップエレメントSBAVCP内のデータ構造について説明を行う。
【０５０９】
＜サブスティテュートオーディオビデオクリップエレメント（SubstituteAudioVideoClip element）＞
図１８に示すようにサブスティテュートオーディオビデオSBTAVに関する再生表示クリップエレメントをサブスティテュートオーディオビデオクリップSBAVCPと呼ぶ。図１０に示すように、前記サブスティテュートオーディオビデオSBTAVはセカンダリービデオセットSCDVS内に含まれ、前記サブスティテュートオーディオビデオSBTAV内にメインビデオMANVDとメインオーディオMANADの情報が含まれる。前記サブスティテュートオーディオビデオクリップエレメントSBAVCPはタイトル内のサブスティテュートオーディオビデオSBTAVに関するオブジェクトマッピングインフォメーションOBMAPIの情報を説明している。また、前記サブスティテュートオーディオビデオクリップエレメントSBAVCPは前記サブスティテュートオーディオビデオSBTAVのセカンダリーエンハンストビデオオブジェクトデータS-EVOB内に含まれる各エレメンタリーストリームに関するトラックナンバーアサイメント情報をも示している。図１８に示すように、前記サブスティテュートオーディオビデオSBTAVは、元々記録されている場所として情報記憶媒体DISC、パーシステントストレージPRSTR、ネットワークサーバNTSRV、およびファイルキャッシュFLCCH内に記録する事が出来る。図１８に示すようにサブスティテュートオーディオビデオSBTAVに関する再生オブジェクトであるセカンダリーエンハンストビデオオブジェクトデータS-EVOBの再生使用時にインデックスとして参照されるファイル名はセカンダリービデオセットのタイムマップファイルSTMAPとなっている。従って、前記サブスティテュートオーディオビデオクリップSBAVCPタグ内で記述されるsrc属性情報（ソース属性情報）としては前記セカンダリービデオセットのタイムマップファイルSTMAPが記録されている保存場所SRCTMPの情報がURI（ユニフォーム・リソース・アイデンティファイヤー）の形式で記述される。図５５(b)に示すように前記サブスティテュートオーディオビデオクリップエレメントSBAVCP内にはメインビデオエレメントMANVDとメインオーディオエレメントMANADが含まれる。前記サブスティテュートオーディオビデオクリップエレメントSBAVCP内のメインビデオエレメントMANVDとメインオーディオエレメントMANADは対応するセカンダリーエンハンストビデオオブジェクトデータS-EVOB内における各エレメンタリーストリームのトラックナンバーアサイメント情報（トラック番号設定情報）に関する説明記述がなされている。もし、前記サブスティテュートオーディオビデオクリップエレメントSBAVCP内において前記メインビデオエレメントMANVDに関する記述が存在する場合には、セカンダリーエンハンストビデオオブジェクトデータS-EVOB内のメインビデオパックVM_PCK内におけるビデオストリームが存在し、かつ前記ビデオエレメントストリームが再生可能である事を示している。また同時に前記セカンダリーエンハンストビデオオブジェクトデータS-EVOBのメインビデオパックVM_PCK内のビデオストリーム毎には、指定されたビデオトラック番号が設定されている。また、もし前記サブスティテュートオーディオビデオクリップエレメントSBAVCP内に前記メインオーディオエレメントMANADに関する記述がなされている場合には前記セカンダリーエンハンストビデオオブジェクトデータS-EVOBのメインオーディオパックVM_PCK内におけるオーディオストリ��ムが存在し、かつ前記オーディオストリームが再生可能であることを示している。また前記セカンダリーエンハンストビデオオブジェクトデータS-EVOBのメインオーディオパックAM_PCK内におけるオーディオストリームは、それぞれ指定されたオーディオトラック番号が設定されている。また図５５(c)に示すサブスティテュートオーディオビデオクリップエレメントSBAVCP内の再生表示オブジェクトが記録されているデータソースDTSORC（dataSource属性情報）の値として“Network”が指定されている場合には、図５５(b)に示すようにサブスティテュートオーディオビデオクリップエレメントSBAVCP内にネットワークソースエレメントNTSELEの記述が存在する。また、このように再生表示オブジェクトが記録されているデータソースDTSORCの値が“Network”の場合には、参照すべき再生表示オブジェクトのインデックスインフォメーションファイル保存場所SRCTMP（SRC属性情報）の値が“http”または“https”から始まるアドレス情報（パス）とファイル名が記述される。また、図６３(c)に示すようにネットワークソースエレメントNTSELEは、指定されたネットワークのスループット（ネットワーク経路におけるデータ転送レートの許容最小値）に基づいて選択されるストリーミングソース（サブスティテュートオーディオビデオSBTAV内のメインビデオMANVDまたはメインオーディオMANADのコンテンツ内容）が記述されている。それによりユーザのネットワーク経路（例えば光ケーブル・ADSLまたはモデムなどによるネットワーク経路によるデータ転送レートが異なる）に基づく最適なデータソース（前記メインビデオMANVDまたはメインオーディオMANAD）をローディングする事が可能となる。例えば光ケーブルを用いた高速のデータ通信が可能なネットワーク環境においては、メインビデオMANVDとして高解像度の映像を転送する事が可能となる。また、それとは逆にモデム（電話回線）などによるデータ転送レートが低いネットワーク環境の場合には、高解像度のメインビデオMANVDの映像をダウンロードした場合には膨大なダウンロード時間が必要となる。その為、前記モデムなどのデータ転送レートが低いネットワーク環境の場合には解像度を大幅に落としたメインビデオMANVDのダウンロードをする事が出来る。このように複数のネットワークソースエレメントNTSELEに対応したダウンロード対象のデータまたはファイルを選別する事により、ユーザのネットワーク環境に最適なネットワークソースをダウンロードする事が可能となる。再生表示オブジェクトが記録されているデータソースDTSORC（dataSource属性情報）は、再生表示オブジェクトであるサブスティテュートオーディオビデオSBTAVのデータソースの記録されている場所のテリトリーを表している。図１８に示すようにサブスティテュートオーディオSBTAVが元々記録されている場所としては情報記憶媒体DISC、パーシステントストレージPRSTR、ネットワークサーバNTSRV又はファイルキャッシュFLCCHが存在する。それに応じて前記再生表示オブジェクトが記録されているデータソースDTSORCの値として“Disc”、“P-Storage”、“Network”および“FileCache”のいずれかの値が入る。前記再生表示オブジェクトが記録されているデータソースDTSORCの値として“Disc”と設定された場合には、セカンダリーエンハンストビデオオブジェクトデータS-EVOBは情報記憶媒体DISC内に記録されている事を意味している。また再生表示オブジェクトが記録されているデータソースDTSORCの値が“P-Storage”の場合には、あらかじめダウンロードされたコンテンツとしてセカンダリーエンハンストビデオオブジェクトデータS-EVOBはパーシステントストレージPRSTR内に記録されなければならない。前記再生表示オブジェクトが記録されているデータソースDTSORCの値が“Network”の場合には、セカンダリーエンハンストビデオオブジェクトデータS-EVOBがネットワークサーバNTSRVからストリーミングとして供給されていなければならない。更に前記再生表示オブジェクトが記録されているデータソースDTSORCの値が“FileCache”の場合には、対応するセカンダリーエンハンストビデオオブジェクトデータS-EVOBはファイルキャッシュFLCCH内に供給されなければならない。もし前記サブスティテュートオーディオビデオクリップエレメントの属性情報SVATRI内に前記再生表示オブジェクトが記録されているデータソースDTSORCの値が記述されていない場合には、前記再生表示オブジェクトが記録されているデータソースDTSORCの値としてデフォルト値である“P-Storage”の値が自動的に設定される。タイトルタイムライン上の開始時間TTSTTM（titleTimeBegin属性情報）及び、タイトルタイムライン上の終了時間TTEDTM（titleTimeEnd属性情報）はタイトルタイムラインTMLE上での再生表示オブジェクトであるサブスティテュートオーディオビデオSBTAV（セカンダリーエンハンストビデオオブジェクトデータS-EVOB）の開始時間TTSTTMおよび終了時間TTEDTMを表している。またそれらの時間は“HH:MM:SS:FF”の時間情報として表示される。前記エンハンストビデオオブジェクトデータ上の開始位置VBSTTMは図５３で示すようにタイトルタイムライン上の開始時間TTSTTM（titleTimeBegin）に対応して表示を開始するセカンダリーエンハンストビデオオブジェクトデータS-EVOB（サブスティテュートオーディオビデオSBTAV）上の位置を表し前記セカンダリーエンハンストビデオオブジェクトS-EVOB内のビデオストリームのプレゼンテーションスタートタイム（プレゼンテーションタイムスタンプ値）PTSにより値が指定される。前記のタイトルタイムライン上の開始位置TTSTTMの値とエンハンストビデオオブジェクトデータEVOB上の開始位置VBSTTMとの対応関係を利用し、有効期間内における任意位置でのタイトルタイムラインTMLE上での値からビデオストリーム内のプレゼンテーションスタートタイム（プレゼンテーションタイムスタンプ値）PTSを算出することが可能となっている。前記サブスティテュートオーディオビデオクリップエレメントSBAVCP内で前記エンハンストビデオオブジェクトデータEVOB上の開始位置VBSTTMの情報の記述を省くことができる。このようにサブスティテュートオーディオビデオクリップエレメントの属性情報SVATRI内に前記エンハンストビデオオブジェクトデータ上の開始位置VBSTTMの記載が省かれている場合には、対応するセカンダリーエンハンストビデオオブジェクトデータS-EVOBの先頭位置から再生が開始される。再生表示オブジェクトであるサブスティテュートオーディオビデオSBTAV（セカンダリーエンハンストビデオオブジェクトS_EVOB）が参照されるべきインデックスインフォメーションファイルの保存場所SRCTMP（SRC属性情報）は、URI（ユニフォーム・リソース・アイデンティファイヤー）の形式で記述される。図１８に示すように前記のインデックスとして参照されるファイルは、セカンダリービデオセットのタイムマップファイルSTMAPが記録されている場所を表している。また再生表示オブジェクトの取り込みを開始するタイトルタイムライン上の時間PRLOAD（preload属性情報）は、前記タイトルタイムライン上の開始時間TTSTTMと同じ時刻もしくはそれよりも先行する時刻に設定され、前記サブスティテュートオーディオSBTADをユーザに表示する前に事前にデータキャッシュDTCCH内にローディングをする時のローディング開始時間を表している。前記サブスティテュートオーディオビデオクリップエレメントの属性情報SVATRIから前記再生表示オブジェクトの取り込みを開始するタイトルタイムライン上の時間PRLOADの記述を省く事が出来る。更に再生表示オブジェクトの同期属性情報SYNCAT（sync属性情報）の値としては“hard”または“none”のいずれかの値が設定される。もし前記の値が“hard”の場合には、対応するサブスティテュートオーディオビデオSBTAVはハードシンクロナイズド（ハード同期）オブジェクトを表している。ユーザへ動画表示時に新たなサブスティテュートオーディオビデオSBTAVをデータキャッシュDTCCH内にローディングする必要が生じた場合について説明する。この場合には再生表示オブジェクトの取込みを開始するタイトルタイムライン上の時間PRLOADから前記サブスティテュートオーディオビデオSBTAVをデータキャッシュDTCCH内にローディング処理する。タイトルタイムライン上の開始時間TTSTTMまでにローディングが完了するか或はローディング途中であってもタイトルタイムライン上の終了時間TTEDTMまで前記サブスティテュートオーディオビデオSBTAVを間断なく再生・表示できる場合には、タイトルタイムライン上の開始時間TTSTTMから前記サブスティテュートオーディオビデオSBTAVの再生・表示を開始する。それに対し、前記ローディング処理が間に合わない場合、再生表示オブジェクトの同期属性情報SYNCATの値が“hard”と設定されている時にはタイ
トルタイムラインTMLE上の時間進行（カウントアップ）を一時的に停止し、ユーザに対して動画を静止した状態に保持する。その間に前記サブスティテュートオーディオビデオSBTAVを前記データキャッシュDTCCH内にローディング継続する。前記データキャッシュDTCCHへのローディング処理が終了した段階か又はローディング途中であってもタイトルタイムライン上の終了時間TTEDTMまで前記サブスティテュートオーディオビデオSBTAVを間断なく再生・表示できる段階に達した時に始めて前記タイトルタイムラインTMLEの時間進行（カウントアップ）が再開されると共にユーザに表示している動画像が動き出し、そしてサブスティテュートオーディオビデオSBTAVをユーザに表示する同期処理を開始する。また前記再生表示オブジェクトの同期属性情報SYNCATが“none”の場合には、非同期オブジェクトを表し、前記サブスティテュートオーディオSBTADはタイトルタイムラインTMLEの進行とは独自に（非同期状態）でユーザへの表示がなされる。前記サブスティテュートオーディオビデオクリップエレメントの属性情報SVATRI内から前記再生表示オブジェクトの同期属性情報SYNCATの記載を省く事が出来る。その場合には、デフォルト値である“hard”が自動設定される。更にノーキャッシュ属性情報NOCACHはHTTPTの通信プロトコルに関係した情報であり、“true”または“false”のいずれかの値が設定される。もし“true”の場合には、HTTPのGETリクエストメッセージ内にCach-ControlヘッダーとPragmaヘッダーが含まれる必要がある。また前記再生表示オブジェクトが記録されているデータソースDTSORCの値が“Network”と記載され、更に前記ノーキャッシュ属性情報NOCACHが“false”と指定された場合にはHTTPのGETリクエストメッセージ内にCach-ControlヘッダーとPragmaヘッダーが含まれない事を意味している。また前記ノーキャッシュ属性情報NOCACHの記述を省く事が出来るが、その場合はデフォルト値である“false”の値に自動的に設定される。サブスティテュートオーディオビデオクリップに関する付加情報としては、人に馴染みのあるテキストフォーマットで記述される。また、前記サブスティテュートオーディオビデオクリップSBAVCPに関する付加情報の記載を省く事が出来る。
【０５１０】
＜サブスティテュートオーディオクリップエレメント（SubstituteAudioClip element）＞
図１０に示すようにサブスティテュートオーディオSBTADはセカンダリービデオセットSCDVSのセカンダリーエンハンストビデオオブジェクトデータS-EVOB内に存在している。また前記サブスティテュートオーディオSBTADはメインオーディオMANADの情報を含み、プライマリービデオセットPRMVSのメインオーディオと選択的に（二者択一的に）表示再生される。すなわち本実施形態においてはプライマリービデオセットPRMVS内のメインオーディオMANADと前記サブスティテュートオーディオSBTADのメインオーディオMANADを同時にユーザに対して表示再生する事は出来ない。サブスティテュートオーディオクリップエレメントSBADCPは、タイトル内のサブスティテュートオーディオSBTADに関するオブジェクトマッピングインフォメーションOBMAPIの情報を示している。またそれと同時に前記サブスティテュートオーディオクリップエレメントSBADCPはサブスティテュートオーディオSBTADのセカンダリーエンハンストビデオオブジェクトデータS-EVOBにおける各エレメンタリーストリームのトラックナンバーアサイメント（トラック番号設定）の情報も示している。図１８に示すようにサブスティテュートオーディオSBTADは、情報記憶媒体DISC、パーシステントストレージPRSTR、ネットワークサーバNTSRVまたはファイルキャッシュFLCCH内に記録する事が出来る。図５５に示すように、サブスティテュートオーディオクリップエレメントSBADCP内には複数のメインオーディオエレメントMANADを含む事が出来る。また、その場合には前記サブスティテュートオーディオクリップエレメントSBADCP内のメインオーディオエレメントMANADはセカンダリーエンハンストビデオオブジェクトデータS-EVOBのメインオーディオパックAM_PCK内に含まれるメインオーディオストリームのオーディオトラック番号の設定情報が前記メインオーディオエレメントMANADの中に記述される。図５５(d)に記述された再生表示オブジェクトが記録されているデータソースDTSORCの値として“Network”と記述されている場合には、対応したサブスティテュートオーディオクリップエレメントSBADCP内にネットワークソースエレメントNTSELEが記述される。また、その場合には図５５(d)に示す参照すべき再生表示オブジェクトのインデックスインフォメーションファイル保存場所SRCTMPの値として“http”または“https”から始まるURI（ユニフォーム・リソース・アイデンティファイヤー）の情報が記述される。また情報記録再生装置１が接続されているネットワーク環境におけるネットワークスループット（データ転送レート）に基づき、最適に選択されるべきストリーミングソースのアクセス先情報が前記ネットワークソースエレメントNTSELEに記述されている。それにより上記サブスティテュートオーディオビデオクリップエレメントSBAVCPのところで説明したように情報記録再生装置１が自動的に最適に表示すべきサブスティテュートオーディオの情報を選択する事が出来る。図５５(d)に示すようにサブスティテュートオーディオクリップエレメントSBADCPタグ内にID情報SCAVIDを記述する事で、同一のタイトル内のタイトルタイムラインTMLE上での異なる時刻に表示すべき複数のサブスティテュートオーディオSBTADを設定する事が出来る。また、図８２に示すように前記サブスティテュートオーディオクリップエレメントSBADCP内にID情報SBADIDを持たす事により、APIコマンドによる前記サブスティテュートオーディオクリップエレメントSBADCPの参照が容易となり、APIコマンド処理の簡素化が図れる。またサブスティテュートオーディオクリップエレメントSBADCPタグ内での再生表示オブジェクトが記録されているデータソースdtsorcの値として“Disc”、“P-Storage”、“Network”および“FileCache”のいずれかの値を設定する事が出来る。もし、値として“Disc”が設定された場合には、セカンダリーエンハンストビデオオブジェクトデータS-EVOBは情報記憶媒体DISC内に保存されている事を意味している。また前記値は“P-Storage”の場合には、対応するセカンダリーエンハンストビデオオブジェクトデータは事前にダウンロードされたコンテンツとしてパーシステントストレージPRSTR内に記録されている。また再生表示オブジェクトが記録されているデータソースの値が“Network”の場合には、セカンダリーエンハンストビデオオブジェクトデータS-EVOBはネットワークサーバNTSRVから転送されたストリーミングとして供給される。更に前記の値が“FileCache”の場合には、対応するセカンダリーエンハンストビデオオブジェクトデータS-EVOBはファイルキャッシュFLCCHから供給される。前記サブスティテュートオーディオクリップエレメントの属性情報SAATRI内で前記再生表示オブジェクトが記録されているデータソースDTSORCの記述が無い場合には、前記再生表示オブジェクトが記録されているデータソースDTSORCの値としてデフォルト値である“P-Storage”の値が自動設定される。サブスティテュートオーディオクリップエレメントSBADCPタグ内で記述されるタイトルタイムライン上の開始時間TTSTTM（titleTimeBegin属性情報）とタイトルタイムライン上の終了時間TTEDTM（titleTimeEnd属性情報）はタイトルタイムライン上での再生表示オブジェクト（セカンダリーエンハンストビデオオブジェクトデータS-EVOB）の連続した塊の中での開始時間情報と終了時間情報をそれぞれ示している。またそれらの時間情報は“HH:MM:SS:FF”で記述される。またエンハンストビデオオブジェクトデータ上の開始位置VBSTTM（clipTimeBegin属性情報）は、図５３に示すようにセカンダリービデオセットのエンハンストビデオオブジェクトデータS-EVOBの開始位置を表し、ビデオストリーム内のプレゼンテーションスタートタイム（プレゼンテーションタイムスタンプ値）PTSにより表示される。また前記サブスティテュートオーディオビデオクリップエレメントの属性情報SVATRI内において前記エンハンストビデオオブジェクトデータ上の開始位置VBSTTMの情報の記載を省く事が出来る。もし前記情報の記載が省かれていた場合には、セカンダリービデオセットのエンハンストビデオオブジェクトデータS-EVOBの先頭位置から再生・表示が開始される事を意味する。参照すべき再生表示オブジェクトのインデックスインフォメーションファイル保存場所SRCTMP（SRC属性情報）は、URI（ユニフォーム・リソース・アイデンティファイヤー）のフォーマットで記述される。図１８に示すようにサブスティテュートオーディオクリップSBADCPにおけるオブジェクトの再生・使用時にインデックスとして参照されるファイルはセカンダリービデオセットのタイムマップファイルSTMAPを表している。従って、前記参照すべき再生表示オブジェクトのインデックスインフォメーションファイル保存場所SRCTMPは前記セカンダリービデオセットのタイムマップファイルSTMAPの保存場所が記述される。また再生表示オブジェクトの取り込みを開始するタイトルタイムライン上の時間PRLOAD（preload属性情報）は、タイトルタイムラインTMLE上で対応するサブスティテュートオーディオSBTADのユーザへの表示に先立ち、データキャッシュDTCCHにネットワークサーバNTSRVからローディングされる時のローディング開始時間を表している。また前記サブスティテュートオーディオSBTADが情報記憶媒体DISCまたはネットワークサーバNTSRVに保存されている場合には、図２５に示すように前記サブスティテュートオーディオSBTADはデータキャッシュDTCCHにプリロードされるが、この時のデータキャッシュDTCCHにダウンロードを開始する開始時間も前記再生表示オブジェクトの取り込みを開始するタイトルタイムライン上の時間PRLOADで表示される。更に再生表示オブジェクトの同期属性情報SYNCAT（sync属性情報）としては、前記サブスティテュートオーディオクリップエレメントSBADCP内では“hard”または“soft”のいずれかの値を設定する事が出来る。もし再生表示オブジェクトの同期属性情報SYNCATが“hard”として設定された場合には、対応するサブスティテュートオーディオSBTADがハードシンクロナイズド（ハード同期）オブジェクトとしてみなされる。ユーザへ再生表示オブジェクトの表示時に新たなサブスティテュートオーディオSBTADをデータキャッシュDTCCH内にローディングする必要が生じた場合について説明する。この場合には再生表示オブジェクトの取込みを開始するタイトルタイムライン上の時間PRLOADから前記サブスティテュートオーディオSBTADをデータキャッシュDTCCH内にローディング処理する。タイトルタイムライン上の開始時間TTSTTMまでにローディングが完了するか或はローディング途中であってもタイトルタイムライン上の終了時間TTEDTMまで前記サブスティテュートオーディオSBTADを間断なく再生出力できる場合には、タイトルタイムライン上の開始時間TTSTTMから前記サブスティテュートオーディオSBTADの再生出力を開始する。それに対し、前記ローディング処理が間に合わない場合、再生表示オブジェクトの同期属性情報SYNCATの値が“hard”と設定されている時にはタイトルタイムラインTMLE上の時間進行（カウントアップ）を一時的に停止する。その間に前記サブスティテュートオーディオSBTADを前記データキャッシュDTCCH内にローディング継続する。前記データキャッシュDTCCHへのローディング処理が終了した段階か又はローディング途中であってもタイトルタイムライン上の終了時間TTEDTMまでに前記サブスティテュートオーディオSBTADを間断なく再生・表示できる段階に達した時に始めて前記タイトルタイムラインTMLEの時間進行（カウントアップ）が再開され、そしてサブスティテュートオーディオSBTADをユーザに表示する同期処理を開始する。また、再生表示オブジェクトの同期属性情報SYNCATが“soft”として設定された場合には、対応するサブスティテュートオーディオSBTADがソフトシンクロナイズド（ソフト同期）オブジェクトとしてみなされる。ユーザへ再生表示オブジェクトの表示時に新たなサブスティテュートオーディオSBTADをデータキャッシュDTCCH内にローディングする必要が生じた場合につ���て説明する。この場合には再生表示オブジェクトの取込みを開始するタイトルタイムライン上の時間PRLOADから前記サブスティテュートオーディオSBTADをデータキャッシュDTCCH内にローディング処理を開始する。タイトルタイムライン上の開始時間TTSTTMまでにローディングが完了するか或はローディング途中であってもタイトルタイムライン上の終了時間TTEDTMまで前記サブスティテュートオーディオSBTADを間断なく再生出力できる場合には、タイトルタイムライン上の開始時間TTSTTMから前記サブスティテュートオーディオSBTADの再生出力を開始する。それに対し、前記ローディング処理が間に合わない場合、再生表示オブジェクトの同期属性情報SYNCATの値が“soft”と設定されている時にはタイトルタイムラインTMLE上の時間進行（カウントアップ）を一時的に停止する事なく、前記ローディングを行っているサブスティテュートオーディオSBTADの再生出力を行わないままの状態でタイトルタイムラインTMLE上の時間進行（カウントアップ）を継続させる。前記ローディングを行っているサブスティテュートオーディオSBTADの再生出力を行わないままの状態でタイトルタイムラインTMLE上の時間進行（カウントアップ）を継続させている間も平行して前記サブスティテュートオーディオSBTADを前記データキャッシュDTCCH内にローディング継続する。前記データキャッシュDTCCHへのローディング処理が終了した段階か又はローディング途中であってもタイトルタイムライン上の終了時間TTEDTMまでに前記サブスティテュートオーディオSBTADを間断なく再生・表示できる段階に達した時点で初めて前記サブスティテュートオーディオSBTADの再生出力を開始する。このように前記再生表示オブジェクトの同期属性情報SYNCATの値が“soft”と設定されている場合には、タイトルタイムライン上の開始時間TTSTTMより遅れて前記サブスティテュートオーディオSBTADの再生出力を開始する可能性が高くなる。この遅延を防止するため、ユーザに前記サブスティテュートオーディオSBTADを表示するタイミングに先行して、あらかじめ前記サブスティテュートオーディオSBTADをデータ
キャッシュDTCCHに保存してローディングしておき、タイトルタイムラインTMLEの時間進行（カウントアップ）を止めること無く、連続してデータキャッシュDTCCHに保存されたサブスティテュートオーディオSBTADの再生開始を行うような同期表示をする（タイトルタイムライン上の開始時間TTSTTMから前記サブスティテュートオーディオSBTADの再生開始を行う）事が望ましい。従って、前記ソフトシンクロナイズドオブジェクトの場合（sync属性情報の値が“soft”と記述された場合）にはタイトルタイムライン上の開始時間TTSTTMよりも先行した時間（タイトルタイムラインTMLE上のカウント値が小さい値）になるように再生表示オブジェクトの取り込みを開始するタイトルタイムライン上の時間PRLOADを設定する（サブスティテュートオーディオクリップエレメントSBADCP内に再生表示オブジェクトの取込みを開始するタイトルタイムライン上の時間PRLOADの情報が記述される）必要がある。しかしサブスティテュートオーディオクリップエレメントの属性情報SAATRI内で前記再生表示オブジェクトの同期属性情報SYNCATの情報の記載を省く事が出来る。この場合には、デフォルト値として“soft”の値が自動設定される。従って再生表示オブジェクトの同期属性情報SYNCATの値が“soft”と記述されるかまたは記載が省かれる場合には、前記再生表示オブジェクトの取り込みを開始するタイトルタイムライン上の時間PRLOADの記載される事が望ましい。また、ノーキャッシュ属性情報NOCACHはHTTPの通信プロトコルに関係した情報を示している。ノーキャッシュ属性情報NOCACHの取りえる値は“true”または“false”のいずれかの値を設定する事が出来る。もし前記ノーキャッシュ属性情報NOCACHの値が“true”の場合には、HTTPのGETリクエストメッセージ内にCach-ControlヘッダーとPragmaヘッダーが含まれる必要がある。また、もしノーキャッシュ属性情報NOCACHの値が“false”の場合には、HTTPのGETリクエストメッセージ内にCach-ControlヘッダーとPragmaヘッダーは含まれない。更にサブスティテュートオーディオクリップに関する付加情報は、人が馴染みのあるテキストフォーマットで記述される。また前記サブスティテュートオーディオクリップに関する付加情報は、前記サブスティテュートオーディオクリップエレメントの属性情報SAATRI内から記述を省く事が出来る。
【０５１１】
図２３(a)に示すようにプレイリストファイルPLLST内にタイトル情報TTINFOが存在し、図２３(b)に示すように前記タイトル情報TTINFO内にファーストプレイタイトルエレメント情報FPTELE、各タイトル毎のタイトルエレメント情報TTELEM及びプレイリストアプリケーションエレメント情報PLAELEが存在する。また、図２３(c)に示すように前記タイトル毎のタイトルエレメント情報TTELEM内にはオブジェクトマッピングインフォメーションOBMAPI（トラックナンバーアサイメントインフォメーションを含む）が存在する。前記オブジェクトマッピングインフォメーションOBMAPI（トラックナンバーアサイメントインフォメーションを含む）内には図５６(b)に示すように、アドバンストサブタイトルセグメントエレメントADSTSGが存在する。以下に前記アドバンストサブタイトルセグメントエレメントADSTSG内のデータ構造について説明を行う。
【０５１２】
＜アドバンストサブタイトルセグメントエレメント（AdvancedSubtitleSegment element）＞
図１８に示すように前記アドバンストサブタイトルセグメントエレメントADSTSGは、アドバンストサブタイトルADSBTに関する再生表示クリップエレメントの情報を表す。前記アドバンストサブタイトルセグメントエレメントADSTSGはタイトル内におけるアドバンストサブタイトルADSBTのオブジェクトマッピングインフォメーションOBMAPIの内容を説明している。また前記アドバンストサブタイトルセグメントエレメントADSTSG内において、サブタイトルのトラック番号の設定も行っている。図１８に示すようにアドバンストサブタイトルADSBTの再生使用時にインデックスとして参照されるファイル名はアドバンストサブタイトルのマニフェストファイルMNFSTSである。それに対応し、図５６(c)に示すsrc属性情報は前記アドバンストサブタイトルセグメントエレメントADSTSGに対応したアドバンストサブタイトルADSBTに関するマークアップファイルMRKUPのファイル名と保存場所（パス）を示している。またタイトルタイムライン上の開始時間TTSTTM（titleTimeBegin）とタイトルタイムライン上の終了時間TTEDTM（titleTimeEnd）の属性情報はアドバンストサブタイトルADSBTの有効期間における開始時間と終了時間を示している。また、図５６(b)に示すように前記アドバンストサブタイトルセグメントエレメントADSTSGは１以上のサブタイトルエレメントSBTELEと1個以上のアプリケーションリソースエレメントAPRELEの情報を含む事ができる。また前記サブタイトルエレメントSBTELE内において、サブタイトルトラックの番号が設定される。前記サブタイトルトラック番号はメインビデオMANVDに対するサブタイトル（テロップや字幕等に用いられる）としてのアドバンストサブタイトルADSBTの選択に使用される。また、図５６(c)に示す参照すべき再生表示オブジェクトのマニュフェストファイル保存場所SRCMNF（src属性情報）はURI（ユニフォーム・リソース・アイデンティファイヤー）の形式で記述される。再生表示オブジェクトの同期属性情報SYNCAT（sync属性情報）は、アドバンストサブタイトルセグメントエレメントADSTSGにおける同期属性情報を意味しているが、それは後述するアプリケーションセグメントエレメントAPPLSGに対するジャンプタイミングモードの定義と一致している。前記アドバンストアプリケーションADAPLにおけるジャンプタイミングモデルは、図１７の説明文中に記述してある。本実施形態においてアドバンストサブタイトルセグメントADSTSGにおいては、前記再生表示オブジェクトの同期属性情報SYNCATとして“hard”または“soft”のいずれかの値が設定される。すなわち、本実施形態においてはアドバンストサブタイトルADSBTの同期として“none”の設定をする事は無く、常にアドバンストサブタイトルADSBTはタイトルタイムラインTMLEに対して同期して表示されなければならない。前記再生表示オブジェクトの同期属性情報SYNCATの値として“hard”を設定した場合には、ハードシンクジャンプの状態を表す。すなわち、タイトルタイムライン上の開始時間TTSTTMに合わせてアドバンストサブタイトルADSBTをファイルキャッシュFLCCH内へローディング開始する間はタイトルタイムラインTMLEの進行（カウントアップ）を一時停止させ（対応した表示画面を一時静止状態に保持し）、前記アドバンストサブタイトルADSBTのローディング処理が完了した段階で再度タイトルタ���ムラインTMLEの進行（カウントアップ）を再開する。またそれに対し、前記再生表示オブジェクトの同期属性情報SYNCATを“soft”に設定した場合には、ソフトシンクジャンプの状態を意味する。すなわち、ソフトシンクジャンプの状態とはアドバンストサブタイトルADSBTを表示する前に先行して前記アドバンストサブタイトルADSBTのファイルキャッシュFLCCH内へのローディング処理を行う（完了させる）事で、タイトルタイムラインTMLEの進行を停止する事無く、シームレスに次に表示するアドバンストサブタイトルADSBTの準備を終了させる同期方法を意味している。また本実施形態において前記再生表示オブジェクトの同期属性情報SYNCATを“hard”に設定した場合でも必要なリソースを事前にローディング開始しても良い。しかしこの場合、タイトルタイムラインTMLE上の時間がタイトルタイムライン上の開始時間TTSTTM（titleTimeBegin）に達しても事前のローディングが完了しないかもしくは仮にアドバンストサブタイトルADSBTの表示を開始したとしてもタイトルタイムライン上の終了時間TTEDTMまで連続表示できるまでのローディングが未達の場合には、タイトルタイムラインTMLEの進行（カウントアップ）を一時停止させ（対応した表示画面を一時静止状態に保持し）てファイルキャッシュFLCCH内のローディング量が特定値を超えるまで待つ。また、本実施形態において前記再生表示オブジェクトの同期属性情報SYNCATを“soft”と設定した場合には図６５（ｂ）に示すような同期処理を行っても良い。すなわちタイトルタイムライン上の開始時間からアドバンストサブタイトルADSBTに対応したリソースのローディングを開始させ（タイトルタイムライン上の開始時間TTSTTMとローディング時間LOADPEの開始時間を一致させ）、前記アドバンストサブタイトルADSBTに対応したリソースのローディング中にもタイトルタイムラインTMLEの進行（カウントアップ）を継続させる。ファイルキャッシュFLCCH内のリソースデータ量がある程度溜まり、アドバンストサブタイトルADSBTの連続表示が可能になった段階で（タイトルタイムライン上の開始時間TTSTTMよりも遅れて）対応するアドバンストサブタイトルADSBTの再生を開始する。
【０５１３】
図５６（ｃ）に示すアドバンストサブタイトルセグメントADSTSGに関する付加情報は、人が馴染みやすいテキストフォーマットで記述される。前記アドバンストサブタイトルセグメントADSTSGに関する付加情報は、アドバンストサブタイトルセグメントエレメントの属性情報ADATRI内での記述を省略する事が出来る。
【０５１４】
＜アプリケーションセグメントエレメント（ApplicationSegment element）＞
図１８に示すようにアプリケーションセグメントエレメントAPPLSGはアドバンストアプリケーションADAPLに関する再生表示クリップエレメントを意味している。前記アプリケーションセグメントAPPLSGはタイトル内におけるアドバンストアプリケーションADAPLのオブジェクトマッピングインフォメーションOBMAPIの内容を説明している。前記アドバンストアプリケーションADAPLはタイトルタイムラインTMLE上での特定時間範囲内にスケジューリングされなければならない。前記特定時間範囲をアドバンストアプリケーションADAPLの有効期間と呼ぶ。タイトルタイムラインTMLE上の進行時間（カウント値）が前記有効期間に差し掛かった時には前記アドバンストアプリケーションADAPLは有効時間に入ったと呼ばれる。また、前期アドバンストアプリケーションADAPLのタイトルタイムラインTMLE上での有効期間は、タイトルタイムラインTMLE上での開始時間と終了時間により設定される。すなわち前記有効期間の開始時間は図５６(d)のタイトルタイムライン上の開始時間TTSTTM（titleTimeBegin属性情報）で設定され、同様にアドバンストアプリケーションADAPLの有効期間の終了時間はタイトルタイムライン上の終了時間TTEDTM（titleTimeEnd属性情報）によりそれぞれ設定される。また、図１２または図１８に示すようにアドバンストアプリケーションADAPLを参照する場合にはプレイリストファイルPLLST上からはマニフェストファイルMNFSTを参照する。アドバンストアプリケーションの初期設定情報を含んだマニフェストファイル保存場所URIMNFを表わすsrc属性情報（ソース属性情報）の値はURI（ユニフォーム・リソース・アイデンティファイヤー）の形式により記述される。それにより、アドバンストアプリケーションADAPLにおける初期状態に必要な情報を獲得する事が出来る。図５６(b)に示すようにアプリケーションセグメントエレメントAPPLSG内にはアプリケーションリソースエレメントAPRELEのリストを含む事が出来る。前記アプリケーションリソースエレメントAPRELEは、対応するアドバンストアプリケーションADAPLに対するリソースインフォメーションRESRCIの情報を示している（図６３(d)参照）。図５６(d)に示すように、アプリケーションセグメントエレメントAPPLSGタグ内には言語属性情報LANGAT（language属性情報）、アプリケーションブロックの属性（インデックス番号）情報APBLAT（appblock属性情報）、アドバンストアプリケーショングループの属性（インデックス番号）情報APGRAT（group属性情報）、およびオートラン属性情報ATRNAT（autorun属性情報）を含むが、それらの４種類の属性情報をアプリケーションアクティベーションインフォメーションと呼ぶ（前記アプリケーションアクティベーションインフォメーションの使い方は図５８を用いて後述する）。アプリケーションセグメントエレメントAPPLSGタグ内にはアプリケーションセグメントエレメントの属性情報APATRIに先行して、アプリケーションセグメントエレメントのＩＤ情報APPLIDが“ID=”の直後に記述される格好になっている。このようにアプリケーションセグメントエレメントのＩＤ情報APPLIDを設定出来る事により、本実施形態ではオブジェクトマッピングインフォメーションOBMAPI内で複数のアプリケーションセグメントエレメントAPPLSGを設定する事が出来る。その為、1個のタイトルの表示期間中にそれぞ���表示形式が異なる複数のアドバンストアプリケーションADAPLを表示する事が可能となり、ユーザへの表現方法を格段に向上させる事が出来る。更に図８２に示すように前記ＩＤ情報APPLIDを設定することにより、ＡＰＩコマンドによる前記ＩＤ情報APPLIDを用いた特定のアプリケーションセグメントエレメントAPPLSGの指定が容易となりＡＰＩコマンド処理制御の簡素化が図れる。また、図５６(d)に示すようにアプリケーションセグメントエレメントの属性情報APATRI内の最初に、タイトルタイムライン上の開始時間TTSTTM（titleTimeBegin）の情報とタイトルタイムライン上の終了時間TTEDTM（titleTimeEnd）の情報が記述される。図５６(c)からも判るように、本実施形態においてアドバンストサブタイトルセグメントエレメントADSTSG、およびアプリケーションセグメントエレメントAPPLSG内ではアドバンストサブタイトルセグメントエレメントの属性情報ADATRIおよびアプリケーションセグメントエレメントの属性情報APATRIのそれぞれ先頭位置に前記タイトルタイムライン上の開始時間TTSTTMと終了時間TTEDTMを記述するようになっている。このようにタイトルタイムライン上での有効期間の開始／終了時間を最初に記述する事により、プレイリストマネージャPLMNG（図２８参照）でのタイトルタイムラインTMLE上での表示タイミング設定処理の高速化を図る事が出来る。本実施形態において、アドバンストアプリケーションADAPLにおいては再生表示オブジェクトの同期属性情報SYNCAT（sync属性情報）としては“hard”または“soft”の２種類の情報を設定出来るようになっている。すなわち、前記再生表示オブジェクトの同期属性情報SYNCAT（sync属性情報）の値を“hard”に設定した場合には、図１７の説明文章で記述したようにハードシンクジャンプの状態を表す。すなわち、前記アドバンストアプリケーションADAPLをローディングしている間はタイトルタイムラインTMLE上の進行（カウントアップ）を一時停止すると共に、表示する映像（例えばプライマリーエンハンストビデオオブジェクトデータP-EVOBに基づく映像情報）の表示も一時停止して静止画の状態にする。前記アドバンストアプリケーションADAPLのローディング処理が終了した段階で、前記タイトルタイムラインTMLEの進行（カウントアップ）を再開させると同時に前記映像の動きを再開させ、対応したアドバンストアプリケーションADAPLの表示を行う。また、前記再生表示オブジェクトの同期属性情報SYNCAT（sync属性情報）が“soft”に設定された場合にはソフトシンクジャンプを意味する。すなわち、事前にアドバンストアプリケーションADAPLのローディング処理がなされ、前記ローディングが完了したアドバンストアプリケーションADAPLの表示開始をタイトルタイムラインTMLEの進行（カウントアップ）を一時停止する事無く、シームレスに表示させたまま前記アドバンストアプリケーションADAPLを開始する事が出来る。また本実施形態において再生表示オブジェクトの同期属性情報SYNCAT（sync属性情報）が“soft”に設定された場合には、上記内容に限らず図６５(b)に示す同期処理を行っても良い。すなわち図６５(b)に示す同期処理はクリップエレメントやセグメントエレメント内に再生表示オブジェクトの取り込みを開始するタイトルタイムライン上の時間PRLOAD（preload属性情報）の記述が無い場合に専ら使用するもので、クリップエレメントやセグメントエレメント内に設定されたタイトルタイムライン上の開始時間TTSTTM（titleTimeBegin属性情報の値）からクリップエレメントやセグメントエレメントで指定した（管理している）再生表示オブジェクトで使用されるリソースのファイルキャッシュFLCCH内へのローディングを開始させる（タイトルタイムライン上の開始時間TTSTTMとファイルキャッシュFLCCH内へのローディング時間LOADPEの開始時間を一致させる）。その後は前記リソースのファイルキャッシュFLCCH内へのローディング処理とタイトルタイムラインTMLE上の時間進行（カウントアップ）を平行して継続させてユーザに表示する動画の進行を中断させない処理を行う。前記リソースのファイルキャッシュFLCCH内へのローディング時間LOADPEが終了した段階で初めて対応するアドバンストアプリケーションADAPLの表示または実行を開始し、アドバンストアプリケーションの実行時間APACPEに入る。前記実施形態においては
１）アドバンストアプリケーションADAPLで使用するリソースのファイルキャッシュFLCCH内へのローディング中にも中断する事無く、タイトルタイムラインTMLE上の時間進行（カウントアップ）が継続される
２）アドバンストアプリケーションADAPLの表示または実行を開始するアドバンストアプリケーションの実行時間APACPEの開始時間が、クリップエレメントやセグメントエレメント内で規定されたタイトルタイムライン上の開始時間TTSTTM（titleTimeBegin属性情報）の値より遅れる
という特徴を持つ。
【０５１５】
次にアプリケーションセグメントエレメントAPPLSG内に配置されるＺオーダー属性（Z-インデックス）情報ZORDERの説明を行う。図１６に示すようにユーザへの表示画面上にヘルプアイコン３３からＦＦボタン３８に至る複数のボタンを表示する事がある。前記表示画面上にヘルプアイコン３３からＦＦボタン３８に至る複数のボタンを表示する方法として、マニフェストMNFSTによりアドバンストアプリケーションADAPLの表示領域を設定後、各アプリケーションエレメントとしてヘルプアイコン３３・ストップボタン３４・プレイボタン３５・ＦＲボタン３６・ポーズボタン３７およびＦＦボタン３８の表示場所と表示サイズを前記マニフェストMNFST内から指定されるマークアップMRKUP内で設定する事が出来る（図８４参照）。この場合、ヘルプアイコン３３が1個のアプリケーションエレメント（コンテントエレメント、または図４０に示すグラフィックオブジェクト）に対応し、ストップボタン３４からＦＦボタン３８に至る各ボタンも、それぞれ別々のアプリケーションエレメント（コンテントエレメント、または図４０に示すグラフィックオブジェクト）に対応させて設定する事が出来る。本実施形態において前記アドバンストアプリケーションADAPLの表示領域全体を１個のアドバンストアプリケーションADAPLと見なして同一のアプリケーションセグメントエレメントAPPLSGで統合的に管理しても良い。またそれに限らず、コンテンツプロバイダの作成意図に応じてストップボタン３４からＦＦボタン３８に至る各ボタン毎に別々のアドバンストアプリケーションADAPLと見なし、各ボタンに対応した表示図形やそのボタンを押した時に実行されるスクリプトSCRPT単位でアプリケーションセグメントエレメントAPPLSGにより管理することもできる。この場合、ストップボタン３４からＦＦボタン３８までを同時にユーザが入力可能な状態（フォーカス状態）にできるようにストップボタン３４に対応したアドバンストアプリケーションADAPLからＦＦボタン３８に対応したアドバンストアプリケーションADAPLまでをまとめてグループ化できる。このようにストップボタン３４に対応したアドバンストアプリケーションADAPLからＦＦボタン３８に対応したアドバンストアプリケーションADAPLまでをまとめてグループ化した場合には、ストップボタン３４に関連したアプリケーションセグメントエレメントAPPLSG内のアドバンストアプリケーショングループの属性（インデックス番号）情報APGRAT（group属性情報）の設定値からＦＦボタン３８に関連したアプリケーションセグメントエレメントAPPLSG内のアドバンストアプリケーショングループの属性（インデックス番号）情報APGRAT（group属性情報）の設定値までをすべて同じ値に設定する。図１６においては各アプリケーションエレメント（コンテントエレメント、または図４０に示すグラフィックオブジェクト）がそれぞれ異なる位置に配置されているが、本実施形態では前記複数のアプリケーションエレメント（コンテントエレメント、または図４０に示すグラフィックオブジェクト）を一部重ねて表示する事が可能になる。例えば、図１６の実施形態で示すとヘルプアイコン３３の上に一部重ねてストップボタン３４を表示させる事が出来る。このように本実施形態では複数のアプリケーションエレメ��ト（コンテントエレメント、または図４０に示すグラフィックオブジェクト）を一部重ねて表示することが出来る。また、各アプリケーションエレメント（コンテントエレメント、または図４０に示すグラフィックオブジェクト）毎に別々にアドバンストアプリケーションADAPLを対応付けた場合には複数のアドバンストアプリケーションADAPL間で一部重ねて配置されることになり、どちらのアドバンストアプリケーションADAPLを“上側”に表示するか制御する必要が生じる。上記制御を可能にするため、各アドバンストアプリケーションADAPL毎にレイヤーを設定し、そのレイヤーを重ねた形でグラフィックプレインGRPHPL（図３９参照）内に表示するデータ管理方法を採用する。すなわち“上側”のレイヤーに設定されたアドバンストアプリケーションADAPLに対応する図形（アプリケーションエレメント、コンテントエレメント、または図４０に示すグラフィックオブジェクト）が、“下側”のレイヤーに設定されたアドバンストアプリケーションADAPLに対応する図形よりも画面上で“上側”に表示されることになる。これに対応して各アドバンストアプリケーションADAPL毎に対応するレイヤー番号を設定する事が出来る。すなわち前記Ｚオーダー属性（Z-インデックス）情報ZORDER（zOrder属性情報）により、対応するアドバンストアプリケーションADAPLのグラフィックプレインGRPHPL上でのレイヤー番号を設定する。前記レイヤー番号情報の値としては“0”または整数値が設定出来る。前記Ｚオーダー属性（Z-インデックス）情報ZORDER（zOrder属性情報）は、図２４(b)で示したマークアップ内で使われるチッククロックの周波数情報TKBASE（tickBase属性情報）により使用（切り替わり制御）される。次に記述される言語属性情報LANGAT（language属性情報）は、アドバンストアプリケーションADAPLにより画面上（例えばメニュー画面など）に表示される文字や音声などに使用される言語を指定する情報である。ここで指定した言語内容がアプリケーション言語システムパラメータ（図４６から図４９参照）で指定されている言語内容と異なる場合にはこのアプリケーションセグメントエレメントAPPLSGで指定したアドバンストアプリケーションADAPL無効状態（アクティブでない状態）となる。前記言語属性情報LANGATはＩＳＯ−６３９において設定される言語コード（two-letter lowercase symbols）から構成される。本実施形態においては前記言語属性情報LANGATを前記アプリケーションセグメントエレメントAPPLSGの属性情報APATRI内での記述を省く事が出来る。もし、このように前記言語属性情報LANGATの記述が省かれた場合には、前記アドバンストアプリケーションADAPLの言語は状況に対応した任意の言語として設定される。またアプリケーションブロックの属性（インデックス番号）情報APBLAT（appblock属性情報）は図５７の説明文中で詳細に説明するように、対応するアプリケーションセグメントエレメントAPPLSGで指定したアドバンストアプリケーションADAPLが所属するアドバンストブロックのインデックス番号（整数値）を表している。前記アプリケーションブロックの属性（インデックス番号）情報APBLATは、前記アプリケーションセグメントエレメントの属性情報APATRI内での記述を省く事が出来る。もし、前記アプリケーションブロックの属性（インデックス番号）��報APBLATの記述を省いた場合には、対応するアドバンストアプリケーションADAPLはアプリケーションブロック内に属さず単独で存在する事を意味している。
【０５１６】
前述したように図１６にしめすストップボタン３４に対応したアドバンストアプリケーションADAPLからＦＦボタン３８に対応したアドバンストアプリケーションADAPLまでをまとめてグループ化してユーザ入力に対応した処理の簡素化を図ることができる。このようにグループ化された対象を“アドバンストアプリケーショングループ”と呼ぶ。本実施形態ではアドバンストアプリケーショングループ毎に“インデックス番号（整数値）”を設定し、各アドバンストアプリケーショングループ間の識別を可能にしている。前記インデックス番号（整数値）の値がアプリケーションセグメントエレメントAPPLSG内のアドバンストアプリケーショングループの属性（インデックス番号）情報APGRAT（group属性情報）として設定（記述）される。コンテンツプロバイダの意図に基づき、図１６に示すストップボタン３４からＦＦボタン38までを同時に表示開始または表示終了したり、ストップボタン３４からＦＦボタン38までのどれでもユーザによる実行指定を可能にする（ストップボタン３４からＦＦボタン38までを同時にフォーカス状態にする）事ができる。ストップボタン３４に対応したアドバンストアプリケーションADAPLからＦＦボタン３８に対応したアドバンストアプリケーションADAPLで構成されるアドバンストアプリケーショングループ全体を実行状態（アクティブ状態）にした場合には、前記アドバンストアプリケーショングループ内の全てのアドバンストアプリケーションADAPLが同時に実行状態（アクティブ状態）になる。本実施形態において全てのアドバンストアプリケーションADAPLがアドバンストアプリケーショングループに属している必要は無い。アプリケーションセグメントエレメントAPPLSGが管理するアドバンストアプリケーションADAPLがアドバンストアプリケーショングループに属さず、単独に存在する場合には前記アドバンストアプリケーショングループの属性（インデックス番号）情報APGRATの記述が省かれる。
【０５１７】
オートラン属性情報ATRNAT（autorun属性情報）の値として“true”もしくは“false”のいずれかを設定する事が出来る。タイトルタイムラインTMLEのカウント値が有効期間（titleTimeBegin（TTSTTM）からtitleTimeEnd（TTEDTM）までの範囲内）に入った時、上記オートラン属性情報ATRNATの値が“true”の場合には、アドバンストアプリケーションADAPLが自動的に起ち上がり（アクティブとなり）、“false”の場合には、APIコマンドにより指定を受けない限りアクティブにならない事を意味している。また、前記オートラン属性情報ATRNATは前記アプリケーションセグメントエレメントの属性情報APATRI内での記述を省く事が出来る。このようにオートラン属性情報ATRNATの記述が省かれた場合は、オートラン属性情報ATRNATのデフォルト値である“true”が自動的に設定される。またアプリケーションセグメントエレメントAPPLSGタグ内の最後に記述されるアプリケーションセグメントに関する付加情報（description属性情報）は、人が容易に解釈出来るテキストフォーマットにより記述されている。前記付加情報はアプリケーションセグメントエレメントの属性情報APATRI内での記述を省く事が出来る。
【０５１８】
＜アプリケーションアクティベーションインフォメーション（Application Activation Information）＞
図５６(d)に示すようにアプリケーションセグメントエレメントAPPLSGタグ内にオプショナルな情報として言語属性情報LANGAT、アプリケーションブロックの属性（インデックス番号）情報APBLAT、アドバンストアプリケーショングループの属性（インデックス番号）情報APGRAT、およびオートラン属性情報ATRNATを記述する事が出来る。前記４つの属性情報はアプリケーションアクティベーションインフォメーション（対応アプリケーションを実行状態にするか否かを設定するための判定情報）と呼ばれる。タイトルタイムラインTMLE上において前記アドバンストアプリケーションADAPLの有効期間内（図５６(d)に示すアプリケーションセグメントエレメントAPPLSG内で設定されたタイトルタイムライン上の開始時間TTSTTM（titleTimeBegin）から終了時間TTEDTM（titleTimeEnd）までの期間）においては前記アプリケーションアクティベーションインフォメーションにより、前記アドバンストアプリケーションADAPLが実行可能であるか、或いは実行が不可能であるかを判定する事が出来る。
【０５１９】
＜アプリケーションブロックの言語（Language and Application Block）＞
アドバンストアプリケーションADAPLが実行可能であるか、若しくは不可能であるかを判定する基準として、前記言語属性情報LANGATと前記アプリケーションブロックの属性（インデックス番号）情報APBLATとの関係を図５７に示す。図５７の実施形態においてタイトルのデフォルト言語を英語に設定し、図４７におけるプロファイルパラメータとしてメニュー言語を英語で記録した場合を説明する（図４７におけるプロファイルパラメータは図１４に示すナビゲーションマネージャNMVNG内に内蔵されたメモリ領域内に保存されている）。図５７に示すように同じメニュー内容を異なるメニュー言語により表示するアドバンストアプリケーションをセットとして持たす事が可能である。このように本実施形態においては、同じメニュー内容を持ちユーザに表示する時の言語が異なるアドバンストアプリケーションADAPLのセットをアプリケーションブロックと呼んでいる。同一アプリケーションブロック内においてユーザが理解出来る（理解しやすい）言語で表現されたアドバンストアプリケーションADAPLを選択的に実行（表示）させる事で、互いに異なる言語に馴染んだ複数の人に対してそれぞれ適正な形（各人に合わせた言語表現）で同一のメニュー内容を表示する事が可能となる。例えば図５７においてアプリケーションブロックの属性（インデックス番号）情報APBLATの値が１（appblock ＝ “１”）の中にはメニュー言語が英語となっているアドバンストアプリケーションADAPL #1_en（英語）とメニュー言語としてフランス語で表示されるアドバンストアプリケーションADAPL #1_fr（仏語）及びメニュー言語が日本語で表示されるアドバンストアプリケーションADAPL #1_ja（日本語）の３種類を持たせ、ユーザが理解しやすい言語に応じて最適なアドバンストアプリケーションADAPLを選択し、実行（表示）させる事が出来る。アプリケーションセグメントエレメントAPPLSGにおけるメニュー表示される言語内容は図５６(d)に示す言語属性情報LANGATにより設定されている。またユーザに表示すべきメニュー言語内容はシステムパラメータにおけるメニュー言語（図４７参照）の値により設定されている。同一タイトル内において前記アプリケーションブロックは複数のアプリケーションセグメントエレメントAPPLSGの組み合わせ（セット）の構造を有している。また同一アプリケーションブロック内においては前記アプリケーションセグメントエレメントAPPLSGタグ内におけるアプリケーションブロックの属性（インデックス番号）情報APBLATは同一の値で設定される。従って、各アプリケーションセグメントエレメントAPPLSGタグ内の前記アプリケーションブロックの属性（インデックス番号）情報APBLATの値を見る事により、各アプリケーションセグメントエレメントAPPLSGが、どのアプリケーションブロックに属しているかを知ることが出来る。同一の1個のアプリケーションブロック内においては、全てのアプリケーションセグメントエレメントAPPLSGは以下の条件を満足しなければならない。
【０５２０】
(1) 本来は図５６(d)に示す言語属性情報LANGATはオプショナルな情報として設定されているが、対応するアプリケーションセグメントエレメントAPPLSGがアプリケーションブロック内に存在している場合には、前記言語属性情報LANGATは対応するアプリケーションセグメントエレメントAPPLSGタグ内に必ず記述されなくてはならない。また同一のアプリケーションブロック内に属する互いに異なるアプリケーションセグメントエレメントAPPLSG間では異なる言語属性情報LANGATの値が設定されなければならない
…すなわち同一アプリケーションブロック内において各アプリケーションセグメントエレメトAPPLSG内の言語属性情報LANGATの値をユニーク（唯一）に設定する事により、プレイリストマネージャPLMNG（図２８参照）が使用可能な（実行・表示する）アプリケーションセグメントエレメントAPPLSGの選択抽出が容易となる。
【０５２１】
(2) 同一アプリケーションブロック内に属する別々のアプリケーションセグメントエレメントAPPLSG間での有効期間（タイトルタイムライン上の開始時間TTSTTMからタイトルタイムライン上の終了時間TTEDTMまでの時間）は全て一致しなければならない。
【０５２２】
…それにより、表示言語によらず全てのアドバンストアプリケーションADAPLのユーザへの表示期間が等しくなるため、プレイリストマネージャPLMNGのタイトルタイムラインTMLE上の時間管理が容易となる。
【０５２３】
(3) 同一アプリケーションブロック内に属する、異なる全てのアプリケーションセグメントエレメントAPPLSGタグ内のオートラン属性情報ATRNATは全て同じ値に設定しなければならない。
【０５２４】
…例えば図５７に示すアプリケーションブロック“１”の中でアドバンストアプリケーションADAPL #1_en（英語）のオートラン属性情報ATRNATを“true”にした場合には、他の仏語および日本語に対応したアドバンストアプリケーションADAPLにおけるオートラン属性情報ATRNATの値も“true”に設定しなければならない。またアプリケーションブロック“２”に含まれるアドバンストアプリケーションADAPL #2_en（英語）のオートラン属性情報ATRNATを“false”にした場合には対応する仏語・日本語・中国語のアドバンストアプリケーションADAPLのオートラン属性情報ATRNATの設定値も“false”に設定しなければならない。
【０５２５】
…もしアドバンストアプリケーションADAPL毎にオートラン属性情報ATRNATの値が異なると、特定言語で表示するアドバンストアプリケーションは自動的に立ち上がり、他の言語で表示するアドバンストアプリケーションでは自動的に立ち上がらずにAPIコマンドを発行しない限り実行状態に遷移しない場合にはプレイリストマネージャPLMNGの管理・制御が非常に煩雑になる。上記条件を設定する事で上記煩雑さを回避し、プレイリストマネージャPLMNGの管理・制御の簡素化を図る事が可能となる。
【０５２６】
(4) アプリケーションブロック内に含まれるアプリケーションセグメントエレメントAPPLSGタグ内においてはアドバンストアプリケーショングループの属性（インデックス番号）情報APGRATの記述を省略しなければならない。
【０５２７】
…前記アドバンストアプリケーショングループの属性（インデックス番号）情報APGRATはユーザオプションを含むAPIコマンドにより同時に実行状態（アクティブ）に設定できるアドバンストアプリケーションADAPLをまとめてグループしたものであり、同一ブロック内の特定のアドバンストアプリケーションADAPLをグループ化させると前記のAPIコマンドにより特定の言語メニューを持ったアプリケーションのみが起ち上がる事になり、その言語が理解出来ないユーザにとっては違和感を与える事になる。従って、本実施形態においてアプリケーションブロックに含まれるアドバンストアプリケーションADAPLとアドバンストアプリケーショングループに含まれるアドバンストアプリケーションADAPLを完全に分離する事により（同一のアドバンストアプリケーションADAPLがアプリケーションブロックとアドバンストアプリケーショングループの両方に含まれない）特定の言語のみ理解出来るユーザに対する間違った言語によるメニュー表示の誤動作を回避する事が可能となる。
【０５２８】
また、本実施形態においては図５６(d)に示す言語属性情報LANGATがプレイリストPLLST内に記述されている場合には、必ずアプリケーションブロックの属性（インデックス番号）情報APBLATも記述しなければならない。すなわち、図５７に示すようにアドバンストアプリケーションADAPL #3_en（英語）は1個しか存在しない（日本語や仏語などのメニュー言語に対応したアドバンストアプリケーションADAPLを持たない）場合でも、アプリケーションブロック“３”の中に単独で存在するように定義している。このようにアドバンストアプリケーションADAPL内において言語コードが設定されている場合に、必ずアプリケーションブロックを構成するように設定する事によりプレイリストマネージャPLMNG（図２８参照）におけるユーザが表示すべき（実行・使用すべき）アドバンストアプリケーションADAPLの選択処理を容易にしている。
【０５２９】
図５７の実施形態においてタイトルのデフォルト言語を英語に設定した場合には、各有効期間内においてアドバンストアプリケーションADAPL #1_en（英語）とアドバンストアプリケーションADAPL #2_en（英語）、及びアドバンストアプリケーションADAPL #3_en（英語）が実行・表示されるアプリケーションとして選択される。また、もしタイトルのデフォルト言語を日本語に設定した場合には、有効期間中においてアドバンストアプリケーションADAPL #1_ja（日本語）とアドバンストアプリケーションADAPL #2_ja（日本語）のみが実行・表示されるべきアドバンストアプリケーションとして抽出され、アドバンストアプリケーションADAPL #3_en（英語）の表示期間では、対応する日本語のメニュー言語が無い為、アドバンストアプリケーションADAPLの表示が行われないような処理となる。
【０５３０】
＜アプリケーションアクティベーションインフォメーション（Application Activation Information）＞
図５６(d)に示すようにアプリケーションセグメントエレメントの属性情報APATRI内にはオプショナル属性情報として言語属性情報LANGAT、アプリケーションブロックの属性（インデックス番号）情報APBLAT、アドバンストアプリケーショングループの属性（インデックス番号）情報APGRAT、およびオートラン属性情報ATRNATの４種類の属性情報が存在している。これらの４種類の属性情報をアプリケーションアクティベーションインフォメーション（対応アプリケーションを実行状態にするか否かを設定するための判定情報）と呼ばれている。タイトルタイムラインTMLE上において前記アドバンストアプリケーションADAPLの有効期間（図５６(d)に示すアプリケーションセグメントエレメントAPPLSG内で設定されたタイトルタイムライン上の開始時間TTSTTM（titleTimeBegin）から終了時間TTEDTM（titleTimeEnd）までの期間）内においては前記アプリケーションアクティベーションインフォメーションにより、前記アドバンストアプリケーションADAPLが実行可能であるか、或いは実行が不可能であるかを判定する事が出来る。前記タイトルタイムラインTMLE上での表示時間が前記アドバンストアプリケーションADAPLの有効期間内にある場合、対応するアドバンストアプリケーションADAPLが有効であるか否かを判定する基準を図５８に示す。図１に示すように本実施形態における情報記憶媒体DISC内にはアドバンストコンテンツ再生部ADVPLが存在する。更に前記アドバンストコンテンツ再生部ADVPL内には図１４に示すように、ナビゲーションマネージャNVMNGとプレゼンテーションエンジンPRSENが存在する。また前記ナビゲーションマネージャNVMNG内には、図２８に示すようにプレイリストファイルPLLSTの内容を解析するプレイリストマネージャPLMNGとアドバンストアプリケーションADAPLの処理を制御するアドバンストアプリケーションマネージャADAMNGが存在する。始めに図５６(d)に示すアプリケーションセグメントエレメントAPPLSGの内容を前記プレイリストマネージャPLMNGが解析する。図５８に示すアドバンストアプリケーションADAPLの有効性判断は前記プレイリストマネージャPLMNGが行う。本実施形態においては、それに限らず他の実施形態としてプレイリストマネージャPLMNGが図５６(d)に示すアプリケーションセグメントエレメントAPPLSGの内容を抽出し、その抽出した結果をアドバンストアプリケーションマネージャADAMNGに送り、アドバンストアプリケーションマネージャADAMNG内で図５８に基づくアドバンストアプリケーションADAPLの有効性判別を行っても良い。ここで前記アドバンストアプリケーションADAPLの表示の無効性が判定されるとユーザに対して前記アドバンストアプリケーションADAPLの表示（及びそれに基づく実行処理）は行われない。それとは反対にプレイリストマネージャPLMNG内（またはアドバンストアプリケーションマネージャADAMNG内）で、前記アドバンストアプリケーションADAPLの有効性が判定されると、アドバンストアプリケーションマネージャADAMNGが図３０に示すプレゼンテーションエンジンPRSEN内のアドバンストアプリケーションプレゼンテーションエンジンAAPENを制御し、対象の（有効と判断された）アドバンストアプリケーションADAPLの表示および実行処理が開始される。
【０５３１】
図５８に示すように、アドバンストアプリケーションADAPLの有効性判別が開始されると、まず始めにオートラン属性情報ATRNATが“false”かどうかが判定される（ステップＳ９１）。もし、図５６(d)内に記述されているオートラン属性情報ATRNATが“false”と判定された場合には、アドバンストアプリケーションADAPLは無効とみなされ（ステップＳ９７）、ユーザへの表示および一切の実行処理は行われず、終了に移る。但し、この状態においてもAPI（アプリケーションインタフェースコマンド）により対応するアドバンストアプリケーションADAPLを有効に変更する事が出来る。次にステップＳ９１の判定において、オートラン属性情報ATRNATが“false”で無い場合（“true”と指定された場合）には、図５６(d)内に記述されたアドバンストアプリケーショングループの属性（インデックス番号）情報APGRATが、アプリケーションセグメントエレメントAPPLSG内に記述されているか否かが判定される（ステップＳ９２）。もし、ここでアプリケーションセグメントエレメントAPPLSG内にアドバンストアプリケーショングループの属性（インデックス番号）情報APGRATが記述されている場合には、記述されているアドバンストアプリケーショングループの属性（インデックス番号）情報APGRATが有効であるか否かが判定される（ステップＳ９３）。ここで記載されているアドバンストアプリケーショングループの属性（インデックス番号）情報APGRATが有効である場合には、アドバンストアプリケーションADAPLは有効とみなされる（ステップＳ９８）。この場合には対応するアドバンストアプリケーションADAPLの表示画面がユーザに表示されると共に、ユーザアクションに対応したアドバンストアプリケーションADAPLの実行処理が開始される。また、ユーザ要求に基づくAPIコマンド入力が入った場合、もしくはタイトルタイムラインTMLE上の前記アドバンストアプリケーションADAPLの有効期間からはみ出た場合には、終了になる。ここでステップＳ９３の判定時に規定されているアドバンストアプリケーショングループの属性（インデックス番号）情報APGRATが無効の場合には、アドバンストアプリケーションADAPLは無効とみなされる（ステップＳ９７）。但し、この場合にもユーザ入力や特定のスクリプトに基づくAPIコマンドにより有効なアプリケーショングループの選別もしくは変更が可能であり、ステップＳ９７に示すアドバンストアプリケーションADAPLが無効とみなされた時でも、前記APIコマンドに基づく有効となるアプリケーショングループの変更処理（または別の選択処理）により、ステップＳ９３での有効性に変更が起き、ステップＳ９８に示すようにアドバンストアプリケーションADAPLが有効に変更される事がある。前記オートラン属性情報ATRNATとアドバンストアプリケーショングループの属性（インデックス番号）情報APGRATの判別以外で下記に示すように言語属性情報LANGATによるアドバンストアプリケーションADAPLの有効性判別が行われる。すなわち、ステップＳ９１に基づくオートラン属性情報ATRNATが“true”であり、更にステップＳ９２に示すアドバンストアプリケーショングループの属性（インデックス番号）情報APGRATがアプリケーションセグメントエレメントAPPLSG内に記述されていない場合、アプリケーションブロックの属性（インデックス番��）情報APBLATと言語属性情報LANGATが記述されているか否かが判定される（ステップＳ９４）。もし、ステップＳ９４に示すようにアプリケーションブロックの属性（インデックス番号）情報APBLATと言語属性情報LANGATが記述されている場合には、言語属性情報LANGATがメニュー言語に指定されているか否かが判定される（ステップＳ９５）。既に情報記録再生装置１内にアドバンストコンテンツ再生部ADVPLが存在する事は説明した。前記アドバンストコンテンツ再生部ADVPL内には、システムパラメータの情報を一時保管出来るメモリ領域を持っている。前記アドバンストコンテンツ再生部ADVPL内に一時保存されているシステムパラメータのうちプロファイルパラメータの一覧表を図４７に示す。図４７に示すように前記プロファイルパラメータ内にメニュー言語を指定するパラメータが存在している。ステップＳ９５で説明するメニュー言語とは、前記図４７に示すプロファイルパラメータ内のメニュー言語を意味している。前記ナビゲーションマネージャNVMNG内では、前記メニュー言語で指定された言語情報と図５６(d)で設定されている言語属性情報LANGATが一致しているか否かを判定し、一致しているアドバンストアプリケーションADAPLに対して有効と設定される（ステップＳ９８）。もし、この時に言語属性情報LANGATが前記メニュー言語と一致していない場合には、タイトルエレメント内の言語属性情報LANGATがデフォルト状態の言語属性LANGATとなり、かつアプリケーションブロック内のアプリケーションセグメントエレメントAPPLSGがメニュー言語の言語属性情報LANGATを持たない場合（ステップＳ９６）には、自動的に対応するアドバンストアプリケーションADAPLが前記プロファイルパラメータであるメニュー言語とみなされ、アドバンストアプリケーションADAPLが有効と見なされる（ステップＳ９８）。また、そうでない場合には前記アドバンストアプリケーションADAPLは無効と見なされる（ステップＳ９７）。またステップＳ９４に示すようにアプリケーションブロックと言語属性情報LANGATが記述されていない場合には、自動的にアドバンストアプリケーションADAPLが無効とみなされ（ステップＳ９７）、ユーザへの表示や実行処理を行わずに、そのまま終了へ進む。
【０５３２】
プレイリストPLLST内のデータ構造としては、図２３(a)に示すようにタイトル情報TTINFOが存在し、図２３(b)に示すように前記タイトル情報TTINFOはタイトル毎に設定されたタイトルエレメント情報TTELEMが記述され、図２３(c)に示すように１個のタイトルエレメント情報TTELEM内にはオブジェクトマッピングインフォメーションOBMAPI、リソースインフォメーションRESRCI、プレイバックシーケンスインフォメーションPLSQI、トラックナビゲーションインフォメーションTRNAVIとスケジュールドコントロールインフォメーションSCHECIが存在する。図５９に前記オブジェクトマッピングインフォメーションOBMAPI内に存在するメインビデオエレメントMANVD、メインオーディオエレメントMANAD、サブタイトルエレメントSBTELE、サブビデオエレメントSUBVD及びサブオーディオエレメントSUBAD内のデータ構造を示す。
【０５３３】
図１０に示すようにプライマリーオーディオビデオPRMAV内にはメインビデオMANVD、メインオーディオMANAD、サブビデオSUBVD、サブオーディオSUBADと副映像SUBPTを含む事が出来る。それに対応し、図５９(b)に示すようにプライマリーオーディオビデオクリップエレメントPRAVCP内にはメインビデオエレメントMANVD、メインオーディオエレメントMANAD、サブタイトルエレメントSBTELE、サブビデオエレメントSUBVD及びサブオーディオエレメントSUBADの情報を記述する事が可能となっている。図５９(b)では各エレメントを１個ずつ記載しているが、それに限らず例えば対応するプライマリーオーディオビデオPRMAV内にサブビデオSUBVDとサブオーディオSUBADが存在しない場合には、対応してサブビデオエレメントSUBVDとサブオーディオエレメントSUBADの記述を省く事が可能である。また、例えば同一プライマリーオーディオビデオPRMAV内に複数のメインオーディオMANADが存在する場合には、前記プライマリーオーディオビデオクリップエレメントPRAVCP内にトラック毎のメインオーディオエレメントMANADを複数記述する事が可能となる。図１０に示すように本実施形態ではサブスティテュートオーディオビデオSBTAV内にはメインビデオMANVDとメインオーディオMANADを含む事が出来る。それに対応し、図５９(b)に示すようにサブスティテュートオーディオビデオクリップエレメントSBAVCP内にはメインビデオエレメントMANVDとメインオーディオエレメントMANADを記述する事が可能である。更に、図１０に示すようにサブスティテュートオーディオビデオSBTAVのオブジェクトの記録場所としてネットワーク経由（ネットワークサーバNTSRV）に記録されている場合には、サブスティテュートオーディオビデオクリップエレメントSBAVCP内にネットワークソースエレメントNTSELEを記述する事が可能である。同様にサブスティテュートオーディオSBTADとセカンダリーオーディオビデオSCDAVもネットワークサーバNTSRV内に記録される場合には対応してサブスティテュートオーディオクリップエレメントSBADCP及びセカンダリーオーディオビデオクリップエレメントSCAVCP内にネットワークソースエレメントNTSELEを記述する事も可能である。また、図１０に示すように本実施形態ではサブスティテュートオーディオSBTAD内にメインオーディオMANADを含む事が出来、またセカンダリーオーディオビデオSCDAV内にはサブビデオSUBVDとサブオーディオSUBADを含む事が出来る。従って、それに対応してサブスティテュートオーディオクリップエレメントSBADCP内にメインオーディオエレメントMANADを記述する事が出来ると共に、セカンダリーオーディオビデオクリップエレメントSCAVCP内にサブビデオエレメントSUBVDとサブオーディオエレメントSUBADを記述する事が出来る。プライマリーオーディオビデオクリップエレメントPRAVCP内で説明したように各クリップエレメント内に複数のトラックが存在する場合にはそれぞれトラック毎に各エレメントを複数記述する。前記メインビデオエレメントMANVD内のデータ構造を図５９(c)内に示し、またメインオーディオエレメントMANAD内のデータ構造を図５９(d)に示す。更に、サブタイトルエレメントSBTELE内のデータ構造を図５９(e)内に記述すると共にサブビデオエレメントSUBVD内のデータ構造を図５９(f)に、サブオーディオエレメントSUBAD内のデータ構造を図５９(g)内に説明���する。図５９(c)から(g)に示す各エレメントタグ内の情報はエレメントタグの種類によらず、共通して以下の特徴を持っている。
【０５３４】
(1) “track = [トラック番号TRCKAT]”は各エレメントタグ内の最初に記述されている。トラック番号を各エレメントタグ内の最初に記述する事により、エレメントタグ毎のトラック番号の識別が容易になると共に高速に識別する事が可能となる。
【０５３５】
(2) 各エレメントタグ内に共通して最後に“description = [付加情報]”が記述（配置）される。（図５４から図５６に示すように各クリップエレメント内でも前記“description = [付加情報]”が一番最後に記述されており、各エレメントタグ内での配置の共通化が図れる。このように“description = [付加情報]”の配置位置が共通化されているため、図２８に示すようにナビゲーションマネージャNVMNG内のプレイリストマネージャPLMNGにおいて“description = [付加情報]”の場所抽出が容易となり、プレイリストPLLST内のデータ解析の容易化と高速化が図れる。
【０５３６】
(3) 前記トラック番号情報TRCKATと付加情報の情報が記述されている間に“mediaAttr = [メディア属性情報内の対応したメディア属性エレメントのインデックス番号MDATNM]”が記述（配置）される。
【０５３７】
(4) 前記トラック番号情報TRCKATとメディア属性情報内の対応したメディア属性エレメントのインデックス番号MDATNMとの間に“streamNumber = [ストリーム番号]”または“angleNumber = [アングル番号情報ANGLNM]”が記述（配置）される。
【０５３８】
前記(3)と(4)に示したようなデータ配置の共通化を図る事により、前記プレイリストマネージャPLMNGによる各エレメントタグ内での関連情報検索の容易化と高速化を図る事が出来る。以下に各オブジェクトエレメント内のデータ構造の説明を行う。
【０５３９】
＜ビデオエレメント（Video Element）＞
まず始めにメインビデオエレメントMANVD内のデータ構造の説明を行う。プライマリーエンハンストビデオオブジェクトP-EVOB内に存在するメインビデオパックVM_PCKにおけるメインビデオMANVDストリーム毎に設定されるビデオトラック番号に関する情報が前記メインビデオエレメントMANVD内に記載される。本実施形態において前記メインビデオエレメントMANVDはプライマリーオーディオビデオクリップエレメントPRAVCPとサブスティテュートオーディオビデオクリップエレメントSBAVCP内に記述する事が出来る。プライマリーエンハンストビデオオブジェクトP-EVOBのインターリーブドブロックを参照しているプライマリーオーディオビデオクリップエレメントPRAVCP内に前記メインビデオエレメントMANVDが存在している場合には、前記メインビデオエレメントMANVDはインターリーブドブロック内にプライマリーエンハンストビデオオブジェクトが存在する事を示されている。また同時に前記メインビデオエレメントMANVD内にはプライマリーエンハンストビデオオブジェクトP-EVOB内のメインビデオMANVDに対するビデオトラック番号の設定情報が記述されている。前記プライマリーエンハンストビデオオブジェクトP-EVOBがインターリーブドブロックを形成していない場合には、プライマリーエンハンストビデオオブジェクトP-EVOB内のメインビデオMANVDが単独で存在し、前記メインビデオMANVDのトラック番号は“１”と設定される。図５９(c)で記述されたトラック番号情報TRCKATの情報は対応するメインビデオエレメントMANVDが指定しているビデオトラック番号の情報を意味している。本実施形態においては、ビデオトラック番号は１から９までのいずれかの正数に設定しなくてはならない。前記トラック番号情報TRCKATの値は、トラックナビゲーションインフォメーションTRNAVIのビデオトラックエレメントVDTRKタグ内におけるビデオトラック番号VDTKNM（図６２(d)参照）に対応している。すなわちトラックナンバーアサイメントインフォメーション（オブジェクトマッピングインフォメーションOBMAPI）におけるメインビデオエレメントMANVDタグ内に記述したメインビデオMANVDの属性情報やアングル番号情報とトラックナビゲーションインフォメーションTRNAVIにおけるビデオトラックエレメントVDTRKタグ内に記述したユーザ選択可否情報との間の関係は、一致した値を持つトラック番号情報TRCKATとビデオトラック番号VDTKNMを介して知る事が出来る。図５９(c)に示すインターリーブドブロック内で選択されるアングル番号情報ANGLNMは、インターリーブドブロック内にプライマリーエンハンストビデオオブジェクトデータP-EVOBが存在している事を示している。また前記インターリーブドブロック内で選択されるアングル番号情報ANGLNMにより、対応する表示クリップがプライマリーエンハンストビデオオブジェクトP-EVOBのインターリーブドブロックを参照する場合には、表示するビデオトラック番号の選択するための情報として利用される。すなわち、インターリーブドブロック内にプライマリーエンハンストビデオオブジェクトP-EVOBが存在している場合に、メインビデオストリーム毎にトラック番号情報TRCKATと同時にインターリーブドブロック内で選択されるアングル番号情報ANGLNMを設定する事により、プレーヤがユーザ要求に応じてユーザに表示するアングルの選択が容易となる。もし対応するメインビデオMANVDがインターリーブドブロック内に存在しない場合には前記インターリーブドブロック内で選択されるアングル番号情報ANGLNM（angleNumber属性情報）の記載が省略される。前記メインビデオエレメントMANVDがプライマリーオーディオビデオクリップエレメントPRAVCP内に記述されている場合には前記インターリーブドブロック内で選択されるアングル番号情報ANGLNMは最大“９”まで設定する事が出来る。また、前記メインビデオエレメントMANVDがサブスティテュートオーディオクリップエレメントSBADCP内に記述されている場合には前記インターリーブドブロック内で選択されるアングル番号情報ANGLNMの値は“１”として設定される。本実施形態においては前記インターリーブドブロック内で選択されるアングル番号情報ANGLNMの値のデフォルト値は“１”として設定される。図５９(c)に示すメディア属性情報内の対応したメディア属性エレメントのインデックス番号MDATNMは対応するメインビデオストリームに対するメディア属性情報MDATRIのメディア属性インデックス番号の値を示している。図７９(a)に示すようにプレイリストPLLST内にメディア属性情報MDATRIが存在し、図７９(b)に示すように前記メディア属性情報MDATRI内にビデオに対するビデオアトリビュートアイテムエレメントVABITMが記述されている。図５９(b)に示すようにメインビデオエレメントMANVDとサブビデオエレメントSUBVDにおける解像度や画面表示サイズなどの属性が全て共通の場合には、図７９(b)に示すようにメディア属性情報MDATRI内に1個のビデオアトリビュートアイテムエレメントVABITMが存在し、全てのメディア属性情報内の対応したメディア属性エレメントのインデックス番号MDATNMの値が“１”と設定され、共通な属性情報が参照される。それに対し、各メインビデオエレメントMANVDとサブビデオエレメントSUBVDの解像度や表示画面サイズなどの属性情報が互いに異なり、複数の属性情報をそれぞれ参照する場合には図７９(b)内においてはそれぞれの各属性情報に応じた複数のビデオアトリビュートアイテムエレメントVABITMが記述され、前記複数のビデオアトリビュートアイテムエレメントVABITM内の何番目のビデオアトリビュートアイテムエレメントVABITMが対応するかの番号が図５９(c)に示すメディア属性情報内の対応したメディア属性エレメントのインデックス番号MDATNMに記述される。このように本実施形態においてプレイリストPLLST内に記載される情報としてオブジェクトマッピングインフォメーションOBMAPIが記述されるタイトル情報TTINFOと異なる領域にメディア属性情報MDATRIをまとめて記述させる事により、ビデオエレメント毎の属性検索が容易になるばかりで無く、共通したビデオ属性情報を異なるビデオエレメント間で参照する事によりプレイリストPLLST内に記載されるデータ量を減らす事が可能となる。本実施形態においては前記メディア属性情報内の対応したメディア属性エレメントのインデックス番号MDATNMの記載を省く事が出来る。その場合にはデフォルト値である“１”の値が自動設定される。図５９(c)に示すようにメインビデオエレメントタグ内の最後にビデオエレメントに関する付加情報は人が馴染みの深いテキストフォーマットで記述される。前記ビデオエレメントに関する付加情報はメインビデオエレメントタグ���での記載を省く事が可能となる。
【０５４０】
＜オーディオエレメント（Audio Element）＞
次に図５９(d)に示すメインオーディオエレメントMANAD内のデータ構造について以下に説明を行う。メインオーディオエレメントMANADはプライマリーエンハンストビデオオブジェクトP-EVOBのメインオーディオパックAM_PCK内におけるメインオーディオストリームのオーディオトラック番号設定についての情報もしくはセカンダリーエンハンストビデオオブジェクトS-EVOBのメインオーディオパックAM_PCK内のメインオーディオストリームに関するオーディオトラック番号設定に関する情報が記載されている。プライマリーオーディオビデオクリップエレメントPRAVCP及びサブスティテュートオーディオクリップエレメントSBADCP内におけるオーディオエレメントのリストにより、プライマリーエンハンストビデオオブジェクトP-EVOBとセカンダリーエンハンストビデオオブジェクトS-EVOB内における存在しうる（使用可能な）オーディオトラックの情報がそれぞれ記載される。すなわち、例えば対応するオーディオストリームにおいてオーディオトラックが３トラック存在する場合にはプライマリーオーディオビデオクリップエレメントPRAVCP内に１から３までの各トラック番号が設定された３個のメインオーディオエレメントMANADが記述される。前記メインオーディオエレメントMANADは各オーディオトラック番号から対応するメインオーディオストリームMANADへ変換される情報が記述されている。すなわち図５９(d)に示すようにメインオーディオMANAD毎のトラック番号情報TRCKATから、それに対応するオーディオパックのオーディオストリーム番号ADSTRNの対応関係を抽出する事が出来る。指定されたトラック番号から対応するオーディオストリーム番号ADSTRNを抽出する事により、エンハンストビデオオブジェクトEVOB内に設定されたオーディオストリーム番号ADSTRNの情報を用いて、再生必要なメインオーディオストリームMANADを抽出する事が可能となる。図５９(d)に示すtrack属性情報はトラック番号情報TRCKATを示す。本実施形態において、トラック番号情報TRCKATの値として１から８までの正数値を記述する事が出来る。すなわち、本実施形態においてはメインオーディオMANADとして最大８トラックまで情報を記録する事が可能となる。前記トラック番号情報TRCKATの値は、トラックナビゲーションインフォメーションTRNAVIのオーディオトラックエレメントADTRKタグ内におけるオーディオトラック番号ADTKNM（図６２(d)参照）に対応している。すなわちトラックナンバーアサイメントインフォメーション（オブジェクトマッピングインフォメーションOBMAPI）におけるメインオーディオエレメントMANADタグ内に記述したメインオーディオMANADの属性情報やオーディオストリーム番号情報とトラックナビゲーションインフォメーションTRNAVIにおけるオーディオトラックエレメントADTRKタグ内に記述したユーザ選択可否情報や言語コード情報との間の関係は、一致した値を持つトラック番号情報TRCKATとオーディオトラック番号ADTKNMを介して知る事が出来る。また、プライマリーエンハンストビデオオブジェクトP-EVOBまたはセカンダリーエンハンストビデオオブジェクトS-EVOBのメインオーディオパックAM_PCK内のオーディオストリームはそれぞれ別々のオーディオトラック番号が設定されており、上記トラック番号に対応したオーディオパックのオーディオストリーム番号ADSTRNの情報が前記対応関係を表している。前記トラック番号に対応したオーディオパックのオーディオストリーム番号ADSTRNの値はオーディオストリームのID番号に“１”を加算した値が設定される。LineatPCM、DD+、DTS-HD、またはMLPにおいてはオーディオストリームIDの値はサブストリームIDの意味のある下位３bitで表される。またMPEG１オーディオ、或いはMPEG２オーディオにおいてはオーディオストリームIDの値はパケットヘッダー内のストリームIDの意味のある（有効な）下位３bitで定義される。本実施形態において、オーディオストリーム番号ADSTRNの値は１から８までの正数で設定される。前記オーディオストリーム番号ADSTRNのデフォルト値は“１”として設定される。図５９(d)に示すメディア属性情報内の対応したメディア属性エレメントのインデックス番号MDATNMはオーディオストリームに対応したメディア属性情報MDATRIのメディア属性インデックス番号を表す。前記オーディオストリームに対応したメディア属性情報MDATRIは図７９(b)に示すようにプレイリストPLLST内のメディア属性情報MDATRI内のオーディオアトリビュートアイテムエレメントAABITM内に記載される。図５９(b)に示すようにオブジェクトマッピングインフォメーションOBMAPI内のメインオーディオエレメントMANADとサブオーディオエレメントSUBADのオーディオの圧縮コードやサンプリング周波数量子化ビット数などのオーディオ属性情報が全て一致する場合には図７９(b)内には1個の共通したオーディオアトリビュートアイテムエレメントAABITMが記述される。また逆に図５９に示すメインオーディオエレメントMANADとサブオーディオエレメントSUBAD内にそれぞれ異なる圧縮コード情報やオーディオのサンプリング周波数などの属性情報がそれぞれ複数異なる情報が設定されている場合には、図７９(b)にはその異なるオーディオ属性数に応じた数のオーディオアトリビュートアイテムエレメントAABITMが記述される。複数のオーディオアトリビュートアイテムエレメントAABITMが記述された場合には、どのオーディオアトリビュートアイテムエレメントAABITMに対応するかを指定する必要が有るので、前記オーディオアトリビュートアイテムエレメントAABITM内に記述されたメディアインデックス番号情報INDEXを指定する事により各メインオーディオエレメントMANADまたはサブオーディオエレメントSUBADに対応したオーディオアトリビュートアイテムエレメントAABITMを対応づける事が可能となる。このようにオブジェクトマッピングインフォメーションOBMAPIが記述されているタイトル情報TTINFOと異なる場所にオーディオアトリビュートアイテムエレメントAABITMをまとめて記載したメディア属性情報MDATRIの場所を設定する事により、オーディオ情報再生時におけるオーディオデコーダーの設定・管理を容易にすると共に、共通の属性情報を持ったオーディオアトリビュートアイテムエレメントAABITMを共有させる事により、プレイリストPLLST内の記載情報量を少なく出来るという効果がある。図５９(d)に示すオーディオエレメントに関する付加情報は人が馴染み深いテキストフォーマットで記述されている。前記オーディオエレメントに関する付加情報はメインオーディオエレメントMANADタグ内で記載を省く事が出来る。
【０５４１】
＜サブタイトルエレメント（Subtitle Element）＞
プライマリーオーディオビデオクリップエレメントPRAVCP内にサブタイトルエレメントSBTELEが存在する場合には、前記サブタイトルエレメントSBTELEはサブタイトルトラック番号からプライマリーエンハンストビデオオブジェクトデータP-EVOB内の副映像ストリームへの変換情報が前記サブタイトルエレメントSBTELE情報内に記述されている。すなわち図５９(e)内にサブタイトルのトラック番号情報TRCKATと上記トラック番号に対応した副映像パックの副映像ストリーム番号SPSTRNの対応情報が記述されているので、前記対応情報を利用して指定された副映像のトラック番号情報TRCKATから副映像パックの副映像ストリーム番号SPSTRNの情報を知る事が出来る。もしアドバンストサブタイトルセグメントエレメントADSTSG内に前記サブタイトルエレメントSBTELEが存在した場合には、対応するアドバンストサブタイトルのセグメントが指定されたサブタイトルトラック番号に設定されている設定情報が前記サブタイトルエレメントSBTELE内に記述される。図５９(e)に示すサブタイトルのトラック番号情報TRCKATはサブタイトルのトラック番号を意味し、本実施形態において前記サブタイトルトラック番号は１から３２までの正数値を設定する事が出来る。すなわち本実施形態においてのサブタイトルとしては３２個までのトラックを同時に設定する事が可能となる。前記トラック番号情報TRCKATの値は、トラックナビゲーションインフォメーションTRNAVIのサブタイトルトラックエレメントSBTRELタグ内におけるサブタイトルトラック番号STTKNM（図６２(d)参照）に対応している。すなわちトラックナンバーアサイメントインフォメーション（オブジェクトマッピングインフォメーションOBMAPI）におけるサブタイトルエレメントSBTELEタグ内に記述した属性情報や副映像ストリーム番号情報とトラックナビゲーションインフォメーションTRNAVIにおけるサブタイトルトラックエレメントSBTRELタグ内に記述したユーザ選択可否情報や言語コード情報との間の関係は、一致した値を持つトラック番号情報TRCKATとサブタイトルトラック番号STTKNMを介して知る事が出来る。前記サブタイトルエレメントSBTELEがプライマリーオーディオビデオクリップエレメントPRAVCP内に存在する場合には、上記トラック番号に対応した副映像パックの副映像ストリーム番号SPSTRNの値はサブストリーム番号に“１”を加えた値が設定される。エンハンストビデオオブジェクトのサブピクチャーストリーム属性情報EVOB_SPST_ATTRを利用する事で、前記サブピクチャーストリーム番号はディスプレイタイプ毎にデコードされるストリーム番号に変換されなければならない。また前記デコーディングストリーム番号はプライマリーエンハンストビデオオブジェクトデータP-EVOB内の副映像パックSP_PCKと１対１に対応付けられる。本実施形態において前記副映像パックの副映像ストリーム番号SPSTRNは、１から３２までの正数値として指定されなければならない。本実施形態においてアドバンストサブタイトルADSBTの情報は副映像パックSP_PCK内に保存されるようなマルチプレクストパッキング形態を取らない。従って副映像パックの副映像ストリーム番号SPSTRNの規定が不可能となる。そのためサブタイトルエレメントSBTELEがアドバンストサブタイトルセグメントエレメントADSTSG内に記述されている場合には、前記副映像��ックの副映像ストリーム番号SPSTRNの記載は前記サブタイトルエレメントSBTELEタグ内から省かれる。前記サブタイトルエレメントSBTELEタグ内に前記副映像パックの副映像ストリーム番号SPSTRNの記述が省かれた場合にはデフォルト値である“１”が自動的に設定される。図７９(b)に示すようにプレイリストPLLST内のメディア属性情報MDATRI内にサブピクチャーアトリビュートアイテムエレメントSPAITMが存在する。もし、メディア属性情報MDATRI内に複数のサブピクチャーアトリビュートアイテムエレメントSPAITMが存在する場合には、それぞれ異なるサブピクチャーの圧縮コード情報SPCDCに対応した個々のメディアインデックス番号情報INDEXが図７９(e)に示すように組となって記述される。図７９(b)に示すメディアインデックス番号情報INDEXを図５９(e)に記載されたメディア属性情報内の対応したメディア属性エレメントのインデックス番号MDATNMで指定する事により、対応するサブピクチャーの圧縮コード情報SPCDCの対応を取る事が可能となる。このようにメディア属性情報内の対応したメディア属性エレメントのインデックス番号MDATNM情報は副映像ストリームに対するメディア属性情報のインデックス番号を指定している。本実施形態において前記サブタイトルエレメントSBTELE内でのメディア属性情報内の対応したメディア属性エレメントのインデックス番号MDATNMの情報記載を省く事が可能となる。その場合にはデフォルト値である“１”の値が自動的に設定される。アドバンストサブタイトルADSBTにおいては前記サブピクチャーの圧縮コード情報SPCDCの情報は意味を持たない。従って、前記サブタイトルエレメントSBTELEがアドバンストサブタイトルセグメントエレメントADSTSG内に記述されている場合には、前記メディア属性情報内の対応したメディア属性エレメントのインデックス番号MDATNMの値は無視されなければならない。図５９(e)に示すサブタイトルエレメントSBTELEに関する付加情報は人に馴染みの深いテキストフォーマットで記述され、前記付加情報は前記サブタイトルエレメントSBTELEタグ内での記述を省く事が可能となる。
【０５４２】
＜サブビデオエレメント（Subvideo Element）＞
更に図５９(f)に示すサブビデオエレメントSUBVDタグ内のデータ構造の説明を行う。前記サブビデオエレメントSUBVDはプライマリーエンハンストビデオオブジェクトデータP-EVOBのサブビデオパックVS_PCKにおけるサブビデオストリームに対応し、各サブビデオストリーム毎にサブビデオトラック番号設定情報が記載されている。またはセカンダリーエンハンストビデオオブジェクトデータS-EVOBのセカンダリービデオパックVS_PCK内に記録されたサブストリームのサブビデオトラック番号の設定情報を前記サブビデオエレメントSUBVD内に記述する事ができる。プライマリーオーディオビデオクリップエレメントPRAVCP内に前記サブビデオエレメントSUBVDの記載が有る場合には、プライマリーエンハンストビデオオブジェクトデータP-EVOBのセカンダリービデオパックVS_PCK内にサブビデオとしてサブビデオストリームが存在する（再生可能である）事を意味している。それとは異なる他の場合、すなわち前記プライマリーオーディオビデオクリップエレメントPRAVCP内にサブビデオエレメントSUBVDが存在しない場合には、セカンダリービデオパックVS_PCKの形でサブビデオストリームが記録されていない事になる。もし、セカンダリーオーディオビデオクリップエレメントSCAVCP内に前記サブビデオエレメントSUBVDが存在する場合には、サブビデオとしてセカンダリーエンハンストビデオオブジェクトデータS-EVOBのセカンダリービデオパックVS_PCK内にサブビデオストリームが存在する（使用可能である）事を意味する。それ以外の前記セカンダリーオーディオビデオクリップエレメントSCAVCP内にサブビデオエレメントSUBVDの記述が無い場合には、セカンダリービデオパックVS_PCKの形でサブビデオストリームが存在していない事になる。図５９(f)に示すトラック番号情報TRCKATはサブビデオトラック番号を示すが、本実施形態においてサブビデオトラックは複数持つ事を禁止しているので前記トラック番号情報TRCKATは常に“１”と設定しなければならない。図５９(f)に示すメディア属性情報内の対応したメディア属性エレメントのインデックス番号MDATNMは図７９(d)に記載されたビデオアトリビュートアイテムエレメントVABITM内のメディアインデックス番号情報INDEXの情報が記載され、それにより対応するサブビデオの圧縮コード、アスペクト比、解像度、及び表示画面サイズなどの情報を指定する事が可能となる。図５９(f)に示すサブビデオエレメントに関する付加情報は人に馴染みの深いテキストフォーマットで記述され、前記情報をサブビデオエレメントSUBVDタグ内での記述を省く事が可能となる。
【０５４３】
＜サブオーディオエレメント（SubAudio Element）＞
最後に図５９(g)に示すサブオーディオエレメントSUBADタグ内のデータ構造の説明を行う。前記サブオーディオエレメントSUBADはプライマリーエンハンストビデオオブジェクトデータP-EVOBのセカンダリーオーディオパックAS_PCK内におけるサブオーディオストリームに関する管理情報を示している。前記サブオーディオストリーム毎に設定されるサブオーディオトラック番号設定情報が前記サブオーディオエレメントSUBAD内に記述されている。また前記サブオーディオエレメントSUBADはセカンダリーエンハンストビデオオブジェクトデータS-EVOBのセカンダリーオーディオパックAS_PCK内のサブオーディオストリームに関する管理情報を示す事も有る。この場合には前記サブオーディオストリーム毎に設定されるサブオーディオトラック番号設定情報が前記サブオーディオエレメントSUBAD内に記述される。もし、プライマリーオーディオビデオクリップエレメントPRAVCP内に前記サブオーディオエレメントSUBADが存在する場合には、サブオーディオとしてプライマリーエンハンストビデオオブジェクトデータP-EVOBのセカンダリーオーディオパックAS_PCK内にサブオーディオストリームが存在する（再生可能である）事を示している。それ以外としてプライマリーオーディオビデオクリップエレメントPRAVCP内でサブオーディオエレメントSUBADが存在しない場合には、セカンダリーオーディオパックAS_PCK内でサブオーディオストリームが存在しない事を意味している。もし、セカンダリーオーディオビデオクリップエレメントSCAVCP内にサブオーディオエレメントSUBADが記述されている場合には、サブオーディオとしてセカンダリーエンハンストビデオオブジェクトデータS-EVOBのセカンダリーオーディオパックAS_PCK内にサブオーディオストリームが存在する（再生可能）事を意味している。それ以外としてセカンダリーオーディオビデオクリップエレメントSCAVCP内にサブオーディオエレメントSUBADの記述が無い場合にはセカンダリーオーディオパックAS_PCK内にサブオーディオストリームが存在しない事になる。またプライマリーエンハンストビデオオブジェクトデータP-EVOBとセカンダリーエンハンストビデオオブジェクトデータS-EVOB内の使用可能なサブオーディオトラックは、それぞれプライマリーオーディオビデオクリップエレメントPRAVCPとセカンダリーオーディオビデオクリップエレメントSCAVCP内のサブオーディオエレメントSUBADのリストとして記述される。図５９(g)に示すトラック番号情報TRCKATはサブオーディオトラック番号を表し、本実施形態においては前記サブオーディオトラック番号として１から８までの正数が記載されなければならない。前記トラック番号情報TRCKATの値は、トラックナビゲーションインフォメーションTRNAVIのオーディオトラックエレメントADTRKタグ内におけるオーディオトラック番号ADTKNM（図６２(d)参照）に対応している。すなわちトラックナンバーアサイメントインフォメーション（オブジェクトマッピングインフォメーションOBMAPI）におけるサブオーディオエレメントSUBADタグ内に記述したサブオーディオSUBADの属性情報やサブオーディオストリーム番号情報と、トラックナビゲーションインフォメーションTRNAVIにおけるオーディオトラックエレメントADTRKタグ内に記述したユーザ選択可否情報や言語コード情報との間の関係��、互いに一致した値を持つトラック番号情報TRCKATとオーディオトラック番号ADTKNMにより関連付けられる。図５９(g)に示すように、上記トラック番号とサブオーディオパックのサブオーディオストリーム番号SASTRNは一対一対応している。すなわちプライマリーエンハンストビデオオブジェクトデータP-EVOBまたはセカンダリーエンハンストビデオオブジェクトデータS-EVOB内にマルチプレクスされているセカンダリーオーディオパックAS_PCK内に記録されたオーディオストリーム毎にそれぞれサブオーディオトラック番号が設定され、前記サブオーディオエレメントSUBAD内に記述されている。前記上記トラック番号に対応したサブオーディオパックのサブオーディオストリーム番号SASTRNの情報は、オーディオストリームIDの値に“１”を加えた情報として設定される。また、前記サブオーディオパックのサブオーディオストリーム番号SASTRNの値は１から８までの正数を設定しなければならない。本実施形態においてセカンダリーオーディオビデオSCDAV内にはサブオーディオSUBADのトラックは1個しか持つ事が出来ない。従って、前記サブオーディオエレメントSUBADがセカンダリーオーディオビデオクリップエレメントSCAVCP内に記述されている場合には、前記サブオーディオパックのサブオーディオストリーム番号SASTRNの記述を省くか、もしくは“１”の値が設定されなければならない。本実施形態において前記サブオーディオパックのオーディオストリーム番号SASTRNのデフォルト値は“１”が設定さる。図７９(c)に示すようにオーディオアトリビュートアイテムエレメントAABITM内にはメディアインデックス番号情報INDEXが記述され、前記メディアインデックス番号INDEXを指定する事により対応するオーディオの圧縮コード情報ADCDCやサンプリング周波数ADSPRT、量子化ビット数SPDPTなどのオーディオ属性情報が対応する。図５９(g)に示すメディア属性情報内の対応したメディア属性エレメントのインデックス番号  MDATNMの値として図７９(c)に記述したメディアインデックス番号情報INDEXの値を設定する事で、サブオーディオエレメントSUBAD毎に前記のオーディオ属性情報を対応づける事が可能となる。図５９(g)に示すサブオーディオエレメントに関する付加情報は人の馴染みの深いテキストフォーマットで記述され、前記サブオーディオエレメントSUBADタグ内で前記付加情報の記載を省く事が可能である。
【０５４４】
＜トラックナンバーアサインエレメント及びトラック（Track Number Assignment Element and Track）＞
全ての再生表示対象オブジェクトの再生期間はオブジェクトマッピングインフォメーションOBMAPIによりタイトルタイムラインTMLE上で設定されている。また各再生表示オブジェクトは“１”以上のエレメンタリーストリームから構成されている。例えば、図１０に示すようにプライマリーオーディオビデオPRMAVの再生表示対象オブジェクトであるプライマリーエンハンストビデオオブジェクトP-EVOBはメインビデオMANVD、メインオーディオMANAD、サブビデオSUBVD、サブオーディオSUBAD、及び副映像SUBPTなどのエレメンタリーストリームから構成されている。また各再生表示オブジェクト内における各エレメンタリーストリームがどのタイミングで表示されて有効期間となるかを、図５９(b)に示すプレイリストファイルPLLST内に記述されている。図６０に示すように表示再生オブジェクト内におけるエレメンタリーストリーム毎に設定される論理的な識別単位をトラックと呼ぶ。例えば、図１０に示すようにメインオーディオMANADはプライマリーオーディオビデオPRMAV、サブスティテュートオーディオSBTAD、或いはサブスティテュートオーディオビデオSBTAVの中に存在する事が可能である。各メインオーディオMANADの識別単位毎にそれぞれメインオーディオトラックMATRKと対応づける事が可能となる。特定のタイトル再生中においてAPIコマンドまたはユーザ指定により表示再生すべきトラックが選択され、ユーザに対し表示再生される。各トラックはタイトル内においてトラック番号によって他のトラックと識別する事が出来る。本実施形態では図６０に示すようにメインビデオトラックMVTRK、メインオーディオトラックMATRK、サブタイトルトラックSBTTRK、サブビデオトラックSVTRK、サブオーディオトラックSATRKからなる５種類のタイプのトラックを定義する事が出来る。アドバンストコンテンツ再生部ADVPL内において前記トラック番号を指定する事により、特定のメインビデオMANVD、メインオーディオMANAD、サブビデオSUBVD、サブオーディオSUBAD及び副映像SUBPTを選択する事が可能となる。再生表示オブジェクトとそれに対応するエレメンタリーストリーム及び各トラック間の関係を図６０に示す。前記関係は図１０に示す一覧表の内容と対応している。図５９(c)から(g)に示すように本実施形態では各エレメントタグ内にトラック番号情報TRCKATが記述可能な形になっている。従ってこれらのエレメントをトラック番号設定エレメント（トラックナンバーアサイメントエレメント）と呼ばれる。図５９(c)から(g)に示すようにトラック毎にトラック番号がプレイリストファイルPLLST内に（トラック番号情報TRCKATとして）それぞれ設定されている。また前記トラック番号TRCKATは“１”以上の正数値で設定されなければならない。前記トラック番号TRCKATはAPIコマンドまたはユーザ指定によりトラック番号が選択され、ユーザへの表示再生するトラックの選択に利用される。前記トラック番号TRCKATは図６２(d)に示す各種トラック番号に対応している。図６２(d)に示すトラックナビゲーションインフォメーション内にはトラック選択に必要な情報が記述されている。従って、アドバンストコンテンツ再生部ADVPL内（図２８に示すナビゲーションマネージャNVMNG内のプレイリストマネージャPLMNG）において、前記トラックナビゲーションインフォメーションの情報を利用し��APIコマンドまたはユーザ設定によりトラック選定が行われる。具体的にはビデオトラック番号VDTKNM（図６２参照）を用いてメインビデオMANVD内のユーザに表示するビデオアングルの選定を行う事が出来る。またオーディオトラック番号ADTKNMを用いてメインオーディオMANAD内のトラック選択をする事が出来る。またサブタイトルトラック番号STTKNMの番号を指定する事により、副映像SUBPT或いはアドバンストサブタイトルADSBTの所定のトラック選択が行える。またサブビデオトラック番号とサブオーディオトラック番号によりサブビデオSUBVDとサブオーディオSUBADのトラック選択を行う事が可能となる。図５９(d)内にはトラック番号情報TRCKATと前記トラック番号に対応したオーディオパックのオーディオストリーム番号ADSTRNとの対応情報が記述されており、図５９(e)に示すようにトラック番号情報TRCKATと前記トラック番号に対応した副映像パックの副映像ストリーム番号SPSTRNの対応情報が記述されている。上記の例からわかるようにトラック番号設定情報（トラックナンバーアサイメントインフォメーション）内には各トラック番号TRCKATから表示再生オブジェクト内の各エレメンタリーストリームを対応させる情報が記述されている。再生表示オブジェクト内に記録されている各エレメンタリーストリームに対応したトラック番号設定情報（トラックナンバーアサイメント）が、前記再生表示オブジェクトを管理する表示再生クリップエレメント（プライマリーオーディオビデオクリップエレメントPRAVCPなど）内のチャイルドエレメント（例えばメインビデオエレメントMANVD）内にそれぞれ記述されている。すなわち図５９(c)に示すようにメインビデオエレメントMANVD内のトラック番号情報TRCKAT（track属性情報）の値としてトラックナビゲーションインフォメーションTRNAVI内の対応したビデオトラックエレメントVDTRKのビデオトラック番号VDTKNMの値（図６２（ｄ）参照）が記述されている。また図５９(d)に示すようにメインオーディオエレメントMANAD内のトラック番号情報TRCKAT（track属性情報）の値としてトラックナビゲーションインフォメーションTRNAVI内の対応したオーディオトラックエレメントADTRKのオーディオトラック番号ADTKNMの値（図６２（ｄ）参照）が記述されている。更に、図５９(e)に示すようにサブタイトルエレメントSBTELE内のトラック番号情報TRCKAT（track属性情報）の値としてトラックナビゲーションインフォメーションTRNAVI内の対応したサブタイトルトラックエレメントSBTRELのサブタイトルトラック番号STTKNMの値（図６２（ｄ）参照）が記述されている。同様に図５９(g)に示すようにサブオーディオエレメントSUBAD内のトラック番号情報TRCKAT（track属性情報）の値としてトラックナビゲーションインフォメーションTRNAVI内の対応したオーディオトラックエレメントADTRKのオーディオトラック番号ADTKNMの値（図６２（ｄ）参照）が記述されている。また、本実施形態においてはサブビデオトラック番号（図５９(f)内のサブビデオトラックに対応したトラック番号情報TRCKAT）は“１”に設定されなければならない。また本実施形態においては、各再生表示クリップエレメント内における異なるエレメンタリーストリーム毎に異なる（それぞれ独自の）トラックナンバーが設定されなければならない。例えば複数の異なる再生表示クリッ���エレメント上で指定したタイトルタイムライン上の有効期間が互いに重なる場合には、前記有効期間が重なった時間帯において、異なる再生表示クリップエレメントに属するエレメンタリーストリーム間でトラックナンバー（トラック番号）が重複しないようなトラックナンバーの設定をする必要がある。本実施形態ではトラックタイプ（ビデオ／オーディオ／サブタイトルなどのエレメンタリーストリームの内容を示すタイプ）が異なるエレメンタリーストリーム間では同一のトラックナンバー（トラック番号）を設定しても良い。
【０５４５】
トラックナンバーアサイメントインフォメーション記述例を図６１に示す。前記図６１の内容に記述された各エレメンタリーストリームにおいて設定されたトラック番号設定方法は、図６０に示した関係に従っている。図６１(c)の例において、プライマリーオーディオビデオPRMAVに関するタイムマップPTMAPの情報が情報記憶媒体DISC内にAVMAP001.MAPというファイル名で保存されている。本実施形態においては対応するプライマリーエンハンストビデオオブジェクトデータP-EVOBのファイル名および保存場所も前記タイムマップファイルPTMAPと一致させている（但しファイル名の拡張子のみが“MAP”と“EVO”と異なる）。すなわちプライマリーオーディオビデオPRMAVに対応したプライマリーエンハンストビデオオブジェクトデータP-EVOBが記録されているファイル名はAVMAP001.EVOというファイル名になっている。図６１(c)に示すようにプライマリーオーディオビデオクリップエレメントPRAVCP内で「clipTimeBegin =“00:00:00:00”」となっているので、プレイリストPLLSTで再生される場合には前記プライマリーエンハンストビデオオブジェクトデータP-EVOBファイルの先頭から再生が開始されることになる。プレイリストPLLST上では、タイトルタイムラインTMLEの最初の位置から10分21秒経過した所まで再生する事になっている。前記プライマリーオーディオビデオPRMAV内に存在するメインビデオMANVDはマルチアングル化され、アングルナンバーが“１”の物をビデオトラック番号“１”と設定し、アングル番号“２”の物がビデオトラック番号“２”として設定される。前記プライマリーオーディオビデオPRMAVの中にはオーディオトラックが３本存在し、ストリーム番号“０”の物がオーディオトラック番号“１”、ストリーム番号“２”のエレメンタリーオーディオストリームがオーディオトラック番号“２”、オーディオストリームナンバー“３”の物がオーディオトラック番号“３”と設定されている。また同時にサブタイトルトラックを２本持っている構造となっている。図６１(c)の実施形態ではプライマリーオーディオビデオPRMAVのメインオーディオMANADに代わってパーシステントストレージPRSTR内に保存されているサブスティテュートオーディオSBTADを再生表示する事が出来る。この場合のオーディオトラック番号を“４”として設定する事により、ユーザはオーディオトラック番号“１”からオーディオトラック番号“４”のうちのいずれかのメインオーディオMANADを選択的に再生表示する事が可能となっている。また図６１(c)の実施形態では、プライマリーオーディオビデオPRMAVの表示時期と全く同じ時期にパーシステントストレージPRSTRに記録されたアドバンストサブタイトルADSBTを同時に表示する事が可能である。この場合のアドバンストサブタイトルADSBTのトラック番号を“３”と設定されており、事前にプライマリーオーディオビデオPRMAV内に設定され、副映像SUBPTと選択的に表示する事が可能となっている。すなわち、サブタイトルトラックは“１”から“３”まで存在し、プライマリーオーディオビデオPRMAVのメインビデオMANVDの特定アングルのメインビデオMANVDを表示しながら“１”から“３”までのいずれかのサブタイトルトラックを選択的に表示させる事が可能となっている。
【０５４６】
図５９(c)から(g)までに示したトラックナンバーアサイメントインフォメーション情報は対応するストリームのストリーム番号とトラック番号TRCKATとの対応、及び各トラック番号TRCKATに対応したメディア属性情報（メディア属性エレメントのインデックス番号MDATNM）との間の関係を示している。それに対して図６２(d)から(e)に示すトラックナビゲーションインフォメーションTRNAVIの内容は、各トラック番号に対しユーザが選択するのに必要な情報がまとめて記述されている。前記トラックナンバーアサイメントインフォメーションと前記トラックナビゲーションインフォメーションTRNAVIとの間の情報のリンクはそれぞれのトラック番号TRCKATにより関係づけられる。すなわち図６２(d)に示すビデオトラック番号VDTKNM、オーディオトラック番号ADTKNM、及びサブタイトルトラック番号は、図５９(c)から(d)に示すトラック情報TRCKATと同じ値が設定され、その同じ値を利用して前記トラックナンバーアサイメントインフォメーションの情報と前記トラックナビゲーションインフォメーションTRNAVIの情報をリンクさせる事が出来る。以下に図６２を用い、プレイリストPLLST内でのトラックナビゲーションインフォメーションTRNAVIの記載場所の説明を行う。図６２に示すようにプレイリストPLLST内には構造情報CONFGI、メディア属性情報MDATRIとタイトル情報TTINFOが存在する。図６２(b)に示すように前記タイトル情報TTINFO内にはファーストプレイタイトルエレメント情報FPTELEと各タイトル毎に関するタイトルエレメント情報TTELEM、及びプレイリストアプリケーションエレメント情報PLAELEが存在する。図６２(c)に示すようにトラックナビゲーションインフォメーションTRNAVIはタイトル毎のタイトルエレメント情報TTELEM内に存在している。
【０５４７】
＜トラックナビゲーションインフォメーションエレメント及び属性（Track Navigation Information Element and Aattribute of Track）＞
前述したようにプレイリストファイルPLLST内のタイトルエレメント情報TTELEM内にトラックナビゲーションインフォメーションTRNAVIが存在する。前記トラックナビゲーションインフォメーションTRNAVIは図６２(e)に示すようにトラックナビゲーションリストエレメントにより構成されている。前記トラックナビゲーションインフォメーションTRNAVI内にはユーザが選択可能なメインビデオトラックMVTRK、メインオーディオトラックMATRK、及びサブオーディオトラックSATRKとサブタイトルトラックSBTTRKに関するリストが記述されている。図６２(d)に示すようにトラックナビゲーションインフォメーションTRNAVI内にはユーザが選択可能なメインビデオトラックMVTRKに関する属性情報がビデオトラックエレメントVDTRK内に記述されている。また同様にユーザが選択可能なメインオーディオトラックMATRK、及びサブオーディオトラックSATRKに関する属性情報がオーディオトラックエレメントADTRK内に記録され、ユーザが選択可能なサブタイトルトラックSBTTRKに関する属性情報がサブタイトルトラックエレメントSBTREL内に記述されている。図６２(d)に示すようにビデオトラックエレメントVDTRK、オーディオトラックエレメントADTRK及びサブタイトルトラックエレメントSBTRELいずれのトラックエレメントにおいてもユーザ選択可を示すフラグUSIFLG（selectable属性情報）が存在している。前記ユーザ選択可を示すフラグUSIFLG（selectable属性情報）に示された値により対応するトラックがユーザ選択可能であるか否かを示す。すなわち“selectable=”の後に入れる値が“true”の場合には、対応するトラックがユーザ選択可能である事を示し、“selectable=”の後に記載する値が“false”の場合には、対応するトラックがユーザによる選択不可能である事を意味している。このように、selectable属性情報の値が“true”と設定されたメインビデオトラックMVTRK、メインオーディオトラックMATRK、サブオーディオトラックSATRK、及びサブタイトルトラックSBTTRKをユーザ選択可能なトラック（ユーザセレクタブルトラック）と呼ばれる。図４４に示すようにアドバンストアプリケーションマネージャADAMNG内にデフォルトイベントハンドラースクリプトDEVHSPの保存場所が存在する。前記デフォルトイベントハンドラースクリプトDEVHSP内に保存されているデフォルトインプットハンドラー内容を図４５に示す。図４５に示すようにデフォルトインプットハンドラー名changeSubtitleHandler（バーチャルキーコードVK_SUBTITLE）はサブタイトルトラック変更のユーザ入力イベントを意味する。また、デフォルトインプットハンドラー名changeAudioHandler（バーチャルキーコードがVK_AUDIO）はオーディオトラックの切替えに関するユーザ入力イベントを意味している。前記デフォルトイベントハンドラーにより定義されたユーザオペレーションにより前記ユーザ選択可能なトラック（ユーザセレクタブルトラック）の選択が行われる。また図６２(e)に示すように“selectable=”の値が“false”に設定されたトラックは、ユーザ選択不可能なトラック（ノンユーザセレクタブルトラック）と呼ばれている。更にメインオーディオトラックMATRK、及びサブオーディオトラックSATRKに関してはオーディオトラックエレメントADTRK内に記述されるオーディオ言語コードとオーディオ言語コード拡張記述子ADLCEX（langcode属性情報��によりるオーディオ言語コードと言語コード拡張記述子の情報が設定される。また、サブタイトルトラックSBTTRKに関してもサブタイトルトラックエレメントSBTREL内のサブタイトル言語コードとサブタイトル言語コード拡張記述子STLCEX（langcode属性情報）により言語コードと言語コード拡張記述子の情報が設定される。前記言語コードと言語コード拡張記述子はトラックを選択するAPIコマンドにより利用される。またサブタイトルトラックエレメントSBTREL内に記述される強制出画を示すフラグFRCFLG（forced属性情報）の属性の値が“true”と設定された場合には、対応するサブタイトルトラックSBTTRK（副映像SUBPT）をユーザの意思に関係なく、強制的に画面に出力しなければならない。逆に前記強制出画を示すフラグFRCFLG（forced属性情報）の値が“false”と設定された場合には、対応するサブタイトル（副映像SUBPT）は必ずしも強制出画する必要は無く、ユーザ選択により表示可否が設定出来る。例えばユーザ選択により字幕表示を行わない設定にとしていた場合でもコンテンツプロバイダの意図により特定の領域だけ強制的に字幕を画面に表示する事で、ユーザへの表現力を向上させる事がある。このような場合に前記強制出画を示すフラグFRCFLG（forced属性情報）の値を“true”にする事でコンテンツプロバイダのユーザへの表現力を向上させる事が出来る。またトラックエレメント毎にテキストフォーマットで記述された付加情報を記述する事が可能となり、各トラック毎の識別に利用する事も可能となる。
【０５４８】
＜トラックナビゲーションリストエレメント（TrackNavigationList Element）＞
前記トラックナビゲーションリストエレメントはタイトル内におけるトラック情報の説明を行っている。前記トラックナビゲーションリストの中身はビデオトラックエレメントVDTRK、オーディオトラックエレメントADTRK、及びサブタイトルトラックエレメントSBTRELのリストから構成され、これらのエレメントはトラックナビゲーションインフォメーションエレメントTRNAVIと呼ばれる。またタイトル内での前記トラック情報は前述したビデオトラックエレメントVDTRK、オーディオトラックエレメントADTRKおよびサブタイトルトラックエレメントSBTREL内に記述されている。さらにビデオトラックエレメントVDTRK、オーディオトラックエレメントADTRKおよびサブタイトルトラックエレメントSBTRELは対応するトラックに対する属性情報をも示している。
【０５４９】
＜ビデオトラックエレメント（VideoTrack Element）＞
以下に図６２(d)及び(e)に示すビデオトラックエレメントVDTRKの説明を行う。前記ビデオトラックエレメントVDTRKはメインビデオトラックMVTRKの属性情報リストを示している。ビデオトラックエレメントVDTRK内のビデオトラック番号VDTKNM（track属性情報）は各ビデオトラックを識別するためのビデオトラック番号VDTKNMを示している。本実施形態においては前記ビデオトラック番号VDTKNMの値として１から９までの正数を設定しなければならない。すなわち本実施形態においては９個までのメインビデオトラックMVTRKを設定する事が出来、どれか１つをユーザが選択出来る。９個までユーザが選択できるメインビデオトラックMVTRKを設定する事により、コンテンツプロバイダのユーザに対する表現力が大幅に増す事が出来る。またユーザ選択可を示すフラグUSIFLG（selectable属性情報）は、対応するメインビデオトラックMVTRKがユーザオペレーションによる選択が出来るか否かを表している。ユーザ選択可を示すフラグUSIFLGの値が“true”の場合には、対応するメインビデオトラックMVTRKがユーザオペレーションにより選択可能である事を示し、“false”の場合には、ユーザオペレーションによる選択が不可能である事を意味している。ビデオトラックエレメントVDTRK内で前記ユーザ選択可を示すフラグUSIFLGの記述を省く事が出来る。また、この場合にはデフォルト値である“true”が自動的に設定される。ビデオトラックに関する属性情報は人に馴染みの深いテキストフォーマットで記述されるが前記付加情報はビデオトラックエレメントVDTRK内で記述を省く事が可能となる。
【０５５０】
＜オーディオトラックエレメント（AudioTrack Element）＞
次に図６２(d)及び(e)に示すオーディオトラックエレメントADTRKの説明を行う。オーディオトラックエレメントADTRKはメインオーディオトラックMATRK及びサブオーディオトラックSATRKの属性リストを示している。オーディオトラックエレメントADTRK内のオーディオトラック番号ADTKNM（track属性情報）は各オーディオトラック間の識別に利用されるオーディオトラック番号ADTKNMが設定される。ユーザ選択可を示すフラグUSIFLG（selectable属性情報）は対応したメインオーディオトラックMATRK又はサブオーディオトラックSATRKがユーザオペレーションにより選択可能であるか否かを示している。もし前記ユーザ選択可を示すフラグUSIFLGの値が“true”の場合には、対応するオーディオトラックがユーザオペレーションにより選択可能である事を示し、“false”の場合には、ユーザオペレーションにより選択が不可能である事を示している。前記オーディオトラックエレメントADTRK内で前記ユーザ選択可を示すフラグUSIFLGの記述を省く事が出来る。この場合にはデフォルト値である“true”が自動的に設定される。本実施形態においてはオーディオトラック番号ADTKNMの値は、１から８までの正数値を入れなければならない。このようにオーディオトラックを８トラックまで選択可能にする事により、コンテンツプロバイダのユーザへの表現力を大幅に向上する事が可能となる。またオーディオ言語コードとオーディオ言語コード拡張記述子ADLCEX（langcode属性情報）は、対応するオーディオトラック番号ADTKNMに対する特定のコード及び特定のコード拡張記述子を記述している。ここで図６２(e)に示すように日本語を表す場合には値として“ja”を示し、また英語を表す場合には“en”を表している。また、同一日本語もしくは同一英語でもオーディオトラックの内容が異なる場合を想定し、オーディオ言語コードとオーディオ言語コード拡張記述子ADLCEX（langcode属性情報）の値として言語コード番号の後にコロンを配置し、その後に数字（例として“ja:01”）を設定する事が出来る。またオーディオトラックに関する付加情報は人に馴染みの深いテキストフォーマットで記述されるが前記付加情報はオーディオトラックエレメントADTRK内の記述を省く事が出来る。
【０５５１】
＜サブタイトルトラックエレメント（SubtitleTrack Element）＞
以下にサブタイトルトラックエレメントSBTRELの説明を行う。前記サブタイトルトラックエレメントSBTRELはサブタイトルトラックSBTTRKの属性リストを示している。サブタイトルトラック番号STTKNM（track属性情報）は各サブタイトルトラックSBTTRK間の識別に利用され、サブタイトルトラック番号STTKNMの値は１から３２までの正数を記載しなくてはならない。本実施形態においてサブタイトルトラックSBTTRKを３２トラックに設定する事によりユーザに対する大幅な表現力アップを図る事が出来る。またユーザ選択可を示すフラグUSIFLG（selectable属性情報）はユーザオペレーションによるサブタイトルトラックSBTTRKの選択が可能であるかを示している。前記値が“true”の場合には、サブタイトルトラックSBTTRKはユーザオペレーションによる選択が可能である事を示し、“false”の場合には、ユーザオペレーションの選択が不可能である事を示す。前記ユーザ選択可を示すフラグUSIFLGは前記サブタイトルトラックエレメントSBTREL内での記述を省く事が出来るが、その場合はデフォルト値である“true”が自動的に設定される。サブタイトル言語コードとサブタイトル言語コード拡張記述子STLCEXは該当するサブタイトルトラックSBTTRKに関する特定のコードと特定のコード拡張記述子を示す。また強制出画を示すフラグFRCFLG（forced属性情報）は対応するサブタイトルトラックSBTTRKが強制的に出画されるかどうかを示す。もし前記の値が“true”の場合には、対応するサブタイトルトラックSBTTRKは強制的に出画されなければならず、“false”の場合には、必ずしも強制的に出画する必要は無い。前記値は（前記強制出画を示すフラグFRCFLGは）対応するサブタイトルトラックエレメントSBTREL内での記述を省く事が出来る。この場合にはデフォルト値である“false”が自動的に設定される。またサブタイトルトラックSBTTRKに関する付加情報は人に馴染みの深いテキストフォーマットで記述されるが、前記付加情報はサブタイトルトラックエレメントSBTREL内で記載を省く事が可能である。
【０５５２】
図６２(e)に示したトラックナビゲーションリストの具体例について説明を行う。図６２(e)においてはビデオトラックは３トラック存在する。そのうちトラック番号“１”と“２”に対してユーザが選定可能であり、トラック番号“３”のメインビデオトラックMVTRKに関してはユーザ選択不可能になっている。またオーディオトラックに関しては４トラック設定されている。図６２(e)に示した実施形態ではメインオーディオトラックMATRKとサブオーディオトラックSATRKは、それぞれオーディオトラック番号ADTKNMが重複しない形でトラック番号が設定されており、メインオーディオトラックMATRKとサブオーディオトラックSATRKはそれぞれ異なるオーディオトラック番号ADTKNMが設定されている。それにより、再生すべきオーディオトラックとしてメインオーディオトラックMATRKとサブオーディオトラックSATRKを選択的に選定できる。オーディオトラック番号ADTKNMが“１”のオーディオトラックは英語（en）により表示されており、オーディオトラック番号ADTKNMが“２”と“３”のものは日本語（ja）により表示されている。オーディオトラック番号ADTKNMの“１”から“３”まではユーザが選択可能であるが、オーディオトラック番号ADTKNM“４”のオーディオトラックはユーザ選択が不可能な形となる。オーディオトラック番号ADTKNM“２”と“３”は同様に日本語で表示されているが音声内容が異なる為、オーディオ言語コードとオーディオ言語コード拡張記述子ADLCEXの値が“ja:01”と“ja:02”に識別される。また“１”から“４”までのサブタイトルトラック番号STTKNMで設定された４個のサブタイトルトラックSBTTRKが設定されている。サブタイトルトラック番号STTKNMが“１”のサブタイトルトラックSBTTRKは英語（en）で表示され、ユーザ選択可能であるが、前記サブタイトルトラックSBTTRKは強制出画を示すフラグFRCFLGが“true”と設定されている。従って、英語で表示される前記サブタイトルトラック番号STTKNMが“１”のサブタイトルトラックSBTTRKは強制的に出画しなければならない。またサブタイトルトラック番号STTKNMが“２”のサブタイトルトラックSBTTRKは日本語（ja）で表示され、サブタイトルトラック番号STTKNMが“３”のサブタイトルトラックSBTTRKは中国語（ch）により表示される。サブタイトルトラック番号STTKNMが“２”及び“３”のサブタイトルトラックSBTTRKは、いずれもユーザ選択が可能となっている。それに対してサブタイトルトラック番号STTKNMが“４”と設定されたサブタイトルトラックSBTTRKはユーザによる選択が不可能となっている。
【０５５３】
今まで説明してきたようなオーディオトラックエレメントADTRKの設定（記述）方法に従えば、図８４(a)の具体例に示すようにメインオーディオトラックMATRKに対応したオーディオトラックエレメントADTRK内で設定されるオーディオトラック番号ADTKNMとサブオーディオトラックSATRKに対応したオーディオトラックエレメントADTRK内で設定されるオーディオトラック番号ADTKNMとの間では重複して同じ番号が設定されないよう配慮する必要がある。その結果、メインオーディオトラックMATRKに対応したオーディオトラックエレメントADTRK内とサブオーディオトラックSATRKに対応したオーディオトラックエレメントADTRK内で異なるオーディオトラック番号ADTKNMが設定される。それによりトラックナビゲーションインフォメーションTRNAVIを用いてユーザが特定のオーディオトラック番号ADTKNMを選択する事により、ユーザに表示・出力する音声情報としてメインオーディオトラックMATRKとサブオーディオトラックSATRKのいずれかが選択できる。上記実施形態では図６２(d)に示すようにトラックナビゲーションリストエレメント（トラックナビゲーションインフォメーションTRNAVI）内にメインオーディオトラックMATRKに対応したオーディオトラックエレメントADTRKとサブオーディオトラックSATRKに対応したオーディオトラックエレメントADTRKの両方を配置（記述）している。本実施形態は上記に限らず、下記に示す他の応用例を採用することができる。すなわち他の応用例としてメインオーディオトラックMATRKに対応したオーディオトラックエレメントADTRKのみを設定し、サブオーディオトラックSATRKに対応したオーディオトラックエレメントADTRKを設定しない方法である。この場合には図６２(d)に示すオーディオトラックエレメントADTRKに対応したトラック欄にはメインオーディオトラックMATRKのみが記述され、サブオーディオトラックSATRKは削除される。この応用例ではメインオーディオトラックMATRKに対応したオーディオトラックエレメントADTRKのみがトラックナビゲーションリストエレメント（トラックナビゲーションインフォメーションTRNAVI）内に配置（記述）され、表示・出力する音声情報としてユーザはメインオーディオトラックMATRKのみを選択する事になる。上記応用例ではサブオーディオトラックSATRKはメインオーディオトラックMATRKに連動して自動選択される事になる。例えば前記トラックナビゲーションインフォメーションTRNAVIを利用してユーザが“トラック番号３”のメインオーディオトラックMATRKを選択した場合には、ユーザに表示・出力されるサブオーディオトラックSATRKとしては“トラック番号３”のサブオーディオトラックSATRKが自動選択される。
【０５５４】
プレイリストPLLSTの中に含まれるオブジェクトマッピングインフォメーションOBMAPI内のネットワークソースエレメントNTSELEのデータ構造を図６３(c)に示す。また、同様にオブジェクトマッピングインフォメーションOBMAPI内のアプリケーションリソースエレメントAPRELEのデータ構造を図６３(d)に示す。アドバンストコンテンツ再生部ADVPLが事前にデータキャッシュDTCCH内に一時保存しておくリソースがネットワークサーバNTSRV内に存在する時に、オブジェクトマッピングインフォメーションOBMAPI内にネットワークソースエレメントNTSELEを記述することができる。図１８に示すように元々記録されている場所がネットワークサーバNTSRV内に存在しうる再生表示対象となるオブジェクト名はサブスティテュートオーディオビデオSBTAV、セカンダリーオーディオビデオSCDAV、サブスティテュートオーディオSBTAD、及びアドバンストサブタイトルADSBTとアドバンストアプリケーションADAPLが存在する。従って元々記録されている場所としてネットワークサーバNTSRVを設定出来るオブジェクトに対応したクリップエレメントはサブスティテュートオーディオビデオクリップSBAVCP、セカンダリーオーディオビデオクリップSCAVCPとサブスティテュートオーディオクリップSBADCP、及びアドバンストサブタイトルセグメントADSTSGとアプリケーションセグメントAPPLSGとなる。それに対応して、図６３に示すようにサブスティテュートオーディオビデオクリップエレメントSBAVCP、サブスティテュートオーディオクリップエレメントSBADCPとセカンダリーオーディオビデオクリップエレメントSCAVCP内にネットワークソースエレメントNTSELEを記述する事が出来る。図６３(b)内においては各クリップエレメント毎に1個ずつのネットワークソースエレメントNTSELEが記述されているが、実際には同一のクリップエレメント内に複数のネットワークソースエレメントNTSELEを記述する事ができる。図６７に示すように同一クリップエレメント内に1個以上のネットワークソースエレメントNTSELEを記述する事により、情報記録再生装置１のネットワーク環境に最適なリソースを設定する事が可能となる。
【０５５５】
＜ネットワークソース（NetworkSource）＞
図６３(c)に示すネットワークソースエレメントNTSELEは、データキャッシュDTCCHに一時保存するネットワークコンテンツの候補を示している。また前記ネットワークソースエレメントNTSELE内には、その候補に対応したリソースをファイルキャッシュFLCCH内にダウンロードする時に保証するネットワークスループット条件に関する情報も記載されている。また、アプリケーションリソースエレメントAPRELEまたはタイトルリソースエレメント内のSRC属性情報に記述される値が“http”または“https”で記述されている場合には、前記アプリケーションリソースエレメントAPRELEまたはタイトルソースエレメント内に前記ネットワークソースエレメントNTSELEを記述する事が出来る。図６３(c)に記載したネットワークスループットの許容最小値情報NTTRPTは対応するSRC属性情報SRCNTSで指定した保存場所からのネットワークソース（データまたはファイル）をダウンロードする場合のネットワークスループット（データ転送レート）に関し、ネットワークシステムとして許容される最小値を表している。また、前記ネットワークスループットの許容最小値情報NTTRPTの値としては1000bpsを単位として記述される。前記ネットワークスループットの許容最小値情報NTTRPTに記録される値は“０”もしくは自然数の値を記録しなければならない。図６３(c)に記述するネットワークソースエレメントNTSELE内のsrc属性情報には前述したネットワークスループットの許容最小値に対応したネットワークソースの保存場所SRCNTSの値が記入され、URI（ユニフォーム・リソース・インフォメーション）の表示形式に基づいて記述される。このネットワークソースエレメントNTSELEがセカンダリーオーディオビデオクリップエレメントSCAVCP内またはサブスティテュートオーディオビデオクリップエレメントSBAVCP、サブスティテュートオーディオクリップエレメントSBADCP内で設定されている場合には、セカンダリーエンハンストビデオオブジェクトデータS-EVOBのタイムマップファイルSTMAPの保存場所を指定する。また前記ネットワークソースエレメントNTSELEがアプリケーションリソースエレメントAPRELE内またはタイトルリソースエレメント内で設定されている場合には、src属性情報はファイルキャッシュFLCCHへローディングするファイルの保存場所を示している。前記ファイルキャッシュFLCCHへローディグする具体的なファイル内容としては、図１１に示すアドバンストアプリケーションディレクトリADAPLの中に含まれるファイルであるマニュフェストファイルMNFST、マークアップファイルMRKUP、スクリプトファイルSCRPT、静止画ファイルIMAGE、イフェクトオーディオファイルEFTAD、フォントファイルFONT、及びアドバンストサブタイトルディレクトリADSBT内に存在するアドバンストサブタイトルのマニュフェストファイルMNFSTS、アドバンストサブタイトルのマークアップファイルMRKUPS、及びアドバンストサブタイトルのフォントファイルFONTSなどが上げられる。図１０もしくは図２５に示すようにアドバンストアプリケーションADAPLとアドバンストサブタイトルADSBTは情報記憶媒体DISC、パーシステントストレージPRSTR、ネットワークサーバNTSRVいずれに保存されていたとしても事前にファイルキャッシュFLCCH内に一時保存され、前記ファイルキャッシュFLCCHから再生表示される必要が有る。このよ���にアドバンストサブタイトルADSBTから参照（使用）されるリソースの保存場所（パス）とファイル名やデータサイズの情報が図６３(d)に示すアプリケーションリソースエレメントAPRELE内に記述される。また前記アプリケーションリソースエレメントAPRELEはアドバンストサブタイトルセグメントエレメントADSTSG内、またはアプリケーションセグメントエレメントAPPLSG内に記述できる。また本実施形態においてコンテンツ毎に参照（利用）されるリソース毎に別々のアプリケーションリソースエレメントAPRELEとして記述されなければならない。例えば図１２もしくは図１１に示すようにアドバンストサブタイトルADSBTを構成するコンテンツとしてアドバンストサブタイトルのマニュフェストMNFSTS、アドバンストサブタイトルのマークアップMRKUPS、アドバンストサブタイトルのフォントFONTSが存在する場合には、図６３(b)内のアドバンストサブタイトルセグメントエレメントADSTSG内に前記アドバンストサブタイトルのマニュフェストMNFSTSに対応した１個のアプリケーションリソースエレメントAPRELEが記述されると共に、アドバンストサブタイトルのマークアップMRKUPSに対応したアプリケーションリソースエレメントAPRELE、前記アドバンストサブタイトルのフォントFONTSに対応したアプリケーションリソースエレメントAPRELEが記述される。図６３(b)ではアドバンストサブタイトルセグメントエレメントADSTSG内に１個のみのアプリケーションリソースエレメントAPRELEが記述され、アプリケーションセグメントエレメントAPPLSG内に１個のアプリケーションリソースエレメントAPRELEが記述されているが、実際にはアドバンストサブタイトルADSBTを構成する各コンテンツ毎にアプリケーションリソースエレメントAPRELEが記述されると共にアドバンストアプリケーションADAPLから参照（使用）されるリソース毎に複数のアプリケーションリソースエレメントAPRELEが記述される。更に図６３(d)に示すようにアプリケーションリソースエレメントAPRELEで管理されるリソースがネットワークサーバNTSRV内に保存されている場合には、前記アプリケーションリソースエレメントAPRELE内にネットワークソースエレメントNTSELEが記述できる仕組みになっている。図６７の例に示すように同一内容のコンテンツ（同一内容を示すファイル）を示す（互いにデータサイズが異なる）複数のリソースがネットワークサーバNTSRV内に保存されている場合には、同一のアプリケーションリソースエレメントAPRELE内に1個以上のネットワークソースエレメントNTSELEが記述でき、情報記録再生装置１のネットワーク環境に応じた最適なリソースを選択してダウンロードできる形になっている。
【０５５６】
＜アプリケーションリソースエレメント（ApplicationResourced Element）＞
例えばアドバンストサブタイトルADSBTやアドバンストアプリケーションADAPLなどのアプリケーションで参照（使用）されるリソースに関するリソースインフォメーションRESRCIが図６３(d)に示すアプリケーションリソースエレメントAPRELEに記述される。また前記アプリケーションリソースエレメントAPRELEは、ファイルキャッシュFLCCHに保存（ロード）すべきリソースの保存場所（パス）とファイル名（データ名）を示す。前記リソースの保存場所（パス）とファイル名（データ名）がsrc属性情報内に記述される。アドバンストコンテンツ再生部ADVPLはアドバンストサブタイトルADSBTやアドバンストアプリケーションADAPLなどのアプリケーションが実行開始される前にアプリケーションリソースエレメントAPRELEで指定されたリソースファイルをファイルキャッシュFLCCH内に保存しなければならない。またアプリケーションセグメントエレメントAPPLSG内の有効期間（図５６(d)のtitleTimeBegin/TTSTTMからtitleTimeEnd/TTEDTMまでの期間）の中に前記アプリケーションリソースエレメントAPRELEの有効期間が含まれる必要が有る。前記アプリケーションリソースエレメントAPRELEで定義されたリソースのタイトルタイムラインTMLE上での有効期間内の開始時間は、それぞれ対応するアプリケーションセグメントエレメントAPPLSGの有効期間の開始時期を示すタイトルタイムライン上の開始時間TTSTTM（titleTimeBegin）と一致し、また前記リソースのタイトルタイムライン上での有効期間の終了時間は対応するアプリケーションセグメントエレメントAPPLSG内に記載された有効期間の終了時間を表すタイトルタイムライン上の終了時間TTEDTM（titleTimeEnd）と一致する。図７３(d)にプライマリーエンハンストビデオオブジェクトデータP-EVOB内にアドバンストパックADV_PCKがマルチプレックスされた状態が示されている。このように図６３(d)に示したアプリケーションリソースエレメントAPRELEで示すリソースがプライマリービデオセットPRMVS内にマルチプレックスされて記録されても良い。この場合の対象リソースの取込み（ローディング）を開始するタイトルタイムライン上の時間PRLOAD（loadingBegin）は、対応するリソースを含むプライマリーエンハンストビデオオブジェクトデータP-EVOBのアドバンストパックADV_PCKのローディング期間の開始時間を表している。また前記リソースの保存場所としてパーシステントストレージPRSTR内を指定できる。この場合の対象リソースの取込み（ローディング）を開始するタイトルタイムライン上の時間PRLOAD（loadingBegin）は前記パーシステントストレージPRSTRからリソースをダウンロードするローディング期間の開始時間を意味している。また前記リソースの保存場所としてネットワークサーバNTSRVを指定しても良い。この場合のsrc属性情報は“http”若しくは“https”から始まるURI（ユニフォーム・リソース・アイデンティファイヤー）で記述される。この場合の対象リソースの取込み（ローディング）を開始するタイトルタイムライン上の時間PRLOAD（loadingBegin）は、対応するリソースをダウンロードするローディング期間の開始時間を表す。図６３(d)に示すアプリケーションリソースエレメントAPRELE内のsrc属性情報の値が“http”若しくは“https”で始まるURI（ユニフォーム・リソース・アイデンティファイヤー）で記述された場合には、データキャッ��ュDTCCH内にダウンロードされるデータまたはファイルの保存場所SRCDTCがネットワークサーバNTSRV内に存在する事を示す。またその場合には前記アプリケーションリソースエレメントAPRELE内にネットワークソースエレメントNTSELEが記述される事が有る。前記ネットワークソースエレメントNTSELEは図６７に示すようにネットワークスループットの設定に応じ、選択されるべきリソース情報を示している。以下に図６３(d)に示すアプリケーションリソースエレメントAPRELEタグ内の各属性情報について説明を行う。データキャッシュにロードする前記データ又はファイルのサイズ情報DTFLSZはバイトを単位とした正数値で表現し、前記アプリケーションリソースエレメントAPRELEタグ内での記述を省いても良い。対応リソース削除に対する優先順位情報PRIORT（priority属性情報）はタイトル又は実行中のアドバンストアプリケーションから参照されなくなった対応リソースをデータキャッシュから削除する場合の優先順位を示している。すなわちアドバンストアプリケーションが参照（使用）しなくなったアプリケーションリソースエレメントAPRELEは、優先順位の高いものから順に削除される。また前記の値は１から“２の３１乗−１”までの範囲の正数値を記述する事が出来る。priority属性情報で設定される値が高いリソースから先に削除する。前記アプリケーションリソースが２０４８バイト毎に分割され、各２０４８バイト毎のデータがアドバンストパックADV_PCKの中にパッケージングされ、図７３(d)に示すようにプライマリーエンハンストビデオオブジェクトデータP-EVOB内にマルチプレックスされて情報記憶媒体DISC内に記録される事がある。前記アプリケーションリソースが前記マルチプレックスされた形で記録されているか否かを示す情報がマルチプレックスト属性情報MLTPLX（multiplexed属性情報）と呼ぶ。もし、前記マルチプレックスト属性情報MLTPLXが“true”の場合はタイトルタイムライン上のローディング時間LOADPE中に保存データをプライマリーエンハンストビデオオブジェクトP-EVOB内のアドバンストパックADV_PCKの中からローディングする事を示し、また前記マルチプレックスド属性情報MLTPLX（multiplexed属性情報）が“false”の場合は、元々保存されている場所SRCDTCからファイルとしてプリロードされなければならない事を意味している。前記アプリケーションリソースエレメントAPRELE内での前記マルチプレックスド属性情報MLTPLXの記載を削除しても良い。対象リソースの取込み（ローディング）を開始するタイトルタイムライン上の時間PRLOAD（loadingBegin属性情報）は“HH:MM:SS:FF”で記述される。もし、前記アプリケーションリソースエレメントAPRELE内に前記対象対象リソースの取込み（ローディング）を開始するタイトルタイムライン上の時間PRLOADを記述されない場合にはローディング期間の開始時間は対応した対応したアドバンストアプリケーションADAPLの有効期間の開始時間（図５６(d)のタイトルタイムライン上の開始時間TTSTTM）と一致しなければならない。このようにアドバンストアプリケーションADAPLの開始時間にアプリケーションリソースのローディングを開始させる事により、ドバンストアプリケーションADAPLの有効期間内で最も早い時間で前記アプリケーションリソースをローディング完了させる事が出来、アドバンストアプリケーションADAPL内での必要な時での前記アプリケーションリソースの活用時間を早く出来るという効果がある。前記対象対象リソースの取込み（ローディング）を開始するタイトルタイムライン上の時間PRLOADは、それが記述されているアプリケーションリソースエレメントAPRELEのペアレントエレメント（アプリケーションセグメントエレメントAPPLSGまたはアドバンストサブタイトルセグメントエレメントADSTSG）内で記述されているタイトルタイムライン上の開始時間TTSTTM以前の時間を示す必要が有る。またマルチプレックスト属性情報MLTPLXが“true”の場合は図６５(a)に示す方法でリソースをファイルキャッシュFLCCH内にダウンロードするので、対象リソースの取込み（ローディング）を開始するタイトルタイムライン上の時間PRLOAD（loadingBegin属性情報）の記述を省いてはならない。
【０５５７】
またノーキャッシュ属性情報NOCACH（noCache属性情報）が“true”の場合は、HTTPのGETリクエスト内にCach-ControlヘッダーとPragmaヘッダーが含まれる事を示し、“false”の場合はHTTPのGETリクエスト内に前記Cach-ControlヘッダーとPragmaヘッダーが含まれない事を意味している。前記ノーキャッシュ属性情報NOCACHの記載を省く事が出来、その場合にはデフォルト値として“false”が設定される。更に、アプリケーションエレメントに関する付加情報を表すdescription属性情報は人に馴染みの深いテキストフォーマットで記述され、前記属性情報の記載を省く事も可能である。
【０５５８】
本実施形態における各種再生・表示オブジェクトをタイトルタイムラインTMLEの進行に合わせて予定通り表示/実行するための技術的ポイントを以下に示す。本実施形態における技術的ポイントは、“タイトルタイムラインTMLEの進行に合わせて表示又は実行の開始を保証できるしくみ”と“データキャッシュDTCCH内の事前のローディングが間に合わなかった場合の対応のしくみ”に二分できる。以下に本実施形態における技術的ポイントを箇条書きする。
【０５５９】
１．タイトルタイムラインTMLEの進行に合わせ、表示又は実行開始を保証できるしくみ
＊１  アドバンストアプリケーションADAPL、アドバンストサブタイトルADSBTと一部のセカンダリービデオセットSCDVSを事前にデータキャッシュDTCCH内に一時保存し、データキャッシュDTCCH内に一時保存したデータを使ってユーザへの表示又は実行処理を行う(図２５参照）
＊２  データキャッシュDTCCH内に事前に一時保存すべきデータ名又はファイル名及びそれらの元々の保存場所情報がプレイリストPLLST内（各種クリップエレメント、ネットワークソースエレメントNTSELE、アプリケーションリソースエレメントAPRELE、タイトルリソースエレメント、プレイリストアプリケーションリソースエレメントPLRELE内）のsrc属性情報（ソース属性情報）内に記述されている（図８３参照）
…データキャッシュDTCCH内に事前に一時保存すべきデータ又はファイルとそのためのアクセス先が判る
＊３  データキャッシュDTCCH内に事前にローディングを開始するタイミングがプレイリスPLLST内（クリップエレメント、アプリケーションリソースエレメントAPRELE、タイトルリソースエレメント内）の“対象リソースの取込み（ローディング）を開始するタイトルタイムライン上の時間PRLOAD（loadingBegin属性又はpreload属性）”により指定される（図６５、図５４、図５５、図６３、図６６参照）
＊４  情報記録再生装置1のネットワーク環境に合わせてローディングに最適なデータ又はファイルを選択できる情報がプレイリストPLLST内（ネットワークソースエレメントNTSELE）に記述されている（図６７、図６８参照）
２．データキャッシュDTCCH内の事前のローディングが間に合わなかった場合の対処のしくみ
＊５  プレイリストPLLST内（クリップエレメント内、セグメントエレメント内）の“再生表示オブジェクトの同期属性情報SYNAT（sync属性情報）”内に再生表示オブジェクトに合わせた対処方法が指定される（図５４、図５５、図５６参照）
・  sync = “ hard ”（ハード同期属性）の場合は、ローディングが完了するまでタイトルタイムラインTMLEの進行を止め、動画像を一時的に静止させる
・  sync = “ soft ”（ソフト同期属性）の場合は、タイトルタイムラインTMLE上の進行はそのまま継続させ、ローディングが完了してから（タイトルタイムラインTMLE上で指定された表示開始時間TTSTTM/titleTimeBeginよりも遅れて）再生開始させる
前述した技術的なポイントを実行した場合には、ファイルキャッシュFLCCH内でのリソース保存時間として図６４に示す５つの状態が存在する。
【０５６０】
＜リソースステートマシン（Resource State Machine）＞
前記５つの状態としてはローディング時間LOADPE、実行・使用時間USEDTM、準備時間READY、ファイルキャッシュからのデータ削除後時間N-EXST、ファイルキャッシュ内へのアドバンストアプリケーションデータ保存時間AVLBLEが存在し、タイトルタイムラインTMLE上での時間進行に合わせて各状態間の遷移が発生する。以下に図６４における状態遷移についての説明を行う。
【０５６１】
（Ａ）ファイルキャッシュFLCCH内にリソースが保存されていない時には、対応するリソースはファイルキャッシュからのデータ削除後時間N-EXSTになる。プレイリストアプリケーションリソースPLAPRS以外の全てのリソースは、タイトルの再生開始前にはファイルキャッシュからのデータ削除後時間N-EXSTとなっている。また既にファイルキャッシュFLCCH内にリソースが一時保存されていたとしても、図２８に示すナビゲーションマネージャNVMNG内のファイルキャッシュマネージャFLCMNGが前記リソースの削除処理を行った後には、ファイルキャッシュからのデータ削除後時間N-EXSTとなる。
【０５６２】
（Ｂ）リソースのローディングが開始されるとファイルキャッシュFLCCH内データ保存状態はローディング時間LOADPEの状態に遷移する。図２８に示すようにナビゲーションマネージャNVMNG内のファイルキャッシュマネージャFLCMNGがファイルキャッシュFLCCH内に保存されるデータの管理を行っている。前記リソースのローディング開始に先立ってファイルキャッシュFLCCH内における保存すべきリソースに対して充分空きのあるメモリブロックを準備しておく必要があり、保存すべきリソースに対応したメモリブロックの空き領域設定の保証を前記ファイルマネージャFLCMNが行う。本実施形態においては図６６(c）、(d)に示すようにプレイリストファイルPLLST内のリソースインフォメーションRESRCIの内容はタイトルリソースエレメントのリストを意味している。それに限らず本実施形態における他の応用例としてリソースインフォメーションRESRCIの概念を拡張し、リソースインフォメーションRESRCIに含まれる情報として図６６(d)に示すタイトルリソースエレメントのみならず図７０及び図７１に示すアプリケーションリソースエレメントAPRELEとプレイリストアプリケーションリソースエレメントPLRELEの３種類のリソースエレメントを総合してリソースインフォメーションRESRCIと呼ぶ事も出来る。前記応用例に従った場合のリソースインフォメーションRESRC内において、図６６(d)に示すタイトルリソースエレメントと図６３(d)に示すアプリケーションリソースエレメントAPRELE内に対象リソースの取込み（ローディング）を開始するタイトルタイムライン上の時間PRLOAD（LoadingBegin属性情報）が存在する場合には、前記対象リソースの取込（ローディング）を開始するタイトルタイムライン上の時間PRLOADの時間（LoadingBegin属性情報）から前記ローディング時間LOADPEが開始される。前記タイトルリソースエレメント内もしくは前記アプリケーションリソースエレメントAPRELE内に前記対象リソースの取込み（ローディング）を開始するタイトルタイムライン上の時間PRLOAD（LoadingBegin属性情報）の記述が省かれていた場合には、対応したリソースのタイトルタイムライン上の開始時間TTSTTM（titleTimeBegin属性情報）から前記ローディング時間LOADPEが開始される（図６５(b)参照）。図５６(d)に示すようにアプリケーションセグメントエレメントAPPLSG内にオートラン属性情報ATRNATの情報が存在する。前記オートラン属性情報ATRNATの値が“false”の場合には、対応するアプリケーションを自動的に実行状態に入らずAPIコマンドにより初めてアクティブ（実行）状態になる。このようにオートラン属性情報ATRNATの値が“false”の場合には対応するアドバンストアプリケーションADAPLで参照（使用）されるリソースのローディングは開始されない。図５６(b)に示すようにアドバンストアプリケーションADAPLから参照（使用）されるリソースに関する情報がアプリケーションリソースエレメントAPRELEのリストとして記述され、前記アプリケーションリソースエレメントAPRELEのリストがアプリケーションセグメントエレメントAPPLSG内に配置されている。従ってオートラン属性情報ATRNATの値が“false”の場合には、対応したアプリケーションリソースエレメントAPRELEで管理されたリソースのローディング開始は行われない。指定されたアドバンストアプリケーションADAPLが参照（使用）するリソースのローディング期間中に前記オートラン属性情報ATRNATが“false”に変更された場合には、ローディング途中のリソースのローディングがキャンセルされ、既にファイルキャッシュFLCCH内にローディングされたリソースが削除される。また図５７で説明したように使用する言語情報に応じて実行（アクティブ）状態になるアドバンストアプリケーションADAPLが選択される。更に図５８に示すようにアプリケーションセグメントエレメントAPPLSG内のアプリケーションアクティベーションインフォメーションの設定値の組み合わせにより、図５８の判定に従ってアドバンストアプリケーションADAPLが有効であるか無効であるかが判定される。このように図５７もしくは図５８に示す手順によりアドバンストアプリケーションADAPLが無効と見なされた場合にも、対応アプリケーションセグメントエレメントAPPLSG内で指定されたリソースのローディング開始は行われない。このように確実に使用される事が決まっているアドバンストアプリケーションADAPLが参照（使用）するリソースのみをファイルキャッシュFLCCH内へローディングする事でファイルキャッシュFLCCH内に不要なリソースのローディングを排除し、ファイルキャッシュFLCCH内のリソースの有効活用を図る事が出来る。
【０５６３】
（Ｃ）指定されたリソースのファイルキャッシュFLCCH内のローディングを完了させると、ファイルキャッシュ内におけるデータ保存状態は準備時間READYに遷移される。前記準備時間READYとはリソースを参照（使用）するアプリケーションがタイトルタイムライン上で有効期間VALPRD/APVAPEに到達する以前の状態（実行・使用時間USEDTMの前の状態）を意味する。
【０５６４】
（Ｄ）リソースのローディングが完了し、アプリケーションが実行・使用状態になった時にファイルキャッシュFLCCH内データ保存状態は実行・使用時間USEDTMに遷移する。前記リソースが１以上の実行中の各（アクティブな）アプリケーションにより使われている場合には前記リソースは実行・使用状態になっている。
【０５６５】
（Ｅ）プレイリストアソシエーティドアドバンストアプリケーションPLAPLから参照（使用）されるリソースのローディングが完了すると、ファーストプレイタイトルFRPLTT以外の任意のタイトル再生中で前記リソースは実行・使用時間USEDTMとなる。プレイリストアソシエーティドアドバンストアプリケーションPLAPLが存在する場合には、任意のタイトル内で（アドバンストアプリケーションADAPLやタイトルアソシエーティドアドバンストアプリケーションTTAPLにより）前記リソースを使用する事が前提となるからである。
【０５６６】
（Ｆ）使用中のアプリケーションが例えばAPIコマンド等により実行中止になった場合には、前記アプリケーションは非実行状態となる。もしタイトルタイムラインTMLE上の位置（時間）がアプリケーションセグメントエレメントAPPLSG内又はアドバンストサブタイトルセグメントエレメントADSTSG内で指定されたタイトルタイムライン上の終了時間TTEDTM（titleTimeEnd属性情報）（図５６参照）に到達していない場合には、ファイルキャッシュFLCCH内データ保存状態は準備時間READYに遷移する。
【０５６７】
（Ｇ）ファイルキャッシュFLCCH内のリソースが現状で準備時間READYであり、それを参照（使用）するアプリケーションが実行・使用状態になった時、前記リソースは実行・使用時間USEDTMへ遷移される。
【０５６８】
（Ｈ）ファイルキャッシュFLCCH内のリソースを参照する（複数の）アプリケーションがいずれも有効で無い時には、前記リソースはファイルキャッシュ内へのアドバンストアプリケーションデータ保存時間AVLBLE内となる。
【０５６９】
（Ｉ）リソースがファイルキャッシュ内へのアドバンストアプリケーションデータ保存時間AVLBLEになっていた場合、前記リソースを参照（使用）するアプリケーションが実行・使用状態に変わると前記リソースは実行・使用時間USEDTMに遷移する。
【０５７０】
（Ｊ）リソースがファイルキャッシュ内へのアドバンストアプリケーションデータ保存時間AVLBLEになっていた場合、前記リソースを参照（使用）するアプリケーションが有効な状態に変わった時点で前記リソースは準備時間READYへ遷移する。
【０５７１】
図６４にファイルキャッシュFLCCH内のリソースの保存状態（時間）遷移の説明を行った。前記図６４の図面に対応し、各ファイルキャッシュFLCCH内のデータ保存状態とアドバンストアプリケーションの実行時間APACPEと有効時間APVAPEとの関係、及びリソースインフォメーションRESRCIに基づくアドバンストアプリケーションADAPLのローディング・実行処理方法を図６５に示す。図６５(a)(b)(c)のいずれにおいても共通した遷移順として、ファイルキャッシュからのデータ削除後時間N-EXSTから始まり、次にローディング時間LOADPE、実行・使用時間USEDTMに遷移した後ファイルキャッシュ内へのアドバンストアプリケーションデータ保存時間AVLBLEの後、ファイルキャッシュからのデータ削除後時間N-EXSTの順に遷移する。また前記遷移順の途中に準備時間READYが挿入される。
【０５７２】
＜LoadingBeginを含むリソースインフォメーションのステートマシンのイメージ（Image of State Machine of Resource Information including LoadingBegin）＞
図６３(d)に示すアプリケーションリソースエレメントAPRELE内もしくは図６６(d)に示すリソースインフォメーションRESRCIであるタイトルリソースエレメント内に、対象リソースの取込み（ローディング）を開始するタイトルタイムライン上の時間PRLOAD（LoadingBegin属性情報）の情報が存在する。図６６(c)に示すように、リソースインフォメーションRESRCIとは狭義的にはタイトルリソースエレメントのリストを意味する。しかし本実施形態ではそれに限らず前記タイトルリソースエレメントと図６３(d)に示すアプリケーションリソースエレメントAPRELE、図６９(d)に示すプレイリストアプリケーションリソースエレメントPLRELEを総称して広義のリソースインフォメーションRESRCIと呼ぶ。前記リソースインフォメーションRESRCI（タイトルリソースエレメント及びアプリケーションリソースエレメントAPRELE）内に「対象リソースの取込み（ローディング）を開始するタイトルタイムライン上の時間PRLOAD（LoadingBegin属性情報）」が記述されていた場合の、「ファイルキャッシュ内におけるリソースデータ保存状態の遷移”及び“アドバンストアプリケーションの有効時間APVAPEとアドバンストアプリケーションの実行時間APACPEとの関係」を図６５(a)に示す。一般的には「対応したリソースのタイトルタイムライン上の開始時間TTSTTM（titleTimeBegin属性情報）」よりもタイトルタイムラインTMLE上の先行した時間に「対象リソースの取込み（ローディング）を開始するタイトルタイムライン上の時間PRLOAD（LoadingBegin属性情報）」が設定される。それにより前記「対応したリソースのタイトルタイムライン上の開始時間TTSTTM（titleTimeBegin属性情報）」で設定された時間までにリソースのローディングが完了でき、予定した「対応したリソースのタイトルタイムライン上の開始時間TTSTTM（titleTimeBegin属性情報）」から例えばタイトルアソシエーティドアドバンストアプリケーションPLAPLの再生・表示・実行を開始できる。
【０５７３】
この場合には、図６５(a)におけるローディング時間LOADPEがアドバンストアプリケーションの有効時間APVAPEよりも先行した場所に設定されているので、アドバンストアプリケーションの有効時間APVAPEとアドバンストアプリケーションの実行時間APACPEが一致する。アドバンストアプリケーションの有効時間APVAPE中は、ファイルキャッシュFLCCH内のリソースは実行・使用時間USEDTMとなる。図６５(a)の示した実施形態では、図６３(d)に示すアプリケーションリソースエレメントAPRELEが含まれるアプリケーションセグメントエレメントAPPLSG内においてオートラン属性情報ATRNATが“true”に設定されている（図５６(d)参照）。そのためタイトルタイムラインTMLE上の時間が「タイトルタイムライン上の開始時間TTSTTM」を超えると、対応したアドバンストアプリケーションADAPLが自動的に起動して有効状態となる。図６５(a)の実施形態では前記ファイルキャッシュFLCCHに保存されるリソースファイルAPMUFLはアドバンストパックADV_PCKの形で分割され、プライマリーエンハンストビデオオブジェクトデータP-EVOBの中にマルチプレックス（多重化）された形で保存されている。この場合には図６３(d)内に示すアプリケーションリソースエレメントAPRELE内のマルチプレクスト属性情報MLTPLX（multiplexed属性情報）の値が“true”の状態になっている。図６５(a)の実施形態では情報記憶媒体DISC内のアドバンストパックADV_PCKがマルチプレクストされている領域（図７３(e)参照）をローディング時間LOADPEの間に再生し、ファイルキャッシュFLCCH内へ転送する。図６５(a)に示した実施形態の場合には対応するリソースのローディング処理が終了した後、実行・使用時間USEDTMまでの間、準備時間READYが存在する格好となる。本実施形態では前記内容に限らず、例えばネットワークサーバNTSRV内にマルチプレクス（多重化）されて無い状態で保存されているリソースファイルをローディングしても良い。この場合、「対象リソースの取込み（ローディング）を開始するタイトルタイムライン上の時間PRLOAD」からローディングを開始し、ローディング時間LOADPEの間にファイルキャッシュFLCCH内へのローディングを終了させる。
【０５７４】
タイトルタイムラインTMLE上でアドバンストアプリケーションの実行時間APACPEに入ると、ファイルキャッシュFLCCH内のリソースは実行・使用時間USEDTMに遷移する。その後、タイトルタイムラインTMLE上の時間がタイトルタイムライン上の終了時間TTEDTMに到達すると、ファイルキャッシュ内へのアドバンストアプリケーションデータ保存時間AVLBLEに遷移する。その後ファイルキャッシュマネージャFLCMNG（図２８参照）により削除処理が行われると、ファイルキャッシュからのデータ削除後時間N-EXSTに遷移する。
【０５７５】
＜LoadingBegin の無いリソースのステートマシンのイメージ（Image of State Machine of Resource without LoadingBegin）＞
タイトルリソースエレメントもしくはアプリケーションリソースエレメントAPRELE内に「対象リソースの取込み（ローディング）を開始するタイトルタイムライン上の時間PRLOAD（LoadingBegin属性情報）」の記述がない場合の、リソースインフォメーションRESRCIとファイルキャッシュ内データ保存状態との関係を図６５(b)に示す。この場合にはタイトルタイムラインTMLE上の時間がアドバンストアプリケーションADAPLのタイトルタイムライン上の開始時間TTSTTM（titleTimeBegin）に到達した段階で、リソースのローディングを開始する。その結果、ローディング時間LOADPEがアドバンストアプリケーションの有効期間APVAPEと一部重なる。図６５(b)に示す実施形態ではローディング時間LOADPEの期間が完了した後（ローディングが終了した後）、初めて対応したアドバンストアプリケーションADAPLの実行・使用・処理に入る（アドバンストアプリケーションの実行時間APACPEになる）。従ってアドバンストアプリケーションの有効期間APPVAPE途中から実行時間APACPEに入る。そのため、ファイルキャッシュFLCCH内でのリソースの実行・使用時間USEDTMとアドバンストアプリケーションの実行時間ADACPEが一致する。図６５(a)に示した例ではローディング時間LOADPEと実行・使用時間USEDTMとの間に準備時間READYが存在するが、図６５(b)に示した例ではローディング時間LOADPEから直接実行・使用時間USEDTMへ遷移する。その後アドバンストアプリケーションの実行時間APACPEが終了すると、ファイルキャッシュFLCCH内のリソースは準備時間READYに遷移する。タイトルタイムライン上の終了時間TTEDTM（titleTimeEnd）を超えると、ファイルキャッシュ内へのアドバンストアプリケーションデータ保存時間AVLBLEに遷移する。ファイルキャッシュマネージャFLCMNGによるリソースのファイルキャッシュからのデータ削除FLCREM処理が行われると、ファイルキャッシュからのデータ削除後時間N-EXSTに遷移する。
【０５７６】
同一のリソースが複数のアプリケーションから参照（使用）される場合にはファイルキャッシュ内のデータ保存状態は下記のように定義され、前記複数のアプリケーションの各状態の組み合わせに依存する。
【０５７７】
１．少なくとも1個のアプリケーションが実行状態になっていた場合には、前記アプリケーションから参照（使用）されるリソースは実行・使用時間USEDTMになっていると定義される。
【０５７８】
２．少なくとも1個のアプリケーションから見たときにリソースが準備時間READYとして扱われ、前記リソースを参照（使用）する全てのアプリケーションが実行状態（アクティブ）でない場合には、前記リソースは準備時間READYになっていると定義される。
【０５７９】
３．ファイルキャッシュFLCCH内にリソースが保存され、かつ、そのリソースを参照（使用）する有効なアプリケーションもしくは実行中のアプリケーションが存在しない場合には、前記リソースはファイルキャッシュ内へのアドバンストアプリケーションデータ保存時間AVLBLEと定義される。
【０５８０】
＜オーバーラップトリソースインフォメーションのステートマシンのイメージ（Image of State Machine of Overlapped Resource Information）＞
リソースを参照する複数のアドバンストアプリケーションの有効時間APVAPEが互いにタイトルタイムラインTMLE上で重なる場合（または同一のリソースを意味する複数のリソースインフォメーションRESRCIが互いに異なるペアレントエレメント内に存在し、かつ各リソースインフォメーションRESRCI内で指定される有効時間APVAPEの範囲が一部重複している場合）における、リソースインフォメーションRESRCIとファイルキャッシュFLCCH内データ保存状態の関係を図6.2.3.20-4(c)に示す。図6.2.3.20-4(c)は２つの異なるアドバンストアプリケーションADAPLが同一のリソースを参照（使用）する場合を示している。同一のリソースを参照（使用）するアドバンストアプリケーションADAPL #1 が終了した後でも別のアドバンストアプリケーションADAPL #2 が実行時間中となっている。前記リソースをアドバンストアプリケーションADAPL #1のみでを参照（使用）する場合には、アドバンストアプリケーションADAPL #1が終了すると前記リソースはファイルキャッシュ内へのアドバンストアプリケーションデータ保存時間AVLBLEとなる。しかし別のアドバンストアプリケーションADAPL #2から見ると、前記リソースは準備時間READYまたは実行・使用時間USEDTMとなる。互いにオーバーラップしたアドバンストアプリケーションADAPL #1 と #2 によりファイルキャッシュFLCCH内のリソースが異なる状態になる場合には、ファイルキャッシュ内の前記リソースの保存状態は“最も影響の強い状態”として表現（適用）される。ファイルキャッシュ内のリソースの各状態に関する“影響の強い状態”の順番は、以下の順に優先順位が設定される。
【０５８１】
USEDTM > READY > AVLBLE > LOADPE > N-EXST
上記の優先順位（影響の強い状態を示す順位）を示す式において、USEDTMは実行・使用時間を表し、READYは準備時間を表す。また、AVLBLEはファイルキャッシュ内へのアドバンストアプリケーションデータ保存時間を表し、LOADPEはローディング時間、N-EXSTはファイルキャッシュからのデータ削除後時間を表す。図６５(c)に示すようにアドバンストアプリケーションADAPL #1 と #2 の有効時間APVAPEがタイトルタイムラインTMLE上でオーバーラップ（重なる）している場合には、前記リソースは既にローディングが完了しているかローディング期間中のいずれかを示す（ファイルキャッシュマネージャFLCMNGが再度ローディングを繰り返す事はあり得ない）。従ってローディング時間LOADPEはファイルキャッシュからのデータ削除後時間N-EXSTとのみオーバーラップする可能性が有る。ローディング時間LOADPEとファイルキャッシュからのデータ削除後時間N-EXSTが重複した場合には、ローディング時間LOADPEの方がファイルキャッシュからのデータ削除後時間N-EXSTよりも影響が強い（優先順位が高い）ので“ローディング時間LOADPE”と見なされる。また、図７１に示すプレイリストアプリケーションリソースPLAPRS、タイトルリソースTTRSRC及びアプリケーションリソースAPRSRCのリソースインフォメーションRESRCIで規定されたいずれのリソースも実行・使用中のタイトルから別のタイトルを再生した場合には、移動先の新しいタイトルで前記リソースが使用されない限り“ファイルキャッシュ内へのアドバンストアプリケーションデータ保存時間AVLBLE”中となる。このようにアドバンストコンテンツ再生部ADVPLが別のタイトルを再生した場合には、前記リソースのファイルキャッシュFLCCH内保存状態は、新たなタイトル上で定義された状態に優先的に設定される。
【０５８２】
＜リソースローディング（Resource Loading）＞
プレイリストPLLST内のオブジェクトマッピングインフォメーションOBMAPI内に記述されたリソースインフォメーションRESRCIに基づき、ファイルキャッシュマネージャFLCMNGは対応したリソースのファイルキャッシュFLCCHへのローディング制御を行う。図５６(d)に示すようにアプリケーションセグメントエレメントAPPLSG内にアプリケーションアクティベーションインフォメーション（言語属性情報LANGAT、アプリケーションブロックの属性（インデックス番号）情報APPLAT、アドバンストアプリケーショングループの属性（インデックス番号）情報APGRAT及びオートラン属性情報ATRNAT）の記述が無い場合には、前記アプリケーションセグメントエレメントAPPLSGで指定したリソースのローディング処理を行う。一般的にリソースのローディング処理はファイルキャッシュマネージャFLCMNGが制御する。またアプリケーションセグメントエレメントAPPLSG内に前記アプリケーションアクティベーションインフォメーションが存在し、対応するアドバンストアプリケーションADAPLが使用可能と認識・選択され、かつオートラン属性情報ATRNATの値が“true”である場合（アドバンストアプリケーションADAPLが自動的に起動する場合）、あるいはアプリケーションセグメントエレメントAPPLSGで記述された対応するアドバンストアプリケーションADAPLが実行状態になるよう予定されている場合には、前記実行予定のアドバンストアプリケーションADAPLで参照（使用）されるリソースに対してのみファイルキャッシュマネージャFLCMNGによるローディング制御が行われる。このようにアプリケーションアクティベーションインフォメーションやオートラン属性情報ATRNATなどの情報を利用し、実行状態になる予定がわかっているアドバンストアプリケーションADAPLが参照（使用）するリソースのみをファイルキャッシュFLCCH内にローディング処理する事により、無駄なリソースのファイルキャッシュFLCCH内への保存を省きファイルキャッシュFLCCH内の有効活用をすることが出来る。また実行・使用時間USEDTM内にあるリソース、ローディング時間LOADPE内にあるリソース及びファイルキャッシュFLCCH内へのアプリケーション保存時間AVLBLE内にあるリソースの合計リソースサイズが６４メガバイト以下になるようにコンテンツプロバイダ（アドバンストアプリケーションADAPLの編集者）は使用するリソースのトータールサイズを考慮しなければならない。前記制限を加える事でファイルキャッシュFLCCH内のリソース保存に使用できるデータサイズを６４メガバイト以下に設定でき、アドバンストコンテンツ再生部ADVPLの低価格化を図る（内蔵に必要なメモリ量を小さくできる）事が可能となる。
【０５８３】
＜タイトルタイムライン上におけるリソースマッピング（Resource Mapping on Title Timeline）＞
図６５(d)にタイトルタイムラインTMLE上におけるリソースマッピング例を示す。前記リソースを参照するアプリケーションは実行状態もしくは実行状態の予定されているものと仮定する。もし、タイトルタイムラインTMLE上の時間が“T0”からにずれた時にはファイルキャッシュマネージャFLCMNGはリソースＡとリソースＣ及びリソースＥを読み取り、“T1”から再生を開始するように制御しなければならない。時間“T1”はリソースＡに対してはローディング時間LOADPE中であり、対象リソースの取込み（ローディング）を開始するタイトルタイムライン上の時間PRLOAD（LoadingBegin）とタイトルタイムライン上の開始時間TTSTTM（titleTimeBegin）の間に存在する。従って、リソースＡは通常のノーマル再生時においてローディング時間LOADPEの状態にする事が出来る。時間“T1”はリソースＡから見ると有効時間BALPRDよりも先行した時間になっており、準備時間READYにも対応する。従って、リソースＡはファイルキャッシュマネージャFLCMNGによりファイルキャッシュFLCCH内へ転送される。またそれとは別にタイトルタイムラインTMLE上の時間が“T0”から“T2”に移動した場合には、ファイルキャッシュマネージャFLCMNGはリソースＡとリソースＢ及びリソースＣとリソースＥのデータを読み取らなければならない。そして、リソースＡ、リソースＢ及びリソースＣとリソースＥのデータ（ファイル）は参照するアプリケーション上で使用される。またタイトルタイムラインTMLEが“T0”から“T3”に移動した場合にはファイルキャッシュマネージャFLCMNGはリソースＡとリソースＤ及びリソースＥのデータを読み取り参照するアプリケーションに利用される。
【０５８４】
図６６(a)に示すようにプレイリストPLLST内には構造情報CONFGI、メディア属性情報MDATRI及びタイトル情報TTINFOが存在する。図６６(b)に示すようにタイトル情報TTINFOはファーストプレイタイトルエレメント情報FPTELEと1個以上のタイトルエレメント情報TTELEM及びプレイリストアプリケーションエレメント情報PLAELEが記述される。更に、図６６(c)に示すように1個のタイトルエレメント情報TTELEM内はオブジェクトマッピングインフォメーションOBMAPI、リソースインフォメーションRESRCI、プレイバックシーケンスインフォメーションPLSQI、トラックナビゲーションインフォメーションTRNAVI及びスケジュールドコントロールインフォメーションSCHECIが配置されている。前記リソースインフォメーションRESRCIの中身は図６６(d)に示すように1個以上のタイトルリソースエレメントのリストが記述されている。以下に図６６(d)に示すタイトルリソースエレメント内に記述されるデータ構造について説明を行う。
【０５８５】
＜タイトルリソースエレメント（TitleResource Element）＞
タイトルリソースエレメントはタイトルに対応したリソースインフォメーションRESRCIの情報を記述している。前述したタイトルに対応したリソースインフォメーションRESRCIで指定するリソースはアドバンストアプリケーションADAPL（タイトルアソシエーティドアドバンストアプリケーションTTAPLを含む）又はアドバンストサブタイトルADSBT内で使用されるパッケージ化されたアーカイブファイル又はデータを意味している。図７１に示すように本実施形態におけるファイルキャッシュFLCCHに一時保存するリソースはプレイリストアソシエーションリソースPLATRSとタイトルリソースTTRSRC、アプリケーションリソースAPRSRCに分類する事が出来る。
【０５８６】
図６６(d)に示すタイトルリソースエレメントで管理されるリソースは前記のうち同一タイトル内で複数のアドバンストアプリケーションADAPLにより共通に使用されるタイトルリソースTTRSRCを示す。前記タイトルリソースエレメントはファイルキャッシュFLCCHにロードすべきアーカイビングデータ又はアーカイビングファイルがどこに保存されているかを指定している。src属性情報（リソース属性情報）は前記アーカイビングデータ又はアーカイビングファイルの保存場所SRCDTCを示してしている。本実施形態におけるアドバンストコンテンツ再生部ADVPLは対応するアプリケーションライフサイクルが開始する時期（対応するアプリケーションの実行時間APACPE）の前までに前記リソースファイルをファイルキャッシュFLCCH内にロード終了させなければならい。前記リソースはプライマリービデオセットPRMVS内にマルチプレクストされた形で保存する事が出来る。図７３(b)に示すようなアプリケーションリソースAPRSRC（図７３ではプレイリストアプリケーションリソースPLAPRSを示しているが、それに限らずタイトルリソースTTRSRCやタイトル内で使用されるアプリケーションリソースAPRSRCについても同じ内容を適用する事が出来る）はそれぞれ２０４８バイト毎のデータに分割され、図７３(c)に示すように２０４８バイト単位でアドバンストパックADV_PCKにパッキングされ、図７３(d)に示すようにプライマリーエンハンストビデオオブジェクトデータP-EVOB内に他のパックに混ざって前記アドバンストパックADV_PCKが分散配置される。このような状況をマルチプレクス（多重化）されていると呼んでいる。このような場合には図６５(a)に示すように対象リソースの取込み（ローディング）を開始するタイトルタイムライン上の時間PRLOAD（LoadingBegin属性情報）によりローディング時間LOADPEの開始時間が指定される。それにより対応したリソースをパーシステントストレージPRSTRからファイルキャッシュFLCCHへダウンロードする事が出来る。本実施形態においてはそれに限らず、情報記憶媒体DISC又はネットワークサーバNTSRVからリソースを前記ファイルキャッシュFLCCHへダウンロードする事も可能である。前記のようにネットワークサーバNTSRVからリソースをダウンロードする場合には、図６６(d)に示すデータキャッシュ内にダウンロードされるデータ又はファイルの保存場所SRCDTC（src属性情報）として“http”または“https”から始まるURI（ユニバーサル・リソース・アイデンティファイヤー）情報が記述される。この場合には対象リソースの取込み（ローディング）を開始するタイトルタイムライン上の時間PRLOAD（LoadingBegin属性情報）の値はネットワークサーバNTSRVから対応したリソースをダウンロードするローディング時間LOADPEの開始時間を表している。対応するリソースをネットワークサーバNTSRVからダウンロードし、またデータキャッシュ内にダウンロードされるデータ又はファイルの保存場所SRCDTC（src属性情報）が“http”又は“https”から始まる場合には、対応するタイトルリソースエレメント内にネットワークソースエレメントNTSELEを記述する事が出来る。前記ネットワークソースエレメントNTSELEの情報により図６７あるいは図６８に示すように情報記録再生装置１内のネットワーク環境におけるネットワークスループットに応じてダウンロードすべき最適なリソースを選択する事が出来る。次にデータキャッシュにロードする前記リソースのデータ又はファイルのサイズ情報DTFLSZ（size属性情報）はバイト単位とした正数値で表現され、この情報はタイトルリソースエレメント内での記述を省く事が出来る。更に対応したリソースのタイトルタイムライン上の開始時間TTSTTM（titleTimeBegin属性情報）は、タイトルタイムラインTMLE上での対応したリソースの有効期間VALPRDの開始時間を示し、“HH:MM:SS:FF”により記述される。また対応したリソースのタイトルタイムライン上の終了時間TTEDTM（titleTimeEnd属性情報）は、タイトルタイムラインTMLE上における対応リソースの有効期間VALPRDの終了時間TTEDTMを表し、“HH:MM:SS:FF”により記述される。次に対応リソース削除に対する優先順位情報PRIORT（priority属性情報）はタイトル又は実行中のアドバンストアプリケーションADAPLから参照されなくなった対応リソースをデータキャッシュDTCCHから削除する場合の優先順位情報を表し、設定された値の高いリソースから先に削除するようになる。またここの値は０から“２31−１”までの範囲の正数値を記述する事が出来る。本実施形態においてプレイリストアプリケーションリソースPLAPRSはファーストプレイタイトルFRPLTTの再生中にファイルキャッシュFLCCH内にダウンロードされ、アドバンストコンテンツ再生部ADVPLが使用されている間中、ファイルキャッシュFLCCH内に保存され続ける。それに対してタイトルリソースTTRSRCとアプリケーションリソースAPRSRCは使われなくなり、また今後使われる予定がなくなった時にはファイルキャッシュFLCCHから削除される事でファイルキャッシュFLCCH内の有効活用を図ると共に必要とされるファイルキャッシュFLCCHサイズを小さくして、アドバンストコンテンツ再生部ADVPLの低価格化を図る事が出来る。この時のタイトルリソースTTRSRC及びアプリケーションリソースAPRSRCのファイルキャッシュFLCCHから削除される順番が前記の対応リソース削除に対する優先順位情報PRIORT（priority属性情報）に指定される。図６４(A)の説明のところで記述したようにファイルキャッシュ内へのアドバンストアプリケーションデータ保存時間AVLBLE内にあるタイトルリソースTTRSRCとアプリケーションリソースAPRSRCに関するプライオリティーレベルとして
Ptitle_available  ＞  Papp_available
の関係が設定されている。上記の式はファイルキャッシュFLCCH内にあるアプリケーションリソースAPRSRCをタイトルリソースTTRSRCよりも優先的に先にファイルキャッシュFLCCH内から削除するように指定している。それに応じて対応リソース削除に対する優先順位情報PRIORT（priority属性情報）に設定する値の最小値をタイトルリソースTTRSRCとアプリケーションリソースAPRSRCとの間で異なるように設定している。すなわちアプリケーションリソースAPRSRCを管理するアプリケーションリソースエレメントAPRELE（図６３(d)参照）内においては対応リソース削除に対する優先順位情報PRIORT（priority属性情報）の設定最小値が“１”となっているのに対し、タイトルリソースTTRSRCを管理するタイトルリソースエレメント（図６６(d)参照）においての対応リソース削除に対する優先順位情報PRIORT（priority属性情報）の最小値を“０”に設定している。その結果、タイトルリソースエレメント内の対応リソース削除に対する優先順位情報PRIORT（priority属性情報）とアプリケーションリソースエレメントAPRELE内における値をそれぞれ最小値に設定した場合でもアプリケーションリソースエレメントAPRELE内の対応リソース削除に対する優先順位情報PRIORT（priority属性情報）の値の方が高くなるため、アプリケーションリソースAPRSRCをファイルキャッシュFLCCH内から先に削除出来るようになっている。それによりファイルキャッシュFLCCH内のリソース管理を有効に行う事が出来る。またマルチプレクスト属性情報MLTPLXの値としては“true”または“false”のいずれかが設定される。“true”の場合は、図７３(d)に示すようにリソースデータがプライマリーエンハンストビデオオブジェクトP-EVOB内のアドバンストパックADV_PCKの中に存在しており、指定されたローディング時間LOADPE中にファイルキャッシュFLCCHへ向けてダウンロード処理を完了させる必要がある。また“false”の場合は、上記もともとの保存場所SRCDTC（指定されたURI）からまとまったファイルの形でプリロードされなければならない。このマルチプレクスト属性情報MLAPLXの記述を省く事は可能であり、その場合にはデフォルト値である“true”の値が自動的に設定される。対象リソースの取込み（ローディング）を開始するタイトルタイムライン上の時間PRLOAD（LoadingBegin属性情報）は“HH:MM:SS:FF”により記述される。前記タイトルリソースエレメント内で前記対象リソースの取込み（ローディング）を開始するタイトルタイムライン上の時間PRLOAD（LoadingBegin属性情報）の記述を省く事が出来る。その場合には自動的に対象リソースの取込み（ローディング）を開始するタイトルタイムライン上の時間PRLOADは“00:00:00:00”と自動的に設定され、対応したタイトルの再生開始時間に対象リソースの取込み（ローディング）を開始するように自動設定される。更にノーキャッシュ属性情報NOCACHの値が“true”の場合は、HTTPのGETリクエストメッセージ内にCach-ControlヘッダーとPragmaヘッダーが含まれる必要がある。逆に“false”の場合は、HTTPのGETリクエストメッセージ内にCach-ControlヘッダーとPragmaヘッダーが含まれない。タイトルリソースエレメントに対する付加情報は人に馴染みの深いテキストフォーマットで記述されるが前記付加情報の記述は省く事が可能である。前述したように（図６６(d)に示すように）タイトルソ��スエレメント内にネットワークソースエレメントNTSELEを記述する事が可能である。前記ネットワークソースエレメントNTSELE内のデータ構造は図６６(e)に示すようにネットワークスループットの許容最小値情報NTTRPT（NetworkThroughput属性情報）と前記ネットワークスループットの許容最小値に対応したネットワークソースの保存場所SRCNTS（src属性情報）の組として構成される。前記ネットワークスループットの許容最小値情報NTTRPT（NetworkThroughput属性情報）は対応するsrc属性情報SRCNTSで指定した保存場所からネットワークソース（データ又はファイル）をダウンロードする場合のネットワークスループット（データ転送レート）に関し、ネットワークシステムとして許容される最小値で表し、1000bpsの単位で記述される。また、ネットワークスループットの許容最小値に対応するネットワークソースの保存場所SRCNTS（src属性情報）はURI（ユニフォーム・リソース・アイデンティファイヤー）により記述され、セカンダリーオーディオビデオクリップエレメントSCAVCP又はサブスティテュートオーディオビデオクリップエレメントSBAVCP、サブスティテュートオーディオクリップエレメントSBADCP内で設定されている場合には、セカンダリーエンハンストビデオオブジェクトデータS-EVOBのタイムマップファイルSTMAPの保存場所を指定する。また前記src属性情報がアプリケーションリソースエレメントAPRELE内又はタイトルリソースエレメント内で設定される場合にはファイルキャッシュFLCCHへローディングするマニフェストファイルMNFST、マークアップファイルMRKUP、スクリプトファイルSCRPT、静止画ファイルIMAGE、イフェクトオーディオファイルEFTAD、フォントファイルFONTなどの保存場所を指定している。
【０５８７】
図６３(c)または図６６(e)に示すネットワークソースエレメントNTSELEの機能と使用方法について以下に説明を行う。
【０５８８】
＜ネットワークソースエレメント及びネットワークスループットセッティングによるコンテンツの選択（NetworkSource Element and Selection of Content according to Network Throughput Setting）＞
図５４(d)に示すセカンダリーオーディオビデオクリップエレメントSCAVCPで管理されたセカンダリーオーディオビデオSCDAV、図５５(c)に示すサブスティテュートオーディオビデオクリップエレメントSBAVCPで管理されたサブスティテュートオーディオビデオSBTAV、及び図５５(d)に示すサブスティテュートオーディオクリップエレメントSBADCPで管理されたサブスティテュートオーディオSBTADに関してはネットワークサーバNTSRV内に保存されている再生表示オブジェクトをデータキャッシュDTCCHへ保存して再生・表示に利用する事ができる。このように再生表示オブジェクトがネットワークサーバNTSRV内に保存されている場合には、リソースインフォメーションRESRCI（アプリケーションリソースエレメントAPRELE、タイトルリソースエレメント）内にネットワークソースエレメントNTSELEを配置（記述）できる。この場合にはアドバンストコンテンツ再生部ADVPLは前記ネットワークソースエレメントNTSELEのリストを利用し、情報記録再生装置１（図１参照）のネットワーク環境に最適な再生表示オブジェクトを選択する事が出来る。また図６３(d)に示すように、アドバンストサブタイトルセグメントエレメントADSTSGまたはアプリケーションセグメントエレメントAPPLSG内に存在するアプリケーションリソースAPRSRCの「データキャッシュDTCCH内にダウンロードされるデータ又はファイルの保存場所SRCDTC（src属性情報）」の値、又は図６６(d)に示すタイトルリソースエレメント内の「データキャッシュ内にダウンロードされるデータ又はファイルの保存場所SRCDTC（src属性情報）」の値が“http”又は“https”から始まる場合には、前記アプリケーションリソースエレメントAPRELE又はタイトルリソースエレメント内にネットワークソースエレメントNTSELEを配置する事が出来る。前記ネットワークソースエレメントNTSELE内にはそれぞれネットワークスループットの許容最小値情報NTTRPTの値が記述されており、前記のネットワークソースエレメントNTSELEを用い図１に示すアドバンストコンテンツ再生部ADVPLは情報記録再生装置１が存在するネットワーク環境内におけるネットワークスループットの値に合わせ、前記ネットワークソースエレメントNTSELEのリストの中から最適なリソースを選択する事が出来る。図１に示すアドバンストコンテンツ再生部ADVPLは情報記録再生装置１が置かれたネットワーク環境に基づくネットワークスループットの情報を次の手順により知ることが出来る。すなわち図６８のステップＳ１０１に示すようにアドバンストコンテンツ再生部ADVPLの初期設定時において、ステップＳ１０２に示すようにユーザにネットワーク環境の情報を入力してもらう。具体的に一般ユーザはネットワーク環境におけるネットワークスループットの値は知らない。しかし、情報記録再生装置１が繋がっているネットワークがモデムによる電話回線なのか、または光ケーブルによる接続なのか、もしくはADSLに基づくネットワーク回線なのかの情報は知っている。従って前記のレベルでネットワーク環境情報の入力する事はできる。その後、前記ステップＳ１０２の結果に基づきアドバンストコンテンツ再生部ADVPL内では予想されるネットワークスループット値を算出し（予想し）、図４６に示すプレーヤパラメータ内のネットワークスループット欄（networkThroughput）の内に予想されるネットワークスループット値を記録する(ステップＳ１０３)。その結果、アドバンストコンテンツ再生部ADVPL内に設定されたメモリ領域内にされた（図４６に示す）プレーヤパラメータに属するネットワークスループット欄（networkThroughput）の値を参照する事により前記アドバンストコンテンツ再生部ADVPLは対応する情報記録再生装置１が置かれているネットワーク環境（に基づくネットワークスループットの許容最小値の値）を知る事が出来る。図６７(b)に示す実施形態では高いネットワークスループットの値に対応し、高精細な映像を表示するセカンダリーエンハンストビデオオブジェクトデータS-EVOBが保存されるファイル名をS-EVOB_HD.EVOとし、それに使われるセカンダリービデオセットのタイムマップファイルSTMAPの名前をS-EVOB_HD.MAPとする。前記オブジェクトファイルであるS-EVOB_HD.EVOと対応したセカンダリービデオセットのタイムマップSTMAPであるS-EVOB_HD.MAPファイルはネットワークサーバNTSRV内の同一のフォルダ（ディレクトリ）内に配置されている。また低いネットワークスループットに対応し、解像度の低いセカンダリーエンハンストビデオオブジェクトデータS-EVOBが記録されているオブジェクトファイルをS-EVOB_LD.EVOと呼び、それに使われるセカンダリービデオセットのタイムマップSTMAPをS-EVOB_LD.MAPとする。前記オブジェクトファイルをS-EVOB_LD.EVOと対応したタイムマップファイルS-EVOB_LD.MAPもネットワークサーバNTSRV内の同一フォルダ（ディレクトリ）内に配置されている。本実施形態ではプレイリストファイルPLLST内の各種クリップエレメント内のsrc属性情報の値としてセカンダリーエンハンストビデオオブジェクトデータS-EVOBに対応したセカンダリービデオセットのタイムマップのファイル名と保存場所（パス）を記載する事になっている。本実施形態では前記セカンダリービデオセットのタイムマップファイルSTMAPとオブジェクトファイルをネットワークサーバNTSRV内の同一フォルダ（ディレクトリ）内に一緒に保存する事により、最終的なセカンダリーエンハンストビデオオブジェクトデータS-EVOBのオブジェクトファイルへのアクセスを容易としている。また本実施形態ではプレイリストファイルPLLSTからのアクセスをより一層容易にするため、図６７(b)に示すように対応するオブジェクトファイル名とタイムマップファイル名のファイル名を一致させている（拡張子は“.EVOB”と“.MAP”と変えて識別可能にしている）。従って前記参照すべき再生表示オブジェクトのインデックスインフォメーションファイル保存場所SRCTMP（src属性情報）に記述された保存場所（パス）とファイル名によりデータキャッシュDTCCHに保存すべきセカンダリーエンハンストビデオオブジェクトデータS-EVOBの保存場所（パス）とファイル名がわかる。前記セカンダリーオーディオビデオクリップエレメントSCAVCPタグ又はサブスティテュートオーディオビデオクリップエレメントSBAVCPタグ、サブスティテュートオーディオクリップエレメントSBADCPタグ内に記述するsrc属性情報の値と前記各クリップエレメント内に配置した各ネットワークソースエレメントNTSELE内のsrc属性情報の値（参照すべき再生表示オブジェクトのインデックスインフォメーション保存場所SRCTMP）はそれぞれ異なる値（保存場所（パス）とファイル名）が設定されている。また同様に図６３(d)に示すアプリケーションリソースエレメントAPRELE内に記述されている「データキャッシュ内にダウンロードされるデータ又はファイルの保存場所SRCDTC（src属性情報）」の値や図６６(d)に示すタイトルリソースエレメント内に記述されている「データキャッシュ内にダウンロードされるデータ又はファイルの保存場所SRCDTC（src属性情報）」の値と、前記アプリケーションリソースエレメントAPRELE内または前記タイトルリソースエレメント内に配置された各ネットワークソースエレメントNTSELE内のsrc属性情報の値は互いに異なっている。すなわち前記アプリケーションリソースエレメントAPRELE内または前記タイトルリソースエレメント内で指定された「データキャッシュ内にダウンロードされるデータ又はファイルの保存場所SRCDTC（src属性情報）」とは別にネットワークスループットの許容最小値に対応したネットワークソースの保存場所SRCNTSが設定されている。前記各ネットワークソースエレメントNTSELE内にはネットワークソースの保存場所SRCNTSで規定したネットワークソースにアクセスしデータキャッシュDTCCH内へダウンロードする時に保証されるネットワークスループットの許容最小値情報NTTRPT（networkThroughput属性情報）が記述されている。ところで図５４(d)に示すセカンダリーオーディオビデオクリップエレメントSCAVCP内、または図５５(c)に示すサブスティテュートオーディオビデオクリップエレメントSBAVCP内、図５５(d)示すサブスティテュートオーディオクリップエレメントSBADCP内に配置されたネットワークソースエレメントNTSELEではsrc属性値内にネットワークコンテンツに対応したセカンダリービデオセットのタイムマップファイルSTMAPのURI（ユニフォーム・リソース・アイデンティファイヤー）が記述されている。また図６３(d) に示すアプリケーションリソースエレメントAPRELE内または図６６(d)に示すタイトルリソースエレメント内に配置されたネットワークソースエレメントNTSELEにおいては、src属性情報値は「リソースファイルまたはネットワークコンテントに対応したファイルの保存場所」がURI（ユニフォーム・リソース・アイデンティファイヤー）の形式で記述されている。更に図５４(d)に示すセカンダリーオーディオビデオクリップエレメントSCAVCP内または図５５(c)に示すサブスティテュートオーディオビデオクリップエレメントSBAVCP内、図５５(d)に示すサブスティテュートオーディオクリップエレメントSBADCP内に配置されたネットワークソースエレメントNTSELEでは、ネットワークスループットの許容最小値情報NTTRPT（networkThroughput属性情報）の値は各プレゼンテーションクリップエレメント内でユニークな（他とは異なる）値が設定される必要が有る。なぜなら異なるネットワークソースエレメントNTSELE内でネットワークスループットの許容最小値情報NTTRPT（networkSource属性情報）の値が互いに同じ値だった場合、アドバンストコンテンツ再生部ADVPLはどちらのセカンダリーエンハンストビデオオブジェクトデータS-EVOBへアクセスすべきか迷ってしまう。そのため前記の規定を設ける事によりアドバンストコンテンツ再生部ADVPL内でのアクセスすべきセカンダリーエンハンストビデオオブジェクトデータS-EVOB（タイムマップSTMAP）の選定が容易となる。また同様の理由から図６３(d)に示��アプリケーションリソースエレメントAPRELE内または図６６(d)に  示すタイトルリソース内に配置されたネットワークソースエレメントNTSELEにおいては、前記ネットワークスループットの許容最小値情報NTTRPT（networkThroughput属性情報値）は同一のリソースインフォメーションエレメント内ではユニークに（異なるネットワークソースエレメントNTSELE間では異なる値に）設定されなければならない。
【０５８９】
また前記ネットワークソースエレメントNTSELE内に記述されたネットワークスループットの許容最小値情報NTTRPT（networkThroughput属性情報値）の値が情報記録再生装置１に置かれたネットワーク環境におけるネットワークスループットの条件を満足しない場合（例えば情報記録再生装置１のネットワーク環境が電話回線を用いているためにネットワークのスループットが非常に低く、前記ネットワークソースNTSELE内で指定されたネットワークスループットの許容最小値情報NTTRPTの値よりも低い場合）の時には本実施形態では下記の対応を推奨している。
【０５９０】
１．各プレゼンテーションクリップエレメント（セカンダリーオーディオビデオクリップエレメントSCAVCPまたはサブスティテュートオーディオビデオクリップエレメントSBAVCP、サブスティテュートオーディオクリップエレメントSBADCP）内で規定されたsrc属性情報がデフォルト状態におけるソースとしてみなされ、データキャッシュDTCCHへのダウンロードに利用される。
【０５９１】
２．ネットワークソースエレメントNTSELE内に記述されたsrc属性情報で規定された所へファイルキャッシュFLCCHへのダウンロードのためのアクセスを行わず、前記リソースインフォメーションエレメント（アプリケーションリソースエレメントAPRELEまたはタイトルリソースエレメント）内に記述されたsrc属性情報がデフォルトソースとして取り扱われ、ファイルキャッシュFLCCH内にダウンロードされるリソース対象として取り扱われる。
【０５９２】
上述したネットワークソースエレメントＮＴＳＥＬＥの情報を利用した具体的な実施形態について図６７を用いて説明を行う。図６７(a)に示すように高精細なセカンダリーエンハンストビデオオブジェクトデータS-EVOBが保存されたオブジェクトファイルであるS-EVOB_HD.EVOを参照するタイムマップファイルS-EVOB_HD.MAPをsrc属性情報として設定したネットワークソースエレメントNTSELEのリストによると、前記S-EVOB_HD.EVOファイルをネットワーク経路50を経由してダウンロードするには最低でも100Mbpsのネットワークスループットが保証されなければならない。また解像度の低いセカンダリーエンハンストビデオオブジェクトデータS-EVOBが記録されたオブジェクトファイルS-EVOB_LD.EVOを参照するタイムマップファイルS-EVOB_LD.MAPをsrc属性情報で指定したネットワークソースエレメントNTSELEのリストによると、前記オブジェクトファイルS-EVOB_LD.EVOをネットワーク経路50を介してダウンロードするには56Kbpsのネットワークスループット以上あれば大丈夫である。前記図６７(d)に示すようにナビゲーションマネージャNVMNG内のプレイリストマネージャPLMNGは前述した図４６に示すプレーヤパラメータ内のネットワークスループット（networkThroughput）の欄の中に情報記録再生装置１のネットワーク環境に基づく平均的なネットワークスループットの情報を持っている。従って図６７(a)に示したネットワークソースエレメントNTSELEのリストを解読し、プレイリストマネージャPLMNGはどちらのオブジェクトファイルにアクセスし、ダウンロードしたら良いかを判断する。その結果に基づきプレイリストマネージャPLMNGはデータアクセスマネージャDAMNG内のネットワークマネージャNTMNGとネットワークI/O部7-3を介し、ネットワークサーバNTSRVへアクセスする。その結果、設定されたネットワークサーバNTSRV内に保存されているオブジェクトファイルはネットワークI/O部7-3とデータアクセスマネージャDAMNG内のネットワークマネージャNTMNGを経由し、データキャッシュDTCCHへダウンロードされる。このようにダウンロードするデータ、又はファイルに関係したデータ、又はファイルの保存場所（又はアクセス先）情報とネットワークスループット最小値をネットワークソースエレメントNTSELEとして管理情報（プレイリストファイルPLLST）内に記録される。本実施形態ではネットワーク環境に合わせて、ダウンロードするデータ又はファイルを選択できるところに大きな特徴がある。それによりネットワーク環境に最適なネットワークソースのダウンロードが可能となる。
【０５９３】
図６７(a)に示すように、ネットワークソースエレメントNTSELEのリストが記述された場合に図６７(d)に示すプレイリストマネージャPLMNGが選択する最適なリソース（オブジェクトファイル又はタイムマップファイルを含む）を選択する方法を図６８に示す。
【０５９４】
＜ネットワークリソースの選択＞
アドバンストコンテンツADVCTの再生を開始する起動シーケンス時においてタイトルタイムラインTMLE内のマッピング初期設定を行う期間中にプレイリストマネージャPLMNGがファイルキャッシュFLCCH内にダウンロードするネットワークリソースを選択する。この時の基本となる考え方を以下に説明する。まず始めにアドバンストコンテンツ再生部ADVPLの初期設定を開始（ステップＳ１０１）すると、アドバンストコンテンツ再生部ADVPLはユーザに対し、情報記録再生装置１が置かれているネットワーク環境をユーザに入力してもらうようリクエストを出す。ネットワーク環境としてユーザは例えばモデムによる電話回線かADSL回線か、または光ケーブルによるネットワーク経路50なのかを選択する。その結果、ユーザによるネットワーク環境情報を入力する事になる（ステップＳ１０２）。前記の結果に基づきナビゲーションマネージャNVMNG内で情報記録再生装置１における予想されるネットワークスループット値を算出し、図４６に示すプレーヤパレメーター内のネットワークスループット欄内に保存する（ステップＳ１０３）。前記図４６に示すプレーヤパラメータはアドバンストコンテンツ再生部ADVPL内のメモリ領域内に保存される。その結果、アドバンストコンテンツ再生部ADVPLの初期設定が完了する（ステップＳ１０４）。次に、アドバンストコンテンツADVCTの再生を開始するとプレイリストマネージャPLMNGは前記プレーヤパラメータ内のネットワークスループット値を読み取る（ステップＳ１０５）。その後、プレイリストファイルPLLST情報を前記プレイリストマネージャPLMNGが読み込む（ステップＳ１０６）。次にステップＳ１０７及びＳ１０８においてプレイリストファイルPLLST内のネットワークソースエレメントNTSELE内を解読し、最適なネットワークソースエレメントNTSELEの抽出処理を行う。最適なネットワークソースエレメントNTSELEの抽出処理に関する具体的な内容としてはステップＳ１０７に示すように、ネットワークスループットの許容最小値情報NTTRPT（networkThroughput属性情報）の値が、前記プレーヤパラメータ内のネットワークスループット欄内に記述されたネットワークスループット値以上の値を取るネットワークソースエレメントNTSELEのみを抽出する。前記抽出したネットワークソースエレメントNTSELEにおいて情報記録再生装置１に対応したネットワークスループット条件を満足するネットワークソースエレメントNTSELEが1個だけ存在する場合には、前記のネットワークソースエレメントNTSELEを選択し前記ネットワークソースエレメントNTSELE内に記述されたsrc属性情報に対してアクセスし対応するリソースやオブジェクトファイル、タイムマップファイルSTMAPをデータキャッシュDTCCH内へダウンロードする。また前記とは異なり、前記抽出したネットワークソースエレメントNTSELEの中で情報記録再生装置１が置かれたネットワーク環境に基づくネットワークスループットの条件を満足するネットワークソースエレメントNTSELEが２以上（複数）存在する場合には、アクセスすべきリソースまたはオブジェクトファイルまたはタイムマップファイルに対して、最も大きなネットワークスループットの許容最小値情報NTTRPT（networkThroughput属性情報）の値を持つネットワークソースを選択し、その選択したネットワークソースエレメントNTSELE内に記述されたsrc属性情報に対してアクセスし、対応するネットワークソースまたはオブジェクトファイルまたはタイムマップファイルをデータキャッシュDTCCH内へダウンロードする（ステップＳ１０７〜ステップＳ１０９）。また上述した２条件とは異なり情報記録再生装置１に対応したネットワークスループットの条件を満足するネットワークソースエレメントNTSELEが抽出されなかった場合には、前記ネットワークソースエレメントNTSELEのペアレントエレメントであるプレゼンテーションクリップエレメントやアプリケーションソースエレメントAPRELE、またはタイトルソースエレメント内のsrc属性情報の値で記述された保存場所にアクセスし、対応するリソースまたはオブジェクトファイルまたはタイムマップファイルをデータキャッシュDTCCHへ保存する。また前記の方法で最適なネットワークソースエレメントNTSELEを抽出し、前記抽出されたネットワークソースエレメントNTSELE内のsrc属性情報内に記述された先にアクセスしても予定のリソースファイルが存在しなかった場合には、前記のネットワークソースエレメントNTSELEの情報を利用する代わりに前記ネットワークソースエレメントNTSELEのペアレントエレメントであるアプリケーションリソースエレメントAPRELEまたはタイトルリソースエレメント内のsrc属性情報に記述された場所へアクセスし、データキャッシュDTCCHへダウンロード処理を行う。前記リソースデータまたはリソースファイルのダウンロードが終了した後、データキャッシュDTCCH内に保存されたデータまたはファイルを用いてユーザへの再生・表示を行う（ステップＳ１１０）。前記アドバンストコンテンツADVCTの再生が終わると再生終了処理を行う（ステップＳ１１１）。
【０５９５】
図６９(a)に示すようにプレイリストPLLST内には構造情報CONFGI、メディア属性情報MDATRI、及びタイトル情報TTINFOが存在する。前記タイトル情報TTINFOの中は図６９(b)に示すようにファーストプレイタイトルエレメント情報FPTELEと1個以上のタイトルエレメント情報TTELEMが存在し、前期タイトル情報TTINFOの最後にプレイリストアプリケーションエレメント情報PLAELEが配置されている。
【０５９６】
＜プレイリストアプリケーションエレメント及びプレイリストアソシエーティドアドバンストアプリケーション（PlaylistApplication Element and Playlist Associated Advanced Application）＞
プレイリストアソシエーティドアドバンストアプリケーションPLAPLのオブジェクトマッピングインフォメーションOBMAPIについてはタイトルセットエレメント（タイトル情報TTINFO）内のプレイリストアプリケーションエレメント情報PLAELEにより記述される。図７０及び図７１に示すようにプレイリストアソシエーティドアドバンストアプリケーションPLAPLはアドバンストアプリケーションADAPLの一種であり、前記アドバンストアプリケーションADAPLの特殊なタイプとして分類される。プレイリストPLLST内で規定される全てのタイトル内における全タイトルタイムラインTMLE領域において前記プレイリストアソシエーティドアドバンストアプリケーションPLAPLのライフタイム（有効時間APVAPE）が設定される。すなわち、前記図７０に示すようにプレイリストアソシエーティドアドバンストアプリケーションPLAPLの実行（表示）時間APACPEはファーストプレイタイトルFRPLTTを除くプレイリストPLLST内で定義される全てのタイトル内の全タイトルタイムラインTMLE上で有効となり、任意のタイトル内の任意の時間で前記プレイリストアソシエーティドアドバンストアプリケーションPLAPLを使用する事が可能である。それと比べ、図７０に示すようにタイトルアソシエーティドアドバンストアプリケーションTTAPLは1個のタイトル内における全タイトルタイムラインTMLE上で有効となり、タイトルアソシエーティドアドバンストアプリケーションTTAPL（アドバンストアプリケーションADAPL＃B）の有効時間APVAPEは対応するタイトル＃２内の全タイトルタイムラインTMLE設定時間と一致する。また、前記タイトルアソシエーティドアドバンストアプリケーションTTAPLは異なるタイプ（例えばタイトル＃１又はタイトル＃３）内では必ずしも有効とはならず、例えばタイトル＃１又はタイトル＃３の再生時にはタイトルアソシエーティドアドバンストアプリケーションTTAPLで参照（使用）するタイトルリソースTTRSRCを削除する事がある。また前記プレイリストアソシエーティドアドバンストアプリケーションPLAPLの有効時間APVAPEと比らべ、一般的なアドバンストアプリケーションADAPLの有効時間APVAPEは特定のタイトル内の特定な時間間隔にのみ対応する。そして前記一般的なアドバンストアプリケーションADAPLが参照（使用）するアプリケーションリソースAPRSRCは前記アドバンストアプリケーションADAPLの有効時間APVAPE以外ではファイルキャッシュFLCCHからデータが削除される事がある。上記のようにプレイリストアソシエーティドアドバンストアプリケーションPLAPL以外でタイトルのタイトルタイムラインTMLE中に有効時間APVAPEを持つアドバンストアプリケーションADAPL＃BをタイトルアソシエーティドアドバンストアプリケーションTTAPLと呼ばれる。前記プレイリストアソシエーティドアドバンストアプリケーションPLAPLで参照さえる（使用される）リソースであるプレイリストアプリケーションリソースPLAPRS（データソース）は情報記憶媒体DISC又はパーシステントストレージPRSTR内に保存されている。前記プレイリストアソシエーティドアドバンストアプリケーションPLAPLの同期属性情報SYNCATは常にハードシンク（ハード同期）形のアプリケーションになっている。すなわちプレイリストアソシエーティドアドバンストアプリケーションPLAPLが参照する（使用する）プレイリ��トアプリケーションリソースPLAPRSをファイルキャッシュFLCCH内にローディング完了するまではタイトルタイムラインTMLEの進行が一時停止され、前記プレイリストアプリケーションリソースPLAPRSのローディングが完了した後、初めてタイトルタイムラインTMLEの進行が許される形となっている。前記プレイリストアプリケーションリソースPLAPRSは後述するファーストプレイタイトルFRPLTTの再生中にファイルキャッシュFLCCH内にダウンロード完了する事が前提とされている。従って前記プレイリストアソシエーティドアドバンストアプリケーションPLAPLがハードシンク（ハード同期）アプリケーションであったとしても前記ファーストプレイタイトルFRPLTT以外のタイトル再生中にはタイトル再生中にタイトルタイムラインTMLEを停止させられる事は稀である。しかしファーストプレイタイトルFRPLTTが終了しても前記プレイリストアプリケーションリソースPLAPRSのファイルキャッシュFLCCH内へのローディングが完了しない場合には、ハードシンク（ハード同期）であるため、前記ローディングが完了するまでタイトルの再生は停止（タイトルタイムラインTMLEの時間進行が停止）される。本実施形態において前記ファーストプレイタイトルFRPLTTの選択属性（ユーザオペレーションの対応可否属性（selectable属性情報））は一時的に“false”に設定され、基本的には前記ファーストプレイタイトルFRPLTTの再生中にユーザによる他のタイトルへのジャンプやファーストプレイタイトルFRPLTTの早送りが出来ないようになっている。しかし、何らかの設定ミスにより前記ファーストプレイタイトルFRPLTT再生中で前記プレイリストアプリケーションリソースPLAPRSのローディング完了する前に別のタイトルにジャンプした場合には、前記プレイリストアソシエーティドアドバンストアプリケーションPLAPLがハードシンク（ハード同期）アプリケーションであるため、ジャンプ先のタイトルでのタイトルタイムラインTMLEが前記プレイリストアプリケーションリソースPLAPRSのファイルキャッシュFLCCH内へのローディングを完了するまで停止する状況となる。前記プレイリストアソシエーティドアドバンストアプリケーションPLAPL内で使用されるマークアップMRKUPはチッククロックを使用してはならない。プレイリストPLLST内に記述される全てのプレイリストアプリケーションエレメント情報PLAELEは同一のアプリケーションブロック内に属している。図６９(c)に示すプレイリストアプリケーションエレメント情報PLAELE内の言語属性情報LANGAT（languate属性情報）は必ず記述されなければならず（記載の省略が出来ない）、前記言語属性情報LANGATの値は同一のプレイリストPLLST内で一意的に（共通して）設定されなければならない。例えば前記プレイリストアプリケーションエレメント情報PLAELE内で言語属性情報LANGAT（language属性情報）を日本語に設定した場合には同一プレイリストPLLST内では前記プレイリストアソシエーティドアドバンストアプリケーションPLAPLは同一のプレイリストPLLST内で全て日本語として使用されなければならない。図６９(b)では1個のプレイリストアプリケーションエレメント情報PLAELEが記述されているが実際にはそれぞれ言語属性情報LANGAT（language属性情報）で異なる言語で設定された複数のプレイリストアプリケーションエレメント情報PLAELEが記述されている。アドバンストコンテンツ再生部ADVPL内のメモリ領域に図４７に示すプロファイルパラメータの情報を記述する領域を持っている。図４７に示すプロファイルパラメータの中でメニュー言語（menulanguage）の情報を記録する場所がある。このアドバンストコンテンツ再生部ADVPL内のメモリ領域内で設定されたメニュー言語（menulanguage）に対応して、表示・実行となるプレイリストアプリケーションエレメント情報PLAELEが選択される。すなわち図４７の中で示されたメニュー言語（menulanguate）に記録された言語情報と図６９(c)で記述された言語属性情報LANGAT（language属性情報）の値が一致したプレイリストアプリケーションエレメント情報PLAELEのみが有効として抽出され、表示・実行に利用される。
【０５９７】
＜PlaylistApplication Element＞
前記プレイリストアソシエーティドアドバンストアプリケーションPLAPLは、ファーストプレイタイトルFRPLTTを除く全てのタイトル内のタイトルタイムラインTMLEで設定された全時間領域について有効であるようにスケジューリングされている。前記プレイリストアソシエーティドアドバンストアプリケーションPLAPLを管理するプレイリストアプリケーションエレメント情報PLAELE内で記述されるsrc属性情報（ソース属性情報）は、対応アプリケーションの初期設定情報を含んだマニュフェストファイル保存場所URIMNFとして指定される。すなわち、プレイリストアソシエーティドアドバンストアプリケーションPLAPLとしてプレイリストアプリケーションエレメント情報PLAELEから参照される情報はマニュフェストファイルMNFSTの保存場所が参照され、URI（ユニフォーム・リソース・アイデンティファイヤー）により記述される。前記マニュフェストファイルMNFSTは対応するアプリケーションの初期設定情報を含んでいる。図６９(c)に示すようにプレイリストアプリケーションエレメント情報PLAELE内にはプレイリストアプリケーションリソースエレメントPLRELEのリストが含まれている。前記プレイリストアプリケーションリソースエレメントPLRELE情報は前記プレイリストアソシエーティドアドバンストアプリケーションPLAPLで使用されるリソースインフォメーションRESRCIの情報について記述されている。図６９(c)に示すようにプレイリストアプリケーションエレメント情報PLAELE内にはプレイリストアプリケーションのID情報PLAPIDが含まれているが図８２に示すように前記プレイリストアプリケーションエレメント情報PLAELE内に前記プレイリストアプリケーションのID情報PLAPIDを持つ事により、APIコマンドによる参照がしやすくなっている。次にZオーダー属性（Z-インデックス）情報ZORDERはグラフィックプレインGRPHPL内で重ねて配置されるアプリケーション又はアプリケーションエレメントが存在するレイヤー番号が指定され、値として“０”又は正数値が設定される。また前記レイヤー番号はチェッククロックの周波数に合わせて使用（設定変更）される。前記言語属性情報LANGAT（language属性情報）は前述したようにプロファイルパラメータ内のメニュー言語に対応して複数の中から特定のプレイリストアプリケーションエレメント情報PLAELEを選択する時に利用される。また前記情報は画面上（メニュー画面など）に表示される文字や音声などに使用される言語を指定している。その為、前記言語属性情報LANGAT（language属性情報）は前記プレイリストアプリケーションエレメント情報PLAELE内で記述を省略する事が出来ず必ず記述しなくてはならない。また最後に配置される事ができるプレイリストアプリケーションに関する付加情報は人に馴染みの深いテキストフォーマットで記述されるが前記付加情報の記載を省く事が出来る。
【０５９８】
＜プレイリストアプリケーションリソースエレメント（PlaylistApplicationResource Element）＞
図６９(d)に詳細構造を示すプレイリストアプリケーションリソースエレメントPLRELEはプレイリストアプリケーションリソースPLAPRSに関する管理情報が記述されている。前記プレイリストアプリケーションリソースPLAPRSとしてはプレイリストアソシエーティドアドバンストアプリケーションPLAPL内で使用されるパッケージ化されたアーカイブファイル又はアーカイブデータなどが対応する。前記プレイリストアプリケーションリソースエレメントPLRELEはファイルキャッシュFLCCH内にダウンロードされるべきアーカイビングデータ又はアーカイビングファイルを指定（規定）する。データキャッシュ内にダウンロードされるデータ又はファイルの保存場所SRCDTCを示すsrc属性情報はURI（ユニフォーム・リソース・アイデンティファイヤー）で記述され、情報記憶媒体DISC又はパーシステントストレージPRSTR内に保存されているアーカイビングデータ又はアーカイビングファイルを参照する事ができる。本実施形態において対応するデータキャッシュ内にダウンロードされるデータ又はファイル保存場所SRCDTC（src属性情報）としてはファイルキャッシュFLCCH内のAPI管理領域やネットワーク上を指定してはならない。このようにネットワーク上のネットワークサーバNTSRVに保存されているデータを指定しない事によりプレイリストアプリケーションリソースPLAPRSのダウンロード時間LOADPE内でのダウンロード完了する事を保証している。その結果、前記ファーストプレイタイトルFRPLTT再生中にプレイリストアプリケーションリソースPLAPRSのダウンロードが完了する。情報記録再生装置１を取り巻くネットワーク環境におけるネットワークスループットはユーザのネットワーク環境に大きく依存し、例えばネットワーク環境がモデム（電話回線）により転送される場合にはネットワークスループットが大幅に低い。そのようなネットワーク環境内でプレイリストアプリケーションリソースPLAPRSのダウンロードを試みるとファーストプレイタイトルFRPLTT再生中にダウンロードを完了する事が非常に難しくなる。本実施形態ではネットワークサーバNTSRVからのダウンロードを禁止し、そのような危険を排除している所に大きな特徴がある。またデータキャッシュにロードする前記データ又はファイルのサイズ情報DTFLSZ（size属性情報）はバイト単位で記述されるが、前記属性情報の記述を省く事が出来る。更にマルチプレクスト属性情報MLTPLXの値を“true”とした場合には、ローディング時間LOADPE内においてプライマリーエンハンストビデオオブジェクトデータP-EVOB内のアドバンストパックADV_PCKから対応するアーカイビングデータをローディングしなければならない（図７３(d)参照）。またこの場合、（“true”の場合）、ファーストプレイタイトルFRPLTTを管理するファーストプレイタイトルエレメント情報FPTELEがプレイリストPLLST内に記述されなければならない。このようにファーストプレイタイトルエレメント情報FPTELEがプレイリストPLLST内に記述されている場合には、プレイリストアプリケーションリソースPLAPRSのローディング時間LOADPEはファーストプレイタイトルFRPLTTの再生時間に対応する。また前記マルチプレクスト属性情報MLTPLXの値が“false”の場合にはアドバンストコンテンツ再生部ADVPLはsrc属性情報で指定された場所から対応するリソースをプリロ��ドしなければならない。また前記マルチプレクスト属性情報MLTPLXの記述を省く事は出来るが、その場合には自動的にマルチプレクスト属性情報MLTPLXの値が“true”と設定される。またプレイリストアプリケーションリソースPLAPRSに関する付加情報は人に馴染みの深いテキストフォーマットで記述されるが前記付加情報の記述を省く事が出来る。
【０５９９】
図６９(c)に示すデータ構造を有するプレイリストアプリケーションエレメント情報PLAELEはプレイリストアソシエーティドアドバンストアプリケーションPLAPLの管理を行っている。また、前記プレイリストアソシエーティドアドバンストアプリケーションPLAPLが参照する（使用する）リソースは図６９(d)に示すデータ構造を有するプレイリストアプリケーションリソースエレメントPLRELEにより管理されている。また、図５６(c)に示すデータ構造を有するアドバンストサブタイトルセグメントエレメントADSTSGはアドバンストサブタイトルADSBTの管理を行い、図５６(d)に示すデータ構造を有するアプリケーションセグメントエレメントAPPLSGはアドバンストアプリケーションADAPLの管理を行っている。また前記アドバンストサブタイトルADSBTもしくはアドバンストアプリケーションADAPLが参照する（使用する）リソースは、アプリケーションリソースAPRSRCと呼ばれ、図６３(d)に示すデータ構造を有するアプリケーションリソースエレメントAPRELEにより管理されている。更に、図６６(d)に示すデータ構造を有するタイトルリソースエレメントはタイトルリソースTTRSRCの管理を行っている。前記タイトルリソースTTRSRCはタイトルアソシエーティドアドバンストアプリケーションTTAPLにより参照（使用）される。前記タイトルアソシエーティドアドバンストアプリケーションTTAPLを管理する情報は、前記アプリケーションセグメントエレメントAPPLSGが対応している。以上、説明したプレイリストアプリケーションリソースPLAPRSと前記タイトルリソースTTRSRC、前記アプリケーションリソースAPRSRCとの間の関係（違い）を図７０及び図７１により説明する。また同時に、図７０及び図７１に前記プレイリストアソシエーティドアドバンストアプリケーションPLAPLとタイトルアソシエーティドアドバンストアプリケーションTTAPL、アドバンストアプリケーションADAPLとの間の関係（違い）も説明する。図７０に示す実施形態ではタイトル#1からの再生を説明しているが、実はタイトル#1に先行し、図１７に示すファーストプレイタイトルFRPLTTが最初に設定されている場合が多い。本実施形態においてプレイリストアソシエーティドアドバンストアプリケーションPLAPLが使用され、そこで使用されるプレイリストアプリケーションリソースPLAPRSを前記タイトル#1の再生前にファイルキャッシュFLCCH内にローディング完了させる使用ケースにおいては、図１７に示すようにプレイリストPLLSTの再生開始時に（最も最初に）ファーストプレイタイトルFRPLTTを再生する必要がある。従って図７０に示した説明図はタイトル#1の再生に先立ち、前記ファーストプレイタイトルFRPLTTを再生する事を前提としており、前記ファーストプレイタイトルFRPLTTの再生期間を省いている。図７０に示すように前記プレイリストアソシエーティドアドバンストアプリケーションPLAPLはファーストプレイタイトルFRPLTTを除く全タイトル内で実行（表示）できる。すなわち、前記プレイリストアソシエーティドアドバンストアプリケーションPLAPLの実行（表示）時間APACPEはファーストプレイタイトルFRPLTTを除く全タイトル再生期間に渡り跨って広がっている。それに比べ、図７０に示すようにタイトルアソシエーティドアドバンストアプリケーションTTAPLは同一タイトル内にのみ有効になっている。従って前記タイトルアソシエーティドアドバンストアプリケーションTTAPLの実行（表示）時間APACBEは、同一タイトル（図７０の実施形態ではタイトル#2を意味する）内のタイトルタイムラインTMLE上の時間“Ｔ３”から前記タイトルが終了するまでの期間に渡っている。それに比べ、図７０に示すようにアドバンストアプリケーションADAPLの実行（表示）時間APACPEは同一タイトル内の限定された特定時間のみ設定される。本実施形態において前記プレイリストアソシエーティドアドバンストアプリケーションPLAPLとタイトルアソシエーティドアドバンストアプリケーションTTAPLは広義のアドバンストアプリケーションADAPLに属し、前記広義のアドバンストアプリケーションADAPL内の特殊ケースとしてプレイリストアソシエーティドアドバンストアプリケーションPLAPLとタイトルアソシエーティドアドバンストアプリケーションTTAPLが定義される。前述した各種アドバンストアプリケーションADAPLで参照（使用）される各種リソースの関係を図７１に示す。プレイリストアプリケーションリソースPLAPRSはタイトルを跨り、任意のアドバンストアプリケーションADAPLにより共通に使用されるリソースを意味している。前記プレイリストアプリケーションリソースPLAPRSは前記プレイリストアソシエーティドアドバンストアプリケーションPLAPLのみならず、タイトルアソシエーティドアドバンストアプリケーションTTAPLやアドバンストアプリケーションADAPLから参照（使用）される事が出来る。前記プレイリストアプリケーションリソースPLAPRSは前述したようにファーストプレイタイトルFRPLTTの再生期間中にファイルキャッシュFLCCH内にローディングされ、アドバンストコンテンツADVCTが終了するまで複数のタイトル再生時に渡り、前記ファイルキャッシュFLCCHに保存され続けている。従って、前記プレイリストアプリケーションリソースPLAPRSはファイルキャッシュFLCCH内でファーストプレイタイトルFRPLTTを除く全タイトルの再生期間中とその再生期間の間（α位置とβ位置）に渡り、有効時間APVAPE内になっている。その結果、前記プレイリストアプリケーションリソースPLAPRSを参照（使用）するプレイリストアソシエーティドアドバンストアプリケーションPLAPLは異なるタイトル間で共通に使用（ユーザへの表示）する事ができる。前記プレイリストアプリケーションリソースPLAPRSを管理するプレイリストPLLST内のリソースエレメント名は図６９(d)に示すデータ構造を有するプレイリストアプリケーションリソースエレメントPLRELEになる。本実施形態において前記プレイリストアプリケーションリソースPLAPRSを設定し、それを参照（使用）するプレイリストアソシエーティドアドバンストアプリケーションPLAPLを設定する事により異なるタイトル間の遷移中（図７０内におけるα期間及およびβ期間）にも途切れること無く、前記プレイリストアソシエーティドアドバンストアプリケーションPLAPLのユーザへの表示が行う事が出来る。また前記プレイリストアプリケーションリソースPLAPRSはファーストプレイタイトルFRPLTT再生中以外には、ファイルキャッシュFLCCH内へのローディング時間が不要となる為、表示開始や表示切り替えを高速に行えるという効果がある。またタイトルリソースTTRSRCはタイトルアソシエーティドアドバンストアプリケーションTTAPLとタイトル内のアドバンストアプリケーションADAPLにより参照する（使用する）事が出来るばかりで無く、同一タイトル内で異なる複数のアドバンストアプリケーションADAPLにより共通に使用する事が出来る。前記タイトルリソースTTRSRCを管理するプレイリストPLLST内のリソースエレメント名は図６６(d)にデータ構造を有するタイトルリソースエレメントである。前記タイトルリソースTTRSRCのファイルキャッシュFLCCH内の保存タイミングを以下に説明する。図６６(d)に示すようにタイトルリソースエレメント内に対象リソースの取込み（ローディング）を開始するタイトルタイムライン上の時間PRLOAD（loadingBegin属性情報）を設定できる構造になっている。前記タイトルリソースエレメント内に前記対象リソースの取込み（ローディング）を開始するタイトルタイムライン上の時間PRLOAD（loadingBegin属性情報）が記述されている場合には、図６５(a)のようなタイミングでローディングされる事になる。すなわち前記対象リソースの取込み（ローディング）を開始するタイトルタイムライン上の時間PRLOADの値は、対応したリソースのタイトルタイムライン上の開始時間TTSTTM（titleTimeBegin属性情報）の値よりも早い時間を示しており、前記タイトルリソースTTRSRCの実行開始時間よりも早い時間からローディングが開始される。それに比べ、図６６(d)に示す対象リソースの取込み（ローディング）を開始するタイトルタイムライン上の時間PRLOAD（loadingBegin属性情報）の記述が省かれていた場合には、図６５(b)に示すようにタイトルタイムライン上の開始時間TTSTTMのタイミングでローディングを開始され、ローディングが終了した直後から前記タイトルリソースTTRSRCを参照する（使用する）タイトルアソシエーティドアドバンストアプリケーションTTAPLの実行時間APACPEとなる。図７０に示した実施形態は図６５(b)の方法に準拠して記述してある。図７０に示すように前記タイトルリソースTTRSRCはタイトル#2が終了した後、ファイルキャッシュからのデータ削除後時間N-EXSTとなる。すなわち、前記タイトルリソースTTRSRCは再生対象のタイトルが変わらない限りファイルキャッシュFLCCH内に保存され続けるが、再生対象のタイトルが変更されると（別のタイトルに移動すると）ファイルキャッシュFLCCHからは削除される。前記タイトルリソースTTRSRCを利用すると同一タイトル内での継続表示が可能になる。また、コンテンツが複数タイトルから構成されている場合、別のタイトルに移動した時にファイルキャッシュFLCCH内からは削除されるので前記ファイルキャッシュFLCCHの有効利用が可能となる。次にアプリケーションリソースAPRSRCはアドバンストアプリケーションADAPL毎に独自に使用されるリソースであり、タイトル内の特定のアドバンストアプリケーションADAPL内でのみ使用される。前記アプリケーションリソースAPRSRCを管理するプレイリストPLLST内のリソースエレメント名は図６３(d)に示すようにアプリケーションリソースエレメントAPRELEが対応する。図６３(d)に示すように前記アプリケーションリソースエレメントAPRELE内には対象リソースの取込み（ローディング）を開始するタイトルタイムライン上の時間PRLOAD（loadingBegin属性情報）が記述可能になっている。前記loadingBegin属性情報が記述されている場合にはファイルキャッシュFLCCH内のローディングタイミングは図６５(a)に示すタイミングとなり、逆に前記loadingBegin属性情報が記述されていない場合には図６５(b)に示すタイミングでファイルキャッシュFLCCH内にローディングされる。また記述されている場合には前記loadingBegin属性情報の値は前記アプリケーションリソースエレメントAPRELEが属するペアレントエレメント（アドバンストサブタイトルセグメントエレメントADSTSGまたはアプリケーションセグメントエレメントAPPLSG）内で設定されているタイトルタイムライン上の開始時間TTSTTM（titleTimeBegin属性情報）の値よりも早い時間に設定されている。図７０に示すアプリケーションリソースAPRSRCのファイルキャッシュFLCCH内のローディングタイミングは図６５(b)に準拠している。図７０に示すように前記アプリケーションリソースAPRSRCを参照する（使用する）アドバンストアプリケーションADAPL#Cの実行（表示）時間APACPEが終了した後は、ファイルキャッシュからのデータ削除後時間N-EXSTとなる。すなわち前記アプリケーションリソースAPRSRCは各アドバンストアプリケーションADAPLの使用（実行）前にファイルキャッシュFLCCH内に保存され、そのアドバンストアプリケーションADAPLの使用（実行）後にファイルキャッシュFLCCH内から削除される。本実施形態において前記アプリケーションリソースAPRSRCを利用する事により特定のアドバンストアプリケーションADAPLの使用（実行）後に対応リソースが削除されるので、ファイルキャッシュFLCCHの有効利用が図れるという効果が生まれる。その結果、必要とするファイルキャッシュFLCCHのメモリサイズが小さく出来るので装置が安価になるというメリットがある。
【０６００】
図７０及び図７１に示した内容に関する、より具体的な内容を図７２に示す表示画面例を用いて説明をする。図７０に示すようにタイトル#2再生時にはプライマリービデオセットPRMVSを表示するプライマリーエンハンストビデオオブジェクトデータP-EVOB#１が再生されていると共にプレイリストアソシエーティドアドバンストアプリケーションPLAPLが同時に表示されている。その時の表示画面例をγで表し図７２(a)に表す。図７２に示すようにタイトル１の本編31がプライマリーエンハンストビデオオブジェクトデータP-EVOB#1を表し、画面の下側に表示されたストップボタン34からFFボタン38に至る各種ボタンが配列された画面が、前記プレイリストアソシエーティドアドバンストアプリケーションPLAPLにより表示されている。図７２(d)に示す画面は図７２(b)に表示される表示画面δと、図７２(c)に表示されるε共に共通に表示されている。すなわち図７２(d)に示すプレイリストアソシエーティドアドバンストアプリケーションPLAPLにより表示される画面は異なるタイトル間で共通な画面となっており、そこで発揮する機能も共通になっている。前記の画面を構成する静止画IMAGEおよび機能を実現するスクリプトSCRPTがおよびマニフェストMNFST、マークアップMRKUPがプレイリストアプリケーションリソースPLAPRSになる。図７２(d)に示すプレイリストアプリケーションリソースPLAPRSを管理し、図６９(d)内に示すデータ構造を有するプレイリストアプリケーションリソースエレメントPLRELEにおいて、図７２(d)に示した例ではマルチプレクスト属性情報MLTPLXの値が“true”となっている。この場合には、図７３の説明からわかるように前記プレイリストアプリケーションリソースPLAPRSはファーストプレイタイトルFRPLTTを再生する時に使用されるプライマリーエンハンストビデオオブジェクトデータP-EVOB#0内にマルチプレクスされて保存されている。前記プレイリストアプリケーションリソースPLAPRSを参照（使用）するプレイリストアソシエーティドアドバンストアプリケーションPLAPLを管理するプレイリストアプリケーションエレメント情報PLAELE内には図６９(c)に示すように、Zオーダー属性（Z-インデックス）情報ZORDERが存在し、図７２(d)の例ではその値を“1”に設定している。前記プレイリストアプリケーションリソースPLAPRSは異なるリソース間で跨って共通に使用（表示）されるため、例えばタイトルアソシエーティドアドバンストアプリケーションTTAPLで表示される画面や、アドバンストアプリケーションADAPLで表示される画面と画面上で重なった場合、下側に隠れて表示出来るようにしておく事が望ましい。そのため図７２(d)に示した実施形態では、前記Zオーダー属性（Z-インデックス）情報ZORDERの値を低い値に設定している。次に図７０に示すタイトル#2の再生中において、タイトルタイムラインTMLEの時間が“T4”から“T2”の間では、プライマリービデオセットPRMVSを表示するプライマリーエンハンストビデオオブジェクトデータP-EVOB#2とプレイリストアソシエーティドアドバンストアプリケーションPLAPLとタイトルアソシエーティドアドバンストアプリケーションTTAPLの3つを同時に表示する。その時の画面を表示画面εで表し図７２(c)に示す。すなわち、前記タイトルアソシエーティドアドバンストアプリケーションTTAPLで表示する画面が図７２(f)���示すナビゲート用アニメーション55を意味している。最近のWindows（登録商標）Officeではヘルプ用アニメーションとしてイルカが現れ、使い方をサポートしている。それと同様に図７２(f)に示すナビゲート用アニメーション55により画面操作のガイドができる。またそれに限らず前記ナビゲート用アニメーション55を用い、タイトル#2の本編31で表示された画面内容の説明をさせる事も可能である。前記ナビゲート用アニメーション55は同一タイトル（タイトル#2）内で共通に使われる画面や機能を表しており、タイトルリソースTTRSRCを使用している。前記タイトルリソースTTRSRCを管理するタイトルリソースエレメント内には図６６(d)に示すようにマルチプレクスト属性情報MLTPLXが存在し、図７２(f)に示す実施形態では前記の値が“false”に設定されている。すなわちこの場合にはタイトルリソースTTRSRCはアドバンストパックADV_PCKの形でマルチプレクスされておらず、特定のファイルの形で指定された場所に保存されている事を表している。図７０及び図７１で説明したように前記タイトルリソースTTRSRCが使用されているタイトル（タイトル#2）から別のタイトルへ再生場所が移動した時には、前記タイトルリソースTTRSRCはファイルキャッシュFLCCH内から削除する事が出来る。この時の削除の優先順位が図６６(d)に示す対応リソース削除に対する優先順位情報PRIORT（priority属性情報）により指定されている。図６６(d)に示すように、前記の値が高いリソースから優先的に削除する格好となっているので、図７２(f)の実施形態における“8”の値は比較的先に削除して良い事を意味している。図７０に示すタイトル#2再生中でのタイトルタイムラインTMLEの時間が“T3”から“T4”までの間ではプライマリービデオセットPRMVSを表示するプライマリーエンハンストビデオオブジェクトデータP-EVOB#2とプレイリストアソシエーティドアドバンストアプリケーションPLAPLとタイトルアソシエーティドアドバンストアプリケーションTTAPLとアドバンストアプリケーションADAPLの画面が組み合わされて表示されており、その時の表示画面δを図７２(b)に示す。前記アドバンストアプリケーションADAPLで示す画面は図７２(e)に示すように、言語選択メニュー54を示している。図７２(e)に示す特定のアドバンストアプリケーション内にのみ有効となる画面や機能がアプリケーションリソースAPRSRCを利用して実現している。前記アプリケーションリソースAPRSRCを管理するアプリケーションリソースエレメントAPRELE内には、図６３(d)に示すようにマルチプレクスト属性情報MLTPLXが記述可能になっている。図７２(e)の実施形態では前記の値が“false”に設定されており、前記アプリケーションリソースAPRSRCがアドバンストパックADV_PCKの形でマルチプレクスされて保存されていたのではなく特定のファイルとして単独で存在していた事を意味している。また、前記アプリケーションリソースエレメントAPRELE内で指定される対応リソース削除に対する優先順位情報PRIORT（priority属性情報）の値は“2”の値として設定されている。図６３(d)に示すように前記の値が高いリソースから先に削除するので“2”の値は、なるべく長期間ファイルキャッシュFLCCH内に保存しておく事を意味している。図７２(f)ではpriority属性値が“8”に設定され、図７２(e)では前記の値が“2”で指定されているので、前記のpriority属性値のみを単独で比較した時には図７２(f)に示すナビゲート用アニメーション55のリソースを先に削除出来るようにあたかも見える。しかし、図６４で説明したようにアプリケーションリソースAPRSRCのプライオリティーレベルの方が、タイトルリソースTTRSRCのプライオリティーレベルよりも低いので実際には図７２(e)に示す言語選択メニュー54に対応したアプリケーションリソースAPRSRCの方を優先的にファイルキャッシュFLCCHから削除する事になる。前記アプリケーションリソースAPRSRCを管理するアプリケーションリソースエレメントAPRELEを含むペアレントエレメントであるアプリケーションセグメントエレメントAPPLSG内にはオートラン属性情報ATRNATが記載可能になっている。図７２(e)での実施形態では前記の値が“true”となっており、図７０で示すようにタイトル#2の再生開始と同時に前記アプリケーションリソースAPRSRCがローディング開始される形となっている。また、図７０に示す実施形態では、アプリケーションリソースAPRSRCのローディング方法として図６５(e)に示す方法を採用している。また図７２(e)に示す実施形態では、図５６(d)に含まれる再生表示オブジェクトの同期属性情報SYNCAT（sync属性情報）の値が“soft”に設定されている。従って、図７０に示す実施形態においてタイトル#2の再生開始時から前記アプリケーションリソースAPRSRCのローディングが開始されるが、ローディング予定時間LOADPEが終了するタイトルタイムラインTMLE上の時間“T3”になっても前記アプリケーションリソースAPRSRCのローディングが完了しない場合には図７２(e)の画面をユーザに表示する事無く、そのままタイトルタイムラインTMLEの時間進行を継続させ、ローディングが終了した段階で初めて言語選択メニュー54の表示を行う事になる。また図７２(e)の実施形態では、図５６(d)に示すZオーダー属性（Z-インデックス）情報ZORDERの値が“5”に設定されており、図７２(d)に示した同じ属性情報の値“1”よりも大きな値になっている。従って万一、画面上で図７２(d)に示す各種ボタン画面と図７２(e)に示す言語選択メニュー54の画面の表示場所が一部重なる場合には、前記Zオーダー属性（Z-インデックス）情報ZORDERの値が大きな言語選択メニュー54の方が上側に表示される事になる。このようにZオーダー属性（Z-インデックス）情報ZORDERの値を設定する事により異なるアドバンストアプリケーションADAPL間で表示する画面が同一画面上で重なった場合、どちらの画面を上側に表示するかを自動設定する事が出来、コンテンツプロバイダのユーザに対する表現力を向上させる事が出来る。
【０６０１】
図７３(a)に示すファーストプレイタイトルFRPLTTはユーザに対して最初に再生・表示するタイトルを表しており、プレイリストPLLST内では図７４(c)に示すようにタイトル情報TTINFO内のファーストプレイタイトルエレメント情報FPTELEにより管理されている。またプレイリストアソシエーティドアドバンストアプリケーションPLAPLは図７０に示すように複数のタイトル間に跨って実行（表示）時間APACPEが確保されたものであり、前記ファーストプレイタイトルFRPLTTを除く任意のタイトル内で表示・実行する事が可能になっている。また前記プレイリストアソシエーティドアドバンストアプリケーションPLAPLにより参照（使用）されるリソースをプレイリストアプリケーションリソースPLAPRSと呼ぶ。ファイルキャッシュFLCCH内への前記プレイリストアプリケーションリソースPLAPRSのローディングを前記ファーストプレイタイトルFRPLTT再生時に完了させるところに本実施形態の大きな特徴がある。それにより前記ファーストプレイタイトルFRPLTT以外の任意のタイトル再生開始時に前記プレイリストアソシエーティドアドバンストアプリケーションPLAPLの表示・実行を開始できる。図７３(a)の実施形態では前記ファーストプレイタイトルFRPLTTの再生時にはプライマリーエンハンストビデオオブジェクトデータP-EVOB#1が再生される。その期間が前記プレイリストアプリケーションリソースPLAPRSのローディング時間LOADPEとなる。その結果、前記ファーストプレイタイトルFRPLTTの再生終了時間（タイトルタイムラインTMLE上での時間“T0”）においてファイルキャッシュFLCCH内に前記プレイリストアプリケーションリソースPLAPRSが保存完了された状態となる。その結果、タイトル#1の再生開始時間にはプライマリーエンハンストビデオオブジェクトデータP-EVOB#1と同時にプレイリストアソシエーティドアドバンストアプリケーションPLAPLの再生が可能となる。前記ファイルキャッシュFLCCH内に保存されるプレイリストアプリケーションリソースPLAPRS（図７３(b)）の獲得経路は図７３に示すように経路A及び経路B、経路Cの複数存在する。本実施形態における経路AではファーストプレイタイトルFRPLTTの再生に利用されるプライマリーエンハンストビデオオブジェクトP-EVOB #0 の中に前記プレイリストアプリケーションリソースPLAPRSがマルチプレクスされた形となる。すなわち図７３(b)に示すプレイリストアプリケーションリソースPLAPRSはそれぞれ2048バイトのデータ毎に分割され、各2048バイト毎にアドバンストパックADV_PCK内にパッキングされる。前記アドバンストパックADV_PCKは他のメインオーディオパックAM_PCKやメインビデオパックVM_PCK、サブピクチャー（副映像）パックSP_PCKなどと多重化（マルチプレクス化）されてプライマリーエンハンストビデオオブジェクトデータP-EVOBを構成する。前記プレイリストアプリケーションエレメント情報PLAELE内で使用するプレイリストアプリケーションリソースPLAPRSは、図６９(d)に示すようにプレイリストアプリケーションリソースエレメントPLRELEにより管理されている。前記プレイリストアプリケーションリソースエレメントPLRELE内には図６９(d)に示すようにマルチプレクスト属性情報MLTPLXが存在する。図７３(b)に示すプレイリストアプリケーションリソースPLAPRSの獲得経路が前述した経路Aを通るのか、後述するそれ以外の経路Bまたは経路Cを通るのかの識別が前記マルチプレクスト属性情報MLTPLXの値により可能となる。すなわち前記マルチプレクスト属性情報MLTPLXの値が“true”の場合には、図７３に示すように対応したプレイリストアプリケーションリソースPLAPRSの獲得に経路Aを通る。前記マルチプレクスト属性情報MLTPLXの値が“true”の場合にはデータキャッシュ内にダウンロードされるデータ又はファイルの保存場所SRCDTCが図７３(a)に示すファーストプレイタイトルFRPLTTを表示するプライマリーエンハンストビデオオブジェクトP-EVOB #0 の保存場所を示す事となる。この場合、ファーストプレイタイトルFRPLTTの管理情報を示し、図７４(c)に示したファーストプレイタイトルエレメント情報FPTELE内にプライマリーオーディオビデオクリップエレメントPRAVCPが配置される。前記プレイリストアプリケーションエレメント情報PLAELE内に配置されたプライマリーオーディオビデオクリップエレメントPRAVCP内の図５４(c)に示す参照すべき再生表示オブジェクトのインデックスインフォメーションファイル保存場所SRCTMP（src属性情報）には図７３(a)に示すファーストプレイタイトルFRPLTTを表示するプライマリーエンハンストビデオオブジェクトデータP-EVOB #0 のタイムマップPTMAPの保存場所（パス）とファイル名が記述される。プライマリーオーディオビデオクリップエレメントPRAVCP内ではタイムマップPTMAPの保存場所（パス）とファイル名しか記述していないが、本実施形態ではそれに対応するプライマリーエンハンストビデオオブジェクトデータP-EVOB #0 ファイルの保存場所（パス）が前記タイムマップPTMAPの保存場所（パス）と一致しており、さらにプライマリーエンハンストビデオオブジェクトデータP-EVOB #0 ファイルのファイル名が前記タイムマップPTMAPと一致（但し拡張子は“.MAP”と“EVO”と異なる）しているので、プライマリーエンハンストビデオオブジェクトデータP-EVOB #0 ファイルへのアクセスが容易になっている。また図６９(d)に示すプレイリストアプリケーションリソースエレメントPLRELE内のマルチプレクスト属性情報MLTPLXの値が“false”の場合には、図７３に示す経路Aとは異なる経路（経路Bまたは経路C）を経由して前記プレイリストアプリケーションリソースPLAPRSをファイルキャッシュFLCCH内にローディングする事になる。すなわち経路Bでは前記プレイリストアプリケーションリソースファイルPLRSFLが情報記憶媒体DISC内に保存されており、前記ファーストプレイタイトルFRPLTTを表示するプライマリーエンハンストビデオオブジェクトP-EVOB #0 の再生と平行して前記情報記憶媒体DISCからデータ再生し、ファイルキャッシュFLCCH内に保存する事となる。また経路CではパーシステントストレージPRSTR内に前記プレイリストアプリケーションリソースファイルPLRSFLが保存されており、前記ファーストプレイタイトルFRPLTT再生時に平行してパーシステントストレージPRSTR内に保存されているプレイリストアプリケーションリソースファイルPLRSFLをファイルキャッシュFLCCH内にローディングする。もし、仮に前記プレイリストアプリケーションリソースファイルPLRSFLをネットワークサーバNTSRV内に保存した場合には、ダウンロード途中でネットワークトラブルが発生し、ファーストプレイタイトルFRPLTTの再生が終了するまでにファイルキャッシュFLCCH内へのローディングが終了出来ない危険性がある。従って本実施形態ではプレイリストアプリケーションリソースファイルPLRSFLの保存場所をネットワークサーバNTSRV以外とする事によりファーストプレイタイトルFRPLTT再生期間中でのローディング完了を保証している所に大きな特徴がある。このように前記プレイリストアプリケーションリソースエレメントPLRELE内にマルチプレクスト属性情報MLTPLXを配置（記述）しているところに大きな特徴がある。それにより、図３６に示すプライマリービデオプレーヤPRMVP内のデマルチプレクサDEMUXの事前準備を行う事が出来、前記プレイリストアプリケーションリソースPLAPRSのローディング時間LOADPEの短縮化を図ることが可能となる。また更に本実施形態ではファーストプレイタイトルFRPLTTに対し、ビデオトラック数もオーディオトラック数も１トラックずつにする等多くの制約条件を設定し、より一層ファーストプレイタイトルFRPLTT再生期間中でのローディング終了を確実な物としている。
【０６０２】
＜ファーストプレイタイトル（FirstPlay Title）＞
本実施形態においてファーストプレイタイトルエレメント情報FPTELEはタイトルセットエレメント（タイトル情報TTINFO）の内に存在する。すなわち図７４(a)に示すように、プレイリストPLLST内には構造情報CONFGI、メディア属性情報MDATRI、及びタイトル情報TTINFOが存在し、図７４(b)に示すように前記タイトル情報TTINFO内の最初の位置に前記ファーストプレイタイトルエレメント情報FPTELEが配置される構造となっている。前記ファーストプレイタイトルエレメント情報FPTELEにはファーストプレイタイトルFRPLTTに関する管理情報が記述されている。また図１７に示すようにファーストプレイタイトルFRPLTTは特殊なタイトルとして位置づけられる。本実施形態において前記ファーストプレイタイトルエレメント情報FPTELEは以下の特徴を持っている。
【０６０３】
−  ファーストプレイタイトルFRPLTTが存在する場合には、タイトル＃１の再生前に前記ファーストプレイタイトルFRPLTTが再生されなければならない。
【０６０４】
…  すなわちタイトル＃１の再生に先立って最初にファーストプレイタイトルFRPLTTを再生する事により、プレイリストアプリケーションリソースPLAPRSのダウンロードする時間を確保している。
【０６０５】
−  ファーストプレイタイトルFRPLTTは１以上のプライマリーオーディオビデオPRMAV、サブタイトルオーディオビデオのみから（どちらか一方でも可）構成されなければならない。
【０６０６】
…  このようにファーストプレイタイトルFRPLTTを構成する再生・表示オブジェクトの種類を限定する事により、ファーストプレイタイトルFRPLTT内にマルチプレクストされたアドバンストパックADV_PCKのローディング処理をしやすくしている。
【０６０７】
−  ファーストプレイタイトルFRPLTTは通常の再生速度によりタイトルタイムラインTMLE上での最初から終了位置まで再生し続けなければならない。
【０６０８】
…  ファーストプレイタイトルFRPLTTを標準速度で全て再生する事により、プレイリストアプリケーションリソースPLAPRSのダウンロード時間を確保でき、他のタイトル内でプレイリストアソシエーティドアドバンストアプリケーションPLAPLの再生開始時間を短縮化する事が出来る。
【０６０９】
−  ファーストプレイタイトルFRPLTTの再生時においては、ビデオトラック番号１とオーディオトラック番号１のみ再生可能にする。
【０６１０】
…  このように、ビデオトラック数とオーディオトラック数を限定する事により、ファーストプレイタイトルFRPLTTを構成するプライマリーエンハンストビデオオブジェクトデータP-EVOB内のアドバンストパックADV_PCKからのダウンロードをしやすくしている。
【０６１１】
−  プレイリストアプリケーションリソースPLAPRSはファーストプレイタイトルFRPLTTの再生中にロードする事が出来る。
【０６１２】
更に本実施形態においてはファーストプレイタイトルエレメント情報FPTELEに対し、以下の制約を満足しなければならない。
【０６１３】
−  ファーストプレイタイトルエレメント情報FPTELEはプライマリーオーディオビデオクリップエレメントPRAVCP又はサブスティテュートオーディオビデオクリップエレメントSBAVCPのみを含む。
【０６１４】
−  サブスティテュートオーディオビデオクリップエレメントSBAVCPで規定されたデータソースDTSORCはファイルキャッシュFLCCH又はパーシステントストレージPRSTR内に保存されている。
【０６１５】
−  ビデオトラック番号とオーディオトラック番号ADTKNMのみが設定可能であり、ビデオトラック番号とオーディオトラック番号ADTKNMはいずれも“１”に設定されなければならない。またファーストプレイタイトルFRPLTT内においてはサブタイトル、サブビデオ及びサブオーディオトラック番号は設定してはならない。
【０６１６】
−  ファーストプレイタイトルエレメント情報FPTELE内には図２４(b)に示すタイトル番号情報TTNUM、パレンタレベル情報（parentaLevel属性情報）、タイトルタイプ情報TTTYPE、アドバンストアプリケーションマネージャ内での処理クロックのアプリケーションチッククロックに対する減衰比TICKDB、選択属性：ユーザオペレーションの対応可否属性（selectable属性情報）、情報再生装置が表示するタイトル名情報、このタイトル終了後に表示されるべきタイトルの番号情報（onEnd属性情報）、及びタイトルに関する属性情報（description属性情報）の情報は記述されない。
【０６１７】
プレイリストアプリケーションリソースPLAPRSのローディング時間LOADPEとしてファーストプレイタイトルFRPLTTの再生時間を利用する事が出来る。図６９(d)に示すプレイリストアプリケーションリソースエレメントPLRELE内のマルチプレクスト属性情報MLTPLXが“true”と設定されている場合には、図７３(d)に示すようにプライマリーオーディオビデオPRMAV内のプライマリーエンハンストビデオオブジェクトデータP-EVOBからマルチプレクストされたアドバンストパックADV_PCKを抽出し、プレイリストアプリケーションリソースPLAPRSとしてファイルキャッシュFLCCH内にロードする事が出来る。
【０６１８】
＜ファーストプレイタイトルエレメント（FirstPlayTitle Element）＞
図７４(c)に詳細構造を示すファーストプレイタイトルエレメント情報FPTELEはアドバンストコンテンツADVCTに対するファーストプレイタイトルFRPLTTの管理情報が記述されている。また前記ファーストプレイタイトルエレメント情報FPTELE内においてオブジェクトマッピングインフォメーションOBMAPIとエレメンタリーストリームに対するトラック番号設定（トラックナンバーアサイメントインフォメーション）も構成されている。すなわち図７４(c)に示すようにファーストプレイタイトルエレメント情報FPTELE内にプライマリーオーディオビデオクリップエレメントPRAVCPとサブスティテュートオーディオビデオクリップエレメントSBAVCPが記述可能になっている。前記プライマリーオーディオビデオクリップエレメントPRAVCPとサブスティテュートオーディオビデオクリップエレメントSBAVCPの記述内容が前記オブジェクトマッピングインフォメーションOBMAPI（トラックナンバーアサイメントインフォメーションを含む）の一部を構成している。このようにファーストプレイタイトルエレメント情報FPTELEのコンテンツは表示・再生クリップエレメントのリスト（プライマリーオーディオビデオクリップエレメントPRAVCP、サブスティテュートオーディオビデオクリップエレメントSBAVCPのリスト）から構成されている。またファーストプレイタイトルFRPLTT内におけるサブスティテュートオーディオビデオクリップエレメントSBAVCPで使用されるデータソースDTSORCはファイルキャッシュFLCCH又はパーシステントストレージPRSTRのいずれかに保存されていなければならない。プライマリーオーディオビデオクリップエレメントPRAVCP又はサブスティテュートオーディオビデオクリップエレメントSBAVCPから構成される再生・表示クリップエレメントはエレメンタリーストリームのトラックナンバーアサイメントインフォメーション（トラック番号設定情報）を記載している。図７４(c)においてタイトルタイムライン上でのタイトル全体の時間的な長さ情報TTDUR（titleDuration属性情報）は“HH:MM:SS:FF”のフォーマットで記述される。ファーストプレイタイトルFRPLTT内で表示される再生・表示オブジェクトの終了時間は図５４(c)に示すようにプライマリーオーディオビデオクリップエレメントPRAVCP内のタイトルタイムライン上の終了時間TTEDTM（titleTimeEnd属性情報）及び図５５(c)内で示されるようにサブスティテュートオーディオビデオクリップエレメントSBAVCP内のタイトルタイムライン上の終了時間TTEDTM（titleTimeEnd属性情報）で規定されるが、全ての前記タイトルタイムライン上の終了時間TTEDTMの値は前記タイトルタイムライン上でのタイトル全体の時間的な長さ情報TTDUR（titleDuration属性情報）の中で設定された値よりも小さな値で設定されなければならない。それによりファーストプレイタイトルFRPLTT内で各再生・表示オブジェクトを矛盾無く表示する事が可能となる。以下に、4:3ＴＶモニタ上への許容表示モード情報SDDISP（alternative SDDisplay Mode属性情報）の説明を行う。前記4:3ＴＶモニタ上への許容表示モード情報SDDISPはファーストプレイタイトルFRPLTT再生時における4:3ＴＶモニタに表示する時の許容される表示モードを表している。前記の値が“Panscan Or Letterbox”と設定された場合には、4:3ＴＶモニタに表示する時にパンスキャンとレターボックスのいずれも許可される。また前記の値が“Panscan”と設定された場合には、4:3ＴＶモニタに表示される時にパンスキャンモードのみが許容される。更に前記の値として“Letterbox”と指定された場合には4:3ＴＶモニタに表示する時にレターボックスのモードでしか表示が許されない。情報記録再生装置１は前記設定された許容ディスプレイモードに合わせて4:3ＴＶモニタに強制的に画面出力しなければならない。本実施形態においては前記属性情報の記述を省く事が出来るが、その場合はデフォルト値である“Panscan Or Letterbox”が自動的に設定される。また、ファーストプレイタイトルエレメント内で使用される主な（基本的な）リソースの保存場所FPTXML（xml:base属性情報）は前記ファーストプレイタイトルエレメント情報FPTELE内においてURI（ユニフォーム・リソース・アイデンティファイヤー）により記述される。
【０６１９】
図７５（a)に示すようにプレイリストPLLST内には構造情報CONFGI、メディア属性情報MDATRI、及びタイトル情報TTINFOが存在する。図７５(b)に示すように前記タイトル情報TTINFO内はファーストプレイタイトルエレメント情報FPTELEと1個以上のタイトルエレメント情報TTELEM、及びプレイリストアプリケーションエレメント情報PLAELEのリストから構成される。更に前記タイトルエレメント情報TTELEM内のデータ構造は図７５(c)に示すようにオブジェクトマッピングインフォメーションOBMAPI（トラックナンバーアサイメントインフォメーションを含む）、リソースインフォメーションRESRCI、プレイバックシーケンスインフォメーションPLSQI、トラックナビゲーションインフォメーションTRNAVI、及びスケジュールドコントロールインフォメーションSCHECIの情報が記述されている。図７５(c)に示す前記スケジュールドコントロールインフォメーションSCHECIについて以下に説明を行う。
【０６２０】
＜スケジュールドコントロールリスト及びスケジュールドコントロール（ScheduledControlList and Scheduled Control）＞
前記スケジュールドコントロールインフォメーションSCHECIはスケジュールドコントロールリストエレメントから構成される。前記スケジュールドコントロールリストエレメントはタイトル再生時における下記のスケジューリングされた制御についての管理情報が記述されている。
【０６２１】
−  タイトルタイムラインTMLE上における指定された時間でのスケジュールで予定されたポーズ（一時停止処理）
−  指定された時間におけるアドバンストアプリケーションADAPLに対するイベント実行処理
スケジュールドコントロールリストエレメントで構成されるスケジュールドコントロールインフォメーションSCHECIは、図７５(d)に示すようにポーズアットエレメントPAUSELとイベントエレメントEVNTELのリストで構成されている。前記スケジュールドコントロールリストエレメント内に記述され、タイトルタイムラインTMLEに基づき時間設定されるポーズアットエレメントPAUSELとイベントエレメントEVNTELの配置場所は、各ポーズアットエレメントPAUSELとイベントエレメントEVNTELで指定するタイトルタイムライン上の指定位置（時間）情報TTTIMEの進行に沿った順番に合わせて、前記スケジュールドコントロールリストエレメント内の最初の方（前の方）から順次配置される。すなわち前記スケジュールドコントロールリストエレメント内において前の方から順次記述されるポーズアットエレメントPAUSELとイベントエレメントEVNTELが指定するタイトルタイムライン上の指定位置（時間）情報TTTIMEの値は、配列順に合わせて順次時間経過が増加する格好となる。このようにスケジュールドコントロールリストエレメント内においてタイトルタイムラインTMLEの時間進行に沿ってポーズアットエレメントPAUSELとイベントエレメントEVNTELを順番に配置されていると、図２８に示すナビゲーションマネージャNVMNG内のプレイリストマネージャPLMNGは前記スケジュールドコントロールリストエレメント内に記述された各エレメントを配列順に実行処理するだけでタイトルタイムラインTMLEの時間進行に沿った実行処理が行える。その結果、前記プレイリストマネージャPLMNGのスケジュール管理処理が非常に容易となる。スケジュールドコントロールリストエレメント内において異なるポーズアットエレメントPAUSEL又は異なるイベントエレメントEVNTEL間で指定するタイトルタイムライン上の指定位置（時間）情報TTTIMEは互いに重複してはならない。また同時に、ポーズアットエレメントPAUSELで指定するタイトルタイムライン上の指定位置（時間）情報TTTIMEとイベントエレメントEVNTELで指定するタイトルタイムライン上の指定位置（時間）情報TTTIMEは互いに重複してはならない。なぜなら例えば図７５(d)の記述例においてポーズアットエレメントPAUSEL＃１が指定するタイトルタイムライン上の指定位置（時間）情報TTTIMEとイベントエレメントEVNTEL＃１が指定するタイトルタイムライン上の指定位置（時間）情報TTTIMEの値が一致した場合には、図２８に示すプレイリストマネージャPLMNGがポーズアット（一時停止）処理とアドバンストアプリケーションADAPLに対するイベント実行処理のいずれを選択したら良いかわからなくなり、前記プレイリストマネージャPLMNGの処理に破綻が生じる。
【０６２２】
本実施形態においてアドバンストアプリケーションADAPLの実行中（再生中）にスクリプトSCRPTを起動させて複雑な処理をさせる場合がある。例えばユーザがアドバンストアプリケーションADAPLの実行を指示すると、特定時間が経過した後に初めて実際の実行を開始するように前記スクリプトSCRPTの遅延時間を設定する事ができる。従って前記イベントエレメントEVNTEL内のタイトルタイムライン上の指定位置（時間）情報TTTIMEで設定された時間よりも遅れて前記アドバンストアプリケーションADAPLがイベントを実行開始しても良い。
【０６２３】
＜スケジュールドコントロールエレメント（ScheduledControlList Element）＞
前記スケジュールドコントロールインフォメーションSCHECIはタイトル再生におけるスケジューリングされたポーズ（一時停止）処理とイベント実行のタイミングを定義している。また前記スケジュールドコントロールインフォメーションSCHECIの内容を記述したスケジュールドコントロールリストエレメントはポーズアットエレメントPAUSEL又はイベントエレメントEVNTELのリストから構成されている。前記ポーズアットエレメントPAUSELはタイトル再生時におけるポーズ（一時停止）処理の時間が記述されており、前記イベントエレメントEVNTELはタイトル再生時におけるイベント実行開始時間が記述されている。
【０６２４】
＜ポーズアットエレメント（Pauseat Element）＞
図７５(e)に前記ポーズアットエレメントPAUSEL内のデータ構造を示す。前記ポーズアットエレメントPAUSEL内にはポーズアットエレメントのID情報PAUSID（id属性情報）が存在し、図８２に示すようにAPIコマンドによる前記ポーズアットエレメントPAUSELの指定が容易となる。また前記ポーズアットエレメントPAUSELにはタイトルタイムライン上の指定位置（時間）情報TTTIME（titleTime属性情報）が含まれている。前記タイトルタイムライン上の指定位置（時間）情報TTTIME（titleTime属性情報）はタイトルタイムラインTMLE上におけるポーズ（一時停止）処理場所を示している。前記の値は“HH:MM:SS:FF”（時間:分:秒:フレーム数（カウント値））のフォーマットで記述される。本実施形態においてプライマリービデオセットPRMVS及びセカンダリービデオセットSCDVSに属する再生表示オブジェクトは図５３に示すように対応するクリップエレメント内でタイトルタイムライン上の開始時間TTSTTM（titleTimeBegin）とエンハンストビデオオブジェクトデータEVOB上の開始位置VBSTTM（clipTimeBegin）の時間タイミングが一致している。従って前記情報に基づき、タイトルタイムラインTMLE上の時間とプライマリーエンハンストビデオオブジェクトデータP-EVOBないしはセカンダリーエンハンストビデオオブジェクトデータS-EVOB内のビデオストリーム上で設定されるプレゼンテーションスタートタイム（プレゼンテーションタイムスタンプ値）PTSとの間の関係（対応）が導かれる。その結果、図７５(e)に指定されたタイトルタイムライン上の指定位置（時間）情報TTTIME（titleTime）で指定されたポーズ（一時停止）位置が前記再生表示オブジェクト（エンハンストビデオオブジェクトEVOB）の有効期間VALPRD内に指定された場合には、前記ポーズ位置がプライマリーエンハンストビデオオブジェクトデータP-EVOB（またはセカンダリーエンハンストビデオオブジェクトデータS-EVOB）内におけるビデオストリームのプレゼンテーションスタートタイム（プレゼンテーションタイムスタンプ値）PTSの対応した値に関連付けられる。前記の関連を利用し、図２８に示すナビゲーションマネージャNVMNGのプレイリストマネージャPLMNGがポーズアットエレメントPAUSEL内のタイトルタイムライン上の指定位置（時間）情報TTTIME（titleTime属性情報）の値から前記プレゼンテーションスタートタイム（プレゼンテーションタイムスタンプ値）PTSの値に換算し、その換算した結果を前記プレイリストマネージャPLMNGが図３０に示すプレゼンテーションエンジンPRSENへ転送できる。その結果、図３０に示すデコーダーエンジンDCDENは前記プレゼンテーションスタートタイム（プレゼンテーションタイムスタンプ値）PTSを用いたデコード処理が行えるので、デコーダーエンジンDCDENの対応処理が容易となる。
【０６２５】
＜イベントエレメント（Event Element）＞
次に図７５(f)に示すイベントエレメントEVNTEL内のデータ構造の説明を行う。前記イベントエレメントEVNTELでもイベントエレメントのID情報EVNTID（id属性情報）がイベントエレメントEVNTELタグ内の最初に記述されており、図８２に示すようにAPIコマンドによる前記イベントエレメントEVNTELの参照が容易な形となっている。イベントエレメントEVNTEL内のタイトルタイムライン上の指定位置（時間）情報TTTIME（titleTime属性情報）は、図２８に示すナビゲーションマネージャNVMNG内のプレイリストマネージャPLMNGがプレイリストマネージャイベント（Describes the time on Title Timeline, at which PlaylistManager fires the PlaylistManagerEvent）を実行する時のタイトルタイムラインTMLE上の時間を示している。この値は“HH:MM:SS:FF”（時間:分:秒:フレーム数）のフォーマットで設定する。
【０６２６】
図７５(e)に示すデータ構造を有するポーズアットエレメントPAUSELの機能及び使用例について、図７６を用いて説明をする。本実施形態において図７５(d)に示すスケジュールドコントロールインフォメーションSCHECIが存在しない場合、ユーザに表示している例えばプライマリーエンハンストビデオオブジェクトデータP-EVOBなどの再生表示オブジェクトに対するタイトルタイムラインTMLE上での時間進行を停止しようとした場合、APIコマンドでポーズ（一時停止）をしようとしても前記APIコマンド処理時の遅延時間が発生し、フレーム（フィールド）単位での精度の良い一時停止位置を指定する事が難しい。それに対し、本実施形態において前記スケジュールドコントロールインフォメーションSCHECIを設定し、ポーズアットエレメントPAUSELを設定する事により動画像のフィールド（フレーム）単位での正確なポーズ（一時停止）位置の指定が出来るようになる。またアドバンストサブタイトルADSBTやアドバンストアプリケーションADAPL、プレイリストアソシエーティドアドバンストアプリケーションPLAPL、タイトルアソシエーティドアドバンストアプリケーションTTAPLの表示タイミングに対しては一般的にチッククロック（ページクロック、アプリケーションクロック）を使用する場合が多い。この場合タイトルタイムラインTMLEの進行に対応したメディアクロックとは独自に動くので、前記アプリケーションからタイトルタイムラインTMLEに対する一時停止指示設定がし辛いという問題点があった。それに対し、前記スケジュールドコントロールインフォメーションSCHECI内のポーズアットエレメントPAUSELを設定する事により前記アプリケーションとタイトルタイムラインTMLE間の表示タイミングの同期を取る事も出来る。前記ポーズアットエレメントを用いた使用例を図７６(a)に示す。例えば、図７６(a)におけるタイトルタイムラインTMLE上の時間“T0”において図７６(b)に示すように、プライマリービデオセットPRMVS内のメインビデオMANVDが本編31として画面に表示されている場合を考える。コンテンツプロバイダが前記本編31内での特定フレーム（特定フィールド）の部分で本編31の表示を一時停止し（静止画状態とし）、その一時停止された画面の説明をアニメーションを用いて解説しようとする事がある。この場合には、タイトルタイムラインTMLE上で時間“T1”において本編31を一時停止させて静止状態とし、それと平行して図７６(c)に示すように解説用のアニメーションANIM #1 を表示させ、前記本編31は静止状態のまま、前記映像解説用アニメーションANIM #1 話をさせて前記静止状態のメインビデオMANVDのフレーム内容の解説をさせる事が出来る。また更に図７６(a)に示すように時間“T2”と時間“T3”でも同様に一時的に本編31を停止させ（静止状態とし）、動画解説用アニメーションANIM #2、#3 を動かして音声による解説をさせるような事も出来る。それを可能とするタイトルタイムラインTMLE上のマッピング方法としては、図７６(a)のような方法を取る事が出来る。すなわちタイトルタイムラインTMLEの進行に合わせてプライマリービデオセットPRMVSの画面をプライマリーエンハンストビデオオブジェクトデータP-EVOBにより表示させ、タイトルタイムラインTMLE上の時間“T1”よりもほんの僅かに先行する時間“T1−ΔT”の段階で、アドバンストアプリケーションADAPLを起動（実行開始）し、前記アドバンストアプリケーションADAPL #1 内のマークアップMRKUPによりプライマリーエンハンストビデオオブジェクトデータP-EVOBの映像解説用アニメーションANIM #1 を表示する。前記映像解説用アニメーションANIM#1の再生表示が完了するとスクリプトSCRPTが動き出し、タイトルタイムラインTMLE上での時間進行を一時停止からノーマル再生に切り替えさせるAPIコマンドNPLCMDを発行させる。それによりタイトルタイムラインTMLEの時間進行がノーマル再生に戻り、通常通りの時間進行（カウントアップ）が再開される。また同様にアドバンストアプリケーションADAPL #2 に対しても時間“T2−ΔTt”のところで起動（実行開始）させる。映像解説用アニメーションANIN #2 の再生表示が終了直後にスクリプトSCRPTが動き出し、タイトルタイムラインTMLEがノーマル再生になるようなAPIコマンドNPLCMDを発行させ、再びタイトルタイムラインTMLEの時間進行を再開される。
【０６２７】
図７５(f)に示した構造を有するイベントエレメントEVNTELの機能の特徴と具体的な使用例を図７７に示す。前記イベントエレメントEVNTELの基本的な特徴は図７６(d)に示したポーズアットエレメント機能の特徴と同様、スケジュールドコントロールインフォメーションSCHECI内のイベントエレメントEVNTELにより各種アプリケーションを駆動するチッククロックとタイトルタイムラインTMLEとの間の同期を取る事と、APIコマンド処理時の遅延によるタイミングずれの対策として動画のフレーム（フィールド）単位での精度でイベント開始時間設定が出来る所に有る。本実施形態において図１６に示すように、字幕やテロップ文字39をアドバンストサブタイトルADSBTを用いて表示させる事が出来る。アドバンストサブタイトルADSBTを用いて前記字幕やテロップ文字39を表示させる方法として、前記アドバンストサブタイトルのマークアップMRKUPSを用いて表現する事が出来る。しかし、本実施形態の他の応用例として図７７に示すイベントエレメントEVNTELを用いて字幕を表示する事により、よりフレキシブルな字幕の表示を行う事が出来る。具体的な字幕を行う場合のタイトルタイムラインTMLE上でのマッピング方法を図７７(a)に示す。プライマリービデオセットPRMVSを表示するプライマリーエンハンストビデオオブジェクトデータP-EVOBのタイトルタイムラインTMLE上での表示進行に平行してアドバンストサブタイトルADSBTを配置し、各イベント実行タイミングEVNTPTに合わせてアドバンストサブタイトルADSBTの表示開始（切り替え）を行う。すなわちタイトルタイムラインTMLE上での時間“T1”から“T2”の期間中にアドバンストサブタイトルADSBT #1 を字幕として表示し、次にタイトルタイムラインTMLE上での時間“T2”から“T3”の期間内にアドバンストサブタイトルADSBT #2 を字幕として表示させる。図７７(c)に本実施形態におけるアドバンストサブタイトルのフォントファイルFONTS内のデータ構造を示す。前記ファイル内の先頭位置にアドバンストサブタイトル一般情報SBT_GI が存在し、その中にはフォントファイルのID情報FTFLIDとフォントの言語属性情報FTLANGと合計字幕行数情報FTLN_Nsが記録されている。各字幕サーチポインターFT_SRPT内には各字幕情報の開始アドレスFTLN_SAが相対バイト数で記述されると共に各字幕情報のデータサイズFTLN_SZがバイト数で記述される。また字幕情報FONTDT内には各行毎の字幕情報FTLNDTが記述される。
【０６２８】
図７８に図７７の例に基づくタイトルタイムラインTMLEと同期してアドバンストサブタイトルADSBTの表示方法の説明したフローチャートを示す。前記のフローチャートはプレイリストマネージャPLMNG（図２８参照）内で処理される。まず始めにアドバンストサブタイトルADSBTのフォントファイルFONTをファイルキャッシュFLCCH内に一時保存する（ステップＳ１２１）。その次に表示対象字幕の行数カウンターをi =“0”と初期設定する（ステップＳ１２２）。その後、アドバンストサブタイトルADSBTの有効期間VALPRD内にタイトルタイムラインTMLE上の時間が入っているか判断を行う（ステップＳ１２３）。アドバンストサブタイトルADSBTの有効期間VALPRD内にタイトルタイムラインTMLE上の時間が入っている場合には、タイトルタイムラインTMLEの時間がイベントエレメントEVNTELで指定された時間TTTIME（titleTime）に到達したかを判断する（ステップＳ１２６）。前記ステップＳ１２６においてタイトルタイムラインTMLEの時間がイベントエレメントEVNTELで指定された時間TTTIME（titleTime）に到達しなければ到達するまでずっと待ち続ける。そしてタイトルタイムラインTMLEの時間がイベントエレメントEVNTELで指定された時間TTTIME（titleTime）に到達した場合には、アドバンストサブタイトルプレーヤASBPL（図３０参照）内に既に表示すべき字幕情報FTLNDTが入力されているかを判断し（ステップＳ１２７）、もし入力されていない場合にはステップＳ１２９へ飛ぶ。また入力されている場合には、表示すべき字幕情報FTLNDTをAVレンダラーAVRND（図３０参照)に出力する（ステップＳ１２８）。次に行数カウンター“i”の値に従い、ファイルキャッシュFLCCH内に一時保存されたアドバンストサブタイトルのフォントファイルFONTS内の先頭からFTLN_SA #iだけずれた位置からFTLN_SA #iのサイズのデータを読み取り、アドバンストサブタイトルプレーヤASBPLへ転送する（ステップＳ１２９）。次に行数カウンター“i”の値を“1”だけインクリメントする（ステップＳ１３０)。その後、ステップＳ１２３に戻る。前記ステップＳ１２３においてアドバンストサブタイトルADSBTの有効期間VALPRDよりも外にタイトルタイムラインTMLE上の時間になっている場合には、タイトルタイムラインTMLE上の時間がアドバンストサブタイトルADSBTの有効期間VALPRDの後ろになっているかを判断し（ステップＳ１２４）、後ろになっていない場合には前記ステップＳ１２３に戻り、もし後ろになっている場合にはファイルキャッシュからのデータ削除FLCREM  を実行する。（ステップＳ１２５）。
【０６２９】
図７９(a)に示すようにプレイリストPLLST内には構造情報CONFGI、メディア属性情報MDATRIとタイトル情報TTINFOが記述される構造になっている。図７９(a)に示すメディア属性情報MDATRIは、図７９(b)に示すようにオーディオデータの属性を表すオーディオアトリビュートアイテムエレメントAABITM、ビデオデータの属性情報を表すビデオアトリビュートアイテムエレメントVABITM、及びサブピクチャーデータ（副映像データ）の属性を表すサブピクチャーアトリビュートアイテムエレメントSPAITMが記録可能になっている。図７９(b)に示した図では各データの属性情報についてそれぞれ1個ずつのアイテムエレメントが記述されているが、本実施形態においてはそれに限らず、プレイリストPLLST内で指定された各再生表示オブジェクトが持つ異なる属性情報毎に複数のアトリビュートアイテムエレメントを記述する。図５９(c)から(g)に示すようにメインビデオエレメントMANVD、メインオーディオエレメントMANAD、サブタイトルエレメントSBTELE、サブビデオエレメントSUBVD、及びサブオーディオエレメントSUBADに関係する属性情報に対し、図７９(a)に示すメディア属性情報MDATRI内の各アトリビュートアイテムエレメントを指定する事により、それぞれの属性情報の共有化が図れる。このようにプレイリストPLLST内で定義される各種再生表示オブジェクトの属性情報を前記メディア属性情報MDATRI内にまとめて記述し、タイトル情報TTINFO内のオブジェクトマッピングインフォメーションOBMAPI内から前記メディア属性情報MDATRI内の情報を参照（指定）する事により、タイトル情報TTINFO内のオブジェクトマッピングインフォメーションOBMAPI（トラックナンバーアサイメントインフォメーション含む）における共通なメディア属性情報に関する重複記述を避けられる。その結果、オブジェクトマッピングインフォメーションOBMAPI（トラックナンバーアサイメントインフォメーション）の記述データ量を減らし、プレイリストPLLST内に記載されるトータルの情報量を減らす事ができる。それにより、プレイリストマネージャPLMNG（図２８参照）の処理の簡素化も図れる。
【０６３０】
＜メディアアトリビュートエレメント及びメディアアトリビュートインフォメーション（Media Attribute Element and Media Attribute Information）＞
前記メディア属性情報MDATRIはアトリビュートアイテムエレメントと呼ばれる各エレメントのリストにより構成されている。前記メディアアトリビュートアイテムエレメントはオーディオデータの属性情報を示すオーディオアトリビュートアイテムエレメントAABITM、ビデオデータの属性情報を表すビデオアトリビュートアイテムエレメントVABITM、及びサブピクチャー（副映像）の属性情報を表すサブピクチャーアトリビュートアイテムエレメントSPAITMのいずれかに属する。また各メディアアトリビュートアイテムエレメントはエンハンストビデオオブジェクトデータEVOBを構成する各エレメンタリーストリームに関するメディア属性情報MDATRIを示しているとも言える。前記メディアアトリビュートアイテムエレメント内に記述が必須である属性情報はデータコード情報又は圧縮コード情報になっており、それ以外の属性情報については前記メディアアトリビュートアイテムエレメント内での記述を省く事が出来る。図１２に示したエンハンストビデオオブジェクトインフォメーションEVOBI内、又はセカンダリービデオセットのタイムマップSTMAP内の属性情報記録領域内にはEVOB_VTS_ATR又はEVOB_ATRの情報が記述されている。前記メディアアトリビュートアイテムエレメント内の各属性情報の値は、前述したEVOB_VTS_ATR又はEVOB_ATR内で設定された情報内容と一致しなければならない。それにより図１２に示すプレイリストPLLST内のメディア属性情報MDATRIとエンハンストビデオオブジェクトインフォメーションEVOBI内に記述されたメディア属性情報MDATRI、及びセカンダリービデオセットのタイムマップSTMAP内に記述されたメディア属性情報MDATRIとの間の関係に統一性が取れ、図１４に示すアドバンストコンテンツ再生部ADVPL内のプレゼンテーションエンジンPRSENにおける再生・制御処理の安定性を確保する事が出来る。前述したように、トラックナンバーアサイメントインフォメーション（トラック番号設定情報）内のメインビデオエレメントMANVD、メインオーディオエレメントMANAD、サブタイトルエレメントSBTELE、サブビデオエレメントSUBVDとサブオーディオエレメントSUBADから図７９(c)から(e)までの各メディアアトリビュートアイテムエレメントが参照（指定）される。前記の参照（指定）方法を以下に説明する。図７９(c)から(e)に示すようにオーディオアトリビュートアイテムエレメントAABITM、及びビデオアトリビュートアイテムエレメントVABITM、サブピクチャーアトリビュートアイテムエレメントSPAIPMいずれのメディアアトリビュートアイテムエレメントにおいてもメディアインデックス番号情報INDEX（index属性情報）が存在する。また図５９(c)から(g)に示すようにトラックナンバーアサイメントインフォメーション（オブジェクトマッピングインフォメーションOBMAPI）内のメインビデオエレメントMANVD、及びメインオーディオエレメントMANAD、サブタイトルエレメントSBTELE、サブビデオエレメントSUBVD、サブオーディオエレメントSUBAD内にはメディア属性情報内の対応したメディア属性エレメントのインデックス番号MDATNM（mediaAttr属性情報）の記述欄が共通に存在している。前記メディア属性情報内の対応したメディア属性エレメントのインデックス番号MDATNM（mediaAttr属性情報）により図７９(c)から(e)に示すメディアインデックス番号情報INDEX（index属��情報）を指定し、対応したメディアアトリビュートアイテムエレメントを参照している。上記の対応付けを保証する条件として、メディア属性情報MDATRI（メディアアトリビュートリストエレメント）内の異なるメディア属性のタイプ（オーディオ属性、ビデオ属性、サブピクチャー属性の各タイプ）毎にそれぞれ独自に（重複せずに）メディアインデックス番号情報INDEX（index属性情報の値）が設定されなければならない。本実施形態においてはオーディオアトリビュートアイテムエレメントAABITM内のメディアインデックス番号情報INDEX（index属性情報の値）とビデオアトリビュートアイテムエレメントVABITM内のメディアインデックス番号情報INDEX（index属性情報の値）をどちらも同じ“１”の値に設定する事は出来る。また各メディアアトリビュートアイテムエレメント内で前記メディアインデックス番号情報INDEX（index属性情報）の記述を省く事が出来る。この場合にはデフォル値である“１”が自動的に設定される。
【０６３１】
＜オーディオアトリビュートアイテムエレメント（AudioAttributeItem Element）＞
以下に図７９(c)に示すオーディオアトリビュートアイテムエレメントAABITM内のデータ構造の説明を行う。前記オーディオアトリビュートアイテムエレメントAABITMはメインオーディオストリームMANADとサブオーディオストリームSUBAD関する属性情報について記述されている。前述したように前記EVOB_VTS_ATR又はEVOB_ATRで設定された内容と前記オーディオアトリビュートアイテムエレメントAABITM内で記述される各属性情報の値は一致しなければならない。前述したようにメディアインデックス番号情報INDEX（index属性情報）は図５９(d)及び(g)に示すようにメインオーディオエレメントMANADとサブオーディオエレメントSUBADから参照される。次にオーディオの圧縮コード情報ADCDC（codex）の値として、本実施形態では“LPCM（リニアPCM）”“DD+”“DTS-HD”“MLP”“MPEG”又は“AC-3”を選択する事が出来る。特に“AC-3”はインターオペラブルコンテンツに対してのみ使用される。またオーディオストリームのサンプル周波数ADSPRT（sampleRate属性情報）はオーディオストリームのサンプルレートを表し、前記属性情報の記載を省く事が出来る。更にサンプルデプス情報又は量子化ビット数SPDPT（sampleDepth属性情報）はサンプルデプス情報を表し、前記属性情報の記載を省く事が出来る。更に、オーディオチャンネル数情報ADCLN（channels属性情報）はオーディオチャンネル数を表し正数により値が記述される。前述したようにエンハンストビデオオブジェクトインフォメーションEVOBI内、もしくはセカンダリービデオセットのタイムマップ内の属性情報記録領域内に存在するEVOB_AMST_ATRTに設定された内容と前記オーディオチャンネル数情報ADCNL（channels属性情報）の値が一致しなければならない。もし、前記オーディオチャンネル数ADCNLが小数点以下の端数を持つ場合には前記属性情報の値として小数点以下を切り上げした正数で記述しなければならない。例えば、5.1チャンネルの場合には小数点以下を切り上げして前記オーディオチャネル数情報ADCNLの値としては“６”を設定する。また前記属性情報の記述を省く事も出来る。更にデータビットレート（データ転送レート）情報DTBTRTを示すBITRATE属性情報は前記オーディオアトリビュートアイテムエレメントAABITM内での記述を省いても良い。
【０６３２】
＜ビデオアトリビュートアイテムエレメント等（VideoAttributeItem Element and SampleAspectRatio refers to Shape of Encoded Samples or ”Pixels”）＞
次に図７９(d)に示すビデオアトリビュートアイテムエレメントVABITM内のデータ構造について説明を行う。前記ビデオアトリビュートアイテムエレメントVABITMはメインビデオストリームMANVDとサブビデオストリームSUBVDの属性情報について記述されている。前述したようにEVOB_VTS_ATR又はEVOB_ATR内で設定された内容とビデオアトリビュートアイテムエレメントVABITM内の各属性情報に設定される値が一致する必要が有る。前記ビデオアトリビュートアイテムエレメントVABITM内のメディアインデックス番号情報INDEX（index属性情報の値）は図５９(c)又は(f)に記述されたメディア属性情報内の対応したメディア属性エレメントのインデックス番号MDATNM（mediaAttr属性情報の値）と一致し、メインビデオエレメントMANVD及びサブビデオエレメントSUBVDから参照（指定）される。次にビデオの圧縮コード情報VDCDCを表すコーデック属性情報の値としては“MPEG-2”“VC-1”“AVC”又は“MPEG-1”のいずれかを選択できる。前記MPEG-1はインターオペラブルコンテンツに対してのみ使用する。またアスペクト比情報ASPRT（sampleAspectRatio属性情報)はエンコードされユーザに表示される画面又はピクセルの形状（縦横比）を表している。前記アスペクト比情報ASPRTのとり得る値として、標準画面サイズ・画面形状を表す“4:3”又はワイド画面の形状を表す“16:9”のいずれかの値が設定される。前記ビデオアトリビュートアイテムエレメントVABITM内において前記アスペクト比情報ASPRTの記述を省く事が出来る。次の水平方向の解像度属性情報HZTRL（horizontalResolution属性情報）はエンコードされた映像の水平方向のサンプル数（画素数）を表している。前記値はデコードにより作成されうるピクセル数を表してはいない。その次に記述されている垂直方向の解像度属性情報VTCRL（verticalResolution属性情報）はエンコード後の映像の垂直方向のサンプル数（画素数）を表している。前記値はデコードの結果得られうるピクセル数を示しているわけではない。前記水平方向の解像度属性情報HZTRLと垂直方向の解像度属性情報VTCRLに関する情報記述を省く事が出来る。また、encodedFrameRate属性情報はユーザ表示時のフレームレート属性情報ENFRRTを表している。前記の情報はエンコードされたフレームレートであり、それはフレーム数により表現されフィールド数により表示されるものでは無い。例えば、NTSCにおけるインターレース表示モードでは1秒間に60フィールド存在し、それは30フレームに対応している。このようにインターレース表示モードの場合にはフィールド数とフレーム数が異なるが、前記ユーザ表示時のフレームレート属性情報ENFRRTではフィールド数では無くフレームにおけるフレームレートを表している。また前記ユーザ表示時のフレームレート属性情報ENFRRTの情報記述を省いても良い。次に記述されるソースフレームレート属性情報SOFRRT（sourceFrameRate属性情報）は取り込まれたソースコンテンツの“およそ”のフレームレートを示している。つまり映画館で表示される映像フィルムのソースフレームレートは“24”として表示されるが、実際のビデオレートは23.976Hzとなっている。またその映画館で表示される映像フィルムは29.970Hzでのリピートフィールドフラグによりエンコードされうる。本実施形態において、ソースフレームレート属性情報SOFRRTの値は前記23.976や29.970の���を記述せず、おおよそのフレームレートとして“24”や“30”の値で記述される。またこの情報の記述も省く事が出来る。本実施形態では図６７及び図６８に示すようにアドバンストコンテンツ再生部ADVPLが内蔵された情報記録再生装置１が置かれているネットワーク環境に対応したネットワークバンド幅に基づき、複数のネットワークソースの中から適正なネットワークソースを選択してネットワーク転送する事が出来る。各情報記録再生装置１が置かれているネットワーク環境（ネットワークバンド幅）に合わせて選択される異なった再生表示オブジェクトストリームを転送した場合のそれぞれのビットレート間の平均値に対する近似値をデータビットレート（データ転送レート）情報DTBTRT（bitrate属性情報）が表している。図６７の例を示し前記（データビットレート情報DTBTRT（bitrate属性情報））の値についての説明を行う。プレイリストPLLST内のネットワークソースエレメントNTSELEには個々のネットワークスループットに対応したsrc属性情報（リソースの保存場所（パス）とファイル名）が記述されている。前記ネットワークソースエレメントNTSELEのリストを活用する事で個々のネットワーク環境におけるネットワークスループットに対応し最適なオブジェクトファイルを選択できる。例えば電話回線を用いたモデム通信の場合にはネットワークスループットとして56 Kbps しかネットワークスループットを得る事が出来ない。この場合には再生表示オブジェクトのストリームが記録されているファイルとしてS-EVOB_LD.EVOがネットワーク環境に最適なオブジェクトファイルになる。また光通信などを用いたネットワーク環境の場合にはネットワークスループットとして1Mbpsを保証する事が出来る。このようなネットワークスループットの高いネットワーク環境を持ったユーザに対しては高精細な映像情報を持っているE-EVOB_HD.EVOファイルのデータ転送が適切な形になる。このようにネットワーク環境によって選択される最適なソースファイルが異なり、この1Mbps と56Kbpsに対する平均値の近似値は (1000+56)÷2 = 528 ≒ 500 になるので、“500”の値が前記ソースフレームレート属性情報SOFRRT内に記述される。前記説明したようにソースフレームレート属性情報SOFRRTの値はKbit/sを単位とした数字で表される。ビデオアトリビュートアイテムエレメントVABITM内に記述されるactiveAreaX1属性情報からactiveAreaY2属性情報に至るアクティブエリア座標の情報はエンコード後ユーザに表示されるフレーム内におけるアクティブイメージエリアを示している。前記エンコードされユーザに表示されるフレームのアクティブイメージエリアはイメージにより埋められるものでは無く、例えば黒などの固定単色により埋められた領域を含んでいる。例えばテレビのワイド画面内に標準画面を表示した場合に、テレビのワイド画面の両サイドに黒帯が表示される事が有る。この例では標準画面（イメージ領域）では無く、両サイドの黒帯を含んだテレビのワイド画面に対応する領域が前記「エンコードされたユーザに表示されるフレームにおけるアクティブイメージ領域」を示している。前記アクティブイメージの四角い領域はフルスクリーンの表示座標（図４０に示すカンバス座標CNVCRD）内における指定された領域として定義される。また前記の属性情報の表示を��く事も可能である。前記アクティブイメージ領域内において
ActiveAreaX1属性情報はアパーチャー内でのビデオ表示画面左上端位置のX座標値APARX1を表し、
ActiveAreaY1属性情報はアパーチャー内でのビデオ表示画面左上端位置のY座標値APARY1を表し、
ActiveAreaX2属性情報はアパーチャー内でのビデオ表示画面右下端位置のX座標値APARX2を表し、
ActiveAreaY2属性情報はアパーチャー内でのビデオ表示画面右下端位置のY座標値APARY2を表し
ている。前記属性情報に関する具体的なイメージについて図８４(c)を用いて説明する。図８４(c)に示す表示画面例においてプライマリービデオセットPRMVS内のメインビデオMANVDで構成される本編31の画面の左上端の座標位置が(Xp1,Yp1)で表され、前記本編31の右下端の座標位置が(Xp2,Yp2)で与えられているとする。図８４(a)の記載例では、メディア属性情報MDATRI内のメディアインデックス番号情報INDEX（index属性情報）の値を“1”としたビデオアトリビュートアイテムエレメントVABITM内に前記の左上端と右下端の座標値を記載する（図８４(c)との対応を破線βと破線γで示して有る）。また図８４(c)に示すようにセカンダリービデオセットSCDVS内のサブビデオSUBVDの画面の左上端の座標を(Xs1,Ys1）で規定し、また右下端の位置の座標を(Xs2,Ys2)で指定されている場合を考える。図８４(a)の記述例では、メディア属性情報MDATRI内においてメディアインデックス番号情報INDEX（index属性情報）の値を“2”に設定したビデオアトリビュートアイテムエレメントVABITM内に前記の座標値を記述する。図８４(c)に指定された座標値と図８４(a)に記述された座標値の対応を破線δと破線εにより示す。次に図８４(a)に示したタイトル情報TTINFO内のタイトルエレメント情報TTELEM内に含まれるオブジェクトマッピングインフォメーションOBMAPI（トラックナンバーアサイメントインフォメーション）内においてプライマリーオーディオビデオクリップエレメントPRAVCP内のメインビデオエレメントMANVD内でメディア属性情報内の対応したメディア属性エレメントのインデックス番号MDATNM（mediaAttr属性情報）の値を“1”と設定する事により、一点鎖線ηで示した関係に対応してメディアインデックス番号情報INDEXの値が“1”のビデオアトリビュートアイテムエレメントVABITMと関係づけられる。その結果、プライマリーオーディオビデオクリップエレメントPRAVCP内に記述された前記メインビデオエレメントMANVDの表示画面領域が図８４(c)に示す本編31の領域として設定される。また同様にセカンダリーオーディオビデオクリップエレメントSCAVCP内のサブビデオエレメントSUBVD内においてメディア属性情報内の対応したメディア属性エレメントのインデックス番号MDATNM（mediaAttr属性情報）の値を“2”に設定することにより、一点鎖線ζで対応を示したようにメディアインデックス番号情報INDEX（index属性情報の値）が“2”と設定されたビデオアトリビュートアイテムエレメントVABITMとリンクされる。その結果、前記セカンダリーオーディオビデオクリップエレメントSCAVCP内に記述されたサブビデオエレメントSUBVDの画面上の表示サイズが図８４(c)に示すセカンダリービデオセットSCDVS内のサブビデオエレメントSUBVDの領域として設定される。
【０６３３】
＜サブピクチャーアトリビュートアイテムエレメント（SubpictureAttributeItem Element）＞
以下に図７９(e)に示すサブピクチャーアトリビュートアイテムエレメントSPAITM内のデータ構造を示す。前記サブピクチャーアトリビュートアイテムエレメントSPAITMはサブピクチャーストリーム（副映像ストリームSUBPT）の属性情報を説明している。前記サブピクチャーアトリビュートアイテムエレメントSPAITM内に記述される各属性情報値は、前述したようにEVOB_VTS_ATR又はEVOB_ATR内に設定された内容と一致する必要が有る。サブピクチャーアトリビュートアイテムエレメントSPAITM内のメディアインデックス番号情報INDEX（index属性情報）は図５９(e)内のトラック番号に対応した副映像パックの副映像ストリーム番号SPSTRN（streamNumber属性情報）により参照される。またサブピクチャーの圧縮コード情報SPCDC（codec属性情報）に設定される値としては“2bitRLC（ランレングス圧縮）”又は“8bitRLC（ランレングス圧縮）”のいずれかが設定される。
【０６３４】
図８０(a)に示すようにプレイリストファイルPLLSTは構造情報CONFGIを含む。前記構造情報CONFGIはシステム的な構造パラメータに関する情報が記載されている。
【０６３５】
＜コンフィグレーションエレメント（Configuration Element）＞
前記構造情報CONFGI内のデータ構造を図８０(b)に示す。前記構造情報CONFGIはコンフィグレーションエレメントにより記述されている。前記コンフィグレーションエレメントはアドバンストコンテンツADVCTに関するシステム構造のセット情報により構成されている。また前記コンフィグレーションエレメントの中身はシステム情報に関する情報のリストから構成されている。前記システム構造に関するリストとしてはストリーミングバッファエレメントSTRBUF、アパーチャーエレメントAPTR、メインビデオデフォルトカラーエレメントMVDFCLとネットワークタイムアウトエレメントNTTMOTの各種エレメントから構成されている。
【０６３６】
図８０(c)に前記ストリーミングバッファエレメントSTRBUF内のデータ構造を説明する。前記ストリーミングバッファエレメントSTRBUFはデータキャッシュDTCCH内におけるストリーミングバッファSTRBUFの必要とされるサイズ情報が記述されている。図２５に示すようにネットワークサーバNTSRV内に保存されたセカンダリービデオセットSCDVSはアドバンストコンテンツ再生部ADVPLによりユーザに再生表示される前にデータキャッシュDTCCH内のストリーミングバッファSTRBUF内に一時保存される必要が有る。実際にアドバンストコンテンツ再生部ADVPLにより前記セカンダリービデオセットSCDVSを表示する場合には、ストリーミングバッファSTRBUF内に一時保存されているセカンダリービデオセットSCDVSを読み取り、セカンダリービデオプレーヤSCDVPに転送しながらユーザへの表示処理を行う。この時、図２５に示すようにストリーミングバッファSTRBUFに一時保存される再生表示オブジェクトはセカンダリービデオセットSCDVSのみであり、他の多くの表示再生オブジェクトはデータキャッシュDTCCH内のファイルキャッシュFLCCH内に一時保存される。従ってコンテンツプロバイダが供給するアドバンストコンテンツADVCTの中にセカンダリービデオセットSCDVSが含まれない場合にはデータキャッシュDTCCH内にストリーミングバッファSTRBUF設定領域を設ける必要が無い。前記構造情報CONFGI内に前記ストリーミングバッファエレメントSTRBUFを配置する事で、ユーザへの表示前にネットワークサーバNTSRVから事前に転送されるセカンダリービデオセットSCDVSの保存（図２５参照）のために必要なストリーミングバッファSTRBUFのメモリ領域サイズが分かるので、前記セカンダリービデオセットSCDVSの転送処理をスムーズに行う事ができる。このようにアドバンストコンテンツADVCTを作成する作成者（コンテンツプロバイダ）がアドバンストコンテンツ再生部ADVPLに対して要求するデータキャッシュDTCCH内に事前に設定が必要となるストリーミングバッファSTRBUFのメモリサイズが図８０(c)に示す「予め設定が必要なストリーミングバッファサイズSTBFSZ（size属性情報）」になる。前記アドバンストコンテンツ再生部ADVPLは起動時のシーケンス処理中にデータキャッシュDTCCH内の構造（ストリーミングバッファSTRBUFに割り当てるメモリ空間）を変更する。前記データキャッシュDTCCH内の構造（ストリーミングバッファSTRBUFに割り当てるメモリ空間）の設定は図５１のステップＳ６２の処理の一部として行われる。前記「予め設定が必要なストリーミングバッファサイズSTBFSZ（size属性情報）」の値は“キロバイト（１０２４バイト）”の単位で記述される。例えばストリーミングバッファSTRBUFサイズとして1Mbとして設定する必要がある場合には、前記予め設定が必要なストリーミングバッファサイズSTBFSZ（size属性情報）の値として“１０２４”の値を設定する。前述したように前記の記述する値の単位が１０２４バイト単位になるのでトータルのストリーミングバッファSTRBUFサイズのバイト換算をすると1024×1024バイトの値となり、ほぼ１MBに等しい値になる。また前記「予め設定が必要なストリーミングバッファサイズSTBFSZ（size属性情報）」に記述する値は正数値で記載されなければならない（小数点以下は切り上げして表示する）。また前記の値は偶数に設定しなければならない。なぜ��らアドバンストコンテンツ再生部ADVPL内でのデータキャッシュDTCCHのメモリ空間の設定はビット（バイト）単位で処理を行う。従って前記ビット単位の処理に合わせて前記「予め設定が必要なストリーミングバッファサイズSTBFSZ」の値を偶数値にすることで、バイト単位で行うアドバンストコンテンツ再生部ADVPL内の処理をしやすくしている。
【０６３７】
＜アパーチャーエレメント（Aperture Element）＞
次に、構造情報CONFGI内のアパーチャーエレメントAPTR内のデータ構造を図８０(d)に示す。前記アパーチャーエレメントAPTRはユーザに表示する画面において表示可能な（見える）イメージのフルサイズ情報を示している。前記アパーチャーサイズ情報APTRSZ（size属性情報）は前述したようにユーザが見る事の出来る（表示可能な）イメージサイズのフルサイズの情報を表しており、“1920×1080”又は“1280×720”のいずれかの値が設定可能となっている。前記アパーチャーサイズ情報APTRSZは図４０に示すグラフィックプレイン内のアパーチャーAPTR（グラフィック領域）のフルサイズを表している。図４０において、アパーチャーAPTR（グラフィック領域）を示す太枠の右下に座標値として(1920,1080)となっており、この場合には前記アパーチャーサイズ情報APTRSZの値として“1920×1080”の値が設定される。前記のアパーチャーサイズ情報APTRSZを設定する具体的な実施形態を図８４に示す。図８４(c)に示す表示画面例において黒枠で囲った全体の画面のうち左上の座標が(0,0)になっており、右下の座標値が(Xa,Ya)となっている。前記(Xa,Ya)の座標がアパーチャーサイズ情報APTRSZとなり、破線αの対応線に従って前記の値がアパーチャーエレメントAPTR内のアパーチャーサイズ情報APTRSZ内に記述される。この場合の記述例としては“Xa×Ya”の値が設定される。
【０６３８】
＜メインビデオデフォルトカラーエレメント（MainVideoDefaultColor Element）＞
次に構造情報CONFGI内に含まれるメインビデオデフォルトカラーエレメントMVDFCL内のデータ構造を図８０(e)に示す。前記メインビデオデフォルトカラーエレメントMVDFCLはメインビデオMANVDに対するアウターフレームカラーの内容を説明している。前記メインビデオMANVDに対するアウターフレームカラーは、メインビデオMANVDに関するメインビデオプレインMNVDPL（図３９参照）における外側の背景色を意味している。例えば図７９(d)内に記載されたactiveAreaX1からactiveAreaY2の情報によりユーザに表示する画面サイズがビデオアトリビュートアイテムエレメントVABITMで設定され、図５９(c)に示すメディア属性情報内の対応したメディア属性エレメントのインデックス番号MDATNM（mediaAttr属性情報）により対応するメインビデオMANVDにより前記ビデオアトリビュートアイテムエレメントVABITMとリンクづける事により前記メインビデオMANVDの表示画面サイズが設定される。もし実際に表示される画面よりも横幅の広い画面（ワイド画面）を持つテレビをユーザが見ていた場合には、テレビ画面上の両端は前記メインビデオMANVDの表示画面が存在しない領域になる。前記の領域がメインビデオプレインMNVDPLにおける外側の部分を意味し、前記映像（前記メインビデオMANVD）が表示されない領域の色を前記「メインビデオに対するアウターフレーム属性情報COLAT（color属性情報）」により設定される。前記メインビデオに対するアウターフレーム属性情報COLAT（color属性情報）に設定される値はY, Cr, Cb色を６ヘキサゴナルデジタルデータで表示する。具体的な設定値としては下記のフォーマットで記述する。
【０６３９】
Color = Y Cr Cb
Y, Cr, Cb := [0-9A-F][0-9A-F]
ここにおいてYとCbとCrに対して設定する値としての条件は
16 ≦ Y ≦ 235, 16 ≦ Cb ≦ 240, 16 ≦ Cr ≦ 240
として設定する。本実施形態において「メインビデオに対するアウターフレーム属性情報COLAT（color属性情報）」を単純に赤とか青とか設定せず、前記のようにY, Cr, Cb色で表すことにより、非常に表現豊かな色をユーザに表示する事が可能となる。
【０６４０】
＜ネットワークタイムアウトエレメント（NetworkTimeout Element）＞
次に、構造情報CONFGI内に存在するネットワークタイムアウトエレメントNTTMOT内のデータ構造を図８０(f)に示す。前記ネットワークタイムアウトエレメントNTTMOTはネットワークに要求されるタイムアウト時間を表している。本実施形態においてはネットワークを経由しネットワークサーバNTSRVから必要な再生表示オブジェクト及びその管理情報をダウンロードする。ネットワーク環境のトラブルによりネットワーク通信が不可能になった場合、ネットワーク通信回線を自動的に切断する必要が出てくる。ネットワーク通信が滞った後、ネットワーク回線を切るまでの時間をタイムアウト時間と定義する。前記ネットワーク接続時のタイムアウト設定情報NTCNTO（timeout属性情報）はmSの単位で記述される。
【０６４１】
図１２が示すように、プレイリストPLLSTからマニフェストMNFSTもしくはアドバンストサブタイトルのマニフェストMNFSTSを参照する形になっている。その状況をより詳しく説明した図が図１８になっている。すなわち、アドバンストサブタイトルADSBTの管理を行うアドバンストサブタイトルセグメントADSTSGから再生・使用時にインデックスとして参照されるファイル名はアドバンストサブタイトルのマニフェストファイルMNFSTSとなる。またアドバンストアプリケーションADAPLの管理を行うアプリケーションセグメントAPPLSGが再生・使用時にインデックスとして参照するファイルはアドバンストアプリケーションのマニフェストファイルMNFSTである。前記アドバンストサブタイトルのマニフェストファイルMNFSTSとアドバンストアプリケーションのマニフェストファイルMNFST内のデータ構造を図８１に示す。
【０６４２】
＜マニフェストファイル（Manifest File）＞
前記マニフェストファイルMNFSTはタイトルに対応したアドバンストアプリケーションADAPLの初期（初期設定）情報を示す。図１に示す情報記録再生装置１内のアドバンストコンテンツ再生部ADVPLは前記マニフェストファイルMNFSTに記載されている情報に基づきアドバンストアプリケーションADAPLの実行・表示処理を行う。前記アドバンストアプリケーションADAPLはマークアップMRKUPに基づく表示処理とスクリプトSCRPTに基づく実行処理からなる。前記マニフェストMNFST内で記述される初期（初期設定）情報は以下の内容を示している。
【０６４３】
＊  実行すべき最初のマークアップファイルMRKUP
＊  アプリケーションの起動処理時に実行されるべきスクリプトファイルSCRPT
前記マニフェストファイルMNFSTはXMLに基づき記述され、XMLの文法に基づきエンコード処理される。マニフェストファイルMNFST中のデータ構造は図８１(a)に示すアプリケーションエレメントから構成されている。前記アプリケーションエレメントタグの中はアプリケーションエレメントのID情報MNAPIDと対応エレメントのベースURI情報MNFURI（xml:base属性情報）から構成されている。前記アプリケーションエレメントタグ内にアプリケーションエレメントのID情報MNAPIDを持つ事により図５９に示すようにAPIコマンドにより前記アプリケーションエレメントのID情報MNAPIDを参照する事が可能となり、APIコマンドによる対応したアプリケーションエレメントの検索が容易となる。また前記アプリケーションエレメント内のチャイルドエレメントとして領域エレメントRGNELE、スクリプトエレメントSCRELE、マークアップエレメントMRKELE、及びリソースエレメントRESELEを含む事が可能である。
【０６４４】
＜領域エレメント（Region Element）＞
図８１(a)に示したアプリケーションエレメント内に配置されうる領域エレメントRGNELE内のデータ構造を図８１(b)に示す。図３９に示すようにユーザに表示する表示画面上ではメインビデオプレインMNVDPL、サブビデオプレインSBVDPL、サブピクチャープレインSBPCPL、グラフィックプレインGRPHPL、及びカーソルプレインCRSRPLの各レイヤーが存在し、前記各レイヤーの合成された合成画面が図３９の下に示すようにユーザに表示される。前記各レイヤーのうちグラフィックプレインGRPHPLは本実施形態においてはアドバンストアプリケーションADAPLに関する表示画面レイヤーとして扱われる。図３９に示すグラフィックプレインGRPHPLの画面全体をアパーチャーAPTR（グラフィック領域）として定義する。また図３９の下側の画面に示すようにヘルプアイコン33からFFボタン38までの各ボタンが配置されている領域を図３９の上側のグラフィックプレインGRPHPL内に示すようにアプリケーション領域APPRGNと定義する。前記アプリケーション領域APPRGNは本実施形態においてアドバンストアプリケーションADAPLに対応するアドバンストコンテンツADVCTを表示する画面領域を示しており、アパーチャーAPTR（グラフィック領域）内における前記アプリケーション領域APPRGNの配置場所と及び領域寸法が図８１(b)に示す領域エレメントRGNELE内に記述される。前記アパーチャーAPTR（グラフィック領域）内におけるアプリケーション領域APPRGNの配置方法についての詳細説明を図４０を用いて行う。図４０に示すようにグラフィックプレインGRPHPL内の領域をカンバスと呼ぶ。また前記カンバス上での各アプリケーション領域APPRGNの配置場所を指定する座標系をカンバス座標CNVCRDと定義する。図４０の実施形態では前記カンバス座標CNVCRD上にアプリケーション領域APPRGNが #1 から #3 まで設定されている。前記アプリケーション領域APPRGN       #1 内の白抜き部分をグラフィックオブジェクトの位置と呼んでいる。本実施形態においては前記グラフィックオブジェクトをコンテントエレメントと呼ぶことがある。前記1個のグラフィックオブジェクト（コンテントエレメント）は図３９の下側に示すヘルプアイコン33やストップボタン34など各アイコンもしくはボタンの1個１個に対応する。つまりアプリケーション領域APPRGN #1 内での前記ヘルプアイコン33やストップボタン34の配置場所と表示画面サイズが、図４０に示すアプリケーション領域APPRGN #1 内座標値（x1,y1）により規定される。ヘルプアイコン33やストップボタン34などのグラフィックオブジェクト（コンテントエレメント）のアプリケーション領域APPRGN #1 内の配置場所と表示サイズは図８４(b)のマークアップエレメントMRKELEの下に星印で記述したようにマークアップファイルMRKUP.XMU内にそれぞれ記述される。図４０に示すようにカンバス座標CNVCRDにおけるX軸はユーザに表示する画面の横方向を表し、右方向がプラス方向になる。X軸方向の座標値の単位は原点位置からの画素数の値で示される。またカンバス座標CNVCRDにおけるY軸はユーザに表示する画面の縦方向を表し、下方向がプラス方向になる。X軸方向の座標値の単位も原点位置からの画素数の値で示される。本実施形態におけるアパーチャーAPTR（グラフィック領域）の左上端位置がカンバス座標CNVCRDの原点位置（カンバス座標内における(0,0)の位置）になる。その結果���アパーチャーAPPTR（グラフィック領域）の画面サイズは前記アパーチャーAPTR（グラフィック領域）内の右下端のカンバス座標CNVCRDにより規定される。図４０の例ではユーザに表示される画面は1920×1080となり、アパーチャーAPTR（グラフィック領域）の右下端位置でのカンバス座標値が(1920,1080)となる。前記アパーチャーAPTR（グラフィック領域）内のアプリケーション領域APPRGN #1 の配置場所は、図４０の例に示すように前記アプリケーション領域APPRGN #1 の左上端位置でのカンバス座標CNVCRD値(X,Y)により定義される。それに対応して図８１(b)に示す領域エレメントRGNELE内のX属性情報はカンバス上アプリケーション領域の始点位置のX座標値XAXIS（図４０参照）が設定される。また同様に前記領域エレメントRGNELE内のY属性値はカンバス上アプリケーション領域始点位置のY座標値YAXISが設定される。また図４０に示すように、アプリケーション領域内座標においてはアプリケーション領域APPRGN #1 の左上端位置が原点(0,0)として定義され、アプリケーション領域APPRGN #1 内のアプリケーション内座標における右下端位置の座標(x2,y2)により、アプリケーション領域APPRGN#1内の幅と高さの値が規定される。すなわちアプリケーション領域APPRGN #1 の幅は“x2”で規定され、またアプリケーション領域APPRGN #1 の高さは“y2”の値で規定される。それに対応し、本実施形態ではアプリケーション領域APPRGNの表示サイズを“幅”と“高さ”で規定する。すなわち図８１(b)に示す領域エレメントRGNELE内のwidth属性情報はカンバス座標内でのアプリケーション領域の幅WIDTHを表す。また図８１(b)に示した領域エレメントRGNELE内のheight属性情報はカンバス座標内でのアプリケーション領域の高さHEIGHTを表す。もし、前記領域エレメントRGNELE内でのカンバス上アプリケーション領域始点位置のX座標値XAXISとカンバス上アプリケーション領域始点位置のY座標値YAXISの記述を省いた場合には、カンバス上アプリケーション領域始点位置のX座標値XAXISの値としてデフォルトの“0”の値が設定されると共にカンバス上アプリケーション領域始点位置のY座標値YAXISの値としてデフォルト値の“0”の値が自動的に設定される。この場合には図４０から判るように対応するアプリケーション領域APPRGN #1 の始点の座標値(X,Y)が(0,0)となるので、前記アプリケーション領域APPRGNがアパーチャーAPTR（グラフィック領域）の左上端に合わせて貼り付く形となる。また更に本実施形態では図８１(b)に示すように領域エレメントRGNELE内でのカンバス座標内でのアプリケーション領域の幅WIDTHとカンバス座標内でのアプリケーション領域の高さHEIGHTの記述を省く事が出来る。このようにカンバス座標内でのアプリケーション領域の幅WIDTHの記述を省いた場合にはデフォルト値としてカンバス座標内でのアプリケーション領域の幅WIDTHの値がアパーチャーAPTR（グラフィック領域）の幅サイズに一致する。またカンバス座標内でのアプリケーション領域の高さHEIGHTの記述を省いた場合には、前記カンバス領域内でのアプリケーション領域の高さHEIGHTの値がデフォルト値としてアパーチャーAPTRの高さが自動設定される。従って前記カンバス座標内でのアプリケーション領域の幅WIDTHとカンバス座標内でのアプリケーション領域の高さHEIGHTの記述を省いた場合には前記アプリケーション領域APPRGN#1のサイズはア���ーチャーAPTR（グラフィック領域）のサイズと一致する事になる。このように記載を省略した時のデフォルト値がアパーチャーAPTP（グラフィック領域）の位置とサイズに一致させることで、（前記情報の記載を省略した場合の）マークアップMRKUP内での各グラフィックオブジェクト（コンテントエレメント）毎の表示サイズ／表示場所設定方法が簡単になる。
【０６４５】
＜スクリプトエレメント（Script Element）＞
図８１(c)にスクリプトエレメントSCRELE内のデータ構造を示す。本実施形態におけるスクリプトSCRPTは、ECMAの国際標準化で設定されたグローバルコード（ECMA 10.2.10）に準拠している。前記スクリプトエレメントSCRELEはアプリケーションの起動処理時に行われるアドバンストアプリケーションADAPLに関するスクリプトファイルSCRPTの内容を説明している。アプリケーションが起動すると、図４４に示すナビゲーションマネージャNVMNGはsrc属性情報内に記述されたURI（ユニフォーム・リソース・アイデンティファイヤー）を参照とし、最初に使用するスクリプトファイルSCRPTをダウンロードする。その直後、ECMAスクリプトプロセッサーECMASPは前記ダウンロードしたスクリプトファイルSCRPTの情報を前記グローバルコード（ECMA 10.2.10 に規定されたエクマスクリプト）に基づき解読し、解読結果に合わせた実行処理を行う。図８１(c)に示すように前記スクリプトエレメントSCRELE内にはスクリプトエレメントのID情報SCRTIDとsrc属性情報が記述されている。前記スクリプトエレメントのID情報SCRTIDがスクリプトエレメントSCRELE内に存在する事によってAPIコマンドにより特定のスクリプトエレメントSCRELEを参照しやすくし、APIコマンド処理を容易にする効果が出来る。また前記src属性情報は最初に使用するスクリプトファイルの保存場所SRCSCRを表し、URI（ユニフォーム・リソース・アイデンティファイヤー）により記述される。
【０６４６】
＜マークアップエレメント（Markup Element）＞
図８１(d)に詳細なデータ構造を示すマークアップエレメントMRKELEは、アドバンストアプリケーションADAPLに対する最初に表示するマークアップファイルのファイル名と保存場所（パス）を示している。図８１(a)に示す例のように、アプリケーションエレメント内にスクリプトエレメントSCRELEが記述されている場合には、アプリケーションの起動時において最初に前記スクリプトエレメントSCRELEで規定された初期のスクリプトファイルの実行を行う。その後、図２８に示すナビゲーションマネージャNVMNG内のアドバンストアプリケーションマネージャADAMNGは、前記マークアップエレメントMRKELEで規定されたsrc属性情報で指定されたURI（ユニフォーム・リソース・アイデンティファイヤー）を参照し、対応したマークアップファイルMRKUPのロード処理を行う。このように図８１(c)に示すsrc属性情報は最初に使用するスクリプトファイルの保存場所SRCSCR（保存場所（パス）とファイル名）を表し、URI（ユニフォーム・リソース・アイデンティファイヤー）の形式で記述される。また、図８２に示すように図８１(d)に示すマークアップエレメントのID情報MARKIDを利用してAPIコマンドにより前記マークアップエレメントMRKELEの参照が行われる事により、APIコマンド処理が容易になる。
【０６４７】
＜リソースエレメント（Resource Element）＞
以下に図８１(e)に詳細なデータ構造を示すリソースエレメントRESELEの説明を行う。前記リソースエレメントRESELEは、アドバンストアプリケーションADAPLで使用されるリソースについての情報が示されている。また、API管理領域を除いてアドバンストアプリケーションADAPLで使用される全てのリソースは、前記リソースエレメントRESELEのリストにより記述されなければならない。前記マニフェストMNFST内のリソースエレメントRESELEのリストで規定されたリソースをファイルキャッシュFLCCH内へのローディングを行う。その後、図２８に示すナビゲーションマネージャNVMNG内のプレイリストマネージャPLMNGが、対応したアドバンストアプリケーションADAPLの実行状態にする。図８１(e)に示すリソースエレメントRESELE内のsrc属性情報は、対応リソースの保存場所SRCRSC（保存場所（パス）とファイル名）を表し、URI（ユニフォーム・リソース・アイデンティファイヤー）により記述される。前記対応リソースの保存場所SRCRSCの値はリソースが元々保存されていた場所を表す後述するURI（ユニフォーム・リソース・アイデンティファイヤー）により記述されなければならず、プレイリストPLLST内で規定されたリソースインフォメーションエレメント（リソースインフォメーションRESRCIの情報）により記述されたsrc属性情報値のどれか1個を示している。すなわち図６３(c)または図６６(e)に示すリソースインフォメーションRESRCI内にネットワークソースエレメントNTSELEのリストを持つ事で、図６７または図６８に示すように同一内容のコンテンツに対し、ユーザが所有する情報記録再生装置１のネットワーク環境内でのネットワークスループットに合わせた最適なリソースが選択出来るようになっている。このように、同一のアドバンストコンテンツ内容ADVCTを持った（解像度や表示画面の修飾状況など異なる詳細属性を持つ）複数のリソース個々に対し、それぞれの保存場所（パス）をファイル名が記述されているsrc属性情報を有するネットワークソースエレメントNTSELEがそれぞれ設定されている。前記ネットワークソースエレメントNTSELEが設定されているぺアレントエレメント（図６６(d)に示すタイトルリソースエレメントまたは図６３(d)に示すアプリケーションリソースエレメントAPRELE）内のsrc属性情報で規定されたURI（ユニフォーム・リソース・アイデンティファイヤー）の値が図８１(e)に示す対応リソースの保存場所SRCRCSの値として設定されなければならない。図６８で説明したように、ネットワークソースエレメントNTSELEで指定されたネットワークスループット条件を情報記録再生装置１のネットワーク環境が満足しない場合には前記タイトルリソースエレメントまたは前記アプリケーションリソースエレメントAPRELE）内のsrc属性情報で指定された保存場所（パス）とファイル名へアクセスするので、図８１(e)に示す対応リソースの保存場所SRCRCSを上述した方法で設定する事により情報記録再生装置１のネットワーク環境に依らずにアクセスが行える。その結果、アドバンストコンテンツ再生部ADVPLのマニュフェストMNFSTに関するアクセス制御が容易となる。
【０６４８】
最後に図８４を用い、図８１に示したマニフェストファイルMNFST内のデータ構造と、ユーザに表示する表示画面内のレイアウトとの関係を示す。
【０６４９】
図８４(c)に、ユーザに表示する表示画面の例を示す。図８４(c)に示す表示例によれば、画面の下側にプレイボタン34からFFボタン38に至る各種ボタンが配置されている。前記プレイボタン34からFFボタン38が配置される領域全体を、アプリケーション領域APPRGNとして定義する。図８４(c)に示す表示画面例はそれぞれカンバス座標CNVCRDに対応し、前記画面の左上端位置がカンバス座標CNVCRDにおける(0,0)の座標に対応する。前記カンバス座標CNVCRDに基づき、前述したアプリケーション領域APPRGNの左上端の座標を(Xr,Yr)で表す。前述したように、前記アプリケーション領域APPRGNの配置場所は、マニフェストファイルMNFST内の領域エレメントRGNELE内に記述される。前記説明した(Xr,Yr)の座標値は、図８４(b)に示すように領域エレメントRGNELE内において“Xr”と“Yr”で記述され、対応が破線νで示される。また図８４(c)の表示画面例において前記アプリケーション領域APPRGNの幅はrwidthで示され、高さはrheightで定義される。前記アプリケーション領域APPRGNの幅rwidthは破線ξに示すように領域エレメントRGNELE内のカンバス座標内でのアプリケーション領域の幅WIDTHの値として記述され、また前記アプリケーション領域APPRGNの高さrheightの値は同様に領域エレメントRGNELE内での破線πに示すように領域エレメントRGNELE内のカンバス座標内でのアプリケーション領域の高さHEIGHTの値として記述される。また、図８４(c)に示すストップボタン34やプレイボタン35のアプリケーション領域APPRGN内の配置場所と表示サイズは、図８４(b)のマークアップエレメントMRKELEの直後に記述した“＊”マーク以降に示すように、対応するマークアップファイルMRKUP.XMUの中で指定される。また前記ストップボタン34やプレイボタン35の配置及びサイズを示すマークアップファイルMRKUP.XMUに対するファイル名とその保存場所（パス）がマークアップエレメントMRKELE内のsrc属性情報の値として設定される。
【０６５０】
本実施形態においてプレイリストPLLST内に配置された各種エレメントにおいて、図８２(a)に示すようにタイトルエレメントTTELEMとプレイリストアプリケーションエレメントPLAELE、プライマリーオーディオビデオクリップエレメントPRAVCP、セカンダリーオーディオビデオクリップエレメントSCAVCP、サブスティテュートオーディオビデオクリップエレメントSBAVCP、サブスティテュートオーディオクリップエレメントSBADCP、アドバンストサブタイトルセグメントエレメントADSTSG、アプリケーションセグメントエレメントAPPLSG、チャプターエレメント、ポーズアットエレメントPAUSEL、イベントエレメントEVNTELがエレメント内にID情報を持ち、図８２(a)の右側に示すように、ストリーミングバッファエレメントSTRBUFからスケジュールコントロールリストエレメントに至る各種エレメント内にID情報を持っていない。本実施形態において図８２(c)に示すように、APIコマンドにより比較的多く参照されるエレメントの最初にID情報を設置している。それによりAPIコマンドからはID情報を使って特定のエレメントを参照している。その結果、APIコマンドによる各エレメントへのアクセス制御処理が容易となり、APIコマンドによる各エレメントへのアクセス制御・処理が容易となる。更に各エレメントの最初にID情報が配置されているのでプレイリストマネージャPLMNG（図２８参照）は前記各エレメント内のID情報の検索が容易となる。更に、本実施形態において各エレメントの識別に“番号”を指定する代わりに“ID情報”を利用しているところに大きな特徴がある。図５１や図３に示すようにプレイリストPLLSTの更新処理を行う事が可能となっている。もし各エレメントの識別に“番号”を付けていた場合には前記プレイリストPLLSTを更新する度に必要に応じて番号のずらし処理が必要となる。それに対し、各エレメントの識別に“ID情報”を指定している場合には、プレイリストPLLSTの更新時に前記ID情報の変更が不要となる。その為、プレイリスト更新時の変更処理が容易になるという特徴がある。図８２(b)にAPIコマンドによる各エレメント内のID情報の活用例を示す。本実施形態の位置活用例としてはAPIコマンドによりタイトルのID情報TTID（図２４(b)参照）を指定し、タイトル間の遷移処理を行う事が出来る。また別の活用例としてAPIコマンド上でチャプターエレメントのID情報CHPTID（図２４(d)参照）を指定し、特定チャプターへのアクセス制御を行う事が出来る。
【０６５１】
データキャッシュDTCCHに保存するデータやファイルの保存場所、およびその保存場所に対応したダウンロード方法については、図６４、図６５、図７０、図７１、図５４、図５５、図５６、図６３、図６６及び図６７の所で個々に説明を行っている。前記の説明内容をまとめる目的で、図８３に各再生表示オブジェクトの保存場所についての記述を中心したプレイリスト内の記述例と、それに対応した各再生表示オブジェクトの保存場所の対応について説明をする。図８３(a)に、ユーザに表示する画面の例を示す。ユーザに表示する画面のうち、左上側にプライマリービデオセットPRMVS内のメインビデオMANVDにより表示される本編31が表示され、上の右側にセカンダリービデオセットSCDVS内のサブビデオSUBVDが表示されている。また画面の下側にはアドバンストアプリケーションADAPLに対応したストップボタン34からFFボタン38に至る各種ボタンが配置され、前記本編31内の上側にアドバンストサブタイトルADSBTから構成されるテロップ文字39が表示されている。図８３に示す例では、前記本編31を構成するプライマリービデオセットPRMVS内のメインビデオMANVD及びその関連情報が、図８３(b)に示すように情報記憶媒体DISC内に保存されている。前記プライマリービデオセットPRMVS内のメインビデオMANVDに関係した情報は、前記情報記憶媒体DISCの /HVDVD_TS/ のディレクトリ（フォルダ）内に保存され、プライマリービデオセットのタイムマップPTMAPに対応したファイル名が RMVS.MAP であり、エンハンストビデオオブジェクトインフォメーションEVOBIに対応したファイル名が PRMVS.VTI で、プライマリーエンハンストビデオオブジェクトP-EVOBに対応したファイル名が PRMVS.EVO とする。また前記セカンダリービデオセットSCDVS内のサブビデオSUBVDの関連ファイルは、図８３(c)に示すようにネットワークサーバNTSRV内に保存されているものとする。前記対応したネットワークサーバNTSRVのネットワーク上のアドレス（URL：ユニフォーム・リソース・ロケーション）はwww.toshiba.co.jpとし、その中のHD_DVDのディレクトリ（フォルダ）内に関連ファイルが保存されている。図８３(c)に示すように、対応するサブビデオSUBVDとして高解像度で転送時に要求されるネットワークスループットが高いSCDVS1.EVOファイルと解像度が低く転送時のネットワークスループットが低くても良いセカンダリーエンハンストビデオオブジェクトS-EVOBが記録されているSCDVS2.EVOファイルが存在し、各セカンダリーエンハンストビデオオブジェクトS-EVOBファイルで使われるセカンダリービデオセットのタイムマップSTMAPとして SCDVS1.MAP とSCDVS2.MAPが保存されている。本実施形態においてセカンダリーエンハンストビデオオブジェクトS-EVOBと、それに利用される（前記ファイルを参照する）セカンダリービデオセットのタイムマップSTMAPのファイルは同一ネットワークサーバNTSRV内の同一ディレクトリ（フォルダ）一緒に保存されると共に拡張子を除くファイル名は互いに一致するように設定している。次に前記テロップ文字39を表現するアドバンストサブタイトルADSBTに関連したファイルが図８３(d)に示すネットワークサーバNTSRV内に保存されている。前記ネットワークサーバNTSRVのアドレス（URL：ユニフォーム・リソース・ロケーション）名はwww.ando.co.jpとし、その中のタイトルTITLEフォルダ（ディレクトリ���内に各種ファイルが保存されているとする。前記アドバンストサブタイトルADSBTをアクセスする時に使用されるマニフェストファイルMNFSTのファイル名がMNFSTS.XMFであり、前記テロップ文字39を表示する時の表示文字と、その表示場所および表示サイズを規定したアドバンストサブタイトルのマークアップMRKUPSのファイルが3 個存在し、それぞれのファイル名が MRKUPS1.XAS と MRKUPS2.XASとMRKUPS3.XASで設定される。ユーザのネットワーク環境に応じて表示させるテロップ文字39の表示状況および装飾が各マークアップファイルMRKUPで異なり、それに応じてファイルキャッシュFLCCHへダウンロードする時に必要とされるネットワークスループットの値も異なる。前記 MRKUPS1.XAS で使用されるフォントの変換テーブルが FONTS1.XAS 内に記録され、また前記 MRKUPS2.XAS で使われるフォントファイルが MRKUPS2.XAS となる。また図８３(a)に示すストップボタン34からFFボタン38に至るアドバンストアプリケーションADAPLに関するリソースファイルが図８３ (e)に示すパーシステントストレージPRSTR内のルート内に保存されていると共に、図８３(f)に示すデータ構造を有するプレイリストPLLSTのプレイリストファイルが PLLST.XPL のファイル名で同様のパーシステントストレージPRSTR内に保存されている。また前記パーシステントストレージPRSTR内に保存されているマニフェストファイルMNFSTのファイル名が MNFST.XMF とし、対応したマークアップファイルMRKUPのファイル名が MRKUP.XMU とする。また図８３(a)に示すストップボタン34からFFボタン38までの各ボタンの画像はJPGの形式で保存され、それぞれIMAGE_***.JPGのファイル名で保存される。また前記各種ボタンをユーザが設定した時に起きる処理に対応したスクリプトファイルSCRPTがSCRPT_$$$.JSの形で保存されている。前記本編31を表すプライマリービデオセットPRMVS内のメインビデオMANVDに対応し、情報記憶媒体DISC内に保存されたタイムマップファイルSTMAP（PRMVS.MAP）のファイル名とその保存先情報が、図８３(f)に示すようにプレイリストPLLST内のタイトル情報TTINFO内に存在するプライマリーオーディオビデオクリップエレメントPRAVCPにおける参照すべき再生表示オブジェクトのインデックスインフォメーションファイル保存場所SRCTMP（src属性情報）の記述欄に記載されている。本実施形態では図１２に示すように、前記プライマリーオーディオビデオクリップエレメントPRAVCP内のsrc属性情報内に記述された保存場所SRCPMTに沿って始めにプライマリービデオセットのタイムマップPTMAP（PRMVS.MAP）にアクセスを行う。その後、前記プライマリービデオセットのタイムマップPTMAP（PRMVS.MAPファイル）の中に参照しているエンハンストビデオオブジェクトインフォメーションEVOBIのファイル名（PRMVS.VTS）を抽出し、前記ファイルにアクセスする。その後、前記エンハンストビデオオブジェクトインフォメーションEVOBI （PRMVS.VTIファイル）内で参照されているプライマリーエンハンストビデオオブジェクトP-EVOBのファイル名（PRMVS.EVOB）を読み取り、前記プライマリーエンハンストビデオオブジェクトP-EVOBが記録されているPRMVS.EVOファイルにアクセスし、データキャッシュDTCCH内にダウンロードする。またセカンダリーオーディオビデオクリップエレメントSCAVCP内の参照すべき再生表示オブジェクトのインデックスインフォメーションファイル保存��所SRCTMP（src属性情報）には、図８３(c)に記述した複数のタイムマップファイルSTMAPのうちのいずれかのタイムマップファイル（SCDVS.MAP）の保存場所を記述する。また残りのセカンダリービデオセットのタイムマップSTMAPのファイル名（SCDVS2.MAP）が対応するセカンダリーオーディオビデオクリップエレメントSCAVCP内に配置されたネットワークソースエレメントNTSELE内のsrc属性情報内に記述される。前記ネットワークソースエレメントNTSELE内には対応したセカンダリーエンハンストビデオオブジェクトS-EVOBをデータキャッシュDTCCH内にダウンロードする時に保証されるネットワークスループットの許容最小値情報NTTRPT（networkThroughput属性情報）が記述されている。図６７に示すようにナビゲーションマネージャNVMNG内のプレイリストマネージャPLMNGは情報記録再生装置１が置かれているネットワーク環境におけるネットワークスループットの情報を事前に持っている。前記プレイリストマネージャPLMNGはセカンダリーオーディオビデオクリップエレメントSCAVCP内に記述されたネットワークソースエレメントNTSELE内のネットワークスループットの許容最小値情報NTTRPT（networkThroughput属性情報)の値を読み取り、図６８に示した判定ルールに従いデータキャッシュDTCCH内にロードすべきセカンダリーエンハンストビデオオブジェクトS-EVOBのファイル名を選択し、それと同じフォルダ内に保存され、同じ拡張子以外のファイル名を持つセカンダリービデオセットのタイムマップSTMAPにアクセス制御を行う。データキャッシュDTCCHにダウンロードする時には最初に前記選択したセカンダリービデオセットのタイムマップSTMAPのファイルをダウンロードし、前記セカンダリービデオセットのタイムマップSTMAP内で参照されているセカンダリーエンハンストビデオオブジェクトS-EVOBファイルの名前を読み取り、その後前記読み取ったファイル名に応じ、セカンダリーエンハンストビデオオブジェクトS-EVOBファイルのダウンロード処理を行う。またアドバンストサブタイトルセグメントエレメントADSTSG内のアドバンストサブタイトルのマニフェストファイル保存場所SRCMNF（src属性情報）には図８３(d)に示したマニフェストファイルMNFSTS（MNSFTS.XMF）の保存場所（パス）とファイル名が記述されている。図８３(d)に示すネットワークサーバNTSRV内に保存されているマニフェストファイルMNFST以外のファイルのファイル名と保存場所（パス）については前記アドバンストサブタイトルセグメントエレメントADSTSG内のアプリケーションリソースエレメントAPRELEまたはネットワークソースエレメントNTSELE内のsrc属性情報の中に記述されている。前述したようにネットワークサーバNTSRV内にはアドバンストサブタイトルの表示時の装飾状況やフォントに合わせてデータ転送時のネットワークスループットが異なる複数のマークアップファイルMRKUPS（MRKUPS1.XASとMRKUPS2.XAS、MRKUPS3.XAS）が記録されていると共に複数のフォントファイルFONTS（FONTS1.XASとFONTS2.XAS）が存在している。前記各マークアップファイルMRKUPとフォントファイルFONTをファイルキャッシュFLCCHにダウンロードする時に必要となるネットワークスループットの許容最小値情報NTTRPTが、前記アドバンストサブタイトルセグメントエレメントADSTSG内のネットワークソースエレメントNTSELE内に記述されている。例えば、図８３(f)に示したアドバンストサブタイトルセグメントエレメントADSTSG内のネットワークソースエレメントNTSELEの情報によるとマークアップファイルMRKUPSであるMRKUPS3.XASをファイルキャッシュFLCCH内にネットワークダウンロードする時の保証されるネットワークスループットの許容最小値情報NTTRPTが56Kbpsであり、MRKUPS2.XASのファイルをファイルキャッシュFLCCH内にダウンロードする時に必要となるネットワークスループットの許容最小値情報NTTRPTの値が1Mbpsである事を示している。ナビゲーションマネージャNVMNG内のプレイリストマネージャPLMNGは、情報記録再生装置１が置かれているネットワーク環境内でのネットワーク経路50におけるネットワークスループット52の値を参照とし、図６８に示した選択ルールに基づき、データキャッシュDTCCHにダウンロードするべき最適なマークアップファイルMRKUPSを設定し、前記マークアップファイルMRKUPSへアクセスした後、前記のファイルをデータキャッシュDTCCH内へダウンロードする。この時に対応するフォントファイルFONTSも同時に一緒にデータキャッシュDTCCH内へダウンロードする。前述したように図８３(f)に示すデータ情報を持つプレイリストファイルPLLSTは図８３(e)示すようにパーシステントストレージPRSTR内にPLLST.XPLのファイル名で保存されているものとする。ナビゲーションマネージャNVMNG内のプレイリストマネージャPLMNGは最初にパーシステントストレージPRSTR内に保存されているプレイリストファイルPLLST（PLLST.XPL）を読み取る。前記パーシステントストレージPRSTR内に保存されているマニフェストファイルMNFST（MNFST.XMF）のファイル名とその保存場所（パス）が図８３(f)のプレイリストPLLST内のタイトル情報TTINFO内に存在するオブジェクトマッピングインフォメーションOBMAPI内のアプリケーションセグメントエレメントAPPLSGにおけるアドバンストアプリケーションの初期設定情報を含んだマニフェストファイル保存場所  URIMNF（src属性情報）内に
記述されている。また、それに関係したマークアップファイルMRKUP（MRKUP.XMU）及び各種スクリプトファイルSCRPT（SCRPT_$$$.JS)と静止画ファイルIMAGE（IMAGE_***.JPG）のファイル名とその保存場所が前記アプリケーションセグメントエレメントAPPLSG内のアプリケーションリソースエレメントAPRELE内のデータキャッシュ内にダウンロードされるデータまたはファイルの保存場所SRCDTC（src属性情報）内に記述されている。ナビゲーションマネージャNVMNG内のプレイリストマネージャPLMNGは前記アプリケーションセグメントエレメントAPPLSG内の前記アプリケーションリソースエレメントAPRELEリストを読み取り、対応したアドバンストアプリケーションADAPLを画面表示する前にファイルキャッシュFLCCH内に事前に保存しておくべきリソースファイルの名前と、元々の保存場所を知る事が出来る。このようにプレイリストファイルPLLSTのアプリケーションセグメントエレメントAPPLSG内のアプリケーションリソースエレメントAPRELEリストによりファイルキャッシュFLCCHに保存すべきリソースの情報が記載される事により、ナビゲーションマネージャNVMNGは効率良く、しかも高速で必要なリソースをデータキャッシュDTCCH内に事前に保存する事が出来る。
【０６５２】
本実施形態におけるユーザに表示する表示画面例とプレイリストPLLST内のデータ構造との関係を図８４に示す。既に表示画面とプレイリスト内のデータ構造の関係は個々には図７９と図８１を用いて説明した。しかし図８４を用いてユーザに表示する表示画面例とプレイリストPLLST及びマニフェストファイルMNFST内のデータ構造間の関係を記述する事により、全体を統合的に知る事が出来る。図８４(c)に示すユーザに表示する全画面領域をアパーチャーAPTRという。また図４０に示すカンバス座標CNVCRDにおける前記アパーチャーAPTRの右下の座標値を(Xa,Ya)で表すことが出来、前記の座標値がアパーチャーサイズ情報APTRSZに対応する。破線αに対応関係を示すように前記のアパーチャーサイズ情報APTRSZがプレイリストPLLST内の構造情報CONFGI内のアパーチャーエレメントAPTR内に記述される。またプライマリービデオセットPRMVS内のメインビデオMANVDを表す本編31を示す画面の左上端座標を(Xp1,Yp1)で表し、右下端位置のカンバス座標CNVCRD値を(Xp2,Yp2)で表す。前記の本編31の画面サイズはプレイリストPLLST内のメディア属性情報MDATRI内におけるビデオアトリビュートアイテムエレメントVABITM内のメディアインデックス番号情報INDEXが“1”で示すビデオアトリビュートアイテムエレメントVABITMで規定される。前記メディアインデックス番号情報INDEXの値が“1”で設定されるビデオアトリビュートアイテムエレメントVABITMで設定されるアパーチャー内でのビデオ表示画面左上端位置のX座標値APARX1と左上端位置のY座標値APARY1及び右下端位置のX座標値APARX2と右下端位置のY座標値APARY2との関係が破線βと破線γで示してある。また図８４(c)に示すように画面上でのセカンダリービデオセットSCDVS内のサブビデオSUBVDの表示画面の左上端のカンバス座標CNVCRDの値を(Xs1,Ys1)で表し、右下端のカンバス座標CNVCRDの値を(Xs2,Ys2)で表す。前記のセカンダリービデオセットSCDVS内のサブビデオSUBVDの表示画面領域情報は図８４(a)に示すようにメディアインデックス番号情報INDEXの値が“2”で設定されたビデオアトリビュートアイテムエレメントVABITM内に記述され、破線δ及び破線εに示すように対応関係が設定される。このように映像情報を示す（プライマリービデオセットPRMVS及びセカンダリービデオセットSCDVSに含まれる）再生表示オブジェクトの表示画面上での表示場所と表示サイズはビデオアトリビュートアイテムエレメントVABITMにより記述される。図１０に示すように前記プライマリービデオセットPRMVSとセカンダリービデオセットSCDVSにはユーザに表示される動画像としてメインビデオMANVDとサブビデオSUBVDが存在する。前記各メインビデオMANVDと前記サブビデオSUBVDにおけるユーザに表示する画面上での表示画面場所とサイズ情報は、オブジェクトマッピングインフォメーションOBMAPI（トラックナンバーアサイメントインフォメーション）内のメインビデオエレメントMANVDとサブビデオエレメントSUBVD内から前記対応するビデオアトリビュートアイテムエレメントVABITMを参照する亊によって指定する事が出来る。すなわち図８４(a)に示すようにプレイリストPLLST内のタイトル情報TTINFO内に存在するタイトルエレメント情報TTELEM内のオブジェクトマッピングインフォメーションOBMAPI（トラックナンバーアサイメントインフォメーション）内に記述されたプライマリーオーディオビデオクリップエレメントPRAVCP内のメインビデオエレメントMANVD上においてメディア属性情報内の対応したメディア属性エレメントのインデックス番号MDATNMの値を“1”で指定する事により、破線ηで示すようにメディアインデックス番号情報INDEXの値が“1”であるビデオアトリビュートアイテムエレメントVABITMを指定する事が出来る。それにより、前記メインビデオMANVDの表示画面サイズと表示場所が図８４(c)に示すように設定されている。同様にセカンダリービデオセットSCDVS内のサブビデオSUBVDに関する表示画面サイズと表示場所はセカンダリーオーディオビデオクリップエレメントSCAVCP内に記述されたサブビデオエレメントSUBVD内のメディア属性情報内の対応したメディア属性エレメントのインデックス番号MDATNMの値を“2”で設定する事により、破線ζで関係を示すようにメディアインデックス番号情報INDEXの値が“2”であるビデオアトリビュートアイテムエレメントVABITMを参照し、その結果、図８４(c)に示すようにユーザに表示する画面上の対応するサブビデオSUBVDの表示画面サイズと表示画面場所を規定する事が出来る。またオーディオ情報に対しても同様にオーディオアトリビュートアイテムエレメントAABITM内のメディアインデックス番号情報INDEXの値をメインオーディオエレメントMANAD又はサブオーディオエレメントSUBAD内で指定する事により音声情報の属性を指定する事が出来る。図８４(a)に示す具体的な記述例では簡単化のためにメディア属性情報MDATRI内に存在するオーディオアトリビュートアイテムエレメントAABITMが1個のみしか存在せず、そのメディアインデックス番号情報INDEXの値が“1”の値になるようにしている。それに対応し、メディア属性情報内の対応したメディア属性エレメントのインデックス番号MDATNMの値が“1”に設定したメインオーディオエレメントMANADをプライマリーオーディオビデオクリップエレメントPRAVCP内に３個設定し、それぞれのメインオーディオエレメントMANADに対し、トラック番号情報TRCKATを１から３までそれぞれ設定している。また同様にメディア属性情報内の対応したメディア属性エレメントのインデックス番号MDATNMの値を“1”に設定し、トラック番号情報TRCKATの値を“4”に設定したサブオーディオエレメントSUBADをセカンダリーオーディオビデオクリップエレメントSCAVCP内に設定している。前記メインオーディオエレメントMANAD内とサブオーディオエレメントSUBAD内に設定したトラック番号情報TRCKATに対応してトラックナビゲーションインフォメーションTRNAVI内にオーディオトラックエレメントADTRKを４個配置し、それぞれのオーディオトラックエレメントADTRK毎にオーディオ言語コードとオーディオ言語コード拡張記述子ADLCEXとユーザ選択可を示すフラグUSIFLGを記述する事により、ユーザによるオーディオトラック選択がしやすいようになっている。尚、オブジェクトマッピングインフォメーションOBMAPI（トラックナンバーアサイメントインフォメーション）内の各メインオーディオエレメントMANADとサブオーディオエレメントSUBADとトラックナビゲーションインフォメーションTRNAVI内のオーディオトラックエレメントADTRKとの間は前記トラック番号情報TRCKAT（オーディオトラック番号ADTKNM）を介して互いにリンクされ、図８４内における破線θ、破線ι、破線λ、及び破線κに示す���うな対応となっている。また図８４(c)に示すアドバンストアプリケーションADAPLを表示するアプリケーション領域APPRGNの表示画面上の位置とサイズはマニフェストファイルMNFST内で記述される。すなわち図８４(c)に示すアプリケーション領域APPRGNの左上端位置のカンバス座標CNVCRD値は(Xr,Yr)で表される。また図８４(c)に示すようにアプリケーション領域APPRGN内の幅をrwidthで表し、高さをrheightで表す。前記アプリケーション領域APPRGNの左上端のカンバス座標CNVCRDの座標値(Xr,Yr)の値は破線νに示すようにマニフェストファイルMNFST.XMF内の領域エレメントRGNELE内で“Xr”と“Yr”で記述される。また同様にアプリケーション領域APPRGNの幅rwidthと高さrheightはアプリケーションエレメント内の領域エレメントRGNELE内のwidth属性情報の値とheight属性情報の値で記述され、一点鎖線ξと一点鎖線πにより対応が示されている。また図８４(b)に示すマニフェストファイルMNFSTのファイル名と保存場所（パス）の情報は図８４(a)におけるプレイリストPLLST内のタイトル情報TTINFOの中に存在するタイトルエレメント情報TTELEMに記述されるオブジェクトマッピングインフォメーションOBMAPI内のアプリケーションセグメントAPPLSGの中に記述されるアプリケーションリソースエレメントAPRELE内に記載され、図８４においては一点鎖線μで関係が示されている。また図８４(c)に示すプレイボタン35からFFボタン38に至る各アプリケーション領域APPRGN内の各グラフィックオブジェクト（コンテントエレメント）の表示場所と表示サイズはマークアップファイルMRKUP内に記述される。また前記マークアップファイルMRKUP.XMUのファイル名と保存場所（パス）はマニフェストファイルMNFST（アプリケーションエレメント）内のマークアップエレメントMRKELE内のsrc属性情報内に記述される。
【０６５３】
＜まとめ＞
本実施形態における効果を簡潔にまとめると、以下のようになる。
【０６５４】
１．管理情報に従い、所定のタイミングで必要なコンテンツを事前に取り込む事によりユーザへの再生・表示を途中で中断させる事なく複数の再生表示オブジェクトを同時に再生・表示が行える
２．管理情報内に時間軸に沿った再生表示のタイミング制御情報を持たせることにより、動画の表示開始／表示終了のタイミングや動画／アニメーションの切り替わりタイミングに関する複雑なプログラミングが可能となり、現行のホームページ画面に比べて飛躍的にユーザに対する表現力が向上する
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０６５５】
【図１】本発明の一実施形態に係るシステムの構成を示す図。
【図２】現行のDVD-Videoに対するユーザ等の要求とそれに関係した現行のDVD-Video規格を拡張した場合の問題点、及び本実施形態における解決方法とその結果得られる新たな効果を示す図。
【図３】情報記録再生装置による映像コンテンツの再生方法の例を示す図。
【図４】スタンダードコンテンツのデータ構造を示す図。
【図５】情報記憶媒体の各種カテゴリーを示す図。
【図６】アドバンストコンテンツの再生時とスタンダードコンテンツとの再生時における遷移関係を示す図。
【図７】情報記憶媒体を装着した時の情報再生装置による媒体識別処理方法を示す図。
【図８】オーディオのみの情報再生装置におけるスタートアップシーケンスを示す図。
【図９】２種類のコンテンツへのアクセス方法の違いを示す図。
【図１０】各種オブジェクトの関係を示す図。
【図１１】アドバンストコンテンツに関するファイル構造を示す図。
【図１２】アドバンストコンテンツ内のデータ構造を示す図。
【図１３】図１２に示す構成における特徴や効果を説明する図。
【図１４】アドバンストコンテンツ再生部内の構造を示す図。
【図１５】映像コンテンツの表示の例を示す図。
【図１６】図１５（ｃ）における本編とコマーシャル用の別画面とヘルプアイコンとが同時に表示されているα点における表示画面の例を示す図。
【図１７】プレイリスト内情報の概要を示す図。
【図１８】各種プレゼンテーションクリップエレメントと、それに対応した表示・使用対象となるオブジェクト名との関係を示す図。
【図１９】ファイル保存場所指定範囲を示す図。
【図２０】ファイルへのパス指定記述方法を示す図。
【図２１】プレイリストファイル内の情報を示す図。
【図２２】ＸＭＬタグとプレイリストタグ内の情報を示す図。
【図２３】プレイリスト内のタイトル情報を示す図。
【図２４】属性情報、オブジェクトマッピングインフォメーション、プレイバックインフォメーションの内容を示す図。
【図２５】各種表示対象オブジェクトコンテンツ再生部内でのデータの流れを示す図。
【図２６】データアクセスマネージャ内の構造を示す図。
【図２７】データキャッシュ内の構造を示す図。
【図２８】ナビゲーションマネージャ内の構造を示す図。
【図２９】アドバンストコンテンツプレーヤにおける状態遷移を示す図。
【図３０】プレゼンテーションエンジン内の構造を示す図。
【図３１】アドバンストアプリケーションプレゼンテーションエンジン内の構造を示す図。
【図３２】プレゼンテーションエンジンにおけるグラフィックプロセスモデルを示す図。
【図３３】アドバンストサブタイトルプレーヤ内の構造を示す図。
【図３４】フォントレンダリングシステム内の構造を示す図。
【図３５】セカンダリービデオプレーヤ内の構造を示す図。
【図３６】プライマリープレーヤ内の構造を示す図。
【図３７】デコーダエンジン内の構造を示す図。
【図３８】ＡＶレンダラー内の構造を示す図。
【図３９】表示画面上の各画面レイヤーを示す図。
【図４０】グラフィックプレイン内の表示モデルを示す図。
【図４１】映像合成モデルを示す図。
【図４２】音声ミキシングモデルを示す図。
【図４３】ネットワークサーバとパーシステントストレージメモリからのデータ供給モデルを示す図。
【図４４】ユーザ入力ハンドリングモデルを示す図。
【図４５】ユーザ入力イベントの一覧表を示す図。
【図４６】プレーヤパラメータの一覧表を示す図。
【図４７】プロファイルパラメータの一覧表を示す図。
【図４８】プレゼンテーションパラメータの一覧表を示す図。
【図４９】レイアウトパラメータの一覧表を示す図。
【図５０】アドバンストコンテンツに対する起動時のシーケンスを示す図。
【図５１】アドバンストコンテンツ再生時におけるアップデートシーケンスを示す図。
【図５２】アドバンストコンテンツとスタンダードコンテンツとの混在再生時のシーケンスを示す図。
【図５３】プレイリストのオブジェクトマッピングインフォメーション内における各種時間情報間の関係を示す図。
【図５４】プライマリオーディオビデオクリップエレメントタグ内とセカンダリービデオクリップエレメントタグ内データの構造を示す図。
【図５５】サブスティテュートオーディオビデオクリップエレメントタグ内とサブスティテュートオーディオクリップエレメントタグ内のデータ構造を示す図。
【図５６】アドバンストサブタイトルセグメントエレメントタグ内とアプリケーションエレメントタグ内データ構造を示す図。
【図５７】アプリケーションブロックの属性情報と言語属性情報の設定例を示す図。
【図５８】各種アプリケーションアクティべーションインフォメーションの組合せとアドバンストアプリケーションの有効性判別の関係を示す図。
【図５９】ビデオエレメント、オーディオエレメント、サブタイトルエレメント及びサブオーディオエレメント内のデータ構造を示す図。
【図６０】トラックタイプとトラックナンバーアサインエレメントとの関係を示す図。
【図６１】トラックナンバーアサインインフォメーションの記述例を示す図。
【図６２】トラックナビゲーションインフォメーション内の各エレメント中に記述される情報内容と記述例を示す図。
【図６３】アプリケーションリソースエレメント内とネットワークソースエレメント内のデータ構造を示す図。
【図６４】リソースマネージメントモデルにおけるファイルキャッシュ内データ保存状態遷移を示す図。
【図６５】リソースインフォメーションに基づくアドバンストアプリケーションのローディング・実行処理方法を示す図。
【図６６】リソースインフォメーション内のデータ構造を示す図。
【図６７】ネットワークソースエレメントを用いたネットワーク環境に最適なネットワークソース抽出モデルを示す図。
【図６８】ネットワークソースエレメントを用いた最適なネットワークソース抽出方法を示す図。
【図６９】プレイリストアプリケーションエレメント内のデータ構造を示す図。
【図７０】プレイリストアプリケーションリソースとタイトルリソース、アプリケーションリソース間の関係を示す図。
【図７１】図７０の構成についての説明図。
【図７２】図７０の例に基づく表示画面γ、δ、εの具体例を示す図。
【図７３】ファーストプレイタイトルとプレイリストアプリケーションリソースとの間の関係を示す図。
【図７４】ファーストプレイタイトルエレメント内のデータ構造を示す図。
【図７５】スケジュールドコントロールインフォメーション内のデータ構造を示す図。
【図７６】ポーズアットエレメントの使用例を示す図。
【図７７】イベントエレメントの使用例を示す図。
【図７８】図７７の例に基づくタイトルライムラインと同期してアドバンストサブタイトルを表示する方法を示す図。
【図７９】メディア属性情報内のデータ構造を示す図。
【図８０】プレイリスト内に存在する構造情報内のデータ構造を示す図。
【図８１】マニフェストファイル内のデータ構造を示す図。
【図８２】プレイリスト内でＩＤ情報を持つエレメントについての説明図。
【図８３】各再生表示オブジェクトの保存場所を中心としたプレイリスト内の記述例を示す図。
【図８４】各再生・表示オブジェクトの表示画面を中心とした管理情報の記述例を示す図。
【符号の説明】
【０６５６】
１…情報記録再生装置、２…情報記録再生部、３…パーシステントストレージドライブ、４…録画再生処理部、５…メインＣＰＵ、６…ハードディスク装置、７−１，７−２，７−３…無線ＬＡＮ制御部、８…ネットワーク制御部、９…データマネージャ、１１…ルータ、１２…光ケーブル、１３…ディスプレイ、１４…キーボード、１５…大画面テレビモニタ、１６−１，１６−２…スピーカ、２１…映像表示部、２４…映像処理部。
【図１】
2008171401.tif 000003
【図２】
2008171401.tif 000004
【図３】
2008171401.tif 000005
【図４】
2008171401.tif 000006
【図５】
2008171401.tif 000007
【図６】
2008171401.tif 000008
【図７】
2008171401.tif 000009
【図８】
2008171401.tif 000010
【図９】
2008171401.tif 000011
【図１０】
2008171401.tif 000012
【図１１】
2008171401.tif 000013
【図１２】
2008171401.tif 000014
【図１３】
2008171401.tif 000015
【図１４】
2008171401.tif 000016
【図１５】
2008171401.tif 000017
【図１６】
2008171401.tif 000018
【図１７】
2008171401.tif 000019
【図１８】
2008171401.tif 000020
【図１９】
2008171401.tif 000021
【図２０】
2008171401.tif 000022
【図２１】
2008171401.tif 000023
【図２２】
2008171401.tif 000024
【図２３】
2008171401.tif 000025
【図２４】
2008171401.tif 000026
【図２５】
2008171401.tif 000027
【図２６】
2008171401.tif 000028
【図２７】
2008171401.tif 000029
【図２８】
2008171401.tif 000030
【図２９】
2008171401.tif 000031
【図３０】
2008171401.tif 000032
【図３１】
2008171401.tif 000033
【図３２】
2008171401.tif 000034
【図３３】
2008171401.tif 000035
【図３４】
2008171401.tif 000036
【図３５】
2008171401.tif 000037
【図３６】
2008171401.tif 000038
【図３７】
2008171401.tif 000039
【図３８】
2008171401.tif 000040
【図３９】
2008171401.tif 000041
【図４０】
2008171401.tif 000042
【図４１】
2008171401.tif 000043
【図４２】
2008171401.tif 000044
【図４３】
2008171401.tif 000045
【図４４】
2008171401.tif 000046
【図４５】
2008171401.tif 000047
【図４６】
2008171401.tif 000048
【図４７】
2008171401.tif 000049
【図４８】
2008171401.tif 000050
【図４９】
2008171401.tif 000051
【図５０】
2008171401.tif 000052
【図５１】
2008171401.tif 000053
【図５２】
2008171401.tif 000054
【図５３】
2008171401.tif 000055
【図５４】
2008171401.tif 000056
【図５５】
2008171401.tif 000057
【図５６】
2008171401.tif 000058
【図５７】
2008171401.tif 000059
【図５８】
2008171401.tif 000060
【図５９】
2008171401.tif 000061
【図６０】
2008171401.tif 000062
【図６１】
2008171401.tif 000063
【図６２】
2008171401.tif 000064
【図６３】
2008171401.tif 000065
【図６４】
2008171401.tif 000066
【図６５】
2008171401.tif 000067
【図６６】
2008171401.tif 000068
【図６７】
2008171401.tif 000069
【図６８】
2008171401.tif 000070
【図６９】
2008171401.tif 000071
【図７０】
2008171401.tif 000072
【図７１】
2008171401.tif 000073
【図７２】
2008171401.tif 000074
【図７３】
2008171401.tif 000075
【図７４】
2008171401.tif 000076
【図７５】
2008171401.tif 000077
【図７６】
2008171401.tif 000078
【図７７】
2008171401.tif 000079
【図７８】
2008171401.tif 000080
【図７９】
2008171401.tif 000081
【図８０】
2008171401.tif 000082
【図８１】
2008171401.tif 000083
【図８２】
2008171401.tif 000084
【図８３】
2008171401.tif 000085
【図８４】
2008171401.tif 000086